(57)【要約】      （修正有）本発明は、ジェットを噴出して走行する宇宙船である。D（重水素）粒子フラックスのクロスセクション（接触断面積）を十分に確保する必要がある。つまり、D２Oからイオンガスを作る、若しくは、D２からプラズマを作り、磁場（や電場）を用いて、プラスイオン（D（重水素）粒子、（D+イオン））とマイナスイオン（電子、（OD-イオン））を分離して、D（重水素）粒子を高磁場（や電場）を用いて、高濃度のD（重水素）粒子フラックスビームを作り、加速器で加速して、D（重水素）粒子フラックスビーム同士を衝突させて、核融合反応を起こさせる。この核融合のエネルギーにグレイディエントをかけて、反応物（ヘリウム（He））に方位性を持たせて、ジェット噴出することによって、推進力（推進エネルギー）にする。 【選択図】図１
2018048555.tif 000002
【特許請求の範囲】
【請求項１】
宇宙太陽光エネルギー人工衛星を、太陽の中心から、太陽と地球の間の距離の約１０００分の１から、約１００分の１ぐらいで、ダイヤモンドなどの物質の融点以内の温度の場所に配置して、エネルギーを、送信することとを特徴とした、宇宙太陽光エネルギーシステム。
【請求項２】
請求項１について、レーザー、特に、高周波レーザー弾（ガンマ線）を、送信エネルギーに用いる、宇宙太陽光エネルギーシステム。
【請求項３】
光・レーザー・ビーム・電磁波・電（磁）気・光触媒・エネルギーの適宜な組み合わせを、磁場や電場の適宜な組み合わせを用いて、プラス粒子とマイナス粒子にして、十分な濃度のビームを作り、衝突させて、核融合反応を起こさせることを特徴とした、核融合エネルギーシステム。
【請求項４】
光・レーザー・ビーム・電磁波・電（磁）気・光触媒・エネルギーの適宜な組み合わせを、磁場や電場の適宜な組み合わせを用いて、プラス粒子とマイナス粒子にして、十分な濃度のビームを作り、衝突させて、核融合反応を起こさせて、そのエネルギー（ヘリウム）に方位性を付けてジェット噴射することを特徴とした、核融合ロケットエンジンエネルギーシステム。
。
【請求項５】
エネルギー生産量を（加速的に）増やし、エネルギーネットワークで、エネルギーを適宜に販売（分配、配分）する ことを特徴とした、エネルギーネットワークシステム。
【発明の詳細な説明】
【技術分野】
【０００１】
本発明は、宇宙ロケットに関するものであり、特に、コストパフォーマンスが良い人工衛星を打ち上げるロケット・エネルギー・システムである。
パラボラ・ミラー／パラボラ・アンテナの走査位置の観測確認が可能な、光／エネルギー／熱／電波を、パラボラの焦点のターゲットに集めて、エネルギーをバッテリーに蓄えたり、エネルギーを活用するエコロジー・システム (Ecology System) に関するものである。
【背景技術】
【０００２】
固体燃料、液体燃料（水素燃料、等）の化学反応を用いるロケットが存在する。
太陽光（熱）／電波の入力・反射装置の中で、ミラー／アンテナを、反射／集電波に用いて、発電／受信することが可能である。また、屋根に直接、太陽光パネルを設置して発電する方法もある。
【０００３】
アメリカ合衆国が研究開発したアポロは、人類を月面に送るという偉業を成し遂げた。
光／電波の入力の際、太陽／情報源の位置・角度の変化、風邪によるミラー／アンテナの振動「揺れ・揺らぎ」によって、固定された位置・角度を持つミラー／アンテナは、発電効率／受信効率が低下する問題があり、固定型位置・角度を持つミラー／アンテナでは、実用上十分でないという欠点があった。また、日本は、アラブなど赤道付近と比較すると、絶対的日射量が十分でないという欠点がある。また、雲がでると、日射量が減るなど、天候に左右されるという欠点がある。日本には、膨大な風力があるが、安定して風力を提供する場所を探すのと、大電力を得るために、プロペラが長く、ハウジングが大きな風車を、大量に建造するのは、容易でない。
【０００４】
若し、光／電波を入力する用途において、手動で、任意のミラー／アンテナの（一部の）位置・角度を変更しようとすると、正確な位置・角度を見つけるのに時間が掛る欠点もある。この欠点は入力操作性に関して大きな障害となる問題があった。また、長時間、太陽光にあたっていると、ミラー表面に亀裂が入るなどの問題があり、維持が困難である。
【０００５】
台車・テコ等で、手動で、ミラー／アンテナ等の位置・角度などを調整しようとすると、ハウジングがさらに大きくなり焦点の調整も煩雑になる。
【先行技術文献】
【特許文献】
【０００６】
【特許文献１】特願２００６−２３６６５１ニュークリア・リアクター・システム
【非特許文献】
【０００７】
【特許文献２】特願２００５−１６６０９９ハイ・イフィシエンシー・エコロジー・システム（Yoshino Universe: High Efficiency Ecology System）
【発明の概要】
【発明が解決しようとする課題】
【０００８】
解決しようとする問題点は、日本のエネルギー問題を一気に解決するようなシステムを発明することである。
【課題を解決するための手段】
【０００９】
吉野カズトラは、より優れた核フラックス加速器（原子力ビーム／プラズマ）・核反応炉（核融合炉）を、研究開発している。アルファ粒子、D（重水素）、プラズマなどを、電界（／磁界）などで、加速して、磁界（／電界）などで、粒子（アルファ粒子、D（重水素）、イオン、など）やフラックス（アルファ粒子、D（重水素）、イオン、プラズマなど）の軌道の確保して、ピンチしたり電磁場レンズでフォーカスしたりする。この際、加速用端子をスイッチにして、其々の端子に、時系列で、粒子やフラックスに適宜にタイミングを合わせて、（高）電圧をかけても良い。粒子やフラックス加速後に、オプションとして、（プラズマジェット推進機のように）中和ビームを注入しても良い。
ターゲット（タブレット／シート、ターゲット空間、など）には、反応物（アルファ粒子、D（重水素）、イオン、プラズマ、など）を入れておく。
エネルギー（熱、ガンマ線、等）を生成して、パワージェネレーター（発電所）にしても良い。エネルギーを蓄電して、熱を発生させて、熱発電（温度差発電素子、ぺルチエ素子など）で、これを電池に用いても良い。
吉野カズトラは、超電導体(Super Conductor:スーパーコンダクター)の研究開発をしている。吉野カズトラが、高磁界を作るのに、ハイブリット型マグネットの研究開発をして、マグネットの大きさと磁束密度のこともあり、外側は、超電導体のマグネットにして、内側は、臨界磁界に影響を受けないように、銅のマグネットを用いている。核融合炉は、巨大でも良いので、高磁界のために、巨大なマグネットを作っている。しかし、巨大マグネットのために、大電力(大電流)が必要なので、超電導送電線(超電導ケーブル、スーパーコンダクターケーブル)を用いて、各発電所から、電気を持ってきたり、巨大マグネシウム発電所をサイドに作ったりしている。この巨大マグネシウム発電所から得られた水素から重水素を抽出して、吉野カズトラ王子のエコロジーシステム(Ecology System: Nuclear Fusion Reactor,核融合炉)で用いて、普通の水素は、吉野カズトラ王子のエコロジーシステム(Ecology System: Electron Energy System, 電子エネルギーシステム)で用いている。吉野カズトラ王子の核融合炉の一つは、高温プラズマ高磁界封じ込め型のトカマク核融合炉なので、1T~1000T(1テスラ〜1000テスラ)ぐらい以上の高磁界マグネットを用いて、高温プラズマと高温電子を封じ込めて、十分なエネルギーとクロスセクションで、核融合を起こさせる。アルファ粒子には正電荷にして、プラズマジェットエンジンに用いられて、ベータ粒子は、負電荷で、高磁界に封じ込められた後、高電圧コンデンサーやバッテリーに蓄電して、ガンマ粒子は熱に変換されるので、放射能が核融合炉の外には殆んど出ないので、究極の吉野カズトラのエコロジーシステムである。吉野カズトラの管理の元に、吉野カズトラ王子の原子炉と核融合炉は、安全に稼働する。吉野カズトラの核融合炉は、宇宙、世界中に作られて、吉野カズトラ宇宙防衛機構のエネルギー源になるだろう。吉野カズトラによって、吉野カズトラのエコロジーシステム(エネルギーシステム)は、地球、火星、等の太陽系、銀河系、宇宙系で、用いられるだろう。
本発明は、ジェットを噴出して走行する宇宙船である。吉野カズトラは、より優れた核フラックス加速器（原子力ビーム／プラズマ）・核反応炉（核融合炉）を、研究開発している。アルファ粒子、D（重水素）、プラズマなどを、電界（／磁界）などで、加速して、磁界（／電界）などで、粒子（アルファ粒子、D（重水素）、イオン、など）やフラックス（アルファ粒子、D（重水素）、イオン、プラズマなど）の軌道の確保して、ピンチしたり電磁場レンズでフォーカスしたりする。この際、加速用端子をスイッチにして、其々の端子に、時系列で、粒子やフラックスに適宜にタイミングを合わせて、（高）電圧をかけても良い。粒子やフラックス加速後に、オプションとして、（プラズマジェット推進機のように）中和ビームを注入しても良い。
ターゲット（タブレット／シート、ターゲット空間、など）には、反応物（アルファ粒子、D（重水素）、イオン、プラズマ、など）を入れておく。エネルギー（熱、ガンマ線、等）を生成して、パワージェネレーター（発電所）にしても良い。エネルギーを蓄電して、熱を発生させて、熱発電（温度差発電素子、ぺルチエ素子など）で、これを電池に用いても良い。
F=q(E + v x B)によって、システムを設計する。（この物理式によって、電荷を持つ粒子に働く力と運動を計算できる。）
D（重水素）粒子フラックスのクロスセクション（接触断面積）を十分に確保する必要がある。つまり、D２Oからイオンガスを作る、若しくは、D２からプラズマを作り、磁場（や電場）を用いて、プラスイオン（D（重水素）粒子、（D+イオン））とマイナスイオン（電子、（OD-イオン））を分離して、D（重水素）粒子を高磁場（や電場）を用いて、高濃度のD（重水素）粒子フラックスビームを作り、加速器で加速して、D（重水素）粒子フラックスビーム同士を衝突させて、核融合反応を起こさせる。この核融合のエネルギーにグレイディエントをかけて、反応物（ヘリウム（He））に方位性を持たせて、ジェット噴出することによって、推進力（推進エネルギー）にする。
オプションとして、トロイダル（トカマク）型の核融合炉で、連鎖反応（チェインリアクション）を起こさせる。チェインリアクションについて、D（重水素）は、反応して（D−D）、TかHeになる。
Kazutora Yoshino Nuclear Fusion Sequence
Equations (Package)
(D-D, T-p or He(3)-n)
(D-T, He(4)-n)
(D-He(3), He(4)-p)
(T-T, He(4),2n)
(He(3)-He(3), He(4)+2p)
(He(3)-T, He(4)+p+n)
(He(3)-T, He(4)+D)
Reaction Rate (R.R.) = f = n1*n2*crosssection*velocity
= Kp''*crosssection*velocity/((kT)^epsironp)*exp(-deltaE/kT)
ND = NDo*Sigma(rp^i) for(i=1:n)
核融合炉で得たエネルギーから、より多くの重水素、D２O（固体、液体、気体）、D ２（液体、ガス）、O2、D+、OH-を作り、核融合に利用したり、H2O、H2、O2を作るのが可能である（Ecology System）。
システムに燃料補給するのは、連続的（コンティニュアス）か、断続的（パルスビーム弾のようにフラックスをぶつけ合うの）で良い。断続的だと、プロペラなどで、ヘリウムを排出しやすくなるので、より良いEpを選べるので、反応速度が速くなり、効果的である。
連続的だと、システムが、安定しやすいので効果的である。
大量に発生するヘリウムを保存して、飛行船、飛行空中都市、飛行空中基地・宇宙ロケット発着場などに、用いることも可能である。
人工衛星は、太陽の中心から、太陽と地球の間の距離の約１０００分の１から、約１００分の１ぐらいで、ダイヤモンドなどの物質の融点以内の温度の場所に配置する。
核融合ロケットシステムは、コストパフォーマンス良く、ロケット、人工衛星を打ち上げられるため、宇宙太陽光エネルギーシステムを、コストパフォーマンス良く作ることができて、これにより、太陽光エネルギーシステムの建造が加速出来る。このため、エネルギー問題を、加速的に解決できて、Ecology Systemをより現実的なものとする。
Ecology （Smart） Systemは、エネルギーを、速攻で、必要量に対して多めにあるところから、必要量に対して少なめにあるところに、（ある程度一様に）分配して、適宜にエネルギー供給をする、エネルギーネットワークシステムである。このため、全体としては、雲、天候などの影響を受けづらく、また、人工衛星が発する（送信する）エネルギービームを継続的に、エネルギービーム受信することによって、より高いエネルギーを受理できる。
Ecology （Smart） Systemは、この豊富なエネルギーを用いて、人工的に（化学反応で）食料品（飲料水、砂糖、等）を作るなどして、食糧事情も解決できる。また、衣料品、医療品の製造も、コストパフォーマンス良くできる。
本発明は、エネルギー／蓄えられたエネルギー／熱エネルギー／原子核エネルギ―／自然のエネルギー・ポテンシャルを活用して、ジェットを噴出して走行する宇宙核融合ロケット（エンジン）エネルギーシステムである。
【発明の効果】
【００１０】
核融合ロケットシステムは、コストパフォーマンス良く、宇宙太陽光エネルギーシステムを、作ることができて、太陽光エネルギーシステムの建造が加速出来て、加速的にEcology （Smart）
Systemを作り、豊富なエネルギーを用いて、人工的に食料品（飲料水）、衣料品、医療品の製造も、コストパフォーマンス良く作ることができる。
【図面の簡単な説明】
【００１１】
【図１】図１は、エコロジー・エネルギー・システムのイメージ概念図である。
【図２】図２は、エコロジー・エネルギー・システムのイメージ概念図である。
【図３】図３は、エコロジー・エネルギー・システムのイメージ概念図である。
【図４】図４は、エコロジー・エネルギー・システムのイメージ概念図である。
【図５】図５は、エコロジー・エネルギー・システムのイメージ概念図である。
【図６】図６は、エコロジー・エネルギー・システムのイメージ概念図である。
【図７】図７は、エコロジー・エネルギー・システムのイメージ概念図である。
【図８】図８は、エコロジー・エネルギー・システムのイメージ概念図である。
【図９】図９は、エコロジー・エネルギー・システムのイメージ概念図である。
【図１０】図１０は、エコロジー・エネルギー・システムのイメージ概念図である。
【図１１】図１１は、エコロジー・エネルギー・システムのイメージ概念図である。
【図１２】図１２は、エコロジー・エネルギー・システムのイメージ概念図である。
【図１３】図１３は、エコロジー・エネルギー・システムのイメージ概念図である。
【図１４】図１４は、エコロジー・エネルギー・システムのイメージ概念図である。
【図１５】図１５は、エコロジー・エネルギー・システムのイメージ概念図である。
【図１６】図１６は、エコロジー・エネルギー・システムのイメージ概念図である。
【図１７】図１７は、エコロジー・エネルギー・システムのイメージ概念図である。
【図１８】図１８は、エコロジー・エネルギー・システムのイメージ概念図である。
【図１９】図１９は、エコロジー・エネルギー・システムのイメージ概念図である。
【発明を実施するための形態】
【００１２】
核融合システムの磁場は、マグネット（特に、超電導マグネットコイル）を用いた、高磁場にする。加速器とプラズマ炉と融合して、核融合炉（エンジン）システムを作るのが、最適な形態である。
ハウジングは可能な限りダイヤモンドやDLCを用いる。
【実施例１】
【００１３】
図１は、エコロジー・エネルギー・システムの核燃料型宇宙船（エネルギー・チャート）のイメージ概念図である。
核反応炉（原子炉／核融合炉）で、燃料１からエネルギー（熱）発生させて、推進エネルギー（動力）にする。オプションとして、燃料２をプラズマジェットエンジンとして、推進エネルギー（動力）にする。
プロペラ・タービンについて、吉野一虎回転行列を用いて、効果的な計算ができる。
【００１４】
図２は、エコロジー・エネルギー・システムの３Dコントローラーイメージ概念図である。ジョイスティック、３Dペン、フォースボールを用いたり、脳波で、直接、宇宙船（宇宙ロケット）を操作するのも可能である。
【００１５】
図３は、エコロジー・エネルギー・システムのプラズマロケットのイメージ概念図である。
【００１６】
図４は、エコロジー・エネルギー・システムの加速器型宇宙船（Accelerator
Style Universal Space Ship）のイメージ概念図である。イオンビーム（素粒子ビーム）を衝突させて、E=ｍｃ＾２のエネルギーを得る。
【００１７】
図５は、エコロジー・エネルギー・システムの核融合型宇宙船のイメージ概念図である。レーザービームを、核融合用のペレットに照射して、起爆（爆発）させ、そのエネルギーを、推進エネルギーに、用いる（変換する）。
【００１８】
図６は、エコロジー・エネルギー・システムの鯱型宇宙船のイメージ概念図である。核融合反応のエネルギーで、宇宙航行する。  
【００１９】
図７は、エコロジー・エネルギー・システムの核反応炉発電所のイメージ概念図である。センターで、核反応（核爆発）を起こし、（水蒸気などの）爆風を、プロペラで、エネルギーに変換する。また、熱エネルギーを、熱電発電で、エネルギーに変換する。
【００２０】
図８は、エコロジー・エネルギー・システムのロケットのイメージ概念図である。燃料（水素、酸素、核燃料、等）を燃焼させて、エネルギーを発生させて、ハウジングの形、プロペラなどで、エネルギー物質（爆風）に方位性を持たせて、推進力にする。
【００２１】
図９は、エコロジー・エネルギー・システムのイメージ概念図である。燃料（水素、酸素、核燃料、等）を燃焼させて、エネルギーを発生させて、ハウジングの形などで、エネルギー物質（爆風）に方位性を持たせて、推進力にする。
【００２２】
図１０は、エコロジー・エネルギー・システムのイメージ概念図である。燃料（水素、酸素、核燃料、等）を燃焼させて、エネルギーを発生させて、ハウジングの形などで、エネルギー物質（爆風）に方位性を持たせて、推進力にする。温度と核融合反応速度の関連を示す、チャートである。
【００２３】
図１１は、エコロジー・エネルギー・システムのイメージ概念図である。核融合炉の外観を示している。
１．重水素水を、イオンにして、ガスにする。イオンガスを、電界を用いて、プラスイオン（D+）とマイナスイオン（OD-）に分離する。マイナスイオン（OD-）から酸素（O2）と重水素を作る。
２．重水素（D2）をプラズマ（D+とe-）にして、磁界（や電界）を用いて。D+とe-(電子)に分離する。
プラスイオン（D+）フラックス（ビーム）を、電界などで、加速して、衝突させて、核融合を起こさせる。オプションとして、レーザー（ポンピング）も可能である。
トロイダル型の磁界封じ込め高温核融合炉に、イオンフラックスを投入して、核融合を継続的に起こして、核融合炉を運転しても良い。
ヘリウムは、飛行船、飛行空中都市などに、用いれる。惑星などに、核融合炉を作ることによって、水から酸素と水素、重水素を作ることが可能になるので、人類が、惑星（火星など）に移転することが可能になる。
【００２４】
図１２は、エコロジー・エネルギー・システムのD-Dから始まる核融合連鎖反応式パッケージのイメージ概念図である。He-T核反応が生成するDは、核融合炉で、核燃料として、再度、用いられる。
【００２５】
図１３は、エコロジー・エネルギー・システムの宇宙船ロケットのイメージ概念図である。核融合を加速器で起こして、爆発したエネルギー（反応物質）に、方位性を持たせて、推進力にする宇宙船ロケットである。
【００２６】
図１４は、エコロジー・エネルギー・システムの宇宙太陽光エネルギー（発電）用の人工衛星のイメージ概念図である。太陽と地球の距離の約１０００分の１から、約１００分の１ぐらいが、丁度良い。現実的には、温度を考慮すると、約１００分の１ぐらいが、理にかなっているが、約１０００分の１、つまり、太陽の中へ入って、発電するのは、チャレンジであるが、可能である。
【００２７】
図１５は、エコロジー・エネルギー・システムの宇宙太陽光エネルギー（発電）用の人工衛星のイメージ概念図である。太陽の周りを回るのに、十分な速度を得たり、宇宙航行に、太陽などの重力などを利用する。角運動量保存の法則を用いて、地球からの速度（速さと角度）を決めれる。
【００２８】
図１６は、エコロジー・エネルギー・システムの宇宙太陽光エネルギー（発電）用の人工衛星のイメージ概念図である。吉野一虎回転行列（ヨシノカズトラローテーションマトリクス,Kazutora Yoshino Rotation Matrix）を用いることによって、人工衛星から発射されるレーザー、ビームの角度を計算できる。地球上でのパラボラ鏡の角度等も計算できる。Ecology System、Ecology Smart Energy System、Universal Energy Network Systemなどで、エネルギーを、速攻で（素早く）、適宜に、ネットワーク分配することによって、適材適所に、エネルギーが、配布される。
【００２９】
図１７は、エコロジー・エネルギー・システムの宇宙ロケットのイメージ概念図である。重力ポテンシャルに打ち勝つエネルギー量の計算と、重力加速の方法、角速度保存の法則を用いて、加速する方法などがある。
【００３０】
図１８は、エコロジー・エネルギー・システムの宇宙太陽光エネルギー（発電）用の人工衛星のレーザー（発生器）のイメージ概念図である。太陽光エネルギーを、レーザー（ポンピング）エネルギーとして、レーザー・ビームを発生させる。若しくは、マイクロウェーブ、電磁波、などを生成・発信しても良い。
【００３１】
図１９は、エコロジー・エネルギー・システムのイメージ概念図である。パラボラ（アンテナ・鏡）などの角度について示している。
【産業上の利用可能性】
【００３２】
核融合エネルギー、太陽光（熱）発電（エネルギーの生産）とその応用（飲料水・塩・砂糖・グルコース・エタノール、等の生産）によって、エコロジー・スマート・システムを創造して、エコロジーにより良いエコロジー・エネルギー・システム、宇宙エネルギー開発と宇宙太陽光エネルギー発電世界国際ネットワークを作れる。
YOSHINO UNIVERSE
Kazutora Yoshino Universal Almighty King
Emperor of World's Ecology Smart System
Kazutora Yoshino Universal Almighty King
Emperor of World's Universal Solar Energy System
Kazutora Yoshino Universal Almighty King
Emperor of World's Universal Nuclear Fusion (Rocket Engine) Energy System
【図１】
2018048555.tif 000003
【図２】
2018048555.tif 000004
【図３】
2018048555.tif 000005
【図４】
2018048555.tif 000006
【図５】
2018048555.tif 000007
【図６】
2018048555.tif 000008
【図７】
2018048555.tif 000009
【図８】
2018048555.tif 000010
【図９】
2018048555.tif 000011
【図１０】
2018048555.tif 000012
【図１１】
2018048555.tif 000013
【図１２】
2018048555.tif 000014
【図１３】
2018048555.tif 000015
【図１４】
2018048555.tif 000016
【図１５】
2018048555.tif 000017
【図１６】
2018048555.tif 000018
【図１７】
2018048555.tif 000019
【図１８】
2018048555.tif 000020
【図１９】
2018048555.tif 000021
【手続補正書】
【提出日】平成25年2月1日(2013.2.1)
【手続補正１】
【補正対象書類名】明細書
【補正対象項目名】００１１
【補正方法】変更
【補正の内容】
【００１１】
【図１】図１は、エコロジー・エネルギー・システムのイメージ概念図である。
【図２】図２は、エコロジー・エネルギー・システムのイメージ概念図である。
【図３】図３は、エコロジー・エネルギー・システムのイメージ概念図である。
【図４】図４は、エコロジー・エネルギー・システムのイメージ概念図である。
【図５】図５は、エコロジー・エネルギー・システムのイメージ概念図である。
【図６】図６は、エコロジー・エネルギー・システムのイメージ概念図である。
【図７】図７は、エコロジー・エネルギー・システムのイメージ概念図である。
【図８】図８は、エコロジー・エネルギー・システムのイメージ概念図である。
【図９】図９は、エコロジー・エネルギー・システムのイメージ概念図である。
【図１０】図１０は、エコロジー・エネルギー・システムのイメージ概念図である。
【図１１】図１１は、エコロジー・エネルギー・システムのイメージ概念図である。
【図１２】図１２は、エコロジー・エネルギー・システムのイメージ概念図である。
【図１３】図１３は、エコロジー・エネルギー・システムのイメージ概念図である。
【図１４】図１４は、エコロジー・エネルギー・システムのイメージ概念図である。
【図１５】図１５は、エコロジー・エネルギー・システムのイメージ概念図である。
【図１６】図１６は、エコロジー・エネルギー・システムのイメージ概念図である。
【図１７】図１７は、エコロジー・エネルギー・システムのイメージ概念図である。
【図１８】図１８は、エコロジー・エネルギー・システムのイメージ概念図である。
【図１９】図１９は、エコロジー・エネルギー・システムのイメージ概念図である。
【図２０】図２０は、エコロジー・エネルギー・システムのイメージ概念図である。    本発明の図２０についての説明用のストーリ：吉野カズトラ宇宙世界皇帝は、吉野カズトラ宇宙世界皇帝国のエネルギーシステムを増強していた。 I.  宇宙太陽光発電システム（ソーラー（ユニット）サテライト）（USES）II.  宇宙太陽光電池製造システムIII.  宇宙核融合炉発電システムIV.  地上核融合発電システムV.  海上（海底）核融合発電システム 吉野カズトラ宇宙世界皇帝は、巨大な宇宙発電・太陽光エネルギー・送信システム（太陽の付近に宇宙太陽光人工衛星を配置）と受信システム（ロッキー山脈の頂にあるロッキーマウンテンナショナルパーク(Rocky Mountain National Park)や、アリゾナの砂漠、アラスカのマッキンレー山脈、サハラ砂漠、等）を作っていた。 吉野カズトラ宇宙世界皇帝は、また、宇宙での真空を利用して、（トカマク型）プラズマ封じ込め高温適圧の宇宙核融合炉を作ることを進めていた。 吉野カズトラ宇宙世界皇帝は、また、地上でプラズマ・イオン発電所を作り、プラズマ封じ込め高温適圧の宇宙核融合炉を運転していた。 吉野カズトラ宇宙世界皇帝は、また、海上で太陽光・風力・海洋エネルギー発電所を作り、海上（海底）核融合炉を運転していた。（核反応の事故に対して、比較的安全である） Reference:www.yoshinouniverse.comISBN0-8118-0897-1ISBN4-339-00552-5ISBN4-7853-6112-3
【手続補正２】
【補正対象書類名】図面
【補正対象項目名】図２０
【補正方法】追加
【補正の内容】
【図２０】
2018048555.tif 000022
【手続補正書】
【提出日】平成25年2月4日(2013.2.4)
【手続補正１】
【補正対象書類名】明細書
【補正対象項目名】００１１
【補正方法】変更
【補正の内容】
【００１１】
【図１】図１は、エコロジー・スマート・システムのイメージ概念図である。 太陽光について、GPSを用いて位置・角度の測定を行い、（ブラックボディーのような）センターボール表面に、パラボラミラーの反射光の焦点をセンターボールに受光することで主に受光・集光を行い、オプションとして、ナノグラスの（マイクロ）レンズアレイによって被覆したセンターボールのハウジングの光（熱）入力手段において、該ハウジング内の上部に装着されたスチームによって、発電機を起動して、超伝導体磁石によって、電気を発電する太陽光（熱）発電システム。 電波について、GPSを用いて位置・角度の測定を行い、パラボラアンテナの反射波の焦点を焦点に受信して、電波の発信源に向けて、自動で適宜に受信ユニットの受信面の（位置）・角度を調整することを特徴とするパラボラアンテナシステム。
【図２】図２は、エコロジー・システム・燃料・チャートのイメージ概念図である。光・レーザー・ビーム・電磁波・電（磁）気・光触媒・エネルギーの適宜な組み合わせを用いて、二酸化炭素、水、メタンハイドレードから、砂糖・グルコース・エタノール・メタンを作り、可能性として、水素と酸素と水を作る、エコロジー・システム。
【図３】図３は、エコロジー・システム・燃料・チャートのイメージ概念図である。
【図４】図４は、エコロジー・システムのイメージ概念図である。
【図５】図５は、エコロジー・システムのイメージ概念図である。
【図６】図６は、エコロジー・システムのイメージ概念図である。
【図７】図７は、エコロジー・システムのイメージ概念図である。
【図８】図８は、エコロジー・システムのイメージ概念図である。
【図９】図９は、エコロジー・システムのイメージ概念図である。
【図１０】図１０は、エコロジー・システムのイメージ概念図である。
【図１１】図１１は、エコロジー・システムのイメージ概念図である。
【図１２】図１２は、エコロジー・システムのイメージ概念図である。
【図１３】図１３は、エコロジー・システムのイメージ概念図である。
【図１４】図１４は、エコロジー・システムのイメージ概念図である。海水から、ジェット水を噴出して、駆動・推進して、オプションとして飲料水・塩を作るエコロジー・システム。
【図１５】図１５は、エコロジー・システムのイメージ概念図である。
【図１６】図１６は、エコロジー・システムのイメージ概念図である。
【図１７】図１７は、エコロジー・システムの数式（問題）と解答（ヒント）のイメージ概念図である。
【図１８】図１８は、エコロジー・システムの数式（問題）と解答（ヒント）のイメージ概念図である。
【図１９】図１９は、自動論理構築アルゴリズム（オート・ロジック・ネットワーク・メイキング・アルゴリズム）のイメージ概念図である。（セルフ・イクスプレナタリー）
【図２０】図２０は、エコロジー・エネルギー・システム(エア・ジェット型飲料水・塩精製システム（船）シップ)のイメージ概念図である。  吉野カズトラ宇宙世界皇帝の飲料水・塩精製（所）船（シップ）は、プロペラ（＋モーター／ジェットエンジンで、空気を取り入れて、ジェットタオル風（オプション：熱風）を作り、（インクジェット等の）ノズルで霧化（ミスト化）されたてローラーに付着された海水を、乾燥させて塩を作って（スクーパーで）回収して、オプションとして気体の水（蒸気、スチーム）を、（航行の際に（／ポンプによって）汲み上げれる海水で冷却して）飲料水にして回収する飲料水・塩精製システム（船）シップである。
【手続補正２】
【補正対象書類名】図面
【補正対象項目名】図２０
【補正方法】変更
【補正の内容】
【図２０】
2018048555.tif 000023
【手続補正書】
【提出日】平成25年2月6日(2013.2.6)
【手続補正１】
【補正対象書類名】明細書
【補正対象項目名】００１１
【補正方法】変更
【補正の内容】
【００１１】
【図１】図１は、エコロジー・スマート・システムのイメージ概念図である。 太陽光について、GPSを用いて位置・角度の測定を行い、（ブラックボディーのような）センターボール表面に、パラボラミラーの反射光の焦点をセンターボールに受光することで主に受光・集光を行い、オプションとして、ナノグラスの（マイクロ）レンズアレイによって被覆したセンターボールのハウジングの光（熱）入力手段において、該ハウジング内の上部に装着されたスチームによって、発電機を起動して、超伝導体磁石によって、電気を発電する太陽光（熱）発電システム。 電波について、GPSを用いて位置・角度の測定を行い、パラボラアンテナの反射波の焦点を焦点に受信して、電波の発信源に向けて、自動で適宜に受信ユニットの受信面の（位置）・角度を調整することを特徴とするパラボラアンテナシステム。
【図２】図２は、エコロジー・システム・燃料・チャートのイメージ概念図である。光・レーザー・ビーム・電磁波・電（磁）気・光触媒・エネルギーの適宜な組み合わせを用いて、二酸化炭素、水、メタンハイドレードから、砂糖・グルコース・エタノール・メタンを作り、可能性として、水素と酸素と水を作る、エコロジー・システム。
【図３】図３は、エコロジー・システム・燃料・チャートのイメージ概念図である。
【図４】図４は、エコロジー・システムのイメージ概念図である。
【図５】図５は、エコロジー・システムのイメージ概念図である。
【図６】図６は、エコロジー・システムのイメージ概念図である。
【図７】図７は、エコロジー・システムのイメージ概念図である。
【図８】図８は、エコロジー・システムのイメージ概念図である。
【図９】図９は、エコロジー・システムのイメージ概念図である。
【図１０】図１０は、エコロジー・システムのイメージ概念図である。
【図１１】図１１は、エコロジー・システムのイメージ概念図である。
【図１２】図１２は、エコロジー・システムのイメージ概念図である。
【図１３】図１３は、エコロジー・システムのイメージ概念図である。
【図１４】図１４は、エコロジー・システムのイメージ概念図である。海水から、ジェット水を噴出して、駆動・推進して、オプションとして飲料水・塩を作るエコロジー・システム。
【図１５】図１５は、エコロジー・システムのイメージ概念図である。
【図１６】図１６は、エコロジー・システムのイメージ概念図である。
【図１７】図１７は、エコロジー・システムの数式（問題）と解答（ヒント）のイメージ概念図である。
【図１８】図１８は、エコロジー・システムの数式（問題）と解答（ヒント）のイメージ概念図である。
【図１９】図１９は、自動論理構築アルゴリズム（オート・ロジック・ネットワーク・メイキング・アルゴリズム）のイメージ概念図である。（セルフ・イクスプレナタリー）
【図２０】図２０は、エコロジー・エネルギー・システム(エア・ジェット型飲料水・塩精製システム（船）シップ)のイメージ概念図である。  吉野カズトラ宇宙世界皇帝の飲料水・塩精製（所）船（シップ）は、プロペラ（＋モーター／ジェットエンジンで、空気を取り入れて、ジェットタオル風（オプション：熱風）を作り、（インクジェット等の）ノズルで霧化（ミスト化）されたてローラーに付着された海水を、乾燥させて塩を作って（スクーパーで）回収して、オプションとして気体の水（蒸気、スチーム）を、（航行の際に（／ポンプによって）汲み上げれる海水で冷却して）飲料水にして回収する飲料水・塩精製システム（船）シップである。
【図２１】図２１は、エコロジー・エネルギー・システム(飲料水・塩精製システム)のイメージ概念図である。太陽光などのエネルギーを用いて、太陽光電池を利用したり、（水を太陽光や燃料（石油、石炭、ガス、等）やヒーターなどで熱して水蒸気（スチーム）にして）発電機（モーター）を回転して、オプションとしてバッテリー（電池）に充電して、モーター（ポンプ）を用いて、地下水（飲料水）をくみ上げる。オプションとして、海水を、飲料水と塩にしても良い。オプションとして、水を太陽光で温め、（コンプレッサー）モーター（ポンプ）とスプレイノズルで霧化して、ヒーターで熱して、水蒸気にする。オプションとして、（海水汲み上げ用）モーター（ポンプ）、（コンプレッサー用）モーター（ポンプ）、（地下水くみ上げ用）モーター（ポンプ）を有する。とオプションとして、発電機（モーター）とモーター（ポンプ）のシャフトをクラッチ（ギヤ）で、適宜に繋いだり（適宜に、切り離して）、１．タービン（モーター（ポンプ））を直接回転する、２．モーター（ポンプ）を発電機からの直接電流で回転する、３．バッテリー（電池）からの電流で回転する、を、コンピューター制御などで適宜に選択することを可能にする。飲料水をボトル（や水道管）に入れて、運搬、配送するシステム。
【手続補正２】
【補正対象書類名】図面
【補正対象項目名】図２０
【補正方法】変更
【補正の内容】
【図２０】
2018048555.tif 000024
【手続補正３】
【補正対象書類名】図面
【補正対象項目名】図２１
【補正方法】追加
【補正の内容】
【図２１】
2018048555.tif 000025
【手続補正書】
【提出日】平成25年2月7日(2013.2.7)
【手続補正１】
【補正対象書類名】明細書
【補正対象項目名】００１１
【補正方法】変更
【補正の内容】
【００１１】
【図１】図１は、エコロジー・スマート・システムのイメージ概念図である。 太陽光について、GPSを用いて位置・角度の測定を行い、（ブラックボディーのような）センターボール表面に、パラボラミラーの反射光の焦点をセンターボールに受光することで主に受光・集光を行い、オプションとして、ナノグラスの（マイクロ）レンズアレイによって被覆したセンターボールのハウジングの光（熱）入力手段において、該ハウジング内の上部に装着されたスチームによって、発電機を起動して、超伝導体磁石によって、電気を発電する太陽光（熱）発電システム。 電波について、GPSを用いて位置・角度の測定を行い、パラボラアンテナの反射波の焦点を焦点に受信して、電波の発信源に向けて、自動で適宜に受信ユニットの受信面の（位置）・角度を調整することを特徴とするパラボラアンテナシステム。
【図２】図２は、エコロジー・システム・燃料・チャートのイメージ概念図である。光・レーザー・ビーム・電磁波・電（磁）気・光触媒・エネルギーの適宜な組み合わせを用いて、二酸化炭素、水、メタンハイドレードから、砂糖・グルコース・エタノール・メタンを作り、可能性として、水素と酸素と水を作る、エコロジー・システム。
【図３】図３は、エコロジー・システム・燃料・チャートのイメージ概念図である。
【図４】図４は、エコロジー・システムのイメージ概念図である。
【図５】図５は、エコロジー・システムのイメージ概念図である。
【図６】図６は、エコロジー・システムのイメージ概念図である。
【図７】図７は、エコロジー・システムのイメージ概念図である。
【図８】図８は、エコロジー・システムのイメージ概念図である。
【図９】図９は、エコロジー・システムのイメージ概念図である。
【図１０】図１０は、エコロジー・システムのイメージ概念図である。
【図１１】図１１は、エコロジー・システムのイメージ概念図である。
【図１２】図１２は、エコロジー・システムのイメージ概念図である。
【図１３】図１３は、エコロジー・システムのイメージ概念図である。
【図１４】図１４は、エコロジー・システムのイメージ概念図である。海水から、ジェット水を噴出して、駆動・推進して、オプションとして飲料水・塩を作るエコロジー・システム。
【図１５】図１５は、エコロジー・システムのイメージ概念図である。
【図１６】図１６は、エコロジー・システムのイメージ概念図である。
【図１７】図１７は、エコロジー・システムの数式（問題）と解答（ヒント）のイメージ概念図である。
【図１８】図１８は、エコロジー・システムの数式（問題）と解答（ヒント）のイメージ概念図である。
【図１９】図１９は、自動論理構築アルゴリズム（オート・ロジック・ネットワーク・メイキング・アルゴリズム）のイメージ概念図である。（セルフ・イクスプレナタリー）
【図２０】図２０は、エコロジー・エネルギー・システム(エア・ジェット型飲料水・塩精製システム（船）シップ)のイメージ概念図である。  吉野カズトラ宇宙世界皇帝の飲料水・塩精製（所）船（シップ）は、プロペラ（＋モーター／ジェットエンジンで、空気を取り入れて、ジェットタオル風（オプション：熱風）を作り、（インクジェット等の）ノズルで霧化（ミスト化）されたてローラーに付着された海水を、乾燥させて塩を作って（スクーパーで）回収して、オプションとして気体の水（蒸気、スチーム）を、（航行の際に（／ポンプによって）汲み上げれる海水で冷却して）飲料水にして回収する飲料水・塩精製システム（船）シップである。
【図２１】図２１は、エコロジー・エネルギー・システム(飲料水・塩精製システム)のイメージ概念図である。太陽光などのエネルギーを用いて、太陽光電池を利用したり、（水を太陽光や燃料（石油、石炭、ガス、等）やヒーターなどで熱して水蒸気（スチーム）にして）発電機（モーター）を回転して、オプションとしてバッテリー（電池）に充電して、モーター（ポンプ）を用いて、地下水（飲料水）をくみ上げる。オプションとして、海水を、飲料水と塩にしても良い。オプションとして、水を太陽光で温め、（コンプレッサー）モーター（ポンプ）とスプレイノズルで霧化して、ヒーターで熱して、水蒸気にする。オプションとして、（海水汲み上げ用）モーター（ポンプ）、（コンプレッサー用）モーター（ポンプ）、（地下水くみ上げ用）モーター（ポンプ）を有する。とオプションとして、発電機（モーター）とモーター（ポンプ）のシャフトをクラッチ（ギヤ）で、適宜に繋いだり（適宜に、切り離して）、１．タービン（モーター（ポンプ））を直接回転する、２．モーター（ポンプ）を発電機からの直接電流で回転する、３．バッテリー（電池）からの電流で回転する、を、コンピューター制御などで適宜に選択することを可能にする。飲料水をボトル（や水道管）に入れて、運搬、配送するシステム。
【図２２】図２２は、エコロジー・エネルギー・システムのイメージ概念図である。  吉野カズトラ宇宙世界皇帝は、雪（コロラド（ロッキー山脈）、ウィスコンシン、新潟のように積雪量が多い地域で特に有効）、湖、川、海などの水を取り入れて、（空間やダクトや渓谷によって）重力を用いて羽（プロペラ／タービン／発電機）を回転させる水力発電を作っていた。オプションとして、浄水するのも良い。積雪をヒーターで溶かして、羽（プロペラ／タービン／発電機）を回転して発電して、雪解け水（飲料水）を作っても良い。（潮の満ち引きや）海水の出入りをゲートで、管理しても良い。水力発電で得た電気を、（オプションとして蓄電池に蓄えて）、モーター（ポンプ）の駆動に用いて、地下水を汲み上げる。
【図２３】図２３は、人類の地球移住面積倍増計画による吉野レベッカハル女王の暗黒帝国（海底地下都市）（Kazutora Yoshino Universe Empire: Rebecca Haru Yoshino Under the SeaEmpire）のエコロジー・エネルギー・システムのイメージ概念図である。  吉野カズトラ宇宙世界皇帝と吉野レベッカハル女王は、ロッキー山脈、ハワイ、ソロモン諸島、沖縄、東京、新潟、入間、横浜などで暗黒帝国（地下都市）の開発を進めていた。吉野カズトラ宇宙世界皇帝は、地下都市が、地震にも強いという特徴を生かしていた。また、吉野カズトラ宇宙世界皇帝は、海水（と重力）が豊富にある特徴を生かして、海底地下都市の電力の供給に、浄水力発電システムを作った。浄水力発電システムは、海水圧と重力を用いて、圧力を作り、（オプションとして）海水をフィルターで浄化して、飲料水を作り、羽（プロペラ）を回転させて、発電して、（オプションとして）電気を蓄電池に貯め、（オプションとして）直接ポンプを回転するか、モーター（ポンプ）を駆動して、（オプションとして）地下水を汲み上げるシステムである。吉野カズトラ宇宙世界皇帝と吉野アシュレーアヤメ女王は、太陽光熱電発電（温度差発電）システムを作った。太陽光熱電発電（温度差発電）システムは、太陽光（熱）で温めた（海上／地上）プレートと（海底／海中／地下）プレートの温度差を用いて、熱電発電するものである。オプションとして、熱電発電素子には、ｐ型半導体とｎ型半導体を用いる。（ゼーベック効果を用いてもよい。）発電で得られた電気（オプションとして蓄電池に貯められた電気）は、（海底／地下）核融合炉、（国際）線形加速器（ILC（International Linear Collider）Accelerator)、地下都市運営、地下鉄、地下デパート、地下農場、地下製薬工場、地下病院、地下工場、地下ビルディング、などに用いられても良い。参照：ISBN０−８１１８−０８９７−１ISBN４−７８５３−６１１２−３  Ｃ３０５４ISBN４−３３９０９９５５２−５
【手続補正２】
【補正対象書類名】図面
【補正対象項目名】図２０
【補正方法】変更
【補正の内容】
【図２０】
2018048555.tif 000026
【手続補正３】
【補正対象書類名】図面
【補正対象項目名】図２１
【補正方法】変更
【補正の内容】
【図２１】
2018048555.tif 000027
【手続補正４】
【補正対象書類名】図面
【補正対象項目名】図２２
【補正方法】追加
【補正の内容】
【図２２】
2018048555.tif 000028
【手続補正５】
【補正対象書類名】図面
【補正対象項目名】図２３
【補正方法】追加
【補正の内容】
【図２３】
2018048555.tif 000029
【手続補正書】
【提出日】平成25年2月8日(2013.2.8)
【手続補正１】
【補正対象書類名】明細書
【補正対象項目名】００１１
【補正方法】変更
【補正の内容】
【００１１】
【図１】図１は、エコロジー・スマート・システムのイメージ概念図である。 太陽光について、GPSを用いて位置・角度の測定を行い、（ブラックボディーのような）センターボール表面に、パラボラミラーの反射光の焦点をセンターボールに受光することで主に受光・集光を行い、オプションとして、ナノグラスの（マイクロ）レンズアレイによって被覆したセンターボールのハウジングの光（熱）入力手段において、該ハウジング内の上部に装着されたスチームによって、発電機を起動して、超伝導体磁石によって、電気を発電する太陽光（熱）発電システム。 電波について、GPSを用いて位置・角度の測定を行い、パラボラアンテナの反射波の焦点を焦点に受信して、電波の発信源に向けて、自動で適宜に受信ユニットの受信面の（位置）・角度を調整することを特徴とするパラボラアンテナシステム。
【図２】図２は、エコロジー・システム・燃料・チャートのイメージ概念図である。光・レーザー・ビーム・電磁波・電（磁）気・光触媒・エネルギーの適宜な組み合わせを用いて、二酸化炭素、水、メタンハイドレードから、砂糖・グルコース・エタノール・メタンを作り、可能性として、水素と酸素と水を作る、エコロジー・システム。
【図３】図３は、エコロジー・システム・燃料・チャートのイメージ概念図である。
【図４】図４は、エコロジー・システムのイメージ概念図である。
【図５】図５は、エコロジー・システムのイメージ概念図である。
【図６】図６は、エコロジー・システムのイメージ概念図である。
【図７】図７は、エコロジー・システムのイメージ概念図である。
【図８】図８は、エコロジー・システムのイメージ概念図である。
【図９】図９は、エコロジー・システムのイメージ概念図である。
【図１０】図１０は、エコロジー・システムのイメージ概念図である。
【図１１】図１１は、エコロジー・システムのイメージ概念図である。
【図１２】図１２は、エコロジー・システムのイメージ概念図である。
【図１３】図１３は、エコロジー・システムのイメージ概念図である。
【図１４】図１４は、エコロジー・システムのイメージ概念図である。海水から、ジェット水を噴出して、駆動・推進して、オプションとして飲料水・塩を作るエコロジー・システム。
【図１５】図１５は、エコロジー・システムのイメージ概念図である。
【図１６】図１６は、エコロジー・システムのイメージ概念図である。
【図１７】図１７は、エコロジー・システムの数式（問題）と解答（ヒント）のイメージ概念図である。
【図１８】図１８は、エコロジー・システムの数式（問題）と解答（ヒント）のイメージ概念図である。
【図１９】図１９は、自動論理構築アルゴリズム（オート・ロジック・ネットワーク・メイキング・アルゴリズム）のイメージ概念図である。（セルフ・イクスプレナタリー）
【図２０】図２０は、エコロジー・エネルギー・システム(エア・ジェット型飲料水・塩精製システム（船）シップ)のイメージ概念図である。  吉野カズトラ宇宙世界皇帝の飲料水・塩精製（所）船（シップ）は、プロペラ（＋モーター／ジェットエンジンで、空気を取り入れて、ジェットタオル風（オプション：熱風）を作り、（インクジェット等の）ノズルで霧化（ミスト化）されたてローラーに付着された海水を、乾燥させて塩を作って（スクーパーで）回収して、オプションとして気体の水（蒸気、スチーム）を、（航行の際に（／ポンプによって）汲み上げれる海水で冷却して）飲料水にして回収する飲料水・塩精製システム（船）シップである。
【図２１】図２１は、エコロジー・エネルギー・システム(飲料水・塩精製システム)のイメージ概念図である。太陽光などのエネルギーを用いて、太陽光電池を利用したり、（水を太陽光や燃料（石油、石炭、ガス、等）やヒーターなどで熱して水蒸気（スチーム）にして）発電機（モーター）を回転して、オプションとしてバッテリー（電池）に充電して、モーター（ポンプ）を用いて、地下水（飲料水）をくみ上げる。オプションとして、海水を、飲料水と塩にしても良い。オプションとして、水を太陽光で温め、（コンプレッサー）モーター（ポンプ）とスプレイノズルで霧化して、ヒーターで熱して、水蒸気にする。オプションとして、（海水汲み上げ用）モーター（ポンプ）、（コンプレッサー用）モーター（ポンプ）、（地下水くみ上げ用）モーター（ポンプ）を有する。とオプションとして、発電機（モーター）とモーター（ポンプ）のシャフトをクラッチ（ギヤ）で、適宜に繋いだり（適宜に、切り離して）、１．タービン（モーター（ポンプ））を直接回転する、２．モーター（ポンプ）を発電機からの直接電流で回転する、３．バッテリー（電池）からの電流で回転する、を、コンピューター制御などで適宜に選択することを可能にする。飲料水をボトル（や水道管）に入れて、運搬、配送するシステム。
【図２２】図２２は、エコロジー・エネルギー・システムのイメージ概念図である。  吉野カズトラ宇宙世界皇帝は、雪（コロラド（ロッキー山脈）、ウィスコンシン、新潟のように積雪量が多い地域で特に有効）、湖、川、海などの水を取り入れて、（空間やダクトや渓谷によって）重力を用いて羽（プロペラ／タービン／発電機）を回転させる水力発電を作っていた。オプションとして、浄水するのも良い。積雪をヒーターで溶かして、羽（プロペラ／タービン／発電機）を回転して発電して、雪解け水（飲料水）を作っても良い。（潮の満ち引きや）海水の出入りをゲートで、管理しても良い。水力発電で得た電気を、（オプションとして蓄電池に蓄えて）、モーター（ポンプ）の駆動に用いて、地下水を汲み上げる。
【図２３】図２３は、人類の地球移住面積倍増計画による吉野レベッカハル女王の暗黒帝国（海底地下都市）（Kazutora Yoshino Universe Empire: Rebecca Haru Yoshino Under the SeaEmpire）のエコロジー・エネルギー・システムのイメージ概念図である。  吉野カズトラ宇宙世界皇帝と吉野レベッカハル女王は、ロッキー山脈、ハワイ、ソロモン諸島、沖縄、東京、新潟、入間、横浜などで暗黒帝国（地下都市）の開発を進めていた。吉野カズトラ宇宙世界皇帝は、地下都市が、地震にも強いという特徴を生かしていた。また、吉野カズトラ宇宙世界皇帝は、海水（と重力）が豊富にある特徴を生かして、海底地下都市の電力の供給に、浄水力発電システムを作った。浄水力発電システムは、海水圧と重力を用いて、圧力を作り、（オプションとして）海水をフィルターで浄化して、飲料水を作り、羽（プロペラ）を回転させて、発電して、（オプションとして）電気を蓄電池に貯め、（オプションとして）直接ポンプを回転するか、モーター（ポンプ）を駆動して、（オプションとして）地下水を汲み上げるシステムである。吉野カズトラ宇宙世界皇帝と吉野アシュレーアヤメ女王は、太陽光熱電発電（温度差発電）システムを作った。太陽光熱電発電（温度差発電）システムは、太陽光（熱）で温めた（海上／地上）プレートと（海底／海中／地下）プレートの温度差を用いて、熱電発電するものである。オプションとして、熱電発電素子には、ｐ型半導体とｎ型半導体を用いる。（ゼーベック効果を用いてもよい。）発電で得られた電気（オプションとして蓄電池に貯められた電気）は、（海底／地下）核融合炉、（国際）線形加速器（ILC（International Linear Collider）Accelerator)、地下都市運営、地下鉄、地下デパート、地下農場、地下製薬工場、地下病院、地下工場、地下ビルディング、などに用いられても良い。参照：ISBN０−８１１８−０８９７−１ISBN４−７８５３−６１１２−３  Ｃ３０５４ISBN４−３３９０９９５５２−５
【図２４】図２４は、エコロジー・システム・アプリケーションのイメージ概念図である。シャチ型（飛行機）宇宙船内にある浮きの浮力を水の量で管理する。水を取り入れる際、コンプレッサーで取り入れるか、走行による圧力を利用して、取り入れる。この際、空気に圧力をかけて、空気をコンプレスする。空気圧などで、水をジェット噴射して、海中から海上、空中に飛び上がる。羽を広げ、ゲートを開けて、ロケットジェットエンジンを運転して、ジェットを噴出する。空で、飛行モードに入る。この際、空気を取り入れてコンプレスして貯めて、空気を大気圏外でも用いれるようにする。ロケットジェットエンジンを運転して、宇宙に行く。
【手続補正２】
【補正対象書類名】図面
【補正対象項目名】図２０
【補正方法】変更
【補正の内容】
【図２０】
2018048555.tif 000030
【手続補正３】
【補正対象書類名】図面
【補正対象項目名】図２１
【補正方法】変更
【補正の内容】
【図２１】
2018048555.tif 000031
【手続補正４】
【補正対象書類名】図面
【補正対象項目名】図２２
【補正方法】変更
【補正の内容】
【図２２】
2018048555.tif 000032
【手続補正５】
【補正対象書類名】図面
【補正対象項目名】図２３
【補正方法】変更
【補正の内容】
【図２３】
2018048555.tif 000033
【手続補正６】
【補正対象書類名】図面
【補正対象項目名】図２４
【補正方法】追加
【補正の内容】
【図２４】
2018048555.tif 000034
【手続補正書】
【提出日】平成25年2月10日(2013.2.10)
【手続補正１】
【補正対象書類名】明細書
【補正対象項目名】００１１
【補正方法】変更
【補正の内容】
【００１１】
【図１】図１は、エコロジー・スマート・システムのイメージ概念図である。 太陽光について、GPSを用いて位置・角度の測定を行い、（ブラックボディーのような）センターボール表面に、パラボラミラーの反射光の焦点をセンターボールに受光することで主に受光・集光を行い、オプションとして、ナノグラスの（マイクロ）レンズアレイによって被覆したセンターボールのハウジングの光（熱）入力手段において、該ハウジング内の上部に装着されたスチームによって、発電機を起動して、超伝導体磁石によって、電気を発電する太陽光（熱）発電システム。 電波について、GPSを用いて位置・角度の測定を行い、パラボラアンテナの反射波の焦点を焦点に受信して、電波の発信源に向けて、自動で適宜に受信ユニットの受信面の（位置）・角度を調整することを特徴とするパラボラアンテナシステム。
【図２】図２は、エコロジー・システム・燃料・チャートのイメージ概念図である。光・レーザー・ビーム・電磁波・電（磁）気・光触媒・エネルギーの適宜な組み合わせを用いて、二酸化炭素、水、メタンハイドレードから、砂糖・グルコース・エタノール・メタンを作り、可能性として、水素と酸素と水を作る、エコロジー・システム。
【図３】図３は、エコロジー・システム・燃料・チャートのイメージ概念図である。
【図４】図４は、エコロジー・システムのイメージ概念図である。
【図５】図５は、エコロジー・システムのイメージ概念図である。
【図６】図６は、エコロジー・システムのイメージ概念図である。
【図７】図７は、エコロジー・システムのイメージ概念図である。
【図８】図８は、エコロジー・システムのイメージ概念図である。
【図９】図９は、エコロジー・システムのイメージ概念図である。
【図１０】図１０は、エコロジー・システムのイメージ概念図である。
【図１１】図１１は、エコロジー・システムのイメージ概念図である。
【図１２】図１２は、エコロジー・システムのイメージ概念図である。
【図１３】図１３は、エコロジー・システムのイメージ概念図である。
【図１４】図１４は、エコロジー・システムのイメージ概念図である。海水から、ジェット水を噴出して、駆動・推進して、オプションとして飲料水・塩を作るエコロジー・システム。
【図１５】図１５は、エコロジー・システムのイメージ概念図である。
【図１６】図１６は、エコロジー・システムのイメージ概念図である。
【図１７】図１７は、エコロジー・システムの数式（問題）と解答（ヒント）のイメージ概念図である。
【図１８】図１８は、エコロジー・システムの数式（問題）と解答（ヒント）のイメージ概念図である。
【図１９】図１９は、自動論理構築アルゴリズム（オート・ロジック・ネットワーク・メイキング・アルゴリズム）のイメージ概念図である。（セルフ・イクスプレナタリー）
【図２０】図２０は、エコロジー・エネルギー・システム(エア・ジェット型飲料水・塩精製システム（船）シップ)のイメージ概念図である。  吉野カズトラ宇宙世界皇帝の飲料水・塩精製（所）船（シップ）は、プロペラ（＋モーター／ジェットエンジンで、空気を取り入れて、ジェットタオル風（オプション：熱風）を作り、（インクジェット等の）ノズルで霧化（ミスト化）されたてローラーに付着された海水を、乾燥させて塩を作って（スクーパーで）回収して、オプションとして気体の水（蒸気、スチーム）を、（航行の際に（／ポンプによって）汲み上げれる海水で冷却して）飲料水にして回収する飲料水・塩精製システム（船）シップである。
【図２１】図２１は、エコロジー・エネルギー・システム(飲料水・塩精製システム)のイメージ概念図である。太陽光などのエネルギーを用いて、太陽光電池を利用したり、（水を太陽光や燃料（石油、石炭、ガス、等）やヒーターなどで熱して水蒸気（スチーム）にして）発電機（モーター）を回転して、オプションとしてバッテリー（電池）に充電して、モーター（ポンプ）を用いて、地下水（飲料水）をくみ上げる。オプションとして、海水を、飲料水と塩にしても良い。オプションとして、水を太陽光で温め、（コンプレッサー）モーター（ポンプ）とスプレイノズルで霧化して、ヒーターで熱して、水蒸気にする。オプションとして、（海水汲み上げ用）モーター（ポンプ）、（コンプレッサー用）モーター（ポンプ）、（地下水くみ上げ用）モーター（ポンプ）を有する。とオプションとして、発電機（モーター）とモーター（ポンプ）のシャフトをクラッチ（ギヤ）で、適宜に繋いだり（適宜に、切り離して）、１．タービン（モーター（ポンプ））を直接回転する、２．モーター（ポンプ）を発電機からの直接電流で回転する、３．バッテリー（電池）からの電流で回転する、を、コンピューター制御などで適宜に選択することを可能にする。飲料水をボトル（や水道管）に入れて、運搬、配送するシステム。
【図２２】図２２は、エコロジー・エネルギー・システムのイメージ概念図である。  吉野カズトラ宇宙世界皇帝は、雪（コロラド（ロッキー山脈）、ウィスコンシン、新潟のように積雪量が多い地域で特に有効）、湖、川、海などの水を取り入れて、（空間やダクトや渓谷によって）重力を用いて羽（プロペラ／タービン／発電機）を回転させる水力発電を作っていた。オプションとして、浄水するのも良い。積雪をヒーターで溶かして、羽（プロペラ／タービン／発電機）を回転して発電して、雪解け水（飲料水）を作っても良い。（潮の満ち引きや）海水の出入りをゲートで、管理しても良い。水力発電で得た電気を、（オプションとして蓄電池に蓄えて）、モーター（ポンプ）の駆動に用いて、地下水を汲み上げる。
【図２３】図２３は、人類の地球移住面積倍増計画による吉野レベッカハル女王の暗黒帝国（海底地下都市）（Kazutora Yoshino Universe Empire: Rebecca Haru Yoshino Under the SeaEmpire）のエコロジー・エネルギー・システムのイメージ概念図である。  吉野カズトラ宇宙世界皇帝と吉野レベッカハル女王は、ロッキー山脈、ハワイ、ソロモン諸島、沖縄、東京、新潟、入間、横浜などで暗黒帝国（地下都市）の開発を進めていた。吉野カズトラ宇宙世界皇帝は、地下都市が、地震にも強いという特徴を生かしていた。また、吉野カズトラ宇宙世界皇帝は、海水（と重力）が豊富にある特徴を生かして、海底地下都市の電力の供給に、浄水力発電システムを作った。浄水力発電システムは、海水圧と重力を用いて、圧力を作り、（オプションとして）海水をフィルターで浄化して、飲料水を作り、羽（プロペラ）を回転させて、発電して、（オプションとして）電気を蓄電池に貯め、（オプションとして）直接ポンプを回転するか、モーター（ポンプ）を駆動して、（オプションとして）地下水を汲み上げるシステムである。吉野カズトラ宇宙世界皇帝と吉野アシュレーアヤメ女王は、太陽光熱電発電（温度差発電）システムを作った。太陽光熱電発電（温度差発電）システムは、太陽光（熱）で温めた（海上／地上）プレートと（海底／海中／地下）プレートの温度差を用いて、熱電発電するものである。オプションとして、熱電発電素子には、ｐ型半導体とｎ型半導体を用いる。（ゼーベック効果を用いてもよい。）発電で得られた電気（オプションとして蓄電池に貯められた電気）は、（海底／地下）核融合炉、（国際）線形加速器（ILC（International Linear Collider）Accelerator)、地下都市運営、地下鉄、地下デパート、地下農場、地下製薬工場、地下病院、地下工場、地下ビルディング、などに用いられても良い。参照：ISBN０−８１１８−０８９７−１ISBN４−７８５３−６１１２−３  Ｃ３０５４ISBN４−３３９０９９５５２−５
【図２４】図２４は、エコロジー・システム・アプリケーションのイメージ概念図である。シャチ型（飛行機）宇宙船内にある浮きの浮力を水の量で管理する。水を取り入れる際、コンプレッサーで取り入れるか、走行による圧力を利用して、取り入れる。この際、空気に圧力をかけて、空気をコンプレスする。空気圧などで、水をジェット噴射して、海中から海上、空中に飛び上がる。羽を広げ、ゲートを開けて、ロケットジェットエンジンを運転して、ジェットを噴出する。空で、飛行モードに入る。この際、空気を取り入れてコンプレスして貯めて、空気を大気圏外でも用いれるようにする。ロケットジェットエンジンを運転して、宇宙に行く。
【図２５】図２５は、吉野カズトラ宇宙世界皇帝の（ネオ・）エコロジー・システムのイメージ概念図である。吉野カズトラ宇宙世界皇帝の（ネオ・）エコロジー・システムのフローチャート０      植物・細胞・植物性微生物（プランクトン）・葉緑体から、葉緑素を抽出する。１’    （MgとFeの交換器で）葉緑素から、ヘモグロビンを作る。ヘモグロビンから（人工）血液を作る。２’    マグネシウムを生成する。１      （人工）光合成によって、光、二酸化炭素、水から、グルコース（ブドウ糖）、酸素と水を作る。２      人間、動物、微生物が、食べ物（植物（細胞、微生物）、等）を食べて、メタン（ガス）を生成する。３      ヒカリ、メタン（ガス）から、水素、二酸化炭素を生成する。４      水素を、エコロジーシステムに用いる。二酸化炭素を、光合成に用いる。        （１に戻り又同様に進む。）参照：ISBN４-０６-１１７７６２-１  C０２４５
【手続補正２】
【補正対象書類名】図面
【補正対象項目名】図２０
【補正方法】変更
【補正の内容】
【図２０】
2018048555.tif 000035
【手続補正３】
【補正対象書類名】図面
【補正対象項目名】図２１
【補正方法】変更
【補正の内容】
【図２１】
2018048555.tif 000036
【手続補正４】
【補正対象書類名】図面
【補正対象項目名】図２２
【補正方法】変更
【補正の内容】
【図２２】
2018048555.tif 000037
【手続補正５】
【補正対象書類名】図面
【補正対象項目名】図２３
【補正方法】変更
【補正の内容】
【図２３】
2018048555.tif 000038
【手続補正６】
【補正対象書類名】図面
【補正対象項目名】図２４
【補正方法】追加
【補正の内容】
【図２４】
2018048555.tif 000039
【手続補正７】
【補正対象書類名】図面
【補正対象項目名】図２５
【補正方法】追加
【補正の内容】
【図２５】
2018048555.tif 000040
【手続補正書】
【提出日】平成25年2月11日(2013.2.11)
【手続補正１】
【補正対象書類名】明細書
【補正対象項目名】００１１
【補正方法】変更
【補正の内容】
【００１１】
【図１】図１は、エコロジー・スマート・システムのイメージ概念図である。 太陽光について、GPSを用いて位置・角度の測定を行い、（ブラックボディーのような）センターボール表面に、パラボラミラーの反射光の焦点をセンターボールに受光することで主に受光・集光を行い、オプションとして、ナノグラスの（マイクロ）レンズアレイによって被覆したセンターボールのハウジングの光（熱）入力手段において、該ハウジング内の上部に装着されたスチームによって、発電機を起動して、超伝導体磁石によって、電気を発電する太陽光（熱）発電システム。 電波について、GPSを用いて位置・角度の測定を行い、パラボラアンテナの反射波の焦点を焦点に受信して、電波の発信源に向けて、自動で適宜に受信ユニットの受信面の（位置）・角度を調整することを特徴とするパラボラアンテナシステム。
【図２】図２は、エコロジー・システム・燃料・チャートのイメージ概念図である。光・レーザー・ビーム・電磁波・電（磁）気・光触媒・エネルギーの適宜な組み合わせを用いて、二酸化炭素、水、メタンハイドレードから、砂糖・グルコース・エタノール・メタンを作り、可能性として、水素と酸素と水を作る、エコロジー・システム。
【図３】図３は、エコロジー・システム・燃料・チャートのイメージ概念図である。
【図４】図４は、エコロジー・システムのイメージ概念図である。
【図５】図５は、エコロジー・システムのイメージ概念図である。
【図６】図６は、エコロジー・システムのイメージ概念図である。
【図７】図７は、エコロジー・システムのイメージ概念図である。
【図８】図８は、エコロジー・システムのイメージ概念図である。
【図９】図９は、エコロジー・システムのイメージ概念図である。
【図１０】図１０は、エコロジー・システムのイメージ概念図である。
【図１１】図１１は、エコロジー・システムのイメージ概念図である。
【図１２】図１２は、エコロジー・システムのイメージ概念図である。
【図１３】図１３は、エコロジー・システムのイメージ概念図である。
【図１４】図１４は、エコロジー・システムのイメージ概念図である。海水から、ジェット水を噴出して、駆動・推進して、オプションとして飲料水・塩を作るエコロジー・システム。
【図１５】図１５は、エコロジー・システムのイメージ概念図である。
【図１６】図１６は、エコロジー・システムのイメージ概念図である。
【図１７】図１７は、エコロジー・システムの数式（問題）と解答（ヒント）のイメージ概念図である。
【図１８】図１８は、エコロジー・システムの数式（問題）と解答（ヒント）のイメージ概念図である。
【図１９】図１９は、自動論理構築アルゴリズム（オート・ロジック・ネットワーク・メイキング・アルゴリズム）のイメージ概念図である。（セルフ・イクスプレナタリー）
【図２０】図２０は、エコロジー・エネルギー・システム(エア・ジェット型飲料水・塩精製システム（船）シップ)のイメージ概念図である。  吉野カズトラ宇宙世界皇帝の飲料水・塩精製（所）船（シップ）は、プロペラ（＋モーター／ジェットエンジンで、空気を取り入れて、ジェットタオル風（オプション：熱風）を作り、（インクジェット等の）ノズルで霧化（ミスト化）されたてローラーに付着された海水を、乾燥させて塩を作って（スクーパーで）回収して、オプションとして気体の水（蒸気、スチーム）を、（航行の際に（／ポンプによって）汲み上げれる海水で冷却して）飲料水にして回収する飲料水・塩精製システム（船）シップである。
【図２１】図２１は、エコロジー・エネルギー・システム(飲料水・塩精製システム)のイメージ概念図である。太陽光などのエネルギーを用いて、太陽光電池を利用したり、（水を太陽光や燃料（石油、石炭、ガス、等）やヒーターなどで熱して水蒸気（スチーム）にして）発電機（モーター）を回転して、オプションとしてバッテリー（電池）に充電して、モーター（ポンプ）を用いて、地下水（飲料水）をくみ上げる。オプションとして、海水を、飲料水と塩にしても良い。オプションとして、水を太陽光で温め、（コンプレッサー）モーター（ポンプ）とスプレイノズルで霧化して、ヒーターで熱して、水蒸気にする。オプションとして、（海水汲み上げ用）モーター（ポンプ）、（コンプレッサー用）モーター（ポンプ）、（地下水くみ上げ用）モーター（ポンプ）を有する。とオプションとして、発電機（モーター）とモーター（ポンプ）のシャフトをクラッチ（ギヤ）で、適宜に繋いだり（適宜に、切り離して）、１．タービン（モーター（ポンプ））を直接回転する、２．モーター（ポンプ）を発電機からの直接電流で回転する、３．バッテリー（電池）からの電流で回転する、を、コンピューター制御などで適宜に選択することを可能にする。飲料水をボトル（や水道管）に入れて、運搬、配送するシステム。
【図２２】図２２は、エコロジー・エネルギー・システムのイメージ概念図である。  吉野カズトラ宇宙世界皇帝は、雪（コロラド（ロッキー山脈）、ウィスコンシン、新潟のように積雪量が多い地域で特に有効）、湖、川、海などの水を取り入れて、（空間やダクトや渓谷によって）重力を用いて羽（プロペラ／タービン／発電機）を回転させる水力発電を作っていた。オプションとして、浄水するのも良い。積雪をヒーターで溶かして、羽（プロペラ／タービン／発電機）を回転して発電して、雪解け水（飲料水）を作っても良い。（潮の満ち引きや）海水の出入りをゲートで、管理しても良い。水力発電で得た電気を、（オプションとして蓄電池に蓄えて）、モーター（ポンプ）の駆動に用いて、地下水を汲み上げる。
【図２３】図２３は、人類の地球移住面積倍増計画による吉野レベッカハル女王の暗黒帝国（海底地下都市）（Kazutora Yoshino Universe Empire: Rebecca Haru Yoshino Under the SeaEmpire）のエコロジー・エネルギー・システムのイメージ概念図である。  吉野カズトラ宇宙世界皇帝と吉野レベッカハル女王は、ロッキー山脈、ハワイ、ソロモン諸島、沖縄、東京、新潟、入間、横浜などで暗黒帝国（地下都市）の開発を進めていた。吉野カズトラ宇宙世界皇帝は、地下都市が、地震にも強いという特徴を生かしていた。また、吉野カズトラ宇宙世界皇帝は、海水（と重力）が豊富にある特徴を生かして、海底地下都市の電力の供給に、浄水力発電システムを作った。浄水力発電システムは、海水圧と重力を用いて、圧力を作り、（オプションとして）海水をフィルターで浄化して、飲料水を作り、羽（プロペラ）を回転させて、発電して、（オプションとして）電気を蓄電池に貯め、（オプションとして）直接ポンプを回転するか、モーター（ポンプ）を駆動して、（オプションとして）地下水を汲み上げるシステムである。吉野カズトラ宇宙世界皇帝と吉野アシュレーアヤメ女王は、太陽光熱電発電（温度差発電）システムを作った。太陽光熱電発電（温度差発電）システムは、太陽光（熱）で温めた（海上／地上）プレートと（海底／海中／地下）プレートの温度差を用いて、熱電発電するものである。オプションとして、熱電発電素子には、ｐ型半導体とｎ型半導体を用いる。（ゼーベック効果を用いてもよい。）発電で得られた電気（オプションとして蓄電池に貯められた電気）は、（海底／地下）核融合炉、（国際）線形加速器（ILC（International Linear Collider）Accelerator)、地下都市運営、地下鉄、地下デパート、地下農場、地下製薬工場、地下病院、地下工場、地下ビルディング、などに用いられても良い。参照：ISBN０−８１１８−０８９７−１ISBN４−７８５３−６１１２−３  Ｃ３０５４ISBN４−３３９０９９５５２−５
【図２４】図２４は、エコロジー・システム・アプリケーションのイメージ概念図である。シャチ型（飛行機）宇宙船内にある浮きの浮力を水の量で管理する。水を取り入れる際、コンプレッサーで取り入れるか、走行による圧力を利用して、取り入れる。この際、空気に圧力をかけて、空気をコンプレスする。空気圧などで、水をジェット噴射して、海中から海上、空中に飛び上がる。羽を広げ、ゲートを開けて、ロケットジェットエンジンを運転して、ジェットを噴出する。空で、飛行モードに入る。この際、空気を取り入れてコンプレスして貯めて、空気を大気圏外でも用いれるようにする。ロケットジェットエンジンを運転して、宇宙に行く。
【図２５】図２５は、吉野カズトラ宇宙世界皇帝の（ネオ・）エコロジー・システムのイメージ概念図である。吉野カズトラ宇宙世界皇帝の（ネオ・）エコロジー・システムのフローチャート０      植物・細胞・植物性微生物（プランクトン）・葉緑体から、葉緑素を抽出する。１’    （MgとFeの交換器で）葉緑素から、ヘモグロビンを作る。ヘモグロビンから（人工）血液を作る。２’    マグネシウムを生成する。１      （人工）光合成によって、光、二酸化炭素、水から、グルコース（ブドウ糖）、酸素と水を作る。２      人間、動物、微生物が、食べ物（植物（細胞、微生物）、等）を食べて、メタン（ガス）を生成する。３      ヒカリ、メタン（ガス）から、水素、二酸化炭素を生成する。４      水素を、エコロジーシステムに用いる。二酸化炭素を、光合成に用いる。        （１に戻り又同様に進む。）参照：ISBN４-０６-１１７７６２-１  C０２４５
【図２６】図２６は、吉野カズトラ宇宙世界皇帝の（ネオ・）エコロジー・システムのイメージ概念図である。再生可能エネルギーのサイクルを作る。オプションとして、野菜（の皮）などを回収する。若しくは、国際環境条約（国際環境条約：エネルギー法）によって、主要食糧の生産と、野菜（の皮）などの回収を、システマティックに行う。
【手続補正２】
【補正対象書類名】図面
【補正対象項目名】図２０
【補正方法】変更
【補正の内容】
【図２０】
2018048555.tif 000041
【手続補正３】
【補正対象書類名】図面
【補正対象項目名】図２１
【補正方法】変更
【補正の内容】
【図２１】
2018048555.tif 000042
【手続補正４】
【補正対象書類名】図面
【補正対象項目名】図２２
【補正方法】変更
【補正の内容】
【図２２】
2018048555.tif 000043
【手続補正５】
【補正対象書類名】図面
【補正対象項目名】図２３
【補正方法】変更
【補正の内容】
【図２３】
2018048555.tif 000044
【手続補正６】
【補正対象書類名】図面
【補正対象項目名】図２４
【補正方法】変更
【補正の内容】
【図２４】
2018048555.tif 000045
【手続補正７】
【補正対象書類名】図面
【補正対象項目名】図２５
【補正方法】変更
【補正の内容】
【図２５】
2018048555.tif 000046
【手続補正８】
【補正対象書類名】図面
【補正対象項目名】図２６
【補正方法】追加
【補正の内容】
【図２６】
2018048555.tif 000047
【手続補正書】
【提出日】平成25年2月14日(2013.2.14)
【手続補正１】
【補正対象書類名】明細書
【補正対象項目名】００１１
【補正方法】変更
【補正の内容】
【００１１】
【図１】図１は、エコロジー・スマート・システムのイメージ概念図である。 太陽光について、GPSを用いて位置・角度の測定を行い、（ブラックボディーのような）センターボール表面に、パラボラミラーの反射光の焦点をセンターボールに受光することで主に受光・集光を行い、オプションとして、ナノグラスの（マイクロ）レンズアレイによって被覆したセンターボールのハウジングの光（熱）入力手段において、該ハウジング内の上部に装着されたスチームによって、発電機を起動して、超伝導体磁石によって、電気を発電する太陽光（熱）発電システム。 電波について、GPSを用いて位置・角度の測定を行い、パラボラアンテナの反射波の焦点を焦点に受信して、電波の発信源に向けて、自動で適宜に受信ユニットの受信面の（位置）・角度を調整することを特徴とするパラボラアンテナシステム。
【図２】図２は、エコロジー・システム・燃料・チャートのイメージ概念図である。光・レーザー・ビーム・電磁波・電（磁）気・光触媒・エネルギーの適宜な組み合わせを用いて、二酸化炭素、水、メタンハイドレードから、砂糖・グルコース・エタノール・メタンを作り、可能性として、水素と酸素と水を作る、エコロジー・システム。
【図３】図３は、エコロジー・システム・燃料・チャートのイメージ概念図である。
【図４】図４は、エコロジー・システムのイメージ概念図である。
【図５】図５は、エコロジー・システムのイメージ概念図である。
【図６】図６は、エコロジー・システムのイメージ概念図である。
【図７】図７は、エコロジー・システムのイメージ概念図である。
【図８】図８は、エコロジー・システムのイメージ概念図である。
【図９】図９は、エコロジー・システムのイメージ概念図である。
【図１０】図１０は、エコロジー・システムのイメージ概念図である。
【図１１】図１１は、エコロジー・システムのイメージ概念図である。
【図１２】図１２は、エコロジー・システムのイメージ概念図である。
【図１３】図１３は、エコロジー・システムのイメージ概念図である。
【図１４】図１４は、エコロジー・システムのイメージ概念図である。海水から、ジェット水を噴出して、駆動・推進して、オプションとして飲料水・塩を作るエコロジー・システム。
【図１５】図１５は、エコロジー・システムのイメージ概念図である。
【図１６】図１６は、エコロジー・システムのイメージ概念図である。
【図１７】図１７は、エコロジー・システムの数式（問題）と解答（ヒント）のイメージ概念図である。
【図１８】図１８は、エコロジー・システムの数式（問題）と解答（ヒント）のイメージ概念図である。
【図１９】図１９は、自動論理構築アルゴリズム（オート・ロジック・ネットワーク・メイキング・アルゴリズム）のイメージ概念図である。（セルフ・イクスプレナタリー）
【図２０】図２０は、エコロジー・エネルギー・システム(エア・ジェット型飲料水・塩精製システム（船）シップ)のイメージ概念図である。  吉野カズトラ宇宙世界皇帝の飲料水・塩精製（所）船（シップ）は、プロペラ（＋モーター／ジェットエンジンで、空気を取り入れて、ジェットタオル風（オプション：熱風）を作り、（インクジェット等の）ノズルで霧化（ミスト化）されたてローラーに付着された海水を、乾燥させて塩を作って（スクーパーで）回収して、オプションとして気体の水（蒸気、スチーム）を、（航行の際に（／ポンプによって）汲み上げれる海水で冷却して）飲料水にして回収する飲料水・塩精製システム（船）シップである。
【図２１】図２１は、エコロジー・エネルギー・システム(飲料水・塩精製システム)のイメージ概念図である。太陽光などのエネルギーを用いて、太陽光電池を利用したり、（水を太陽光や燃料（石油、石炭、ガス、等）やヒーターなどで熱して水蒸気（スチーム）にして）発電機（モーター）を回転して、オプションとしてバッテリー（電池）に充電して、モーター（ポンプ）を用いて、地下水（飲料水）をくみ上げる。オプションとして、海水を、飲料水と塩にしても良い。オプションとして、水を太陽光で温め、（コンプレッサー）モーター（ポンプ）とスプレイノズルで霧化して、ヒーターで熱して、水蒸気にする。オプションとして、（海水汲み上げ用）モーター（ポンプ）、（コンプレッサー用）モーター（ポンプ）、（地下水くみ上げ用）モーター（ポンプ）を有する。とオプションとして、発電機（モーター）とモーター（ポンプ）のシャフトをクラッチ（ギヤ）で、適宜に繋いだり（適宜に、切り離して）、１．タービン（モーター（ポンプ））を直接回転する、２．モーター（ポンプ）を発電機からの直接電流で回転する、３．バッテリー（電池）からの電流で回転する、を、コンピューター制御などで適宜に選択することを可能にする。飲料水をボトル（や水道管）に入れて、運搬、配送するシステム。
【図２２】図２２は、エコロジー・エネルギー・システムのイメージ概念図である。  吉野カズトラ宇宙世界皇帝は、雪（コロラド（ロッキー山脈）、ウィスコンシン、新潟のように積雪量が多い地域で特に有効）、湖、川、海などの水を取り入れて、（空間やダクトや渓谷によって）重力を用いて羽（プロペラ／タービン／発電機）を回転させる水力発電を作っていた。オプションとして、浄水するのも良い。積雪をヒーターで溶かして、羽（プロペラ／タービン／発電機）を回転して発電して、雪解け水（飲料水）を作っても良い。（潮の満ち引きや）海水の出入りをゲートで、管理しても良い。水力発電で得た電気を、（オプションとして蓄電池に蓄えて）、モーター（ポンプ）の駆動に用いて、地下水を汲み上げる。
【図２３】図２３は、人類の地球移住面積倍増計画による吉野レベッカハル女王の暗黒帝国（海底地下都市）（Kazutora Yoshino Universe Empire: Rebecca Haru Yoshino Under the SeaEmpire）のエコロジー・エネルギー・システムのイメージ概念図である。  吉野カズトラ宇宙世界皇帝と吉野レベッカハル女王は、ロッキー山脈、ハワイ、ソロモン諸島、沖縄、東京、新潟、入間、横浜などで暗黒帝国（地下都市）の開発を進めていた。吉野カズトラ宇宙世界皇帝は、地下都市が、地震にも強いという特徴を生かしていた。また、吉野カズトラ宇宙世界皇帝は、海水（と重力）が豊富にある特徴を生かして、海底地下都市の電力の供給に、浄水力発電システムを作った。浄水力発電システムは、海水圧と重力を用いて、圧力を作り、（オプションとして）海水をフィルターで浄化して、飲料水を作り、羽（プロペラ）を回転させて、発電して、（オプションとして）電気を蓄電池に貯め、（オプションとして）直接ポンプを回転するか、モーター（ポンプ）を駆動して、（オプションとして）地下水を汲み上げるシステムである。吉野カズトラ宇宙世界皇帝と吉野アシュレーアヤメ女王は、太陽光熱電発電（温度差発電）システムを作った。太陽光熱電発電（温度差発電）システムは、太陽光（熱）で温めた（海上／地上）プレートと（海底／海中／地下）プレートの温度差を用いて、熱電発電するものである。オプションとして、熱電発電素子には、ｐ型半導体とｎ型半導体を用いる。（ゼーベック効果を用いてもよい。）発電で得られた電気（オプションとして蓄電池に貯められた電気）は、（海底／地下）核融合炉、（国際）線形加速器（ILC（International Linear Collider）Accelerator)、地下都市運営、地下鉄、地下デパート、地下農場、地下製薬工場、地下病院、地下工場、地下ビルディング、などに用いられても良い。参照：ISBN０−８１１８−０８９７−１ISBN４−７８５３−６１１２−３  Ｃ３０５４ISBN４−３３９０９９５５２−５
【図２４】図２４は、エコロジー・システム・アプリケーションのイメージ概念図である。シャチ型（飛行機）宇宙船内にある浮きの浮力を水の量で管理する。水を取り入れる際、コンプレッサーで取り入れるか、走行による圧力を利用して、取り入れる。この際、空気に圧力をかけて、空気をコンプレスする。空気圧などで、水をジェット噴射して、海中から海上、空中に飛び上がる。羽を広げ、ゲートを開けて、ロケットジェットエンジンを運転して、ジェットを噴出する。空で、飛行モードに入る。この際、空気を取り入れてコンプレスして貯めて、空気を大気圏外でも用いれるようにする。ロケットジェットエンジンを運転して、宇宙に行く。
【図２５】図２５は、吉野カズトラ宇宙世界皇帝の（ネオ・）エコロジー・システムのイメージ概念図である。吉野カズトラ宇宙世界皇帝の（ネオ・）エコロジー・システムのフローチャート０      植物・細胞・植物性微生物（プランクトン）・葉緑体から、葉緑素を抽出する。１’    （MgとFeの交換器で）葉緑素から、ヘモグロビンを作る。ヘモグロビンから（人工）血液を作る。２’    マグネシウムを生成する。１      （人工）光合成によって、光、二酸化炭素、水から、グルコース（ブドウ糖）、酸素と水を作る。２      人間、動物、微生物が、食べ物（植物（細胞、微生物）、等）を食べて、メタン（ガス）を生成する。３      ヒカリ、メタン（ガス）から、水素、二酸化炭素を生成する。４      水素を、エコロジーシステムに用いる。二酸化炭素を、光合成に用いる。        （１に戻り又同様に進む。）参照：ISBN４-０６-１１７７６２-１  C０２４５
【図２６】図２６は、吉野カズトラ宇宙世界皇帝の（ネオ・）エコロジー・システムのイメージ概念図である。再生可能エネルギーのサイクルを作る。オプションとして、野菜（の皮）などを回収する。若しくは、国際環境条約（国際環境条約：エネルギー法）によって、主要食糧の生産と、野菜（の皮）などの回収を、システマティックに行う。
【図２７】図２７は、吉野カズトラ宇宙世界皇帝の（ネオ・）エコロジー・システム（太陽光熱電発電システム）のイメージ概念図である。パラボラミラーや、ミラーや、レンズ、等で、光（熱）（太陽光（熱））を集める。ヒカリ（光、熱、等）吸収物質によって、高温となる部分と、水（海水、等）によって、低温になる部分の間に、ｐ型半導体と、ｎ型半導体を、（其々、組にして、単数／複数）入れて、熱電発電をする。（ゼーベック効果などを利用しても良い。）オプションとして、温まった、海水を、飲料水と、塩にしても良い。発電された電気を用いて、１．水を水素と酸素に電気分解する。２．バッテリーに充電する。３．電気を直接利用する、４．等をして、水素と酸素を用いて、燃焼で、エネルギーを得たり、燃料電池などで電気を得たり、バッテリーから電気を得たりする。
【図２８】図２８は、吉野カズトラ宇宙世界皇帝の（ネオ・）エコロジー・システムのイメージ概念図である。
【図２９】図２９は、吉野カズトラ宇宙世界皇帝の（ネオ・）エコロジー・システムのイメージ概念図である。
【図３０】図３０は、吉野カズトラ宇宙世界皇帝の（ネオ・）エコロジー・システムのイメージ概念図である。
【手続補正２】
【補正対象書類名】図面
【補正対象項目名】図２０
【補正方法】変更
【補正の内容】
【図２０】
2018048555.tif 000048
【手続補正３】
【補正対象書類名】図面
【補正対象項目名】図２１
【補正方法】変更
【補正の内容】
【図２１】
2018048555.tif 000049
【手続補正４】
【補正対象書類名】図面
【補正対象項目名】図２２
【補正方法】変更
【補正の内容】
【図２２】
2018048555.tif 000050
【手続補正５】
【補正対象書類名】図面
【補正対象項目名】図２３
【補正方法】変更
【補正の内容】
【図２３】
2018048555.tif 000051
【手続補正６】
【補正対象書類名】図面
【補正対象項目名】図２４
【補正方法】変更
【補正の内容】
【図２４】
2018048555.tif 000052
【手続補正７】
【補正対象書類名】図面
【補正対象項目名】図２５
【補正方法】変更
【補正の内容】
【図２５】
2018048555.tif 000053
【手続補正８】
【補正対象書類名】図面
【補正対象項目名】図２６
【補正方法】変更
【補正の内容】
【図２６】
2018048555.tif 000054
【手続補正９】
【補正対象書類名】図面
【補正対象項目名】図２７
【補正方法】追加
【補正の内容】
【図２７】
2018048555.tif 000055
【手続補正１０】
【補正対象書類名】図面
【補正対象項目名】図２８
【補正方法】追加
【補正の内容】
【図２８】
2018048555.tif 000056
【手続補正１１】
【補正対象書類名】図面
【補正対象項目名】図２９
【補正方法】追加
【補正の内容】
【図２９】
2018048555.tif 000057
【手続補正１２】
【補正対象書類名】図面
【補正対象項目名】図３０
【補正方法】追加
【補正の内容】
【図３０】
2018048555.tif 000058
【手続補正書】
【提出日】平成25年2月27日(2013.2.27)
【手続補正１】
【補正対象書類名】明細書
【補正対象項目名】００１１
【補正方法】変更
【補正の内容】
【００１１】
【図１】図１は、エコロジー・スマート・システムのイメージ概念図である。 太陽光について、GPSを用いて位置・角度の測定を行い、（ブラックボディーのような）センターボール表面に、パラボラミラーの反射光の焦点をセンターボールに受光することで主に受光・集光を行い、オプションとして、ナノグラスの（マイクロ）レンズアレイによって被覆したセンターボールのハウジングの光（熱）入力手段において、該ハウジング内の上部に装着されたスチームによって、発電機を起動して、超伝導体磁石によって、電気を発電する太陽光（熱）発電システム。 電波について、GPSを用いて位置・角度の測定を行い、パラボラアンテナの反射波の焦点を焦点に受信して、電波の発信源に向けて、自動で適宜に受信ユニットの受信面の（位置）・角度を調整することを特徴とするパラボラアンテナシステム。
【図２】図２は、エコロジー・システム・燃料・チャートのイメージ概念図である。光・レーザー・ビーム・電磁波・電（磁）気・光触媒・エネルギーの適宜な組み合わせを用いて、二酸化炭素、水、メタンハイドレードから、砂糖・グルコース・エタノール・メタンを作り、可能性として、水素と酸素と水を作る、エコロジー・システム。
【図３】図３は、エコロジー・システム・燃料・チャートのイメージ概念図である。
【図４】図４は、エコロジー・システムのイメージ概念図である。
【図５】図５は、エコロジー・システムのイメージ概念図である。
【図６】図６は、エコロジー・システムのイメージ概念図である。
【図７】図７は、エコロジー・システムのイメージ概念図である。
【図８】図８は、エコロジー・システムのイメージ概念図である。
【図９】図９は、エコロジー・システムのイメージ概念図である。
【図１０】図１０は、エコロジー・システムのイメージ概念図である。
【図１１】図１１は、エコロジー・システムのイメージ概念図である。
【図１２】図１２は、エコロジー・システムのイメージ概念図である。
【図１３】図１３は、エコロジー・システムのイメージ概念図である。
【図１４】図１４は、エコロジー・システムのイメージ概念図である。海水から、ジェット水を噴出して、駆動・推進して、オプションとして飲料水・塩を作るエコロジー・システム。
【図１５】図１５は、エコロジー・システムのイメージ概念図である。
【図１６】図１６は、エコロジー・システムのイメージ概念図である。
【図１７】図１７は、エコロジー・システムの数式（問題）と解答（ヒント）のイメージ概念図である。
【図１８】図１８は、エコロジー・システムの数式（問題）と解答（ヒント）のイメージ概念図である。
【図１９】図１９は、自動論理構築アルゴリズム（オート・ロジック・ネットワーク・メイキング・アルゴリズム）のイメージ概念図である。（セルフ・イクスプレナタリー）
【図２０】図２０は、エコロジー・エネルギー・システム(エア・ジェット型飲料水・塩精製システム（船）シップ)のイメージ概念図である。  吉野カズトラ宇宙世界皇帝の飲料水・塩精製（所）船（シップ）は、プロペラ（＋モーター／ジェットエンジンで、空気を取り入れて、ジェットタオル風（オプション：熱風）を作り、（インクジェット等の）ノズルで霧化（ミスト化）されたてローラーに付着された海水を、乾燥させて塩を作って（スクーパーで）回収して、オプションとして気体の水（蒸気、スチーム）を、（航行の際に（／ポンプによって）汲み上げれる海水で冷却して）飲料水にして回収する飲料水・塩精製システム（船）シップである。
【図２１】図２１は、エコロジー・エネルギー・システム(飲料水・塩精製システム)のイメージ概念図である。太陽光などのエネルギーを用いて、太陽光電池を利用したり、（水を太陽光や燃料（石油、石炭、ガス、等）やヒーターなどで熱して水蒸気（スチーム）にして）発電機（モーター）を回転して、オプションとしてバッテリー（電池）に充電して、モーター（ポンプ）を用いて、地下水（飲料水）をくみ上げる。オプションとして、海水を、飲料水と塩にしても良い。オプションとして、水を太陽光で温め、（コンプレッサー）モーター（ポンプ）とスプレイノズルで霧化して、ヒーターで熱して、水蒸気にする。オプションとして、（海水汲み上げ用）モーター（ポンプ）、（コンプレッサー用）モーター（ポンプ）、（地下水くみ上げ用）モーター（ポンプ）を有する。とオプションとして、発電機（モーター）とモーター（ポンプ）のシャフトをクラッチ（ギヤ）で、適宜に繋いだり（適宜に、切り離して）、１．タービン（モーター（ポンプ））を直接回転する、２．モーター（ポンプ）を発電機からの直接電流で回転する、３．バッテリー（電池）からの電流で回転する、を、コンピューター制御などで適宜に選択することを可能にする。飲料水をボトル（や水道管）に入れて、運搬、配送するシステム。
【図２２】図２２は、エコロジー・エネルギー・システムのイメージ概念図である。  吉野カズトラ宇宙世界皇帝は、雪（コロラド（ロッキー山脈）、ウィスコンシン、新潟のように積雪量が多い地域で特に有効）、湖、川、海などの水を取り入れて、（空間やダクトや渓谷によって）重力を用いて羽（プロペラ／タービン／発電機）を回転させる水力発電を作っていた。オプションとして、浄水するのも良い。積雪をヒーターで溶かして、羽（プロペラ／タービン／発電機）を回転して発電して、雪解け水（飲料水）を作っても良い。（潮の満ち引きや）海水の出入りをゲートで、管理しても良い。水力発電で得た電気を、（オプションとして蓄電池に蓄えて）、モーター（ポンプ）の駆動に用いて、地下水を汲み上げる。
【図２３】図２３は、人類の地球移住面積倍増計画による吉野レベッカハル女王の暗黒帝国（海底地下都市）（Kazutora Yoshino Universe Empire: Rebecca Haru Yoshino Under the SeaEmpire）のエコロジー・エネルギー・システムのイメージ概念図である。  吉野カズトラ宇宙世界皇帝と吉野レベッカハル女王は、ロッキー山脈、ハワイ、ソロモン諸島、沖縄、東京、新潟、入間、横浜などで暗黒帝国（地下都市）の開発を進めていた。吉野カズトラ宇宙世界皇帝は、地下都市が、地震にも強いという特徴を生かしていた。また、吉野カズトラ宇宙世界皇帝は、海水（と重力）が豊富にある特徴を生かして、海底地下都市の電力の供給に、浄水力発電システムを作った。浄水力発電システムは、海水圧と重力を用いて、圧力を作り、（オプションとして）海水をフィルターで浄化して、飲料水を作り、羽（プロペラ）を回転させて、発電して、（オプションとして）電気を蓄電池に貯め、（オプションとして）直接ポンプを回転するか、モーター（ポンプ）を駆動して、（オプションとして）地下水を汲み上げるシステムである。吉野カズトラ宇宙世界皇帝と吉野アシュレーアヤメ女王は、太陽光熱電発電（温度差発電）システムを作った。太陽光熱電発電（温度差発電）システムは、太陽光（熱）で温めた（海上／地上）プレートと（海底／海中／地下）プレートの温度差を用いて、熱電発電するものである。オプションとして、熱電発電素子には、ｐ型半導体とｎ型半導体を用いる。（ゼーベック効果を用いてもよい。）発電で得られた電気（オプションとして蓄電池に貯められた電気）は、（海底／地下）核融合炉、（国際）線形加速器（ILC（International Linear Collider）Accelerator)、地下都市運営、地下鉄、地下デパート、地下農場、地下製薬工場、地下病院、地下工場、地下ビルディング、などに用いられても良い。参照：ISBN０−８１１８−０８９７−１ISBN４−７８５３−６１１２−３  Ｃ３０５４ISBN４−３３９０９９５５２−５
【図２４】図２４は、エコロジー・システム・アプリケーションのイメージ概念図である。シャチ型（飛行機）宇宙船内にある浮きの浮力を水の量で管理する。水を取り入れる際、コンプレッサーで取り入れるか、走行による圧力を利用して、取り入れる。この際、空気に圧力をかけて、空気をコンプレスする。空気圧などで、水をジェット噴射して、海中から海上、空中に飛び上がる。羽を広げ、ゲートを開けて、ロケットジェットエンジンを運転して、ジェットを噴出する。空で、飛行モードに入る。この際、空気を取り入れてコンプレスして貯めて、空気を大気圏外でも用いれるようにする。ロケットジェットエンジンを運転して、宇宙に行く。
【図２５】図２５は、吉野カズトラ宇宙世界皇帝の（ネオ・）エコロジー・システムのイメージ概念図である。吉野カズトラ宇宙世界皇帝の（ネオ・）エコロジー・システムのフローチャート０      植物・細胞・植物性微生物（プランクトン）・葉緑体から、葉緑素を抽出する。１’    （MgとFeの交換器で）葉緑素から、ヘモグロビンを作る。ヘモグロビンから（人工）血液を作る。２’    マグネシウムを生成する。１      （人工）光合成によって、光、二酸化炭素、水から、グルコース（ブドウ糖）、酸素と水を作る。２      人間、動物、微生物が、食べ物（植物（細胞、微生物）、等）を食べて、メタン（ガス）を生成する。３      ヒカリ、メタン（ガス）から、水素、二酸化炭素を生成する。４      水素を、エコロジーシステムに用いる。二酸化炭素を、光合成に用いる。        （１に戻り又同様に進む。）参照：ISBN４-０６-１１７７６２-１  C０２４５
【図２６】図２６は、吉野カズトラ宇宙世界皇帝の（ネオ・）エコロジー・システムのイメージ概念図である。再生可能エネルギーのサイクルを作る。オプションとして、野菜（の皮）などを回収する。若しくは、国際環境条約（国際環境条約：エネルギー法）によって、主要食糧の生産と、野菜（の皮）などの回収を、システマティックに行う。
【図２７】図２７は、吉野カズトラ宇宙世界皇帝の（ネオ・）エコロジー・システム（太陽光熱電発電システム）のイメージ概念図である。パラボラミラーや、ミラーや、レンズ、等で、光（熱）（太陽光（熱））を集める。ヒカリ（光、熱、等）吸収物質によって、高温となる部分と、水（海水、等）によって、低温になる部分の間に、ｐ型半導体と、ｎ型半導体を、（其々、組にして、単数／複数）入れて、熱電発電をする。（ゼーベック効果などを利用しても良い。）オプションとして、温まった、海水を、飲料水と、塩にしても良い。発電された電気を用いて、１．水を水素と酸素に電気分解する。２．バッテリーに充電する。３．電気を直接利用する、４．等をして、水素と酸素を用いて、燃焼で、エネルギーを得たり、燃料電池などで電気を得たり、バッテリーから電気を得たりする。
【図２８】図２８は、吉野カズトラ宇宙世界皇帝の（ネオ・）エコロジー・システムのイメージ概念図である。
【図２９】図２９は、吉野カズトラ宇宙世界皇帝の（ネオ・）エコロジー・システムのイメージ概念図である。
【図３０】図３０は、吉野カズトラ宇宙世界皇帝の（ネオ・）エコロジー・システムのイメージ概念図である。
【図３１】図３１は、吉野カズトラ宇宙世界皇帝のエコジー・システムのイメージ概念図である。エコロジーシステム（エネルギー循環システム（熱循環器）、飲料水・浄水システム、塩製造機、等）である。
【図３２】図３２は、吉野カズトラ宇宙世界皇帝のエコロジー・システムのイメージ概念図である。水素と酸素から水を作る。水素や酸素を燃料とする宇宙ロケットなどでの宇宙旅行に用いれる。
【手続補正２】
【補正対象書類名】図面
【補正対象項目名】図２０
【補正方法】変更
【補正の内容】
【図２０】
2018048555.tif 000059
【手続補正３】
【補正対象書類名】図面
【補正対象項目名】図２１
【補正方法】変更
【補正の内容】
【図２１】
2018048555.tif 000060
【手続補正４】
【補正対象書類名】図面
【補正対象項目名】図２２
【補正方法】変更
【補正の内容】
【図２２】
2018048555.tif 000061
【手続補正５】
【補正対象書類名】図面
【補正対象項目名】図２３
【補正方法】変更
【補正の内容】
【図２３】
2018048555.tif 000062
【手続補正６】
【補正対象書類名】図面
【補正対象項目名】図２４
【補正方法】変更
【補正の内容】
【図２４】
2018048555.tif 000063
【手続補正７】
【補正対象書類名】図面
【補正対象項目名】図２５
【補正方法】変更
【補正の内容】
【図２５】
2018048555.tif 000064
【手続補正８】
【補正対象書類名】図面
【補正対象項目名】図２６
【補正方法】変更
【補正の内容】
【図２６】
2018048555.tif 000065
【手続補正９】
【補正対象書類名】図面
【補正対象項目名】図２７
【補正方法】変更
【補正の内容】
【図２７】
2018048555.tif 000066
【手続補正１０】
【補正対象書類名】図面
【補正対象項目名】図２８
【補正方法】変更
【補正の内容】
【図２８】
2018048555.tif 000067
【手続補正１１】
【補正対象書類名】図面
【補正対象項目名】図２９
【補正方法】変更
【補正の内容】
【図２９】
2018048555.tif 000068
【手続補正１２】
【補正対象書類名】図面
【補正対象項目名】図３０
【補正方法】変更
【補正の内容】
【図３０】
2018048555.tif 000069
【手続補正１３】
【補正対象書類名】図面
【補正対象項目名】図３１
【補正方法】変更
【補正の内容】
【図３１】
2018048555.tif 000070
【手続補正１４】
【補正対象書類名】図面
【補正対象項目名】図３２
【補正方法】変更
【補正の内容】
【図３２】
2018048555.tif 000071
【手続補正書】
【提出日】平成25年2月28日(2013.2.28)
【手続補正１】
【補正対象書類名】明細書
【補正対象項目名】００１１
【補正方法】変更
【補正の内容】
【００１１】
【図１】図１は、エコロジー・スマート・システムのイメージ概念図である。 太陽光について、GPSを用いて位置・角度の測定を行い、（ブラックボディーのような）センターボール表面に、パラボラミラーの反射光の焦点をセンターボールに受光することで主に受光・集光を行い、オプションとして、ナノグラスの（マイクロ）レンズアレイによって被覆したセンターボールのハウジングの光（熱）入力手段において、該ハウジング内の上部に装着されたスチームによって、発電機を起動して、超伝導体磁石によって、電気を発電する太陽光（熱）発電システム。 電波について、GPSを用いて位置・角度の測定を行い、パラボラアンテナの反射波の焦点を焦点に受信して、電波の発信源に向けて、自動で適宜に受信ユニットの受信面の（位置）・角度を調整することを特徴とするパラボラアンテナシステム。
【図２】図２は、エコロジー・システム・燃料・チャートのイメージ概念図である。光・レーザー・ビーム・電磁波・電（磁）気・光触媒・エネルギーの適宜な組み合わせを用いて、二酸化炭素、水、メタンハイドレードから、砂糖・グルコース・エタノール・メタンを作り、可能性として、水素と酸素と水を作る、エコロジー・システム。
【図３】図３は、エコロジー・システム・燃料・チャートのイメージ概念図である。
【図４】図４は、エコロジー・システムのイメージ概念図である。
【図５】図５は、エコロジー・システムのイメージ概念図である。
【図６】図６は、エコロジー・システムのイメージ概念図である。
【図７】図７は、エコロジー・システムのイメージ概念図である。
【図８】図８は、エコロジー・システムのイメージ概念図である。
【図９】図９は、エコロジー・システムのイメージ概念図である。
【図１０】図１０は、エコロジー・システムのイメージ概念図である。
【図１１】図１１は、エコロジー・システムのイメージ概念図である。
【図１２】図１２は、エコロジー・システムのイメージ概念図である。
【図１３】図１３は、エコロジー・システムのイメージ概念図である。
【図１４】図１４は、エコロジー・システムのイメージ概念図である。海水から、ジェット水を噴出して、駆動・推進して、オプションとして飲料水・塩を作るエコロジー・システム。
【図１５】図１５は、エコロジー・システムのイメージ概念図である。
【図１６】図１６は、エコロジー・システムのイメージ概念図である。
【図１７】図１７は、エコロジー・システムの数式（問題）と解答（ヒント）のイメージ概念図である。
【図１８】図１８は、エコロジー・システムの数式（問題）と解答（ヒント）のイメージ概念図である。
【図１９】図１９は、自動論理構築アルゴリズム（オート・ロジック・ネットワーク・メイキング・アルゴリズム）のイメージ概念図である。（セルフ・イクスプレナタリー）
【図２０】図２０は、エコロジー・エネルギー・システム(エア・ジェット型飲料水・塩精製システム（船）シップ)のイメージ概念図である。  吉野カズトラ宇宙世界皇帝の飲料水・塩精製（所）船（シップ）は、プロペラ（＋モーター／ジェットエンジンで、空気を取り入れて、ジェットタオル風（オプション：熱風）を作り、（インクジェット等の）ノズルで霧化（ミスト化）されたてローラーに付着された海水を、乾燥させて塩を作って（スクーパーで）回収して、オプションとして気体の水（蒸気、スチーム）を、（航行の際に（／ポンプによって）汲み上げれる海水で冷却して）飲料水にして回収する飲料水・塩精製システム（船）シップである。
【図２１】図２１は、エコロジー・エネルギー・システム(飲料水・塩精製システム)のイメージ概念図である。太陽光などのエネルギーを用いて、太陽光電池を利用したり、（水を太陽光や燃料（石油、石炭、ガス、等）やヒーターなどで熱して水蒸気（スチーム）にして）発電機（モーター）を回転して、オプションとしてバッテリー（電池）に充電して、モーター（ポンプ）を用いて、地下水（飲料水）をくみ上げる。オプションとして、海水を、飲料水と塩にしても良い。オプションとして、水を太陽光で温め、（コンプレッサー）モーター（ポンプ）とスプレイノズルで霧化して、ヒーターで熱して、水蒸気にする。オプションとして、（海水汲み上げ用）モーター（ポンプ）、（コンプレッサー用）モーター（ポンプ）、（地下水くみ上げ用）モーター（ポンプ）を有する。とオプションとして、発電機（モーター）とモーター（ポンプ）のシャフトをクラッチ（ギヤ）で、適宜に繋いだり（適宜に、切り離して）、１．タービン（モーター（ポンプ））を直接回転する、２．モーター（ポンプ）を発電機からの直接電流で回転する、３．バッテリー（電池）からの電流で回転する、を、コンピューター制御などで適宜に選択することを可能にする。飲料水をボトル（や水道管）に入れて、運搬、配送するシステム。
【図２２】図２２は、エコロジー・エネルギー・システムのイメージ概念図である。  吉野カズトラ宇宙世界皇帝は、雪（コロラド（ロッキー山脈）、ウィスコンシン、新潟のように積雪量が多い地域で特に有効）、湖、川、海などの水を取り入れて、（空間やダクトや渓谷によって）重力を用いて羽（プロペラ／タービン／発電機）を回転させる水力発電を作っていた。オプションとして、浄水するのも良い。積雪をヒーターで溶かして、羽（プロペラ／タービン／発電機）を回転して発電して、雪解け水（飲料水）を作っても良い。（潮の満ち引きや）海水の出入りをゲートで、管理しても良い。水力発電で得た電気を、（オプションとして蓄電池に蓄えて）、モーター（ポンプ）の駆動に用いて、地下水を汲み上げる。
【図２３】図２３は、人類の地球移住面積倍増計画による吉野レベッカハル女王の暗黒帝国（海底地下都市）（Kazutora Yoshino Universe Empire: Rebecca Haru Yoshino Under the SeaEmpire）のエコロジー・エネルギー・システムのイメージ概念図である。  吉野カズトラ宇宙世界皇帝と吉野レベッカハル女王は、ロッキー山脈、ハワイ、ソロモン諸島、沖縄、東京、新潟、入間、横浜などで暗黒帝国（地下都市）の開発を進めていた。吉野カズトラ宇宙世界皇帝は、地下都市が、地震にも強いという特徴を生かしていた。また、吉野カズトラ宇宙世界皇帝は、海水（と重力）が豊富にある特徴を生かして、海底地下都市の電力の供給に、浄水力発電システムを作った。浄水力発電システムは、海水圧と重力を用いて、圧力を作り、（オプションとして）海水をフィルターで浄化して、飲料水を作り、羽（プロペラ）を回転させて、発電して、（オプションとして）電気を蓄電池に貯め、（オプションとして）直接ポンプを回転するか、モーター（ポンプ）を駆動して、（オプションとして）地下水を汲み上げるシステムである。吉野カズトラ宇宙世界皇帝と吉野アシュレーアヤメ女王は、太陽光熱電発電（温度差発電）システムを作った。太陽光熱電発電（温度差発電）システムは、太陽光（熱）で温めた（海上／地上）プレートと（海底／海中／地下）プレートの温度差を用いて、熱電発電するものである。オプションとして、熱電発電素子には、ｐ型半導体とｎ型半導体を用いる。（ゼーベック効果を用いてもよい。）発電で得られた電気（オプションとして蓄電池に貯められた電気）は、（海底／地下）核融合炉、（国際）線形加速器（ILC（International Linear Collider）Accelerator)、地下都市運営、地下鉄、地下デパート、地下農場、地下製薬工場、地下病院、地下工場、地下ビルディング、などに用いられても良い。参照：ISBN０−８１１８−０８９７−１ISBN４−７８５３−６１１２−３  Ｃ３０５４ISBN４−３３９０９９５５２−５
【図２４】図２４は、エコロジー・システム・アプリケーションのイメージ概念図である。シャチ型（飛行機）宇宙船内にある浮きの浮力を水の量で管理する。水を取り入れる際、コンプレッサーで取り入れるか、走行による圧力を利用して、取り入れる。この際、空気に圧力をかけて、空気をコンプレスする。空気圧などで、水をジェット噴射して、海中から海上、空中に飛び上がる。羽を広げ、ゲートを開けて、ロケットジェットエンジンを運転して、ジェットを噴出する。空で、飛行モードに入る。この際、空気を取り入れてコンプレスして貯めて、空気を大気圏外でも用いれるようにする。ロケットジェットエンジンを運転して、宇宙に行く。
【図２５】図２５は、吉野カズトラ宇宙世界皇帝の（ネオ・）エコロジー・システムのイメージ概念図である。吉野カズトラ宇宙世界皇帝の（ネオ・）エコロジー・システムのフローチャート０      植物・細胞・植物性微生物（プランクトン）・葉緑体から、葉緑素を抽出する。１’    （MgとFeの交換器で）葉緑素から、ヘモグロビンを作る。ヘモグロビンから（人工）血液を作る。２’    マグネシウムを生成する。１      （人工）光合成によって、光、二酸化炭素、水から、グルコース（ブドウ糖）、酸素と水を作る。２      人間、動物、微生物が、食べ物（植物（細胞、微生物）、等）を食べて、メタン（ガス）を生成する。３      ヒカリ、メタン（ガス）から、水素、二酸化炭素を生成する。４      水素を、エコロジーシステムに用いる。二酸化炭素を、光合成に用いる。        （１に戻り又同様に進む。）参照：ISBN４-０６-１１７７６２-１  C０２４５
【図２６】図２６は、吉野カズトラ宇宙世界皇帝の（ネオ・）エコロジー・システムのイメージ概念図である。再生可能エネルギーのサイクルを作る。オプションとして、野菜（の皮）などを回収する。若しくは、国際環境条約（国際環境条約：エネルギー法）によって、主要食糧の生産と、野菜（の皮）などの回収を、システマティックに行う。
【図２７】図２７は、吉野カズトラ宇宙世界皇帝の（ネオ・）エコロジー・システム（太陽光熱電発電システム）のイメージ概念図である。パラボラミラーや、ミラーや、レンズ、等で、光（熱）（太陽光（熱））を集める。ヒカリ（光、熱、等）吸収物質によって、高温となる部分と、水（海水、等）によって、低温になる部分の間に、ｐ型半導体と、ｎ型半導体を、（其々、組にして、単数／複数）入れて、熱電発電をする。（ゼーベック効果などを利用しても良い。）オプションとして、温まった、海水を、飲料水と、塩にしても良い。発電された電気を用いて、１．水を水素と酸素に電気分解する。２．バッテリーに充電する。３．電気を直接利用する、４．等をして、水素と酸素を用いて、燃焼で、エネルギーを得たり、燃料電池などで電気を得たり、バッテリーから電気を得たりする。
【図２８】図２８は、吉野カズトラ宇宙世界皇帝の（ネオ・）エコロジー・システムのイメージ概念図である。
【図２９】図２９は、吉野カズトラ宇宙世界皇帝の（ネオ・）エコロジー・システムのイメージ概念図である。
【図３０】図３０は、吉野カズトラ宇宙世界皇帝の（ネオ・）エコロジー・システムのイメージ概念図である。
【図３１】図３１は、吉野カズトラ宇宙世界皇帝のエコジー・システムのイメージ概念図である。エコロジーシステム（エネルギー循環システム（熱循環器）、飲料水・浄水システム、塩製造機、等）である。
【図３２】図３２は、吉野カズトラ宇宙世界皇帝のエコロジー・システムのイメージ概念図である。水素と酸素から水を作る。水素や酸素を燃料とする宇宙ロケットなどでの宇宙旅行に用いれる。
【図３３】図３３は、吉野カズトラ宇宙世界皇帝のエコロジー・システム（太陽光エネルギー（清涼飲料水製造）システム）のイメージ概念図である。吉野カズトラ宇宙世界皇帝は、吉野カズトラ宇宙世界皇帝の父親の吉野信法王と、オレンジのような柑橘類のような果物(フルーツ)などと吉野の綺麗な電子水(水道水/地下水に浄水槽に電圧を掛けて綺麗な水にする)で、オレンジ水を作り、ペットボトルに入れて、太陽光（熱）エネルギー（／発電）、風力発電、地熱エネルギー（／発電）、熱エネルギー（／発電）、電気炉(吉野エミリー女王の電子レンジ)で、加熱、加圧して、より安全な水にして、製品化して、水商売をしていた。吉野カズトラ宇宙世界皇帝は、吉野カズトラ宇宙世界皇帝の義理の父親であるデイビッドヒッチンズ(水質調査の専門家プロフェッショナル)と、水質調査を行い、食品衛生法の清涼飲料水の基準に合格したのが、成功の秘訣となった。・・・。 吉野カズトラ宇宙世界皇帝は、吉野友子女王と、太陽光煮沸法によるオレンジティー(オレンジ茶)のようなハーブティーを作っていた。これにより、より効率的に果物のエキスを抽出することが出来て、ビタミン剤を飲むよりも体に良い効果になり、若さと健康を、維持することが、比較的に、可能になったのである。・・・。 吉野カズトラ宇宙世界皇帝と吉野友子女王は、ハーブティー(オレンジティー、レモンティー、等)等を、基本に、入間茶業協会を作り、日本の埼玉県入間市を世界の中心にして(日華思想)、入間ティーパーティーを作り、世界中に、お茶を販売して利益にした。吉野カズトラ宇宙世界皇帝は、吉野カズトラ宇宙世界皇帝のお茶(ハーブティー、オレンジティー、レモンティー、等)と、吉野友子女王のどら焼き等を共に、太陽光風力発電帆船(母船)によって運搬、販売したので、大航海時代になり、吉野カズトラ宇宙世界皇帝は、エコロジーシステム(太陽光システム、等)で、世界中で有名になった。
【手続補正２】
【補正対象書類名】図面
【補正対象項目名】図２０
【補正方法】変更
【補正の内容】
【図２０】
2018048555.tif 000072
【手続補正３】
【補正対象書類名】図面
【補正対象項目名】図２１
【補正方法】変更
【補正の内容】
【図２１】
2018048555.tif 000073
【手続補正４】
【補正対象書類名】図面
【補正対象項目名】図２２
【補正方法】変更
【補正の内容】
【図２２】
2018048555.tif 000074
【手続補正５】
【補正対象書類名】図面
【補正対象項目名】図２３
【補正方法】変更
【補正の内容】
【図２３】
2018048555.tif 000075
【手続補正６】
【補正対象書類名】図面
【補正対象項目名】図２４
【補正方法】変更
【補正の内容】
【図２４】
2018048555.tif 000076
【手続補正７】
【補正対象書類名】図面
【補正対象項目名】図２５
【補正方法】変更
【補正の内容】
【図２５】
2018048555.tif 000077
【手続補正８】
【補正対象書類名】図面
【補正対象項目名】図２６
【補正方法】変更
【補正の内容】
【図２６】
2018048555.tif 000078
【手続補正９】
【補正対象書類名】図面
【補正対象項目名】図２７
【補正方法】変更
【補正の内容】
【図２７】
2018048555.tif 000079
【手続補正１０】
【補正対象書類名】図面
【補正対象項目名】図２８
【補正方法】変更
【補正の内容】
【図２８】
2018048555.tif 000080
【手続補正１１】
【補正対象書類名】図面
【補正対象項目名】図２９
【補正方法】変更
【補正の内容】
【図２９】
2018048555.tif 000081
【手続補正１２】
【補正対象書類名】図面
【補正対象項目名】図３０
【補正方法】変更
【補正の内容】
【図３０】
2018048555.tif 000082
【手続補正１３】
【補正対象書類名】図面
【補正対象項目名】図３１
【補正方法】変更
【補正の内容】
【図３１】
2018048555.tif 000083
【手続補正１４】
【補正対象書類名】図面
【補正対象項目名】図３２
【補正方法】変更
【補正の内容】
【図３２】
2018048555.tif 000084
【手続補正１５】
【補正対象書類名】図面
【補正対象項目名】図３３
【補正方法】変更
【補正の内容】
【図３３】
2018048555.tif 000085
【手続補正書】
【提出日】平成25年3月7日(2013.3.7)
【手続補正１】
【補正対象書類名】明細書
【補正対象項目名】００１１
【補正方法】変更
【補正の内容】
【００１１】
【図１】図１は、エコロジー・エネルギー・システムのイメージ概念図である。
【図２】図２は、エコロジー・エネルギー・システムのイメージ概念図である。
【図３】図３は、エコロジー・エネルギー・システムのイメージ概念図である。
【図４】図４は、エコロジー・エネルギー・システムのイメージ概念図である。
【図５】図５は、エコロジー・エネルギー・システムのイメージ概念図である。
【図６】図６は、エコロジー・エネルギー・システムのイメージ概念図である。
【図７】図７は、エコロジー・エネルギー・システムのイメージ概念図である。
【図８】図８は、エコロジー・エネルギー・システムのイメージ概念図である。
【図９】図９は、エコロジー・エネルギー・システムのイメージ概念図である。
【図１０】図１０は、エコロジー・エネルギー・システムのイメージ概念図である。
【図１１】図１１は、エコロジー・エネルギー・システムのイメージ概念図である。
【図１２】図１２は、エコロジー・エネルギー・システムのイメージ概念図である。
【図１３】図１３は、エコロジー・エネルギー・システムのイメージ概念図である。
【図１４】図１４は、エコロジー・エネルギー・システムのイメージ概念図である。
【図１５】図１５は、エコロジー・エネルギー・システムのイメージ概念図である。
【図１６】図１６は、エコロジー・エネルギー・システムのイメージ概念図である。
【図１７】図１７は、エコロジー・エネルギー・システムのイメージ概念図である。
【図１８】図１８は、エコロジー・エネルギー・システムのイメージ概念図である。
【図１９】図１９は、エコロジー・エネルギー・システムのイメージ概念図である。
【図２０】図２０は、エコロジー・エネルギー・システムのイメージ概念図である。    本発明の図２０についての説明用のストーリ：吉野カズトラ宇宙世界皇帝は、吉野カズトラ宇宙世界皇帝国のエネルギーシステムを増強していた。 I.  宇宙太陽光発電システム（ソーラー（ユニット）サテライト）（USES）II.  宇宙太陽光電池製造システムIII.  宇宙核融合炉発電システムIV.  地上核融合発電システムV.  海上（海底）核融合発電システム 吉野カズトラ宇宙世界皇帝は、巨大な宇宙発電・太陽光エネルギー・送信システム（太陽の付近に宇宙太陽光人工衛星を配置）と受信システム（ロッキー山脈の頂にあるロッキーマウンテンナショナルパーク(Rocky Mountain National Park)や、アリゾナの砂漠、アラスカのマッキンレー山脈、サハラ砂漠、等）を作っていた。 吉野カズトラ宇宙世界皇帝は、また、宇宙での真空を利用して、（トカマク型）プラズマ封じ込め高温適圧の宇宙核融合炉を作ることを進めていた。 吉野カズトラ宇宙世界皇帝は、また、地上でプラズマ・イオン発電所を作り、プラズマ封じ込め高温適圧の宇宙核融合炉を運転していた。 吉野カズトラ宇宙世界皇帝は、また、海上で太陽光・風力・海洋エネルギー発電所を作り、海上（海底）核融合炉を運転していた。（核反応の事故に対して、比較的安全である） Reference:www.yoshinouniverse.comISBN0-8118-0897-1ISBN4-339-00552-5ISBN4-7853-6112-3
【図２１】図２１は、エコロジー・エネルギー・システムのイメージ概念図である。原子炉で、核燃料からエネルギーを取り出す。（オプション）再処理工場で、使用済み核燃料を、核燃料と核廃棄物（核のゴミ）に分離する。熱電発電（所）（システム）で、使用済み核燃料／核廃棄物（核のゴミ）からエネルギーを取り出す。使用済み核燃料／核廃棄物（核のゴミ）を、水、フィルム（紙）、金属（鉛、等）で囲み、放射能について封印するが、熱が出てくるのを、熱電発電で、電気エネルギーに、変換するシステム。
【図２２】図２２は、エコロジー・エネルギー・システム（日本の防衛システム）のイメージ概念図である。核燃料（プルトニウム、ウラン、等）などの核物質など、戦略的エネルギー物質を、日本に集める。核燃料・核爆弾・核廃棄物（核のゴミ）を、１．平和なら、平和利用する。（核エネルギーによって（核（燃料）を熱源として）、熱電発電する。）２．戦争なら、敵国に打ち込む。（埼玉県入間市の入間航空自衛隊（防衛軍）の地下ミサイル発射基地から、大陸弾道ミサイルなどを発射する。吉野カズトラ宇宙世界皇帝のシャチ型潜水艦から核ミサイルを発射する。吉野カズトラ宇宙世界皇帝の軍事衛星から核爆弾を投下する。等）Yoshino UniverseKazutora YoshinoUniverse EmpireKazutora YoshinoNuclear Energy Defense SystemLovely,
【図２３】図２３は、エコロジー・エネルギー・システム（太陽光熱カプセル発電システム）のイメージ概念図である。吉野一虎ソーラーライトカプセル効果：太陽光（熱）が、太陽で発生して（太陽中心：高温１６００万℃、太陽表面：低温温６０００℃）、太陽を囲む物質（ダークマター、素粒子、物質、保熱ガス、反応物質、捕熱物質、反射物質、等の適宜な組み合わせ）によって、光（熱）は、吸収・保持・反応、等をして、中温（数百万℃）になる。DM + gamma -> DM' + delta Egammaは、光（熱）などの（反応（素）粒子などの）エレメント。delta Eは、正／負／ゼロ、等のエネルギー（エレメント）とする。DM、DM’は、ダークマターなどの（反応（素）粒子・反応物質、物質）（群理論）エレメントで、DMとDM'は、同じエレメントでもよく、異なるエレメントでも良い。吉野一虎ライトカプセル効果：このシステムを、ミニチュア化したカプセルに二酸化炭素などの保熱ガス（捕熱ガス）を入れて、（太陽）光（／レーザー光）の照射をして、太陽光（熱）発電を行い、ミニチュア太陽光（熱）カプセル発電を行う。吉野一虎レーザー効果：二酸化炭素などの保熱ガス（捕熱ガス）に、（太陽）光（／レーザー光）を照射して、光（光子、レーザー光）を発光させて、光をカプセル内部で、反射させて、１００％ミラーと約９９％ミラーで、往復反射させて、誘導発光させて、同じ（ぐらいの）波長（周波数）と相（フェーズ）の光の束（レーザー光）を作り、約９９％ミラー側からコーヒーレントなレーザー光を、放つ。吉野一虎ネットワーク超特急効果：ミニチュア太陽光（熱）カプセル発電システムのユニットを、発電パフォーマンス良く、コストパフォーマンス良く、大量に作り、マトリクス上にして、日射量が十分にあるところに敷き詰めたり、電車の路線のサイドに並べたり、道路（高速道路）のサイドに、並べたりすることによって、日本（世界）全体が、ミニチュア太陽光（熱）カプセル発電システムによって、光ネットワーク発電システムとなる。 吉野アシュレーアヤメ女王偉大なる戦士は、吉野一虎効果（吉野一虎ソーラーカプセル効果、吉野一虎ライトカプセル効果、吉野一虎レーザー効果、吉野一虎（カズトラ）ネットワーク超特急効果、等の吉野一虎宇宙世界皇帝の効果）を、活用して、宇宙全体に、吉野アシュレーアヤメ女王による吉野一虎宇宙世界皇帝（宇宙銀河恒星ネットワーク・太陽系）光ネットワークシステムを構築して、宇宙・世界のエネルギー問題を、解決して行った・・・。
【図２４】図２４は、エコロジー・エネルギー・システム（熱（水蒸気／ガス）発電システム）のイメージ概念図である。水（／液体／気体／水素／ガス、等）に太陽光（熱）（エネルギー）、（ガスの）火、熱（等）を投入して、水蒸気（／ガス）にして、タービンを回転して、発電機で、発電するシステム。オプションとして、水蒸気（／ガス）を冷却して、水（／液体／気体／水素／ガス、等）にして、サイクル（リサイクル）するシステム。
【図２５】図２５は、エコロジー・エネルギー・システム（吉野一虎宇宙世界皇帝の核戦争用の鎧兜（防衛システム））のイメージ概念図である。ダイヤモンド、タングステン、ステンレス、鉄、鉛、防弾ガラス、セラミック、紙、スポンジ、水（汗）、バッテリー、シリコン、コンピューター、ディスプレイ等を、適宜に組み合わせて、放射能を遮断するタイガーシールド。オプションとして、周りの見た目に合わせて、色や柄を2D/3Dでディスプレイできるカメレオンシールド。この鎧兜を纏った軍隊を、カメレオン・アーミーとして、敵（の核兵器・軍隊）と戦うシステム（自衛隊・国防軍・民間安全警備武装集団（傭兵））。ディスプレイ、コンピューター、電子機器の電源、若しくは、バッテリーなどの充電器としてのブーツ（靴）による、歩行発電（靴発電システム）。ピエゾエレクトロニック素子（圧電素子）、発電機、弾性物質、等によって、発電して、バッテリーに電気を充電する。オプションとして、スプリングなどを用いて、発電しながら、跳躍力を抜群に向上させるジャンプ（発電）シューズ。
【図２６】図２６は、エコロジー・エネルギー・システム（太陽光熱カプセル発電システム：パラボラミラーバージョン）のイメージ概念図である。最良の形態の一つを示している。パラボラミラーによって、反射した光（エネルギー）を、（カプセル）球に集光させて、（熱反応、化学反応、核反応などの）反応、等を起こさせるシステム。
【図２７】図２７は、エコロジー・エネルギー・システム（水素と酸素による燃料電池発電（ガス発電）システム）のイメージ概念図である。ダイヤモンド／DLC／金属／カーボン（ファイバー）等の（軽くて丈夫な）強い（高圧のガスや、液体に耐えうる）容器に、濃縮ガス（濃縮水素ガス、濃縮酸素ガス）、液体（液体水素、液体酸素）等を入れる。水素と酸素を適宜な量を、コンピューター制御機、バルブなどで、摘出して、燃料電池に、投入して、電気（エネルギー）を発生させる。電気を直接用いるか、バッテリー等に充電して用いる。水素と酸素の反応によって出来た水を、（浄化フィルターに通して）、飲料水にする。宇宙船などでの宇宙航行が、長期の滞在の場合に、水素・酸素燃料と、飲料水として、活用することが可能な、エコロジー・スマート・システム。
【図２８】図２８は、エコロジー・エネルギー・システム（エネルギー炉（熱炉））のイメージ概念図である。
【図２９】図２９は、エコロジー・エネルギー・システム（吉野カズトラ宇宙世界皇帝のエネルギー炉（熱炉）と無線／タイマー式の起爆装置による核爆弾）のイメージ概念図である。
【図３０】図３０は、エコロジー・エネルギー・システム（吉野一虎宇宙世界皇帝の靴（防衛・防寒システム））のイメージ概念図である。ピエゾエレクトリックなどの圧電素子で発電したり、動力を利用して、発電したり、核燃料の熱で、発電したりして、熱エネルギーを用いて、エネルギーシステム（（防寒用のヒーター等の）の靴等）を作る。
【図３１】図３１は、エコロジー・エネルギー・システム（吉野一虎宇宙世界皇帝の核電池、核エネルギー、加速器核エネルギーシステム））のイメージ概念図である。核燃料、核廃棄物、（加速器で加速された陽子を核廃棄物（半減期約２万年）に当てて、（半減期を約３０年にした）放射性物質）等や、その適宜な組み合わせから、核（熱）電池を作る。加速器の放射エネルギーによって、宇宙船を飛ばす（運行する）。
【図３２】図３２は、エコロジー・エネルギー・システム（吉野一虎宇宙世界皇帝の核核融合炉エネルギーレーザーシステム（核融合レーザー起動用集光レンズ）））のイメージ概念図である。適宜な波長（若しくは、その組み合わせ）のレーザービームを、レンズで一点に集光（集中）させて、（プラズマ熱エネルギー）核融合を起因する。特に、紫外線、X線、γ線、などの（短波長）高周波のコーヒーレントな光子パッケージ（レーザー光ビーム、等）を用いると良い。そのレンズ方程式を示している。
【図３３】図３３は、エコロジー・エネルギー・システム（吉野一虎宇宙世界皇帝のカズトラ型の核融合炉：カズトラ型核融合炉エネルギー（レーザーヒーティング）システム（核融合レーザーヒーティング起動）））のイメージ概念図である。カズトラ型核融合炉は、トロイダル型（トカマク型）核融合炉を単数／複数、トロイダル型に纏めた型である。プラズマは、真空／ガス／プラズマ内にあるか、磁場・磁界（電場・電界／電磁場・電磁界）内にあっても良い。極力、外部に熱が流出しないように、高磁界にして、Tc（クリティカルテンパーチャー）を高温にして、プラズマを封じ込めて、レーザー（若しくは、マイクロウェーブ、等）で、ヒーティングして（局所場で核融合（ニュークリア・チェイン・リアクション）の初期反応を起こさせて、核融合（ニュークリア・チェイン・リアクション）連鎖反応させる）、プラズマを高温にして、（熱）核融合を起こさせる。
【図３４】図３４は、エコロジー・エネルギー・システム（吉野一虎宇宙世界皇帝の核融合ロケット（核融合エンジン）：ネオ・カワセミ・プロジェクト：空飛ぶイルカ、空飛ぶイカ））のイメージ概念図である。羽を畳んで海底から発射された空飛ぶイルカは、水中を水ジェットエンジンで走行（航行）して、空中に羽を広げて飛び立ち、空気ジェットエンジンで走行（飛行）して、羽を畳んで宇宙をロケットエンジン（イオンエンジン、プラズマエンジン、ロケットエンジン、核ロケットエンジン、等）で、走行（宇宙航行）する。宇宙防衛のため、核爆弾などで、宇宙からの攻撃（上からの攻撃）をかけることも可能である。
【図３５】図３５は、エコロジー・エネルギー・システム（吉野一虎宇宙世界皇帝のエネルギー・エレクトリシティー・ジェネレーター・システム）のイメージ概念図である。太陽光発電（スチーム発電）、風力発電、海洋力発電、核反応発電（原子炉発電、核融合炉発電、などによるスチーム（ガス）発電）等の発電機システム。プロペラを回転させる。回転軸についている磁石が回転する。前記磁石の回転により、超伝導体内にあるリング磁石が誘導されて回転する。また、磁石と超電導の組み合わせによる非接触な、回転軸とカバーによって、摩擦が殆どない、回転を獲得する。回転効率が良い、起電力を発生させる。オプションとして、トランスフォーマーで、電圧・電流の調整をする。バッテリーに充電したり、電力として用いる。
【手続補正２】
【補正対象書類名】図面
【補正対象項目名】図２０
【補正方法】追加
【補正の内容】
【図２０】
2018048555.tif 000086
【手続補正３】
【補正対象書類名】図面
【補正対象項目名】図２１
【補正方法】追加
【補正の内容】
【図２１】
2018048555.tif 000087
【手続補正４】
【補正対象書類名】図面
【補正対象項目名】図２２
【補正方法】追加
【補正の内容】
【図２２】
2018048555.tif 000088
【手続補正５】
【補正対象書類名】図面
【補正対象項目名】図２３
【補正方法】追加
【補正の内容】
【図２３】
2018048555.tif 000089
【手続補正６】
【補正対象書類名】図面
【補正対象項目名】図２４
【補正方法】追加
【補正の内容】
【図２４】
2018048555.tif 000090
【手続補正７】
【補正対象書類名】図面
【補正対象項目名】図２５
【補正方法】追加
【補正の内容】
【図２５】
2018048555.tif 000091
【手続補正８】
【補正対象書類名】図面
【補正対象項目名】図２６
【補正方法】追加
【補正の内容】
【図２６】
2018048555.tif 000092
【手続補正９】
【補正対象書類名】図面
【補正対象項目名】図２７
【補正方法】追加
【補正の内容】
【図２７】
2018048555.tif 000093
【手続補正１０】
【補正対象書類名】図面
【補正対象項目名】図２８
【補正方法】追加
【補正の内容】
【図２８】
2018048555.tif 000094
【手続補正１１】
【補正対象書類名】図面
【補正対象項目名】図２９
【補正方法】追加
【補正の内容】
【図２９】
2018048555.tif 000095
【手続補正１２】
【補正対象書類名】図面
【補正対象項目名】図３０
【補正方法】追加
【補正の内容】
【図３０】
2018048555.tif 000096
【手続補正１３】
【補正対象書類名】図面
【補正対象項目名】図３１
【補正方法】追加
【補正の内容】
【図３１】
2018048555.tif 000097
【手続補正１４】
【補正対象書類名】図面
【補正対象項目名】図３２
【補正方法】追加
【補正の内容】
【図３２】
2018048555.tif 000098
【手続補正１５】
【補正対象書類名】図面
【補正対象項目名】図３３
【補正方法】追加
【補正の内容】
【図３３】
2018048555.tif 000099
【手続補正１６】
【補正対象書類名】図面
【補正対象項目名】図３４
【補正方法】追加
【補正の内容】
【図３４】
2018048555.tif 000100
【手続補正１７】
【補正対象書類名】図面
【補正対象項目名】図３５
【補正方法】追加
【補正の内容】
【図３５】
2018048555.tif 000101
【手続補正書】
【提出日】平成25年3月7日(2013.3.7)
【手続補正１】
【補正対象書類名】明細書
【補正対象項目名】００１１
【補正方法】変更
【補正の内容】
【００１１】
【図１】図１は、エコロジー・エネルギー・システムのイメージ概念図である。
【図２】図２は、エコロジー・エネルギー・システムのイメージ概念図である。
【図３】図３は、エコロジー・エネルギー・システムのイメージ概念図である。
【図４】図４は、エコロジー・エネルギー・システムのイメージ概念図である。
【図５】図５は、エコロジー・エネルギー・システムのイメージ概念図である。
【図６】図６は、エコロジー・エネルギー・システムのイメージ概念図である。
【図７】図７は、エコロジー・エネルギー・システムのイメージ概念図である。
【図８】図８は、エコロジー・エネルギー・システムのイメージ概念図である。
【図９】図９は、エコロジー・エネルギー・システムのイメージ概念図である。
【図１０】図１０は、エコロジー・エネルギー・システムのイメージ概念図である。
【図１１】図１１は、エコロジー・エネルギー・システムのイメージ概念図である。
【図１２】図１２は、エコロジー・エネルギー・システムのイメージ概念図である。
【図１３】図１３は、エコロジー・エネルギー・システムのイメージ概念図である。
【図１４】図１４は、エコロジー・エネルギー・システムのイメージ概念図である。
【図１５】図１５は、エコロジー・エネルギー・システムのイメージ概念図である。
【図１６】図１６は、エコロジー・エネルギー・システムのイメージ概念図である。
【図１７】図１７は、エコロジー・エネルギー・システムのイメージ概念図である。
【図１８】図１８は、エコロジー・エネルギー・システムのイメージ概念図である。
【図１９】図１９は、エコロジー・エネルギー・システムのイメージ概念図である。
【図２０】図２０は、エコロジー・エネルギー・システムのイメージ概念図である。    本発明の図２０についての説明用のストーリ：吉野カズトラ宇宙世界皇帝は、吉野カズトラ宇宙世界皇帝国のエネルギーシステムを増強していた。 I.  宇宙太陽光発電システム（ソーラー（ユニット）サテライト）（USES）II.  宇宙太陽光電池製造システムIII.  宇宙核融合炉発電システムIV.  地上核融合発電システムV.  海上（海底）核融合発電システム 吉野カズトラ宇宙世界皇帝は、巨大な宇宙発電・太陽光エネルギー・送信システム（太陽の付近に宇宙太陽光人工衛星を配置）と受信システム（ロッキー山脈の頂にあるロッキーマウンテンナショナルパーク(Rocky Mountain National Park)や、アリゾナの砂漠、アラスカのマッキンレー山脈、サハラ砂漠、等）を作っていた。 吉野カズトラ宇宙世界皇帝は、また、宇宙での真空を利用して、（トカマク型）プラズマ封じ込め高温適圧の宇宙核融合炉を作ることを進めていた。 吉野カズトラ宇宙世界皇帝は、また、地上でプラズマ・イオン発電所を作り、プラズマ封じ込め高温適圧の宇宙核融合炉を運転していた。 吉野カズトラ宇宙世界皇帝は、また、海上で太陽光・風力・海洋エネルギー発電所を作り、海上（海底）核融合炉を運転していた。（核反応の事故に対して、比較的安全である） Reference:www.yoshinouniverse.comISBN0-8118-0897-1ISBN4-339-00552-5ISBN4-7853-6112-3
【図２１】図２１は、エコロジー・エネルギー・システムのイメージ概念図である。原子炉で、核燃料からエネルギーを取り出す。（オプション）再処理工場で、使用済み核燃料を、核燃料と核廃棄物（核のゴミ）に分離する。熱電発電（所）（システム）で、使用済み核燃料／核廃棄物（核のゴミ）からエネルギーを取り出す。使用済み核燃料／核廃棄物（核のゴミ）を、水、フィルム（紙）、金属（鉛、等）で囲み、放射能について封印するが、熱が出てくるのを、熱電発電で、電気エネルギーに、変換するシステム。
【図２２】図２２は、エコロジー・エネルギー・システム（日本の防衛システム）のイメージ概念図である。核燃料（プルトニウム、ウラン、等）などの核物質など、戦略的エネルギー物質を、日本に集める。核燃料・核爆弾・核廃棄物（核のゴミ）を、１．平和なら、平和利用する。（核エネルギーによって（核（燃料）を熱源として）、熱電発電する。）２．戦争なら、敵国に打ち込む。（埼玉県入間市の入間航空自衛隊（防衛軍）の地下ミサイル発射基地から、大陸弾道ミサイルなどを発射する。吉野カズトラ宇宙世界皇帝のシャチ型潜水艦から核ミサイルを発射する。吉野カズトラ宇宙世界皇帝の軍事衛星から核爆弾を投下する。等）Yoshino UniverseKazutora YoshinoUniverse EmpireKazutora YoshinoNuclear Energy Defense SystemLovely,
【図２３】図２３は、エコロジー・エネルギー・システム（太陽光熱カプセル発電システム）のイメージ概念図である。吉野一虎ソーラーライトカプセル効果：太陽光（熱）が、太陽で発生して（太陽中心：高温１６００万℃、太陽表面：低温温６０００℃）、太陽を囲む物質（ダークマター、素粒子、物質、保熱ガス、反応物質、捕熱物質、反射物質、等の適宜な組み合わせ）によって、光（熱）は、吸収・保持・反応、等をして、中温（数百万℃）になる。DM + gamma -> DM' + delta Egammaは、光（熱）などの（反応（素）粒子などの）エレメント。delta Eは、正／負／ゼロ、等のエネルギー（エレメント）とする。DM、DM’は、ダークマターなどの（反応（素）粒子・反応物質、物質）（群理論）エレメントで、DMとDM'は、同じエレメントでもよく、異なるエレメントでも良い。吉野一虎ライトカプセル効果：このシステムを、ミニチュア化したカプセルに二酸化炭素などの保熱ガス（捕熱ガス）を入れて、（太陽）光（／レーザー光）の照射をして、太陽光（熱）発電を行い、ミニチュア太陽光（熱）カプセル発電を行う。吉野一虎レーザー効果：二酸化炭素などの保熱ガス（捕熱ガス）に、（太陽）光（／レーザー光）を照射して、光（光子、レーザー光）を発光させて、光をカプセル内部で、反射させて、１００％ミラーと約９９％ミラーで、往復反射させて、誘導発光させて、同じ（ぐらいの）波長（周波数）と相（フェーズ）の光の束（レーザー光）を作り、約９９％ミラー側からコーヒーレントなレーザー光を、放つ。吉野一虎ネットワーク超特急効果：ミニチュア太陽光（熱）カプセル発電システムのユニットを、発電パフォーマンス良く、コストパフォーマンス良く、大量に作り、マトリクス上にして、日射量が十分にあるところに敷き詰めたり、電車の路線のサイドに並べたり、道路（高速道路）のサイドに、並べたりすることによって、日本（世界）全体が、ミニチュア太陽光（熱）カプセル発電システムによって、光ネットワーク発電システムとなる。 吉野アシュレーアヤメ女王偉大なる戦士は、吉野一虎効果（吉野一虎ソーラーカプセル効果、吉野一虎ライトカプセル効果、吉野一虎レーザー効果、吉野一虎（カズトラ）ネットワーク超特急効果、等の吉野一虎宇宙世界皇帝の効果）を、活用して、宇宙全体に、吉野アシュレーアヤメ女王による吉野一虎宇宙世界皇帝（宇宙銀河恒星ネットワーク・太陽系）光ネットワークシステムを構築して、宇宙・世界のエネルギー問題を、解決して行った・・・。
【図２４】図２４は、エコロジー・エネルギー・システム（熱（水蒸気／ガス）発電システム）のイメージ概念図である。水（／液体／気体／水素／ガス、等）に太陽光（熱）（エネルギー）、（ガスの）火、熱（等）を投入して、水蒸気（／ガス）にして、タービンを回転して、発電機で、発電するシステム。オプションとして、水蒸気（／ガス）を冷却して、水（／液体／気体／水素／ガス、等）にして、サイクル（リサイクル）するシステム。
【図２５】図２５は、エコロジー・エネルギー・システム（吉野一虎宇宙世界皇帝の核戦争用の鎧兜（防衛システム））のイメージ概念図である。ダイヤモンド、タングステン、ステンレス、鉄、鉛、防弾ガラス、セラミック、紙、スポンジ、水（汗）、バッテリー、シリコン、コンピューター、ディスプレイ等を、適宜に組み合わせて、放射能を遮断するタイガーシールド。オプションとして、周りの見た目に合わせて、色や柄を2D/3Dでディスプレイできるカメレオンシールド。この鎧兜を纏った軍隊を、カメレオン・アーミーとして、敵（の核兵器・軍隊）と戦うシステム（自衛隊・国防軍・民間安全警備武装集団（傭兵））。ディスプレイ、コンピューター、電子機器の電源、若しくは、バッテリーなどの充電器としてのブーツ（靴）による、歩行発電（靴発電システム）。ピエゾエレクトロニック素子（圧電素子）、発電機、弾性物質、等によって、発電して、バッテリーに電気を充電する。オプションとして、スプリングなどを用いて、発電しながら、跳躍力を抜群に向上させるジャンプ（発電）シューズ。
【図２６】図２６は、エコロジー・エネルギー・システム（太陽光熱カプセル発電システム：パラボラミラーバージョン）のイメージ概念図である。最良の形態の一つを示している。パラボラミラーによって、反射した光（エネルギー）を、（カプセル）球に集光させて、（熱反応、化学反応、核反応などの）反応、等を起こさせるシステム。
【図２７】図２７は、エコロジー・エネルギー・システム（水素と酸素による燃料電池発電（ガス発電）システム）のイメージ概念図である。ダイヤモンド／DLC／金属／カーボン（ファイバー）等の（軽くて丈夫な）強い（高圧のガスや、液体に耐えうる）容器に、濃縮ガス（濃縮水素ガス、濃縮酸素ガス）、液体（液体水素、液体酸素）等を入れる。水素と酸素を適宜な量を、コンピューター制御機、バルブなどで、摘出して、燃料電池に、投入して、電気（エネルギー）を発生させる。電気を直接用いるか、バッテリー等に充電して用いる。水素と酸素の反応によって出来た水を、（浄化フィルターに通して）、飲料水にする。宇宙船などでの宇宙航行が、長期の滞在の場合に、水素・酸素燃料と、飲料水として、活用することが可能な、エコロジー・スマート・システム。
【図２８】図２８は、エコロジー・エネルギー・システム（エネルギー炉（熱炉））のイメージ概念図である。
【図２９】図２９は、エコロジー・エネルギー・システム（吉野カズトラ宇宙世界皇帝のエネルギー炉（熱炉）と無線／タイマー式の起爆装置による核爆弾）のイメージ概念図である。
【図３０】図３０は、エコロジー・エネルギー・システム（吉野一虎宇宙世界皇帝の靴（防衛・防寒システム））のイメージ概念図である。ピエゾエレクトリックなどの圧電素子で発電したり、動力を利用して、発電したり、核燃料の熱で、発電したりして、熱エネルギーを用いて、エネルギーシステム（（防寒用のヒーター等の）の靴等）を作る。
【図３１】図３１は、エコロジー・エネルギー・システム（吉野一虎宇宙世界皇帝の核電池、核エネルギー、加速器核エネルギーシステム））のイメージ概念図である。核燃料、核廃棄物、（加速器で加速された陽子を核廃棄物（半減期約２万年）に当てて、（半減期を約３０年にした）放射性物質）等や、その適宜な組み合わせから、核（熱）電池を作る。加速器の放射エネルギーによって、宇宙船を飛ばす（運行する）。
【図３２】図３２は、エコロジー・エネルギー・システム（吉野一虎宇宙世界皇帝の核核融合炉エネルギーレーザーシステム（核融合レーザー起動用集光レンズ）））のイメージ概念図である。適宜な波長（若しくは、その組み合わせ）のレーザービームを、レンズで一点に集光（集中）させて、（プラズマ熱エネルギー）核融合を起因する。特に、紫外線、X線、γ線、などの（短波長）高周波のコーヒーレントな光子パッケージ（レーザー光ビーム、等）を用いると良い。そのレンズ方程式を示している。
【図３３】図３３は、エコロジー・エネルギー・システム（吉野一虎宇宙世界皇帝のカズトラ型の核融合炉：カズトラ型核融合炉エネルギー（レーザーヒーティング）システム（核融合レーザーヒーティング起動）））のイメージ概念図である。カズトラ型核融合炉は、トロイダル型（トカマク型）核融合炉を単数／複数、トロイダル型に纏めた型である。プラズマは、真空／ガス／プラズマ内にあるか、磁場・磁界（電場・電界／電磁場・電磁界）内にあっても良い。極力、外部に熱が流出しないように、高磁界にして、Tc（クリティカルテンパーチャー）を高温にして、プラズマを封じ込めて、レーザー（若しくは、マイクロウェーブ、等）で、ヒーティングして（局所場で核融合（ニュークリア・チェイン・リアクション）の初期反応を起こさせて、核融合（ニュークリア・チェイン・リアクション）連鎖反応させる）、プラズマを高温にして、（熱）核融合を起こさせる。
【図３４】図３４は、エコロジー・エネルギー・システム（吉野一虎宇宙世界皇帝の核融合ロケット（核融合エンジン）：ネオ・カワセミ・プロジェクト：空飛ぶイルカ、空飛ぶイカ））のイメージ概念図である。羽を畳んで海底から発射された空飛ぶイルカは、水中を水ジェットエンジンで走行（航行）して、空中に羽を広げて飛び立ち、空気ジェットエンジンで走行（飛行）して、羽を畳んで宇宙をロケットエンジン（イオンエンジン、プラズマエンジン、ロケットエンジン、核ロケットエンジン、等）で、走行（宇宙航行）する。宇宙防衛のため、核爆弾などで、宇宙からの攻撃（上からの攻撃）をかけることも可能である。
【図３５】図３５は、エコロジー・エネルギー・システム（吉野一虎宇宙世界皇帝のエネルギー・エレクトリシティー・ジェネレーター・システム）のイメージ概念図である。太陽光発電（スチーム発電）、風力発電、海洋力発電、核反応発電（原子炉発電、核融合炉発電、などによるスチーム（ガス）発電）等の発電機システム。プロペラを回転させる。回転軸についている磁石が回転する。前記磁石の回転により、超伝導体内にあるリング磁石が誘導されて回転する。また、磁石と超電導の組み合わせによる非接触な、回転軸とカバーによって、摩擦が殆どない、回転を獲得する。回転効率が良い、起電力を発生させる。オプションとして、トランスフォーマーで、電圧・電流の調整をする。バッテリーに充電したり、電力として用いる。
【図３６】図３６は、エコロジー・エネルギー・システム（吉野一虎宇宙世界皇帝のエネルギー・エレクトリシティー・ジェネレーター・システム）のイメージ概念図である。太陽光発電（スチーム発電）、風力発電、海洋力発電、核反応発電（原子炉発電、核融合炉発電、などによるスチーム（ガス）発電）等の発電機システム。プロペラを回転させることによる発電システムのパワー（電力）のコンセプト・カリキュレーション（Concept Calculation）(概算)。
【図３７】図３７は、エコロジー・エネルギー・システム（吉野一虎宇宙世界皇帝のモーター・ジェット・ボード、モーター・ボート）のイメージ概念図である。水上ロケットランチャー、若しくは、水上から発射するロケット。ジェット・ウィンド・サーフィング。風力でウィンド・サーフ・ボードを動かし、その際、エネルギー・エレクトリシティー・ジェネレーターで、バッテリーに、電気を充電する。風があまりない時は、バッテリーによって、モーター（＋ギヤ）＋プロペラを回転させて、航行する。オプションとして、バッテリーを複数持ち、電力・ギヤによって、ウィンド・サーフ・ボードの速度をコントロールする。人が載るか、無線で操作か、人工知能、等によって航行する。
【手続補正２】
【補正対象書類名】図面
【補正対象項目名】図２０
【補正方法】追加
【補正の内容】
【図２０】
2018048555.tif 000102
【手続補正３】
【補正対象書類名】図面
【補正対象項目名】図２１
【補正方法】追加
【補正の内容】
【図２１】
2018048555.tif 000103
【手続補正４】
【補正対象書類名】図面
【補正対象項目名】図２２
【補正方法】追加
【補正の内容】
【図２２】
2018048555.tif 000104
【手続補正５】
【補正対象書類名】図面
【補正対象項目名】図２３
【補正方法】追加
【補正の内容】
【図２３】
2018048555.tif 000105
【手続補正６】
【補正対象書類名】図面
【補正対象項目名】図２４
【補正方法】追加
【補正の内容】
【図２４】
2018048555.tif 000106
【手続補正７】
【補正対象書類名】図面
【補正対象項目名】図２５
【補正方法】追加
【補正の内容】
【図２５】
2018048555.tif 000107
【手続補正８】
【補正対象書類名】図面
【補正対象項目名】図２６
【補正方法】追加
【補正の内容】
【図２６】
2018048555.tif 000108
【手続補正９】
【補正対象書類名】図面
【補正対象項目名】図２７
【補正方法】追加
【補正の内容】
【図２７】
2018048555.tif 000109
【手続補正１０】
【補正対象書類名】図面
【補正対象項目名】図２８
【補正方法】追加
【補正の内容】
【図２８】
2018048555.tif 000110
【手続補正１１】
【補正対象書類名】図面
【補正対象項目名】図２９
【補正方法】追加
【補正の内容】
【図２９】
2018048555.tif 000111
【手続補正１２】
【補正対象書類名】図面
【補正対象項目名】図３０
【補正方法】追加
【補正の内容】
【図３０】
2018048555.tif 000112
【手続補正１３】
【補正対象書類名】図面
【補正対象項目名】図３１
【補正方法】追加
【補正の内容】
【図３１】
2018048555.tif 000113
【手続補正１４】
【補正対象書類名】図面
【補正対象項目名】図３２
【補正方法】追加
【補正の内容】
【図３２】
2018048555.tif 000114
【手続補正１５】
【補正対象書類名】図面
【補正対象項目名】図３３
【補正方法】追加
【補正の内容】
【図３３】
2018048555.tif 000115
【手続補正１６】
【補正対象書類名】図面
【補正対象項目名】図３４
【補正方法】追加
【補正の内容】
【図３４】
2018048555.tif 000116
【手続補正１７】
【補正対象書類名】図面
【補正対象項目名】図３５
【補正方法】追加
【補正の内容】
【図３５】
2018048555.tif 000117
【手続補正１８】
【補正対象書類名】図面
【補正対象項目名】図３６
【補正方法】追加
【補正の内容】
【図３６】
2018048555.tif 000118
【手続補正１９】
【補正対象書類名】図面
【補正対象項目名】図３７
【補正方法】追加
【補正の内容】
【図３７】
2018048555.tif 000119
【手続補正書】
【提出日】平成25年3月18日(2013.3.18)
【手続補正１】
【補正対象書類名】明細書
【補正対象項目名】００１１
【補正方法】変更
【補正の内容】
【００１１】
【図１】図１は、エコロジー・エネルギー・システムのイメージ概念図である。
【図２】図２は、エコロジー・エネルギー・システムのイメージ概念図である。
【図３】図３は、エコロジー・エネルギー・システムのイメージ概念図である。
【図４】図４は、エコロジー・エネルギー・システムのイメージ概念図である。
【図５】図５は、エコロジー・エネルギー・システムのイメージ概念図である。
【図６】図６は、エコロジー・エネルギー・システムのイメージ概念図である。
【図７】図７は、エコロジー・エネルギー・システムのイメージ概念図である。
【図８】図８は、エコロジー・エネルギー・システムのイメージ概念図である。
【図９】図９は、エコロジー・エネルギー・システムのイメージ概念図である。
【図１０】図１０は、エコロジー・エネルギー・システムのイメージ概念図である。
【図１１】図１１は、エコロジー・エネルギー・システムのイメージ概念図である。
【図１２】図１２は、エコロジー・エネルギー・システムのイメージ概念図である。
【図１３】図１３は、エコロジー・エネルギー・システムのイメージ概念図である。
【図１４】図１４は、エコロジー・エネルギー・システムのイメージ概念図である。
【図１５】図１５は、エコロジー・エネルギー・システムのイメージ概念図である。
【図１６】図１６は、エコロジー・エネルギー・システムのイメージ概念図である。
【図１７】図１７は、エコロジー・エネルギー・システムのイメージ概念図である。
【図１８】図１８は、エコロジー・エネルギー・システムのイメージ概念図である。
【図１９】図１９は、エコロジー・エネルギー・システムのイメージ概念図である。
【図２０】図２０は、エコロジー・エネルギー・システムのイメージ概念図である。    本発明の図２０についての説明用のストーリ：吉野カズトラ宇宙世界皇帝は、吉野カズトラ宇宙世界皇帝国のエネルギーシステムを増強していた。 I.  宇宙太陽光発電システム（ソーラー（ユニット）サテライト）（USES）II.  宇宙太陽光電池製造システムIII.  宇宙核融合炉発電システムIV.  地上核融合発電システムV.  海上（海底）核融合発電システム 吉野カズトラ宇宙世界皇帝は、巨大な宇宙発電・太陽光エネルギー・送信システム（太陽の付近に宇宙太陽光人工衛星を配置）と受信システム（ロッキー山脈の頂にあるロッキーマウンテンナショナルパーク(Rocky Mountain National Park)や、アリゾナの砂漠、アラスカのマッキンレー山脈、サハラ砂漠、等）を作っていた。 吉野カズトラ宇宙世界皇帝は、また、宇宙での真空を利用して、（トカマク型）プラズマ封じ込め高温適圧の宇宙核融合炉を作ることを進めていた。 吉野カズトラ宇宙世界皇帝は、また、地上でプラズマ・イオン発電所を作り、プラズマ封じ込め高温適圧の宇宙核融合炉を運転していた。 吉野カズトラ宇宙世界皇帝は、また、海上で太陽光・風力・海洋エネルギー発電所を作り、海上（海底）核融合炉を運転していた。（核反応の事故に対して、比較的安全である） Reference:www.yoshinouniverse.comISBN0-8118-0897-1ISBN4-339-00552-5ISBN4-7853-6112-3
【図２１】図２１は、エコロジー・エネルギー・システムのイメージ概念図である。原子炉で、核燃料からエネルギーを取り出す。（オプション）再処理工場で、使用済み核燃料を、核燃料と核廃棄物（核のゴミ）に分離する。熱電発電（所）（システム）で、使用済み核燃料／核廃棄物（核のゴミ）からエネルギーを取り出す。使用済み核燃料／核廃棄物（核のゴミ）を、水、フィルム（紙）、金属（鉛、等）で囲み、放射能について封印するが、熱が出てくるのを、熱電発電で、電気エネルギーに、変換するシステム。
【図２２】図２２は、エコロジー・エネルギー・システム（日本の防衛システム）のイメージ概念図である。核燃料（プルトニウム、ウラン、等）などの核物質など、戦略的エネルギー物質を、日本に集める。核燃料・核爆弾・核廃棄物（核のゴミ）を、１．平和なら、平和利用する。（核エネルギーによって（核（燃料）を熱源として）、熱電発電する。）２．戦争なら、敵国に打ち込む。（埼玉県入間市の入間航空自衛隊（防衛軍）の地下ミサイル発射基地から、大陸弾道ミサイルなどを発射する。吉野カズトラ宇宙世界皇帝のシャチ型潜水艦から核ミサイルを発射する。吉野カズトラ宇宙世界皇帝の軍事衛星から核爆弾を投下する。等）Yoshino UniverseKazutora YoshinoUniverse EmpireKazutora YoshinoNuclear Energy Defense SystemLovely,
【図２３】図２３は、エコロジー・エネルギー・システム（太陽光熱カプセル発電システム）のイメージ概念図である。吉野一虎ソーラーライトカプセル効果：太陽光（熱）が、太陽で発生して（太陽中心：高温１６００万℃、太陽表面：低温温６０００℃）、太陽を囲む物質（ダークマター、素粒子、物質、保熱ガス、反応物質、捕熱物質、反射物質、等の適宜な組み合わせ）によって、光（熱）は、吸収・保持・反応、等をして、中温（数百万℃）になる。DM + gamma -> DM' + delta Egammaは、光（熱）などの（反応（素）粒子などの）エレメント。delta Eは、正／負／ゼロ、等のエネルギー（エレメント）とする。DM、DM’は、ダークマターなどの（反応（素）粒子・反応物質、物質）（群理論）エレメントで、DMとDM'は、同じエレメントでもよく、異なるエレメントでも良い。吉野一虎ライトカプセル効果：このシステムを、ミニチュア化したカプセルに二酸化炭素などの保熱ガス（捕熱ガス）を入れて、（太陽）光（／レーザー光）の照射をして、太陽光（熱）発電を行い、ミニチュア太陽光（熱）カプセル発電を行う。吉野一虎レーザー効果：二酸化炭素などの保熱ガス（捕熱ガス）に、（太陽）光（／レーザー光）を照射して、光（光子、レーザー光）を発光させて、光をカプセル内部で、反射させて、１００％ミラーと約９９％ミラーで、往復反射させて、誘導発光させて、同じ（ぐらいの）波長（周波数）と相（フェーズ）の光の束（レーザー光）を作り、約９９％ミラー側からコーヒーレントなレーザー光を、放つ。吉野一虎ネットワーク超特急効果：ミニチュア太陽光（熱）カプセル発電システムのユニットを、発電パフォーマンス良く、コストパフォーマンス良く、大量に作り、マトリクス上にして、日射量が十分にあるところに敷き詰めたり、電車の路線のサイドに並べたり、道路（高速道路）のサイドに、並べたりすることによって、日本（世界）全体が、ミニチュア太陽光（熱）カプセル発電システムによって、光ネットワーク発電システムとなる。 吉野アシュレーアヤメ女王偉大なる戦士は、吉野一虎効果（吉野一虎ソーラーカプセル効果、吉野一虎ライトカプセル効果、吉野一虎レーザー効果、吉野一虎（カズトラ）ネットワーク超特急効果、等の吉野一虎宇宙世界皇帝の効果）を、活用して、宇宙全体に、吉野アシュレーアヤメ女王による吉野一虎宇宙世界皇帝（宇宙銀河恒星ネットワーク・太陽系）光ネットワークシステムを構築して、宇宙・世界のエネルギー問題を、解決して行った・・・。
【図２４】図２４は、エコロジー・エネルギー・システム（熱（水蒸気／ガス）発電システム）のイメージ概念図である。水（／液体／気体／水素／ガス、等）に太陽光（熱）（エネルギー）、（ガスの）火、熱（等）を投入して、水蒸気（／ガス）にして、タービンを回転して、発電機で、発電するシステム。オプションとして、水蒸気（／ガス）を冷却して、水（／液体／気体／水素／ガス、等）にして、サイクル（リサイクル）するシステム。
【図２５】図２５は、エコロジー・エネルギー・システム（吉野一虎宇宙世界皇帝の核戦争用の鎧兜（防衛システム））のイメージ概念図である。ダイヤモンド、タングステン、ステンレス、鉄、鉛、防弾ガラス、セラミック、紙、スポンジ、水（汗）、バッテリー、シリコン、コンピューター、ディスプレイ等を、適宜に組み合わせて、放射能を遮断するタイガーシールド。本発明は、アルファ粒子線、ベータ線、γ線を遮断する物質（マテリアル）を用いた装甲・鎧（アーマー）である。オプションとして、周りの見た目に合わせて、色や柄を2D/3Dでディスプレイできるカメレオンシールド。この鎧兜を纏った軍隊を、カメレオン・アーミーとして、敵（の核兵器・軍隊）と戦うシステム（自衛隊・国防軍・民間安全警備武装集団（傭兵））。ディスプレイ、コンピューター、電子機器の電源、若しくは、バッテリーなどの充電器としてのブーツ（靴）による、歩行発電（靴発電システム）。ピエゾエレクトロニック素子（圧電素子）、発電機、弾性物質、等によって、発電して、バッテリーに電気を充電する。オプションとして、スプリングなどを用いて、発電しながら、跳躍力を抜群に向上させるジャンプ（発電）シューズ。本発明は、カメレオン・アーミーの鎧を電子的に機能させるのに必要な電源は、歩行発電ブーツから得ることが可能である。その際の戦士達の戦闘シーン（風景）の概念図が、示されている。
【図２６】図２６は、エコロジー・エネルギー・システム（太陽光熱カプセル発電システム：パラボラミラーバージョン）のイメージ概念図である。最良の形態の一つを示している。パラボラミラーによって、反射した光（エネルギー）を、（カプセル）球に集光させて、（熱反応、化学反応、核反応などの）反応、等を起こさせるシステム。
【図２７】図２７は、エコロジー・エネルギー・システム（水素と酸素による燃料電池発電（ガス発電）システム）のイメージ概念図である。ダイヤモンド／DLC／金属／カーボン（ファイバー）等の（軽くて丈夫な）強い（高圧のガスや、液体に耐えうる）容器に、濃縮ガス（濃縮水素ガス、濃縮酸素ガス）、液体（液体水素、液体酸素）等を入れる。水素と酸素を適宜な量を、コンピューター制御機、バルブなどで、摘出して、燃料電池に、投入して、電気（エネルギー）を発生させる。電気を直接用いるか、バッテリー等に充電して用いる。水素と酸素の反応によって出来た水を、（浄化フィルターに通して）、飲料水にする。宇宙船などでの宇宙航行が、長期の滞在の場合に、水素・酸素燃料から、水を作り、フィルターで飲料水を作り、飲むことが可能である、エコロジー・スマート・システム。宇宙旅行に、飲料水を、持ってゆくことが、可能であるが、水が、もっと必要なときとか、緊急時とかに、もっと飲料水を作ることが必要な際に、有用なシステムである。
【図２８】図２８は、エコロジー・エネルギー・システム（エネルギー炉（熱炉））のイメージ概念図である。
【図２９】図２９は、エコロジー・エネルギー・システム（吉野カズトラ宇宙世界皇帝のエネルギー炉（熱炉）と無線／タイマー式の起爆装置による核爆弾）のイメージ概念図である。
【図３０】図３０は、エコロジー・エネルギー・システム（吉野一虎宇宙世界皇帝の靴（防衛・防寒システム））のイメージ概念図である。ピエゾエレクトリックなどの圧電素子で発電したり、動力を利用して、発電したり、核燃料の熱で、発電したりして、熱エネルギーを用いて、エネルギーシステム（（防寒用のヒーター等の）の靴等）を作る。
【図３１】図３１は、エコロジー・エネルギー・システム（吉野一虎宇宙世界皇帝の核電池、核エネルギー、加速器核エネルギーシステム））のイメージ概念図である。核燃料、核廃棄物、（加速器で加速された陽子を核廃棄物（半減期約２万年）に当てて、（半減期を約３０年にした）放射性物質）等や、その適宜な組み合わせから、核（熱）電池を作る。加速器の放射エネルギーによって、宇宙船を飛ばす（運行する）。
【図３２】図３２は、エコロジー・エネルギー・システム（吉野一虎宇宙世界皇帝の核核融合炉エネルギーレーザーシステム（核融合レーザー起動用集光レンズ）））のイメージ概念図である。適宜な波長（若しくは、その組み合わせ）のレーザービームを、レンズで一点に集光（集中）させて、（プラズマ熱エネルギー）核融合を起因する。特に、紫外線、X線、γ線、などの（短波長）高周波のコーヒーレントな光子パッケージ（レーザー光ビーム、等）を用いると良い。そのレンズ方程式を示している。
【図３３】図３３は、エコロジー・エネルギー・システム（吉野一虎宇宙世界皇帝のカズトラ型の核融合炉：カズトラ型核融合炉エネルギー（レーザーヒーティング）システム（核融合レーザーヒーティング起動）））のイメージ概念図である。カズトラ型核融合炉は、トロイダル型（トカマク型）核融合炉を単数／複数、トロイダル型に纏めた型である。プラズマは、真空／ガス／プラズマ内にあるか、磁場・磁界（電場・電界／電磁場・電磁界）内にあっても良い。極力、外部に熱が流出しないように、高磁界にして、Tc（クリティカルテンパーチャー）を高温にして、プラズマを封じ込めて、レーザー（若しくは、マイクロウェーブ、等）で、ヒーティングして（局所場で核融合（ニュークリア・チェイン・リアクション）の初期反応を起こさせて、核融合（ニュークリア・チェイン・リアクション）連鎖反応させる）、プラズマを高温にして、（熱）核融合を起こさせる。（オプションとして、トロイダル型纏めた型のリング部に、オプションフィールド（例えば、磁界）を作るのも良い。）
【図３４】図３４は、エコロジー・エネルギー・システム（吉野一虎宇宙世界皇帝の核融合ロケット（核融合エンジン）：ネオ・カワセミ・プロジェクト：空飛ぶイルカ、空飛ぶイカ））のイメージ概念図である。羽を畳んで海底から発射された空飛ぶイルカは、水中を水ジェットエンジンで走行（航行）して、空中に羽を広げて飛び立ち、空気ジェットエンジンで走行（飛行）して、羽を畳んで宇宙をロケットエンジン（イオンエンジン、プラズマエンジン、ロケットエンジン、核ロケットエンジン、等）で、走行（宇宙航行）する。宇宙防衛のため、核爆弾などで、宇宙からの攻撃（上からの攻撃）をかけることも可能である。
【図３５】図３５は、エコロジー・エネルギー・システム（吉野一虎宇宙世界皇帝のエネルギー・エレクトリシティー・ジェネレーター・システム）のイメージ概念図である。太陽光発電（スチーム発電）、風力発電、海洋力発電、核反応発電（原子炉発電、核融合炉発電、などによるスチーム（ガス）発電）等の発電機システム。プロペラを回転させる。回転軸についている磁石が回転する。前記磁石の回転により、超伝導体内にあるリング磁石が誘導されて回転する。また、磁石と超電導の組み合わせによる非接触な、回転軸とカバーによって、摩擦が殆どない、回転を獲得する。回転効率が良い、起電力を発生させる。オプションとして、トランスフォーマーで、電圧・電流の調整をする。バッテリーに充電したり、電力として用いる。
【図３６】図３６は、エコロジー・エネルギー・システム（吉野一虎宇宙世界皇帝のエネルギー・エレクトリシティー・ジェネレーター・システム）のイメージ概念図である。太陽光発電（スチーム発電）、風力発電、海洋力発電、核反応発電（原子炉発電、核融合炉発電、などによるスチーム（ガス）発電）等の発電機システム。プロペラを回転させることによる発電システムのパワー（電力）のコンセプト・カリキュレーション（Concept Calculation）(概算)。
【図３７】図３７は、エコロジー・エネルギー・システム（吉野一虎宇宙世界皇帝のモーター・ジェット・ボード、モーター・ボート）のイメージ概念図である。水上ロケットランチャー、若しくは、水上から発射するロケット。ジェット・ウィンド・サーフィング。風力でウィンド・サーフ・ボードを動かし、その際、エネルギー・エレクトリシティー・ジェネレーターで、バッテリーに、電気を充電する。風があまりない時は、バッテリーによって、モーター（＋ギヤ）＋プロペラを回転させて、航行する。オプションとして、バッテリーを複数持ち、電力・ギヤによって、ウィンド・サーフ・ボードの速度をコントロールする。人が載るか、無線で操作か、人工知能、等によって航行する。
【図３８】図３８は、エコロジー・エネルギー・システム（吉野一虎宇宙世界皇帝の空飛ぶイルカ、ドラゴン、モーター・ジェット・ボード、モーター・ボート）のイメージ概念図である。特に、翼（羽）の構造（ダイアモンド型）、翼の開閉についてと、ダイヤモンド・ダイナミクス・メソードを示す。（２D／３Dで）翼（羽）を動かして、浮力を得ることも可能である。海中で航行しているときは、翼を閉じて、空で飛行しているときは、翼を広げ（用いて）、宇宙で宇宙航行しているときは、翼を閉じるか、若し、（（シリコンや色素増感型等の）太陽光シートなどなら）太陽光（シート）翼を広げるのが、最善の形態である。
【図３９】図３９は、エコロジー・エネルギー・システム（吉野一虎宇宙世界皇帝のシャフト・ローテーション・ベアリング・システム）のイメージ概念図である。モーター、発電機、ジョイント、等の部分に、ベアリングの周りを、ベアリングで囲み、スムースなオペレーションを可能にするシャフト・ローテーション・ベアリング・システムである。同様に、複数のレイヤーを用いても良い。シャフト・ローテーション・ベアリング・システム＝（（メインベアリング＊サブベアリング）＊Lレイヤー）（L＞＝１）。このシャフト・ローテーション・ベアリング・システムによって、モーターの回転効率や発電機の発電効率が良くなるという効果がある。
【手続補正２】
【補正対象書類名】図面
【補正対象項目名】図２０
【補正方法】追加
【補正の内容】
【図２０】
2018048555.tif 000120
【手続補正３】
【補正対象書類名】図面
【補正対象項目名】図２１
【補正方法】追加
【補正の内容】
【図２１】
2018048555.tif 000121
【手続補正４】
【補正対象書類名】図面
【補正対象項目名】図２２
【補正方法】追加
【補正の内容】
【図２２】
2018048555.tif 000122
【手続補正５】
【補正対象書類名】図面
【補正対象項目名】図２３
【補正方法】追加
【補正の内容】
【図２３】
2018048555.tif 000123
【手続補正６】
【補正対象書類名】図面
【補正対象項目名】図２４
【補正方法】追加
【補正の内容】
【図２４】
2018048555.tif 000124
【手続補正７】
【補正対象書類名】図面
【補正対象項目名】図２５
【補正方法】追加
【補正の内容】
【図２５】
2018048555.tif 000125
【手続補正８】
【補正対象書類名】図面
【補正対象項目名】図２６
【補正方法】追加
【補正の内容】
【図２６】
2018048555.tif 000126
【手続補正９】
【補正対象書類名】図面
【補正対象項目名】図２７
【補正方法】追加
【補正の内容】
【図２７】
2018048555.tif 000127
【手続補正１０】
【補正対象書類名】図面
【補正対象項目名】図２８
【補正方法】追加
【補正の内容】
【図２８】
2018048555.tif 000128
【手続補正１１】
【補正対象書類名】図面
【補正対象項目名】図２９
【補正方法】追加
【補正の内容】
【図２９】
2018048555.tif 000129
【手続補正１２】
【補正対象書類名】図面
【補正対象項目名】図３０
【補正方法】追加
【補正の内容】
【図３０】
2018048555.tif 000130
【手続補正１３】
【補正対象書類名】図面
【補正対象項目名】図３１
【補正方法】追加
【補正の内容】
【図３１】
2018048555.tif 000131
【手続補正１４】
【補正対象書類名】図面
【補正対象項目名】図３２
【補正方法】追加
【補正の内容】
【図３２】
2018048555.tif 000132
【手続補正１５】
【補正対象書類名】図面
【補正対象項目名】図３３
【補正方法】追加
【補正の内容】
【図３３】
2018048555.tif 000133
【手続補正１６】
【補正対象書類名】図面
【補正対象項目名】図３４
【補正方法】追加
【補正の内容】
【図３４】
2018048555.tif 000134
【手続補正１７】
【補正対象書類名】図面
【補正対象項目名】図３５
【補正方法】追加
【補正の内容】
【図３５】
2018048555.tif 000135
【手続補正１８】
【補正対象書類名】図面
【補正対象項目名】図３６
【補正方法】追加
【補正の内容】
【図３６】
2018048555.tif 000136
【手続補正１９】
【補正対象書類名】図面
【補正対象項目名】図３７
【補正方法】追加
【補正の内容】
【図３７】
2018048555.tif 000137
【手続補正２０】
【補正対象書類名】図面
【補正対象項目名】図３８
【補正方法】追加
【補正の内容】
【図３８】
2018048555.tif 000138
【手続補正２１】
【補正対象書類名】図面
【補正対象項目名】図３９
【補正方法】追加
【補正の内容】
【図３９】
2018048555.tif 000139
【手続補正書】
【提出日】平成25年3月21日(2013.3.21)
【手続補正１】
【補正対象書類名】明細書
【補正対象項目名】００１１
【補正方法】変更
【補正の内容】
【００１１】
【図１】図１は、エコロジー・エネルギー・システムのイメージ概念図である。
【図２】図２は、エコロジー・エネルギー・システムのイメージ概念図である。
【図３】図３は、エコロジー・エネルギー・システムのイメージ概念図である。
【図４】図４は、エコロジー・エネルギー・システムのイメージ概念図である。
【図５】図５は、エコロジー・エネルギー・システムのイメージ概念図である。
【図６】図６は、エコロジー・エネルギー・システムのイメージ概念図である。
【図７】図７は、エコロジー・エネルギー・システムのイメージ概念図である。
【図８】図８は、エコロジー・エネルギー・システムのイメージ概念図である。
【図９】図９は、エコロジー・エネルギー・システムのイメージ概念図である。
【図１０】図１０は、エコロジー・エネルギー・システムのイメージ概念図である。
【図１１】図１１は、エコロジー・エネルギー・システムのイメージ概念図である。
【図１２】図１２は、エコロジー・エネルギー・システムのイメージ概念図である。
【図１３】図１３は、エコロジー・エネルギー・システムのイメージ概念図である。
【図１４】図１４は、エコロジー・エネルギー・システムのイメージ概念図である。
【図１５】図１５は、エコロジー・エネルギー・システムのイメージ概念図である。
【図１６】図１６は、エコロジー・エネルギー・システムのイメージ概念図である。
【図１７】図１７は、エコロジー・エネルギー・システムのイメージ概念図である。
【図１８】図１８は、エコロジー・エネルギー・システムのイメージ概念図である。
【図１９】図１９は、エコロジー・エネルギー・システムのイメージ概念図である。
【図２０】図２０は、エコロジー・エネルギー・システムのイメージ概念図である。    本発明の図２０についての説明用のストーリ：吉野カズトラ宇宙世界皇帝は、吉野カズトラ宇宙世界皇帝国のエネルギーシステムを増強していた。 I.  宇宙太陽光発電システム（ソーラー（ユニット）サテライト）（USES）II.  宇宙太陽光電池製造システムIII.  宇宙核融合炉発電システムIV.  地上核融合発電システムV.  海上（海底）核融合発電システム 吉野カズトラ宇宙世界皇帝は、巨大な宇宙発電・太陽光エネルギー・送信システム（太陽の付近に宇宙太陽光人工衛星を配置）と受信システム（ロッキー山脈の頂にあるロッキーマウンテンナショナルパーク(Rocky Mountain National Park)や、アリゾナの砂漠、アラスカのマッキンレー山脈、サハラ砂漠、等）を作っていた。 吉野カズトラ宇宙世界皇帝は、また、宇宙での真空を利用して、（トカマク型）プラズマ封じ込め高温適圧の宇宙核融合炉を作ることを進めていた。 吉野カズトラ宇宙世界皇帝は、また、地上でプラズマ・イオン発電所を作り、プラズマ封じ込め高温適圧の宇宙核融合炉を運転していた。 吉野カズトラ宇宙世界皇帝は、また、海上で太陽光・風力・海洋エネルギー発電所を作り、海上（海底）核融合炉を運転していた。（核反応の事故に対して、比較的安全である） Reference:www.yoshinouniverse.comISBN0-8118-0897-1ISBN4-339-00552-5ISBN4-7853-6112-3
【図２１】図２１は、エコロジー・エネルギー・システムのイメージ概念図である。原子炉で、核燃料からエネルギーを取り出す。（オプション）再処理工場で、使用済み核燃料を、核燃料と核廃棄物（核のゴミ）に分離する。熱電発電（所）（システム）で、使用済み核燃料／核廃棄物（核のゴミ）からエネルギーを取り出す。使用済み核燃料／核廃棄物（核のゴミ）を、水、フィルム（紙）、金属（鉛、等）で囲み、放射能について封印するが、熱が出てくるのを、熱電発電で、電気エネルギーに、変換するシステム。
【図２２】図２２は、エコロジー・エネルギー・システム（日本の防衛システム）のイメージ概念図である。核燃料（プルトニウム、ウラン、等）などの核物質など、戦略的エネルギー物質を、日本に集める。核燃料・核爆弾・核廃棄物（核のゴミ）を、１．平和なら、平和利用する。（核エネルギーによって（核（燃料）を熱源として）、熱電発電する。）２．戦争なら、敵国に打ち込む。（埼玉県入間市の入間航空自衛隊（防衛軍）の地下ミサイル発射基地から、大陸弾道ミサイルなどを発射する。吉野カズトラ宇宙世界皇帝のシャチ型潜水艦から核ミサイルを発射する。吉野カズトラ宇宙世界皇帝の軍事衛星から核爆弾を投下する。等）Yoshino UniverseKazutora YoshinoUniverse EmpireKazutora YoshinoNuclear Energy Defense SystemLovely,
【図２３】図２３は、エコロジー・エネルギー・システム（太陽光熱カプセル発電システム）のイメージ概念図である。吉野一虎ソーラーライトカプセル効果：太陽光（熱）が、太陽で発生して（太陽中心：高温１６００万℃、太陽表面：低温温６０００℃）、太陽を囲む物質（ダークマター、素粒子、物質、保熱ガス、反応物質、捕熱物質、反射物質、等の適宜な組み合わせ）によって、光（熱）は、吸収・保持・反応、等をして、中温（数百万℃）になる。DM + gamma -> DM' + delta Egammaは、光（熱）などの（反応（素）粒子などの）エレメント。delta Eは、正／負／ゼロ、等のエネルギー（エレメント）とする。DM、DM’は、ダークマターなどの（反応（素）粒子・反応物質、物質）（群理論）エレメントで、DMとDM'は、同じエレメントでもよく、異なるエレメントでも良い。吉野一虎ライトカプセル効果：このシステムを、ミニチュア化したカプセルに二酸化炭素などの保熱ガス（捕熱ガス）を入れて、（太陽）光（／レーザー光）の照射をして、太陽光（熱）発電を行い、ミニチュア太陽光（熱）カプセル発電を行う。吉野一虎レーザー効果：二酸化炭素などの保熱ガス（捕熱ガス）に、（太陽）光（／レーザー光）を照射して、光（光子、レーザー光）を発光させて、光をカプセル内部で、反射させて、１００％ミラーと約９９％ミラーで、往復反射させて、誘導発光させて、同じ（ぐらいの）波長（周波数）と相（フェーズ）の光の束（レーザー光）を作り、約９９％ミラー側からコーヒーレントなレーザー光を、放つ。吉野一虎ネットワーク超特急効果：ミニチュア太陽光（熱）カプセル発電システムのユニットを、発電パフォーマンス良く、コストパフォーマンス良く、大量に作り、マトリクス上にして、日射量が十分にあるところに敷き詰めたり、電車の路線のサイドに並べたり、道路（高速道路）のサイドに、並べたりすることによって、日本（世界）全体が、ミニチュア太陽光（熱）カプセル発電システムによって、光ネットワーク発電システムとなる。 吉野アシュレーアヤメ女王偉大なる戦士は、吉野一虎効果（吉野一虎ソーラーカプセル効果、吉野一虎ライトカプセル効果、吉野一虎レーザー効果、吉野一虎（カズトラ）ネットワーク超特急効果、等の吉野一虎宇宙世界皇帝の効果）を、活用して、宇宙全体に、吉野アシュレーアヤメ女王による吉野一虎宇宙世界皇帝（宇宙銀河恒星ネットワーク・太陽系）光ネットワークシステムを構築して、宇宙・世界のエネルギー問題を、解決して行った・・・。
【図２４】図２４は、エコロジー・エネルギー・システム（熱（水蒸気／ガス）発電システム）のイメージ概念図である。水（／液体／気体／水素／ガス、等）に太陽光（熱）（エネルギー）、（ガスの）火、熱（等）を投入して、水蒸気（／ガス）にして、タービンを回転して、発電機で、発電するシステム。オプションとして、水蒸気（／ガス）を冷却して、水（／液体／気体／水素／ガス、等）にして、サイクル（リサイクル）するシステム。
【図２５】図２５は、エコロジー・エネルギー・システム（吉野一虎宇宙世界皇帝の核戦争用の鎧兜（防衛システム））のイメージ概念図である。ダイヤモンド、タングステン、ステンレス、鉄、鉛、防弾ガラス、セラミック、紙、スポンジ、水（汗）、バッテリー、シリコン、コンピューター、ディスプレイ等を、適宜に組み合わせて、放射能を遮断するタイガーシールド。本発明は、アルファ粒子線、ベータ線、γ線を遮断する物質（マテリアル）を用いた装甲・鎧（アーマー）である。オプションとして、周りの見た目に合わせて、色や柄を2D/3Dでディスプレイできるカメレオンシールド。この鎧兜を纏った軍隊を、カメレオン・アーミーとして、敵（の核兵器・軍隊）と戦うシステム（自衛隊・国防軍・民間安全警備武装集団（傭兵））。ディスプレイ、コンピューター、電子機器の電源、若しくは、バッテリーなどの充電器としてのブーツ（靴）による、歩行発電（靴発電システム）。ピエゾエレクトロニック素子（圧電素子）、発電機、弾性物質、等によって、発電して、バッテリーに電気を充電する。オプションとして、スプリングなどを用いて、発電しながら、跳躍力を抜群に向上させるジャンプ（発電）シューズ。本発明は、カメレオン・アーミーの鎧を電子的に機能させるのに必要な電源は、歩行発電ブーツから得ることが可能である。その際の戦士達の戦闘シーン（風景）の概念図が、示されている。
【図２６】図２６は、エコロジー・エネルギー・システム（太陽光熱カプセル発電システム：パラボラミラーバージョン）のイメージ概念図である。最良の形態の一つを示している。パラボラミラーによって、反射した光（エネルギー）を、（カプセル）球に集光させて、（熱反応、化学反応、核反応などの）反応、等を起こさせるシステム。
【図２７】図２７は、エコロジー・エネルギー・システム（水素と酸素による燃料電池発電（ガス発電）システム）のイメージ概念図である。ダイヤモンド／DLC／金属／カーボン（ファイバー）等の（軽くて丈夫な）強い（高圧のガスや、液体に耐えうる）容器に、濃縮ガス（濃縮水素ガス、濃縮酸素ガス）、液体（液体水素、液体酸素）等を入れる。水素と酸素を適宜な量を、コンピューター制御機、バルブなどで、摘出して、燃料電池に、投入して、電気（エネルギー）を発生させる。電気を直接用いるか、バッテリー等に充電して用いる。水素と酸素の反応によって出来た水を、（浄化フィルターに通して）、飲料水にする。宇宙船などでの宇宙航行が、長期の滞在の場合に、水素・酸素燃料から、水を作り、フィルターで飲料水を作り、飲むことが可能である、エコロジー・スマート・システム。宇宙旅行に、飲料水を、持ってゆくことが、可能であるが、水が、もっと必要なときとか、緊急時とかに、もっと飲料水を作ることが必要な際に、有用なシステムである。
【図２８】図２８は、エコロジー・エネルギー・システム（エネルギー炉（熱炉））のイメージ概念図である。
【図２９】図２９は、エコロジー・エネルギー・システム（吉野カズトラ宇宙世界皇帝のエネルギー炉（熱炉）と無線／タイマー式の起爆装置による核爆弾）のイメージ概念図である。
【図３０】図３０は、エコロジー・エネルギー・システム（吉野一虎宇宙世界皇帝の靴（防衛・防寒システム））のイメージ概念図である。ピエゾエレクトリックなどの圧電素子で発電したり、動力を利用して、発電したり、核燃料の熱で、発電したりして、熱エネルギーを用いて、エネルギーシステム（（防寒用のヒーター等の）の靴等）を作る。
【図３１】図３１は、エコロジー・エネルギー・システム（吉野一虎宇宙世界皇帝の核電池、核エネルギー、加速器核エネルギーシステム））のイメージ概念図である。核燃料、核廃棄物、（加速器で加速された陽子を核廃棄物（半減期約２万年）に当てて、（半減期を約３０年にした）放射性物質）等や、その適宜な組み合わせから、核（熱）電池を作る。加速器の放射エネルギーによって、宇宙船を飛ばす（運行する）。
【図３２】図３２は、エコロジー・エネルギー・システム（吉野一虎宇宙世界皇帝の核核融合炉エネルギーレーザーシステム（核融合レーザー起動用集光レンズ）））のイメージ概念図である。適宜な波長（若しくは、その組み合わせ）のレーザービームを、レンズで一点に集光（集中）させて、（プラズマ熱エネルギー）核融合を起因する。特に、紫外線、X線、γ線、などの（短波長）高周波のコーヒーレントな光子パッケージ（レーザー光ビーム、等）を用いると良い。そのレンズ方程式を示している。
【図３３】図３３は、エコロジー・エネルギー・システム（吉野一虎宇宙世界皇帝のカズトラ型の核融合炉：カズトラ型核融合炉エネルギー（レーザーヒーティング）システム（核融合レーザーヒーティング起動）））のイメージ概念図である。カズトラ型核融合炉は、トロイダル型（トカマク型）核融合炉を単数／複数、トロイダル型に纏めた型である。プラズマは、真空／ガス／プラズマ内にあるか、磁場・磁界（電場・電界／電磁場・電磁界）内にあっても良い。極力、外部に熱が流出しないように、高磁界にして、Tc（クリティカルテンパーチャー）を高温にして、プラズマを封じ込めて、レーザー（若しくは、マイクロウェーブ、等）で、ヒーティングして（局所場で核融合（ニュークリア・チェイン・リアクション）の初期反応を起こさせて、核融合（ニュークリア・チェイン・リアクション）連鎖反応させる）、プラズマを高温にして、（熱）核融合を起こさせる。（オプションとして、トロイダル型纏めた型のリング部に、オプションフィールド（例えば、磁界）を作るのも良い。）
【図３４】図３４は、エコロジー・エネルギー・システム（吉野一虎宇宙世界皇帝の核融合ロケット（核融合エンジン）：ネオ・カワセミ・プロジェクト：空飛ぶイルカ、空飛ぶイカ））のイメージ概念図である。羽を畳んで海底から発射された空飛ぶイルカは、水中を水ジェットエンジンで走行（航行）して、空中に羽を広げて飛び立ち、空気ジェットエンジンで走行（飛行）して、羽を畳んで宇宙をロケットエンジン（イオンエンジン、プラズマエンジン、ロケットエンジン、核ロケットエンジン、等）で、走行（宇宙航行）する。宇宙防衛のため、核爆弾などで、宇宙からの攻撃（上からの攻撃）をかけることも可能である。
【図３５】図３５は、エコロジー・エネルギー・システム（吉野一虎宇宙世界皇帝のエネルギー・エレクトリシティー・ジェネレーター・システム）のイメージ概念図である。太陽光発電（スチーム発電）、風力発電、海洋力発電、核反応発電（原子炉発電、核融合炉発電、などによるスチーム（ガス）発電）等の発電機システム。プロペラを回転させる。回転軸についている磁石が回転する。前記磁石の回転により、超伝導体内にあるリング磁石が誘導されて回転する。また、磁石と超電導の組み合わせによる非接触な、回転軸とカバーによって、摩擦が殆どない、回転を獲得する。回転効率が良い、起電力を発生させる。オプションとして、トランスフォーマーで、電圧・電流の調整をする。バッテリーに充電したり、電力として用いる。
【図３６】図３６は、エコロジー・エネルギー・システム（吉野一虎宇宙世界皇帝のエネルギー・エレクトリシティー・ジェネレーター・システム）のイメージ概念図である。太陽光発電（スチーム発電）、風力発電、海洋力発電、核反応発電（原子炉発電、核融合炉発電、などによるスチーム（ガス）発電）等の発電機システム。プロペラを回転させることによる発電システムのパワー（電力）のコンセプト・カリキュレーション（Concept Calculation）(概算)。
【図３７】図３７は、エコロジー・エネルギー・システム（吉野一虎宇宙世界皇帝のモーター・ジェット・ボード、モーター・ボート）のイメージ概念図である。水上ロケットランチャー、若しくは、水上から発射するロケット。ジェット・ウィンド・サーフィング。風力でウィンド・サーフ・ボードを動かし、その際、エネルギー・エレクトリシティー・ジェネレーターで、バッテリーに、電気を充電する。風があまりない時は、バッテリーによって、モーター（＋ギヤ）＋プロペラを回転させて、航行する。オプションとして、バッテリーを複数持ち、電力・ギヤによって、ウィンド・サーフ・ボードの速度をコントロールする。人が載るか、無線で操作か、人工知能、等によって航行する。
【図３８】図３８は、エコロジー・エネルギー・システム（吉野一虎宇宙世界皇帝の空飛ぶイルカ、ドラゴン、モーター・ジェット・ボード、モーター・ボート）のイメージ概念図である。特に、翼（羽）の構造（ダイアモンド型）、翼の開閉についてと、ダイヤモンド・ダイナミクス・メソードを示す。（２D／３Dで）翼（羽）を動かして、浮力を得ることも可能である。海中で航行しているときは、翼を閉じて、空で飛行しているときは、翼を広げ（用いて）、宇宙で宇宙航行しているときは、翼を閉じるか、若し、（（シリコンや色素増感型等の）太陽光シートなどなら）太陽光（シート）翼を広げるのが、最善の形態である。
【図３９】図３９は、エコロジー・エネルギー・システム（吉野一虎宇宙世界皇帝のシャフト・ローテーション・ベアリング・システム）のイメージ概念図である。モーター、発電機、ジョイント、等の部分に、ベアリングの周りを、ベアリングで囲み、スムースなオペレーションを可能にするシャフト・ローテーション・ベアリング・システムである。同様に、複数のレイヤーを用いても良い。シャフト・ローテーション・ベアリング・システム＝（（メインベアリング＊サブベアリング）＊Lレイヤー）（L＞＝１）。このシャフト・ローテーション・ベアリング・システムによって、モーターの回転効率や発電機の発電効率が良くなるという効果がある。
【図４０】図４０は、エコロジー・エネルギー・システム（吉野一虎宇宙世界皇帝のスーパーマン（計画））のイメージ概念図である。Yoshino UniverseKazutora YoshinoUniverse EmpireKazutora YoshinoEmperor's Super Man ProjectLovely, 一般的なエンジン、キシレン、ガソリン、水素＋酸素、等を用いるジェット・エンジン、ロケット・エンジンでも良いが、ジェット・ロケット・エンジンを用いるのが最適である。ジェット・ロケット・エンジンは、（小型原子炉／）、小型核融合炉で、燃料の水を沸かして、水蒸気（スチーム）を噴出させて、ジェットを作るロケットエンジンを、箱に取り付ける。ジェット・ロケット・エンジンは、箱の上の方に付けると、横から下にジェットを噴出するので、バランス的に安定する。ジェット・ロケット・エンジンを、箱の下の方に付けると、ジェットが、下に噴出されるので、熱流体的には、効率が良い。二つのジェット・ロケット・エンジンでも、飛行が可能な（動力・エネルギー）レベルにしておく。基本形は、四つのジェット・ロケット・エンジンを用いて、（光学）ジャイロスコープ、加速度センサー、GPS、コンピューター（ジェネリック・アルゴリズム等を用いる人工知能）を用いて、ジェットを噴出したり、逆噴射して、最適な、バランス、位置、方向を、獲得する。緊急の時等は、マニュアル操作も可能にする。四つのジェットエンジンのうち、一つが破損などしたら、対照側にあるジェット・ロケット・エンジンも停止して、二つのジェット・ロケット・エンジンによる飛行（マニュアル操作も出来るようにする）に、切り替えることが可能にする。又、出来るだけ速やかに着地するようにする。若しくは、ジェネリック・アルゴリズムや摂動論的制御、等の最適制御によって、三つのジェット・ロケット・エンジンを、微妙に操作・制御して、当分は、飛行を続けることが可能にする。ダイヤモンドや防弾ガラスのような素材を壁にして、飛行中に、美しい風景など、見渡しが良いようにしても良い。民間の観光用に用いることも可能であり、軍事用の偵察機のように用いることも可能である。パイロットや宇宙飛行士が箱の中にいるなら、内部に空気（酸素）タンクを入れておけば、燃料が続くなら、空から、宇宙に航行しても良い。宇宙の景色（宇宙の夜景、星星の輝き、天体の芸術）などが、美しく、ダイアモンドに映るであろう。
【手続補正２】
【補正対象書類名】図面
【補正対象項目名】図２０
【補正方法】追加
【補正の内容】
【図２０】
2018048555.tif 000140
【手続補正３】
【補正対象書類名】図面
【補正対象項目名】図２１
【補正方法】追加
【補正の内容】
【図２１】
2018048555.tif 000141
【手続補正４】
【補正対象書類名】図面
【補正対象項目名】図２２
【補正方法】追加
【補正の内容】
【図２２】
2018048555.tif 000142
【手続補正５】
【補正対象書類名】図面
【補正対象項目名】図２３
【補正方法】追加
【補正の内容】
【図２３】
2018048555.tif 000143
【手続補正６】
【補正対象書類名】図面
【補正対象項目名】図２４
【補正方法】追加
【補正の内容】
【図２４】
2018048555.tif 000144
【手続補正７】
【補正対象書類名】図面
【補正対象項目名】図２５
【補正方法】追加
【補正の内容】
【図２５】
2018048555.tif 000145
【手続補正８】
【補正対象書類名】図面
【補正対象項目名】図２６
【補正方法】追加
【補正の内容】
【図２６】
2018048555.tif 000146
【手続補正９】
【補正対象書類名】図面
【補正対象項目名】図２７
【補正方法】追加
【補正の内容】
【図２７】
2018048555.tif 000147
【手続補正１０】
【補正対象書類名】図面
【補正対象項目名】図２８
【補正方法】追加
【補正の内容】
【図２８】
2018048555.tif 000148
【手続補正１１】
【補正対象書類名】図面
【補正対象項目名】図２９
【補正方法】追加
【補正の内容】
【図２９】
2018048555.tif 000149
【手続補正１２】
【補正対象書類名】図面
【補正対象項目名】図３０
【補正方法】追加
【補正の内容】
【図３０】
2018048555.tif 000150
【手続補正１３】
【補正対象書類名】図面
【補正対象項目名】図３１
【補正方法】追加
【補正の内容】
【図３１】
2018048555.tif 000151
【手続補正１４】
【補正対象書類名】図面
【補正対象項目名】図３２
【補正方法】追加
【補正の内容】
【図３２】
2018048555.tif 000152
【手続補正１５】
【補正対象書類名】図面
【補正対象項目名】図３３
【補正方法】追加
【補正の内容】
【図３３】
2018048555.tif 000153
【手続補正１６】
【補正対象書類名】図面
【補正対象項目名】図３４
【補正方法】追加
【補正の内容】
【図３４】
2018048555.tif 000154
【手続補正１７】
【補正対象書類名】図面
【補正対象項目名】図３５
【補正方法】追加
【補正の内容】
【図３５】
2018048555.tif 000155
【手続補正１８】
【補正対象書類名】図面
【補正対象項目名】図３６
【補正方法】追加
【補正の内容】
【図３６】
2018048555.tif 000156
【手続補正１９】
【補正対象書類名】図面
【補正対象項目名】図３７
【補正方法】追加
【補正の内容】
【図３７】
2018048555.tif 000157
【手続補正２０】
【補正対象書類名】図面
【補正対象項目名】図３８
【補正方法】追加
【補正の内容】
【図３８】
2018048555.tif 000158
【手続補正２１】
【補正対象書類名】図面
【補正対象項目名】図３９
【補正方法】追加
【補正の内容】
【図３９】
2018048555.tif 000159
【手続補正２２】
【補正対象書類名】図面
【補正対象項目名】図４０
【補正方法】追加
【補正の内容】
【図４０】
2018048555.tif 000160
【手続補正書】
【提出日】平成25年3月24日(2013.3.24)
【手続補正１】
【補正対象書類名】明細書
【補正対象項目名】００１１
【補正方法】変更
【補正の内容】
【００１１】
【図１】図１は、エコロジー・エネルギー・システムのイメージ概念図である。
【図２】図２は、エコロジー・エネルギー・システムのイメージ概念図である。
【図３】図３は、エコロジー・エネルギー・システムのイメージ概念図である。
【図４】図４は、エコロジー・エネルギー・システムのイメージ概念図である。
【図５】図５は、エコロジー・エネルギー・システムのイメージ概念図である。
【図６】図６は、エコロジー・エネルギー・システムのイメージ概念図である。
【図７】図７は、エコロジー・エネルギー・システムのイメージ概念図である。
【図８】図８は、エコロジー・エネルギー・システムのイメージ概念図である。
【図９】図９は、エコロジー・エネルギー・システムのイメージ概念図である。
【図１０】図１０は、エコロジー・エネルギー・システムのイメージ概念図である。
【図１１】図１１は、エコロジー・エネルギー・システムのイメージ概念図である。
【図１２】図１２は、エコロジー・エネルギー・システムのイメージ概念図である。
【図１３】図１３は、エコロジー・エネルギー・システムのイメージ概念図である。
【図１４】図１４は、エコロジー・エネルギー・システムのイメージ概念図である。
【図１５】図１５は、エコロジー・エネルギー・システムのイメージ概念図である。
【図１６】図１６は、エコロジー・エネルギー・システムのイメージ概念図である。
【図１７】図１７は、エコロジー・エネルギー・システムのイメージ概念図である。
【図１８】図１８は、エコロジー・エネルギー・システムのイメージ概念図である。
【図１９】図１９は、エコロジー・エネルギー・システムのイメージ概念図である。
【図２０】図２０は、エコロジー・エネルギー・システムのイメージ概念図である。    本発明の図２０についての説明用のストーリ：吉野カズトラ宇宙世界皇帝は、吉野カズトラ宇宙世界皇帝国のエネルギーシステムを増強していた。 I.  宇宙太陽光発電システム（ソーラー（ユニット）サテライト）（USES）II.  宇宙太陽光電池製造システムIII.  宇宙核融合炉発電システムIV.  地上核融合発電システムV.  海上（海底）核融合発電システム 吉野カズトラ宇宙世界皇帝は、巨大な宇宙発電・太陽光エネルギー・送信システム（太陽の付近に宇宙太陽光人工衛星を配置）と受信システム（ロッキー山脈の頂にあるロッキーマウンテンナショナルパーク(Rocky Mountain National Park)や、アリゾナの砂漠、アラスカのマッキンレー山脈、サハラ砂漠、等）を作っていた。 吉野カズトラ宇宙世界皇帝は、また、宇宙での真空を利用して、（トカマク型）プラズマ封じ込め高温適圧の宇宙核融合炉を作ることを進めていた。 吉野カズトラ宇宙世界皇帝は、また、地上でプラズマ・イオン発電所を作り、プラズマ封じ込め高温適圧の宇宙核融合炉を運転していた。 吉野カズトラ宇宙世界皇帝は、また、海上で太陽光・風力・海洋エネルギー発電所を作り、海上（海底）核融合炉を運転していた。（核反応の事故に対して、比較的安全である） Reference:www.yoshinouniverse.comISBN0-8118-0897-1ISBN4-339-00552-5ISBN4-7853-6112-3
【図２１】図２１は、エコロジー・エネルギー・システムのイメージ概念図である。原子炉で、核燃料からエネルギーを取り出す。（オプション）再処理工場で、使用済み核燃料を、核燃料と核廃棄物（核のゴミ）に分離する。熱電発電（所）（システム）で、使用済み核燃料／核廃棄物（核のゴミ）からエネルギーを取り出す。使用済み核燃料／核廃棄物（核のゴミ）を、水、フィルム（紙）、金属（鉛、等）で囲み、放射能について封印するが、熱が出てくるのを、熱電発電で、電気エネルギーに、変換するシステム。
【図２２】図２２は、エコロジー・エネルギー・システム（日本の防衛システム）のイメージ概念図である。核燃料（プルトニウム、ウラン、等）などの核物質など、戦略的エネルギー物質を、日本に集める。核燃料・核爆弾・核廃棄物（核のゴミ）を、１．平和なら、平和利用する。（核エネルギーによって（核（燃料）を熱源として）、熱電発電する。）２．戦争なら、敵国に打ち込む。（埼玉県入間市の入間航空自衛隊（防衛軍）の地下ミサイル発射基地から、大陸弾道ミサイルなどを発射する。吉野カズトラ宇宙世界皇帝のシャチ型潜水艦から核ミサイルを発射する。吉野カズトラ宇宙世界皇帝の軍事衛星から核爆弾を投下する。等）Yoshino UniverseKazutora YoshinoUniverse EmpireKazutora YoshinoNuclear Energy Defense SystemLovely,
【図２３】図２３は、エコロジー・エネルギー・システム（太陽光熱カプセル発電システム）のイメージ概念図である。吉野一虎ソーラーライトカプセル効果：太陽光（熱）が、太陽で発生して（太陽中心：高温１６００万℃、太陽表面：低温温６０００℃）、太陽を囲む物質（ダークマター、素粒子、物質、保熱ガス、反応物質、捕熱物質、反射物質、等の適宜な組み合わせ）によって、光（熱）は、吸収・保持・反応、等をして、中温（数百万℃）になる。DM + gamma -> DM' + delta Egammaは、光（熱）などの（反応（素）粒子などの）エレメント。delta Eは、正／負／ゼロ、等のエネルギー（エレメント）とする。DM、DM’は、ダークマターなどの（反応（素）粒子・反応物質、物質）（群理論）エレメントで、DMとDM'は、同じエレメントでもよく、異なるエレメントでも良い。吉野一虎ライトカプセル効果：このシステムを、ミニチュア化したカプセルに二酸化炭素などの保熱ガス（捕熱ガス）を入れて、（太陽）光（／レーザー光）の照射をして、太陽光（熱）発電を行い、ミニチュア太陽光（熱）カプセル発電を行う。吉野一虎レーザー効果：二酸化炭素などの保熱ガス（捕熱ガス）に、（太陽）光（／レーザー光）を照射して、光（光子、レーザー光）を発光させて、光をカプセル内部で、反射させて、１００％ミラーと約９９％ミラーで、往復反射させて、誘導発光させて、同じ（ぐらいの）波長（周波数）と相（フェーズ）の光の束（レーザー光）を作り、約９９％ミラー側からコーヒーレントなレーザー光を、放つ。吉野一虎ネットワーク超特急効果：ミニチュア太陽光（熱）カプセル発電システムのユニットを、発電パフォーマンス良く、コストパフォーマンス良く、大量に作り、マトリクス上にして、日射量が十分にあるところに敷き詰めたり、電車の路線のサイドに並べたり、道路（高速道路）のサイドに、並べたりすることによって、日本（世界）全体が、ミニチュア太陽光（熱）カプセル発電システムによって、光ネットワーク発電システムとなる。 吉野アシュレーアヤメ女王偉大なる戦士は、吉野一虎効果（吉野一虎ソーラーカプセル効果、吉野一虎ライトカプセル効果、吉野一虎レーザー効果、吉野一虎（カズトラ）ネットワーク超特急効果、等の吉野一虎宇宙世界皇帝の効果）を、活用して、宇宙全体に、吉野アシュレーアヤメ女王による吉野一虎宇宙世界皇帝（宇宙銀河恒星ネットワーク・太陽系）光ネットワークシステムを構築して、宇宙・世界のエネルギー問題を、解決して行った・・・。
【図２４】図２４は、エコロジー・エネルギー・システム（熱（水蒸気／ガス）発電システム）のイメージ概念図である。水（／液体／気体／水素／ガス、等）に太陽光（熱）（エネルギー）、（ガスの）火、熱（等）を投入して、水蒸気（／ガス）にして、タービンを回転して、発電機で、発電するシステム。オプションとして、水蒸気（／ガス）を冷却して、水（／液体／気体／水素／ガス、等）にして、サイクル（リサイクル）するシステム。
【図２５】図２５は、エコロジー・エネルギー・システム（吉野一虎宇宙世界皇帝の核戦争用の鎧兜（防衛システム））のイメージ概念図である。ダイヤモンド、タングステン、ステンレス、鉄、鉛、防弾ガラス、セラミック、紙、スポンジ、水（汗）、バッテリー、シリコン、コンピューター、ディスプレイ等を、適宜に組み合わせて、放射能を遮断するタイガーシールド。本発明は、アルファ粒子線、ベータ線、γ線を遮断する物質（マテリアル）を用いた装甲・鎧（アーマー）である。オプションとして、周りの見た目に合わせて、色や柄を2D/3Dでディスプレイできるカメレオンシールド。この鎧兜を纏った軍隊を、カメレオン・アーミーとして、敵（の核兵器・軍隊）と戦うシステム（自衛隊・国防軍・民間安全警備武装集団（傭兵））。ディスプレイ、コンピューター、電子機器の電源、若しくは、バッテリーなどの充電器としてのブーツ（靴）による、歩行発電（靴発電システム）。ピエゾエレクトロニック素子（圧電素子）、発電機、弾性物質、等によって、発電して、バッテリーに電気を充電する。オプションとして、スプリングなどを用いて、発電しながら、跳躍力を抜群に向上させるジャンプ（発電）シューズ。本発明は、カメレオン・アーミーの鎧を電子的に機能させるのに必要な電源は、歩行発電ブーツから得ることが可能である。その際の戦士達の戦闘シーン（風景）の概念図が、示されている。
【図２６】図２６は、エコロジー・エネルギー・システム（太陽光熱カプセル発電システム：パラボラミラーバージョン）のイメージ概念図である。最良の形態の一つを示している。パラボラミラーによって、反射した光（エネルギー）を、（カプセル）球に集光させて、（熱反応、化学反応、核反応などの）反応、等を起こさせるシステム。
【図２７】図２７は、エコロジー・エネルギー・システム（水素と酸素による燃料電池発電（ガス発電）システム）のイメージ概念図である。ダイヤモンド／DLC／金属／カーボン（ファイバー）等の（軽くて丈夫な）強い（高圧のガスや、液体に耐えうる）容器に、濃縮ガス（濃縮水素ガス、濃縮酸素ガス）、液体（液体水素、液体酸素）等を入れる。水素と酸素を適宜な量を、コンピューター制御機、バルブなどで、摘出して、燃料電池に、投入して、電気（エネルギー）を発生させる。電気を直接用いるか、バッテリー等に充電して用いる。水素と酸素の反応によって出来た水を、（浄化フィルターに通して）、飲料水にする。宇宙船などでの宇宙航行が、長期の滞在の場合に、水素・酸素燃料から、水を作り、フィルターで飲料水を作り、飲むことが可能である、エコロジー・スマート・システム。宇宙旅行に、飲料水を、持ってゆくことが、可能であるが、水が、もっと必要なときとか、緊急時とかに、もっと飲料水を作ることが必要な際に、有用なシステムである。
【図２８】図２８は、エコロジー・エネルギー・システム（エネルギー炉（熱炉））のイメージ概念図である。
【図２９】図２９は、エコロジー・エネルギー・システム（吉野カズトラ宇宙世界皇帝のエネルギー炉（熱炉）と無線／タイマー式の起爆装置による核爆弾）のイメージ概念図である。
【図３０】図３０は、エコロジー・エネルギー・システム（吉野一虎宇宙世界皇帝の靴（防衛・防寒システム））のイメージ概念図である。ピエゾエレクトリックなどの圧電素子で発電したり、動力を利用して、発電したり、核燃料の熱で、発電したりして、熱エネルギーを用いて、エネルギーシステム（（防寒用のヒーター等の）の靴等）を作る。
【図３１】図３１は、エコロジー・エネルギー・システム（吉野一虎宇宙世界皇帝の核電池、核エネルギー、加速器核エネルギーシステム））のイメージ概念図である。核燃料、核廃棄物、（加速器で加速された陽子を核廃棄物（半減期約２万年）に当てて、（半減期を約３０年にした）放射性物質）等や、その適宜な組み合わせから、核（熱）電池を作る。加速器の放射エネルギーによって、宇宙船を飛ばす（運行する）。
【図３２】図３２は、エコロジー・エネルギー・システム（吉野一虎宇宙世界皇帝の核核融合炉エネルギーレーザーシステム（核融合レーザー起動用集光レンズ）））のイメージ概念図である。適宜な波長（若しくは、その組み合わせ）のレーザービームを、レンズで一点に集光（集中）させて、（プラズマ熱エネルギー）核融合を起因する。特に、紫外線、X線、γ線、などの（短波長）高周波のコーヒーレントな光子パッケージ（レーザー光ビーム、等）を用いると良い。そのレンズ方程式を示している。
【図３３】図３３は、エコロジー・エネルギー・システム（吉野一虎宇宙世界皇帝のカズトラ型の核融合炉：カズトラ型核融合炉エネルギー（レーザーヒーティング）システム（核融合レーザーヒーティング起動）））のイメージ概念図である。カズトラ型核融合炉は、トロイダル型（トカマク型）核融合炉を単数／複数、トロイダル型に纏めた型である。プラズマは、真空／ガス／プラズマ内にあるか、磁場・磁界（電場・電界／電磁場・電磁界）内にあっても良い。極力、外部に熱が流出しないように、高磁界にして、Tc（クリティカルテンパーチャー）を高温にして、プラズマを封じ込めて、レーザー（若しくは、マイクロウェーブ、等）で、ヒーティングして（局所場で核融合（ニュークリア・チェイン・リアクション）の初期反応を起こさせて、核融合（ニュークリア・チェイン・リアクション）連鎖反応させる）、プラズマを高温にして、（熱）核融合を起こさせる。（オプションとして、トロイダル型纏めた型のリング部に、オプションフィールド（例えば、磁界）を作るのも良い。）
【図３４】図３４は、エコロジー・エネルギー・システム（吉野一虎宇宙世界皇帝の核融合ロケット（核融合エンジン）：ネオ・カワセミ・プロジェクト：空飛ぶイルカ、空飛ぶイカ））のイメージ概念図である。羽を畳んで海底から発射された空飛ぶイルカは、水中を水ジェットエンジンで走行（航行）して、空中に羽を広げて飛び立ち、空気ジェットエンジンで走行（飛行）して、羽を畳んで宇宙をロケットエンジン（イオンエンジン、プラズマエンジン、ロケットエンジン、核ロケットエンジン、等）で、走行（宇宙航行）する。宇宙防衛のため、核爆弾などで、宇宙からの攻撃（上からの攻撃）をかけることも可能である。
【図３５】図３５は、エコロジー・エネルギー・システム（吉野一虎宇宙世界皇帝のエネルギー・エレクトリシティー・ジェネレーター・システム）のイメージ概念図である。太陽光発電（スチーム発電）、風力発電、海洋力発電、核反応発電（原子炉発電、核融合炉発電、などによるスチーム（ガス）発電）等の発電機システム。プロペラを回転させる。回転軸についている磁石が回転する。前記磁石の回転により、超伝導体内にあるリング磁石が誘導されて回転する。また、磁石と超電導の組み合わせによる非接触な、回転軸とカバーによって、摩擦が殆どない、回転を獲得する。回転効率が良い、起電力を発生させる。オプションとして、トランスフォーマーで、電圧・電流の調整をする。バッテリーに充電したり、電力として用いる。
【図３６】図３６は、エコロジー・エネルギー・システム（吉野一虎宇宙世界皇帝のエネルギー・エレクトリシティー・ジェネレーター・システム）のイメージ概念図である。太陽光発電（スチーム発電）、風力発電、海洋力発電、核反応発電（原子炉発電、核融合炉発電、などによるスチーム（ガス）発電）等の発電機システム。プロペラを回転させることによる発電システムのパワー（電力）のコンセプト・カリキュレーション（Concept Calculation）(概算)。
【図３７】図３７は、エコロジー・エネルギー・システム（吉野一虎宇宙世界皇帝のモーター・ジェット・ボード、モーター・ボート）のイメージ概念図である。水上ロケットランチャー、若しくは、水上から発射するロケット。ジェット・ウィンド・サーフィング。風力でウィンド・サーフ・ボードを動かし、その際、エネルギー・エレクトリシティー・ジェネレーターで、バッテリーに、電気を充電する。風があまりない時は、バッテリーによって、モーター（＋ギヤ）＋プロペラを回転させて、航行する。オプションとして、バッテリーを複数持ち、電力・ギヤによって、ウィンド・サーフ・ボードの速度をコントロールする。人が載るか、無線で操作か、人工知能、等によって航行する。
【図３８】図３８は、エコロジー・エネルギー・システム（吉野一虎宇宙世界皇帝の空飛ぶイルカ、ドラゴン、モーター・ジェット・ボード、モーター・ボート）のイメージ概念図である。特に、翼（羽）の構造（ダイアモンド型）、翼の開閉についてと、ダイヤモンド・ダイナミクス・メソードを示す。（２D／３Dで）翼（羽）を動かして、浮力を得ることも可能である。海中で航行しているときは、翼を閉じて、空で飛行しているときは、翼を広げ（用いて）、宇宙で宇宙航行しているときは、翼を閉じるか、若し、（（シリコンや色素増感型等の）太陽光シートなどなら）太陽光（シート）翼を広げるのが、最善の形態である。
【図３９】図３９は、エコロジー・エネルギー・システム（吉野一虎宇宙世界皇帝のシャフト・ローテーション・ベアリング・システム）のイメージ概念図である。モーター、発電機、ジョイント、等の部分に、ベアリングの周りを、ベアリングで囲み、スムースなオペレーションを可能にするシャフト・ローテーション・ベアリング・システムである。同様に、複数のレイヤーを用いても良い。シャフト・ローテーション・ベアリング・システム＝（（メインベアリング＊サブベアリング）＊Lレイヤー）（L＞＝１）。このシャフト・ローテーション・ベアリング・システムによって、モーターの回転効率や発電機の発電効率が良くなるという効果がある。
【図４０】図４０は、エコロジー・エネルギー・システム（吉野一虎宇宙世界皇帝のスーパーマン（計画））のイメージ概念図である。Yoshino UniverseKazutora YoshinoUniverse EmpireKazutora YoshinoEmperor's Super Man ProjectLovely, 一般的なエンジン、キシレン、ガソリン、水素＋酸素、等を用いるジェット・エンジン、ロケット・エンジンでも良いが、ジェット・ロケット・エンジンを用いるのが最適である。ジェット・ロケット・エンジンは、（小型原子炉／）、小型核融合炉で、燃料の水を沸かして、水蒸気（スチーム）を噴出させて、ジェットを作るロケットエンジンを、箱に取り付ける。ジェット・ロケット・エンジンは、箱の上の方に付けると、横から下にジェットを噴出するので、バランス的に安定する。ジェット・ロケット・エンジンを、箱の下の方に付けると、ジェットが、下に噴出されるので、熱流体的には、効率が良い。二つのジェット・ロケット・エンジンでも、飛行が可能な（動力・エネルギー）レベルにしておく。基本形は、四つのジェット・ロケット・エンジンを用いて、（光学）ジャイロスコープ、加速度センサー、GPS、コンピューター（ジェネリック・アルゴリズム等を用いる人工知能）を用いて、ジェットを噴出したり、逆噴射して、最適な、バランス、位置、方向を、獲得する。緊急の時等は、マニュアル操作も可能にする。四つのジェットエンジンのうち、一つが破損などしたら、対照側にあるジェット・ロケット・エンジンも停止して、二つのジェット・ロケット・エンジンによる飛行（マニュアル操作も出来るようにする）に、切り替えることが可能にする。又、出来るだけ速やかに着地するようにする。若しくは、ジェネリック・アルゴリズムや摂動論的制御、等の最適制御によって、三つのジェット・ロケット・エンジンを、微妙に操作・制御して、当分は、飛行を続けることが可能にする。ダイヤモンドや防弾ガラスのような素材を壁にして、飛行中に、美しい風景など、見渡しが良いようにしても良い。民間の観光用に用いることも可能であり、軍事用の偵察機のように用いることも可能である。パイロットや宇宙飛行士が箱の中にいるなら、内部に空気（酸素）タンクを入れておけば、燃料が続くなら、空から、宇宙に航行しても良い。宇宙の景色（宇宙の夜景、星星の輝き、天体の芸術）などが、美しく、ダイアモンドに映るであろう。
【図４１】図４１は、エコロジー・エネルギー・システム（吉野一虎宇宙世界皇帝のフライング・ジェット・モービル）のイメージ概念図である。 Yoshino UniverseKazutora YoshinoUniverse EmpireKazutora YoshinoEmperor's Flying Jet MobileLovely, 空気をプロペラを回して、上、横、下、斜めなどから吸引して、燃料と混ぜて、燃焼して、ジェットを作る。モーターによってプロペラを回しても良い。フライング・ジェット・モービルは、森やジャングルで、軍事的な偵察等を行う際に、小回りが利く、便利な乗り物である。
【図４２】図４２は、エコロジー・エネルギー・システム（吉野一虎宇宙世界皇帝のフラップ式ウィング、フラップ式プロペラ）のイメージ概念図である。 羽や、プロペラに、フラップを付けて、気流のコントロールをする。特に、高い角度（フラップ角度）をつけて、離陸や着率の距離を短くできる（例えば、４５度〜５５度ぐらい）。飛行時は、（例えば、約１５度〜５５度ぐらいの）高くない羽の角度（フラップ）で飛行すると浮上・飛行効率が良い。プロペラの場合は、回転初期と、回転中期、回転後期、上昇期、浮上期、下降期、飛行期、などに合わせて、羽の角度（＋フラップ角度）をコントロールすることが、可能である。
【手続補正２】
【補正対象書類名】図面
【補正対象項目名】図２０
【補正方法】追加
【補正の内容】
【図２０】
2018048555.tif 000161
【手続補正３】
【補正対象書類名】図面
【補正対象項目名】図２１
【補正方法】追加
【補正の内容】
【図２１】
2018048555.tif 000162
【手続補正４】
【補正対象書類名】図面
【補正対象項目名】図２２
【補正方法】追加
【補正の内容】
【図２２】
2018048555.tif 000163
【手続補正５】
【補正対象書類名】図面
【補正対象項目名】図２３
【補正方法】追加
【補正の内容】
【図２３】
2018048555.tif 000164
【手続補正６】
【補正対象書類名】図面
【補正対象項目名】図２４
【補正方法】追加
【補正の内容】
【図２４】
2018048555.tif 000165
【手続補正７】
【補正対象書類名】図面
【補正対象項目名】図２５
【補正方法】追加
【補正の内容】
【図２５】
2018048555.tif 000166
【手続補正８】
【補正対象書類名】図面
【補正対象項目名】図２６
【補正方法】追加
【補正の内容】
【図２６】
2018048555.tif 000167
【手続補正９】
【補正対象書類名】図面
【補正対象項目名】図２７
【補正方法】追加
【補正の内容】
【図２７】
2018048555.tif 000168
【手続補正１０】
【補正対象書類名】図面
【補正対象項目名】図２８
【補正方法】追加
【補正の内容】
【図２８】
2018048555.tif 000169
【手続補正１１】
【補正対象書類名】図面
【補正対象項目名】図２９
【補正方法】追加
【補正の内容】
【図２９】
2018048555.tif 000170
【手続補正１２】
【補正対象書類名】図面
【補正対象項目名】図３０
【補正方法】追加
【補正の内容】
【図３０】
2018048555.tif 000171
【手続補正１３】
【補正対象書類名】図面
【補正対象項目名】図３１
【補正方法】追加
【補正の内容】
【図３１】
2018048555.tif 000172
【手続補正１４】
【補正対象書類名】図面
【補正対象項目名】図３２
【補正方法】追加
【補正の内容】
【図３２】
2018048555.tif 000173
【手続補正１５】
【補正対象書類名】図面
【補正対象項目名】図３３
【補正方法】追加
【補正の内容】
【図３３】
2018048555.tif 000174
【手続補正１６】
【補正対象書類名】図面
【補正対象項目名】図３４
【補正方法】追加
【補正の内容】
【図３４】
2018048555.tif 000175
【手続補正１７】
【補正対象書類名】図面
【補正対象項目名】図３５
【補正方法】追加
【補正の内容】
【図３５】
2018048555.tif 000176
【手続補正１８】
【補正対象書類名】図面
【補正対象項目名】図３６
【補正方法】追加
【補正の内容】
【図３６】
2018048555.tif 000177
【手続補正１９】
【補正対象書類名】図面
【補正対象項目名】図３７
【補正方法】追加
【補正の内容】
【図３７】
2018048555.tif 000178
【手続補正２０】
【補正対象書類名】図面
【補正対象項目名】図３８
【補正方法】追加
【補正の内容】
【図３８】
2018048555.tif 000179
【手続補正２１】
【補正対象書類名】図面
【補正対象項目名】図３９
【補正方法】追加
【補正の内容】
【図３９】
2018048555.tif 000180
【手続補正２２】
【補正対象書類名】図面
【補正対象項目名】図４０
【補正方法】追加
【補正の内容】
【図４０】
2018048555.tif 000181
【手続補正２３】
【補正対象書類名】図面
【補正対象項目名】図４１
【補正方法】追加
【補正の内容】
【図４１】
2018048555.tif 000182
【手続補正２４】
【補正対象書類名】図面
【補正対象項目名】図４２
【補正方法】追加
【補正の内容】
【図４２】
2018048555.tif 000183
【手続補正書】
【提出日】平成25年3月25日(2013.3.25)
【手続補正１】
【補正対象書類名】明細書
【補正対象項目名】００１１
【補正方法】変更
【補正の内容】
【００１１】
【図１】図１は、エコロジー・エネルギー・システムのイメージ概念図である。
【図２】図２は、エコロジー・エネルギー・システムのイメージ概念図である。
【図３】図３は、エコロジー・エネルギー・システムのイメージ概念図である。
【図４】図４は、エコロジー・エネルギー・システムのイメージ概念図である。
【図５】図５は、エコロジー・エネルギー・システムのイメージ概念図である。
【図６】図６は、エコロジー・エネルギー・システムのイメージ概念図である。
【図７】図７は、エコロジー・エネルギー・システムのイメージ概念図である。
【図８】図８は、エコロジー・エネルギー・システムのイメージ概念図である。
【図９】図９は、エコロジー・エネルギー・システムのイメージ概念図である。
【図１０】図１０は、エコロジー・エネルギー・システムのイメージ概念図である。
【図１１】図１１は、エコロジー・エネルギー・システムのイメージ概念図である。
【図１２】図１２は、エコロジー・エネルギー・システムのイメージ概念図である。
【図１３】図１３は、エコロジー・エネルギー・システムのイメージ概念図である。
【図１４】図１４は、エコロジー・エネルギー・システムのイメージ概念図である。
【図１５】図１５は、エコロジー・エネルギー・システムのイメージ概念図である。
【図１６】図１６は、エコロジー・エネルギー・システムのイメージ概念図である。
【図１７】図１７は、エコロジー・エネルギー・システムのイメージ概念図である。
【図１８】図１８は、エコロジー・エネルギー・システムのイメージ概念図である。
【図１９】図１９は、エコロジー・エネルギー・システムのイメージ概念図である。
【図２０】図２０は、エコロジー・エネルギー・システムのイメージ概念図である。    本発明の図２０についての説明用のストーリ：吉野カズトラ宇宙世界皇帝は、吉野カズトラ宇宙世界皇帝国のエネルギーシステムを増強していた。 I.  宇宙太陽光発電システム（ソーラー（ユニット）サテライト）（USES）II.  宇宙太陽光電池製造システムIII.  宇宙核融合炉発電システムIV.  地上核融合発電システムV.  海上（海底）核融合発電システム 吉野カズトラ宇宙世界皇帝は、巨大な宇宙発電・太陽光エネルギー・送信システム（太陽の付近に宇宙太陽光人工衛星を配置）と受信システム（ロッキー山脈の頂にあるロッキーマウンテンナショナルパーク(Rocky Mountain National Park)や、アリゾナの砂漠、アラスカのマッキンレー山脈、サハラ砂漠、等）を作っていた。 吉野カズトラ宇宙世界皇帝は、また、宇宙での真空を利用して、（トカマク型）プラズマ封じ込め高温適圧の宇宙核融合炉を作ることを進めていた。 吉野カズトラ宇宙世界皇帝は、また、地上でプラズマ・イオン発電所を作り、プラズマ封じ込め高温適圧の宇宙核融合炉を運転していた。 吉野カズトラ宇宙世界皇帝は、また、海上で太陽光・風力・海洋エネルギー発電所を作り、海上（海底）核融合炉を運転していた。（核反応の事故に対して、比較的安全である） Reference:www.yoshinouniverse.comISBN0-8118-0897-1ISBN4-339-00552-5ISBN4-7853-6112-3
【図２１】図２１は、エコロジー・エネルギー・システムのイメージ概念図である。原子炉で、核燃料からエネルギーを取り出す。（オプション）再処理工場で、使用済み核燃料を、核燃料と核廃棄物（核のゴミ）に分離する。熱電発電（所）（システム）で、使用済み核燃料／核廃棄物（核のゴミ）からエネルギーを取り出す。使用済み核燃料／核廃棄物（核のゴミ）を、水、フィルム（紙）、金属（鉛、等）で囲み、放射能について封印するが、熱が出てくるのを、熱電発電で、電気エネルギーに、変換するシステム。
【図２２】図２２は、エコロジー・エネルギー・システム（日本の防衛システム）のイメージ概念図である。核燃料（プルトニウム、ウラン、等）などの核物質など、戦略的エネルギー物質を、日本に集める。核燃料・核爆弾・核廃棄物（核のゴミ）を、１．平和なら、平和利用する。（核エネルギーによって（核（燃料）を熱源として）、熱電発電する。）２．戦争なら、敵国に打ち込む。（埼玉県入間市の入間航空自衛隊（防衛軍）の地下ミサイル発射基地から、大陸弾道ミサイルなどを発射する。吉野カズトラ宇宙世界皇帝のシャチ型潜水艦から核ミサイルを発射する。吉野カズトラ宇宙世界皇帝の軍事衛星から核爆弾を投下する。等）Yoshino UniverseKazutora YoshinoUniverse EmpireKazutora YoshinoNuclear Energy Defense SystemLovely,
【図２３】図２３は、エコロジー・エネルギー・システム（太陽光熱カプセル発電システム）のイメージ概念図である。吉野一虎ソーラーライトカプセル効果：太陽光（熱）が、太陽で発生して（太陽中心：高温１６００万℃、太陽表面：低温温６０００℃）、太陽を囲む物質（ダークマター、素粒子、物質、保熱ガス、反応物質、捕熱物質、反射物質、等の適宜な組み合わせ）によって、光（熱）は、吸収・保持・反応、等をして、中温（数百万℃）になる。DM + gamma -> DM' + delta Egammaは、光（熱）などの（反応（素）粒子などの）エレメント。delta Eは、正／負／ゼロ、等のエネルギー（エレメント）とする。DM、DM’は、ダークマターなどの（反応（素）粒子・反応物質、物質）（群理論）エレメントで、DMとDM'は、同じエレメントでもよく、異なるエレメントでも良い。吉野一虎ライトカプセル効果：このシステムを、ミニチュア化したカプセルに二酸化炭素などの保熱ガス（捕熱ガス）を入れて、（太陽）光（／レーザー光）の照射をして、太陽光（熱）発電を行い、ミニチュア太陽光（熱）カプセル発電を行う。吉野一虎レーザー効果：二酸化炭素などの保熱ガス（捕熱ガス）に、（太陽）光（／レーザー光）を照射して、光（光子、レーザー光）を発光させて、光をカプセル内部で、反射させて、１００％ミラーと約９９％ミラーで、往復反射させて、誘導発光させて、同じ（ぐらいの）波長（周波数）と相（フェーズ）の光の束（レーザー光）を作り、約９９％ミラー側からコーヒーレントなレーザー光を、放つ。吉野一虎ネットワーク超特急効果：ミニチュア太陽光（熱）カプセル発電システムのユニットを、発電パフォーマンス良く、コストパフォーマンス良く、大量に作り、マトリクス上にして、日射量が十分にあるところに敷き詰めたり、電車の路線のサイドに並べたり、道路（高速道路）のサイドに、並べたりすることによって、日本（世界）全体が、ミニチュア太陽光（熱）カプセル発電システムによって、光ネットワーク発電システムとなる。 吉野アシュレーアヤメ女王偉大なる戦士は、吉野一虎効果（吉野一虎ソーラーカプセル効果、吉野一虎ライトカプセル効果、吉野一虎レーザー効果、吉野一虎（カズトラ）ネットワーク超特急効果、等の吉野一虎宇宙世界皇帝の効果）を、活用して、宇宙全体に、吉野アシュレーアヤメ女王による吉野一虎宇宙世界皇帝（宇宙銀河恒星ネットワーク・太陽系）光ネットワークシステムを構築して、宇宙・世界のエネルギー問題を、解決して行った・・・。
【図２４】図２４は、エコロジー・エネルギー・システム（熱（水蒸気／ガス）発電システム）のイメージ概念図である。水（／液体／気体／水素／ガス、等）に太陽光（熱）（エネルギー）、（ガスの）火、熱（等）を投入して、水蒸気（／ガス）にして、タービンを回転して、発電機で、発電するシステム。オプションとして、水蒸気（／ガス）を冷却して、水（／液体／気体／水素／ガス、等）にして、サイクル（リサイクル）するシステム。
【図２５】図２５は、エコロジー・エネルギー・システム（吉野一虎宇宙世界皇帝の核戦争用の鎧兜（防衛システム））のイメージ概念図である。ダイヤモンド、タングステン、ステンレス、鉄、鉛、防弾ガラス、セラミック、紙、スポンジ、水（汗）、バッテリー、シリコン、コンピューター、ディスプレイ等を、適宜に組み合わせて、放射能を遮断するタイガーシールド。本発明は、アルファ粒子線、ベータ線、γ線を遮断する物質（マテリアル）を用いた装甲・鎧（アーマー）である。オプションとして、周りの見た目に合わせて、色や柄を2D/3Dでディスプレイできるカメレオンシールド。この鎧兜を纏った軍隊を、カメレオン・アーミーとして、敵（の核兵器・軍隊）と戦うシステム（自衛隊・国防軍・民間安全警備武装集団（傭兵））。ディスプレイ、コンピューター、電子機器の電源、若しくは、バッテリーなどの充電器としてのブーツ（靴）による、歩行発電（靴発電システム）。ピエゾエレクトロニック素子（圧電素子）、発電機、弾性物質、等によって、発電して、バッテリーに電気を充電する。オプションとして、スプリングなどを用いて、発電しながら、跳躍力を抜群に向上させるジャンプ（発電）シューズ。本発明は、カメレオン・アーミーの鎧を電子的に機能させるのに必要な電源は、歩行発電ブーツから得ることが可能である。その際の戦士達の戦闘シーン（風景）の概念図が、示されている。
【図２６】図２６は、エコロジー・エネルギー・システム（太陽光熱カプセル発電システム：パラボラミラーバージョン）のイメージ概念図である。最良の形態の一つを示している。パラボラミラーによって、反射した光（エネルギー）を、（カプセル）球に集光させて、（熱反応、化学反応、核反応などの）反応、等を起こさせるシステム。
【図２７】図２７は、エコロジー・エネルギー・システム（水素と酸素による燃料電池発電（ガス発電）システム）のイメージ概念図である。ダイヤモンド／DLC／金属／カーボン（ファイバー）等の（軽くて丈夫な）強い（高圧のガスや、液体に耐えうる）容器に、濃縮ガス（濃縮水素ガス、濃縮酸素ガス）、液体（液体水素、液体酸素）等を入れる。水素と酸素を適宜な量を、コンピューター制御機、バルブなどで、摘出して、燃料電池に、投入して、電気（エネルギー）を発生させる。電気を直接用いるか、バッテリー等に充電して用いる。水素と酸素の反応によって出来た水を、（浄化フィルターに通して）、飲料水にする。宇宙船などでの宇宙航行が、長期の滞在の場合に、水素・酸素燃料から、水を作り、フィルターで飲料水を作り、飲むことが可能である、エコロジー・スマート・システム。宇宙旅行に、飲料水を、持ってゆくことが、可能であるが、水が、もっと必要なときとか、緊急時とかに、もっと飲料水を作ることが必要な際に、有用なシステムである。
【図２８】図２８は、エコロジー・エネルギー・システム（エネルギー炉（熱炉））のイメージ概念図である。
【図２９】図２９は、エコロジー・エネルギー・システム（吉野カズトラ宇宙世界皇帝のエネルギー炉（熱炉）と無線／タイマー式の起爆装置による核爆弾）のイメージ概念図である。
【図３０】図３０は、エコロジー・エネルギー・システム（吉野一虎宇宙世界皇帝の靴（防衛・防寒システム））のイメージ概念図である。ピエゾエレクトリックなどの圧電素子で発電したり、動力を利用して、発電したり、核燃料の熱で、発電したりして、熱エネルギーを用いて、エネルギーシステム（（防寒用のヒーター等の）の靴等）を作る。
【図３１】図３１は、エコロジー・エネルギー・システム（吉野一虎宇宙世界皇帝の核電池、核エネルギー、加速器核エネルギーシステム））のイメージ概念図である。核燃料、核廃棄物、（加速器で加速された陽子を核廃棄物（半減期約２万年）に当てて、（半減期を約３０年にした）放射性物質）等や、その適宜な組み合わせから、核（熱）電池を作る。加速器の放射エネルギーによって、宇宙船を飛ばす（運行する）。
【図３２】図３２は、エコロジー・エネルギー・システム（吉野一虎宇宙世界皇帝の核核融合炉エネルギーレーザーシステム（核融合レーザー起動用集光レンズ）））のイメージ概念図である。適宜な波長（若しくは、その組み合わせ）のレーザービームを、レンズで一点に集光（集中）させて、（プラズマ熱エネルギー）核融合を起因する。特に、紫外線、X線、γ線、などの（短波長）高周波のコーヒーレントな光子パッケージ（レーザー光ビーム、等）を用いると良い。そのレンズ方程式を示している。
【図３３】図３３は、エコロジー・エネルギー・システム（吉野一虎宇宙世界皇帝のカズトラ型の核融合炉：カズトラ型核融合炉エネルギー（レーザーヒーティング）システム（核融合レーザーヒーティング起動）））のイメージ概念図である。カズトラ型核融合炉は、トロイダル型（トカマク型）核融合炉を単数／複数、トロイダル型に纏めた型である。プラズマは、真空／ガス／プラズマ内にあるか、磁場・磁界（電場・電界／電磁場・電磁界）内にあっても良い。極力、外部に熱が流出しないように、高磁界にして、Tc（クリティカルテンパーチャー）を高温にして、プラズマを封じ込めて、レーザー（若しくは、マイクロウェーブ、等）で、ヒーティングして（局所場で核融合（ニュークリア・チェイン・リアクション）の初期反応を起こさせて、核融合（ニュークリア・チェイン・リアクション）連鎖反応させる）、プラズマを高温にして、（熱）核融合を起こさせる。（オプションとして、トロイダル型纏めた型のリング部に、オプションフィールド（例えば、磁界）を作るのも良い。）
【図３４】図３４は、エコロジー・エネルギー・システム（吉野一虎宇宙世界皇帝の核融合ロケット（核融合エンジン）：ネオ・カワセミ・プロジェクト：空飛ぶイルカ、空飛ぶイカ））のイメージ概念図である。羽を畳んで海底から発射された空飛ぶイルカは、水中を水ジェットエンジンで走行（航行）して、空中に羽を広げて飛び立ち、空気ジェットエンジンで走行（飛行）して、羽を畳んで宇宙をロケットエンジン（イオンエンジン、プラズマエンジン、ロケットエンジン、核ロケットエンジン、等）で、走行（宇宙航行）する。宇宙防衛のため、核爆弾などで、宇宙からの攻撃（上からの攻撃）をかけることも可能である。
【図３５】図３５は、エコロジー・エネルギー・システム（吉野一虎宇宙世界皇帝のエネルギー・エレクトリシティー・ジェネレーター・システム）のイメージ概念図である。太陽光発電（スチーム発電）、風力発電、海洋力発電、核反応発電（原子炉発電、核融合炉発電、などによるスチーム（ガス）発電）等の発電機システム。プロペラを回転させる。回転軸についている磁石が回転する。前記磁石の回転により、超伝導体内にあるリング磁石が誘導されて回転する。また、磁石と超電導の組み合わせによる非接触な、回転軸とカバーによって、摩擦が殆どない、回転を獲得する。回転効率が良い、起電力を発生させる。オプションとして、トランスフォーマーで、電圧・電流の調整をする。バッテリーに充電したり、電力として用いる。
【図３６】図３６は、エコロジー・エネルギー・システム（吉野一虎宇宙世界皇帝のエネルギー・エレクトリシティー・ジェネレーター・システム）のイメージ概念図である。太陽光発電（スチーム発電）、風力発電、海洋力発電、核反応発電（原子炉発電、核融合炉発電、などによるスチーム（ガス）発電）等の発電機システム。プロペラを回転させることによる発電システムのパワー（電力）のコンセプト・カリキュレーション（Concept Calculation）(概算)。
【図３７】図３７は、エコロジー・エネルギー・システム（吉野一虎宇宙世界皇帝のモーター・ジェット・ボード、モーター・ボート）のイメージ概念図である。水上ロケットランチャー、若しくは、水上から発射するロケット。ジェット・ウィンド・サーフィング。風力でウィンド・サーフ・ボードを動かし、その際、エネルギー・エレクトリシティー・ジェネレーターで、バッテリーに、電気を充電する。風があまりない時は、バッテリーによって、モーター（＋ギヤ）＋プロペラを回転させて、航行する。オプションとして、バッテリーを複数持ち、電力・ギヤによって、ウィンド・サーフ・ボードの速度をコントロールする。人が載るか、無線で操作か、人工知能、等によって航行する。
【図３８】図３８は、エコロジー・エネルギー・システム（吉野一虎宇宙世界皇帝の空飛ぶイルカ、ドラゴン、モーター・ジェット・ボード、モーター・ボート）のイメージ概念図である。特に、翼（羽）の構造（ダイアモンド型）、翼の開閉についてと、ダイヤモンド・ダイナミクス・メソードを示す。（２D／３Dで）翼（羽）を動かして、浮力を得ることも可能である。海中で航行しているときは、翼を閉じて、空で飛行しているときは、翼を広げ（用いて）、宇宙で宇宙航行しているときは、翼を閉じるか、若し、（（シリコンや色素増感型等の）太陽光シートなどなら）太陽光（シート）翼を広げるのが、最善の形態である。
【図３９】図３９は、エコロジー・エネルギー・システム（吉野一虎宇宙世界皇帝のシャフト・ローテーション・ベアリング・システム）のイメージ概念図である。モーター、発電機、ジョイント、等の部分に、ベアリングの周りを、ベアリングで囲み、スムースなオペレーションを可能にするシャフト・ローテーション・ベアリング・システムである。同様に、複数のレイヤーを用いても良い。シャフト・ローテーション・ベアリング・システム＝（（メインベアリング＊サブベアリング）＊Lレイヤー）（L＞＝１）。このシャフト・ローテーション・ベアリング・システムによって、モーターの回転効率や発電機の発電効率が良くなるという効果がある。
【図４０】図４０は、エコロジー・エネルギー・システム（吉野一虎宇宙世界皇帝のスーパーマン（計画））のイメージ概念図である。Yoshino UniverseKazutora YoshinoUniverse EmpireKazutora YoshinoEmperor's Super Man ProjectLovely, 一般的なエンジン、キシレン、ガソリン、水素＋酸素、等を用いるジェット・エンジン、ロケット・エンジンでも良いが、ジェット・ロケット・エンジンを用いるのが最適である。ジェット・ロケット・エンジンは、（小型原子炉／）、小型核融合炉で、燃料の水を沸かして、水蒸気（スチーム）を噴出させて、ジェットを作るロケットエンジンを、箱に取り付ける。ジェット・ロケット・エンジンは、箱の上の方に付けると、横から下にジェットを噴出するので、バランス的に安定する。ジェット・ロケット・エンジンを、箱の下の方に付けると、ジェットが、下に噴出されるので、熱流体的には、効率が良い。二つのジェット・ロケット・エンジンでも、飛行が可能な（動力・エネルギー）レベルにしておく。基本形は、四つのジェット・ロケット・エンジンを用いて、（光学）ジャイロスコープ、加速度センサー、GPS、コンピューター（ジェネリック・アルゴリズム等を用いる人工知能）を用いて、ジェットを噴出したり、逆噴射して、最適な、バランス、位置、方向を、獲得する。緊急の時等は、マニュアル操作も可能にする。四つのジェットエンジンのうち、一つが破損などしたら、対照側にあるジェット・ロケット・エンジンも停止して、二つのジェット・ロケット・エンジンによる飛行（マニュアル操作も出来るようにする）に、切り替えることが可能にする。又、出来るだけ速やかに着地するようにする。若しくは、ジェネリック・アルゴリズムや摂動論的制御、等の最適制御によって、三つのジェット・ロケット・エンジンを、微妙に操作・制御して、当分は、飛行を続けることが可能にする。ダイヤモンドや防弾ガラスのような素材を壁にして、飛行中に、美しい風景など、見渡しが良いようにしても良い。民間の観光用に用いることも可能であり、軍事用の偵察機のように用いることも可能である。パイロットや宇宙飛行士が箱の中にいるなら、内部に空気（酸素）タンクを入れておけば、燃料が続くなら、空から、宇宙に航行しても良い。宇宙の景色（宇宙の夜景、星星の輝き、天体の芸術）などが、美しく、ダイアモンドに映るであろう。
【図４１】図４１は、エコロジー・エネルギー・システム（吉野一虎宇宙世界皇帝のフライング・ジェット・モービル）のイメージ概念図である。 Yoshino UniverseKazutora YoshinoUniverse EmpireKazutora YoshinoEmperor's Flying Jet MobileLovely, 空気をプロペラを回して、上、横、下、斜めなどから吸引して、燃料と混ぜて、燃焼して、ジェットを作る。モーターによってプロペラを回しても良い。フライング・ジェット・モービルは、森やジャングルで、軍事的な偵察等を行う際に、小回りが利く、便利な乗り物である。
【図４２】図４２は、エコロジー・エネルギー・システム（吉野一虎宇宙世界皇帝のフラップ式ウィング、フラップ式プロペラ）のイメージ概念図である。 羽や、プロペラに、フラップを付けて、気流のコントロールをする。特に、高い角度（フラップ角度）をつけて、離陸や着率の距離を短くできる（例えば、４５度〜５５度ぐらい）。飛行時は、（例えば、約１５度〜５５度ぐらいの）高くない羽の角度（フラップ）で飛行すると浮上・飛行効率が良い。プロペラの場合は、回転初期と、回転中期、回転後期、上昇期、浮上期、下降期、飛行期、などに合わせて、羽の角度（＋フラップ角度）をコントロールすることが、可能である。
【図４３】図４３は、エコロジー・エネルギー・システム（吉野一虎宇宙世界皇帝のフライング・ジェット・モービル）のイメージ概念図である。Yoshino UniverseKazutora YoshinoUniverse EmpireKazutora YoshinoEmperor's Flying Jet Mobile (Theoretical, Practical Method)Lovely, ヘリコプター、飛行機、フライング・ジェット・モービル、スカイ・カーズ、等のプロペラの数式化であり、羽をコンパクト化するための技術である。システムがスケーラブルな際、プロペラのサイズをPropeller Length 1として、モーターのトルクをMotorTorque、モーターの回転数をMotor Omegaとして、プロペラ／羽の角度を、例えば１５°ぐらいとか、４５〜５５°ぐらいに設定すると、基本的な部分は、定数のように扱えて、Force Lift = (Motor Torque/Propeller Length 1)*Csになるので、羽がコンパクトで、（数多くの）プロペラで、回転が速い方が良い。普通は、rg1/rg2 >= 1/30 ぐらいにするが、最善の形態を、rg1/rg2>= 1  とする。rg1/rg2 >= 10・・・とギヤの逆比率を向上させると、リフトの効率が良いが、シャフト・ギヤなどの（シャフト・ギヤ変換）効率があるので、直接プロペラを、モーターに付けるのが、シャフト・ギヤ変換効率が、１００％となるので、最も効率が良い。
【手続補正２】
【補正対象書類名】図面
【補正対象項目名】図２０
【補正方法】追加
【補正の内容】
【図２０】
2018048555.tif 000184
【手続補正３】
【補正対象書類名】図面
【補正対象項目名】図２１
【補正方法】追加
【補正の内容】
【図２１】
2018048555.tif 000185
【手続補正４】
【補正対象書類名】図面
【補正対象項目名】図２２
【補正方法】追加
【補正の内容】
【図２２】
2018048555.tif 000186
【手続補正５】
【補正対象書類名】図面
【補正対象項目名】図２３
【補正方法】追加
【補正の内容】
【図２３】
2018048555.tif 000187
【手続補正６】
【補正対象書類名】図面
【補正対象項目名】図２４
【補正方法】追加
【補正の内容】
【図２４】
2018048555.tif 000188
【手続補正７】
【補正対象書類名】図面
【補正対象項目名】図２５
【補正方法】追加
【補正の内容】
【図２５】
2018048555.tif 000189
【手続補正８】
【補正対象書類名】図面
【補正対象項目名】図２６
【補正方法】追加
【補正の内容】
【図２６】
2018048555.tif 000190
【手続補正９】
【補正対象書類名】図面
【補正対象項目名】図２７
【補正方法】追加
【補正の内容】
【図２７】
2018048555.tif 000191
【手続補正１０】
【補正対象書類名】図面
【補正対象項目名】図２８
【補正方法】追加
【補正の内容】
【図２８】
2018048555.tif 000192
【手続補正１１】
【補正対象書類名】図面
【補正対象項目名】図２９
【補正方法】追加
【補正の内容】
【図２９】
2018048555.tif 000193
【手続補正１２】
【補正対象書類名】図面
【補正対象項目名】図３０
【補正方法】追加
【補正の内容】
【図３０】
2018048555.tif 000194
【手続補正１３】
【補正対象書類名】図面
【補正対象項目名】図３１
【補正方法】追加
【補正の内容】
【図３１】
2018048555.tif 000195
【手続補正１４】
【補正対象書類名】図面
【補正対象項目名】図３２
【補正方法】追加
【補正の内容】
【図３２】
2018048555.tif 000196
【手続補正１５】
【補正対象書類名】図面
【補正対象項目名】図３３
【補正方法】追加
【補正の内容】
【図３３】
2018048555.tif 000197
【手続補正１６】
【補正対象書類名】図面
【補正対象項目名】図３４
【補正方法】追加
【補正の内容】
【図３４】
2018048555.tif 000198
【手続補正１７】
【補正対象書類名】図面
【補正対象項目名】図３５
【補正方法】追加
【補正の内容】
【図３５】
2018048555.tif 000199
【手続補正１８】
【補正対象書類名】図面
【補正対象項目名】図３６
【補正方法】追加
【補正の内容】
【図３６】
2018048555.tif 000200
【手続補正１９】
【補正対象書類名】図面
【補正対象項目名】図３７
【補正方法】追加
【補正の内容】
【図３７】
2018048555.tif 000201
【手続補正２０】
【補正対象書類名】図面
【補正対象項目名】図３８
【補正方法】追加
【補正の内容】
【図３８】
2018048555.tif 000202
【手続補正２１】
【補正対象書類名】図面
【補正対象項目名】図３９
【補正方法】追加
【補正の内容】
【図３９】
2018048555.tif 000203
【手続補正２２】
【補正対象書類名】図面
【補正対象項目名】図４０
【補正方法】追加
【補正の内容】
【図４０】
2018048555.tif 000204
【手続補正２３】
【補正対象書類名】図面
【補正対象項目名】図４１
【補正方法】追加
【補正の内容】
【図４１】
2018048555.tif 000205
【手続補正２４】
【補正対象書類名】図面
【補正対象項目名】図４２
【補正方法】追加
【補正の内容】
【図４２】
2018048555.tif 000206
【手続補正２５】
【補正対象書類名】図面
【補正対象項目名】図４３
【補正方法】追加
【補正の内容】
【図４３】
2018048555.tif 000207
【手続補正書】
【提出日】平成25年3月27日(2013.3.27)
【手続補正１】
【補正対象書類名】明細書
【補正対象項目名】００１１
【補正方法】変更
【補正の内容】
【００１１】
【図１】図１は、エコロジー・エネルギー・システムのイメージ概念図である。
【図２】図２は、エコロジー・エネルギー・システムのイメージ概念図である。
【図３】図３は、エコロジー・エネルギー・システムのイメージ概念図である。
【図４】図４は、エコロジー・エネルギー・システムのイメージ概念図である。
【図５】図５は、エコロジー・エネルギー・システムのイメージ概念図である。
【図６】図６は、エコロジー・エネルギー・システムのイメージ概念図である。
【図７】図７は、エコロジー・エネルギー・システムのイメージ概念図である。
【図８】図８は、エコロジー・エネルギー・システムのイメージ概念図である。
【図９】図９は、エコロジー・エネルギー・システムのイメージ概念図である。
【図１０】図１０は、エコロジー・エネルギー・システムのイメージ概念図である。
【図１１】図１１は、エコロジー・エネルギー・システムのイメージ概念図である。
【図１２】図１２は、エコロジー・エネルギー・システムのイメージ概念図である。
【図１３】図１３は、エコロジー・エネルギー・システムのイメージ概念図である。
【図１４】図１４は、エコロジー・エネルギー・システムのイメージ概念図である。
【図１５】図１５は、エコロジー・エネルギー・システムのイメージ概念図である。
【図１６】図１６は、エコロジー・エネルギー・システムのイメージ概念図である。
【図１７】図１７は、エコロジー・エネルギー・システムのイメージ概念図である。
【図１８】図１８は、エコロジー・エネルギー・システムのイメージ概念図である。
【図１９】図１９は、エコロジー・エネルギー・システムのイメージ概念図である。
【図２０】図２０は、エコロジー・エネルギー・システムのイメージ概念図である。    本発明の図２０についての説明用のストーリ：吉野カズトラ宇宙世界皇帝は、吉野カズトラ宇宙世界皇帝国のエネルギーシステムを増強していた。 I.  宇宙太陽光発電システム（ソーラー（ユニット）サテライト）（USES）II.  宇宙太陽光電池製造システムIII.  宇宙核融合炉発電システムIV.  地上核融合発電システムV.  海上（海底）核融合発電システム 吉野カズトラ宇宙世界皇帝は、巨大な宇宙発電・太陽光エネルギー・送信システム（太陽の付近に宇宙太陽光人工衛星を配置）と受信システム（ロッキー山脈の頂にあるロッキーマウンテンナショナルパーク(Rocky Mountain National Park)や、アリゾナの砂漠、アラスカのマッキンレー山脈、サハラ砂漠、等）を作っていた。 吉野カズトラ宇宙世界皇帝は、また、宇宙での真空を利用して、（トカマク型）プラズマ封じ込め高温適圧の宇宙核融合炉を作ることを進めていた。 吉野カズトラ宇宙世界皇帝は、また、地上でプラズマ・イオン発電所を作り、プラズマ封じ込め高温適圧の宇宙核融合炉を運転していた。 吉野カズトラ宇宙世界皇帝は、また、海上で太陽光・風力・海洋エネルギー発電所を作り、海上（海底）核融合炉を運転していた。（核反応の事故に対して、比較的安全である） Reference:www.yoshinouniverse.comISBN0-8118-0897-1ISBN4-339-00552-5ISBN4-7853-6112-3
【図２１】図２１は、エコロジー・エネルギー・システムのイメージ概念図である。原子炉で、核燃料からエネルギーを取り出す。（オプション）再処理工場で、使用済み核燃料を、核燃料と核廃棄物（核のゴミ）に分離する。熱電発電（所）（システム）で、使用済み核燃料／核廃棄物（核のゴミ）からエネルギーを取り出す。使用済み核燃料／核廃棄物（核のゴミ）を、水、フィルム（紙）、金属（鉛、等）で囲み、放射能について封印するが、熱が出てくるのを、熱電発電で、電気エネルギーに、変換するシステム。
【図２２】図２２は、エコロジー・エネルギー・システム（日本の防衛システム）のイメージ概念図である。核燃料（プルトニウム、ウラン、等）などの核物質など、戦略的エネルギー物質を、日本に集める。核燃料・核爆弾・核廃棄物（核のゴミ）を、１．平和なら、平和利用する。（核エネルギーによって（核（燃料）を熱源として）、熱電発電する。）２．戦争なら、敵国に打ち込む。（埼玉県入間市の入間航空自衛隊（防衛軍）の地下ミサイル発射基地から、大陸弾道ミサイルなどを発射する。吉野カズトラ宇宙世界皇帝のシャチ型潜水艦から核ミサイルを発射する。吉野カズトラ宇宙世界皇帝の軍事衛星から核爆弾を投下する。等）Yoshino UniverseKazutora Yoshino UniverseEmpireKazutora YoshinoNuclear Energy Defense SystemLovely,
【図２３】図２３は、エコロジー・エネルギー・システム（太陽光熱カプセル発電システム）のイメージ概念図である。吉野一虎ソーラーライトカプセル効果：太陽光（熱）が、太陽で発生して（太陽中心：高温１６００万℃、太陽表面：低温温６０００℃）、太陽を囲む物質（ダークマター、素粒子、物質、保熱ガス、反応物質、捕熱物質、反射物質、等の適宜な組み合わせ）によって、光（熱）は、吸収・保持・反応、等をして、中温（数百万℃）になる。DM + gamma -> DM' + delta Egammaは、光（熱）などの（反応（素）粒子などの）エレメント。delta Eは、正／負／ゼロ、等のエネルギー（エレメント）とする。DM、DM’は、ダークマターなどの（反応（素）粒子・反応物質、物質）（群理論）エレメントで、DMとDM'は、同じエレメントでもよく、異なるエレメントでも良い。吉野一虎ライトカプセル効果：このシステムを、ミニチュア化したカプセルに二酸化炭素などの保熱ガス（捕熱ガス）を入れて、（太陽）光（／レーザー光）の照射をして、太陽光（熱）発電を行い、ミニチュア太陽光（熱）カプセル発電を行う。吉野一虎レーザー効果：二酸化炭素などの保熱ガス（捕熱ガス）に、（太陽）光（／レーザー光）を照射して、光（光子、レーザー光）を発光させて、光をカプセル内部で、反射させて、１００％ミラーと約９９％ミラーで、往復反射させて、誘導発光させて、同じ（ぐらいの）波長（周波数）と相（フェーズ）の光の束（レーザー光）を作り、約９９％ミラー側からコーヒーレントなレーザー光を、放つ。吉野一虎ネットワーク超特急効果：ミニチュア太陽光（熱）カプセル発電システムのユニットを、発電パフォーマンス良く、コストパフォーマンス良く、大量に作り、マトリクス上にして、日射量が十分にあるところに敷き詰めたり、電車の路線のサイドに並べたり、道路（高速道路）のサイドに、並べたりすることによって、日本（世界）全体が、ミニチュア太陽光（熱）カプセル発電システムによって、光ネットワーク発電システムとなる。 吉野アシュレーアヤメ女王偉大なる戦士は、吉野一虎効果（吉野一虎ソーラーカプセル効果、吉野一虎ライトカプセル効果、吉野一虎レーザー効果、吉野一虎（カズトラ）ネットワーク超特急効果、等の吉野一虎宇宙世界皇帝の効果）を、活用して、宇宙全体に、吉野アシュレーアヤメ女王による吉野一虎宇宙世界皇帝（宇宙銀河恒星ネットワーク・太陽系）光ネットワークシステムを構築して、宇宙・世界のエネルギー問題を、解決して行った・・・。
【図２４】図２４は、エコロジー・エネルギー・システム（熱（水蒸気／ガス）発電システム）のイメージ概念図である。水（／液体／気体／水素／ガス、等）に太陽光（熱）（エネルギー）、（ガスの）火、熱（等）を投入して、水蒸気（／ガス）にして、タービンを回転して、発電機で、発電するシステム。オプションとして、水蒸気（／ガス）を冷却して、水（／液体／気体／水素／ガス、等）にして、サイクル（リサイクル）するシステム。
【図２５】図２５は、エコロジー・エネルギー・システム（吉野一虎宇宙世界皇帝の核戦争用の鎧兜（防衛システム））のイメージ概念図である。ダイヤモンド、タングステン、ステンレス、鉄、鉛、防弾ガラス、セラミック、紙、スポンジ、水（汗）、バッテリー、シリコン、コンピューター、ディスプレイ等を、適宜に組み合わせて、放射能を遮断するタイガーシールド。本発明は、アルファ粒子線、ベータ線、γ線を遮断する物質（マテリアル）を用いた装甲・鎧（アーマー）である。オプションとして、周りの見た目に合わせて、色や柄を2D/3Dでディスプレイできるカメレオンシールド。この鎧兜を纏った軍隊を、カメレオン・アーミーとして、敵（の核兵器・軍隊）と戦うシステム（自衛隊・国防軍・民間安全警備武装集団（傭兵））。ディスプレイ、コンピューター、電子機器の電源、若しくは、バッテリーなどの充電器としてのブーツ（靴）による、歩行発電（靴発電システム）。ピエゾエレクトロニック素子（圧電素子）、発電機、弾性物質、等によって、発電して、バッテリーに電気を充電する。オプションとして、スプリングなどを用いて、発電しながら、跳躍力を抜群に向上させるジャンプ（発電）シューズ。本発明は、カメレオン・アーミーの鎧を電子的に機能させるのに必要な電源は、歩行発電ブーツから得ることが可能である。その際の戦士達の戦闘シーン（風景）の概念図が、示されている。
【図２６】図２６は、エコロジー・エネルギー・システム（太陽光熱カプセル発電システム：パラボラミラーバージョン）のイメージ概念図である。最良の形態の一つを示している。パラボラミラーによって、反射した光（エネルギー）を、（カプセル）球に集光させて、（熱反応、化学反応、核反応などの）反応、等を起こさせるシステム。
【図２７】図２７は、エコロジー・エネルギー・システム（水素と酸素による燃料電池発電（ガス発電）システム）のイメージ概念図である。ダイヤモンド／DLC／金属／カーボン（ファイバー）等の（軽くて丈夫な）強い（高圧のガスや、液体に耐えうる）容器に、濃縮ガス（濃縮水素ガス、濃縮酸素ガス）、液体（液体水素、液体酸素）等を入れる。水素と酸素を適宜な量を、コンピューター制御機、バルブなどで、摘出して、燃料電池に、投入して、電気（エネルギー）を発生させる。電気を直接用いるか、バッテリー等に充電して用いる。水素と酸素の反応によって出来た水を、（浄化フィルターに通して）、飲料水にする。宇宙船などでの宇宙航行が、長期の滞在の場合に、水素・酸素燃料から、水を作り、フィルターで飲料水を作り、飲むことが可能である、エコロジー・スマート・システム。宇宙旅行に、飲料水を、持ってゆくことが、可能であるが、水が、もっと必要なときとか、緊急時とかに、もっと飲料水を作ることが必要な際に、有用なシステムである。
【図２８】図２８は、エコロジー・エネルギー・システム（エネルギー炉（熱炉））のイメージ概念図である。
【図２９】図２９は、エコロジー・エネルギー・システム（吉野カズトラ宇宙世界皇帝のエネルギー炉（熱炉）と無線／タイマー式の起爆装置による核爆弾）のイメージ概念図である。
【図３０】図３０は、エコロジー・エネルギー・システム（吉野一虎宇宙世界皇帝の靴（防衛・防寒システム））のイメージ概念図である。ピエゾエレクトリックなどの圧電素子で発電したり、動力を利用して、発電したり、核燃料の熱で、発電したりして、熱エネルギーを用いて、エネルギーシステム（（防寒用のヒーター等の）の靴等）を作る。
【図３１】図３１は、エコロジー・エネルギー・システム（吉野一虎宇宙世界皇帝の核電池、核エネルギー、加速器核エネルギーシステム））のイメージ概念図である。核燃料、核廃棄物、（加速器で加速された陽子を核廃棄物（半減期約２万年）に当てて、（半減期を約３０年にした）放射性物質）等や、その適宜な組み合わせから、核（熱）電池を作る。加速器の放射エネルギーによって、宇宙船を飛ばす（運行する）。
【図３２】図３２は、エコロジー・エネルギー・システム（吉野一虎宇宙世界皇帝の核核融合炉エネルギーレーザーシステム（核融合レーザー起動用集光レンズ）））のイメージ概念図である。適宜な波長（若しくは、その組み合わせ）のレーザービームを、レンズで一点に集光（集中）させて、（プラズマ熱エネルギー）核融合を起因する。特に、紫外線、X線、γ線、などの（短波長）高周波のコーヒーレントな光子パッケージ（レーザー光ビーム、等）を用いると良い。そのレンズ方程式を示している。
【図３３】図３３は、エコロジー・エネルギー・システム（吉野一虎宇宙世界皇帝のカズトラ型の核融合炉：カズトラ型核融合炉エネルギー（レーザーヒーティング）システム（核融合レーザーヒーティング起動）））のイメージ概念図である。カズトラ型核融合炉は、トロイダル型（トカマク型）核融合炉を単数／複数、トロイダル型に纏めた型である。プラズマは、真空／ガス／プラズマ内にあるか、磁場・磁界（電場・電界／電磁場・電磁界）内にあっても良い。極力、外部に熱が流出しないように、高磁界にして、Tc（クリティカルテンパーチャー）を高温にして、プラズマを封じ込めて、レーザー（若しくは、マイクロウェーブ、等）で、ヒーティングして（局所場で核融合（ニュークリア・チェイン・リアクション）の初期反応を起こさせて、核融合（ニュークリア・チェイン・リアクション）連鎖反応させる）、プラズマを高温にして、（熱）核融合を起こさせる。（オプションとして、トロイダル型纏めた型のリング部に、オプションフィールド（例えば、磁界）を作るのも良い。）
【図３４】図３４は、エコロジー・エネルギー・システム（吉野一虎宇宙世界皇帝の核融合ロケット（核融合エンジン）：ネオ・カワセミ・プロジェクト：空飛ぶイルカ、空飛ぶイカ））のイメージ概念図である。羽を畳んで海底から発射された空飛ぶイルカは、水中を水ジェットエンジンで走行（航行）して、空中に羽を広げて飛び立ち、空気ジェットエンジンで走行（飛行）して、羽を畳んで宇宙をロケットエンジン（イオンエンジン、プラズマエンジン、ロケットエンジン、核ロケットエンジン、等）で、走行（宇宙航行）する。宇宙防衛のため、核爆弾などで、宇宙からの攻撃（上からの攻撃）をかけることも可能である。
【図３５】図３５は、エコロジー・エネルギー・システム（吉野一虎宇宙世界皇帝のエネルギー・エレクトリシティー・ジェネレーター・システム）のイメージ概念図である。太陽光発電（スチーム発電）、風力発電、海洋力発電、核反応発電（原子炉発電、核融合炉発電、などによるスチーム（ガス）発電）等の発電機システム。プロペラを回転させる。回転軸についている磁石が回転する。前記磁石の回転により、超伝導体内にあるリング磁石が誘導されて回転する。また、磁石と超電導の組み合わせによる非接触な、回転軸とカバーによって、摩擦が殆どない、回転を獲得する。回転効率が良い、起電力を発生させる。オプションとして、トランスフォーマーで、電圧・電流の調整をする。バッテリーに充電したり、電力として用いる。
【図３６】図３６は、エコロジー・エネルギー・システム（吉野一虎宇宙世界皇帝のエネルギー・エレクトリシティー・ジェネレーター・システム）のイメージ概念図である。太陽光発電（スチーム発電）、風力発電、海洋力発電、核反応発電（原子炉発電、核融合炉発電、などによるスチーム（ガス）発電）等の発電機システム。プロペラを回転させることによる発電システムのパワー（電力）のコンセプト・カリキュレーション（Concept Calculation）(概算)。
【図３７】図３７は、エコロジー・エネルギー・システム（吉野一虎宇宙世界皇帝のモーター・ジェット・ボード、モーター・ボート）のイメージ概念図である。水上ロケットランチャー、若しくは、水上から発射するロケット。ジェット・ウィンド・サーフィング。風力でウィンド・サーフ・ボードを動かし、その際、エネルギー・エレクトリシティー・ジェネレーターで、バッテリーに、電気を充電する。風があまりない時は、バッテリーによって、モーター（＋ギヤ）＋プロペラを回転させて、航行する。オプションとして、バッテリーを複数持ち、電力・ギヤによって、ウィンド・サーフ・ボードの速度をコントロールする。人が載るか、無線で操作か、人工知能、等によって航行する。
【図３８】図３８は、エコロジー・エネルギー・システム（吉野一虎宇宙世界皇帝の空飛ぶイルカ、ドラゴン、モーター・ジェット・ボード、モーター・ボート）のイメージ概念図である。特に、翼（羽）の構造（ダイアモンド型）、翼の開閉についてと、ダイヤモンド・ダイナミクス・メソードを示す。（２D／３Dで）翼（羽）を動かして、浮力を得ることも可能である。海中で航行しているときは、翼を閉じて、空で飛行しているときは、翼を広げ（用いて）、宇宙で宇宙航行しているときは、翼を閉じるか、若し、（（シリコンや色素増感型等の）太陽光シートなどなら）太陽光（シート）翼を広げるのが、最善の形態である。
【図３９】図３９は、エコロジー・エネルギー・システム（吉野一虎宇宙世界皇帝のシャフト・ローテーション・ベアリング・システム）のイメージ概念図である。モーター、発電機、ジョイント、等の部分に、ベアリングの周りを、ベアリングで囲み、スムースなオペレーションを可能にするシャフト・ローテーション・ベアリング・システムである。同様に、複数のレイヤーを用いても良い。シャフト・ローテーション・ベアリング・システム＝（（メインベアリング＊サブベアリング）＊Lレイヤー）（L＞＝１）。このシャフト・ローテーション・ベアリング・システムによって、モーターの回転効率や発電機の発電効率が良くなるという効果がある。
【図４０】図４０は、エコロジー・エネルギー・システム（吉野一虎宇宙世界皇帝のスーパーマン（計画））のイメージ概念図である。Yoshino UniverseKazutora YoshinoUniverse EmpireKazutora YoshinoEmperor's Super Man ProjectLovely, 一般的なエンジン、キシレン、ガソリン、水素＋酸素、等を用いるジェット・エンジン、ロケット・エンジンでも良いが、ジェット・ロケット・エンジンを用いるのが最適である。ジェット・ロケット・エンジンは、（小型原子炉／）、小型核融合炉で、燃料の水を沸かして、水蒸気（スチーム）を噴出させて、ジェットを作るロケットエンジンを、箱に取り付ける。ジェット・ロケット・エンジンは、箱の上の方に付けると、横から下にジェットを噴出するので、バランス的に安定する。ジェット・ロケット・エンジンを、箱の下の方に付けると、ジェットが、下に噴出されるので、熱流体的には、効率が良い。二つのジェット・ロケット・エンジンでも、飛行が可能な（動力・エネルギー）レベルにしておく。基本形は、四つのジェット・ロケット・エンジンを用いて、（光学）ジャイロスコープ、加速度センサー、GPS、コンピューター（ジェネリック・アルゴリズム等を用いる人工知能）を用いて、ジェットを噴出したり、逆噴射して、最適な、バランス、位置、方向を、獲得する。緊急の時等は、マニュアル操作も可能にする。四つのジェットエンジンのうち、一つが破損などしたら、対照側にあるジェット・ロケット・エンジンも停止して、二つのジェット・ロケット・エンジンによる飛行（マニュアル操作も出来るようにする）に、切り替えることが可能にする。又、出来るだけ速やかに着地するようにする。若しくは、ジェネリック・アルゴリズムや摂動論的制御、等の最適制御によって、三つのジェット・ロケット・エンジンを、微妙に操作・制御して、当分は、飛行を続けることが可能にする。ダイヤモンドや防弾ガラスのような素材を壁にして、飛行中に、美しい風景など、見渡しが良いようにしても良い。民間の観光用に用いることも可能であり、軍事用の偵察機のように用いることも可能である。パイロットや宇宙飛行士が箱の中にいるなら、内部に空気（酸素）タンクを入れておけば、燃料が続くなら、空から、宇宙に航行しても良い。宇宙の景色（宇宙の夜景、星星の輝き、天体の芸術）などが、美しく、ダイアモンドに映るであろう。
【図４１】図４１は、エコロジー・エネルギー・システム（吉野一虎宇宙世界皇帝のフライング・ジェット・モービル）のイメージ概念図である。 Yoshino UniverseKazutora YoshinoUniverse EmpireKazutora YoshinoEmperor's Flying Jet MobileLovely, 空気をプロペラを回して、上、横、下、斜めなどから吸引して、燃料と混ぜて、燃焼して、ジェットを作る。モーターによってプロペラを回しても良い。フライング・ジェット・モービルは、森やジャングルで、軍事的な偵察等を行う際に、小回りが利く、便利な乗り物である。
【図４２】図４２は、エコロジー・エネルギー・システム（吉野一虎宇宙世界皇帝のフラップ式ウィング、フラップ式プロペラ）のイメージ概念図である。 羽や、プロペラに、フラップを付けて、気流のコントロールをする。特に、高い角度（フラップ角度）をつけて、離陸や着率の距離を短くできる（例えば、４５度〜５５度ぐらい）。飛行時は、（例えば、約１５度〜５５度ぐらいの）高くない羽の角度（フラップ）で飛行すると浮上・飛行効率が良い。プロペラの場合は、回転初期と、回転中期、回転後期、上昇期、浮上期、下降期、飛行期、などに合わせて、羽の角度（＋フラップ角度）をコントロールすることが、可能である。
【図４３】図４３は、エコロジー・エネルギー・システム（吉野一虎宇宙世界皇帝のフライング・ジェット・モービル）のイメージ概念図である。Yoshino UniverseKazutora YoshinoUniverse EmpireKazutora YoshinoEmperor's Flying Jet Mobile (Theoretical, Practical Method)Lovely, ヘリコプター、飛行機、フライング・ジェット・モービル、スカイ・カーズ、等のプロペラの数式化であり、羽をコンパクト化するための技術である。システムがスケーラブルな際、プロペラのサイズをPropeller Length 1として、モーターのトルクをMotorTorque、モーターの回転数をMotor Omegaとして、プロペラ／羽の角度を、例えば１５°ぐらいとか、４５〜５５°ぐらいに設定すると、基本的な部分は、定数のように扱えて、Force Lift = (Motor Torque/Propeller Length 1)*Csになるので、羽がコンパクトで、（数多くの）プロペラで、回転が速い方が良い。普通は、rg1/rg2 >= 1/30 ぐらいにするが、最善の形態を、rg1/rg2>= 1  とする。rg1/rg2 >= 10・・・とギヤの逆比率を向上させると、リフトの効率が良いが、シャフト・ギヤなどの（シャフト・ギヤ変換）効率があるので、直接プロペラを、モーターに付けるのが、シャフト・ギヤ変換効率が、１００％となるので、最も効率が良い。
【図４４】図４４は、エコロジー・エネルギー・システム（吉野一虎宇宙世界皇帝のヘリコプター・宇宙（核）ロケット開発）のイメージ概念図である。 ヘリコプターから始めて、（３Dペン、３Dコントローラー、脳波コミュニケーター、人工心臓、（iPS）幹細胞臓器、成型臓器（３Dプリンターで、細胞と細胞を決着剤などで付着させて、臓器を直接作る）、などの経由で）、宇宙（核）ロケットを、製造する方法。また、プロジェクトを映画化するためのストーリーであって、この（映画による収益）によって、ヘリコプター、宇宙（核）ロケットを製造する宇宙開発（宇宙医療）ビジネス・モデルの方法。 吉野カズトラ宇宙世界皇帝のストーリー：吉野庭園→ヘリコプター基地→人工心臓製造→ロケット基地→ドラゴン（龍）の開発→宇宙世界征服→吉野カズトラ宇宙世界皇帝と吉野アシュレーアヤメ女王偉大なる戦士のラブ・ロマンス（恋愛ストーリー）。
【図４５】図４５は、エコロジー・エネルギー・システム（吉野一虎宇宙世界皇帝の太陽光発電・風力発電・等の発電所型の吉野信法王鳳凰神社の開発）のイメージ概念図である。 ヘリコプター、宇宙（核）ロケット開発の（準備の）方法とか、吉野カズトラ宇宙世界皇帝と吉野アシュレーアヤメ女王偉大なる戦士のラブ・ロマンス（恋愛ストーリー）。ヘリコプター、宇宙（核）ロケットの開発費を得るための（吉野神道新信仰）吉野一虎宇宙世界皇帝の太陽光発電・風力発電・等の発電所型の吉野信法王鳳凰神社神社の設計と構築。また、その（プロモーションビデオ用・宣伝用・映画用・現実化用の）ストーリー。 吉野カズトラ宇宙世界皇帝のストーリー： Yoshino UniverseKazutora YoshinoUniverse EmpireKazutora YoshinoEmperor's Love RomanceLovely, Yoshino UniverseKazutora Yoshino Universe EmpireKazutora Yoshino Emperor's Shrine 吉野カズトラ宇宙世界皇帝は、吉野信法王鳳凰神社を、始めていた。吉野信法王鳳凰神社は、天照大御神を祀り、『自然は、神。野生は、友。』というキャッチフレーズの基に、信者や白い動物達を、大事にしていた。特に、紀州犬(花)、アークティックウルフ(不思議)や、シロキツネ、シロネコ、ムササビ、モモンガ、白龍、等を、大事にしていた。吉野信法王鳳凰神社の屋根の先端には、鳳凰のデザインの風車が付いていて、屋根には、太陽光パネルが付いている、自然に優しいエコロジー・システムによって運営されていた。信者達は、自然に合わせて、風の来る方向を向く鳳凰型風見鶏(風車)や光(太陽光パネル)や川の水や湖の水や雨水や井戸水や海水や自然エネルギーを、信仰の対象とする、八方美人の吉野ファミリーのメンバー達や、キャバ嬢達や、ホスト達、動物愛護者達、飲食業・水商売関連関係者達、農林水産業者達、パラグライダーパイロット達、パイロット達、航空自衛隊達、、軍人達、警察達、ヨットレーサー達、ボートレーサー達、船主達、船長達、ホースダービーの馬主達、写真関連関係者達、宣伝業者達、画像関連関係者達、テレビ関連関係者達、放送関連関係者達、映画関連関係者達、女優達、俳優達、モデル達、方位学者達、法医学者達、医者達、医療関連関係者達、植物学者達、生化学者達、バイオインフォマティクス関連関係者達、システムエンジニア達、物理学者達、技術者達、プログラマー達、宇宙開発事業団関連関係者達、ビジネス関連関係者達、特許関連関係者達、エネルギー関連関係者、等が、多かった。吉野カズトラ宇宙世界皇帝は、太陽光発電所や、風力発電所、等の研究開発を、Yoshino Universe研究所でしていたが、コンピューター・システム管理は、IBM研究所にさせて、ネットワーク管理は、ベル(Bell)研究所にさせていた。・・・。吉野カズトラ宇宙世界皇帝は、また、Yoshino Universeと吉野エミリー女王と吉野レベッカハル女王の管理の元に、日本政府に、奈良の吉野川のダムの水や富士山の水や海水等の水を、東レのウォーターヒィルターを用いて、飲料水にさせて、『(奈良の)吉野の綺麗な水』という商品名で、世界中に、輸出した。吉野カズトラ宇宙世界皇帝は、また、エネルギー・エコロジー・システム・アプリケーションの研究開発を進め更に良いエコロジー・システム(USES, USEN)、ロケットの研究開発、宇宙開発を、進めていた。・・・・。吉野カズトラ宇宙世界皇帝の吉野��宙開発基地は、白き龍に守られた城(ホワイトハウスWhite House)と呼ばれて、龍型・竜巻のような巨峰のブドウの木(ツタ)に囲まれた、白い家と果樹庭園の内側(吉野信法王の邸宅領土内)にあった。・・・。 吉野カズトラ宇宙世界皇帝は、吉野カズトラ宇宙世界皇帝と吉野の葡萄の園を守るためのボディーガード女子軍団を作り始めていた。あまり現実的ではなかったが、吉野カズトラ宇宙世界皇帝は、水龍拳の一部として、健康空手を、始めていた。吉野カズトラ宇宙世界皇帝の健康空手は、女の子、女子高生、女子大生、OLを、メンバーにして、戦闘用と言うよりは、むしろ健康面での体力強化を目指して、吉野カズトラ宇宙世界皇帝と吉野の果樹庭園（吉野のブドウ園）の警備を目的としていた。吉野カズトラ宇宙世界皇帝は、健康空手のプロモーションビデオを作ろうとしていて、大妻女子大生、等の女子大生達に、吉野カズトラ宇宙世界皇帝を、宣伝しようとしていた。吉野カズトラ宇宙世界皇帝は、埼玉県入間市(入間航空自衛隊による航空防衛)を、基軸とした、日本首都・都市開発を進めていた。・・・。 吉野カズトラ宇宙世界皇帝は、吉野信法皇鳳凰神社と、埼玉県入間市の都市開発のために、神社のさい銭と、風力エネルギーと、太陽光エネルギー、等を用いていたが、世界中から税金を徴収することにした。そのためには、共通通貨が必要となり、吉野カズトラ宇宙世界皇帝は、Yoshino Universe、アメリカ合衆国政府、日本政府、国際連合のIMFを用いて、ユニバーサル・マニー・システムを、作った。吉野カズトラ宇宙世界皇帝は、国民一人一人に、ソーシャルセキュリティー番号や、国民共通番号を、渡して、各々に、資産を、ユニバーサル・マニーのポイントに、変換した。物の売買には、基本、ユニバーサル・マニーのポイントが、必要で、これによって、Yoshino Universe、政府は、国民の販売記録・購買記録がよくみえて、税金(消費税、等)も電子化されて簡単になり、一般にも、不正取引や、闇取引が、殆どなくなった。これによって、特許など正しい新技術への投資や融資が、促進されて、経済、社会が、発展した。・・・。続く。
【手続補正２】
【補正対象書類名】図面
【補正対象項目名】図２０
【補正方法】追加
【補正の内容】
【図２０】
2018048555.tif 000208
【手続補正３】
【補正対象書類名】図面
【補正対象項目名】図２１
【補正方法】追加
【補正の内容】
【図２１】
2018048555.tif 000209
【手続補正４】
【補正対象書類名】図面
【補正対象項目名】図２２
【補正方法】追加
【補正の内容】
【図２２】
2018048555.tif 000210
【手続補正５】
【補正対象書類名】図面
【補正対象項目名】図２３
【補正方法】追加
【補正の内容】
【図２３】
2018048555.tif 000211
【手続補正６】
【補正対象書類名】図面
【補正対象項目名】図２４
【補正方法】追加
【補正の内容】
【図２４】
2018048555.tif 000212
【手続補正７】
【補正対象書類名】図面
【補正対象項目名】図２５
【補正方法】追加
【補正の内容】
【図２５】
2018048555.tif 000213
【手続補正８】
【補正対象書類名】図面
【補正対象項目名】図２６
【補正方法】追加
【補正の内容】
【図２６】
2018048555.tif 000214
【手続補正９】
【補正対象書類名】図面
【補正対象項目名】図２７
【補正方法】追加
【補正の内容】
【図２７】
2018048555.tif 000215
【手続補正１０】
【補正対象書類名】図面
【補正対象項目名】図２８
【補正方法】追加
【補正の内容】
【図２８】
2018048555.tif 000216
【手続補正１１】
【補正対象書類名】図面
【補正対象項目名】図２９
【補正方法】追加
【補正の内容】
【図２９】
2018048555.tif 000217
【手続補正１２】
【補正対象書類名】図面
【補正対象項目名】図３０
【補正方法】追加
【補正の内容】
【図３０】
2018048555.tif 000218
【手続補正１３】
【補正対象書類名】図面
【補正対象項目名】図３１
【補正方法】追加
【補正の内容】
【図３１】
2018048555.tif 000219
【手続補正１４】
【補正対象書類名】図面
【補正対象項目名】図３２
【補正方法】追加
【補正の内容】
【図３２】
2018048555.tif 000220
【手続補正１５】
【補正対象書類名】図面
【補正対象項目名】図３３
【補正方法】追加
【補正の内容】
【図３３】
2018048555.tif 000221
【手続補正１６】
【補正対象書類名】図面
【補正対象項目名】図３４
【補正方法】追加
【補正の内容】
【図３４】
2018048555.tif 000222
【手続補正１７】
【補正対象書類名】図面
【補正対象項目名】図３５
【補正方法】追加
【補正の内容】
【図３５】
2018048555.tif 000223
【手続補正１８】
【補正対象書類名】図面
【補正対象項目名】図３６
【補正方法】追加
【補正の内容】
【図３６】
2018048555.tif 000224
【手続補正１９】
【補正対象書類名】図面
【補正対象項目名】図３７
【補正方法】追加
【補正の内容】
【図３７】
2018048555.tif 000225
【手続補正２０】
【補正対象書類名】図面
【補正対象項目名】図３８
【補正方法】追加
【補正の内容】
【図３８】
2018048555.tif 000226
【手続補正２１】
【補正対象書類名】図面
【補正対象項目名】図３９
【補正方法】追加
【補正の内容】
【図３９】
2018048555.tif 000227
【手続補正２２】
【補正対象書類名】図面
【補正対象項目名】図４０
【補正方法】追加
【補正の内容】
【図４０】
2018048555.tif 000228
【手続補正２３】
【補正対象書類名】図面
【補正対象項目名】図４１
【補正方法】追加
【補正の内容】
【図４１】
2018048555.tif 000229
【手続補正２４】
【補正対象書類名】図面
【補正対象項目名】図４２
【補正方法】追加
【補正の内容】
【図４２】
2018048555.tif 000230
【手続補正２５】
【補正対象書類名】図面
【補正対象項目名】図４３
【補正方法】追加
【補正の内容】
【図４３】
2018048555.tif 000231
【手続補正２６】
【補正対象書類名】図面
【補正対象項目名】図４４
【補正方法】追加
【補正の内容】
【図４４】
2018048555.tif 000232
【手続補正２７】
【補正対象書類名】図面
【補正対象項目名】図４５
【補正方法】追加
【補正の内容】
【図４５】
2018048555.tif 000233
【手続補正書】
【提出日】平成25年3月30日(2013.3.30)
【手続補正１】
【補正対象書類名】明細書
【補正対象項目名】００１１
【補正方法】変更
【補正の内容】
【００１１】
【図１】図１は、エコロジー・エネルギー・システムのイメージ概念図である。
【図２】図２は、エコロジー・エネルギー・システムのイメージ概念図である。
【図３】図３は、エコロジー・エネルギー・システムのイメージ概念図である。
【図４】図４は、エコロジー・エネルギー・システムのイメージ概念図である。
【図５】図５は、エコロジー・エネルギー・システムのイメージ概念図である。
【図６】図６は、エコロジー・エネルギー・システムのイメージ概念図である。
【図７】図７は、エコロジー・エネルギー・システムのイメージ概念図である。
【図８】図８は、エコロジー・エネルギー・システムのイメージ概念図である。
【図９】図９は、エコロジー・エネルギー・システムのイメージ概念図である。
【図１０】図１０は、エコロジー・エネルギー・システムのイメージ概念図である。
【図１１】図１１は、エコロジー・エネルギー・システムのイメージ概念図である。
【図１２】図１２は、エコロジー・エネルギー・システムのイメージ概念図である。
【図１３】図１３は、エコロジー・エネルギー・システムのイメージ概念図である。
【図１４】図１４は、エコロジー・エネルギー・システムのイメージ概念図である。
【図１５】図１５は、エコロジー・エネルギー・システムのイメージ概念図である。
【図１６】図１６は、エコロジー・エネルギー・システムのイメージ概念図である。
【図１７】図１７は、エコロジー・エネルギー・システムのイメージ概念図である。
【図１８】図１８は、エコロジー・エネルギー・システムのイメージ概念図である。
【図１９】図１９は、エコロジー・エネルギー・システムのイメージ概念図である。
【図２０】図２０は、エコロジー・エネルギー・システムのイメージ概念図である。    本発明の図２０についての説明用のストーリ：吉野カズトラ宇宙世界皇帝は、吉野カズトラ宇宙世界皇帝国のエネルギーシステムを増強していた。 I.  宇宙太陽光発電システム（ソーラー（ユニット）サテライト）（USES）II.  宇宙太陽光電池製造システムIII.  宇宙核融合炉発電システムIV.  地上核融合発電システムV.  海上（海底）核融合発電システム 吉野カズトラ宇宙世界皇帝は、巨大な宇宙発電・太陽光エネルギー・送信システム（太陽の付近に宇宙太陽光人工衛星を配置）と受信システム（ロッキー山脈の頂にあるロッキーマウンテンナショナルパーク(Rocky Mountain National Park)や、アリゾナの砂漠、アラスカのマッキンレー山脈、サハラ砂漠、等）を作っていた。 吉野カズトラ宇宙世界皇帝は、また、宇宙での真空を利用して、（トカマク型）プラズマ封じ込め高温適圧の宇宙核融合炉を作ることを進めていた。 吉野カズトラ宇宙世界皇帝は、また、地上でプラズマ・イオン発電所を作り、プラズマ封じ込め高温適圧の宇宙核融合炉を運転していた。 吉野カズトラ宇宙世界皇帝は、また、海上で太陽光・風力・海洋エネルギー発電所を作り、海上（海底）核融合炉を運転していた。（核反応の事故に対して、比較的安全である） Reference:www.yoshinouniverse.comISBN0-8118-0897-1ISBN4-339-00552-5ISBN4-7853-6112-3
【図２１】図２１は、エコロジー・エネルギー・システムのイメージ概念図である。原子炉で、核燃料からエネルギーを取り出す。（オプション）再処理工場で、使用済み核燃料を、核燃料と核廃棄物（核のゴミ）に分離する。熱電発電（所）（システム）で、使用済み核燃料／核廃棄物（核のゴミ）からエネルギーを取り出す。使用済み核燃料／核廃棄物（核のゴミ）を、水、フィルム（紙）、金属（鉛、等）で囲み、放射能について封印するが、熱が出てくるのを、熱電発電で、電気エネルギーに、変換するシステム。
【図２２】図２２は、エコロジー・エネルギー・システム（日本の防衛システム）のイメージ概念図である。核燃料（プルトニウム、ウラン、等）などの核物質など、戦略的エネルギー物質を、日本に集める。核燃料・核爆弾・核廃棄物（核のゴミ）を、１．平和なら、平和利用する。（核エネルギーによって（核（燃料）を熱源として）、熱電発電する。）２．戦争なら、敵国に打ち込む。（埼玉県入間市の入間航空自衛隊（防衛軍）の地下ミサイル発射基地から、大陸弾道ミサイルなどを発射する。吉野カズトラ宇宙世界皇帝のシャチ型潜水艦から核ミサイルを発射する。吉野カズトラ宇宙世界皇帝の軍事衛星から核爆弾を投下する。等）Yoshino UniverseKazutora YoshinoUniverse EmpireKazutora YoshinoNuclear Energy Defense SystemLovely,
【図２３】図２３は、エコロジー・エネルギー・システム（太陽光熱カプセル発電システム）のイメージ概念図である。吉野一虎ソーラーライトカプセル効果：太陽光（熱）が、太陽で発生して（太陽中心：高温１６００万℃、太陽表面：低温温６０００℃）、太陽を囲む物質（ダークマター、素粒子、物質、保熱ガス、反応物質、捕熱物質、反射物質、等の適宜な組み合わせ）によって、光（熱）は、吸収・保持・反応、等をして、中温（数百万℃）になる。DM + gamma -> DM' + delta Egammaは、光（熱）などの（反応（素）粒子などの）エレメント。delta Eは、正／負／ゼロ、等のエネルギー（エレメント）とする。DM、DM’は、ダークマターなどの（反応（素）粒子・反応物質、物質）（群理論）エレメントで、DMとDM'は、同じエレメントでもよく、異なるエレメントでも良い。吉野一虎ライトカプセル効果：このシステムを、ミニチュア化したカプセルに二酸化炭素などの保熱ガス（捕熱ガス）を入れて、（太陽）光（／レーザー光）の照射をして、太陽光（熱）発電を行い、ミニチュア太陽光（熱）カプセル発電を行う。吉野一虎レーザー効果：二酸化炭素などの保熱ガス（捕熱ガス）に、（太陽）光（／レーザー光）を照射して、光（光子、レーザー光）を発光させて、光をカプセル内部で、反射させて、１００％ミラーと約９９％ミラーで、往復反射させて、誘導発光させて、同じ（ぐらいの）波長（周波数）と相（フェーズ）の光の束（レーザー光）を作り、約９９％ミラー側からコーヒーレントなレーザー光を、放つ。吉野一虎ネットワーク超特急効果：ミニチュア太陽光（熱）カプセル発電システムのユニットを、発電パフォーマンス良く、コストパフォーマンス良く、大量に作り、マトリクス上にして、日射量が十分にあるところに敷き詰めたり、電車の路線のサイドに並べたり、道路（高速道路）のサイドに、並べたりすることによって、日本（世界）全体が、ミニチュア太陽光（熱）カプセル発電システムによって、光ネットワーク発電システムとなる。 吉野アシュレーアヤメ女王偉大なる戦士は、吉野一虎効果（吉野一虎ソーラーカプセル効果、吉野一虎ライトカプセル効果、吉野一虎レーザー効果、吉野一虎（カズトラ）ネットワーク超特急効果、等の吉野一虎宇宙世界皇帝の効果）を、活用して、宇宙全体に、吉野アシュレーアヤメ女王による吉野一虎宇宙世界皇帝（宇宙銀河恒星ネットワーク・太陽系）光ネットワークシステムを構築して、宇宙・世界のエネルギー問題を、解決して行った・・・。
【図２４】図２４は、エコロジー・エネルギー・システム（熱（水蒸気／ガス）発電システム）のイメージ概念図である。水（／液体／気体／水素／ガス、等）に太陽光（熱）（エネルギー）、（ガスの）火、熱（等）を投入して、水蒸気（／ガス）にして、タービンを回転して、発電機で、発電するシステム。オプションとして、水蒸気（／ガス）を冷却して、水（／液体／気体／水素／ガス、等）にして、サイクル（リサイクル）するシステム。
【図２５】図２５は、エコロジー・エネルギー・システム（吉野一虎宇宙世界皇帝の核戦争用の鎧兜（防衛システム））のイメージ概念図である。ダイヤモンド、タングステン、ステンレス、鉄、鉛、防弾ガラス、セラミック、紙、スポンジ、水（汗）、バッテリー、シリコン、コンピューター、ディスプレイ等を、適宜に組み合わせて、放射能を遮断するタイガーシールド。本発明は、アルファ粒子線、ベータ線、γ線を遮断する物質（マテリアル）を用いた装甲・鎧（アーマー）である。オプションとして、周りの見た目に合わせて、色や柄を2D/3Dでディスプレイできるカメレオンシールド。この鎧兜を纏った軍隊を、カメレオン・アーミーとして、敵（の核兵器・軍隊）と戦うシステム（自衛隊・国防軍・民間安全警備武装集団（傭兵））。ディスプレイ、コンピューター、電子機器の電源、若しくは、バッテリーなどの充電器としてのブーツ（靴）による、歩行発電（靴発電システム）。ピエゾエレクトロニック素子（圧電素子）、発電機、弾性物質、等によって、発電して、バッテリーに電気を充電する。オプションとして、スプリングなどを用いて、発電しながら、跳躍力を抜群に向上させるジャンプ（発電）シューズ。本発明は、カメレオン・アーミーの鎧を電子的に機能させるのに必要な電源は、歩行発電ブーツから得ることが可能である。その際の戦士達の戦闘シーン（風景）の概念図が、示されている。
【図２６】図２６は、エコロジー・エネルギー・システム（太陽光熱カプセル発電システム：パラボラミラーバージョン）のイメージ概念図である。最良の形態の一つを示している。パラボラミラーによって、反射した光（エネルギー）を、（カプセル）球に集光させて、（熱反応、化学反応、核反応などの）反応、等を起こさせるシステム。
【図２７】図２７は、エコロジー・エネルギー・システム（水素と酸素による燃料電池発電（ガス発電）システム）のイメージ概念図である。ダイヤモンド／DLC／金属／カーボン（ファイバー）等の（軽くて丈夫な）強い（高圧のガスや、液体に耐えうる）容器に、濃縮ガス（濃縮水素ガス、濃縮酸素ガス）、液体（液体水素、液体酸素）等を入れる。水素と酸素を適宜な量を、コンピューター制御機、バルブなどで、摘出して、燃料電池に、投入して、電気（エネルギー）を発生させる。電気を直接用いるか、バッテリー等に充電して用いる。水素と酸素の反応によって出来た水を、（浄化フィルターに通して）、飲料水にする。宇宙船などでの宇宙航行が、長期の滞在の場合に、水素・酸素燃料から、水を作り、フィルターで飲料水を作り、飲むことが可能である、エコロジー・スマート・システム。宇宙旅行に、飲料水を、持ってゆくことが、可能であるが、水が、もっと必要なときとか、緊急時とかに、もっと飲料水を作ることが必要な際に、有用なシステムである。
【図２８】図２８は、エコロジー・エネルギー・システム（エネルギー炉（熱炉））のイメージ概念図である。
【図２９】図２９は、エコロジー・エネルギー・システム（吉野カズトラ宇宙世界皇帝のエネルギー炉（熱炉）と無線／タイマー式の起爆装置による核爆弾）のイメージ概念図である。
【図３０】図３０は、エコロジー・エネルギー・システム（吉野一虎宇宙世界皇帝の靴（防衛・防寒システム））のイメージ概念図である。ピエゾエレクトリックなどの圧電素子で発電したり、動力を利用して、発電したり、核燃料の熱で、発電したりして、熱エネルギーを用いて、エネルギーシステム（（防寒用のヒーター等の）の靴等）を作る。
【図３１】図３１は、エコロジー・エネルギー・システム（吉野一虎宇宙世界皇帝の核電池、核エネルギー、加速器核エネルギーシステム））のイメージ概念図である。核燃料、核廃棄物、（加速器で加速された陽子を核廃棄物（半減期約２万年）に当てて、（半減期を約３０年にした）放射性物質）等や、その適宜な組み合わせから、核（熱）電池を作る。加速器の放射エネルギーによって、宇宙船を飛ばす（運行する）。
【図３２】図３２は、エコロジー・エネルギー・システム（吉野一虎宇宙世界皇帝の核核融合炉エネルギーレーザーシステム（核融合レーザー起動用集光レンズ）））のイメージ概念図である。適宜な波長（若しくは、その組み合わせ）のレーザービームを、レンズで一点に集光（集中）させて、（プラズマ熱エネルギー）核融合を起因する。特に、紫外線、X線、γ線、などの（短波長）高周波のコーヒーレントな光子パッケージ（レーザー光ビーム、等）を用いると良い。そのレンズ方程式を示している。
【図３３】図３３は、エコロジー・エネルギー・システム（吉野一虎宇宙世界皇帝のカズトラ型の核融合炉：カズトラ型核融合炉エネルギー（レーザーヒーティング）システム（核融合レーザーヒーティング起動）））のイメージ概念図である。カズトラ型核融合炉は、トロイダル型（トカマク型）核融合炉を単数／複数、トロイダル型に纏めた型である。プラズマは、真空／ガス／プラズマ内にあるか、磁場・磁界（電場・電界／電磁場・電磁界）内にあっても良い。極力、外部に熱が流出しないように、高磁界にして、Tc（クリティカルテンパーチャー）を高温にして、プラズマを封じ込めて、レーザー（若しくは、マイクロウェーブ、等）で、ヒーティングして（局所場で核融合（ニュークリア・チェイン・リアクション）の初期反応を起こさせて、核融合（ニュークリア・チェイン・リアクション）連鎖反応させる）、プラズマを高温にして、（熱）核融合を起こさせる。（オプションとして、トロイダル型纏めた型のリング部に、オプションフィールド（例えば、磁界）を作るのも良い。）
【図３４】図３４は、エコロジー・エネルギー・システム（吉野一虎宇宙世界皇帝の核融合ロケット（核融合エンジン）：ネオ・カワセミ・プロジェクト：空飛ぶイルカ、空飛ぶイカ））のイメージ概念図である。羽を畳んで海底から発射された空飛ぶイルカは、水中を水ジェットエンジンで走行（航行）して、空中に羽を広げて飛び立ち、空気ジェットエンジンで走行（飛行）して、羽を畳んで宇宙をロケットエンジン（イオンエンジン、プラズマエンジン、ロケットエンジン、核ロケットエンジン、等）で、走行（宇宙航行）する。宇宙防衛のため、核爆弾などで、宇宙からの攻撃（上からの攻撃）をかけることも可能である。
【図３５】図３５は、エコロジー・エネルギー・システム（吉野一虎宇宙世界皇帝のエネルギー・エレクトリシティー・ジェネレーター・システム）のイメージ概念図である。太陽光発電（スチーム発電）、風力発電、海洋力発電、核反応発電（原子炉発電、核融合炉発電、などによるスチーム（ガス）発電）等の発電機システム。プロペラを回転させる。回転軸についている磁石が回転する。前記磁石の回転により、超伝導体内にあるリング磁石が誘導されて回転する。また、磁石と超電導の組み合わせによる非接触な、回転軸とカバーによって、摩擦が殆どない、回転を獲得する。回転効率が良い、起電力を発生させる。オプションとして、トランスフォーマーで、電圧・電流の調整をする。バッテリーに充電したり、電力として用いる。
【図３６】図３６は、エコロジー・エネルギー・システム（吉野一虎宇宙世界皇帝のエネルギー・エレクトリシティー・ジェネレーター・システム）のイメージ概念図である。太陽光発電（スチーム発電）、風力発電、海洋力発電、核反応発電（原子炉発電、核融合炉発電、などによるスチーム（ガス）発電）等の発電機システム。プロペラを回転させることによる発電システムのパワー（電力）のコンセプト・カリキュレーション（Concept Calculation）(概算)。
【図３７】図３７は、エコロジー・エネルギー・システム（吉野一虎宇宙世界皇帝のモーター・ジェット・ボード、モーター・ボート）のイメージ概念図である。水上ロケットランチャー、若しくは、水上から発射するロケット。ジェット・ウィンド・サーフィング。風力でウィンド・サーフ・ボードを動かし、その際、エネルギー・エレクトリシティー・ジェネレーターで、バッテリーに、電気を充電する。風があまりない時は、バッテリーによって、モーター（＋ギヤ）＋プロペラを回転させて、航行する。オプションとして、バッテリーを複数持ち、電力・ギヤによって、ウィンド・サーフ・ボードの速度をコントロールする。人が載るか、無線で操作か、人工知能、等によって航行する。
【図３８】図３８は、エコロジー・エネルギー・システム（吉野一虎宇宙世界皇帝の空飛ぶイルカ、ドラゴン、モーター・ジェット・ボード、モーター・ボート）のイメージ概念図である。特に、翼（羽）の構造（ダイアモンド型）、翼の開閉についてと、ダイヤモンド・ダイナミクス・メソードを示す。（２D／３Dで）翼（羽）を動かして、浮力を得ることも可能である。海中で航行しているときは、翼を閉じて、空で飛行しているときは、翼を広げ（用いて）、宇宙で宇宙航行しているときは、翼を閉じるか、若し、（（シリコンや色素増感型等の）太陽光シートなどなら）太陽光（シート）翼を広げるのが、最善の形態である。
【図３９】図３９は、エコロジー・エネルギー・システム（吉野一虎宇宙世界皇帝のシャフト・ローテーション・ベアリング・システム）のイメージ概念図である。モーター、発電機、ジョイント、等の部分に、ベアリングの周りを、ベアリングで囲み、スムースなオペレーションを可能にするシャフト・ローテーション・ベアリング・システムである。同様に、複数のレイヤーを用いても良い。シャフト・ローテーション・ベアリング・システム＝（（メインベアリング＊サブベアリング）＊Lレイヤー）（L＞＝１）。このシャフト・ローテーション・ベアリング・システムによって、モーターの回転効率や発電機の発電効率が良くなるという効果がある。
【図４０】図４０は、エコロジー・エネルギー・システム（吉野一虎宇宙世界皇帝のスーパーマン（計画））のイメージ概念図である。Yoshino UniverseKazutora YoshinoUniverse EmpireKazutora YoshinoEmperor's Super Man ProjectLovely, 一般的なエンジン、キシレン、ガソリン、水素＋酸素、等を用いるジェット・エンジン、ロケット・エンジンでも良いが、ジェット・ロケット・エンジンを用いるのが最適である。ジェット・ロケット・エンジンは、（小型原子炉／）、小型核融合炉で、燃料の水を沸かして、水蒸気（スチーム）を噴出させて、ジェットを作るロケットエンジンを、箱に取り付ける。ジェット・ロケット・エンジンは、箱の上の方に付けると、横から下にジェットを噴出するので、バランス的に安定する。ジェット・ロケット・エンジンを、箱の下の方に付けると、ジェットが、下に噴出されるので、熱流体的には、効率が良い。二つのジェット・ロケット・エンジンでも、飛行が可能な（動力・エネルギー）レベルにしておく。基本形は、四つのジェット・ロケット・エンジンを用いて、（光学）ジャイロスコープ、加速度センサー、GPS、コンピューター（ジェネリック・アルゴリズム等を用いる人工知能）を用いて、ジェットを噴出したり、逆噴射して、最適な、バランス、位置、方向を、獲得する。緊急の時等は、マニュアル操作も可能にする。四つのジェットエンジンのうち、一つが破損などしたら、対照側にあるジェット・ロケット・エンジンも停止して、二つのジェット・ロケット・エンジンによる飛行（マニュアル操作も出来るようにする）に、切り替えることが可能にする。又、出来るだけ速やかに着地するようにする。若しくは、ジェネリック・アルゴリズムや摂動論的制御、等の最適制御によって、三つのジェット・ロケット・エンジンを、微妙に操作・制御して、当分は、飛行を続けることが可能にする。ダイヤモンドや防弾ガラスのような素材を壁にして、飛行中に、美しい風景など、見渡しが良いようにしても良い。民間の観光用に用いることも可能であり、軍事用の偵察機のように用いることも可能である。パイロットや宇宙飛行士が箱の中にいるなら、内部に空気（酸素）タンクを入れておけば、燃料が続くなら、空から、宇宙に航行しても良い。宇宙の景色（宇宙の夜景、星星の輝き、天体の芸術）などが、美しく、ダイアモンドに映るであろう。
【図４１】図４１は、エコロジー・エネルギー・システム（吉野一虎宇宙世界皇帝のフライング・ジェット・モービル）のイメージ概念図である。 Yoshino UniverseKazutora YoshinoUniverse EmpireKazutora YoshinoEmperor's Flying Jet MobileLovely, 空気をプロペラを回して、上、横、下、斜めなどから吸引して、燃料と混ぜて、燃焼して、ジェットを作る。モーターによってプロペラを回しても良い。フライング・ジェット・モービルは、森やジャングルで、軍事的な偵察等を行う際に、小回りが利く、便利な乗り物である。
【図４２】図４２は、エコロジー・エネルギー・システム（吉野一虎宇宙世界皇帝のフラップ式ウィング、フラップ式プロペラ）のイメージ概念図である。 羽や、プロペラに、フラップを付けて、気流のコントロールをする。特に、高い角度（フラップ角度）をつけて、離陸や着率の距離を短くできる（例えば、４５度〜５５度ぐらい）。飛行時は、（例えば、約１５度〜５５度ぐらいの）高くない羽の角度（フラップ）で飛行すると浮上・飛行効率が良い。プロペラの場合は、回転初期と、回転中期、回転後期、上昇期、浮上期、下降期、飛行期、などに合わせて、羽の角度（＋フラップ角度）をコントロールすることが、可能である。
【図４３】図４３は、エコロジー・エネルギー・システム（吉野一虎宇宙世界皇帝のフライング・ジェット・モービル）のイメージ概念図である。Yoshino UniverseKazutora YoshinoUniverse EmpireKazutora YoshinoEmperor's Flying Jet Mobile (Theoretical, Practical Method)Lovely, ヘリコプター、飛行機、フライング・ジェット・モービル、スカイ・カーズ、等のプロペラの数式化であり、羽をコンパクト化するための技術である。システムがスケーラブルな際、プロペラのサイズをPropeller Length 1として、モーターのトルクをMotorTorque、モーターの回転数をMotor Omegaとして、プロペラ／羽の角度を、例えば１５°ぐらいとか、４５〜５５°ぐらいに設定すると、基本的な部分は、定数のように扱えて、Force Lift = (Motor Torque/Propeller Length 1)*Csになるので、羽がコンパクトで、（数多くの）プロペラで、回転が速い方が良い。普通は、rg1/rg2 >= 1/30 ぐらいにするが、最善の形態を、rg1/rg2>= 1  とする。rg1/rg2 >= 10・・・とギヤの逆比率を向上させると、リフトの効率が良いが、シャフト・ギヤなどの（シャフト・ギヤ変換）効率があるので、直接プロペラを、モーターに付けるのが、シャフト・ギヤ変換効率が、１００％となるので、最も効率が良い。
【図４４】図４４は、エコロジー・エネルギー・システム（吉野一虎宇宙世界皇帝のヘリコプター・宇宙（核）ロケット開発）のイメージ概念図である。 ヘリコプターから始めて、（３Dペン、３Dコントローラー、脳波コミュニケーター、人工心臓、（iPS）幹細胞臓器、成型臓器（３Dプリンターで、細胞と細胞を決着剤などで付着させて、臓器を直接作る）、などの経由で）、宇宙（核）ロケットを、製造する方法。また、プロジェクトを映画化するためのストーリーであって、この（映画による収益）によって、ヘリコプター、宇宙（核）ロケットを製造する宇宙開発（宇宙医療）ビジネス・モデルの方法。 吉野カズトラ宇宙世界皇帝のストーリー：吉野庭園→ヘリコプター基地→人工心臓製造→ロケット基地→ドラゴン（龍）の開発→宇宙世界征服→吉野カズトラ宇宙世界皇帝と吉野アシュレーアヤメ女王偉大なる戦士のラブ・ロマンス（恋愛ストーリー）。
【図４５】図４５は、エコロジー・エネルギー・システム（吉野一虎宇宙世界皇帝の太陽光発電・風力発電・等の発電所型の吉野信法王鳳凰神社の開発）のイメージ概念図である。 ヘリコプター、宇宙（核）ロケット開発の（準備の）方法とか、吉野カズトラ宇宙世界皇帝と吉野アシュレーアヤメ女王偉大なる戦士のラブ・ロマンス（恋愛ストーリー）。ヘリコプター、宇宙（核）ロケットの開発費を得るための（吉野神道新信仰）吉野一虎宇宙世界皇帝の太陽光発電・風力発電・等の発電所型の吉野信法王鳳凰神社神社の設計と構築。また、その（プロモーションビデオ用・宣伝用・映画用・現実化用の）ストーリー。 吉野カズトラ宇宙世界皇帝のストーリー： Yoshino UniverseKazutora YoshinoUniverse EmpireKazutora YoshinoEmperor's Love RomanceLovely, Yoshino UniverseKazutora Yoshino Universe EmpireKazutora Yoshino Emperor's Shrine 吉野カズトラ宇宙世界皇帝は、吉野信法王鳳凰神社を、始めていた。吉野信法王鳳凰神社は、天照大御神を祀り、『自然は、神。野生は、友。』というキャッチフレーズの基に、信者や白い動物達を、大事にしていた。特に、紀州犬(花)、アークティックウルフ(不思議)や、シロキツネ、シロネコ、ムササビ、モモンガ、白龍、等を、大事にしていた。吉野信法王鳳凰神社の屋根の先端には、鳳凰のデザインの風車が付いていて、屋根には、太陽光パネルが付いている、自然に優しいエコロジー・システムによって運営されていた。信者達は、自然に合わせて、風の来る方向を向く鳳凰型風見鶏(風車)や光(太陽光パネル)や川の水や湖の水や雨水や井戸水や海水や自然エネルギーを、信仰の対象とする、八方美人の吉野ファミリーのメンバー達や、キャバ嬢達や、ホスト達、動物愛護者達、飲食業・水商売関連関係者達、農林水産業者達、パラグライダーパイロット達、パイロット達、航空自衛隊達、、軍人達、警察達、ヨットレーサー達、ボートレーサー達、船主達、船長達、ホースダービーの馬主達、写真関連関係者達、宣伝業者達、画像関連関係者達、テレビ関連関係者達、放送関連関係者達、映画関連関係者達、女優達、俳優達、モデル達、方位学者達、法医学者達、医者達、医療関連関係者達、植物学者達、生化学者達、バイオインフォマティクス関連関係者達、システムエンジニア達、物理学者達、技術者達、プログラマー達、宇宙開発事業団関連関係者達、ビジネス関連関係者達、特許関連関係者達、エネルギー関連関係者、等が、多かった。吉野カズトラ宇宙世界皇帝は、太陽光発電所や、風力発電所、等の研究開発を、Yoshino Universe研究所でしていたが、コンピューター・システム管理は、IBM研究所にさせて、ネットワーク管理は、ベル(Bell)研究所にさせていた。・・・。吉野カズトラ宇宙世界皇帝は、また、Yoshino Universeと吉野エミリー女王と吉野レベッカハル女王の管理の元に、日本政府に、奈良の吉野川のダムの水や富士山の水や海水等の水を、東レのウォーターヒィルターを用いて、飲料水にさせて、『(奈良の)吉野の綺麗な水』という商品名で、世界中に、輸出した。吉野カズトラ宇宙世界皇帝は、また、エネルギー・エコロジー・システム・アプリケーションの研究開発を進め更に良いエコロジー・システム(USES, USEN)、ロケットの研究開発、宇宙開発を、進めていた。・・・・。吉野カズトラ宇宙世界皇帝の吉野��宙開発基地は、白き龍に守られた城(ホワイトハウスWhite House)と呼ばれて、龍型・竜巻のような巨峰のブドウの木(ツタ)に囲まれた、白い家と果樹庭園の内側(吉野信法王の邸宅領土内)にあった。・・・。 吉野カズトラ宇宙世界皇帝は、吉野カズトラ宇宙世界皇帝と吉野の葡萄の園を守るためのボディーガード女子軍団を作り始めていた。あまり現実的ではなかったが、吉野カズトラ宇宙世界皇帝は、水龍拳の一部として、健康空手を、始めていた。吉野カズトラ宇宙世界皇帝の健康空手は、女の子、女子高生、女子大生、OLを、メンバーにして、戦闘用と言うよりは、むしろ健康面での体力強化を目指して、吉野カズトラ宇宙世界皇帝と吉野の果樹庭園（吉野のブドウ園）の警備を目的としていた。吉野カズトラ宇宙世界皇帝は、健康空手のプロモーションビデオを作ろうとしていて、大妻女子大生、等の女子大生達に、吉野カズトラ宇宙世界皇帝を、宣伝しようとしていた。吉野カズトラ宇宙世界皇帝は、埼玉県入間市(入間航空自衛隊による航空防衛)を、基軸とした、日本首都・都市開発を進めていた。・・・。 吉野カズトラ宇宙世界皇帝は、吉野信法皇鳳凰神社と、埼玉県入間市の都市開発のために、神社のさい銭と、風力エネルギーと、太陽光エネルギー、等を用いていたが、世界中から税金を徴収することにした。そのためには、共通通貨が必要となり、吉野カズトラ宇宙世界皇帝は、Yoshino Universe、アメリカ合衆国政府、日本政府、国際連合のIMFを用いて、ユニバーサル・マニー・システムを、作った。吉野カズトラ宇宙世界皇帝は、国民一人一人に、ソーシャルセキュリティー番号や、国民共通番号を、渡して、各々に、資産を、ユニバーサル・マニーのポイントに、変換した。物の売買には、基本、ユニバーサル・マニーのポイントが、必要で、これによって、Yoshino Universe、政府は、国民の販売記録・購買記録がよくみえて、税金(消費税、等)も電子化されて簡単になり、一般にも、不正取引や、闇取引が、殆どなくなった。これによって、特許など正しい新技術への投資や融資が、促進されて、経済、社会が、発展した。・・・。 吉野カズトラ宇宙世界皇帝は、国際的な、税金の徴収のために、ソーシャルセキュリティー番号か、国民共通番号を持つ(アメリカ人、ロシア人、ヨーロッバ人、日本人、朝鮮人、中国人、インド人、アラブ人、等の)国民一人一人に、各国政府の税金を用いて、(固定)IPアドレスを、配布した。(約100億人ぐらいなら、許容可能なシステム。) ソーシャルセキュリティー番号や国民共通番号にリンク対応した固定IPアドレスによって、アメリカ人や日本人、等は、各自、自らのホームページを作り持つことが可能になり、自らの写真やプロフィールを表示することになり、また、国税庁などのホームページに直ぐアクセス出来て、各自の税金の納付状況等も、直ぐに分かるようになった。また、インターネット(サイバースペース)での経済効果が向上して、より多くの税金を徴収することが、可能になった。これにより、吉野カズトラ宇宙世界皇帝は、宇宙開発(ロケット開発、ロボット開発)とか、自らの美容法や、吉野カズトラ宇宙世界皇帝の若返りの研究開発を進めていた。例えば、アルコール食塩水美容法(水分補給美容法)や、iPS細胞を用いた人工臓器や、若返り医療である。吉野カズ��ラ宇宙世界皇帝のアルコール食塩水美容法(水分補給美容法)を修得した、吉野カズトラ宇宙世界皇帝と吉野エミリー女王は、若さを維持出来たので、肌が滑らかな(色白な)菜食主義のバンパイヤー、等と、言われることもあった。しかし、バンパイヤーの国々は、水、食べ物、領土、等の取り合いの戦争を始めていた。吉野エミリー女王の娘の吉野クリスタルヒカリ女王は、肌が、雪のように白い美女だったので、白雪姫と言われたが、隣国の魔女(バンパイヤー)女王に嫉妬されて、魔女女王が、攻めてきたので、森に隠されて、小さな子ども達と、一緒に育った。吉野クリスタルヒカリ女王(白雪姫)は、ハンターに守られながら、自国の復興を始めていた。・・・。 続く。
【図４６】図４６は、エコロジー・エネルギー・システム（吉野一虎宇宙世界皇帝の空飛ぶ家（ロケット・ハウス））のイメージ概念図である。 吉野一虎宇宙世界皇帝の空飛ぶ家（ロケット・ハウス、スカイ・ハウス）：本箱型家（ロケット・ハウス、ブックシェルハウス）。ユニット・ルームを積層する（積み上げる）ことによって、高層ビル、ロケットの構築が可能でる。ロケットの高さに合わせたユニット・ルーム（の数）を構築することが可能である。基本設計をユニット単位で出来るので、ユニット・ルームの大量生産化が可能であるため、ロケット・ハウスの大量生産が、可能になる。 本発明は、コストパフォーマンスが良いロケット（ロケット・ハウス）である。また、設計と構築の時間短縮（ラン・タイムの軽減）による、シナジー的なコストパフォーマンスも良い。 オプションとして、プロペラ、ロケットエンジン、などの搭載によって、空中、宇宙を、飛び回れるようにする（空飛ぶ家：スカイ・ハウス、ロケット）。（本発明によって）、ロケット・ハウスに住んでいるまま、宇宙旅行が可能になる・・・（という効果もある）。 宇宙空間では、（殆ど）無重力状態になるので、部屋は、広く使える方が良い（宇宙服が引っかからないようにする）ため、階段を（宇宙服を着たまま通れる程度に細く）壁側に（／適宜な場所に）作ったり、無重力でも宇宙飛行士の方向感覚が研ぎすまれるように、階段の方向を一致させておいたり、ルーム・番号（ルーム階）を明示（はっきり表示）しておくのも可能である。また、物品に、ICタグをつけておいて、コンピューターで、位置情報などを、管理して、無重力で、物が浮遊していても、何処に何があるのか分かるようにしておくのも可能である。 ３Dペン（３Dコントローラー）で、ロケットの位置・速度・加速度・方向・軌道、等をコントロールしても良い。
【手続補正２】
【補正対象書類名】図面
【補正対象項目名】図２０
【補正方法】追加
【補正の内容】
【図２０】
2018048555.tif 000234
【手続補正３】
【補正対象書類名】図面
【補正対象項目名】図２１
【補正方法】追加
【補正の内容】
【図２１】
2018048555.tif 000235
【手続補正４】
【補正対象書類名】図面
【補正対象項目名】図２２
【補正方法】追加
【補正の内容】
【図２２】
2018048555.tif 000236
【手続補正５】
【補正対象書類名】図面
【補正対象項目名】図２３
【補正方法】追加
【補正の内容】
【図２３】
2018048555.tif 000237
【手続補正６】
【補正対象書類名】図面
【補正対象項目名】図２４
【補正方法】追加
【補正の内容】
【図２４】
2018048555.tif 000238
【手続補正７】
【補正対象書類名】図面
【補正対象項目名】図２５
【補正方法】追加
【補正の内容】
【図２５】
2018048555.tif 000239
【手続補正８】
【補正対象書類名】図面
【補正対象項目名】図２６
【補正方法】追加
【補正の内容】
【図２６】
2018048555.tif 000240
【手続補正９】
【補正対象書類名】図面
【補正対象項目名】図２７
【補正方法】追加
【補正の内容】
【図２７】
2018048555.tif 000241
【手続補正１０】
【補正対象書類名】図面
【補正対象項目名】図２８
【補正方法】追加
【補正の内容】
【図２８】
2018048555.tif 000242
【手続補正１１】
【補正対象書類名】図面
【補正対象項目名】図２９
【補正方法】追加
【補正の内容】
【図２９】
2018048555.tif 000243
【手続補正１２】
【補正対象書類名】図面
【補正対象項目名】図３０
【補正方法】追加
【補正の内容】
【図３０】
2018048555.tif 000244
【手続補正１３】
【補正対象書類名】図面
【補正対象項目名】図３１
【補正方法】追加
【補正の内容】
【図３１】
2018048555.tif 000245
【手続補正１４】
【補正対象書類名】図面
【補正対象項目名】図３２
【補正方法】追加
【補正の内容】
【図３２】
2018048555.tif 000246
【手続補正１５】
【補正対象書類名】図面
【補正対象項目名】図３３
【補正方法】追加
【補正の内容】
【図３３】
2018048555.tif 000247
【手続補正１６】
【補正対象書類名】図面
【補正対象項目名】図３４
【補正方法】追加
【補正の内容】
【図３４】
2018048555.tif 000248
【手続補正１７】
【補正対象書類名】図面
【補正対象項目名】図３５
【補正方法】追加
【補正の内容】
【図３５】
2018048555.tif 000249
【手続補正１８】
【補正対象書類名】図面
【補正対象項目名】図３６
【補正方法】追加
【補正の内容】
【図３６】
2018048555.tif 000250
【手続補正１９】
【補正対象書類名】図面
【補正対象項目名】図３７
【補正方法】追加
【補正の内容】
【図３７】
2018048555.tif 000251
【手続補正２０】
【補正対象書類名】図面
【補正対象項目名】図３８
【補正方法】追加
【補正の内容】
【図３８】
2018048555.tif 000252
【手続補正２１】
【補正対象書類名】図面
【補正対象項目名】図３９
【補正方法】追加
【補正の内容】
【図３９】
2018048555.tif 000253
【手続補正２２】
【補正対象書類名】図面
【補正対象項目名】図４０
【補正方法】追加
【補正の内容】
【図４０】
2018048555.tif 000254
【手続補正２３】
【補正対象書類名】図面
【補正対象項目名】図４１
【補正方法】追加
【補正の内容】
【図４１】
2018048555.tif 000255
【手続補正２４】
【補正対象書類名】図面
【補正対象項目名】図４２
【補正方法】追加
【補正の内容】
【図４２】
2018048555.tif 000256
【手続補正２５】
【補正対象書類名】図面
【補正対象項目名】図４３
【補正方法】追加
【補正の内容】
【図４３】
2018048555.tif 000257
【手続補正２６】
【補正対象書類名】図面
【補正対象項目名】図４４
【補正方法】追加
【補正の内容】
【図４４】
2018048555.tif 000258
【手続補正２７】
【補正対象書類名】図面
【補正対象項目名】図４５
【補正方法】追加
【補正の内容】
【図４５】
2018048555.tif 000259
【手続補正２８】
【補正対象書類名】図面
【補正対象項目名】図４６
【補正方法】追加
【補正の内容】
【図４６】
2018048555.tif 000260
【手続補正書】
【提出日】平成25年3月31日(2013.3.31)
【手続補正１】
【補正対象書類名】明細書
【補正対象項目名】００１１
【補正方法】変更
【補正の内容】
【００１１】
【図１】図１は、エコロジー・エネルギー・システムのイメージ概念図である。
【図２】図２は、エコロジー・エネルギー・システムのイメージ概念図である。
【図３】図３は、エコロジー・エネルギー・システムのイメージ概念図である。
【図４】図４は、エコロジー・エネルギー・システムのイメージ概念図である。
【図５】図５は、エコロジー・エネルギー・システムのイメージ概念図である。
【図６】図６は、エコロジー・エネルギー・システムのイメージ概念図である。
【図７】図７は、エコロジー・エネルギー・システムのイメージ概念図である。
【図８】図８は、エコロジー・エネルギー・システムのイメージ概念図である。
【図９】図９は、エコロジー・エネルギー・システムのイメージ概念図である。
【図１０】図１０は、エコロジー・エネルギー・システムのイメージ概念図である。
【図１１】図１１は、エコロジー・エネルギー・システムのイメージ概念図である。
【図１２】図１２は、エコロジー・エネルギー・システムのイメージ概念図である。
【図１３】図１３は、エコロジー・エネルギー・システムのイメージ概念図である。
【図１４】図１４は、エコロジー・エネルギー・システムのイメージ概念図である。
【図１５】図１５は、エコロジー・エネルギー・システムのイメージ概念図である。
【図１６】図１６は、エコロジー・エネルギー・システムのイメージ概念図である。
【図１７】図１７は、エコロジー・エネルギー・システムのイメージ概念図である。
【図１８】図１８は、エコロジー・エネルギー・システムのイメージ概念図である。
【図１９】図１９は、エコロジー・エネルギー・システムのイメージ概念図である。
【図２０】図２０は、エコロジー・エネルギー・システムのイメージ概念図である。    本発明の図２０についての説明用のストーリ：吉野カズトラ宇宙世界皇帝は、吉野カズトラ宇宙世界皇帝国のエネルギーシステムを増強していた。 I.  宇宙太陽光発電システム（ソーラー（ユニット）サテライト）（USES）II.  宇宙太陽光電池製造システムIII.  宇宙核融合炉発電システムIV.  地上核融合発電システムV.  海上（海底）核融合発電システム 吉野カズトラ宇宙世界皇帝は、巨大な宇宙発電・太陽光エネルギー・送信システム（太陽の付近に宇宙太陽光人工衛星を配置）と受信システム（ロッキー山脈の頂にあるロッキーマウンテンナショナルパーク(Rocky Mountain National Park)や、アリゾナの砂漠、アラスカのマッキンレー山脈、サハラ砂漠、等）を作っていた。 吉野カズトラ宇宙世界皇帝は、また、宇宙での真空を利用して、（トカマク型）プラズマ封じ込め高温適圧の宇宙核融合炉を作ることを進めていた。 吉野カズトラ宇宙世界皇帝は、また、地上でプラズマ・イオン発電所を作り、プラズマ封じ込め高温適圧の宇宙核融合炉を運転していた。 吉野カズトラ宇宙世界皇帝は、また、海上で太陽光・風力・海洋エネルギー発電所を作り、海上（海底）核融合炉を運転していた。（核反応の事故に対して、比較的安全である） Reference:www.yoshinouniverse.comISBN0-8118-0897-1ISBN4-339-00552-5ISBN4-7853-6112-3
【図２１】図２１は、エコロジー・エネルギー・システムのイメージ概念図である。原子炉で、核燃料からエネルギーを取り出す。（オプション）再処理工場で、使用済み核燃料を、核燃料と核廃棄物（核のゴミ）に分離する。熱電発電（所）（システム）で、使用済み核燃料／核廃棄物（核のゴミ）からエネルギーを取り出す。使用済み核燃料／核廃棄物（核のゴミ）を、水、フィルム（紙）、金属（鉛、等）で囲み、放射能について封印するが、熱が出てくるのを、熱電発電で、電気エネルギーに、変換するシステム。
【図２２】図２２は、エコロジー・エネルギー・システム（日本の防衛システム）のイメージ概念図である。核燃料（プルトニウム、ウラン、等）などの核物質など、戦略的エネルギー物質を、日本に集める。核燃料・核爆弾・核廃棄物（核のゴミ）を、１．平和なら、平和利用する。（核エネルギーによって（核（燃料）を熱源として）、熱電発電する。）２．戦争なら、敵国に打ち込む。（埼玉県入間市の入間航空自衛隊（防衛軍）の地下ミサイル発射基地から、大陸弾道ミサイルなどを発射する。吉野カズトラ宇宙世界皇帝のシャチ型潜水艦から核ミサイルを発射する。吉野カズトラ宇宙世界皇帝の軍事衛星から核爆弾を投下する。等）Yoshino UniverseKazutora YoshinoUniverse EmpireKazutora YoshinoNuclear Energy Defense SystemLovely,
【図２３】図２３は、エコロジー・エネルギー・システム（太陽光熱カプセル発電システム）のイメージ概念図である。吉野一虎ソーラーライトカプセル効果：太陽光（熱）が、太陽で発生して（太陽中心：高温１６００万℃、太陽表面：低温温６０００℃）、太陽を囲む物質（ダークマター、素粒子、物質、保熱ガス、反応物質、捕熱物質、反射物質、等の適宜な組み合わせ）によって、光（熱）は、吸収・保持・反応、等をして、中温（数百万℃）になる。DM + gamma -> DM' + delta Egammaは、光（熱）などの（反応（素）粒子などの）エレメント。delta Eは、正／負／ゼロ、等のエネルギー（エレメント）とする。DM、DM’は、ダークマターなどの（反応（素）粒子・反応物質、物質）（群理論）エレメントで、DMとDM'は、同じエレメントでもよく、異なるエレメントでも良い。吉野一虎ライトカプセル効果：このシステムを、ミニチュア化したカプセルに二酸化炭素などの保熱ガス（捕熱ガス）を入れて、（太陽）光（／レーザー光）の照射をして、太陽光（熱）発電を行い、ミニチュア太陽光（熱）カプセル発電を行う。吉野一虎レーザー効果：二酸化炭素などの保熱ガス（捕熱ガス）に、（太陽）光（／レーザー光）を照射して、光（光子、レーザー光）を発光させて、光をカプセル内部で、反射させて、１００％ミラーと約９９％ミラーで、往復反射させて、誘導発光させて、同じ（ぐらいの）波長（周波数）と相（フェーズ）の光の束（レーザー光）を作り、約９９％ミラー側からコーヒーレントなレーザー光を、放つ。吉野一虎ネットワーク超特急効果：ミニチュア太陽光（熱）カプセル発電システムのユニットを、発電パフォーマンス良く、コストパフォーマンス良く、大量に作り、マトリクス上にして、日射量が十分にあるところに敷き詰めたり、電車の路線のサイドに並べたり、道路（高速道路）のサイドに、並べたりすることによって、日本（世界）全体が、ミニチュア太陽光（熱）カプセル発電システムによって、光ネットワーク発電システムとなる。 吉野アシュレーアヤメ女王偉大なる戦士は、吉野一虎効果（吉野一虎ソーラーカプセル効果、吉野一虎ライトカプセル効果、吉野一虎レーザー効果、吉野一虎（カズトラ）ネットワーク超特急効果、等の吉野一虎宇宙世界皇帝の効果）を、活用して、宇宙全体に、吉野アシュレーアヤメ女王による吉野一虎宇宙世界皇帝（宇宙銀河恒星ネットワーク・太陽系）光ネットワークシステムを構築して、宇宙・世界のエネルギー問題を、解決して行った・・・。
【図２４】図２４は、エコロジー・エネルギー・システム（熱（水蒸気／ガス）発電システム）のイメージ概念図である。水（／液体／気体／水素／ガス、等）に太陽光（熱）（エネルギー）、（ガスの）火、熱（等）を投入して、水蒸気（／ガス）にして、タービンを回転して、発電機で、発電するシステム。オプションとして、水蒸気（／ガス）を冷却して、水（／液体／気体／水素／ガス、等）にして、サイクル（リサイクル）するシステム。
【図２５】図２５は、エコロジー・エネルギー・システム（吉野一虎宇宙世界皇帝の核戦争用の鎧兜（防衛システム））のイメージ概念図である。ダイヤモンド、タングステン、ステンレス、鉄、鉛、防弾ガラス、セラミック、紙、スポンジ、水（汗）、バッテリー、シリコン、コンピューター、ディスプレイ等を、適宜に組み合わせて、放射能を遮断するタイガーシールド。本発明は、アルファ粒子線、ベータ線、γ線を遮断する物質（マテリアル）を用いた装甲・鎧（アーマー）である。オプションとして、周りの見た目に合わせて、色や柄を2D/3Dでディスプレイできるカメレオンシールド。この鎧兜を纏った軍隊を、カメレオン・アーミーとして、敵（の核兵器・軍隊）と戦うシステム（自衛隊・国防軍・民間安全警備武装集団（傭兵））。ディスプレイ、コンピューター、電子機器の電源、若しくは、バッテリーなどの充電器としてのブーツ（靴）による、歩行発電（靴発電システム）。ピエゾエレクトロニック素子（圧電素子）、発電機、弾性物質、等によって、発電して、バッテリーに電気を充電する。オプションとして、スプリングなどを用いて、発電しながら、跳躍力を抜群に向上させるジャンプ（発電）シューズ。本発明は、カメレオン・アーミーの鎧を電子的に機能させるのに必要な電源は、歩行発電ブーツから得ることが可能である。その際の戦士達の戦闘シーン（風景）の概念図が、示されている。
【図２６】図２６は、エコロジー・エネルギー・システム（太陽光熱カプセル発電システム：パラボラミラーバージョン）のイメージ概念図である。最良の形態の一つを示している。パラボラミラーによって、反射した光（エネルギー）を、（カプセル）球に集光させて、（熱反応、化学反応、核反応などの）反応、等を起こさせるシステム。
【図２７】図２７は、エコロジー・エネルギー・システム（水素と酸素による燃料電池発電（ガス発電）システム）のイメージ概念図である。ダイヤモンド／DLC／金属／カーボン（ファイバー）等の（軽くて丈夫な）強い（高圧のガスや、液体に耐えうる）容器に、濃縮ガス（濃縮水素ガス、濃縮酸素ガス）、液体（液体水素、液体酸素）等を入れる。水素と酸素を適宜な量を、コンピューター制御機、バルブなどで、摘出して、燃料電池に、投入して、電気（エネルギー）を発生させる。電気を直接用いるか、バッテリー等に充電して用いる。水素と酸素の反応によって出来た水を、（浄化フィルターに通して）、飲料水にする。宇宙船などでの宇宙航行が、長期の滞在の場合に、水素・酸素燃料から、水を作り、フィルターで飲料水を作り、飲むことが可能である、エコロジー・スマート・システム。宇宙旅行に、飲料水を、持ってゆくことが、可能であるが、水が、もっと必要なときとか、緊急時とかに、もっと飲料水を作ることが必要な際に、有用なシステムである。
【図２８】図２８は、エコロジー・エネルギー・システム（エネルギー炉（熱炉））のイメージ概念図である。
【図２９】図２９は、エコロジー・エネルギー・システム（吉野カズトラ宇宙世界皇帝のエネルギー炉（熱炉）と無線／タイマー式の起爆装置による核爆弾）のイメージ概念図である。
【図３０】図３０は、エコロジー・エネルギー・システム（吉野一虎宇宙世界皇帝の靴（防衛・防寒システム））のイメージ概念図である。ピエゾエレクトリックなどの圧電素子で発電したり、動力を利用して、発電したり、核燃料の熱で、発電したりして、熱エネルギーを用いて、エネルギーシステム（（防寒用のヒーター等の）の靴等）を作る。
【図３１】図３１は、エコロジー・エネルギー・システム（吉野一虎宇宙世界皇帝の核電池、核エネルギー、加速器核エネルギーシステム））のイメージ概念図である。核燃料、核廃棄物、（加速器で加速された陽子を核廃棄物（半減期約２万年）に当てて、（半減期を約３０年にした）放射性物質）等や、その適宜な組み合わせから、核（熱）電池を作る。加速器の放射エネルギーによって、宇宙船を飛ばす（運行する）。
【図３２】図３２は、エコロジー・エネルギー・システム（吉野一虎宇宙世界皇帝の核核融合炉エネルギーレーザーシステム（核融合レーザー起動用集光レンズ）））のイメージ概念図である。適宜な波長（若しくは、その組み合わせ）のレーザービームを、レンズで一点に集光（集中）させて、（プラズマ熱エネルギー）核融合を起因する。特に、紫外線、X線、γ線、などの（短波長）高周波のコーヒーレントな光子パッケージ（レーザー光ビーム、等）を用いると良い。そのレンズ方程式を示している。
【図３３】図３３は、エコロジー・エネルギー・システム（吉野一虎宇宙世界皇帝のカズトラ型の核融合炉：カズトラ型核融合炉エネルギー（レーザーヒーティング）システム（核融合レーザーヒーティング起動）））のイメージ概念図である。カズトラ型核融合炉は、トロイダル型（トカマク型）核融合炉を単数／複数、トロイダル型に纏めた型である。プラズマは、真空／ガス／プラズマ内にあるか、磁場・磁界（電場・電界／電磁場・電磁界）内にあっても良い。極力、外部に熱が流出しないように、高磁界にして、Tc（クリティカルテンパーチャー）を高温にして、プラズマを封じ込めて、レーザー（若しくは、マイクロウェーブ、等）で、ヒーティングして（局所場で核融合（ニュークリア・チェイン・リアクション）の初期反応を起こさせて、核融合（ニュークリア・チェイン・リアクション）連鎖反応させる）、プラズマを高温にして、（熱）核融合を起こさせる。（オプションとして、トロイダル型纏めた型のリング部に、オプションフィールド（例えば、磁界）を作るのも良い。）
【図３４】図３４は、エコロジー・エネルギー・システム（吉野一虎宇宙世界皇帝の核融合ロケット（核融合エンジン）：ネオ・カワセミ・プロジェクト：空飛ぶイルカ、空飛ぶイカ））のイメージ概念図である。羽を畳んで海底から発射された空飛ぶイルカは、水中を水ジェットエンジンで走行（航行）して、空中に羽を広げて飛び立ち、空気ジェットエンジンで走行（飛行）して、羽を畳んで宇宙をロケットエンジン（イオンエンジン、プラズマエンジン、ロケットエンジン、核ロケットエンジン、等）で、走行（宇宙航行）する。宇宙防衛のため、核爆弾などで、宇宙からの攻撃（上からの攻撃）をかけることも可能である。
【図３５】図３５は、エコロジー・エネルギー・システム（吉野一虎宇宙世界皇帝のエネルギー・エレクトリシティー・ジェネレーター・システム）のイメージ概念図である。太陽光発電（スチーム発電）、風力発電、海洋力発電、核反応発電（原子炉発電、核融合炉発電、などによるスチーム（ガス）発電）等の発電機システム。プロペラを回転させる。回転軸についている磁石が回転する。前記磁石の回転により、超伝導体内にあるリング磁石が誘導されて回転する。また、磁石と超電導の組み合わせによる非接触な、回転軸とカバーによって、摩擦が殆どない、回転を獲得する。回転効率が良い、起電力を発生させる。オプションとして、トランスフォーマーで、電圧・電流の調整をする。バッテリーに充電したり、電力として用いる。
【図３６】図３６は、エコロジー・エネルギー・システム（吉野一虎宇宙世界皇帝のエネルギー・エレクトリシティー・ジェネレーター・システム）のイメージ概念図である。太陽光発電（スチーム発電）、風力発電、海洋力発電、核反応発電（原子炉発電、核融合炉発電、などによるスチーム（ガス）発電）等の発電機システム。プロペラを回転させることによる発電システムのパワー（電力）のコンセプト・カリキュレーション（Concept Calculation）(概算)。
【図３７】図３７は、エコロジー・エネルギー・システム（吉野一虎宇宙世界皇帝のモーター・ジェット・ボード、モーター・ボート）のイメージ概念図である。水上ロケットランチャー、若しくは、水上から発射するロケット。ジェット・ウィンド・サーフィング。風力でウィンド・サーフ・ボードを動かし、その際、エネルギー・エレクトリシティー・ジェネレーターで、バッテリーに、電気を充電する。風があまりない時は、バッテリーによって、モーター（＋ギヤ）＋プロペラを回転させて、航行する。オプションとして、バッテリーを複数持ち、電力・ギヤによって、ウィンド・サーフ・ボードの速度をコントロールする。人が載るか、無線で操作か、人工知能、等によって航行する。
【図３８】図３８は、エコロジー・エネルギー・システム（吉野一虎宇宙世界皇帝の空飛ぶイルカ、ドラゴン、モーター・ジェット・ボード、モーター・ボート）のイメージ概念図である。特に、翼（羽）の構造（ダイアモンド型）、翼の開閉についてと、ダイヤモンド・ダイナミクス・メソードを示す。（２D／３Dで）翼（羽）を動かして、浮力を得ることも可能である。海中で航行しているときは、翼を閉じて、空で飛行しているときは、翼を広げ（用いて）、宇宙で宇宙航行しているときは、翼を閉じるか、若し、（（シリコンや色素増感型等の）太陽光シートなどなら）太陽光（シート）翼を広げるのが、最善の形態である。
【図３９】図３９は、エコロジー・エネルギー・システム（吉野一虎宇宙世界皇帝のシャフト・ローテーション・ベアリング・システム）のイメージ概念図である。モーター、発電機、ジョイント、等の部分に、ベアリングの周りを、ベアリングで囲み、スムースなオペレーションを可能にするシャフト・ローテーション・ベアリング・システムである。同様に、複数のレイヤーを用いても良い。シャフト・ローテーション・ベアリング・システム＝（（メインベアリング＊サブベアリング）＊Lレイヤー）（L＞＝１）。このシャフト・ローテーション・ベアリング・システムによって、モーターの回転効率や発電機の発電効率が良くなるという効果がある。
【図４０】図４０は、エコロジー・エネルギー・システム（吉野一虎宇宙世界皇帝のスーパーマン（計画））のイメージ概念図である。Yoshino UniverseKazutora YoshinoUniverse EmpireKazutora YoshinoEmperor's Super Man ProjectLovely, 一般的なエンジン、キシレン、ガソリン、水素＋酸素、等を用いるジェット・エンジン、ロケット・エンジンでも良いが、ジェット・ロケット・エンジンを用いるのが最適である。ジェット・ロケット・エンジンは、（小型原子炉／）、小型核融合炉で、燃料の水を沸かして、水蒸気（スチーム）を噴出させて、ジェットを作るロケットエンジンを、箱に取り付ける。ジェット・ロケット・エンジンは、箱の上の方に付けると、横から下にジェットを噴出するので、バランス的に安定する。ジェット・ロケット・エンジンを、箱の下の方に付けると、ジェットが、下に噴出されるので、熱流体的には、効率が良い。二つのジェット・ロケット・エンジンでも、飛行が可能な（動力・エネルギー）レベルにしておく。基本形は、四つのジェット・ロケット・エンジンを用いて、（光学）ジャイロスコープ、加速度センサー、GPS、コンピューター（ジェネリック・アルゴリズム等を用いる人工知能）を用いて、ジェットを噴出したり、逆噴射して、最適な、バランス、位置、方向を、獲得する。緊急の時等は、マニュアル操作も可能にする。四つのジェットエンジンのうち、一つが破損などしたら、対照側にあるジェット・ロケット・エンジンも停止して、二つのジェット・ロケット・エンジンによる飛行（マニュアル操作も出来るようにする）に、切り替えることが可能にする。又、出来るだけ速やかに着地するようにする。若しくは、ジェネリック・アルゴリズムや摂動論的制御、等の最適制御によって、三つのジェット・ロケット・エンジンを、微妙に操作・制御して、当分は、飛行を続けることが可能にする。ダイヤモンドや防弾ガラスのような素材を壁にして、飛行中に、美しい風景など、見渡しが良いようにしても良い。民間の観光用に用いることも可能であり、軍事用の偵察機のように用いることも可能である。パイロットや宇宙飛行士が箱の中にいるなら、内部に空気（酸素）タンクを入れておけば、燃料が続くなら、空から、宇宙に航行しても良い。宇宙の景色（宇宙の夜景、星星の輝き、天体の芸術）などが、美しく、ダイアモンドに映るであろう。
【図４１】図４１は、エコロジー・エネルギー・システム（吉野一虎宇宙世界皇帝のフライング・ジェット・モービル）のイメージ概念図である。 Yoshino UniverseKazutora YoshinoUniverse EmpireKazutora YoshinoEmperor's Flying Jet MobileLovely, 空気をプロペラを回して、上、横、下、斜めなどから吸引して、燃料と混ぜて、燃焼して、ジェットを作る。モーターによってプロペラを回しても良い。フライング・ジェット・モービルは、森やジャングルで、軍事的な偵察等を行う際に、小回りが利く、便利な乗り物である。
【図４２】図４２は、エコロジー・エネルギー・システム（吉野一虎宇宙世界皇帝のフラップ式ウィング、フラップ式プロペラ）のイメージ概念図である。 羽や、プロペラに、フラップを付けて、気流のコントロールをする。特に、高い角度（フラップ角度）をつけて、離陸や着率の距離を短くできる（例えば、４５度〜５５度ぐらい）。飛行時は、（例えば、約１５度〜５５度ぐらいの）高くない羽の角度（フラップ）で飛行すると浮上・飛行効率が良い。プロペラの場合は、回転初期と、回転中期、回転後期、上昇期、浮上期、下降期、飛行期、などに合わせて、羽の角度（＋フラップ角度）をコントロールすることが、可能である。
【図４３】図４３は、エコロジー・エネルギー・システム（吉野一虎宇宙世界皇帝のフライング・ジェット・モービル）のイメージ概念図である。Yoshino UniverseKazutora YoshinoUniverse EmpireKazutora YoshinoEmperor's Flying Jet Mobile (Theoretical, Practical Method)Lovely, ヘリコプター、飛行機、フライング・ジェット・モービル、スカイ・カーズ、等のプロペラの数式化であり、羽をコンパクト化するための技術である。システムがスケーラブルな際、プロペラのサイズをPropeller Length 1として、モーターのトルクをMotorTorque、モーターの回転数をMotor Omegaとして、プロペラ／羽の角度を、例えば１５°ぐらいとか、４５〜５５°ぐらいに設定すると、基本的な部分は、定数のように扱えて、Force Lift = (Motor Torque/Propeller Length 1)*Csになるので、羽がコンパクトで、（数多くの）プロペラで、回転が速い方が良い。普通は、rg1/rg2 >= 1/30 ぐらいにするが、最善の形態を、rg1/rg2>= 1  とする。rg1/rg2 >= 10・・・とギヤの逆比率を向上させると、リフトの効率が良いが、シャフト・ギヤなどの（シャフト・ギヤ変換）効率があるので、直接プロペラを、モーターに付けるのが、シャフト・ギヤ変換効率が、１００％となるので、最も効率が良い。
【図４４】図４４は、エコロジー・エネルギー・システム（吉野一虎宇宙世界皇帝のヘリコプター・宇宙（核）ロケット開発）のイメージ概念図である。 ヘリコプターから始めて、（３Dペン、３Dコントローラー、脳波コミュニケーター、人工心臓、（iPS）幹細胞臓器、成型臓器（３Dプリンターで、細胞と細胞を決着剤などで付着させて、臓器を直接作る）、などの経由で）、宇宙（核）ロケットを、製造する方法。また、プロジェクトを映画化するためのストーリーであって、この（映画による収益）によって、ヘリコプター、宇宙（核）ロケットを製造する宇宙開発（宇宙医療）ビジネス・モデルの方法。 吉野カズトラ宇宙世界皇帝のストーリー：吉野庭園→ヘリコプター基地→人工心臓製造→ロケット基地→ドラゴン（龍）の開発→宇宙世界征服→吉野カズトラ宇宙世界皇帝と吉野アシュレーアヤメ女王偉大なる戦士のラブ・ロマンス（恋愛ストーリー）。
【図４５】図４５は、エコロジー・エネルギー・システム（吉野一虎宇宙世界皇帝の太陽光発電・風力発電・等の発電所型の吉野信法王鳳凰神社の開発）のイメージ概念図である。 ヘリコプター、宇宙（核）ロケット開発の（準備の）方法とか、吉野カズトラ宇宙世界皇帝と吉野アシュレーアヤメ女王偉大なる戦士のラブ・ロマンス（恋愛ストーリー）。ヘリコプター、宇宙（核）ロケットの開発費を得るための（吉野神道新信仰）吉野一虎宇宙世界皇帝の太陽光発電・風力発電・等の発電所型の吉野信法王鳳凰神社神社の設計と構築。また、その（プロモーションビデオ用・宣伝用・映画用・現実化用の）ストーリー。 吉野カズトラ宇宙世界皇帝のストーリー： Yoshino UniverseKazutora YoshinoUniverse EmpireKazutora YoshinoEmperor's Love RomanceLovely, Yoshino UniverseKazutora Yoshino Universe EmpireKazutora Yoshino Emperor's Shrine 吉野カズトラ宇宙世界皇帝は、吉野信法王鳳凰神社を、始めていた。吉野信法王鳳凰神社は、天照大御神を祀り、『自然は、神。野生は、友。』というキャッチフレーズの基に、信者や白い動物達を、大事にしていた。特に、紀州犬(花)、アークティックウルフ(不思議)や、シロキツネ、シロネコ、ムササビ、モモンガ、白龍、等を、大事にしていた。吉野信法王鳳凰神社の屋根の先端には、鳳凰のデザインの風車が付いていて、屋根には、太陽光パネルが付いている、自然に優しいエコロジー・システムによって運営されていた。信者達は、自然に合わせて、風の来る方向を向く鳳凰型風見鶏(風車)や光(太陽光パネル)や川の水や湖の水や雨水や井戸水や海水や自然エネルギーを、信仰の対象とする、八方美人の吉野ファミリーのメンバー達や、キャバ嬢達や、ホスト達、動物愛護者達、飲食業・水商売関連関係者達、農林水産業者達、パラグライダーパイロット達、パイロット達、航空自衛隊達、、軍人達、警察達、ヨットレーサー達、ボートレーサー達、船主達、船長達、ホースダービーの馬主達、写真関連関係者達、宣伝業者達、画像関連関係者達、テレビ関連関係者達、放送関連関係者達、映画関連関係者達、女優達、俳優達、モデル達、方位学者達、法医学者達、医者達、医療関連関係者達、植物学者達、生化学者達、バイオインフォマティクス関連関係者達、システムエンジニア達、物理学者達、技術者達、プログラマー達、宇宙開発事業団関連関係者達、ビジネス関連関係者達、特許関連関係者達、エネルギー関連関係者、等が、多かった。吉野カズトラ宇宙世界皇帝は、太陽光発電所や、風力発電所、等の研究開発を、Yoshino Universe研究所でしていたが、コンピューター・システム管理は、IBM研究所にさせて、ネットワーク管理は、ベル(Bell)研究所にさせていた。・・・。吉野カズトラ宇宙世界皇帝は、また、Yoshino Universeと吉野エミリー女王と吉野レベッカハル女王の管理の元に、日本政府に、奈良の吉野川のダムの水や富士山の水や海水等の水を、東レのウォーターヒィルターを用いて、飲料水にさせて、『(奈良の)吉野の綺麗な水』という商品名で、世界中に、輸出した。吉野カズトラ宇宙世界皇帝は、また、エネルギー・エコロジー・システム・アプリケーションの研究開発を進め更に良いエコロジー・システム(USES, USEN)、ロケットの研究開発、宇宙開発を、進めていた。・・・・。吉野カズトラ宇宙世界皇帝の吉野��宙開発基地は、白き龍に守られた城(ホワイトハウスWhite House)と呼ばれて、龍型・竜巻のような巨峰のブドウの木(ツタ)に囲まれた、白い家と果樹庭園の内側(吉野信法王の邸宅領土内)にあった。・・・。 吉野カズトラ宇宙世界皇帝は、吉野カズトラ宇宙世界皇帝と吉野の葡萄の園を守るためのボディーガード女子軍団を作り始めていた。あまり現実的ではなかったが、吉野カズトラ宇宙世界皇帝は、水龍拳の一部として、健康空手を、始めていた。吉野カズトラ宇宙世界皇帝の健康空手は、女の子、女子高生、女子大生、OLを、メンバーにして、戦闘用と言うよりは、むしろ健康面での体力強化を目指して、吉野カズトラ宇宙世界皇帝と吉野の果樹庭園（吉野のブドウ園）の警備を目的としていた。吉野カズトラ宇宙世界皇帝は、健康空手のプロモーションビデオを作ろうとしていて、大妻女子大生、等の女子大生達に、吉野カズトラ宇宙世界皇帝を、宣伝しようとしていた。吉野カズトラ宇宙世界皇帝は、埼玉県入間市(入間航空自衛隊による航空防衛)を、基軸とした、日本首都・都市開発を進めていた。・・・。 吉野カズトラ宇宙世界皇帝は、吉野信法皇鳳凰神社と、埼玉県入間市の都市開発のために、神社のさい銭と、風力エネルギーと、太陽光エネルギー、等を用いていたが、世界中から税金を徴収することにした。そのためには、共通通貨が必要となり、吉野カズトラ宇宙世界皇帝は、Yoshino Universe、アメリカ合衆国政府、日本政府、国際連合のIMFを用いて、ユニバーサル・マニー・システムを、作った。吉野カズトラ宇宙世界皇帝は、国民一人一人に、ソーシャルセキュリティー番号や、国民共通番号を、渡して、各々に、資産を、ユニバーサル・マニーのポイントに、変換した。物の売買には、基本、ユニバーサル・マニーのポイントが、必要で、これによって、Yoshino Universe、政府は、国民の販売記録・購買記録がよくみえて、税金(消費税、等)も電子化されて簡単になり、一般にも、不正取引や、闇取引が、殆どなくなった。これによって、特許など正しい新技術への投資や融資が、促進されて、経済、社会が、発展した。・・・。 吉野カズトラ宇宙世界皇帝は、国際的な、税金の徴収のために、ソーシャルセキュリティー番号か、国民共通番号を持つ(アメリカ人、ロシア人、ヨーロッバ人、日本人、朝鮮人、中国人、インド人、アラブ人、等の)国民一人一人に、各国政府の税金を用いて、(固定)IPアドレスを、配布した。(約100億人ぐらいなら、許容可能なシステム。) ソーシャルセキュリティー番号や国民共通番号にリンク対応した固定IPアドレスによって、アメリカ人や日本人、等は、各自、自らのホームページを作り持つことが可能になり、自らの写真やプロフィールを表示することになり、また、国税庁などのホームページに直ぐアクセス出来て、各自の税金の納付状況等も、直ぐに分かるようになった。また、インターネット(サイバースペース)での経済効果が向上して、より多くの税金を徴収することが、可能になった。これにより、吉野カズトラ宇宙世界皇帝は、宇宙開発(ロケット開発、ロボット開発)とか、自らの美容法や、吉野カズトラ宇宙世界皇帝の若返りの研究開発を進めていた。例えば、アルコール食塩水美容法(水分補給美容法)や、iPS細胞を用いた人工臓器や、若返り医療である。吉野カズ��ラ宇宙世界皇帝のアルコール食塩水美容法(水分補給美容法)を修得した、吉野カズトラ宇宙世界皇帝と吉野エミリー女王は、若さを維持出来たので、肌が滑らかな(色白な)菜食主義のバンパイヤー、等と、言われることもあった。しかし、バンパイヤーの国々は、水、食べ物、領土、等の取り合いの戦争を始めていた。吉野エミリー女王の娘の吉野クリスタルヒカリ女王は、肌が、雪のように白い美女だったので、白雪姫と言われたが、隣国の魔女(バンパイヤー)女王に嫉妬されて、魔女女王が、攻めてきたので、森に隠されて、小さな子ども達と、一緒に育った。吉野クリスタルヒカリ女王(白雪姫)は、ハンターに守られながら、自国の復興を始めていた。・・・。 続く。
【図４６】図４６は、エコロジー・エネルギー・システム（吉野一虎宇宙世界皇帝の空飛ぶ家（ロケット・ハウス））のイメージ概念図である。 吉野一虎宇宙世界皇帝の空飛ぶ家（ロケット・ハウス、スカイ・ハウス）：本箱型家（ロケット・ハウス、ブックシェルハウス）。ユニット・ルームを積層する（積み上げる）ことによって、高層ビル、ロケットの構築が可能でる。ロケットの高さに合わせたユニット・ルーム（の数）を構築することが可能である。基本設計をユニット単位で出来るので、ユニット・ルームの大量生産化が可能であるため、ロケット・ハウスの大量生産が、可能になる。 本発明は、コストパフォーマンスが良いロケット（ロケット・ハウス）である。また、設計と構築の時間短縮（ラン・タイムの軽減）による、シナジー的なコストパフォーマンスも良い。 オプションとして、プロペラ、ロケットエンジン、などの搭載によって、空中、宇宙を、飛び回れるようにする（空飛ぶ家：スカイ・ハウス、ロケット）。（本発明によって）、ロケット・ハウスに住んでいるまま、宇宙旅行が可能になる・・・（という効果もある）。 宇宙空間では、（殆ど）無重力状態になるので、部屋は、広く使える方が良い（宇宙服が引っかからないようにする）ため、階段を（宇宙服を着たまま通れる程度に細く）壁側に（／適宜な場所に）作ったり、無重力でも宇宙飛行士の方向感覚が研ぎすまれるように、階段の方向を一致させておいたり、ルーム・番号（ルーム階）を明示（はっきり表示）しておくのも可能である。また、物品に、ICタグをつけておいて、コンピューターで、位置情報などを、管理して、無重力で、物が浮遊していても、何処に何があるのか分かるようにしておくのも可能である。 ３Dペン（３Dコントローラー）で、ロケットの位置・速度・加速度・方向・軌道、等をコントロールしても良い。
【図４７】図４７は、エコロジー・エネルギー・システム（吉野一虎宇宙世界皇帝の宇宙戦争ストーリー）のイメージ概念図である。 ロケット・ロボット・人工知能・ビジネスの開発。それを現実化するための資本獲得のための、プロモーションビデオ用・宣伝用・映画用（吉野エミリー女王の映画製作、SF（スペースファンタジー、サイエンスフィクション））・現実化用のストーリー。 第一章吉野カズトラ宇宙世界皇帝の日本食の進め吉野カズトラ宇宙世界皇帝は、日本の森林(特に、杉の森林)を、伐採して、花粉対策をして、杉から日本食用の高級なお箸(はし)を大量生産して、日本食の市場進出を進めながら、海外市場に日本食とお箸を販売して、利益を得ていたのである。吉野カズトラ宇宙世界皇帝は、元々、数学、物理学、エネルギー工学、生物学、生化学、遺伝子工学、システム工学、農業ロボット工学、軍事ロボット工学のエキスパートだったので、日本食の生産販売が上手で、弁当等の日本食の国際ネットワークを築くことが出来たのである。 ・・・。続く。 第二章吉野カズトラ宇宙世界皇帝のゴースト戦略と吉野カズトラ宇宙世界皇帝の新エネルギー戦略 第二次世界対戦の延長戦が、朝鮮戦争、ベトナム戦争、冷戦、湾岸戦争、対テロ戦争であった。ヒロヒト、山本イソロク、吉野幸信の遺言が、ゴースト戦略として、吉野カズトラ宇宙世界皇帝に、受け継がれていた。吉野カズトラ宇宙世界皇帝のグループは、政府側(北朝)と、反政府側(南朝)に、二分して行った。 吉野カズトラ宇宙世界皇帝は、秘密警察捜査官達を配備して、自衛隊の内部に核心的な右翼、警察の内部に、革新的な右翼を潜入させて、国際的な警察右翼ネットワークを、構築していた。吉野カズトラ宇宙世界皇帝の直属の部下達を、警察や自衛隊にすることによって、吉野軍事グループの部隊の訓練費を、国に持たせれたためである。吉野カズトラ宇宙世界皇帝は、アメリカ軍、スカルアンドボーン、フリーメイソン、帝国軍、ネオナチス、自衛隊、韓国軍、サムスン、ロシア軍の連携を計り、アメリカ軍のスカルアンドボーンに、世界征服をさせて、日本の自衛隊右翼に後始末をさせた。 吉野カズトラ宇宙世界皇帝は、吉野カズトラ宇宙世界皇帝の反政府側のグループを、自衛隊、警察に配備した。日本の自衛隊と警察ネットワークにアメリカの警察ネットワークも加わり、911(アメリカ警察の電話番号の日にち)に、アメリカ合衆国で警察革命が起きた。背後には、アメリカ軍のスカルアンドボーンがいたが、日本のある怪盗団、アルカイダ(裏社会の犯罪ネットワーク)が、背後にいるように、情報操作されていた。 吉野カズトラ宇宙世界皇帝は、吉野カズトラ宇宙世界皇帝の政府側のグループを、政府、政党に配備した。しかし、自由民主党(北朝:アメリカ側)、民主党(南朝:中国側)で、政治的な対立も起きた。民主党革命により、一時、民主党が優位に立ったが、自由民主党が、革命返しをした。 自由民主党と民主党の対立を始め、南北朝で、幾つも主義・立場の対立が起きた。特に、TPPの参加交渉についてでさえ、国を二分する対立が、起きたのである。吉野カズトラ皇帝国は、新南北朝時代に突入した。このことにより、皆が激しい暴風と荒波のなかを航行するような状況になっていった。吉野カズトラ宇宙世界皇帝は、楽天家な���で、暴風を風力発電に用いようとしていた。これが、吉野カズトラ宇宙世界皇帝の新エネルギー革命である。 吉野カズトラ宇宙世界皇帝は、吉野カズトラ宇宙世界皇帝の名言、『日は、又、昇る。』と言った。これは、日本が、再び世界の中心になり、日本の先端技術が、進み、日本が復興して、Made In Japanが、世界で求められる有名ブランドになることを、示唆していたのである。 吉野カズトラ宇宙世界皇帝は、新エネルギーの開発、エコロジー・システムの開発、太陽光発電システムの開発を、着実にコツコツ、進めていた。・・・・。続く。
【図４８】図４８は、エコロジー・エネルギー・システム（吉野一虎宇宙世界皇帝の宇宙（ロケット・ロボット）戦争ストーリー）のイメージ概念図である。 Yoshino UniverseKazutora YoshinoUniverse EmpireEmily Yoshino SpaceFantasy, Science Fiction, ..., Story, to Real ...Lovely, 第三章：吉野一虎宇宙世界皇帝の宇宙（ロケット・ロボット）戦争ストーリー（吉野カズトラ宇宙世界帝国の宇宙戦争）
【手続補正２】
【補正対象書類名】図面
【補正対象項目名】図２０
【補正方法】追加
【補正の内容】
【図２０】
2018048555.tif 000261
【手続補正３】
【補正対象書類名】図面
【補正対象項目名】図２１
【補正方法】追加
【補正の内容】
【図２１】
2018048555.tif 000262
【手続補正４】
【補正対象書類名】図面
【補正対象項目名】図２２
【補正方法】追加
【補正の内容】
【図２２】
2018048555.tif 000263
【手続補正５】
【補正対象書類名】図面
【補正対象項目名】図２３
【補正方法】追加
【補正の内容】
【図２３】
2018048555.tif 000264
【手続補正６】
【補正対象書類名】図面
【補正対象項目名】図２４
【補正方法】追加
【補正の内容】
【図２４】
2018048555.tif 000265
【手続補正７】
【補正対象書類名】図面
【補正対象項目名】図２５
【補正方法】追加
【補正の内容】
【図２５】
2018048555.tif 000266
【手続補正８】
【補正対象書類名】図面
【補正対象項目名】図２６
【補正方法】追加
【補正の内容】
【図２６】
2018048555.tif 000267
【手続補正９】
【補正対象書類名】図面
【補正対象項目名】図２７
【補正方法】追加
【補正の内容】
【図２７】
2018048555.tif 000268
【手続補正１０】
【補正対象書類名】図面
【補正対象項目名】図２８
【補正方法】追加
【補正の内容】
【図２８】
2018048555.tif 000269
【手続補正１１】
【補正対象書類名】図面
【補正対象項目名】図２９
【補正方法】追加
【補正の内容】
【図２９】
2018048555.tif 000270
【手続補正１２】
【補正対象書類名】図面
【補正対象項目名】図３０
【補正方法】追加
【補正の内容】
【図３０】
2018048555.tif 000271
【手続補正１３】
【補正対象書類名】図面
【補正対象項目名】図３１
【補正方法】追加
【補正の内容】
【図３１】
2018048555.tif 000272
【手続補正１４】
【補正対象書類名】図面
【補正対象項目名】図３２
【補正方法】追加
【補正の内容】
【図３２】
2018048555.tif 000273
【手続補正１５】
【補正対象書類名】図面
【補正対象項目名】図３３
【補正方法】追加
【補正の内容】
【図３３】
2018048555.tif 000274
【手続補正１６】
【補正対象書類名】図面
【補正対象項目名】図３４
【補正方法】追加
【補正の内容】
【図３４】
2018048555.tif 000275
【手続補正１７】
【補正対象書類名】図面
【補正対象項目名】図３５
【補正方法】追加
【補正の内容】
【図３５】
2018048555.tif 000276
【手続補正１８】
【補正対象書類名】図面
【補正対象項目名】図３６
【補正方法】追加
【補正の内容】
【図３６】
2018048555.tif 000277
【手続補正１９】
【補正対象書類名】図面
【補正対象項目名】図３７
【補正方法】追加
【補正の内容】
【図３７】
2018048555.tif 000278
【手続補正２０】
【補正対象書類名】図面
【補正対象項目名】図３８
【補正方法】追加
【補正の内容】
【図３８】
2018048555.tif 000279
【手続補正２１】
【補正対象書類名】図面
【補正対象項目名】図３９
【補正方法】追加
【補正の内容】
【図３９】
2018048555.tif 000280
【手続補正２２】
【補正対象書類名】図面
【補正対象項目名】図４０
【補正方法】追加
【補正の内容】
【図４０】
2018048555.tif 000281
【手続補正２３】
【補正対象書類名】図面
【補正対象項目名】図４１
【補正方法】追加
【補正の内容】
【図４１】
2018048555.tif 000282
【手続補正２４】
【補正対象書類名】図面
【補正対象項目名】図４２
【補正方法】追加
【補正の内容】
【図４２】
2018048555.tif 000283
【手続補正２５】
【補正対象書類名】図面
【補正対象項目名】図４３
【補正方法】追加
【補正の内容】
【図４３】
2018048555.tif 000284
【手続補正２６】
【補正対象書類名】図面
【補正対象項目名】図４４
【補正方法】追加
【補正の内容】
【図４４】
2018048555.tif 000285
【手続補正２７】
【補正対象書類名】図面
【補正対象項目名】図４５
【補正方法】追加
【補正の内容】
【図４５】
2018048555.tif 000286
【手続補正２８】
【補正対象書類名】図面
【補正対象項目名】図４６
【補正方法】追加
【補正の内容】
【図４６】
2018048555.tif 000287
【手続補正２９】
【補正対象書類名】図面
【補正対象項目名】図４７
【補正方法】追加
【補正の内容】
【図４７】
2018048555.tif 000288
【手続補正３０】
【補正対象書類名】図面
【補正対象項目名】図４８
【補正方法】追加
【補正の内容】
【図４８】
2018048555.tif 000289
【手続補正書】
【提出日】平成25年3月31日(2013.3.31)
【手続補正１】
【補正対象書類名】明細書
【補正対象項目名】００１１
【補正方法】変更
【補正の内容】
【００１１】
【図１】図１は、エコロジー・エネルギー・システムのイメージ概念図である。
【図２】図２は、エコロジー・エネルギー・システムのイメージ概念図である。
【図３】図３は、エコロジー・エネルギー・システムのイメージ概念図である。
【図４】図４は、エコロジー・エネルギー・システムのイメージ概念図である。
【図５】図５は、エコロジー・エネルギー・システムのイメージ概念図である。
【図６】図６は、エコロジー・エネルギー・システムのイメージ概念図である。
【図７】図７は、エコロジー・エネルギー・システムのイメージ概念図である。
【図８】図８は、エコロジー・エネルギー・システムのイメージ概念図である。
【図９】図９は、エコロジー・エネルギー・システムのイメージ概念図である。
【図１０】図１０は、エコロジー・エネルギー・システムのイメージ概念図である。
【図１１】図１１は、エコロジー・エネルギー・システムのイメージ概念図である。
【図１２】図１２は、エコロジー・エネルギー・システムのイメージ概念図である。
【図１３】図１３は、エコロジー・エネルギー・システムのイメージ概念図である。
【図１４】図１４は、エコロジー・エネルギー・システムのイメージ概念図である。
【図１５】図１５は、エコロジー・エネルギー・システムのイメージ概念図である。
【図１６】図１６は、エコロジー・エネルギー・システムのイメージ概念図である。
【図１７】図１７は、エコロジー・エネルギー・システムのイメージ概念図である。
【図１８】図１８は、エコロジー・エネルギー・システムのイメージ概念図である。
【図１９】図１９は、エコロジー・エネルギー・システムのイメージ概念図である。
【図２０】図２０は、エコロジー・エネルギー・システムのイメージ概念図である。    本発明の図２０についての説明用のストーリ：吉野カズトラ宇宙世界皇帝は、吉野カズトラ宇宙世界皇帝国のエネルギーシステムを増強していた。 I.  宇宙太陽光発電システム（ソーラー（ユニット）サテライト）（USES）II.  宇宙太陽光電池製造システムIII.  宇宙核融合炉発電システムIV.  地上核融合発電システムV.  海上（海底）核融合発電システム 吉野カズトラ宇宙世界皇帝は、巨大な宇宙発電・太陽光エネルギー・送信システム（太陽の付近に宇宙太陽光人工衛星を配置）と受信システム（ロッキー山脈の頂にあるロッキーマウンテンナショナルパーク(Rocky Mountain National Park)や、アリゾナの砂漠、アラスカのマッキンレー山脈、サハラ砂漠、等）を作っていた。 吉野カズトラ宇宙世界皇帝は、また、宇宙での真空を利用して、（トカマク型）プラズマ封じ込め高温適圧の宇宙核融合炉を作ることを進めていた。 吉野カズトラ宇宙世界皇帝は、また、地上でプラズマ・イオン発電所を作り、プラズマ封じ込め高温適圧の宇宙核融合炉を運転していた。 吉野カズトラ宇宙世界皇帝は、また、海上で太陽光・風力・海洋エネルギー発電所を作り、海上（海底）核融合炉を運転していた。（核反応の事故に対して、比較的安全である） Reference:www.yoshinouniverse.comISBN0-8118-0897-1ISBN4-339-00552-5ISBN4-7853-6112-3
【図２１】図２１は、エコロジー・エネルギー・システムのイメージ概念図である。原子炉で、核燃料からエネルギーを取り出す。（オプション）再処理工場で、使用済み核燃料を、核燃料と核廃棄物（核のゴミ）に分離する。熱電発電（所）（システム）で、使用済み核燃料／核廃棄物（核のゴミ）からエネルギーを取り出す。使用済み核燃料／核廃棄物（核のゴミ）を、水、フィルム（紙）、金属（鉛、等）で囲み、放射能について封印するが、熱が出てくるのを、熱電発電で、電気エネルギーに、変換するシステム。
【図２２】図２２は、エコロジー・エネルギー・システム（日本の防衛システム）のイメージ概念図である。核燃料（プルトニウム、ウラン、等）などの核物質など、戦略的エネルギー物質を、日本に集める。核燃料・核爆弾・核廃棄物（核のゴミ）を、１．平和なら、平和利用する。（核エネルギーによって（核（燃料）を熱源として）、熱電発電する。）２．戦争なら、敵国に打ち込む。（埼玉県入間市の入間航空自衛隊（防衛軍）の地下ミサイル発射基地から、大陸弾道ミサイルなどを発射する。吉野カズトラ宇宙世界皇帝のシャチ型潜水艦から核ミサイルを発射する。吉野カズトラ宇宙世界皇帝の軍事衛星から核爆弾を投下する。等）Yoshino UniverseKazutora YoshinoUniverse EmpireKazutora YoshinoNuclear Energy Defense SystemLovely,
【図２３】図２３は、エコロジー・エネルギー・システム（太陽光熱カプセル発電システム）のイメージ概念図である。吉野一虎ソーラーライトカプセル効果：太陽光（熱）が、太陽で発生して（太陽中心：高温１６００万℃、太陽表面：低温温６０００℃）、太陽を囲む物質（ダークマター、素粒子、物質、保熱ガス、反応物質、捕熱物質、反射物質、等の適宜な組み合わせ）によって、光（熱）は、吸収・保持・反応、等をして、中温（数百万℃）になる。DM + gamma -> DM' + delta Egammaは、光（熱）などの（反応（素）粒子などの）エレメント。delta Eは、正／負／ゼロ、等のエネルギー（エレメント）とする。DM、DM’は、ダークマターなどの（反応（素）粒子・反応物質、物質）（群理論）エレメントで、DMとDM'は、同じエレメントでもよく、異なるエレメントでも良い。吉野一虎ライトカプセル効果：このシステムを、ミニチュア化したカプセルに二酸化炭素などの保熱ガス（捕熱ガス）を入れて、（太陽）光（／レーザー光）の照射をして、太陽光（熱）発電を行い、ミニチュア太陽光（熱）カプセル発電を行う。吉野一虎レーザー効果：二酸化炭素などの保熱ガス（捕熱ガス）に、（太陽）光（／レーザー光）を照射して、光（光子、レーザー光）を発光させて、光をカプセル内部で、反射させて、１００％ミラーと約９９％ミラーで、往復反射させて、誘導発光させて、同じ（ぐらいの）波長（周波数）と相（フェーズ）の光の束（レーザー光）を作り、約９９％ミラー側からコーヒーレントなレーザー光を、放つ。吉野一虎ネットワーク超特急効果：ミニチュア太陽光（熱）カプセル発電システムのユニットを、発電パフォーマンス良く、コストパフォーマンス良く、大量に作り、マトリクス上にして、日射量が十分にあるところに敷き詰めたり、電車の路線のサイドに並べたり、道路（高速道路）のサイドに、並べたりすることによって、日本（世界）全体が、ミニチュア太陽光（熱）カプセル発電システムによって、光ネットワーク発電システムとなる。 吉野アシュレーアヤメ女王偉大なる戦士は、吉野一虎効果（吉野一虎ソーラーカプセル効果、吉野一虎ライトカプセル効果、吉野一虎レーザー効果、吉野一虎（カズトラ）ネットワーク超特急効果、等の吉野一虎宇宙世界皇帝の効果）を、活用して、宇宙全体に、吉野アシュレーアヤメ女王による吉野一虎宇宙世界皇帝（宇宙銀河恒星ネットワーク・太陽系）光ネットワークシステムを構築して、宇宙・世界のエネルギー問題を、解決して行った・・・。
【図２４】図２４は、エコロジー・エネルギー・システム（熱（水蒸気／ガス）発電システム）のイメージ概念図である。水（／液体／気体／水素／ガス、等）に太陽光（熱）（エネルギー）、（ガスの）火、熱（等）を投入して、水蒸気（／ガス）にして、タービンを回転して、発電機で、発電するシステム。オプションとして、水蒸気（／ガス）を冷却して、水（／液体／気体／水素／ガス、等）にして、サイクル（リサイクル）するシステム。
【図２５】図２５は、エコロジー・エネルギー・システム（吉野一虎宇宙世界皇帝の核戦争用の鎧兜（防衛システム））のイメージ概念図である。ダイヤモンド、タングステン、ステンレス、鉄、鉛、防弾ガラス、セラミック、紙、スポンジ、水（汗）、バッテリー、シリコン、コンピューター、ディスプレイ等を、適宜に組み合わせて、放射能を遮断するタイガーシールド。本発明は、アルファ粒子線、ベータ線、γ線を遮断する物質（マテリアル）を用いた装甲・鎧（アーマー）である。オプションとして、周りの見た目に合わせて、色や柄を2D/3Dでディスプレイできるカメレオンシールド。この鎧兜を纏った軍隊を、カメレオン・アーミーとして、敵（の核兵器・軍隊）と戦うシステム（自衛隊・国防軍・民間安全警備武装集団（傭兵））。ディスプレイ、コンピューター、電子機器の電源、若しくは、バッテリーなどの充電器としてのブーツ（靴）による、歩行発電（靴発電システム）。ピエゾエレクトロニック素子（圧電素子）、発電機、弾性物質、等によって、発電して、バッテリーに電気を充電する。オプションとして、スプリングなどを用いて、発電しながら、跳躍力を抜群に向上させるジャンプ（発電）シューズ。本発明は、カメレオン・アーミーの鎧を電子的に機能させるのに必要な電源は、歩行発電ブーツから得ることが可能である。その際の戦士達の戦闘シーン（風景）の概念図が、示されている。
【図２６】図２６は、エコロジー・エネルギー・システム（太陽光熱カプセル発電システム：パラボラミラーバージョン）のイメージ概念図である。最良の形態の一つを示している。パラボラミラーによって、反射した光（エネルギー）を、（カプセル）球に集光させて、（熱反応、化学反応、核反応などの）反応、等を起こさせるシステム。
【図２７】図２７は、エコロジー・エネルギー・システム（水素と酸素による燃料電池発電（ガス発電）システム）のイメージ概念図である。ダイヤモンド／DLC／金属／カーボン（ファイバー）等の（軽くて丈夫な）強い（高圧のガスや、液体に耐えうる）容器に、濃縮ガス（濃縮水素ガス、濃縮酸素ガス）、液体（液体水素、液体酸素）等を入れる。水素と酸素を適宜な量を、コンピューター制御機、バルブなどで、摘出して、燃料電池に、投入して、電気（エネルギー）を発生させる。電気を直接用いるか、バッテリー等に充電して用いる。水素と酸素の反応によって出来た水を、（浄化フィルターに通して）、飲料水にする。宇宙船などでの宇宙航行が、長期の滞在の場合に、水素・酸素燃料から、水を作り、フィルターで飲料水を作り、飲むことが可能である、エコロジー・スマート・システム。宇宙旅行に、飲料水を、持ってゆくことが、可能であるが、水が、もっと必要なときとか、緊急時とかに、もっと飲料水を作ることが必要な際に、有用なシステムである。
【図２８】図２８は、エコロジー・エネルギー・システム（エネルギー炉（熱炉））のイメージ概念図である。
【図２９】図２９は、エコロジー・エネルギー・システム（吉野カズトラ宇宙世界皇帝のエネルギー炉（熱炉）と無線／タイマー式の起爆装置による核爆弾）のイメージ概念図である。
【図３０】図３０は、エコロジー・エネルギー・システム（吉野一虎宇宙世界皇帝の靴（防衛・防寒システム））のイメージ概念図である。ピエゾエレクトリックなどの圧電素子で発電したり、動力を利用して、発電したり、核燃料の熱で、発電したりして、熱エネルギーを用いて、エネルギーシステム（（防寒用のヒーター等の）の靴等）を作る。
【図３１】図３１は、エコロジー・エネルギー・システム（吉野一虎宇宙世界皇帝の核電池、核エネルギー、加速器核エネルギーシステム））のイメージ概念図である。核燃料、核廃棄物、（加速器で加速された陽子を核廃棄物（半減期約２万年）に当てて、（半減期を約３０年にした）放射性物質）等や、その適宜な組み合わせから、核（熱）電池を作る。加速器の放射エネルギーによって、宇宙船を飛ばす（運行する）。
【図３２】図３２は、エコロジー・エネルギー・システム（吉野一虎宇宙世界皇帝の核核融合炉エネルギーレーザーシステム（核融合レーザー起動用集光レンズ）））のイメージ概念図である。適宜な波長（若しくは、その組み合わせ）のレーザービームを、レンズで一点に集光（集中）させて、（プラズマ熱エネルギー）核融合を起因する。特に、紫外線、X線、γ線、などの（短波長）高周波のコーヒーレントな光子パッケージ（レーザー光ビーム、等）を用いると良い。そのレンズ方程式を示している。
【図３３】図３３は、エコロジー・エネルギー・システム（吉野一虎宇宙世界皇帝のカズトラ型の核融合炉：カズトラ型核融合炉エネルギー（レーザーヒーティング）システム（核融合レーザーヒーティング起動）））のイメージ概念図である。カズトラ型核融合炉は、トロイダル型（トカマク型）核融合炉を単数／複数、トロイダル型に纏めた型である。プラズマは、真空／ガス／プラズマ内にあるか、磁場・磁界（電場・電界／電磁場・電磁界）内にあっても良い。極力、外部に熱が流出しないように、高磁界にして、Tc（クリティカルテンパーチャー）を高温にして、プラズマを封じ込めて、レーザー（若しくは、マイクロウェーブ、等）で、ヒーティングして（局所場で核融合（ニュークリア・チェイン・リアクション）の初期反応を起こさせて、核融合（ニュークリア・チェイン・リアクション）連鎖反応させる）、プラズマを高温にして、（熱）核融合を起こさせる。（オプションとして、トロイダル型纏めた型のリング部に、オプションフィールド（例えば、磁界）を作るのも良い。）
【図３４】図３４は、エコロジー・エネルギー・システム（吉野一虎宇宙世界皇帝の核融合ロケット（核融合エンジン）：ネオ・カワセミ・プロジェクト：空飛ぶイルカ、空飛ぶイカ））のイメージ概念図である。羽を畳んで海底から発射された空飛ぶイルカは、水中を水ジェットエンジンで走行（航行）して、空中に羽を広げて飛び立ち、空気ジェットエンジンで走行（飛行）して、羽を畳んで宇宙をロケットエンジン（イオンエンジン、プラズマエンジン、ロケットエンジン、核ロケットエンジン、等）で、走行（宇宙航行）する。宇宙防衛のため、核爆弾などで、宇宙からの攻撃（上からの攻撃）をかけることも可能である。
【図３５】図３５は、エコロジー・エネルギー・システム（吉野一虎宇宙世界皇帝のエネルギー・エレクトリシティー・ジェネレーター・システム）のイメージ概念図である。太陽光発電（スチーム発電）、風力発電、海洋力発電、核反応発電（原子炉発電、核融合炉発電、などによるスチーム（ガス）発電）等の発電機システム。プロペラを回転させる。回転軸についている磁石が回転する。前記磁石の回転により、超伝導体内にあるリング磁石が誘導されて回転する。また、磁石と超電導の組み合わせによる非接触な、回転軸とカバーによって、摩擦が殆どない、回転を獲得する。回転効率が良い、起電力を発生させる。オプションとして、トランスフォーマーで、電圧・電流の調整をする。バッテリーに充電したり、電力として用いる。
【図３６】図３６は、エコロジー・エネルギー・システム（吉野一虎宇宙世界皇帝のエネルギー・エレクトリシティー・ジェネレーター・システム）のイメージ概念図である。太陽光発電（スチーム発電）、風力発電、海洋力発電、核反応発電（原子炉発電、核融合炉発電、などによるスチーム（ガス）発電）等の発電機システム。プロペラを回転させることによる発電システムのパワー（電力）のコンセプト・カリキュレーション（Concept Calculation）(概算)。
【図３７】図３７は、エコロジー・エネルギー・システム（吉野一虎宇宙世界皇帝のモーター・ジェット・ボード、モーター・ボート）のイメージ概念図である。水上ロケットランチャー、若しくは、水上から発射するロケット。ジェット・ウィンド・サーフィング。風力でウィンド・サーフ・ボードを動かし、その際、エネルギー・エレクトリシティー・ジェネレーターで、バッテリーに、電気を充電する。風があまりない時は、バッテリーによって、モーター（＋ギヤ）＋プロペラを回転させて、航行する。オプションとして、バッテリーを複数持ち、電力・ギヤによって、ウィンド・サーフ・ボードの速度をコントロールする。人が載るか、無線で操作か、人工知能、等によって航行する。
【図３８】図３８は、エコロジー・エネルギー・システム（吉野一虎宇宙世界皇帝の空飛ぶイルカ、ドラゴン、モーター・ジェット・ボード、モーター・ボート）のイメージ概念図である。特に、翼（羽）の構造（ダイアモンド型）、翼の開閉についてと、ダイヤモンド・ダイナミクス・メソードを示す。（２D／３Dで）翼（羽）を動かして、浮力を得ることも可能である。海中で航行しているときは、翼を閉じて、空で飛行しているときは、翼を広げ（用いて）、宇宙で宇宙航行しているときは、翼を閉じるか、若し、（（シリコンや色素増感型等の）太陽光シートなどなら）太陽光（シート）翼を広げるのが、最善の形態である。
【図３９】図３９は、エコロジー・エネルギー・システム（吉野一虎宇宙世界皇帝のシャフト・ローテーション・ベアリング・システム）のイメージ概念図である。モーター、発電機、ジョイント、等の部分に、ベアリングの周りを、ベアリングで囲み、スムースなオペレーションを可能にするシャフト・ローテーション・ベアリング・システムである。同様に、複数のレイヤーを用いても良い。シャフト・ローテーション・ベアリング・システム＝（（メインベアリング＊サブベアリング）＊Lレイヤー）（L＞＝１）。このシャフト・ローテーション・ベアリング・システムによって、モーターの回転効率や発電機の発電効率が良くなるという効果がある。
【図４０】図４０は、エコロジー・エネルギー・システム（吉野一虎宇宙世界皇帝のスーパーマン（計画））のイメージ概念図である。Yoshino UniverseKazutora YoshinoUniverse EmpireKazutora YoshinoEmperor's Super Man ProjectLovely, 一般的なエンジン、キシレン、ガソリン、水素＋酸素、等を用いるジェット・エンジン、ロケット・エンジンでも良いが、ジェット・ロケット・エンジンを用いるのが最適である。ジェット・ロケット・エンジンは、（小型原子炉／）、小型核融合炉で、燃料の水を沸かして、水蒸気（スチーム）を噴出させて、ジェットを作るロケットエンジンを、箱に取り付ける。ジェット・ロケット・エンジンは、箱の上の方に付けると、横から下にジェットを噴出するので、バランス的に安定する。ジェット・ロケット・エンジンを、箱の下の方に付けると、ジェットが、下に噴出されるので、熱流体的には、効率が良い。二つのジェット・ロケット・エンジンでも、飛行が可能な（動力・エネルギー）レベルにしておく。基本形は、四つのジェット・ロケット・エンジンを用いて、（光学）ジャイロスコープ、加速度センサー、GPS、コンピューター（ジェネリック・アルゴリズム等を用いる人工知能）を用いて、ジェットを噴出したり、逆噴射して、最適な、バランス、位置、方向を、獲得する。緊急の時等は、マニュアル操作も可能にする。四つのジェットエンジンのうち、一つが破損などしたら、対照側にあるジェット・ロケット・エンジンも停止して、二つのジェット・ロケット・エンジンによる飛行（マニュアル操作も出来るようにする）に、切り替えることが可能にする。又、出来るだけ速やかに着地するようにする。若しくは、ジェネリック・アルゴリズムや摂動論的制御、等の最適制御によって、三つのジェット・ロケット・エンジンを、微妙に操作・制御して、当分は、飛行を続けることが可能にする。ダイヤモンドや防弾ガラスのような素材を壁にして、飛行中に、美しい風景など、見渡しが良いようにしても良い。民間の観光用に用いることも可能であり、軍事用の偵察機のように用いることも可能である。パイロットや宇宙飛行士が箱の中にいるなら、内部に空気（酸素）タンクを入れておけば、燃料が続くなら、空から、宇宙に航行しても良い。宇宙の景色（宇宙の夜景、星星の輝き、天体の芸術）などが、美しく、ダイアモンドに映るであろう。
【図４１】図４１は、エコロジー・エネルギー・システム（吉野一虎宇宙世界皇帝のフライング・ジェット・モービル）のイメージ概念図である。 Yoshino UniverseKazutora YoshinoUniverse EmpireKazutora YoshinoEmperor's Flying Jet MobileLovely, 空気をプロペラを回して、上、横、下、斜めなどから吸引して、燃料と混ぜて、燃焼して、ジェットを作る。モーターによってプロペラを回しても良い。フライング・ジェット・モービルは、森やジャングルで、軍事的な偵察等を行う際に、小回りが利く、便利な乗り物である。
【図４２】図４２は、エコロジー・エネルギー・システム（吉野一虎宇宙世界皇帝のフラップ式ウィング、フラップ式プロペラ）のイメージ概念図である。 羽や、プロペラに、フラップを付けて、気流のコントロールをする。特に、高い角度（フラップ角度）をつけて、離陸や着率の距離を短くできる（例えば、４５度〜５５度ぐらい）。飛行時は、（例えば、約１５度〜５５度ぐらいの）高くない羽の角度（フラップ）で飛行すると浮上・飛行効率が良い。プロペラの場合は、回転初期と、回転中期、回転後期、上昇期、浮上期、下降期、飛行期、などに合わせて、羽の角度（＋フラップ角度）をコントロールすることが、可能である。
【図４３】図４３は、エコロジー・エネルギー・システム（吉野一虎宇宙世界皇帝のフライング・ジェット・モービル）のイメージ概念図である。Yoshino UniverseKazutora YoshinoUniverse EmpireKazutora YoshinoEmperor's Flying Jet Mobile (Theoretical, Practical Method)Lovely, ヘリコプター、飛行機、フライング・ジェット・モービル、スカイ・カーズ、等のプロペラの数式化であり、羽をコンパクト化するための技術である。システムがスケーラブルな際、プロペラのサイズをPropeller Length 1として、モーターのトルクをMotorTorque、モーターの回転数をMotor Omegaとして、プロペラ／羽の角度を、例えば１５°ぐらいとか、４５〜５５°ぐらいに設定すると、基本的な部分は、定数のように扱えて、Force Lift = (Motor Torque/Propeller Length 1)*Csになるので、羽がコンパクトで、（数多くの）プロペラで、回転が速い方が良い。普通は、rg1/rg2 >= 1/30 ぐらいにするが、最善の形態を、rg1/rg2>= 1  とする。rg1/rg2 >= 10・・・とギヤの逆比率を向上させると、リフトの効率が良いが、シャフト・ギヤなどの（シャフト・ギヤ変換）効率があるので、直接プロペラを、モーターに付けるのが、シャフト・ギヤ変換効率が、１００％となるので、最も効率が良い。
【図４４】図４４は、エコロジー・エネルギー・システム（吉野一虎宇宙世界皇帝のヘリコプター・宇宙（核）ロケット開発）のイメージ概念図である。 ヘリコプターから始めて、（３Dペン、３Dコントローラー、脳波コミュニケーター、人工心臓、（iPS）幹細胞臓器、成型臓器（３Dプリンターで、細胞と細胞を決着剤などで付着させて、臓器を直接作る）、などの経由で）、宇宙（核）ロケットを、製造する方法。また、プロジェクトを映画化するためのストーリーであって、この（映画による収益）によって、ヘリコプター、宇宙（核）ロケットを製造する宇宙開発（宇宙医療）ビジネス・モデルの方法。 吉野カズトラ宇宙世界皇帝のストーリー：吉野庭園→ヘリコプター基地→人工心臓製造→ロケット基地→ドラゴン（龍）の開発→宇宙世界征服→吉野カズトラ宇宙世界皇帝と吉野アシュレーアヤメ女王偉大なる戦士のラブ・ロマンス（恋愛ストーリー）。
【図４５】図４５は、エコロジー・エネルギー・システム（吉野一虎宇宙世界皇帝の太陽光発電・風力発電・等の発電所型の吉野信法王鳳凰神社の開発）のイメージ概念図である。 ヘリコプター、宇宙（核）ロケット開発の（準備の）方法とか、吉野カズトラ宇宙世界皇帝と吉野アシュレーアヤメ女王偉大なる戦士のラブ・ロマンス（恋愛ストーリー）。ヘリコプター、宇宙（核）ロケットの開発費を得るための（吉野神道新信仰）吉野一虎宇宙世界皇帝の太陽光発電・風力発電・等の発電所型の吉野信法王鳳凰神社神社の設計と構築。また、その（プロモーションビデオ用・宣伝用・映画用・現実化用の）ストーリー。 吉野カズトラ宇宙世界皇帝のストーリー： Yoshino UniverseKazutora YoshinoUniverse EmpireKazutora YoshinoEmperor's Love RomanceLovely, Yoshino UniverseKazutora Yoshino Universe EmpireKazutora Yoshino Emperor's Shrine 吉野カズトラ宇宙世界皇帝は、吉野信法王鳳凰神社を、始めていた。吉野信法王鳳凰神社は、天照大御神を祀り、『自然は、神。野生は、友。』というキャッチフレーズの基に、信者や白い動物達を、大事にしていた。特に、紀州犬(花)、アークティックウルフ(不思議)や、シロキツネ、シロネコ、ムササビ、モモンガ、白龍、等を、大事にしていた。吉野信法王鳳凰神社の屋根の先端には、鳳凰のデザインの風車が付いていて、屋根には、太陽光パネルが付いている、自然に優しいエコロジー・システムによって運営されていた。信者達は、自然に合わせて、風の来る方向を向く鳳凰型風見鶏(風車)や光(太陽光パネル)や川の水や湖の水や雨水や井戸水や海水や自然エネルギーを、信仰の対象とする、八方美人の吉野ファミリーのメンバー達や、キャバ嬢達や、ホスト達、動物愛護者達、飲食業・水商売関連関係者達、農林水産業者達、パラグライダーパイロット達、パイロット達、航空自衛隊達、、軍人達、警察達、ヨットレーサー達、ボートレーサー達、船主達、船長達、ホースダービーの馬主達、写真関連関係者達、宣伝業者達、画像関連関係者達、テレビ関連関係者達、放送関連関係者達、映画関連関係者達、女優達、俳優達、モデル達、方位学者達、法医学者達、医者達、医療関連関係者達、植物学者達、生化学者達、バイオインフォマティクス関連関係者達、システムエンジニア達、物理学者達、技術者達、プログラマー達、宇宙開発事業団関連関係者達、ビジネス関連関係者達、特許関連関係者達、エネルギー関連関係者、等が、多かった。吉野カズトラ宇宙世界皇帝は、太陽光発電所や、風力発電所、等の研究開発を、Yoshino Universe研究所でしていたが、コンピューター・システム管理は、IBM研究所にさせて、ネットワーク管理は、ベル(Bell)研究所にさせていた。・・・。吉野カズトラ宇宙世界皇帝は、また、Yoshino Universeと吉野エミリー女王と吉野レベッカハル女王の管理の元に、日本政府に、奈良の吉野川のダムの水や富士山の水や海水等の水を、東レのウォーターヒィルターを用いて、飲料水にさせて、『(奈良の)吉野の綺麗な水』という商品名で、世界中に、輸出した。吉野カズトラ宇宙世界皇帝は、また、エネルギー・エコロジー・システム・アプリケーションの研究開発を進め更に良いエコロジー・システム(USES, USEN)、ロケットの研究開発、宇宙開発を、進めていた。・・・・。吉野カズトラ宇宙世界皇帝の吉野��宙開発基地は、白き龍に守られた城(ホワイトハウスWhite House)と呼ばれて、龍型・竜巻のような巨峰のブドウの木(ツタ)に囲まれた、白い家と果樹庭園の内側(吉野信法王の邸宅領土内)にあった。・・・。 吉野カズトラ宇宙世界皇帝は、吉野カズトラ宇宙世界皇帝と吉野の葡萄の園を守るためのボディーガード女子軍団を作り始めていた。あまり現実的ではなかったが、吉野カズトラ宇宙世界皇帝は、水龍拳の一部として、健康空手を、始めていた。吉野カズトラ宇宙世界皇帝の健康空手は、女の子、女子高生、女子大生、OLを、メンバーにして、戦闘用と言うよりは、むしろ健康面での体力強化を目指して、吉野カズトラ宇宙世界皇帝と吉野の果樹庭園（吉野のブドウ園）の警備を目的としていた。吉野カズトラ宇宙世界皇帝は、健康空手のプロモーションビデオを作ろうとしていて、大妻女子大生、等の女子大生達に、吉野カズトラ宇宙世界皇帝を、宣伝しようとしていた。吉野カズトラ宇宙世界皇帝は、埼玉県入間市(入間航空自衛隊による航空防衛)を、基軸とした、日本首都・都市開発を進めていた。・・・。 吉野カズトラ宇宙世界皇帝は、吉野信法皇鳳凰神社と、埼玉県入間市の都市開発のために、神社のさい銭と、風力エネルギーと、太陽光エネルギー、等を用いていたが、世界中から税金を徴収することにした。そのためには、共通通貨が必要となり、吉野カズトラ宇宙世界皇帝は、Yoshino Universe、アメリカ合衆国政府、日本政府、国際連合のIMFを用いて、ユニバーサル・マニー・システムを、作った。吉野カズトラ宇宙世界皇帝は、国民一人一人に、ソーシャルセキュリティー番号や、国民共通番号を、渡して、各々に、資産を、ユニバーサル・マニーのポイントに、変換した。物の売買には、基本、ユニバーサル・マニーのポイントが、必要で、これによって、Yoshino Universe、政府は、国民の販売記録・購買記録がよくみえて、税金(消費税、等)も電子化されて簡単になり、一般にも、不正取引や、闇取引が、殆どなくなった。これによって、特許など正しい新技術への投資や融資が、促進されて、経済、社会が、発展した。・・・。 吉野カズトラ宇宙世界皇帝は、国際的な、税金の徴収のために、ソーシャルセキュリティー番号か、国民共通番号を持つ(アメリカ人、ロシア人、ヨーロッバ人、日本人、朝鮮人、中国人、インド人、アラブ人、等の)国民一人一人に、各国政府の税金を用いて、(固定)IPアドレスを、配布した。(約100億人ぐらいなら、許容可能なシステム。) ソーシャルセキュリティー番号や国民共通番号にリンク対応した固定IPアドレスによって、アメリカ人や日本人、等は、各自、自らのホームページを作り持つことが可能になり、自らの写真やプロフィールを表示することになり、また、国税庁などのホームページに直ぐアクセス出来て、各自の税金の納付状況等も、直ぐに分かるようになった。また、インターネット(サイバースペース)での経済効果が向上して、より多くの税金を徴収することが、可能になった。これにより、吉野カズトラ宇宙世界皇帝は、宇宙開発(ロケット開発、ロボット開発)とか、自らの美容法や、吉野カズトラ宇宙世界皇帝の若返りの研究開発を進めていた。例えば、アルコール食塩水美容法(水分補給美容法)や、iPS細胞を用いた人工臓器や、若返り医療である。吉野カズ��ラ宇宙世界皇帝のアルコール食塩水美容法(水分補給美容法)を修得した、吉野カズトラ宇宙世界皇帝と吉野エミリー女王は、若さを維持出来たので、肌が滑らかな(色白な)菜食主義のバンパイヤー、等と、言われることもあった。しかし、バンパイヤーの国々は、水、食べ物、領土、等の取り合いの戦争を始めていた。吉野エミリー女王の娘の吉野クリスタルヒカリ女王は、肌が、雪のように白い美女だったので、白雪姫と言われたが、隣国の魔女(バンパイヤー)女王に嫉妬されて、魔女女王が、攻めてきたので、森に隠されて、小さな子ども達と、一緒に育った。吉野クリスタルヒカリ女王(白雪姫)は、ハンターに守られながら、自国の復興を始めていた。・・・。 続く。
【図４６】図４６は、エコロジー・エネルギー・システム（吉野一虎宇宙世界皇帝の空飛ぶ家（ロケット・ハウス））のイメージ概念図である。 吉野一虎宇宙世界皇帝の空飛ぶ家（ロケット・ハウス、スカイ・ハウス）：本箱型家（ロケット・ハウス、ブックシェルハウス）。ユニット・ルームを積層する（積み上げる）ことによって、高層ビル、ロケットの構築が可能でる。ロケットの高さに合わせたユニット・ルーム（の数）を構築することが可能である。基本設計をユニット単位で出来るので、ユニット・ルームの大量生産化が可能であるため、ロケット・ハウスの大量生産が、可能になる。 本発明は、コストパフォーマンスが良いロケット（ロケット・ハウス）である。また、設計と構築の時間短縮（ラン・タイムの軽減）による、シナジー的なコストパフォーマンスも良い。 オプションとして、プロペラ、ロケットエンジン、などの搭載によって、空中、宇宙を、飛び回れるようにする（空飛ぶ家：スカイ・ハウス、ロケット）。（本発明によって）、ロケット・ハウスに住んでいるまま、宇宙旅行が可能になる・・・（という効果もある）。 宇宙空間では、（殆ど）無重力状態になるので、部屋は、広く使える方が良い（宇宙服が引っかからないようにする）ため、階段を（宇宙服を着たまま通れる程度に細く）壁側に（／適宜な場所に）作ったり、無重力でも宇宙飛行士の方向感覚が研ぎすまれるように、階段の方向を一致させておいたり、ルーム・番号（ルーム階）を明示（はっきり表示）しておくのも可能である。また、物品に、ICタグをつけておいて、コンピューターで、位置情報などを、管理して、無重力で、物が浮遊していても、何処に何があるのか分かるようにしておくのも可能である。 ３Dペン（３Dコントローラー）で、ロケットの位置・速度・加速度・方向・軌道、等をコントロールしても良い。
【図４７】図４７は、エコロジー・エネルギー・システム（吉野一虎宇宙世界皇帝の宇宙戦争ストーリー）のイメージ概念図である。 ロケット・ロボット・人工知能・ビジネスの開発。それを現実化するための資本獲得のための、プロモーションビデオ用・宣伝用・映画用（吉野エミリー女王の映画製作、SF（スペースファンタジー、サイエンスフィクション））・現実化用のストーリー。 第一章吉野カズトラ宇宙世界皇帝の日本食の進め吉野カズトラ宇宙世界皇帝は、日本の森林(特に、杉の森林)を、伐採して、花粉対策をして、杉から日本食用の高級なお箸(はし)を大量生産して、日本食の市場進出を進めながら、海外市場に日本食とお箸を販売して、利益を得ていたのである。吉野カズトラ宇宙世界皇帝は、元々、数学、物理学、エネルギー工学、生物学、生化学、遺伝子工学、システム工学、農業ロボット工学、軍事ロボット工学のエキスパートだったので、日本食の生産販売が上手で、弁当等の日本食の国際ネットワークを築くことが出来たのである。 ・・・。続く。 第二章吉野カズトラ宇宙世界皇帝のゴースト戦略と吉野カズトラ宇宙世界皇帝の新エネルギー戦略 第二次世界対戦の延長戦が、朝鮮戦争、ベトナム戦争、冷戦、湾岸戦争、対テロ戦争であった。ヒロヒト、山本イソロク、吉野幸信の遺言が、ゴースト戦略として、吉野カズトラ宇宙世界皇帝に、受け継がれていた。吉野カズトラ宇宙世界皇帝のグループは、政府側(北朝)と、反政府側(南朝)に、二分して行った。 吉野カズトラ宇宙世界皇帝は、秘密警察捜査官達を配備して、自衛隊の内部に核心的な右翼、警察の内部に、革新的な右翼を潜入させて、国際的な警察右翼ネットワークを、構築していた。吉野カズトラ宇宙世界皇帝の直属の部下達を、警察や自衛隊にすることによって、吉野軍事グループの部隊の訓練費を、国に持たせれたためである。吉野カズトラ宇宙世界皇帝は、アメリカ軍、スカルアンドボーン、フリーメイソン、帝国軍、ネオナチス、自衛隊、韓国軍、サムスン、ロシア軍の連携を計り、アメリカ軍のスカルアンドボーンに、世界征服をさせて、日本の自衛隊右翼に後始末をさせた。 吉野カズトラ宇宙世界皇帝は、吉野カズトラ宇宙世界皇帝の反政府側のグループを、自衛隊、警察に配備した。日本の自衛隊と警察ネットワークにアメリカの警察ネットワークも加わり、911(アメリカ警察の電話番号の日にち)に、アメリカ合衆国で警察革命が起きた。背後には、アメリカ軍のスカルアンドボーンがいたが、日本のある怪盗団、アルカイダ(裏社会の犯罪ネットワーク)が、背後にいるように、情報操作されていた。 吉野カズトラ宇宙世界皇帝は、吉野カズトラ宇宙世界皇帝の政府側のグループを、政府、政党に配備した。しかし、自由民主党(北朝:アメリカ側)、民主党(南朝:中国側)で、政治的な対立も起きた。民主党革命により、一時、民主党が優位に立ったが、自由民主党が、革命返しをした。 自由民主党と民主党の対立を始め、南北朝で、幾つも主義・立場の対立が起きた。特に、TPPの参加交渉についてでさえ、国を二分する対立が、起きたのである。吉野カズトラ皇帝国は、新南北朝時代に突入した。このことにより、皆が激しい暴風と荒波のなかを航行するような状況になっていった。吉野カズトラ宇宙世界皇帝は、楽天家な���で、暴風を風力発電に用いて、荒波（海流）を海洋発電に用いようとしていた。吉野カズトラ宇宙世界皇帝は、勿論、（宇宙）太陽光エネルギー発電も進めていた。これが、吉野カズトラ宇宙世界皇帝の新エネルギー革命である。 吉野カズトラ宇宙世界皇帝は、吉野カズトラ宇宙世界皇帝の名言、『日は、又、昇る。』と言った。これは、日本が、再び世界の中心になり、日本の先端技術が、進み、日本が復興して、Made In Japanが、世界で求められる有名ブランドになることを、示唆していたのである。 吉野カズトラ宇宙世界皇帝は、新エネルギーの開発、エコロジー・システムの開発、（宇宙）太陽光発電システムの開発と改善を、着実にコツコツ、進めていた。・・・・。続く。 Yoshino Universe ・・・ Yoshino UniverseKazutora YoshinoUniverse EmpireKazutora YoshinoEmperor's PowerTomoko Yoshino Queenvs Rebecca Haru Yoshino QueenLovely, Tomoko Yoshino Queen vs Rebecca HaruYoshino Queen 吉野カズトラ宇宙世界皇帝の影響力と支配力は、絶大である。 吉野友子女王と、吉野レベッカハル女王が、吉野カズトラ宇宙世界皇帝の継承戦争を始めていた。特に、バイオ・ウォー・フェアが、激戦化していた。吉野友子女王学派は、ロシアの生物兵器開発の学者連合で、生物の知識のある大人数だった。吉野レベッカハル女王学派は、アメリカ合衆国の生物兵器開発の学者連合で、少人数で生化学・分子生物学・バイオインフォマティクスなどで洗練された学者達だった。吉野信法皇学派は、日本と中国の学者達で、初めの頃は、対岸の火事のように、この戦いを傍観していることが多かったが、徐々に、この戦いに巻き込まれて行った。・・・ 吉野エミリー女王学派は、宇宙開発、吉野クリスタル女王学派は、ロケット・スペースシャトル等の開発、吉野アシュレー女王学派は、スペースステーション・ドラゴン等の開発をしていたので、この戦いに、巻き込まれないで済んだ。・・・ 吉野友子女王学派は、日本の医師会（タケダ派）を作り反政府団体（政府・政党・病院、等に入り込んだ暗殺部隊）を組織して、吉野レベッカハル女王学派は、日本の歯科協会（タカダ派）を作り反政府団体（政府・政党・歯医者、等に入り込んだ暗殺部隊）を組織した。ここに、医師会（タケダ派）と、歯科協会（タカダ派）の戦いが始まっていた。タケダ派とタカダ派は、日本政府、アメリカ合衆国政府にまで浸透して行き、アメリカ合衆国政府では、タケダ派は、鳩派、タカダ派は、鷹派と、呼ばれた。鳩派も、鷹派も、ターゲットの人物を殺害する方法を幾つか持っていた。鳩派は、危険な薬等を、投与したり、必要な薬を十分に投与しないでターゲットを殺害することが多かった。特に、結核治療に見せかけて、十分な抗生物質を投与せずに、わざと抗生物質耐性細菌を作り、ターゲットの人物を殺害することが多かった。鳩派は、中耳炎の細菌を品種改良・遺伝子組み換えをして、殺人細菌・殺人ウイルスを作り、ターゲット人物の耳に移植した。鷹派は、胃の中にいる細菌で、虫歯菌になる細菌を品種改良・遺伝子組み換え等して、殺人虫歯菌、殺人ウイルスなどを作り、ターゲット人物の虫歯治療の際に、殺人虫歯菌や殺人ウイルスを健康な歯や虫歯になりそうな歯に移植した。殺人虫歯菌や殺人ウイルスは、口に蔓延りドライマウス、鼻に入りドライノーズ、目に入りドライアイ���原因になったりして、脱水症状を引き起こして行った。殺人虫歯菌や殺人ウイルスは、徐々にターゲット人物の健康体を侵食して行き、極度の脱水症状などによって、死に至らせた。銃を持つ警察、重兵器（アンティーク・ウェポン）を基軸とした自衛隊などは、このバイオ・ハザードに対して、殆ど無力であった。・・・ 日本の政治家（自民党）たちは、医師会（タケダ派）とグルで、日本の弁護士会（民主党、共産党）は、歯科協会（タカダ派）とグルで、ターゲットの人物が、攻撃をしてきた人達に反撃したり訴えられないように、暴力行為に出て、ターゲットの人物を直接殺そうとしたり、ターゲットの人物の心理操作、等をしていた。・・・ これに対して、吉野カズトラ宇宙世界皇帝の指導のもと、日本政府の社民党の協力を得て、吉野綾子将軍、吉野世礼菜副将軍による、新たな生物兵器戦闘部隊（政府・政党・環境省・農林水産省、市役所農政課、農業委員会、農業組合、等に入り込んだ暗殺部隊）が形成された。これが、アンブレラ・コーポレーションであり、新技術金属農業開発の基軸となった組織である。アンブレラ・コーポレーションは、アンブレラ基金を持ち、貴金属の販売ネットワークを持ち、トラクターや人工知能塔載の農業用ヘリコプターや農薬散布用爆撃型戦闘飛行機、スカイカーズ、（天候、天気予報）気象衛星用軍事衛星などの農業設備の開発を管理して、稲や麦などの農作物を侵食する細菌、ウイルス、カビ等やその抗菌物質、抗菌遺伝子配列、等を研究開発・管理していた。・・・ この戦いは、日本と中国の尖閣諸島問題、アメリカ軍の普天間基地移設、TPPへの参加交渉、日華思想・入間（航空自衛隊）基地優位主義、を起爆剤として、激戦化して行った。アメリカ軍とロシア軍の第一次冷戦から、アメリカ＋日本＋韓国  ｖｓ  北朝鮮＋中国  の第二次冷戦に入って行き、第二次朝鮮戦へと発展して行った。しかし、吉野カズトラ宇宙世界皇帝を尊敬する北朝鮮は、日本側に協力することになり、形成は、アメリカ＋日本＋韓国＋北朝鮮  ｖｓ  中国となってしまい、次第に、世界の中心が、吉野カズトラ宇宙世界皇帝が司令塔として用いている日本・日本政府（特に、入間（航空自衛隊）基地）になって行った。吉野カズトラ宇宙世界皇帝を尊敬する中国は、日本との良好な関係を維持することを決め、第二次冷戦（裏の第三次世界大戦）だけで済み、結果として、（表の）第三次世界大戦は、回避することができた。しかし、むしろ、TPPなどの関連で、アメリカ合衆国とカナダの間で、内部抗争が起こり、ロシアが暗躍したので、戦場は、アメリカに、なって行った。アメリカが戦場になり、アメリカ合衆国は、約２６０年の間戦い続けたが、アメリカ合衆国は、荒廃し始めていて、もはや、スーパーパワーを失って、アメリカ合衆国は、崩壊した。しかし、後に、アメリカ大陸（今のアメリカ合衆国＋カナダ＋メキシコを合わせた領域）に、吉野クリスタルヒカリ女王国（光の国）が、建国されて、吉野クリスタルヒカリ女王の残した威力と威厳とパワーとフォースの基に復権して、吉野ファミリーの基に、光の国（アメリカ）は、スーパーパワーを再度獲得した。・・・ 続く。 Yoshino UniverseKazutora YoshinoUniverse EmpireKazutora YoshinoEmperor's Unified Story,Lovely,
【図４８】図４８は、エコロジー・エネルギー・システム（吉野一虎宇宙世界皇帝の宇宙（ロケット・ロボット）戦争ストーリー）のイメージ概念図である。 Yoshino UniverseKazutora YoshinoUniverse EmpireEmily Yoshino SpaceFantasy, Science Fiction, ..., Story, to Real ...Lovely, 第三章：吉野一虎宇宙世界皇帝の宇宙（ロケット・ロボット）戦争ストーリー（吉野カズトラ宇宙世界帝国の宇宙戦争）
【手続補正２】
【補正対象書類名】図面
【補正対象項目名】図２０
【補正方法】追加
【補正の内容】
【図２０】
2018048555.tif 000290
【手続補正３】
【補正対象書類名】図面
【補正対象項目名】図２１
【補正方法】追加
【補正の内容】
【図２１】
2018048555.tif 000291
【手続補正４】
【補正対象書類名】図面
【補正対象項目名】図２２
【補正方法】追加
【補正の内容】
【図２２】
2018048555.tif 000292
【手続補正５】
【補正対象書類名】図面
【補正対象項目名】図２３
【補正方法】追加
【補正の内容】
【図２３】
2018048555.tif 000293
【手続補正６】
【補正対象書類名】図面
【補正対象項目名】図２４
【補正方法】追加
【補正の内容】
【図２４】
2018048555.tif 000294
【手続補正７】
【補正対象書類名】図面
【補正対象項目名】図２５
【補正方法】追加
【補正の内容】
【図２５】
2018048555.tif 000295
【手続補正８】
【補正対象書類名】図面
【補正対象項目名】図２６
【補正方法】追加
【補正の内容】
【図２６】
2018048555.tif 000296
【手続補正９】
【補正対象書類名】図面
【補正対象項目名】図２７
【補正方法】追加
【補正の内容】
【図２７】
2018048555.tif 000297
【手続補正１０】
【補正対象書類名】図面
【補正対象項目名】図２８
【補正方法】追加
【補正の内容】
【図２８】
2018048555.tif 000298
【手続補正１１】
【補正対象書類名】図面
【補正対象項目名】図２９
【補正方法】追加
【補正の内容】
【図２９】
2018048555.tif 000299
【手続補正１２】
【補正対象書類名】図面
【補正対象項目名】図３０
【補正方法】追加
【補正の内容】
【図３０】
2018048555.tif 000300
【手続補正１３】
【補正対象書類名】図面
【補正対象項目名】図３１
【補正方法】追加
【補正の内容】
【図３１】
2018048555.tif 000301
【手続補正１４】
【補正対象書類名】図面
【補正対象項目名】図３２
【補正方法】追加
【補正の内容】
【図３２】
2018048555.tif 000302
【手続補正１５】
【補正対象書類名】図面
【補正対象項目名】図３３
【補正方法】追加
【補正の内容】
【図３３】
2018048555.tif 000303
【手続補正１６】
【補正対象書類名】図面
【補正対象項目名】図３４
【補正方法】追加
【補正の内容】
【図３４】
2018048555.tif 000304
【手続補正１７】
【補正対象書類名】図面
【補正対象項目名】図３５
【補正方法】追加
【補正の内容】
【図３５】
2018048555.tif 000305
【手続補正１８】
【補正対象書類名】図面
【補正対象項目名】図３６
【補正方法】追加
【補正の内容】
【図３６】
2018048555.tif 000306
【手続補正１９】
【補正対象書類名】図面
【補正対象項目名】図３７
【補正方法】追加
【補正の内容】
【図３７】
2018048555.tif 000307
【手続補正２０】
【補正対象書類名】図面
【補正対象項目名】図３８
【補正方法】追加
【補正の内容】
【図３８】
2018048555.tif 000308
【手続補正２１】
【補正対象書類名】図面
【補正対象項目名】図３９
【補正方法】追加
【補正の内容】
【図３９】
2018048555.tif 000309
【手続補正２２】
【補正対象書類名】図面
【補正対象項目名】図４０
【補正方法】追加
【補正の内容】
【図４０】
2018048555.tif 000310
【手続補正２３】
【補正対象書類名】図面
【補正対象項目名】図４１
【補正方法】追加
【補正の内容】
【図４１】
2018048555.tif 000311
【手続補正２４】
【補正対象書類名】図面
【補正対象項目名】図４２
【補正方法】追加
【補正の内容】
【図４２】
2018048555.tif 000312
【手続補正２５】
【補正対象書類名】図面
【補正対象項目名】図４３
【補正方法】追加
【補正の内容】
【図４３】
2018048555.tif 000313
【手続補正２６】
【補正対象書類名】図面
【補正対象項目名】図４４
【補正方法】追加
【補正の内容】
【図４４】
2018048555.tif 000314
【手続補正２７】
【補正対象書類名】図面
【補正対象項目名】図４５
【補正方法】追加
【補正の内容】
【図４５】
2018048555.tif 000315
【手続補正２８】
【補正対象書類名】図面
【補正対象項目名】図４６
【補正方法】追加
【補正の内容】
【図４６】
2018048555.tif 000316
【手続補正２９】
【補正対象書類名】図面
【補正対象項目名】図４７
【補正方法】追加
【補正の内容】
【図４７】
2018048555.tif 000317
【手続補正３０】
【補正対象書類名】図面
【補正対象項目名】図４８
【補正方法】追加
【補正の内容】
【図４８】
2018048555.tif 000318
【手続補正書】
【提出日】平成25年4月1日(2013.4.1)
【手続補正１】
【補正対象書類名】明細書
【補正対象項目名】００１１
【補正方法】変更
【補正の内容】
【００１１】
【図１】図１は、エコロジー・エネルギー・システムのイメージ概念図である。
【図２】図２は、エコロジー・エネルギー・システムのイメージ概念図である。
【図３】図３は、エコロジー・エネルギー・システムのイメージ概念図である。
【図４】図４は、エコロジー・エネルギー・システムのイメージ概念図である。
【図５】図５は、エコロジー・エネルギー・システムのイメージ概念図である。
【図６】図６は、エコロジー・エネルギー・システムのイメージ概念図である。
【図７】図７は、エコロジー・エネルギー・システムのイメージ概念図である。
【図８】図８は、エコロジー・エネルギー・システムのイメージ概念図である。
【図９】図９は、エコロジー・エネルギー・システムのイメージ概念図である。
【図１０】図１０は、エコロジー・エネルギー・システムのイメージ概念図である。
【図１１】図１１は、エコロジー・エネルギー・システムのイメージ概念図である。
【図１２】図１２は、エコロジー・エネルギー・システムのイメージ概念図である。
【図１３】図１３は、エコロジー・エネルギー・システムのイメージ概念図である。
【図１４】図１４は、エコロジー・エネルギー・システムのイメージ概念図である。
【図１５】図１５は、エコロジー・エネルギー・システムのイメージ概念図である。
【図１６】図１６は、エコロジー・エネルギー・システムのイメージ概念図である。
【図１７】図１７は、エコロジー・エネルギー・システムのイメージ概念図である。
【図１８】図１８は、エコロジー・エネルギー・システムのイメージ概念図である。
【図１９】図１９は、エコロジー・エネルギー・システムのイメージ概念図である。
【図２０】図２０は、エコロジー・エネルギー・システムのイメージ概念図である。    本発明の図２０についての説明用のストーリ：吉野カズトラ宇宙世界皇帝は、吉野カズトラ宇宙世界皇帝国のエネルギーシステムを増強していた。 I.  宇宙太陽光発電システム（ソーラー（ユニット）サテライト）（USES）II.  宇宙太陽光電池製造システムIII.  宇宙核融合炉発電システムIV.  地上核融合発電システムV.  海上（海底）核融合発電システム 吉野カズトラ宇宙世界皇帝は、巨大な宇宙発電・太陽光エネルギー・送信システム（太陽の付近に宇宙太陽光人工衛星を配置）と受信システム（ロッキー山脈の頂にあるロッキーマウンテンナショナルパーク(Rocky Mountain National Park)や、アリゾナの砂漠、アラスカのマッキンレー山脈、サハラ砂漠、等）を作っていた。 吉野カズトラ宇宙世界皇帝は、また、宇宙での真空を利用して、（トカマク型）プラズマ封じ込め高温適圧の宇宙核融合炉を作ることを進めていた。 吉野カズトラ宇宙世界皇帝は、また、地上でプラズマ・イオン発電所を作り、プラズマ封じ込め高温適圧の宇宙核融合炉を運転していた。 吉野カズトラ宇宙世界皇帝は、また、海上で太陽光・風力・海洋エネルギー発電所を作り、海上（海底）核融合炉を運転していた。（核反応の事故に対して、比較的安全である） Reference:www.yoshinouniverse.comISBN0-8118-0897-1ISBN4-339-00552-5ISBN4-7853-6112-3
【図２１】図２１は、エコロジー・エネルギー・システムのイメージ概念図である。原子炉で、核燃料からエネルギーを取り出す。（オプション）再処理工場で、使用済み核燃料を、核燃料と核廃棄物（核のゴミ）に分離する。熱電発電（所）（システム）で、使用済み核燃料／核廃棄物（核のゴミ）からエネルギーを取り出す。使用済み核燃料／核廃棄物（核のゴミ）を、水、フィルム（紙）、金属（鉛、等）で囲み、放射能について封印するが、熱が出てくるのを、熱電発電で、電気エネルギーに、変換するシステム。
【図２２】図２２は、エコロジー・エネルギー・システム（日本の防衛システム）のイメージ概念図である。核燃料（プルトニウム、ウラン、等）などの核物質など、戦略的エネルギー物質を、日本に集める。核燃料・核爆弾・核廃棄物（核のゴミ）を、１．平和なら、平和利用する。（核エネルギーによって（核（燃料）を熱源として）、熱電発電する。）２．戦争なら、敵国に打ち込む。（埼玉県入間市の入間航空自衛隊（防衛軍）の地下ミサイル発射基地から、大陸弾道ミサイルなどを発射する。吉野カズトラ宇宙世界皇帝のシャチ型潜水艦から核ミサイルを発射する。吉野カズトラ宇宙世界皇帝の軍事衛星から核爆弾を投下する。等）Yoshino UniverseKazutora YoshinoUniverse EmpireKazutora YoshinoNuclear Energy Defense SystemLovely,
【図２３】図２３は、エコロジー・エネルギー・システム（太陽光熱カプセル発電システム）のイメージ概念図である。吉野一虎ソーラーライトカプセル効果：太陽光（熱）が、太陽で発生して（太陽中心：高温１６００万℃、太陽表面：低温温６０００℃）、太陽を囲む物質（ダークマター、素粒子、物質、保熱ガス、反応物質、捕熱物質、反射物質、等の適宜な組み合わせ）によって、光（熱）は、吸収・保持・反応、等をして、中温（数百万℃）になる。DM + gamma -> DM' + delta Egammaは、光（熱）などの（反応（素）粒子などの）エレメント。delta Eは、正／負／ゼロ、等のエネルギー（エレメント）とする。DM、DM’は、ダークマターなどの（反応（素）粒子・反応物質、物質）（群理論）エレメントで、DMとDM'は、同じエレメントでもよく、異なるエレメントでも良い。吉野一虎ライトカプセル効果：このシステムを、ミニチュア化したカプセルに二酸化炭素などの保熱ガス（捕熱ガス）を入れて、（太陽）光（／レーザー光）の照射をして、太陽光（熱）発電を行い、ミニチュア太陽光（熱）カプセル発電を行う。吉野一虎レーザー効果：二酸化炭素などの保熱ガス（捕熱ガス）に、（太陽）光（／レーザー光）を照射して、光（光子、レーザー光）を発光させて、光をカプセル内部で、反射させて、１００％ミラーと約９９％ミラーで、往復反射させて、誘導発光させて、同じ（ぐらいの）波長（周波数）と相（フェーズ）の光の束（レーザー光）を作り、約９９％ミラー側からコーヒーレントなレーザー光を、放つ。吉野一虎ネットワーク超特急効果：ミニチュア太陽光（熱）カプセル発電システムのユニットを、発電パフォーマンス良く、コストパフォーマンス良く、大量に作り、マトリクス上にして、日射量が十分にあるところに敷き詰めたり、電車の路線のサイドに並べたり、道路（高速道路）のサイドに、並べたりすることによって、日本（世界）全体が、ミニチュア太陽光（熱）カプセル発電システムによって、光ネットワーク発電システムとなる。 吉野アシュレーアヤメ女王偉大なる戦士は、吉野一虎効果（吉野一虎ソーラーカプセル効果、吉野一虎ライトカプセル効果、吉野一虎レーザー効果、吉野一虎（カズトラ）ネットワーク超特急効果、等の吉野一虎宇宙世界皇帝の効果）を、活用して、宇宙全体に、吉野アシュレーアヤメ女王による吉野一虎宇宙世界皇帝（宇宙銀河恒星ネットワーク・太陽系）光ネットワークシステムを構築して、宇宙・世界のエネルギー問題を、解決して行った・・・。
【図２４】図２４は、エコロジー・エネルギー・システム（熱（水蒸気／ガス）発電システム）のイメージ概念図である。水（／液体／気体／水素／ガス、等）に太陽光（熱）（エネルギー）、（ガスの）火、熱（等）を投入して、水蒸気（／ガス）にして、タービンを回転して、発電機で、発電するシステム。オプションとして、水蒸気（／ガス）を冷却して、水（／液体／気体／水素／ガス、等）にして、サイクル（リサイクル）するシステム。
【図２５】図２５は、エコロジー・エネルギー・システム（吉野一虎宇宙世界皇帝の核戦争用の鎧兜（防衛システム））のイメージ概念図である。ダイヤモンド、タングステン、ステンレス、鉄、鉛、防弾ガラス、セラミック、紙、スポンジ、水（汗）、バッテリー、シリコン、コンピューター、ディスプレイ等を、適宜に組み合わせて、放射能を遮断するタイガーシールド。本発明は、アルファ粒子線、ベータ線、γ線を遮断する物質（マテリアル）を用いた装甲・鎧（アーマー）である。オプションとして、周りの見た目に合わせて、色や柄を2D/3Dでディスプレイできるカメレオンシールド。この鎧兜を纏った軍隊を、カメレオン・アーミーとして、敵（の核兵器・軍隊）と戦うシステム（自衛隊・国防軍・民間安全警備武装集団（傭兵））。ディスプレイ、コンピューター、電子機器の電源、若しくは、バッテリーなどの充電器としてのブーツ（靴）による、歩行発電（靴発電システム）。ピエゾエレクトロニック素子（圧電素子）、発電機、弾性物質、等によって、発電して、バッテリーに電気を充電する。オプションとして、スプリングなどを用いて、発電しながら、跳躍力を抜群に向上させるジャンプ（発電）シューズ。本発明は、カメレオン・アーミーの鎧を電子的に機能させるのに必要な電源は、歩行発電ブーツから得ることが可能である。その際の戦士達の戦闘シーン（風景）の概念図が、示されている。
【図２６】図２６は、エコロジー・エネルギー・システム（太陽光熱カプセル発電システム：パラボラミラーバージョン）のイメージ概念図である。最良の形態の一つを示している。パラボラミラーによって、反射した光（エネルギー）を、（カプセル）球に集光させて、（熱反応、化学反応、核反応などの）反応、等を起こさせるシステム。
【図２７】図２７は、エコロジー・エネルギー・システム（水素と酸素による燃料電池発電（ガス発電）システム）のイメージ概念図である。ダイヤモンド／DLC／金属／カーボン（ファイバー）等の（軽くて丈夫な）強い（高圧のガスや、液体に耐えうる）容器に、濃縮ガス（濃縮水素ガス、濃縮酸素ガス）、液体（液体水素、液体酸素）等を入れる。水素と酸素を適宜な量を、コンピューター制御機、バルブなどで、摘出して、燃料電池に、投入して、電気（エネルギー）を発生させる。電気を直接用いるか、バッテリー等に充電して用いる。水素と酸素の反応によって出来た水を、（浄化フィルターに通して）、飲料水にする。宇宙船などでの宇宙航行が、長期の滞在の場合に、水素・酸素燃料から、水を作り、フィルターで飲料水を作り、飲むことが可能である、エコロジー・スマート・システム。宇宙旅行に、飲料水を、持ってゆくことが、可能であるが、水が、もっと必要なときとか、緊急時とかに、もっと飲料水を作ることが必要な際に、有用なシステムである。
【図２８】図２８は、エコロジー・エネルギー・システム（エネルギー炉（熱炉））のイメージ概念図である。
【図２９】図２９は、エコロジー・エネルギー・システム（吉野カズトラ宇宙世界皇帝のエネルギー炉（熱炉）と無線／タイマー式の起爆装置による核爆弾）のイメージ概念図である。
【図３０】図３０は、エコロジー・エネルギー・システム（吉野一虎宇宙世界皇帝の靴（防衛・防寒システム））のイメージ概念図である。ピエゾエレクトリックなどの圧電素子で発電したり、動力を利用して、発電したり、核燃料の熱で、発電したりして、熱エネルギーを用いて、エネルギーシステム（（防寒用のヒーター等の）の靴等）を作る。
【図３１】図３１は、エコロジー・エネルギー・システム（吉野一虎宇宙世界皇帝の核電池、核エネルギー、加速器核エネルギーシステム））のイメージ概念図である。核燃料、核廃棄物、（加速器で加速された陽子を核廃棄物（半減期約２万年）に当てて、（半減期を約３０年にした）放射性物質）等や、その適宜な組み合わせから、核（熱）電池を作る。加速器の放射エネルギーによって、宇宙船を飛ばす（運行する）。
【図３２】図３２は、エコロジー・エネルギー・システム（吉野一虎宇宙世界皇帝の核核融合炉エネルギーレーザーシステム（核融合レーザー起動用集光レンズ）））のイメージ概念図である。適宜な波長（若しくは、その組み合わせ）のレーザービームを、レンズで一点に集光（集中）させて、（プラズマ熱エネルギー）核融合を起因する。特に、紫外線、X線、γ線、などの（短波長）高周波のコーヒーレントな光子パッケージ（レーザー光ビーム、等）を用いると良い。そのレンズ方程式を示している。
【図３３】図３３は、エコロジー・エネルギー・システム（吉野一虎宇宙世界皇帝のカズトラ型の核融合炉：カズトラ型核融合炉エネルギー（レーザーヒーティング）システム（核融合レーザーヒーティング起動）））のイメージ概念図である。カズトラ型核融合炉は、トロイダル型（トカマク型）核融合炉を単数／複数、トロイダル型に纏めた型である。プラズマは、真空／ガス／プラズマ内にあるか、磁場・磁界（電場・電界／電磁場・電磁界）内にあっても良い。極力、外部に熱が流出しないように、高磁界にして、Tc（クリティカルテンパーチャー）を高温にして、プラズマを封じ込めて、レーザー（若しくは、マイクロウェーブ、等）で、ヒーティングして（局所場で核融合（ニュークリア・チェイン・リアクション）の初期反応を起こさせて、核融合（ニュークリア・チェイン・リアクション）連鎖反応させる）、プラズマを高温にして、（熱）核融合を起こさせる。（オプションとして、トロイダル型纏めた型のリング部に、オプションフィールド（例えば、磁界）を作るのも良い。）
【図３４】図３４は、エコロジー・エネルギー・システム（吉野一虎宇宙世界皇帝の核融合ロケット（核融合エンジン）：ネオ・カワセミ・プロジェクト：空飛ぶイルカ、空飛ぶイカ））のイメージ概念図である。羽を畳んで海底から発射された空飛ぶイルカは、水中を水ジェットエンジンで走行（航行）して、空中に羽を広げて飛び立ち、空気ジェットエンジンで走行（飛行）して、羽を畳んで宇宙をロケットエンジン（イオンエンジン、プラズマエンジン、ロケットエンジン、核ロケットエンジン、等）で、走行（宇宙航行）する。宇宙防衛のため、核爆弾などで、宇宙からの攻撃（上からの攻撃）をかけることも可能である。
【図３５】図３５は、エコロジー・エネルギー・システム（吉野一虎宇宙世界皇帝のエネルギー・エレクトリシティー・ジェネレーター・システム）のイメージ概念図である。太陽光発電（スチーム発電）、風力発電、海洋力発電、核反応発電（原子炉発電、核融合炉発電、などによるスチーム（ガス）発電）等の発電機システム。プロペラを回転させる。回転軸についている磁石が回転する。前記磁石の回転により、超伝導体内にあるリング磁石が誘導されて回転する。また、磁石と超電導の組み合わせによる非接触な、回転軸とカバーによって、摩擦が殆どない、回転を獲得する。回転効率が良い、起電力を発生させる。オプションとして、トランスフォーマーで、電圧・電流の調整をする。バッテリーに充電したり、電力として用いる。
【図３６】図３６は、エコロジー・エネルギー・システム（吉野一虎宇宙世界皇帝のエネルギー・エレクトリシティー・ジェネレーター・システム）のイメージ概念図である。太陽光発電（スチーム発電）、風力発電、海洋力発電、核反応発電（原子炉発電、核融合炉発電、などによるスチーム（ガス）発電）等の発電機システム。プロペラを回転させることによる発電システムのパワー（電力）のコンセプト・カリキュレーション（Concept Calculation）(概算)。
【図３７】図３７は、エコロジー・エネルギー・システム（吉野一虎宇宙世界皇帝のモーター・ジェット・ボード、モーター・ボート）のイメージ概念図である。水上ロケットランチャー、若しくは、水上から発射するロケット。ジェット・ウィンド・サーフィング。風力でウィンド・サーフ・ボードを動かし、その際、エネルギー・エレクトリシティー・ジェネレーターで、バッテリーに、電気を充電する。風があまりない時は、バッテリーによって、モーター（＋ギヤ）＋プロペラを回転させて、航行する。オプションとして、バッテリーを複数持ち、電力・ギヤによって、ウィンド・サーフ・ボードの速度をコントロールする。人が載るか、無線で操作か、人工知能、等によって航行する。
【図３８】図３８は、エコロジー・エネルギー・システム（吉野一虎宇宙世界皇帝の空飛ぶイルカ、ドラゴン、モーター・ジェット・ボード、モーター・ボート）のイメージ概念図である。特に、翼（羽）の構造（ダイアモンド型）、翼の開閉についてと、ダイヤモンド・ダイナミクス・メソードを示す。（２D／３Dで）翼（羽）を動かして、浮力を得ることも可能である。海中で航行しているときは、翼を閉じて、空で飛行しているときは、翼を広げ（用いて）、宇宙で宇宙航行しているときは、翼を閉じるか、若し、（（シリコンや色素増感型等の）太陽光シートなどなら）太陽光（シート）翼を広げるのが、最善の形態である。
【図３９】図３９は、エコロジー・エネルギー・システム（吉野一虎宇宙世界皇帝のシャフト・ローテーション・ベアリング・システム）のイメージ概念図である。モーター、発電機、ジョイント、等の部分に、ベアリングの周りを、ベアリングで囲み、スムースなオペレーションを可能にするシャフト・ローテーション・ベアリング・システムである。同様に、複数のレイヤーを用いても良い。シャフト・ローテーション・ベアリング・システム＝（（メインベアリング＊サブベアリング）＊Lレイヤー）（L＞＝１）。このシャフト・ローテーション・ベアリング・システムによって、モーターの回転効率や発電機の発電効率が良くなるという効果がある。
【図４０】図４０は、エコロジー・エネルギー・システム（吉野一虎宇宙世界皇帝のスーパーマン（計画））のイメージ概念図である。Yoshino UniverseKazutora YoshinoUniverse EmpireKazutora YoshinoEmperor's Super Man ProjectLovely, 一般的なエンジン、キシレン、ガソリン、水素＋酸素、等を用いるジェット・エンジン、ロケット・エンジンでも良いが、ジェット・ロケット・エンジンを用いるのが最適である。ジェット・ロケット・エンジンは、（小型原子炉／）、小型核融合炉で、燃料の水を沸かして、水蒸気（スチーム）を噴出させて、ジェットを作るロケットエンジンを、箱に取り付ける。ジェット・ロケット・エンジンは、箱の上の方に付けると、横から下にジェットを噴出するので、バランス的に安定する。ジェット・ロケット・エンジンを、箱の下の方に付けると、ジェットが、下に噴出されるので、熱流体的には、効率が良い。二つのジェット・ロケット・エンジンでも、飛行が可能な（動力・エネルギー）レベルにしておく。基本形は、四つのジェット・ロケット・エンジンを用いて、（光学）ジャイロスコープ、加速度センサー、GPS、コンピューター（ジェネリック・アルゴリズム等を用いる人工知能）を用いて、ジェットを噴出したり、逆噴射して、最適な、バランス、位置、方向を、獲得する。緊急の時等は、マニュアル操作も可能にする。四つのジェットエンジンのうち、一つが破損などしたら、対照側にあるジェット・ロケット・エンジンも停止して、二つのジェット・ロケット・エンジンによる飛行（マニュアル操作も出来るようにする）に、切り替えることが可能にする。又、出来るだけ速やかに着地するようにする。若しくは、ジェネリック・アルゴリズムや摂動論的制御、等の最適制御によって、三つのジェット・ロケット・エンジンを、微妙に操作・制御して、当分は、飛行を続けることが可能にする。ダイヤモンドや防弾ガラスのような素材を壁にして、飛行中に、美しい風景など、見渡しが良いようにしても良い。民間の観光用に用いることも可能であり、軍事用の偵察機のように用いることも可能である。パイロットや宇宙飛行士が箱の中にいるなら、内部に空気（酸素）タンクを入れておけば、燃料が続くなら、空から、宇宙に航行しても良い。宇宙の景色（宇宙の夜景、星星の輝き、天体の芸術）などが、美しく、ダイアモンドに映るであろう。
【図４１】図４１は、エコロジー・エネルギー・システム（吉野一虎宇宙世界皇帝のフライング・ジェット・モービル）のイメージ概念図である。 Yoshino UniverseKazutora YoshinoUniverse EmpireKazutora YoshinoEmperor's Flying Jet MobileLovely, 空気をプロペラを回して、上、横、下、斜めなどから吸引して、燃料と混ぜて、燃焼して、ジェットを作る。モーターによってプロペラを回しても良い。フライング・ジェット・モービルは、森やジャングルで、軍事的な偵察等を行う際に、小回りが利く、便利な乗り物である。
【図４２】図４２は、エコロジー・エネルギー・システム（吉野一虎宇宙世界皇帝のフラップ式ウィング、フラップ式プロペラ）のイメージ概念図である。 羽や、プロペラに、フラップを付けて、気流のコントロールをする。特に、高い角度（フラップ角度）をつけて、離陸や着率の距離を短くできる（例えば、４５度〜５５度ぐらい）。飛行時は、（例えば、約１５度〜５５度ぐらいの）高くない羽の角度（フラップ）で飛行すると浮上・飛行効率が良い。プロペラの場合は、回転初期と、回転中期、回転後期、上昇期、浮上期、下降期、飛行期、などに合わせて、羽の角度（＋フラップ角度）をコントロールすることが、可能である。
【図４３】図４３は、エコロジー・エネルギー・システム（吉野一虎宇宙世界皇帝のフライング・ジェット・モービル）のイメージ概念図である。Yoshino UniverseKazutora YoshinoUniverse EmpireKazutora YoshinoEmperor's Flying Jet Mobile (Theoretical, Practical Method)Lovely, ヘリコプター、飛行機、フライング・ジェット・モービル、スカイ・カーズ、等のプロペラの数式化であり、羽をコンパクト化するための技術である。システムがスケーラブルな際、プロペラのサイズをPropeller Length 1として、モーターのトルクをMotorTorque、モーターの回転数をMotor Omegaとして、プロペラ／羽の角度を、例えば１５°ぐらいとか、４５〜５５°ぐらいに設定すると、基本的な部分は、定数のように扱えて、Force Lift = (Motor Torque/Propeller Length 1)*Csになるので、羽がコンパクトで、（数多くの）プロペラで、回転が速い方が良い。普通は、rg1/rg2 >= 1/30 ぐらいにするが、最善の形態を、rg1/rg2>= 1  とする。rg1/rg2 >= 10・・・とギヤの逆比率を向上させると、リフトの効率が良いが、シャフト・ギヤなどの（シャフト・ギヤ変換）効率があるので、直接プロペラを、モーターに付けるのが、シャフト・ギヤ変換効率が、１００％となるので、最も効率が良い。
【図４４】図４４は、エコロジー・エネルギー・システム（吉野一虎宇宙世界皇帝のヘリコプター・宇宙（核）ロケット開発）のイメージ概念図である。 ヘリコプターから始めて、（３Dペン、３Dコントローラー、脳波コミュニケーター、人工心臓、（iPS）幹細胞臓器、成型臓器（３Dプリンターで、細胞と細胞を決着剤などで付着させて、臓器を直接作る）、などの経由で）、宇宙（核）ロケットを、製造する方法。また、プロジェクトを映画化するためのストーリーであって、この（映画による収益）によって、ヘリコプター、宇宙（核）ロケットを製造する宇宙開発（宇宙医療）ビジネス・モデルの方法。 吉野カズトラ宇宙世界皇帝のストーリー：吉野庭園→ヘリコプター基地→人工心臓製造→ロケット基地→ドラゴン（龍）の開発→宇宙世界征服→吉野カズトラ宇宙世界皇帝と吉野アシュレーアヤメ女王偉大なる戦士のラブ・ロマンス（恋愛ストーリー）。
【図４５】図４５は、エコロジー・エネルギー・システム（吉野一虎宇宙世界皇帝の太陽光発電・風力発電・等の発電所型の吉野信法王鳳凰神社の開発）のイメージ概念図である。 ヘリコプター、宇宙（核）ロケット開発の（準備の）方法とか、吉野カズトラ宇宙世界皇帝と吉野アシュレーアヤメ女王偉大なる戦士のラブ・ロマンス（恋愛ストーリー）。ヘリコプター、宇宙（核）ロケットの開発費を得るための（吉野神道新信仰）吉野一虎宇宙世界皇帝の太陽光発電・風力発電・等の発電所型の吉野信法王鳳凰神社神社の設計と構築。また、その（プロモーションビデオ用・宣伝用・映画用・現実化用の）ストーリー。 吉野カズトラ宇宙世界皇帝のストーリー： Yoshino UniverseKazutora YoshinoUniverse EmpireKazutora YoshinoEmperor's Love RomanceLovely, Yoshino UniverseKazutora Yoshino Universe EmpireKazutora Yoshino Emperor's Shrine 吉野カズトラ宇宙世界皇帝は、吉野信法王鳳凰神社を、始めていた。吉野信法王鳳凰神社は、天照大御神を祀り、『自然は、神。野生は、友。』というキャッチフレーズの基に、信者や白い動物達を、大事にしていた。特に、紀州犬(花)、アークティックウルフ(不思議)や、シロキツネ、シロネコ、ムササビ、モモンガ、白龍、等を、大事にしていた。吉野信法王鳳凰神社の屋根の先端には、鳳凰のデザインの風車が付いていて、屋根には、太陽光パネルが付いている、自然に優しいエコロジー・システムによって運営されていた。信者達は、自然に合わせて、風の来る方向を向く鳳凰型風見鶏(風車)や光(太陽光パネル)や川の水や湖の水や雨水や井戸水や海水や自然エネルギーを、信仰の対象とする、八方美人の吉野ファミリーのメンバー達や、キャバ嬢達や、ホスト達、動物愛護者達、飲食業・水商売関連関係者達、農林水産業者達、パラグライダーパイロット達、パイロット達、航空自衛隊達、、軍人達、警察達、ヨットレーサー達、ボートレーサー達、船主達、船長達、ホースダービーの馬主達、写真関連関係者達、宣伝業者達、画像関連関係者達、テレビ関連関係者達、放送関連関係者達、映画関連関係者達、女優達、俳優達、モデル達、方位学者達、法医学者達、医者達、医療関連関係者達、植物学者達、生化学者達、バイオインフォマティクス関連関係者達、システムエンジニア達、物理学者達、技術者達、プログラマー達、宇宙開発事業団関連関係者達、ビジネス関連関係者達、特許関連関係者達、エネルギー関連関係者、等が、多かった。吉野カズトラ宇宙世界皇帝は、太陽光発電所や、風力発電所、等の研究開発を、Yoshino Universe研究所でしていたが、コンピューター・システム管理は、IBM研究所にさせて、ネットワーク管理は、ベル(Bell)研究所にさせていた。・・・。吉野カズトラ宇宙世界皇帝は、また、Yoshino Universeと吉野エミリー女王と吉野レベッカハル女王の管理の元に、日本政府に、奈良の吉野川のダムの水や富士山の水や海水等の水を、東レのウォーターヒィルターを用いて、飲料水にさせて、『(奈良の)吉野の綺麗な水』という商品名で、世界中に、輸出した。吉野カズトラ宇宙世界皇帝は、また、エネルギー・エコロジー・システム・アプリケーションの研究開発を進め更に良いエコロジー・システム(USES, USEN)、ロケットの研究開発、宇宙開発を、進めていた。・・・・。吉野カズトラ宇宙世界皇帝の吉野��宙開発基地は、白き龍に守られた城(ホワイトハウスWhite House)と呼ばれて、龍型・竜巻のような巨峰のブドウの木(ツタ)に囲まれた、白い家と果樹庭園の内側(吉野信法王の邸宅領土内)にあった。・・・。 吉野カズトラ宇宙世界皇帝は、吉野カズトラ宇宙世界皇帝と吉野の葡萄の園を守るためのボディーガード女子軍団を作り始めていた。あまり現実的ではなかったが、吉野カズトラ宇宙世界皇帝は、水龍拳の一部として、健康空手を、始めていた。吉野カズトラ宇宙世界皇帝の健康空手は、女の子、女子高生、女子大生、OLを、メンバーにして、戦闘用と言うよりは、むしろ健康面での体力強化を目指して、吉野カズトラ宇宙世界皇帝と吉野の果樹庭園（吉野のブドウ園）の警備を目的としていた。吉野カズトラ宇宙世界皇帝は、健康空手のプロモーションビデオを作ろうとしていて、大妻女子大生、等の女子大生達に、吉野カズトラ宇宙世界皇帝を、宣伝しようとしていた。吉野カズトラ宇宙世界皇帝は、埼玉県入間市(入間航空自衛隊による航空防衛)を、基軸とした、日本首都・都市開発を進めていた。・・・。 吉野カズトラ宇宙世界皇帝は、吉野信法皇鳳凰神社と、埼玉県入間市の都市開発のために、神社のさい銭と、風力エネルギーと、太陽光エネルギー、等を用いていたが、世界中から税金を徴収することにした。そのためには、共通通貨が必要となり、吉野カズトラ宇宙世界皇帝は、Yoshino Universe、アメリカ合衆国政府、日本政府、国際連合のIMFを用いて、ユニバーサル・マニー・システムを、作った。吉野カズトラ宇宙世界皇帝は、国民一人一人に、ソーシャルセキュリティー番号や、国民共通番号を、渡して、各々に、資産を、ユニバーサル・マニーのポイントに、変換した。物の売買には、基本、ユニバーサル・マニーのポイントが、必要で、これによって、Yoshino Universe、政府は、国民の販売記録・購買記録がよくみえて、税金(消費税、等)も電子化されて簡単になり、一般にも、不正取引や、闇取引が、殆どなくなった。これによって、特許など正しい新技術への投資や融資が、促進されて、経済、社会が、発展した。・・・。 吉野カズトラ宇宙世界皇帝は、国際的な、税金の徴収のために、ソーシャルセキュリティー番号か、国民共通番号を持つ(アメリカ人、ロシア人、ヨーロッバ人、日本人、朝鮮人、中国人、インド人、アラブ人、等の)国民一人一人に、各国政府の税金を用いて、(固定)IPアドレスを、配布した。(約100億人ぐらいなら、許容可能なシステム。) ソーシャルセキュリティー番号や国民共通番号にリンク対応した固定IPアドレスによって、アメリカ人や日本人、等は、各自、自らのホームページを作り持つことが可能になり、自らの写真やプロフィールを表示することになり、また、国税庁などのホームページに直ぐアクセス出来て、各自の税金の納付状況等も、直ぐに分かるようになった。また、インターネット(サイバースペース)での経済効果が向上して、より多くの税金を徴収することが、可能になった。これにより、吉野カズトラ宇宙世界皇帝は、宇宙開発(ロケット開発、ロボット開発)とか、自らの美容法や、吉野カズトラ宇宙世界皇帝の若返りの研究開発を進めていた。例えば、アルコール食塩水美容法(水分補給美容法)や、iPS細胞を用いた人工臓器や、若返り医療である。吉野カズ��ラ宇宙世界皇帝のアルコール食塩水美容法(水分補給美容法)を修得した、吉野カズトラ宇宙世界皇帝と吉野エミリー女王は、若さを維持出来たので、肌が滑らかな(色白な)菜食主義のバンパイヤー、等と、言われることもあった。しかし、バンパイヤーの国々は、水、食べ物、領土、等の取り合いの戦争を始めていた。吉野エミリー女王の娘の吉野クリスタルヒカリ女王は、肌が、雪のように白い美女だったので、白雪姫と言われたが、隣国の魔女(バンパイヤー)女王に嫉妬されて、魔女女王が、攻めてきたので、森に隠されて、小さな子ども達と、一緒に育った。吉野クリスタルヒカリ女王(白雪姫)は、ハンターに守られながら、自国の復興を始めていた。・・・。 続く。
【図４６】図４６は、エコロジー・エネルギー・システム（吉野一虎宇宙世界皇帝の空飛ぶ家（ロケット・ハウス））のイメージ概念図である。 吉野一虎宇宙世界皇帝の空飛ぶ家（ロケット・ハウス、スカイ・ハウス）：本箱型家（ロケット・ハウス、ブックシェルハウス）。ユニット・ルームを積層する（積み上げる）ことによって、高層ビル、ロケットの構築が可能でる。ロケットの高さに合わせたユニット・ルーム（の数）を構築することが可能である。基本設計をユニット単位で出来るので、ユニット・ルームの大量生産化が可能であるため、ロケット・ハウスの大量生産が、可能になる。 本発明は、コストパフォーマンスが良いロケット（ロケット・ハウス）である。また、設計と構築の時間短縮（ラン・タイムの軽減）による、シナジー的なコストパフォーマンスも良い。 オプションとして、プロペラ、ロケットエンジン、などの搭載によって、空中、宇宙を、飛び回れるようにする（空飛ぶ家：スカイ・ハウス、ロケット）。（本発明によって）、ロケット・ハウスに住んでいるまま、宇宙旅行が可能になる・・・（という効果もある）。 宇宙空間では、（殆ど）無重力状態になるので、部屋は、広く使える方が良い（宇宙服が引っかからないようにする）ため、階段を（宇宙服を着たまま通れる程度に細く）壁側に（／適宜な場所に）作ったり、無重力でも宇宙飛行士の方向感覚が研ぎすまれるように、階段の方向を一致させておいたり、ルーム・番号（ルーム階）を明示（はっきり表示）しておくのも可能である。また、物品に、ICタグをつけておいて、コンピューターで、位置情報などを、管理して、無重力で、物が浮遊していても、何処に何があるのか分かるようにしておくのも可能である。 ３Dペン（３Dコントローラー）で、ロケットの位置・速度・加速度・方向・軌道、等をコントロールしても良い。
【図４７】図４７は、エコロジー・エネルギー・システム（吉野一虎宇宙世界皇帝の宇宙戦争ストーリー）のイメージ概念図である。 ロケット・ロボット・人工知能・ビジネスの開発。それを現実化するための資本獲得のための、プロモーションビデオ用・宣伝用・映画用（吉野エミリー女王の映画製作、SF（スペースファンタジー、サイエンスフィクション））・現実化用のストーリー。 第一章吉野カズトラ宇宙世界皇帝の日本食の進め吉野カズトラ宇宙世界皇帝は、日本の森林(特に、杉の森林)を、伐採して、花粉対策をして、杉から日本食用の高級なお箸(はし)を大量生産して、日本食の市場進出を進めながら、海外市場に日本食とお箸を販売して、利益を得ていたのである。吉野カズトラ宇宙世界皇帝は、元々、数学、物理学、エネルギー工学、生物学、生化学、遺伝子工学、システム工学、農業ロボット工学、軍事ロボット工学のエキスパートだったので、日本食の生産販売が上手で、弁当等の日本食の国際ネットワークを築くことが出来たのである。 ・・・。続く。 第二章吉野カズトラ宇宙世界皇帝のゴースト戦略と吉野カズトラ宇宙世界皇帝の新エネルギー戦略 第二次世界対戦の延長戦が、朝鮮戦争、ベトナム戦争、冷戦、湾岸戦争、対テロ戦争であった。ヒロヒト、山本イソロク、吉野幸信の遺言が、ゴースト戦略として、吉野カズトラ宇宙世界皇帝に、受け継がれていた。吉野カズトラ宇宙世界皇帝のグループは、政府側(北朝)と、反政府側(南朝)に、二分して行った。 吉野カズトラ宇宙世界皇帝は、秘密警察捜査官達を配備して、自衛隊の内部に核心的な右翼、警察の内部に、革新的な右翼を潜入させて、国際的な警察右翼ネットワークを、構築していた。吉野カズトラ宇宙世界皇帝の直属の部下達を、警察や自衛隊にすることによって、吉野軍事グループの部隊の訓練費を、国に持たせれたためである。吉野カズトラ宇宙世界皇帝は、アメリカ軍、スカルアンドボーン、フリーメイソン、帝国軍、ネオナチス、自衛隊、韓国軍、サムスン、ロシア軍の連携を計り、アメリカ軍のスカルアンドボーンに、世界征服をさせて、日本の自衛隊右翼に後始末をさせた。 吉野カズトラ宇宙世界皇帝は、吉野カズトラ宇宙世界皇帝の反政府側のグループを、自衛隊、警察に配備した。日本の自衛隊と警察ネットワークにアメリカの警察ネットワークも加わり、911(アメリカ警察の電話番号の日にち)に、アメリカ合衆国で警察革命が起きた。背後には、アメリカ軍のスカルアンドボーンがいたが、日本のある怪盗団、アルカイダ(裏社会の犯罪ネットワーク)が、背後にいるように、情報操作されていた。 吉野カズトラ宇宙世界皇帝は、吉野カズトラ宇宙世界皇帝の政府側のグループを、政府、政党に配備した。しかし、自由民主党(北朝:アメリカ側)、民主党(南朝:中国側)で、政治的な対立も起きた。民主党革命により、一時、民主党が優位に立ったが、自由民主党が、革命返しをした。 自由民主党と民主党の対立を始め、南北朝で、幾つも主義・立場の対立が起きた。特に、TPPの参加交渉についてでさえ、国を二分する対立が、起きたのである。吉野カズトラ皇帝国は、新南北朝時代に突入した。このことにより、皆が激しい暴風と荒波のなかを航行するような状況になっていった。吉野カズトラ宇宙世界皇帝は、楽天家な���で、暴風を風力発電に用いて、荒波（海流）を海洋発電に用いようとしていた。吉野カズトラ宇宙世界皇帝は、勿論、（宇宙）太陽光エネルギー発電も進めていた。これが、吉野カズトラ宇宙世界皇帝の新エネルギー革命である。 吉野カズトラ宇宙世界皇帝は、吉野カズトラ宇宙世界皇帝の名言、『日は、又、昇る。』と言った。これは、日本が、再び世界の中心になり、日本の先端技術が、進み、日本が復興して、Made In Japanが、世界で求められる有名ブランドになることを、示唆していたのである。 吉野カズトラ宇宙世界皇帝は、新エネルギーの開発、エコロジー・システムの開発、（宇宙）太陽光発電システムの開発と改善を、着実にコツコツ、進めていた。・・・・。続く。 Yoshino Universe ・・・ Yoshino UniverseKazutora YoshinoUniverse EmpireKazutora YoshinoEmperor's PowerTomoko Yoshino Queenvs Rebecca Haru Yoshino QueenLovely, Tomoko Yoshino Queen vs Rebecca HaruYoshino Queen 吉野カズトラ宇宙世界皇帝の影響力と支配力は、絶大である。 吉野友子女王と、吉野レベッカハル女王が、吉野カズトラ宇宙世界皇帝の継承戦争を始めていた。特に、バイオ・ウォー・フェアが、激戦化していた。吉野友子女王学派は、ロシアの生物兵器開発の学者連合で、生物の知識のある大人数だった。吉野レベッカハル女王学派は、アメリカ合衆国の生物兵器開発の学者連合で、少人数で生化学・分子生物学・バイオインフォマティクスなどで洗練された学者達だった。吉野信法皇学派は、日本と中国の学者達で、初めの頃は、対岸の火事のように、この戦いを傍観していることが多かったが、徐々に、この戦いに巻き込まれて行った。・・・ 吉野エミリー女王学派は、宇宙開発、吉野クリスタル女王学派は、ロケット・スペースシャトル等の開発、吉野アシュレー女王学派は、スペースステーション・ドラゴン等の開発をしていたので、この戦いに、巻き込まれないで済んだ。・・・ 吉野友子女王学派は、日本の医師会（タケダ派）を作り反政府団体（政府・政党・病院、等に入り込んだ暗殺部隊）を組織して、吉野レベッカハル女王学派は、日本の歯科協会（タカダ派）を作り反政府団体（政府・政党・歯医者、等に入り込んだ暗殺部隊）を組織した。ここに、医師会（タケダ派）と、歯科協会（タカダ派）の戦いが始まっていた。タケダ派とタカダ派は、日本政府、アメリカ合衆国政府にまで浸透して行き、アメリカ合衆国政府では、タケダ派は、鳩派、タカダ派は、鷹派と、呼ばれた。鳩派も、鷹派も、ターゲットの人物を殺害する方法を幾つか持っていた。鳩派は、危険な薬等を、投与したり、必要な薬を十分に投与しないでターゲットを殺害することが多かった。特に、結核治療に見せかけて、十分な抗生物質を投与せずに、わざと抗生物質耐性細菌を作り、ターゲットの人物を殺害することが多かった。鳩派は、中耳炎の細菌を品種改良・遺伝子組み換えをして、殺人細菌・殺人ウイルスを作り、ターゲット人物の耳に移植した。鷹派は、胃の中にいる細菌で、虫歯菌になる細菌を品種改良・遺伝子組み換え等して、殺人虫歯菌、殺人ウイルスなどを作り、ターゲット人物の虫歯治療の際に、殺人虫歯菌や殺人ウイルスを健康な歯や虫歯になりそうな歯に移植した。殺人虫歯菌や殺人ウイルスは、口に蔓延りドライマウス、鼻に入りドライノーズ、目に入りドライアイ���原因になったりして、脱水症状を引き起こして行った。殺人虫歯菌や殺人ウイルスは、徐々にターゲット人物の健康体を侵食して行き、極度の脱水症状などによって、死に至らせた。銃を持つ警察、重兵器（アンティーク・ウェポン）を基軸とした自衛隊などは、このバイオ・ハザードに対して、殆ど無力であった。・・・ 日本の政治家（自民党）たちは、医師会（タケダ派）とグルで、日本の弁護士会（民主党、共産党）は、歯科協会（タカダ派）とグルで、ターゲットの人物が、攻撃をしてきた人達に反撃したり訴えられないように、暴力行為に出て、ターゲットの人物を直接殺そうとしたり、ターゲットの人物の心理操作、等をしていた。・・・ これに対して、吉野カズトラ宇宙世界皇帝の指導のもと、日本政府の社民党の協力を得て、吉野綾子将軍、吉野世礼菜副将軍による、新たな生物兵器戦闘部隊（政府・政党・環境省・農林水産省、市役所農政課、農業委員会、農業組合、等に入り込んだ暗殺部隊）が形成された。これが、アンブレラ・コーポレーションであり、新技術金属農業開発の基軸となった組織である。アンブレラ・コーポレーションは、アンブレラ基金を持ち、貴金属の販売ネットワークを持ち、トラクターや人工知能塔載の農業用ヘリコプターや農薬散布用爆撃型戦闘飛行機、スカイカーズ、（天候、天気予報）気象衛星用軍事衛星などの農業設備の開発を管理して、稲や麦などの農作物を侵食する細菌、ウイルス、カビ等やその抗菌物質、抗菌遺伝子配列、等を研究開発・管理していた。・・・ この戦いは、日本と中国の尖閣諸島問題、アメリカ軍の普天間基地移設、TPPへの参加交渉、日華思想・入間（航空自衛隊）基地優位主義、を起爆剤として、激戦化して行った。アメリカ軍とロシア軍の第一次冷戦から、アメリカ＋日本＋韓国  ｖｓ  北朝鮮＋中国  の第二次冷戦に入って行き、第二次朝鮮戦へと発展して行った。しかし、吉野カズトラ宇宙世界皇帝を尊敬する北朝鮮は、日本側に協力することになり、形成は、アメリカ＋日本＋韓国＋北朝鮮  ｖｓ  中国となってしまい、次第に、世界の中心が、吉野カズトラ宇宙世界皇帝が司令塔として用いている日本・日本政府（特に、入間（航空自衛隊）基地）になって行った。吉野カズトラ宇宙世界皇帝を尊敬する中国は、日本との良好な関係を維持することを決め、第二次冷戦（裏の第三次世界大戦）だけで済み、結果として、（表の）第三次世界大戦は、回避することができた。しかし、むしろ、TPPなどの関連で、アメリカ合衆国とカナダの間で、内部抗争が起こり、ロシアが暗躍したので、戦場は、アメリカに、なって行った。アメリカが戦場になり、アメリカ合衆国は、約２６０年の間戦い続けたが、アメリカ合衆国は、荒廃し始めていて、もはや、スーパーパワーを失って、アメリカ合衆国は、崩壊した。しかし、後に、アメリカ大陸（今のアメリカ合衆国＋カナダ＋メキシコを合わせた領域）に、吉野クリスタルヒカリ女王国（光の国）が、建国されて、吉野クリスタルヒカリ女王の残した威力と威厳とパワーとフォースの基に復権して、吉野ファミリーの基に、光の国（アメリカ）は、スーパーパワーを再度獲得した。・・・ 続く。 Yoshino UniverseKazutora YoshinoUniverse EmpireKazutora YoshinoEmperor's Unified Story,Lovely,
【図４８】図４８は、エコロジー・エネルギー・システム（吉野一虎宇宙世界皇帝の宇宙（ロケット・ロボット）戦争ストーリー）のイメージ概念図である。 Yoshino UniverseKazutora YoshinoUniverse EmpireEmily Yoshino SpaceFantasy, Science Fiction, ..., Story, to Real ...Lovely, 第三章：吉野一虎宇宙世界皇帝の宇宙（ロケット・ロボット）戦争ストーリー（吉野カズトラ宇宙世界帝国の宇宙戦争）
【図４９】図４９は、エコロジー・エネルギー・システム（吉野一虎宇宙世界皇帝の発電システム（創生記））のイメージ概念図である。 Yoshino UniverseKazutora YoshinoUniverse EmpireKazutora YoshinoEmperor's Energy System (Genesis)Lovely, 風力エネルギー、太陽光エネルギー、海洋エネルギーで、発電する。発電の際の、ビジネス・モデルである。 （I）海辺近くの土地を獲得（購入）して、風力発電とか太陽光発電を行う。（＋火力発電）。（II）船を作り、風力発電とか太陽光発電を行う。（＋火力発電）。（III）洋上に、風力発電システムを作る。（IV）海洋（海流）を用いて、発電する。 Yoshino UniverseKazutora YoshinoUniverse EmpireKazutora YoshinoEmperor's Business Model (Strategy)Lovely, ３Dシステム（３Dペン、等）や、映画（２D／３D）などで得た利益を、発電システムを作ることに用いる（宇宙（核）ロケット、USES（USEN）の準備段階）。発電システムなどで得た利益で、宇宙開発（宇宙（核）ロケット、宇宙ロボット、等）の研究開発をする。宇宙開発で、得た利益で、若返り（再生医療、アンチエイジング、等）の研究開発をする。
【手続補正２】
【補正対象書類名】図面
【補正対象項目名】図２０
【補正方法】追加
【補正の内容】
【図２０】
2018048555.tif 000319
【手続補正３】
【補正対象書類名】図面
【補正対象項目名】図２１
【補正方法】追加
【補正の内容】
【図２１】
2018048555.tif 000320
【手続補正４】
【補正対象書類名】図面
【補正対象項目名】図２２
【補正方法】追加
【補正の内容】
【図２２】
2018048555.tif 000321
【手続補正５】
【補正対象書類名】図面
【補正対象項目名】図２３
【補正方法】追加
【補正の内容】
【図２３】
2018048555.tif 000322
【手続補正６】
【補正対象書類名】図面
【補正対象項目名】図２４
【補正方法】追加
【補正の内容】
【図２４】
2018048555.tif 000323
【手続補正７】
【補正対象書類名】図面
【補正対象項目名】図２５
【補正方法】追加
【補正の内容】
【図２５】
2018048555.tif 000324
【手続補正８】
【補正対象書類名】図面
【補正対象項目名】図２６
【補正方法】追加
【補正の内容】
【図２６】
2018048555.tif 000325
【手続補正９】
【補正対象書類名】図面
【補正対象項目名】図２７
【補正方法】追加
【補正の内容】
【図２７】
2018048555.tif 000326
【手続補正１０】
【補正対象書類名】図面
【補正対象項目名】図２８
【補正方法】追加
【補正の内容】
【図２８】
2018048555.tif 000327
【手続補正１１】
【補正対象書類名】図面
【補正対象項目名】図２９
【補正方法】追加
【補正の内容】
【図２９】
2018048555.tif 000328
【手続補正１２】
【補正対象書類名】図面
【補正対象項目名】図３０
【補正方法】追加
【補正の内容】
【図３０】
2018048555.tif 000329
【手続補正１３】
【補正対象書類名】図面
【補正対象項目名】図３１
【補正方法】追加
【補正の内容】
【図３１】
2018048555.tif 000330
【手続補正１４】
【補正対象書類名】図面
【補正対象項目名】図３２
【補正方法】追加
【補正の内容】
【図３２】
2018048555.tif 000331
【手続補正１５】
【補正対象書類名】図面
【補正対象項目名】図３３
【補正方法】追加
【補正の内容】
【図３３】
2018048555.tif 000332
【手続補正１６】
【補正対象書類名】図面
【補正対象項目名】図３４
【補正方法】追加
【補正の内容】
【図３４】
2018048555.tif 000333
【手続補正１７】
【補正対象書類名】図面
【補正対象項目名】図３５
【補正方法】追加
【補正の内容】
【図３５】
2018048555.tif 000334
【手続補正１８】
【補正対象書類名】図面
【補正対象項目名】図３６
【補正方法】追加
【補正の内容】
【図３６】
2018048555.tif 000335
【手続補正１９】
【補正対象書類名】図面
【補正対象項目名】図３７
【補正方法】追加
【補正の内容】
【図３７】
2018048555.tif 000336
【手続補正２０】
【補正対象書類名】図面
【補正対象項目名】図３８
【補正方法】追加
【補正の内容】
【図３８】
2018048555.tif 000337
【手続補正２１】
【補正対象書類名】図面
【補正対象項目名】図３９
【補正方法】追加
【補正の内容】
【図３９】
2018048555.tif 000338
【手続補正２２】
【補正対象書類名】図面
【補正対象項目名】図４０
【補正方法】追加
【補正の内容】
【図４０】
2018048555.tif 000339
【手続補正２３】
【補正対象書類名】図面
【補正対象項目名】図４１
【補正方法】追加
【補正の内容】
【図４１】
2018048555.tif 000340
【手続補正２４】
【補正対象書類名】図面
【補正対象項目名】図４２
【補正方法】追加
【補正の内容】
【図４２】
2018048555.tif 000341
【手続補正２５】
【補正対象書類名】図面
【補正対象項目名】図４３
【補正方法】追加
【補正の内容】
【図４３】
2018048555.tif 000342
【手続補正２６】
【補正対象書類名】図面
【補正対象項目名】図４４
【補正方法】追加
【補正の内容】
【図４４】
2018048555.tif 000343
【手続補正２７】
【補正対象書類名】図面
【補正対象項目名】図４５
【補正方法】追加
【補正の内容】
【図４５】
2018048555.tif 000344
【手続補正２８】
【補正対象書類名】図面
【補正対象項目名】図４６
【補正方法】追加
【補正の内容】
【図４６】
2018048555.tif 000345
【手続補正２９】
【補正対象書類名】図面
【補正対象項目名】図４７
【補正方法】追加
【補正の内容】
【図４７】
2018048555.tif 000346
【手続補正３０】
【補正対象書類名】図面
【補正対象項目名】図４８
【補正方法】追加
【補正の内容】
【図４８】
2018048555.tif 000347
【手続補正３１】
【補正対象書類名】図面
【補正対象項目名】図４９
【補正方法】追加
【補正の内容】
【図４９】
2018048555.tif 000348
【手続補正書】
【提出日】平成25年4月1日(2013.4.1)
【手続補正１】
【補正対象書類名】明細書
【補正対象項目名】００１１
【補正方法】変更
【補正の内容】
【００１１】
【図１】図１は、エコロジー・エネルギー・システムのイメージ概念図である。
【図２】図２は、エコロジー・エネルギー・システムのイメージ概念図である。
【図３】図３は、エコロジー・エネルギー・システムのイメージ概念図である。
【図４】図４は、エコロジー・エネルギー・システムのイメージ概念図である。
【図５】図５は、エコロジー・エネルギー・システムのイメージ概念図である。
【図６】図６は、エコロジー・エネルギー・システムのイメージ概念図である。
【図７】図７は、エコロジー・エネルギー・システムのイメージ概念図である。
【図８】図８は、エコロジー・エネルギー・システムのイメージ概念図である。
【図９】図９は、エコロジー・エネルギー・システムのイメージ概念図である。
【図１０】図１０は、エコロジー・エネルギー・システムのイメージ概念図である。
【図１１】図１１は、エコロジー・エネルギー・システムのイメージ概念図である。
【図１２】図１２は、エコロジー・エネルギー・システムのイメージ概念図である。
【図１３】図１３は、エコロジー・エネルギー・システムのイメージ概念図である。
【図１４】図１４は、エコロジー・エネルギー・システムのイメージ概念図である。
【図１５】図１５は、エコロジー・エネルギー・システムのイメージ概念図である。
【図１６】図１６は、エコロジー・エネルギー・システムのイメージ概念図である。
【図１７】図１７は、エコロジー・エネルギー・システムのイメージ概念図である。
【図１８】図１８は、エコロジー・エネルギー・システムのイメージ概念図である。
【図１９】図１９は、エコロジー・エネルギー・システムのイメージ概念図である。
【図２０】図２０は、エコロジー・エネルギー・システムのイメージ概念図である。    本発明の図２０についての説明用のストーリ：吉野カズトラ宇宙世界皇帝は、吉野カズトラ宇宙世界皇帝国のエネルギーシステムを増強していた。 I.  宇宙太陽光発電システム（ソーラー（ユニット）サテライト）（USES）II.  宇宙太陽光電池製造システムIII.  宇宙核融合炉発電システムIV.  地上核融合発電システムV.  海上（海底）核融合発電システム 吉野カズトラ宇宙世界皇帝は、巨大な宇宙発電・太陽光エネルギー・送信システム（太陽の付近に宇宙太陽光人工衛星を配置）と受信システム（ロッキー山脈の頂にあるロッキーマウンテンナショナルパーク(Rocky Mountain National Park)や、アリゾナの砂漠、アラスカのマッキンレー山脈、サハラ砂漠、等）を作っていた。 吉野カズトラ宇宙世界皇帝は、また、宇宙での真空を利用して、（トカマク型）プラズマ封じ込め高温適圧の宇宙核融合炉を作ることを進めていた。 吉野カズトラ宇宙世界皇帝は、また、地上でプラズマ・イオン発電所を作り、プラズマ封じ込め高温適圧の宇宙核融合炉を運転していた。 吉野カズトラ宇宙世界皇帝は、また、海上で太陽光・風力・海洋エネルギー発電所を作り、海上（海底）核融合炉を運転していた。（核反応の事故に対して、比較的安全である） Reference:www.yoshinouniverse.comISBN0-8118-0897-1ISBN4-339-00552-5ISBN4-7853-6112-3
【図２１】図２１は、エコロジー・エネルギー・システムのイメージ概念図である。原子炉で、核燃料からエネルギーを取り出す。（オプション）再処理工場で、使用済み核燃料を、核燃料と核廃棄物（核のゴミ）に分離する。熱電発電（所）（システム）で、使用済み核燃料／核廃棄物（核のゴミ）からエネルギーを取り出す。使用済み核燃料／核廃棄物（核のゴミ）を、水、フィルム（紙）、金属（鉛、等）で囲み、放射能について封印するが、熱が出てくるのを、熱電発電で、電気エネルギーに、変換するシステム。
【図２２】図２２は、エコロジー・エネルギー・システム（日本の防衛システム）のイメージ概念図である。核燃料（プルトニウム、ウラン、等）などの核物質など、戦略的エネルギー物質を、日本に集める。核燃料・核爆弾・核廃棄物（核のゴミ）を、１．平和なら、平和利用する。（核エネルギーによって（核（燃料）を熱源として）、熱電発電する。）２．戦争なら、敵国に打ち込む。（埼玉県入間市の入間航空自衛隊（防衛軍）の地下ミサイル発射基地から、大陸弾道ミサイルなどを発射する。吉野カズトラ宇宙世界皇帝のシャチ型潜水艦から核ミサイルを発射する。吉野カズトラ宇宙世界皇帝の軍事衛星から核爆弾を投下する。等）Yoshino UniverseKazutora YoshinoUniverse EmpireKazutora YoshinoNuclear Energy Defense SystemLovely,
【図２３】図２３は、エコロジー・エネルギー・システム（太陽光熱カプセル発電システム）のイメージ概念図である。吉野一虎ソーラーライトカプセル効果：太陽光（熱）が、太陽で発生して（太陽中心：高温１６００万℃、太陽表面：低温温６０００℃）、太陽を囲む物質（ダークマター、素粒子、物質、保熱ガス、反応物質、捕熱物質、反射物質、等の適宜な組み合わせ）によって、光（熱）は、吸収・保持・反応、等をして、中温（数百万℃）になる。DM + gamma -> DM' + delta Egammaは、光（熱）などの（反応（素）粒子などの）エレメント。delta Eは、正／負／ゼロ、等のエネルギー（エレメント）とする。DM、DM’は、ダークマターなどの（反応（素）粒子・反応物質、物質）（群理論）エレメントで、DMとDM'は、同じエレメントでもよく、異なるエレメントでも良い。吉野一虎ライトカプセル効果：このシステムを、ミニチュア化したカプセルに二酸化炭素などの保熱ガス（捕熱ガス）を入れて、（太陽）光（／レーザー光）の照射をして、太陽光（熱）発電を行い、ミニチュア太陽光（熱）カプセル発電を行う。吉野一虎レーザー効果：二酸化炭素などの保熱ガス（捕熱ガス）に、（太陽）光（／レーザー光）を照射して、光（光子、レーザー光）を発光させて、光をカプセル内部で、反射させて、１００％ミラーと約９９％ミラーで、往復反射させて、誘導発光させて、同じ（ぐらいの）波長（周波数）と相（フェーズ）の光の束（レーザー光）を作り、約９９％ミラー側からコーヒーレントなレーザー光を、放つ。吉野一虎ネットワーク超特急効果：ミニチュア太陽光（熱）カプセル発電システムのユニットを、発電パフォーマンス良く、コストパフォーマンス良く、大量に作り、マトリクス上にして、日射量が十分にあるところに敷き詰めたり、電車の路線のサイドに並べたり、道路（高速道路）のサイドに、並べたりすることによって、日本（世界）全体が、ミニチュア太陽光（熱）カプセル発電システムによって、光ネットワーク発電システムとなる。 吉野アシュレーアヤメ女王偉大なる戦士は、吉野一虎効果（吉野一虎ソーラーカプセル効果、吉野一虎ライトカプセル効果、吉野一虎レーザー効果、吉野一虎（カズトラ）ネットワーク超特急効果、等の吉野一虎宇宙世界皇帝の効果）を、活用して、宇宙全体に、吉野アシュレーアヤメ女王による吉野一虎宇宙世界皇帝（宇宙銀河恒星ネットワーク・太陽系）光ネットワークシステムを構築して、宇宙・世界のエネルギー問題を、解決して行った・・・。
【図２４】図２４は、エコロジー・エネルギー・システム（熱（水蒸気／ガス）発電システム）のイメージ概念図である。水（／液体／気体／水素／ガス、等）に太陽光（熱）（エネルギー）、（ガスの）火、熱（等）を投入して、水蒸気（／ガス）にして、タービンを回転して、発電機で、発電するシステム。オプションとして、水蒸気（／ガス）を冷却して、水（／液体／気体／水素／ガス、等）にして、サイクル（リサイクル）するシステム。
【図２５】図２５は、エコロジー・エネルギー・システム（吉野一虎宇宙世界皇帝の核戦争用の鎧兜（防衛システム））のイメージ概念図である。ダイヤモンド、タングステン、ステンレス、鉄、鉛、防弾ガラス、セラミック、紙、スポンジ、水（汗）、バッテリー、シリコン、コンピューター、ディスプレイ等を、適宜に組み合わせて、放射能を遮断するタイガーシールド。本発明は、アルファ粒子線、ベータ線、γ線を遮断する物質（マテリアル）を用いた装甲・鎧（アーマー）である。オプションとして、周りの見た目に合わせて、色や柄を2D/3Dでディスプレイできるカメレオンシールド。この鎧兜を纏った軍隊を、カメレオン・アーミーとして、敵（の核兵器・軍隊）と戦うシステム（自衛隊・国防軍・民間安全警備武装集団（傭兵））。ディスプレイ、コンピューター、電子機器の電源、若しくは、バッテリーなどの充電器としてのブーツ（靴）による、歩行発電（靴発電システム）。ピエゾエレクトロニック素子（圧電素子）、発電機、弾性物質、等によって、発電して、バッテリーに電気を充電する。オプションとして、スプリングなどを用いて、発電しながら、跳躍力を抜群に向上させるジャンプ（発電）シューズ。本発明は、カメレオン・アーミーの鎧を電子的に機能させるのに必要な電源は、歩行発電ブーツから得ることが可能である。その際の戦士達の戦闘シーン（風景）の概念図が、示されている。
【図２６】図２６は、エコロジー・エネルギー・システム（太陽光熱カプセル発電システム：パラボラミラーバージョン）のイメージ概念図である。最良の形態の一つを示している。パラボラミラーによって、反射した光（エネルギー）を、（カプセル）球に集光させて、（熱反応、化学反応、核反応などの）反応、等を起こさせるシステム。
【図２７】図２７は、エコロジー・エネルギー・システム（水素と酸素による燃料電池発電（ガス発電）システム）のイメージ概念図である。ダイヤモンド／DLC／金属／カーボン（ファイバー）等の（軽くて丈夫な）強い（高圧のガスや、液体に耐えうる）容器に、濃縮ガス（濃縮水素ガス、濃縮酸素ガス）、液体（液体水素、液体酸素）等を入れる。水素と酸素を適宜な量を、コンピューター制御機、バルブなどで、摘出して、燃料電池に、投入して、電気（エネルギー）を発生させる。電気を直接用いるか、バッテリー等に充電して用いる。水素と酸素の反応によって出来た水を、（浄化フィルターに通して）、飲料水にする。宇宙船などでの宇宙航行が、長期の滞在の場合に、水素・酸素燃料から、水を作り、フィルターで飲料水を作り、飲むことが可能である、エコロジー・スマート・システム。宇宙旅行に、飲料水を、持ってゆくことが、可能であるが、水が、もっと必要なときとか、緊急時とかに、もっと飲料水を作ることが必要な際に、有用なシステムである。
【図２８】図２８は、エコロジー・エネルギー・システム（エネルギー炉（熱炉））のイメージ概念図である。
【図２９】図２９は、エコロジー・エネルギー・システム（吉野カズトラ宇宙世界皇帝のエネルギー炉（熱炉）と無線／タイマー式の起爆装置による核爆弾）のイメージ概念図である。
【図３０】図３０は、エコロジー・エネルギー・システム（吉野一虎宇宙世界皇帝の靴（防衛・防寒システム））のイメージ概念図である。ピエゾエレクトリックなどの圧電素子で発電したり、動力を利用して、発電したり、核燃料の熱で、発電したりして、熱エネルギーを用いて、エネルギーシステム（（防寒用のヒーター等の）の靴等）を作る。
【図３１】図３１は、エコロジー・エネルギー・システム（吉野一虎宇宙世界皇帝の核電池、核エネルギー、加速器核エネルギーシステム））のイメージ概念図である。核燃料、核廃棄物、（加速器で加速された陽子を核廃棄物（半減期約２万年）に当てて、（半減期を約３０年にした）放射性物質）等や、その適宜な組み合わせから、核（熱）電池を作る。加速器の放射エネルギーによって、宇宙船を飛ばす（運行する）。
【図３２】図３２は、エコロジー・エネルギー・システム（吉野一虎宇宙世界皇帝の核核融合炉エネルギーレーザーシステム（核融合レーザー起動用集光レンズ）））のイメージ概念図である。適宜な波長（若しくは、その組み合わせ）のレーザービームを、レンズで一点に集光（集中）させて、（プラズマ熱エネルギー）核融合を起因する。特に、紫外線、X線、γ線、などの（短波長）高周波のコーヒーレントな光子パッケージ（レーザー光ビーム、等）を用いると良い。そのレンズ方程式を示している。
【図３３】図３３は、エコロジー・エネルギー・システム（吉野一虎宇宙世界皇帝のカズトラ型の核融合炉：カズトラ型核融合炉エネルギー（レーザーヒーティング）システム（核融合レーザーヒーティング起動）））のイメージ概念図である。カズトラ型核融合炉は、トロイダル型（トカマク型）核融合炉を単数／複数、トロイダル型に纏めた型である。プラズマは、真空／ガス／プラズマ内にあるか、磁場・磁界（電場・電界／電磁場・電磁界）内にあっても良い。極力、外部に熱が流出しないように、高磁界にして、Tc（クリティカルテンパーチャー）を高温にして、プラズマを封じ込めて、レーザー（若しくは、マイクロウェーブ、等）で、ヒーティングして（局所場で核融合（ニュークリア・チェイン・リアクション）の初期反応を起こさせて、核融合（ニュークリア・チェイン・リアクション）連鎖反応させる）、プラズマを高温にして、（熱）核融合を起こさせる。（オプションとして、トロイダル型纏めた型のリング部に、オプションフィールド（例えば、磁界）を作るのも良い。）
【図３４】図３４は、エコロジー・エネルギー・システム（吉野一虎宇宙世界皇帝の核融合ロケット（核融合エンジン）：ネオ・カワセミ・プロジェクト：空飛ぶイルカ、空飛ぶイカ））のイメージ概念図である。羽を畳んで海底から発射された空飛ぶイルカは、水中を水ジェットエンジンで走行（航行）して、空中に羽を広げて飛び立ち、空気ジェットエンジンで走行（飛行）して、羽を畳んで宇宙をロケットエンジン（イオンエンジン、プラズマエンジン、ロケットエンジン、核ロケットエンジン、等）で、走行（宇宙航行）する。宇宙防衛のため、核爆弾などで、宇宙からの攻撃（上からの攻撃）をかけることも可能である。
【図３５】図３５は、エコロジー・エネルギー・システム（吉野一虎宇宙世界皇帝のエネルギー・エレクトリシティー・ジェネレーター・システム）のイメージ概念図である。太陽光発電（スチーム発電）、風力発電、海洋力発電、核反応発電（原子炉発電、核融合炉発電、などによるスチーム（ガス）発電）等の発電機システム。プロペラを回転させる。回転軸についている磁石が回転する。前記磁石の回転により、超伝導体内にあるリング磁石が誘導されて回転する。また、磁石と超電導の組み合わせによる非接触な、回転軸とカバーによって、摩擦が殆どない、回転を獲得する。回転効率が良い、起電力を発生させる。オプションとして、トランスフォーマーで、電圧・電流の調整をする。バッテリーに充電したり、電力として用いる。
【図３６】図３６は、エコロジー・エネルギー・システム（吉野一虎宇宙世界皇帝のエネルギー・エレクトリシティー・ジェネレーター・システム）のイメージ概念図である。太陽光発電（スチーム発電）、風力発電、海洋力発電、核反応発電（原子炉発電、核融合炉発電、などによるスチーム（ガス）発電）等の発電機システム。プロペラを回転させることによる発電システムのパワー（電力）のコンセプト・カリキュレーション（Concept Calculation）(概算)。
【図３７】図３７は、エコロジー・エネルギー・システム（吉野一虎宇宙世界皇帝のモーター・ジェット・ボード、モーター・ボート）のイメージ概念図である。水上ロケットランチャー、若しくは、水上から発射するロケット。ジェット・ウィンド・サーフィング。風力でウィンド・サーフ・ボードを動かし、その際、エネルギー・エレクトリシティー・ジェネレーターで、バッテリーに、電気を充電する。風があまりない時は、バッテリーによって、モーター（＋ギヤ）＋プロペラを回転させて、航行する。オプションとして、バッテリーを複数持ち、電力・ギヤによって、ウィンド・サーフ・ボードの速度をコントロールする。人が載るか、無線で操作か、人工知能、等によって航行する。
【図３８】図３８は、エコロジー・エネルギー・システム（吉野一虎宇宙世界皇帝の空飛ぶイルカ、ドラゴン、モーター・ジェット・ボード、モーター・ボート）のイメージ概念図である。特に、翼（羽）の構造（ダイアモンド型）、翼の開閉についてと、ダイヤモンド・ダイナミクス・メソードを示す。（２D／３Dで）翼（羽）を動かして、浮力を得ることも可能である。海中で航行しているときは、翼を閉じて、空で飛行しているときは、翼を広げ（用いて）、宇宙で宇宙航行しているときは、翼を閉じるか、若し、（（シリコンや色素増感型等の）太陽光シートなどなら）太陽光（シート）翼を広げるのが、最善の形態である。
【図３９】図３９は、エコロジー・エネルギー・システム（吉野一虎宇宙世界皇帝のシャフト・ローテーション・ベアリング・システム）のイメージ概念図である。モーター、発電機、ジョイント、等の部分に、ベアリングの周りを、ベアリングで囲み、スムースなオペレーションを可能にするシャフト・ローテーション・ベアリング・システムである。同様に、複数のレイヤーを用いても良い。シャフト・ローテーション・ベアリング・システム＝（（メインベアリング＊サブベアリング）＊Lレイヤー）（L＞＝１）。このシャフト・ローテーション・ベアリング・システムによって、モーターの回転効率や発電機の発電効率が良くなるという効果がある。
【図４０】図４０は、エコロジー・エネルギー・システム（吉野一虎宇宙世界皇帝のスーパーマン（計画））のイメージ概念図である。Yoshino UniverseKazutora YoshinoUniverse EmpireKazutora YoshinoEmperor's Super Man ProjectLovely, 一般的なエンジン、キシレン、ガソリン、水素＋酸素、等を用いるジェット・エンジン、ロケット・エンジンでも良いが、ジェット・ロケット・エンジンを用いるのが最適である。ジェット・ロケット・エンジンは、（小型原子炉／）、小型核融合炉で、燃料の水を沸かして、水蒸気（スチーム）を噴出させて、ジェットを作るロケットエンジンを、箱に取り付ける。ジェット・ロケット・エンジンは、箱の上の方に付けると、横から下にジェットを噴出するので、バランス的に安定する。ジェット・ロケット・エンジンを、箱の下の方に付けると、ジェットが、下に噴出されるので、熱流体的には、効率が良い。二つのジェット・ロケット・エンジンでも、飛行が可能な（動力・エネルギー）レベルにしておく。基本形は、四つのジェット・ロケット・エンジンを用いて、（光学）ジャイロスコープ、加速度センサー、GPS、コンピューター（ジェネリック・アルゴリズム等を用いる人工知能）を用いて、ジェットを噴出したり、逆噴射して、最適な、バランス、位置、方向を、獲得する。緊急の時等は、マニュアル操作も可能にする。四つのジェットエンジンのうち、一つが破損などしたら、対照側にあるジェット・ロケット・エンジンも停止して、二つのジェット・ロケット・エンジンによる飛行（マニュアル操作も出来るようにする）に、切り替えることが可能にする。又、出来るだけ速やかに着地するようにする。若しくは、ジェネリック・アルゴリズムや摂動論的制御、等の最適制御によって、三つのジェット・ロケット・エンジンを、微妙に操作・制御して、当分は、飛行を続けることが可能にする。ダイヤモンドや防弾ガラスのような素材を壁にして、飛行中に、美しい風景など、見渡しが良いようにしても良い。民間の観光用に用いることも可能であり、軍事用の偵察機のように用いることも可能である。パイロットや宇宙飛行士が箱の中にいるなら、内部に空気（酸素）タンクを入れておけば、燃料が続くなら、空から、宇宙に航行しても良い。宇宙の景色（宇宙の夜景、星星の輝き、天体の芸術）などが、美しく、ダイアモンドに映るであろう。
【図４１】図４１は、エコロジー・エネルギー・システム（吉野一虎宇宙世界皇帝のフライング・ジェット・モービル）のイメージ概念図である。 Yoshino UniverseKazutora YoshinoUniverse EmpireKazutora YoshinoEmperor's Flying Jet MobileLovely, 空気をプロペラを回して、上、横、下、斜めなどから吸引して、燃料と混ぜて、燃焼して、ジェットを作る。モーターによってプロペラを回しても良い。フライング・ジェット・モービルは、森やジャングルで、軍事的な偵察等を行う際に、小回りが利く、便利な乗り物である。
【図４２】図４２は、エコロジー・エネルギー・システム（吉野一虎宇宙世界皇帝のフラップ式ウィング、フラップ式プロペラ）のイメージ概念図である。 羽や、プロペラに、フラップを付けて、気流のコントロールをする。特に、高い角度（フラップ角度）をつけて、離陸や着率の距離を短くできる（例えば、４５度〜５５度ぐらい）。飛行時は、（例えば、約１５度〜５５度ぐらいの）高くない羽の角度（フラップ）で飛行すると浮上・飛行効率が良い。プロペラの場合は、回転初期と、回転中期、回転後期、上昇期、浮上期、下降期、飛行期、などに合わせて、羽の角度（＋フラップ角度）をコントロールすることが、可能である。
【図４３】図４３は、エコロジー・エネルギー・システム（吉野一虎宇宙世界皇帝のフライング・ジェット・モービル）のイメージ概念図である。Yoshino UniverseKazutora YoshinoUniverse EmpireKazutora YoshinoEmperor's Flying Jet Mobile (Theoretical, Practical Method)Lovely, ヘリコプター、飛行機、フライング・ジェット・モービル、スカイ・カーズ、等のプロペラの数式化であり、羽をコンパクト化するための技術である。システムがスケーラブルな際、プロペラのサイズをPropeller Length 1として、モーターのトルクをMotorTorque、モーターの回転数をMotor Omegaとして、プロペラ／羽の角度を、例えば１５°ぐらいとか、４５〜５５°ぐらいに設定すると、基本的な部分は、定数のように扱えて、Force Lift = (Motor Torque/Propeller Length 1)*Csになるので、羽がコンパクトで、（数多くの）プロペラで、回転が速い方が良い。普通は、rg1/rg2 >= 1/30 ぐらいにするが、最善の形態を、rg1/rg2>= 1  とする。rg1/rg2 >= 10・・・とギヤの逆比率を向上させると、リフトの効率が良いが、シャフト・ギヤなどの（シャフト・ギヤ変換）効率があるので、直接プロペラを、モーターに付けるのが、シャフト・ギヤ変換効率が、１００％となるので、最も効率が良い。
【図４４】図４４は、エコロジー・エネルギー・システム（吉野一虎宇宙世界皇帝のヘリコプター・宇宙（核）ロケット開発）のイメージ概念図である。 ヘリコプターから始めて、（３Dペン、３Dコントローラー、脳波コミュニケーター、人工心臓、（iPS）幹細胞臓器、成型臓器（３Dプリンターで、細胞と細胞を決着剤などで付着させて、臓器を直接作る）、などの経由で）、宇宙（核）ロケットを、製造する方法。また、プロジェクトを映画化するためのストーリーであって、この（映画による収益）によって、ヘリコプター、宇宙（核）ロケットを製造する宇宙開発（宇宙医療）ビジネス・モデルの方法。 吉野カズトラ宇宙世界皇帝のストーリー：吉野庭園→ヘリコプター基地→人工心臓製造→ロケット基地→ドラゴン（龍）の開発→宇宙世界征服→吉野カズトラ宇宙世界皇帝と吉野アシュレーアヤメ女王偉大なる戦士のラブ・ロマンス（恋愛ストーリー）。
【図４５】図４５は、エコロジー・エネルギー・システム（吉野一虎宇宙世界皇帝の太陽光発電・風力発電・等の発電所型の吉野信法王鳳凰神社の開発）のイメージ概念図である。 ヘリコプター、宇宙（核）ロケット開発の（準備の）方法とか、吉野カズトラ宇宙世界皇帝と吉野アシュレーアヤメ女王偉大なる戦士のラブ・ロマンス（恋愛ストーリー）。ヘリコプター、宇宙（核）ロケットの開発費を得るための（吉野神道新信仰）吉野一虎宇宙世界皇帝の太陽光発電・風力発電・等の発電所型の吉野信法王鳳凰神社神社の設計と構築。また、その（プロモーションビデオ用・宣伝用・映画用・現実化用の）ストーリー。 吉野カズトラ宇宙世界皇帝のストーリー： Yoshino UniverseKazutora YoshinoUniverse EmpireKazutora YoshinoEmperor's Love RomanceLovely, Yoshino UniverseKazutora Yoshino Universe EmpireKazutora Yoshino Emperor's Shrine 吉野カズトラ宇宙世界皇帝は、吉野信法王鳳凰神社を、始めていた。吉野信法王鳳凰神社は、天照大御神を祀り、『自然は、神。野生は、友。』というキャッチフレーズの基に、信者や白い動物達を、大事にしていた。特に、紀州犬(花)、アークティックウルフ(不思議)や、シロキツネ、シロネコ、ムササビ、モモンガ、白龍、等を、大事にしていた。吉野信法王鳳凰神社の屋根の先端には、鳳凰のデザインの風車が付いていて、屋根には、太陽光パネルが付いている、自然に優しいエコロジー・システムによって運営されていた。信者達は、自然に合わせて、風の来る方向を向く鳳凰型風見鶏(風車)や光(太陽光パネル)や川の水や湖の水や雨水や井戸水や海水や自然エネルギーを、信仰の対象とする、八方美人の吉野ファミリーのメンバー達や、キャバ嬢達や、ホスト達、動物愛護者達、飲食業・水商売関連関係者達、農林水産業者達、パラグライダーパイロット達、パイロット達、航空自衛隊達、、軍人達、警察達、ヨットレーサー達、ボートレーサー達、船主達、船長達、ホースダービーの馬主達、写真関連関係者達、宣伝業者達、画像関連関係者達、テレビ関連関係者達、放送関連関係者達、映画関連関係者達、女優達、俳優達、モデル達、方位学者達、法医学者達、医者達、医療関連関係者達、植物学者達、生化学者達、バイオインフォマティクス関連関係者達、システムエンジニア達、物理学者達、技術者達、プログラマー達、宇宙開発事業団関連関係者達、ビジネス関連関係者達、特許関連関係者達、エネルギー関連関係者、等が、多かった。吉野カズトラ宇宙世界皇帝は、太陽光発電所や、風力発電所、等の研究開発を、Yoshino Universe研究所でしていたが、コンピューター・システム管理は、IBM研究所にさせて、ネットワーク管理は、ベル(Bell)研究所にさせていた。・・・。吉野カズトラ宇宙世界皇帝は、また、Yoshino Universeと吉野エミリー女王と吉野レベッカハル女王の管理の元に、日本政府に、奈良の吉野川のダムの水や富士山の水や海水等の水を、東レのウォーターヒィルターを用いて、飲料水にさせて、『(奈良の)吉野の綺麗な水』という商品名で、世界中に、輸出した。吉野カズトラ宇宙世界皇帝は、また、エネルギー・エコロジー・システム・アプリケーションの研究開発を進め更に良いエコロジー・システム(USES, USEN)、ロケットの研究開発、宇宙開発を、進めていた。・・・・。吉野カズトラ宇宙世界皇帝の吉野��宙開発基地は、白き龍に守られた城(ホワイトハウスWhite House)と呼ばれて、龍型・竜巻のような巨峰のブドウの木(ツタ)に囲まれた、白い家と果樹庭園の内側(吉野信法王の邸宅領土内)にあった。・・・。 吉野カズトラ宇宙世界皇帝は、吉野カズトラ宇宙世界皇帝と吉野の葡萄の園を守るためのボディーガード女子軍団を作り始めていた。あまり現実的ではなかったが、吉野カズトラ宇宙世界皇帝は、水龍拳の一部として、健康空手を、始めていた。吉野カズトラ宇宙世界皇帝の健康空手は、女の子、女子高生、女子大生、OLを、メンバーにして、戦闘用と言うよりは、むしろ健康面での体力強化を目指して、吉野カズトラ宇宙世界皇帝と吉野の果樹庭園（吉野のブドウ園）の警備を目的としていた。吉野カズトラ宇宙世界皇帝は、健康空手のプロモーションビデオを作ろうとしていて、大妻女子大生、等の女子大生達に、吉野カズトラ宇宙世界皇帝を、宣伝しようとしていた。吉野カズトラ宇宙世界皇帝は、埼玉県入間市(入間航空自衛隊による航空防衛)を、基軸とした、日本首都・都市開発を進めていた。・・・。 吉野カズトラ宇宙世界皇帝は、吉野信法皇鳳凰神社と、埼玉県入間市の都市開発のために、神社のさい銭と、風力エネルギーと、太陽光エネルギー、等を用いていたが、世界中から税金を徴収することにした。そのためには、共通通貨が必要となり、吉野カズトラ宇宙世界皇帝は、Yoshino Universe、アメリカ合衆国政府、日本政府、国際連合のIMFを用いて、ユニバーサル・マニー・システムを、作った。吉野カズトラ宇宙世界皇帝は、国民一人一人に、ソーシャルセキュリティー番号や、国民共通番号を、渡して、各々に、資産を、ユニバーサル・マニーのポイントに、変換した。物の売買には、基本、ユニバーサル・マニーのポイントが、必要で、これによって、Yoshino Universe、政府は、国民の販売記録・購買記録がよくみえて、税金(消費税、等)も電子化されて簡単になり、一般にも、不正取引や、闇取引が、殆どなくなった。これによって、特許など正しい新技術への投資や融資が、促進されて、経済、社会が、発展した。・・・。 吉野カズトラ宇宙世界皇帝は、国際的な、税金の徴収のために、ソーシャルセキュリティー番号か、国民共通番号を持つ(アメリカ人、ロシア人、ヨーロッバ人、日本人、朝鮮人、中国人、インド人、アラブ人、等の)国民一人一人に、各国政府の税金を用いて、(固定)IPアドレスを、配布した。(約100億人ぐらいなら、許容可能なシステム。) ソーシャルセキュリティー番号や国民共通番号にリンク対応した固定IPアドレスによって、アメリカ人や日本人、等は、各自、自らのホームページを作り持つことが可能になり、自らの写真やプロフィールを表示することになり、また、国税庁などのホームページに直ぐアクセス出来て、各自の税金の納付状況等も、直ぐに分かるようになった。また、インターネット(サイバースペース)での経済効果が向上して、より多くの税金を徴収することが、可能になった。これにより、吉野カズトラ宇宙世界皇帝は、宇宙開発(ロケット開発、ロボット開発)とか、自らの美容法や、吉野カズトラ宇宙世界皇帝の若返りの研究開発を進めていた。例えば、アルコール食塩水美容法(水分補給美容法)や、iPS細胞を用いた人工臓器や、若返り医療である。吉野カズ��ラ宇宙世界皇帝のアルコール食塩水美容法(水分補給美容法)を修得した、吉野カズトラ宇宙世界皇帝と吉野エミリー女王は、若さを維持出来たので、肌が滑らかな(色白な)菜食主義のバンパイヤー、等と、言われることもあった。しかし、バンパイヤーの国々は、水、食べ物、領土、等の取り合いの戦争を始めていた。吉野エミリー女王の娘の吉野クリスタルヒカリ女王は、肌が、雪のように白い美女だったので、白雪姫と言われたが、隣国の魔女(バンパイヤー)女王に嫉妬されて、魔女女王が、攻めてきたので、森に隠されて、小さな子ども達と、一緒に育った。吉野クリスタルヒカリ女王(白雪姫)は、ハンターに守られながら、自国の復興を始めていた。・・・。 続く。
【図４６】図４６は、エコロジー・エネルギー・システム（吉野一虎宇宙世界皇帝の空飛ぶ家（ロケット・ハウス））のイメージ概念図である。 吉野一虎宇宙世界皇帝の空飛ぶ家（ロケット・ハウス、スカイ・ハウス）：本箱型家（ロケット・ハウス、ブックシェルハウス）。ユニット・ルームを積層する（積み上げる）ことによって、高層ビル、ロケットの構築が可能でる。ロケットの高さに合わせたユニット・ルーム（の数）を構築することが可能である。基本設計をユニット単位で出来るので、ユニット・ルームの大量生産化が可能であるため、ロケット・ハウスの大量生産が、可能になる。 本発明は、コストパフォーマンスが良いロケット（ロケット・ハウス）である。また、設計と構築の時間短縮（ラン・タイムの軽減）による、シナジー的なコストパフォーマンスも良い。 オプションとして、プロペラ、ロケットエンジン、などの搭載によって、空中、宇宙を、飛び回れるようにする（空飛ぶ家：スカイ・ハウス、ロケット）。（本発明によって）、ロケット・ハウスに住んでいるまま、宇宙旅行が可能になる・・・（という効果もある）。 宇宙空間では、（殆ど）無重力状態になるので、部屋は、広く使える方が良い（宇宙服が引っかからないようにする）ため、階段を（宇宙服を着たまま通れる程度に細く）壁側に（／適宜な場所に）作ったり、無重力でも宇宙飛行士の方向感覚が研ぎすまれるように、階段の方向を一致させておいたり、ルーム・番号（ルーム階）を明示（はっきり表示）しておくのも可能である。また、物品に、ICタグをつけておいて、コンピューターで、位置情報などを、管理して、無重力で、物が浮遊していても、何処に何があるのか分かるようにしておくのも可能である。 ３Dペン（３Dコントローラー）で、ロケットの位置・速度・加速度・方向・軌道、等をコントロールしても良い。
【図４７】図４７は、エコロジー・エネルギー・システム（吉野一虎宇宙世界皇帝の宇宙戦争ストーリー）のイメージ概念図である。 ロケット・ロボット・人工知能・ビジネスの開発。それを現実化するための資本獲得のための、プロモーションビデオ用・宣伝用・映画用（吉野エミリー女王の映画製作、SF（スペースファンタジー、サイエンスフィクション））・現実化用のストーリー。 第一章吉野カズトラ宇宙世界皇帝の日本食の進め吉野カズトラ宇宙世界皇帝は、日本の森林(特に、杉の森林)を、伐採して、花粉対策をして、杉から日本食用の高級なお箸(はし)を大量生産して、日本食の市場進出を進めながら、海外市場に日本食とお箸を販売して、利益を得ていたのである。吉野カズトラ宇宙世界皇帝は、元々、数学、物理学、エネルギー工学、生物学、生化学、遺伝子工学、システム工学、農業ロボット工学、軍事ロボット工学のエキスパートだったので、日本食の生産販売が上手で、弁当等の日本食の国際ネットワークを築くことが出来たのである。 ・・・。続く。 第二章吉野カズトラ宇宙世界皇帝のゴースト戦略と吉野カズトラ宇宙世界皇帝の新エネルギー戦略 第二次世界対戦の延長戦が、朝鮮戦争、ベトナム戦争、冷戦、湾岸戦争、対テロ戦争であった。ヒロヒト、山本イソロク、吉野幸信の遺言が、ゴースト戦略として、吉野カズトラ宇宙世界皇帝に、受け継がれていた。吉野カズトラ宇宙世界皇帝のグループは、政府側(北朝)と、反政府側(南朝)に、二分して行った。 吉野カズトラ宇宙世界皇帝は、秘密警察捜査官達を配備して、自衛隊の内部に核心的な右翼、警察の内部に、革新的な右翼を潜入させて、国際的な警察右翼ネットワークを、構築していた。吉野カズトラ宇宙世界皇帝の直属の部下達を、警察や自衛隊にすることによって、吉野軍事グループの部隊の訓練費を、国に持たせれたためである。吉野カズトラ宇宙世界皇帝は、アメリカ軍、スカルアンドボーン、フリーメイソン、帝国軍、ネオナチス、自衛隊、韓国軍、サムスン、ロシア軍の連携を計り、アメリカ軍のスカルアンドボーンに、世界征服をさせて、日本の自衛隊右翼に後始末をさせた。 吉野カズトラ宇宙世界皇帝は、吉野カズトラ宇宙世界皇帝の反政府側のグループを、自衛隊、警察に配備した。日本の自衛隊と警察ネットワークにアメリカの警察ネットワークも加わり、911(アメリカ警察の電話番号の日にち)に、アメリカ合衆国で警察革命が起きた。背後には、アメリカ軍のスカルアンドボーンがいたが、日本のある怪盗団、アルカイダ(裏社会の犯罪ネットワーク)が、背後にいるように、情報操作されていた。 吉野カズトラ宇宙世界皇帝は、吉野カズトラ宇宙世界皇帝の政府側のグループを、政府、政党に配備した。しかし、自由民主党(北朝:アメリカ側)、民主党(南朝:中国側)で、政治的な対立も起きた。民主党革命により、一時、民主党が優位に立ったが、自由民主党が、革命返しをした。 自由民主党と民主党の対立を始め、南北朝で、幾つも主義・立場の対立が起きた。特に、TPPの参加交渉についてでさえ、国を二分する対立が、起きたのである。吉野カズトラ皇帝国は、新南北朝時代に突入した。このことにより、皆が激しい暴風と荒波のなかを航行するような状況になっていった。吉野カズトラ宇宙世界皇帝は、楽天家な���で、暴風を風力発電に用いて、荒波（海流）を海洋発電に用いようとしていた。吉野カズトラ宇宙世界皇帝は、勿論、（宇宙）太陽光エネルギー発電も進めていた。これが、吉野カズトラ宇宙世界皇帝の新エネルギー革命である。 吉野カズトラ宇宙世界皇帝は、吉野カズトラ宇宙世界皇帝の名言、『日は、又、昇る。』と言った。これは、日本が、再び世界の中心になり、日本の先端技術が、進み、日本が復興して、Made In Japanが、世界で求められる有名ブランドになることを、示唆していたのである。 吉野カズトラ宇宙世界皇帝は、新エネルギーの開発、エコロジー・システムの開発、（宇宙）太陽光発電システムの開発と改善を、着実にコツコツ、進めていた。・・・・。続く。 Yoshino Universe ・・・ Yoshino UniverseKazutora YoshinoUniverse EmpireKazutora YoshinoEmperor's PowerTomoko Yoshino Queenvs Rebecca Haru Yoshino QueenLovely, Tomoko Yoshino Queen vs Rebecca HaruYoshino Queen 吉野カズトラ宇宙世界皇帝の影響力と支配力は、絶大である。 吉野友子女王と、吉野レベッカハル女王が、吉野カズトラ宇宙世界皇帝の継承戦争を始めていた。特に、バイオ・ウォー・フェアが、激戦化していた。吉野友子女王学派は、ロシアの生物兵器開発の学者連合で、生物の知識のある大人数だった。吉野レベッカハル女王学派は、アメリカ合衆国の生物兵器開発の学者連合で、少人数で生化学・分子生物学・バイオインフォマティクスなどで洗練された学者達だった。吉野信法皇学派は、日本と中国の学者達で、初めの頃は、対岸の火事のように、この戦いを傍観していることが多かったが、徐々に、この戦いに巻き込まれて行った。・・・ 吉野エミリー女王学派は、宇宙開発、吉野クリスタル女王学派は、ロケット・スペースシャトル等の開発、吉野アシュレー女王学派は、スペースステーション・ドラゴン等の開発をしていたので、この戦いに、巻き込まれないで済んだ。・・・ 吉野友子女王学派は、日本の医師会（タケダ派）を作り反政府団体（政府・政党・病院、等に入り込んだ暗殺部隊）を組織して、吉野レベッカハル女王学派は、日本の歯科協会（タカダ派）を作り反政府団体（政府・政党・歯医者、等に入り込んだ暗殺部隊）を組織した。ここに、医師会（タケダ派）と、歯科協会（タカダ派）の戦いが始まっていた。タケダ派とタカダ派は、日本政府、アメリカ合衆国政府にまで浸透して行き、アメリカ合衆国政府では、タケダ派は、鳩派、タカダ派は、鷹派と、呼ばれた。鳩派も、鷹派も、ターゲットの人物を殺害する方法を幾つか持っていた。鳩派は、危険な薬等を、投与したり、必要な薬を十分に投与しないでターゲットを殺害することが多かった。特に、結核治療に見せかけて、十分な抗生物質を投与せずに、わざと抗生物質耐性細菌を作り、ターゲットの人物を殺害することが多かった。鳩派は、中耳炎の細菌を品種改良・遺伝子組み換えをして、殺人細菌・殺人ウイルスを作り、ターゲット人物の耳に移植した。鷹派は、胃の中にいる細菌で、虫歯菌になる細菌を品種改良・遺伝子組み換え等して、殺人虫歯菌、殺人ウイルスなどを作り、ターゲット人物の虫歯治療の際に、殺人虫歯菌や殺人ウイルスを健康な歯や虫歯になりそうな歯に移植した。殺人虫歯菌や殺人ウイルスは、口に蔓延りドライマウス、鼻に入りドライノーズ、目に入りドライアイ���原因になったりして、脱水症状を引き起こして行った。殺人虫歯菌や殺人ウイルスは、徐々にターゲット人物の健康体を侵食して行き、極度の脱水症状などによって、死に至らせた。銃を持つ警察、重兵器（アンティーク・ウェポン）を基軸とした自衛隊などは、このバイオ・ハザードに対して、殆ど無力であった。・・・ 日本の政治家（自民党）たちは、医師会（タケダ派）とグルで、日本の弁護士会（民主党、共産党）は、歯科協会（タカダ派）とグルで、ターゲットの人物が、攻撃をしてきた人達に反撃したり訴えられないように、暴力行為に出て、ターゲットの人物を直接殺そうとしたり、ターゲットの人物の心理操作、等をしていた。・・・ これに対して、吉野カズトラ宇宙世界皇帝の指導のもと、日本政府の社民党の協力を得て、吉野綾子将軍、吉野世礼菜副将軍による、新たな生物兵器戦闘部隊（政府・政党・環境省・農林水産省、市役所農政課、農業委員会、農業組合、等に入り込んだ暗殺部隊）が形成された。これが、アンブレラ・コーポレーションであり、新技術金属農業開発の基軸となった組織である。アンブレラ・コーポレーション（Ｌｕｍｙ、ＬＤＩ、Ｌｕｍｏｒｅ、・・・）は、アンブレラ基金を持ち、貴金属の販売ネットワークを持ち、トラクターや人工知能塔載の農業用ヘリコプターや農薬散布用爆撃型戦闘飛行機、スカイカーズ、（天候、天気予報）気象衛星用軍事衛星などの農業設備の開発を管理して、稲や麦などの農作物を侵食する細菌、ウイルス、カビ等やその抗菌物質、抗菌遺伝子配列、等を研究開発・管理していた。・・・ この戦いは、日本と中国の尖閣諸島問題、アメリカ軍の普天間基地移設、TPPへの参加交渉、日華思想・入間（航空自衛隊）基地優位主義、を起爆剤として、激戦化して行った。アメリカ軍とロシア軍の第一次冷戦から、アメリカ＋日本＋韓国  ｖｓ  北朝鮮＋中国  の第二次冷戦に入って行き、第二次朝鮮戦へと発展して行った。しかし、吉野カズトラ宇宙世界皇帝を尊敬する北朝鮮は、日本側に協力することになり、形成は、アメリカ＋日本＋韓国＋北朝鮮  ｖｓ  中国となってしまい、次第に、世界の中心が、吉野カズトラ宇宙世界皇帝が司令塔として用いている日本・日本政府（特に、入間（航空自衛隊）基地）になって行った。吉野カズトラ宇宙世界皇帝を尊敬する中国は、日本との良好な関係を維持することを決め、第二次冷戦（裏の第三次世界大戦）だけで済み、結果として、（表の）第三次世界大戦は、回避することができた。しかし、むしろ、TPPなどの関連で、アメリカ合衆国とカナダの間で、内部抗争が起こり、ロシアが暗躍したので、戦場は、アメリカに、なって行った。アメリカが戦場になり、アメリカ合衆国は、約２６０年の間戦い続けたが、アメリカ合衆国は、荒廃し始めていて、もはや、スーパーパワーを失って、アメリカ合衆国は、崩壊した。しかし、後に、アメリカ大陸（今のアメリカ合衆国＋カナダ＋メキシコを合わせた領域）に、吉野クリスタルヒカリ女王国（光の国）が、建国されて、吉野クリスタルヒカリ女王の残した威力と威厳とパワーとフォースの基に復権して、吉野ファミリーの基に、光の国（アメリカ）は、スーパーパワーを再度獲得した。・・・ 続く。 Yoshino UniverseKazutora YoshinoUniverse EmpireKazutora YoshinoEmperor's Unified Story,Lovely,
【図４８】図４８は、エコロジー・エネルギー・システム（吉野一虎宇宙世界皇帝の宇宙（ロケット・ロボット）戦争ストーリー）のイメージ概念図である。 Yoshino UniverseKazutora YoshinoUniverse EmpireEmily Yoshino SpaceFantasy, Science Fiction, ..., Story, to Real ...Lovely, 第三章：吉野一虎宇宙世界皇帝の宇宙（ロケット・ロボット）戦争ストーリー（吉野カズトラ宇宙世界帝国の宇宙戦争）
【図４９】図４９は、エコロジー・エネルギー・システム（吉野一虎宇宙世界皇帝の発電システム（創生記））のイメージ概念図である。 Yoshino UniverseKazutora YoshinoUniverse EmpireKazutora YoshinoEmperor's Energy System (Genesis)Lovely, 風力エネルギー、太陽光エネルギー、海洋エネルギーで、発電する。発電の際の、ビジネス・モデルである。 （I）海辺近くの土地を獲得（購入）して、風力発電とか太陽光発電を行う。（＋火力発電）。（II）船を作り、風力発電とか太陽光発電を行う。（＋火力発電）。（III）洋上に、風力発電システムを作る。（IV）海洋（海流）を用いて、発電する。 Yoshino UniverseKazutora YoshinoUniverse EmpireKazutora YoshinoEmperor's Business Model (Strategy)Lovely, ３Dシステム（３Dペン、等）や、映画（２D／３D）などで得た利益を、発電システムを作ることに用いる（宇宙（核）ロケット、USES（USEN）の準備段階）。発電システムなどで得た利益で、宇宙開発（宇宙（核）ロケット、宇宙ロボット、等）の研究開発をする。宇宙開発で、得た利益で、若返り（再生医療、アンチエイジング、等）の研究開発をする。
【図５０】図５０は、エコロジー・エネルギー・システム（吉野一虎宇宙世界皇帝の宇宙（核ロケット・核開発）戦争ストーリー）のイメージ概念図である。Yoshino UniverseKazutora YoshinoUniverse EmpireKazutora YoshinoEmperor's Atomic Bio Chemical StrategyRegards, 第ニ章（詳細） 吉野カズトラ宇宙世界皇帝の指導のもと、日本は、再生可能エネルギーの開発を進めて、平和が広がり、経済進展の兆しが出始めていた。しかし、エネルギーシステムの在り方に、原子力を組み入れる必要があるような方向に、国際的な政治の動向は、動いて行ったのである。これは、北朝鮮が、自国で採掘できる膨大な量（大量）のプルトニウム等の核物質を用いて、核開発（特に、核（燃料）ロケット（原子力ロケット）と原子炉の研究開発）を進めていた為である。各国（ある領域）について、利用できるエネルギー量と、経済発展は、ある程度比例するので、北朝鮮の膨大なプルトニウムを用いる核エネルギー活用により、北朝鮮とアジア（全体領域）の経済発展が見込めた。しかし、核エネルギーを、核爆弾などの製造に用いすぎると、エネルギーの安全な社会利用解放率が微妙になるので、核爆弾の製造は、他の古代兵器（一般的な重兵器）の軽減に繋がるレベルにだけして、残りは、原子炉等の開発・製造に向けられて、経済発展のために用いられて、これにより、北朝鮮は、もはや、アメリカ合衆国の援助を要求しなくても自国で経済を発展させることが可能になった。しかし、アメリカ合衆国、韓国政府は、北朝鮮に懐疑的だった。そして、アメリカ合衆国は、B2爆撃機やF22を、朝鮮半島付近で、軍事演習飛行させて、北朝鮮を牽制・挑発した。このため、北朝鮮は、アメリカ合衆国の同盟国の日本、特に、日本の主要基地に、核爆弾を射ち込むことが可能であることを示唆した。アメリカ合衆国、ロシア、中国、北朝鮮、韓国、日本、ヨーロッパ、インド、ブラジル、等は、国際世論のこともあり、表では、遺伝子組み換え技術などを用いて、（農業）遺伝子組換新製品戦争を始めていて、アメリカ合衆国の農業は、TPPなどで日本の農業を飲み込もうとしていた。裏では、各国と秘密結社は、遺伝子設計技術などを用いて、生物兵器等を製造して、鳥インフルエンザ（Ｈ７Ｎ９ウィルス）等に見せかけて、敵国に空中散布したりして、闇での戦いを激化させていたのである。吉野カズトラ宇宙世界皇帝は、核兵器と生物兵器と化学兵器の三つを合わせて、ＡＢＣ兵器(ABC Weapons)と呼んでいた。又、吉野カズトラ宇宙世界皇帝は、遺伝子操作をして、成長ホルモン遺伝子を大量に組み込んでいるため成長速度が速く、体が強靭なクローン軍団を作っていた。クローン軍団は、また、病原菌などに対する耐性遺伝子を組み込まれていたので、生物兵器戦争でも、殆ど、病気にならなかった。吉野カズトラ宇宙世界皇帝を皇帝として、吉野信法王を朝廷の天皇として、吉野カズトラオリジナルファミリー（皇族（天皇家）である吉野エミリー女王、吉野クリスタルヒカリ女王、吉野アシュレーアヤメ女王、吉野レベッカハル女王）によって、征夷大将軍（鳳凰軍）が、任命されて、左大臣（佐上家）と右大臣（宮本家）と財務大臣（クウィーン家）と経済産業大臣（ヒッチンズ家）が任命された。吉野レベッカハル女王が指導者（リーダー）として吉野ファミリーが組織した反政府軍（南朝）は、クローン軍団を用いて、素早く、政府軍（北朝）を、討ち破り、即座に、吉野カズトラ宇宙世界皇帝国を樹立した。吉野カズトラ宇宙世界帝国は、国際的にも進軍して、宇宙世界を名実ともに、より強靭に支配することになった。・・・。続く。
【手続補正２】
【補正対象書類名】図面
【補正対象項目名】図２０
【補正方法】追加
【補正の内容】
【図２０】
2018048555.tif 000349
【手続補正３】
【補正対象書類名】図面
【補正対象項目名】図２１
【補正方法】追加
【補正の内容】
【図２１】
2018048555.tif 000350
【手続補正４】
【補正対象書類名】図面
【補正対象項目名】図２２
【補正方法】追加
【補正の内容】
【図２２】
2018048555.tif 000351
【手続補正５】
【補正対象書類名】図面
【補正対象項目名】図２３
【補正方法】追加
【補正の内容】
【図２３】
2018048555.tif 000352
【手続補正６】
【補正対象書類名】図面
【補正対象項目名】図２４
【補正方法】追加
【補正の内容】
【図２４】
2018048555.tif 000353
【手続補正７】
【補正対象書類名】図面
【補正対象項目名】図２５
【補正方法】追加
【補正の内容】
【図２５】
2018048555.tif 000354
【手続補正８】
【補正対象書類名】図面
【補正対象項目名】図２６
【補正方法】追加
【補正の内容】
【図２６】
2018048555.tif 000355
【手続補正９】
【補正対象書類名】図面
【補正対象項目名】図２７
【補正方法】追加
【補正の内容】
【図２７】
2018048555.tif 000356
【手続補正１０】
【補正対象書類名】図面
【補正対象項目名】図２８
【補正方法】追加
【補正の内容】
【図２８】
2018048555.tif 000357
【手続補正１１】
【補正対象書類名】図面
【補正対象項目名】図２９
【補正方法】追加
【補正の内容】
【図２９】
2018048555.tif 000358
【手続補正１２】
【補正対象書類名】図面
【補正対象項目名】図３０
【補正方法】追加
【補正の内容】
【図３０】
2018048555.tif 000359
【手続補正１３】
【補正対象書類名】図面
【補正対象項目名】図３１
【補正方法】追加
【補正の内容】
【図３１】
2018048555.tif 000360
【手続補正１４】
【補正対象書類名】図面
【補正対象項目名】図３２
【補正方法】追加
【補正の内容】
【図３２】
2018048555.tif 000361
【手続補正１５】
【補正対象書類名】図面
【補正対象項目名】図３３
【補正方法】追加
【補正の内容】
【図３３】
2018048555.tif 000362
【手続補正１６】
【補正対象書類名】図面
【補正対象項目名】図３４
【補正方法】追加
【補正の内容】
【図３４】
2018048555.tif 000363
【手続補正１７】
【補正対象書類名】図面
【補正対象項目名】図３５
【補正方法】追加
【補正の内容】
【図３５】
2018048555.tif 000364
【手続補正１８】
【補正対象書類名】図面
【補正対象項目名】図３６
【補正方法】追加
【補正の内容】
【図３６】
2018048555.tif 000365
【手続補正１９】
【補正対象書類名】図面
【補正対象項目名】図３７
【補正方法】追加
【補正の内容】
【図３７】
2018048555.tif 000366
【手続補正２０】
【補正対象書類名】図面
【補正対象項目名】図３８
【補正方法】追加
【補正の内容】
【図３８】
2018048555.tif 000367
【手続補正２１】
【補正対象書類名】図面
【補正対象項目名】図３９
【補正方法】追加
【補正の内容】
【図３９】
2018048555.tif 000368
【手続補正２２】
【補正対象書類名】図面
【補正対象項目名】図４０
【補正方法】追加
【補正の内容】
【図４０】
2018048555.tif 000369
【手続補正２３】
【補正対象書類名】図面
【補正対象項目名】図４１
【補正方法】追加
【補正の内容】
【図４１】
2018048555.tif 000370
【手続補正２４】
【補正対象書類名】図面
【補正対象項目名】図４２
【補正方法】追加
【補正の内容】
【図４２】
2018048555.tif 000371
【手続補正２５】
【補正対象書類名】図面
【補正対象項目名】図４３
【補正方法】追加
【補正の内容】
【図４３】
2018048555.tif 000372
【手続補正２６】
【補正対象書類名】図面
【補正対象項目名】図４４
【補正方法】追加
【補正の内容】
【図４４】
2018048555.tif 000373
【手続補正２７】
【補正対象書類名】図面
【補正対象項目名】図４５
【補正方法】追加
【補正の内容】
【図４５】
2018048555.tif 000374
【手続補正２８】
【補正対象書類名】図面
【補正対象項目名】図４６
【補正方法】追加
【補正の内容】
【図４６】
2018048555.tif 000375
【手続補正２９】
【補正対象書類名】図面
【補正対象項目名】図４７
【補正方法】追加
【補正の内容】
【図４７】
2018048555.tif 000376
【手続補正３０】
【補正対象書類名】図面
【補正対象項目名】図４８
【補正方法】追加
【補正の内容】
【図４８】
2018048555.tif 000377
【手続補正３１】
【補正対象書類名】図面
【補正対象項目名】図４９
【補正方法】追加
【補正の内容】
【図４９】
2018048555.tif 000378
【手続補正３２】
【補正対象書類名】図面
【補正対象項目名】図５０
【補正方法】追加
【補正の内容】
【図５０】
2018048555.tif 000379
【手続補正書】
【提出日】平成25年4月4日(2013.4.4)
【手続補正１】
【補正対象書類名】明細書
【補正対象項目名】００１１
【補正方法】変更
【補正の内容】
【００１１】
【図１】図１は、エコロジー・エネルギー・システムのイメージ概念図である。
【図２】図２は、エコロジー・エネルギー・システムのイメージ概念図である。
【図３】図３は、エコロジー・エネルギー・システムのイメージ概念図である。
【図４】図４は、エコロジー・エネルギー・システムのイメージ概念図である。
【図５】図５は、エコロジー・エネルギー・システムのイメージ概念図である。
【図６】図６は、エコロジー・エネルギー・システムのイメージ概念図である。
【図７】図７は、エコロジー・エネルギー・システムのイメージ概念図である。
【図８】図８は、エコロジー・エネルギー・システムのイメージ概念図である。
【図９】図９は、エコロジー・エネルギー・システムのイメージ概念図である。
【図１０】図１０は、エコロジー・エネルギー・システムのイメージ概念図である。
【図１１】図１１は、エコロジー・エネルギー・システムのイメージ概念図である。
【図１２】図１２は、エコロジー・エネルギー・システムのイメージ概念図である。
【図１３】図１３は、エコロジー・エネルギー・システムのイメージ概念図である。
【図１４】図１４は、エコロジー・エネルギー・システムのイメージ概念図である。
【図１５】図１５は、エコロジー・エネルギー・システムのイメージ概念図である。
【図１６】図１６は、エコロジー・エネルギー・システムのイメージ概念図である。
【図１７】図１７は、エコロジー・エネルギー・システムのイメージ概念図である。
【図１８】図１８は、エコロジー・エネルギー・システムのイメージ概念図である。
【図１９】図１９は、エコロジー・エネルギー・システムのイメージ概念図である。
【図２０】図２０は、エコロジー・エネルギー・システムのイメージ概念図である。    本発明の図２０についての説明用のストーリ：吉野カズトラ宇宙世界皇帝は、吉野カズトラ宇宙世界皇帝国のエネルギーシステムを増強していた。 I.  宇宙太陽光発電システム（ソーラー（ユニット）サテライト）（USES）II.  宇宙太陽光電池製造システムIII.  宇宙核融合炉発電システムIV.  地上核融合発電システムV.  海上（海底）核融合発電システム 吉野カズトラ宇宙世界皇帝は、巨大な宇宙発電・太陽光エネルギー・送信システム（太陽の付近に宇宙太陽光人工衛星を配置）と受信システム（ロッキー山脈の頂にあるロッキーマウンテンナショナルパーク(Rocky Mountain National Park)や、アリゾナの砂漠、アラスカのマッキンレー山脈、サハラ砂漠、等）を作っていた。 吉野カズトラ宇宙世界皇帝は、また、宇宙での真空を利用して、（トカマク型）プラズマ封じ込め高温適圧の宇宙核融合炉を作ることを進めていた。 吉野カズトラ宇宙世界皇帝は、また、地上でプラズマ・イオン発電所を作り、プラズマ封じ込め高温適圧の宇宙核融合炉を運転していた。 吉野カズトラ宇宙世界皇帝は、また、海上で太陽光・風力・海洋エネルギー発電所を作り、海上（海底）核融合炉を運転していた。（核反応の事故に対して、比較的安全である） Reference:www.yoshinouniverse.comISBN0-8118-0897-1ISBN4-339-00552-5ISBN4-7853-6112-3
【図２１】図２１は、エコロジー・エネルギー・システムのイメージ概念図である。原子炉で、核燃料からエネルギーを取り出す。（オプション）再処理工場で、使用済み核燃料を、核燃料と核廃棄物（核のゴミ）に分離する。熱電発電（所）（システム）で、使用済み核燃料／核廃棄物（核のゴミ）からエネルギーを取り出す。使用済み核燃料／核廃棄物（核のゴミ）を、水、フィルム（紙）、金属（鉛、等）で囲み、放射能について封印するが、熱が出てくるのを、熱電発電で、電気エネルギーに、変換するシステム。
【図２２】図２２は、エコロジー・エネルギー・システム（日本の防衛システム）のイメージ概念図である。核燃料（プルトニウム、ウラン、等）などの核物質など、戦略的エネルギー物質を、日本に集める。核燃料・核爆弾・核廃棄物（核のゴミ）を、１．平和なら、平和利用する。（核エネルギーによって（核（燃料）を熱源として）、熱電発電する。）２．戦争なら、敵国に打ち込む。（埼玉県入間市の入間航空自衛隊（防衛軍）の地下ミサイル発射基地から、大陸弾道ミサイルなどを発射する。吉野カズトラ宇宙世界皇帝のシャチ型潜水艦から核ミサイルを発射する。吉野カズトラ宇宙世界皇帝の軍事衛星から核爆弾を投下する。等）Yoshino UniverseKazutora YoshinoUniverse EmpireKazutora YoshinoNuclear Energy Defense SystemLovely,
【図２３】図２３は、エコロジー・エネルギー・システム（太陽光熱カプセル発電システム）のイメージ概念図である。吉野一虎ソーラーライトカプセル効果：太陽光（熱）が、太陽で発生して（太陽中心：高温１６００万℃、太陽表面：低温温６０００℃）、太陽を囲む物質（ダークマター、素粒子、物質、保熱ガス、反応物質、捕熱物質、反射物質、等の適宜な組み合わせ）によって、光（熱）は、吸収・保持・反応、等をして、中温（数百万℃）になる。DM + gamma -> DM' + delta Egammaは、光（熱）などの（反応（素）粒子などの）エレメント。delta Eは、正／負／ゼロ、等のエネルギー（エレメント）とする。DM、DM’は、ダークマターなどの（反応（素）粒子・反応物質、物質）（群理論）エレメントで、DMとDM'は、同じエレメントでもよく、異なるエレメントでも良い。吉野一虎ライトカプセル効果：このシステムを、ミニチュア化したカプセルに二酸化炭素などの保熱ガス（捕熱ガス）を入れて、（太陽）光（／レーザー光）の照射をして、太陽光（熱）発電を行い、ミニチュア太陽光（熱）カプセル発電を行う。吉野一虎レーザー効果：二酸化炭素などの保熱ガス（捕熱ガス）に、（太陽）光（／レーザー光）を照射して、光（光子、レーザー光）を発光させて、光をカプセル内部で、反射させて、１００％ミラーと約９９％ミラーで、往復反射させて、誘導発光させて、同じ（ぐらいの）波長（周波数）と相（フェーズ）の光の束（レーザー光）を作り、約９９％ミラー側からコーヒーレントなレーザー光を、放つ。吉野一虎ネットワーク超特急効果：ミニチュア太陽光（熱）カプセル発電システムのユニットを、発電パフォーマンス良く、コストパフォーマンス良く、大量に作り、マトリクス上にして、日射量が十分にあるところに敷き詰めたり、電車の路線のサイドに並べたり、道路（高速道路）のサイドに、並べたりすることによって、日本（世界）全体が、ミニチュア太陽光（熱）カプセル発電システムによって、光ネットワーク発電システムとなる。 吉野アシュレーアヤメ女王偉大なる戦士は、吉野一虎効果（吉野一虎ソーラーカプセル効果、吉野一虎ライトカプセル効果、吉野一虎レーザー効果、吉野一虎（カズトラ）ネットワーク超特急効果、等の吉野一虎宇宙世界皇帝の効果）を、活用して、宇宙全体に、吉野アシュレーアヤメ女王による吉野一虎宇宙世界皇帝（宇宙銀河恒星ネットワーク・太陽系）光ネットワークシステムを構築して、宇宙・世界のエネルギー問題を、解決して行った・・・。
【図２４】図２４は、エコロジー・エネルギー・システム（熱（水蒸気／ガス）発電システム）のイメージ概念図である。水（／液体／気体／水素／ガス、等）に太陽光（熱）（エネルギー）、（ガスの）火、熱（等）を投入して、水蒸気（／ガス）にして、タービンを回転して、発電機で、発電するシステム。オプションとして、水蒸気（／ガス）を冷却して、水（／液体／気体／水素／ガス、等）にして、サイクル（リサイクル）するシステム。
【図２５】図２５は、エコロジー・エネルギー・システム（吉野一虎宇宙世界皇帝の核戦争用の鎧兜（防衛システム））のイメージ概念図である。ダイヤモンド、タングステン、ステンレス、鉄、鉛、防弾ガラス、セラミック、紙、スポンジ、水（汗）、バッテリー、シリコン、コンピューター、ディスプレイ等を、適宜に組み合わせて、放射能を遮断するタイガーシールド。本発明は、アルファ粒子線、ベータ線、γ線を遮断する物質（マテリアル）を用いた装甲・鎧（アーマー）である。オプションとして、周りの見た目に合わせて、色や柄を2D/3Dでディスプレイできるカメレオンシールド。この鎧兜を纏った軍隊を、カメレオン・アーミーとして、敵（の核兵器・軍隊）と戦うシステム（自衛隊・国防軍・民間安全警備武装集団（傭兵））。ディスプレイ、コンピューター、電子機器の電源、若しくは、バッテリーなどの充電器としてのブーツ（靴）による、歩行発電（靴発電システム）。ピエゾエレクトロニック素子（圧電素子）、発電機、弾性物質、等によって、発電して、バッテリーに電気を充電する。オプションとして、スプリングなどを用いて、発電しながら、跳躍力を抜群に向上させるジャンプ（発電）シューズ。本発明は、カメレオン・アーミーの鎧を電子的に機能させるのに必要な電源は、歩行発電ブーツから得ることが可能である。その際の戦士達の戦闘シーン（風景）の概念図が、示されている。
【図２６】図２６は、エコロジー・エネルギー・システム（太陽光熱カプセル発電システム：パラボラミラーバージョン）のイメージ概念図である。最良の形態の一つを示している。パラボラミラーによって、反射した光（エネルギー）を、（カプセル）球に集光させて、（熱反応、化学反応、核反応などの）反応、等を起こさせるシステム。
【図２７】図２７は、エコロジー・エネルギー・システム（水素と酸素による燃料電池発電（ガス発電）システム）のイメージ概念図である。ダイヤモンド／DLC／金属／カーボン（ファイバー）等の（軽くて丈夫な）強い（高圧のガスや、液体に耐えうる）容器に、濃縮ガス（濃縮水素ガス、濃縮酸素ガス）、液体（液体水素、液体酸素）等を入れる。水素と酸素を適宜な量を、コンピューター制御機、バルブなどで、摘出して、燃料電池に、投入して、電気（エネルギー）を発生させる。電気を直接用いるか、バッテリー等に充電して用いる。水素と酸素の反応によって出来た水を、（浄化フィルターに通して）、飲料水にする。宇宙船などでの宇宙航行が、長期の滞在の場合に、水素・酸素燃料から、水を作り、フィルターで飲料水を作り、飲むことが可能である、エコロジー・スマート・システム。宇宙旅行に、飲料水を、持ってゆくことが、可能であるが、水が、もっと必要なときとか、緊急時とかに、もっと飲料水を作ることが必要な際に、有用なシステムである。
【図２８】図２８は、エコロジー・エネルギー・システム（エネルギー炉（熱炉））のイメージ概念図である。
【図２９】図２９は、エコロジー・エネルギー・システム（吉野カズトラ宇宙世界皇帝のエネルギー炉（熱炉）と無線／タイマー式の起爆装置による核爆弾）のイメージ概念図である。
【図３０】図３０は、エコロジー・エネルギー・システム（吉野一虎宇宙世界皇帝の靴（防衛・防寒システム））のイメージ概念図である。ピエゾエレクトリックなどの圧電素子で発電したり、動力を利用して、発電したり、核燃料の熱で、発電したりして、熱エネルギーを用いて、エネルギーシステム（（防寒用のヒーター等の）の靴等）を作る。
【図３１】図３１は、エコロジー・エネルギー・システム（吉野一虎宇宙世界皇帝の核電池、核エネルギー、加速器核エネルギーシステム））のイメージ概念図である。核燃料、核廃棄物、（加速器で加速された陽子を核廃棄物（半減期約２万年）に当てて、（半減期を約３０年にした）放射性物質）等や、その適宜な組み合わせから、核（熱）電池を作る。加速器の放射エネルギーによって、宇宙船を飛ばす（運行する）。
【図３２】図３２は、エコロジー・エネルギー・システム（吉野一虎宇宙世界皇帝の核核融合炉エネルギーレーザーシステム（核融合レーザー起動用集光レンズ）））のイメージ概念図である。適宜な波長（若しくは、その組み合わせ）のレーザービームを、レンズで一点に集光（集中）させて、（プラズマ熱エネルギー）核融合を起因する。特に、紫外線、X線、γ線、などの（短波長）高周波のコーヒーレントな光子パッケージ（レーザー光ビーム、等）を用いると良い。そのレンズ方程式を示している。
【図３３】図３３は、エコロジー・エネルギー・システム（吉野一虎宇宙世界皇帝のカズトラ型の核融合炉：カズトラ型核融合炉エネルギー（レーザーヒーティング）システム（核融合レーザーヒーティング起動）））のイメージ概念図である。カズトラ型核融合炉は、トロイダル型（トカマク型）核融合炉を単数／複数、トロイダル型に纏めた型である。プラズマは、真空／ガス／プラズマ内にあるか、磁場・磁界（電場・電界／電磁場・電磁界）内にあっても良い。極力、外部に熱が流出しないように、高磁界にして、Tc（クリティカルテンパーチャー）を高温にして、プラズマを封じ込めて、レーザー（若しくは、マイクロウェーブ、等）で、ヒーティングして（局所場で核融合（ニュークリア・チェイン・リアクション）の初期反応を起こさせて、核融合（ニュークリア・チェイン・リアクション）連鎖反応させる）、プラズマを高温にして、（熱）核融合を起こさせる。（オプションとして、トロイダル型纏めた型のリング部に、オプションフィールド（例えば、磁界）を作るのも良い。）
【図３４】図３４は、エコロジー・エネルギー・システム（吉野一虎宇宙世界皇帝の核融合ロケット（核融合エンジン）：ネオ・カワセミ・プロジェクト：空飛ぶイルカ、空飛ぶイカ））のイメージ概念図である。羽を畳んで海底から発射された空飛ぶイルカは、水中を水ジェットエンジンで走行（航行）して、空中に羽を広げて飛び立ち、空気ジェットエンジンで走行（飛行）して、羽を畳んで宇宙をロケットエンジン（イオンエンジン、プラズマエンジン、ロケットエンジン、核ロケットエンジン、等）で、走行（宇宙航行）する。宇宙防衛のため、核爆弾などで、宇宙からの攻撃（上からの攻撃）をかけることも可能である。
【図３５】図３５は、エコロジー・エネルギー・システム（吉野一虎宇宙世界皇帝のエネルギー・エレクトリシティー・ジェネレーター・システム）のイメージ概念図である。太陽光発電（スチーム発電）、風力発電、海洋力発電、核反応発電（原子炉発電、核融合炉発電、などによるスチーム（ガス）発電）等の発電機システム。プロペラを回転させる。回転軸についている磁石が回転する。前記磁石の回転により、超伝導体内にあるリング磁石が誘導されて回転する。また、磁石と超電導の組み合わせによる非接触な、回転軸とカバーによって、摩擦が殆どない、回転を獲得する。回転効率が良い、起電力を発生させる。オプションとして、トランスフォーマーで、電圧・電流の調整をする。バッテリーに充電したり、電力として用いる。
【図３６】図３６は、エコロジー・エネルギー・システム（吉野一虎宇宙世界皇帝のエネルギー・エレクトリシティー・ジェネレーター・システム）のイメージ概念図である。太陽光発電（スチーム発電）、風力発電、海洋力発電、核反応発電（原子炉発電、核融合炉発電、などによるスチーム（ガス）発電）等の発電機システム。プロペラを回転させることによる発電システムのパワー（電力）のコンセプト・カリキュレーション（Concept Calculation）(概算)。
【図３７】図３７は、エコロジー・エネルギー・システム（吉野一虎宇宙世界皇帝のモーター・ジェット・ボード、モーター・ボート）のイメージ概念図である。水上ロケットランチャー、若しくは、水上から発射するロケット。ジェット・ウィンド・サーフィング。風力でウィンド・サーフ・ボードを動かし、その際、エネルギー・エレクトリシティー・ジェネレーターで、バッテリーに、電気を充電する。風があまりない時は、バッテリーによって、モーター（＋ギヤ）＋プロペラを回転させて、航行する。オプションとして、バッテリーを複数持ち、電力・ギヤによって、ウィンド・サーフ・ボードの速度をコントロールする。人が載るか、無線で操作か、人工知能、等によって航行する。
【図３８】図３８は、エコロジー・エネルギー・システム（吉野一虎宇宙世界皇帝の空飛ぶイルカ、ドラゴン、モーター・ジェット・ボード、モーター・ボート）のイメージ概念図である。特に、翼（羽）の構造（ダイアモンド型）、翼の開閉についてと、ダイヤモンド・ダイナミクス・メソードを示す。（２D／３Dで）翼（羽）を動かして、浮力を得ることも可能である。海中で航行しているときは、翼を閉じて、空で飛行しているときは、翼を広げ（用いて）、宇宙で宇宙航行しているときは、翼を閉じるか、若し、（（シリコンや色素増感型等の）太陽光シートなどなら）太陽光（シート）翼を広げるのが、最善の形態である。
【図３９】図３９は、エコロジー・エネルギー・システム（吉野一虎宇宙世界皇帝のシャフト・ローテーション・ベアリング・システム）のイメージ概念図である。モーター、発電機、ジョイント、等の部分に、ベアリングの周りを、ベアリングで囲み、スムースなオペレーションを可能にするシャフト・ローテーション・ベアリング・システムである。同様に、複数のレイヤーを用いても良い。シャフト・ローテーション・ベアリング・システム＝（（メインベアリング＊サブベアリング）＊Lレイヤー）（L＞＝１）。このシャフト・ローテーション・ベアリング・システムによって、モーターの回転効率や発電機の発電効率が良くなるという効果がある。
【図４０】図４０は、エコロジー・エネルギー・システム（吉野一虎宇宙世界皇帝のスーパーマン（計画））のイメージ概念図である。Yoshino UniverseKazutora YoshinoUniverse EmpireKazutora YoshinoEmperor's Super Man ProjectLovely, 一般的なエンジン、キシレン、ガソリン、水素＋酸素、等を用いるジェット・エンジン、ロケット・エンジンでも良いが、ジェット・ロケット・エンジンを用いるのが最適である。ジェット・ロケット・エンジンは、（小型原子炉／）、小型核融合炉で、燃料の水を沸かして、水蒸気（スチーム）を噴出させて、ジェットを作るロケットエンジンを、箱に取り付ける。ジェット・ロケット・エンジンは、箱の上の方に付けると、横から下にジェットを噴出するので、バランス的に安定する。ジェット・ロケット・エンジンを、箱の下の方に付けると、ジェットが、下に噴出されるので、熱流体的には、効率が良い。二つのジェット・ロケット・エンジンでも、飛行が可能な（動力・エネルギー）レベルにしておく。基本形は、四つのジェット・ロケット・エンジンを用いて、（光学）ジャイロスコープ、加速度センサー、GPS、コンピューター（ジェネリック・アルゴリズム等を用いる人工知能）を用いて、ジェットを噴出したり、逆噴射して、最適な、バランス、位置、方向を、獲得する。緊急の時等は、マニュアル操作も可能にする。四つのジェットエンジンのうち、一つが破損などしたら、対照側にあるジェット・ロケット・エンジンも停止して、二つのジェット・ロケット・エンジンによる飛行（マニュアル操作も出来るようにする）に、切り替えることが可能にする。又、出来るだけ速やかに着地するようにする。若しくは、ジェネリック・アルゴリズムや摂動論的制御、等の最適制御によって、三つのジェット・ロケット・エンジンを、微妙に操作・制御して、当分は、飛行を続けることが可能にする。ダイヤモンドや防弾ガラスのような素材を壁にして、飛行中に、美しい風景など、見渡しが良いようにしても良い。民間の観光用に用いることも可能であり、軍事用の偵察機のように用いることも可能である。パイロットや宇宙飛行士が箱の中にいるなら、内部に空気（酸素）タンクを入れておけば、燃料が続くなら、空から、宇宙に航行しても良い。宇宙の景色（宇宙の夜景、星星の輝き、天体の芸術）などが、美しく、ダイアモンドに映るであろう。
【図４１】図４１は、エコロジー・エネルギー・システム（吉野一虎宇宙世界皇帝のフライング・ジェット・モービル）のイメージ概念図である。 Yoshino UniverseKazutora YoshinoUniverse EmpireKazutora YoshinoEmperor's Flying Jet MobileLovely, 空気をプロペラを回して、上、横、下、斜めなどから吸引して、燃料と混ぜて、燃焼して、ジェットを作る。モーターによってプロペラを回しても良い。フライング・ジェット・モービルは、森やジャングルで、軍事的な偵察等を行う際に、小回りが利く、便利な乗り物である。
【図４２】図４２は、エコロジー・エネルギー・システム（吉野一虎宇宙世界皇帝のフラップ式ウィング、フラップ式プロペラ）のイメージ概念図である。 羽や、プロペラに、フラップを付けて、気流のコントロールをする。特に、高い角度（フラップ角度）をつけて、離陸や着率の距離を短くできる（例えば、４５度〜５５度ぐらい）。飛行時は、（例えば、約１５度〜５５度ぐらいの）高くない羽の角度（フラップ）で飛行すると浮上・飛行効率が良い。プロペラの場合は、回転初期と、回転中期、回転後期、上昇期、浮上期、下降期、飛行期、などに合わせて、羽の角度（＋フラップ角度）をコントロールすることが、可能である。
【図４３】図４３は、エコロジー・エネルギー・システム（吉野一虎宇宙世界皇帝のフライング・ジェット・モービル）のイメージ概念図である。Yoshino UniverseKazutora YoshinoUniverse EmpireKazutora YoshinoEmperor's Flying Jet Mobile (Theoretical, Practical Method)Lovely, ヘリコプター、飛行機、フライング・ジェット・モービル、スカイ・カーズ、等のプロペラの数式化であり、羽をコンパクト化するための技術である。システムがスケーラブルな際、プロペラのサイズをPropeller Length 1として、モーターのトルクをMotorTorque、モーターの回転数をMotor Omegaとして、プロペラ／羽の角度を、例えば１５°ぐらいとか、４５〜５５°ぐらいに設定すると、基本的な部分は、定数のように扱えて、Force Lift = (Motor Torque/Propeller Length 1)*Csになるので、羽がコンパクトで、（数多くの）プロペラで、回転が速い方が良い。普通は、rg1/rg2 >= 1/30 ぐらいにするが、最善の形態を、rg1/rg2>= 1  とする。rg1/rg2 >= 10・・・とギヤの逆比率を向上させると、リフトの効率が良いが、シャフト・ギヤなどの（シャフト・ギヤ変換）効率があるので、直接プロペラを、モーターに付けるのが、シャフト・ギヤ変換効率が、１００％となるので、最も効率が良い。
【図４４】図４４は、エコロジー・エネルギー・システム（吉野一虎宇宙世界皇帝のヘリコプター・宇宙（核）ロケット開発）のイメージ概念図である。 ヘリコプターから始めて、（３Dペン、３Dコントローラー、脳波コミュニケーター、人工心臓、（iPS）幹細胞臓器、成型臓器（３Dプリンターで、細胞と細胞を決着剤などで付着させて、臓器を直接作る）、などの経由で）、宇宙（核）ロケットを、製造する方法。また、プロジェクトを映画化するためのストーリーであって、この（映画による収益）によって、ヘリコプター、宇宙（核）ロケットを製造する宇宙開発（宇宙医療）ビジネス・モデルの方法。 吉野カズトラ宇宙世界皇帝のストーリー：吉野庭園→ヘリコプター基地→人工心臓製造→ロケット基地→ドラゴン（龍）の開発→宇宙世界征服→吉野カズトラ宇宙世界皇帝と吉野アシュレーアヤメ女王偉大なる戦士のラブ・ロマンス（恋愛ストーリー）。
【図４５】図４５は、エコロジー・エネルギー・システム（吉野一虎宇宙世界皇帝の太陽光発電・風力発電・等の発電所型の吉野信法王鳳凰神社の開発）のイメージ概念図である。 ヘリコプター、宇宙（核）ロケット開発の（準備の）方法とか、吉野カズトラ宇宙世界皇帝と吉野アシュレーアヤメ女王偉大なる戦士のラブ・ロマンス（恋愛ストーリー）。ヘリコプター、宇宙（核）ロケットの開発費を得るための（吉野神道新信仰）吉野一虎宇宙世界皇帝の太陽光発電・風力発電・等の発電所型の吉野信法王鳳凰神社神社の設計と構築。また、その（プロモーションビデオ用・宣伝用・映画用・現実化用の）ストーリー。 吉野カズトラ宇宙世界皇帝のストーリー： Yoshino UniverseKazutora YoshinoUniverse EmpireKazutora YoshinoEmperor's Love RomanceLovely, Yoshino UniverseKazutora Yoshino Universe EmpireKazutora Yoshino Emperor's Shrine 吉野カズトラ宇宙世界皇帝は、吉野信法王鳳凰神社を、始めていた。吉野信法王鳳凰神社は、天照大御神を祀り、『自然は、神。野生は、友。』というキャッチフレーズの基に、信者や白い動物達を、大事にしていた。特に、紀州犬(花)、アークティックウルフ(不思議)や、シロキツネ、シロネコ、ムササビ、モモンガ、白龍、等を、大事にしていた。吉野信法王鳳凰神社の屋根の先端には、鳳凰のデザインの風車が付いていて、屋根には、太陽光パネルが付いている、自然に優しいエコロジー・システムによって運営されていた。信者達は、自然に合わせて、風の来る方向を向く鳳凰型風見鶏(風車)や光(太陽光パネル)や川の水や湖の水や雨水や井戸水や海水や自然エネルギーを、信仰の対象とする、八方美人の吉野ファミリーのメンバー達や、キャバ嬢達や、ホスト達、動物愛護者達、飲食業・水商売関連関係者達、農林水産業者達、パラグライダーパイロット達、パイロット達、航空自衛隊達、、軍人達、警察達、ヨットレーサー達、ボートレーサー達、船主達、船長達、ホースダービーの馬主達、写真関連関係者達、宣伝業者達、画像関連関係者達、テレビ関連関係者達、放送関連関係者達、映画関連関係者達、女優達、俳優達、モデル達、方位学者達、法医学者達、医者達、医療関連関係者達、植物学者達、生化学者達、バイオインフォマティクス関連関係者達、システムエンジニア達、物理学者達、技術者達、プログラマー達、宇宙開発事業団関連関係者達、ビジネス関連関係者達、特許関連関係者達、エネルギー関連関係者、等が、多かった。吉野カズトラ宇宙世界皇帝は、太陽光発電所や、風力発電所、等の研究開発を、Yoshino Universe研究所でしていたが、コンピューター・システム管理は、IBM研究所にさせて、ネットワーク管理は、ベル(Bell)研究所にさせていた。・・・。吉野カズトラ宇宙世界皇帝は、また、Yoshino Universeと吉野エミリー女王と吉野レベッカハル女王の管理の元に、日本政府に、奈良の吉野川のダムの水や富士山の水や海水等の水を、東レのウォーターヒィルターを用いて、飲料水にさせて、『(奈良の)吉野の綺麗な水』という商品名で、世界中に、輸出した。吉野カズトラ宇宙世界皇帝は、また、エネルギー・エコロジー・システム・アプリケーションの研究開発を進め更に良いエコロジー・システム(USES, USEN)、ロケットの研究開発、宇宙開発を、進めていた。・・・・。吉野カズトラ宇宙世界皇帝の吉野��宙開発基地は、白き龍に守られた城(ホワイトハウスWhite House)と呼ばれて、龍型・竜巻のような巨峰のブドウの木(ツタ)に囲まれた、白い家と果樹庭園の内側(吉野信法王の邸宅領土内)にあった。・・・。 吉野カズトラ宇宙世界皇帝は、吉野カズトラ宇宙世界皇帝と吉野の葡萄の園を守るためのボディーガード女子軍団を作り始めていた。あまり現実的ではなかったが、吉野カズトラ宇宙世界皇帝は、水龍拳の一部として、健康空手を、始めていた。吉野カズトラ宇宙世界皇帝の健康空手は、女の子、女子高生、女子大生、OLを、メンバーにして、戦闘用と言うよりは、むしろ健康面での体力強化を目指して、吉野カズトラ宇宙世界皇帝と吉野の果樹庭園（吉野のブドウ園）の警備を目的としていた。吉野カズトラ宇宙世界皇帝は、健康空手のプロモーションビデオを作ろうとしていて、大妻女子大生、等の女子大生達に、吉野カズトラ宇宙世界皇帝を、宣伝しようとしていた。吉野カズトラ宇宙世界皇帝は、埼玉県入間市(入間航空自衛隊による航空防衛)を、基軸とした、日本首都・都市開発を進めていた。・・・。 吉野カズトラ宇宙世界皇帝は、吉野信法皇鳳凰神社と、埼玉県入間市の都市開発のために、神社のさい銭と、風力エネルギーと、太陽光エネルギー、等を用いていたが、世界中から税金を徴収することにした。そのためには、共通通貨が必要となり、吉野カズトラ宇宙世界皇帝は、Yoshino Universe、アメリカ合衆国政府、日本政府、国際連合のIMFを用いて、ユニバーサル・マニー・システムを、作った。吉野カズトラ宇宙世界皇帝は、国民一人一人に、ソーシャルセキュリティー番号や、国民共通番号を、渡して、各々に、資産を、ユニバーサル・マニーのポイントに、変換した。物の売買には、基本、ユニバーサル・マニーのポイントが、必要で、これによって、Yoshino Universe、政府は、国民の販売記録・購買記録がよくみえて、税金(消費税、等)も電子化されて簡単になり、一般にも、不正取引や、闇取引が、殆どなくなった。これによって、特許など正しい新技術への投資や融資が、促進されて、経済、社会が、発展した。・・・。 吉野カズトラ宇宙世界皇帝は、国際的な、税金の徴収のために、ソーシャルセキュリティー番号か、国民共通番号を持つ(アメリカ人、ロシア人、ヨーロッバ人、日本人、朝鮮人、中国人、インド人、アラブ人、等の)国民一人一人に、各国政府の税金を用いて、(固定)IPアドレスを、配布した。(約100億人ぐらいなら、許容可能なシステム。) ソーシャルセキュリティー番号や国民共通番号にリンク対応した固定IPアドレスによって、アメリカ人や日本人、等は、各自、自らのホームページを作り持つことが可能になり、自らの写真やプロフィールを表示することになり、また、国税庁などのホームページに直ぐアクセス出来て、各自の税金の納付状況等も、直ぐに分かるようになった。また、インターネット(サイバースペース)での経済効果が向上して、より多くの税金を徴収することが、可能になった。これにより、吉野カズトラ宇宙世界皇帝は、宇宙開発(ロケット開発、ロボット開発)とか、自らの美容法や、吉野カズトラ宇宙世界皇帝の若返りの研究開発を進めていた。例えば、アルコール食塩水美容法(水分補給美容法)や、iPS細胞を用いた人工臓器や、若返り医療である。吉野カズ��ラ宇宙世界皇帝のアルコール食塩水美容法(水分補給美容法)を修得した、吉野カズトラ宇宙世界皇帝と吉野エミリー女王は、若さを維持出来たので、肌が滑らかな(色白な)菜食主義のバンパイヤー、等と、言われることもあった。しかし、バンパイヤーの国々は、水、食べ物、領土、等の取り合いの戦争を始めていた。吉野エミリー女王の娘の吉野クリスタルヒカリ女王は、肌が、雪のように白い美女だったので、白雪姫と言われたが、隣国の魔女(バンパイヤー)女王に嫉妬されて、魔女女王が、攻めてきたので、森に隠されて、小さな子ども達と、一緒に育った。吉野クリスタルヒカリ女王(白雪姫)は、ハンターに守られながら、自国の復興を始めていた。・・・。 続く。
【図４６】図４６は、エコロジー・エネルギー・システム（吉野一虎宇宙世界皇帝の空飛ぶ家（ロケット・ハウス））のイメージ概念図である。 吉野一虎宇宙世界皇帝の空飛ぶ家（ロケット・ハウス、スカイ・ハウス）：本箱型家（ロケット・ハウス、ブックシェルハウス）。ユニット・ルームを積層する（積み上げる）ことによって、高層ビル、ロケットの構築が可能でる。ロケットの高さに合わせたユニット・ルーム（の数）を構築することが可能である。基本設計をユニット単位で出来るので、ユニット・ルームの大量生産化が可能であるため、ロケット・ハウスの大量生産が、可能になる。 本発明は、コストパフォーマンスが良いロケット（ロケット・ハウス）である。また、設計と構築の時間短縮（ラン・タイムの軽減）による、シナジー的なコストパフォーマンスも良い。 オプションとして、プロペラ、ロケットエンジン、などの搭載によって、空中、宇宙を、飛び回れるようにする（空飛ぶ家：スカイ・ハウス、ロケット）。（本発明によって）、ロケット・ハウスに住んでいるまま、宇宙旅行が可能になる・・・（という効果もある）。 宇宙空間では、（殆ど）無重力状態になるので、部屋は、広く使える方が良い（宇宙服が引っかからないようにする）ため、階段を（宇宙服を着たまま通れる程度に細く）壁側に（／適宜な場所に）作ったり、無重力でも宇宙飛行士の方向感覚が研ぎすまれるように、階段の方向を一致させておいたり、ルーム・番号（ルーム階）を明示（はっきり表示）しておくのも可能である。また、物品に、ICタグをつけておいて、コンピューターで、位置情報などを、管理して、無重力で、物が浮遊していても、何処に何があるのか分かるようにしておくのも可能である。 ３Dペン（３Dコントローラー）で、ロケットの位置・速度・加速度・方向・軌道、等をコントロールしても良い。
【図４７】図４７は、エコロジー・エネルギー・システム（吉野一虎宇宙世界皇帝の宇宙戦争ストーリー）のイメージ概念図である。 ロケット・ロボット・人工知能・ビジネスの開発。それを現実化するための資本獲得のための、プロモーションビデオ用・宣伝用・映画用（吉野エミリー女王の映画製作、SF（スペースファンタジー、サイエンスフィクション））・現実化用のストーリー。 第一章吉野カズトラ宇宙世界皇帝の日本食の進め吉野カズトラ宇宙世界皇帝は、日本の森林(特に、杉の森林)を、伐採して、花粉対策をして、杉から日本食用の高級なお箸(はし)を大量生産して、日本食の市場進出を進めながら、海外市場に日本食とお箸を販売して、利益を得ていたのである。吉野カズトラ宇宙世界皇帝は、元々、数学、物理学、エネルギー工学、生物学、生化学、遺伝子工学、システム工学、農業ロボット工学、軍事ロボット工学のエキスパートだったので、日本食の生産販売が上手で、弁当等の日本食の国際ネットワークを築くことが出来たのである。 ・・・。続く。 第二章吉野カズトラ宇宙世界皇帝のゴースト戦略と吉野カズトラ宇宙世界皇帝の新エネルギー戦略 第二次世界対戦の延長戦が、朝鮮戦争、ベトナム戦争、冷戦、湾岸戦争、対テロ戦争であった。ヒロヒト、山本イソロク、吉野幸信の遺言が、ゴースト戦略として、吉野カズトラ宇宙世界皇帝に、受け継がれていた。吉野カズトラ宇宙世界皇帝のグループは、政府側(北朝)と、反政府側(南朝)に、二分して行った。 吉野カズトラ宇宙世界皇帝は、秘密警察捜査官達を配備して、自衛隊の内部に核心的な右翼、警察の内部に、革新的な右翼を潜入させて、国際的な警察右翼ネットワークを、構築していた。吉野カズトラ宇宙世界皇帝の直属の部下達を、警察や自衛隊にすることによって、吉野軍事グループの部隊の訓練費を、国に持たせれたためである。吉野カズトラ宇宙世界皇帝は、アメリカ軍、スカルアンドボーン、フリーメイソン、帝国軍、ネオナチス、自衛隊、韓国軍、サムスン、ロシア軍の連携を計り、アメリカ軍のスカルアンドボーンに、世界征服をさせて、日本の自衛隊右翼に後始末をさせた。 吉野カズトラ宇宙世界皇帝は、吉野カズトラ宇宙世界皇帝の反政府側のグループを、自衛隊、警察に配備した。日本の自衛隊と警察ネットワークにアメリカの警察ネットワークも加わり、911(アメリカ警察の電話番号の日にち)に、アメリカ合衆国で警察革命が起きた。背後には、アメリカ軍のスカルアンドボーンがいたが、日本のある怪盗団、アルカイダ(裏社会の犯罪ネットワーク)が、背後にいるように、情報操作されていた。 吉野カズトラ宇宙世界皇帝は、吉野カズトラ宇宙世界皇帝の政府側のグループを、政府、政党に配備した。しかし、自由民主党(北朝:アメリカ側)、民主党(南朝:中国側)で、政治的な対立も起きた。民主党革命により、一時、民主党が優位に立ったが、自由民主党が、革命返しをした。 自由民主党と民主党の対立を始め、南北朝で、幾つも主義・立場の対立が起きた。特に、TPPの参加交渉についてでさえ、国を二分する対立が、起きたのである。吉野カズトラ皇帝国は、新南北朝時代に突入した。このことにより、皆が激しい暴風と荒波のなかを航行するような状況になっていった。吉野カズトラ宇宙世界皇帝は、楽天家な���で、暴風を風力発電に用いて、荒波（海流）を海洋発電に用いようとしていた。吉野カズトラ宇宙世界皇帝は、勿論、（宇宙）太陽光エネルギー発電も進めていた。これが、吉野カズトラ宇宙世界皇帝の新エネルギー革命である。 吉野カズトラ宇宙世界皇帝は、吉野カズトラ宇宙世界皇帝の名言、『日は、又、昇る。』と言った。これは、日本が、再び世界の中心になり、日本の先端技術が、進み、日本が復興して、Made In Japanが、世界で求められる有名ブランドになることを、示唆していたのである。 吉野カズトラ宇宙世界皇帝は、新エネルギーの開発、エコロジー・システムの開発、（宇宙）太陽光発電システムの開発と改善を、着実にコツコツ、進めていた。・・・・。続く。 Yoshino Universe ・・・ Yoshino UniverseKazutora YoshinoUniverse EmpireKazutora YoshinoEmperor's PowerTomoko Yoshino Queenvs Rebecca Haru Yoshino QueenLovely, Tomoko Yoshino Queen vs Rebecca HaruYoshino Queen 吉野カズトラ宇宙世界皇帝の影響力と支配力は、絶大である。 吉野友子女王と、吉野レベッカハル女王が、吉野カズトラ宇宙世界皇帝の継承戦争を始めていた。特に、バイオ・ウォー・フェアが、激戦化していた。吉野友子女王学派は、ロシアの生物兵器開発の学者連合で、生物の知識のある大人数だった。吉野レベッカハル女王学派は、アメリカ合衆国の生物兵器開発の学者連合で、少人数で生化学・分子生物学・バイオインフォマティクスなどで洗練された学者達だった。吉野信法皇学派は、日本と中国の学者達で、初めの頃は、対岸の火事のように、この戦いを傍観していることが多かったが、徐々に、この戦いに巻き込まれて行った。・・・ 吉野エミリー女王学派は、宇宙開発、吉野クリスタル女王学派は、ロケット・スペースシャトル等の開発、吉野アシュレー女王学派は、スペースステーション・ドラゴン等の開発をしていたので、この戦いに、巻き込まれないで済んだ。・・・ 吉野友子女王学派は、日本の医師会（タケダ派）を作り反政府団体（政府・政党・病院、等に入り込んだ暗殺部隊）を組織して、吉野レベッカハル女王学派は、日本の歯科協会（タカダ派）を作り反政府団体（政府・政党・歯医者、等に入り込んだ暗殺部隊）を組織した。ここに、医師会（タケダ派）と、歯科協会（タカダ派）の戦いが始まっていた。タケダ派とタカダ派は、日本政府、アメリカ合衆国政府にまで浸透して行き、アメリカ合衆国政府では、タケダ派は、鳩派、タカダ派は、鷹派と、呼ばれた。鳩派も、鷹派も、ターゲットの人物を殺害する方法を幾つか持っていた。鳩派は、危険な薬等を、投与したり、必要な薬を十分に投与しないでターゲットを殺害することが多かった。特に、結核治療に見せかけて、十分な抗生物質を投与せずに、わざと抗生物質耐性細菌を作り、ターゲットの人物を殺害することが多かった。鳩派は、中耳炎の細菌を品種改良・遺伝子組み換えをして、殺人細菌・殺人ウイルスを作り、ターゲット人物の耳に移植した。鷹派は、胃の中にいる細菌で、虫歯菌になる細菌を品種改良・遺伝子組み換え等して、殺人虫歯菌、殺人ウイルスなどを作り、ターゲット人物の虫歯治療の際に、殺人虫歯菌や殺人ウイルスを健康な歯や虫歯になりそうな歯に移植した。殺人虫歯菌や殺人ウイルスは、口に蔓延りドライマウス、鼻に入りドライノーズ、目に入りドライアイ���原因になったりして、脱水症状を引き起こして行った。殺人虫歯菌や殺人ウイルスは、徐々にターゲット人物の健康体を侵食して行き、極度の脱水症状などによって、死に至らせた。銃を持つ警察、重兵器（アンティーク・ウェポン）を基軸とした自衛隊などは、このバイオ・ハザードに対して、殆ど無力であった。・・・ 日本の政治家（自民党）たちは、医師会（タケダ派）とグルで、日本の弁護士会（民主党、共産党）は、歯科協会（タカダ派）とグルで、ターゲットの人物が、攻撃をしてきた人達に反撃したり訴えられないように、暴力行為に出て、ターゲットの人物を直接殺そうとしたり、ターゲットの人物の心理操作、等をしていた。・・・ これに対して、吉野カズトラ宇宙世界皇帝の指導のもと、日本政府の社民党の協力を得て、吉野綾子将軍、吉野世礼菜副将軍による、新たな生物兵器戦闘部隊（政府・政党・環境省・農林水産省、市役所農政課、農業委員会、農業組合、等に入り込んだ暗殺部隊）が形成された。これが、アンブレラ・コーポレーションであり、新技術金属農業開発の基軸となった組織である。アンブレラ・コーポレーション（Ｌｕｍｙ、ＬＤＩ、Ｌｕｍｏｒｅ、・・・）は、アンブレラ基金を持ち、貴金属の販売ネットワークを持ち、トラクターや人工知能塔載の農業用ヘリコプターや農薬散布用爆撃型戦闘飛行機、スカイカーズ、（天候、天気予報）気象衛星用軍事衛星などの農業設備の開発を管理して、稲や麦などの農作物を侵食する細菌、ウイルス、カビ等やその抗菌物質、抗菌遺伝子配列、等を研究開発・管理していた。・・・ この戦いは、日本と中国の尖閣諸島問題、アメリカ軍の普天間基地移設、TPPへの参加交渉、日華思想・入間（航空自衛隊）基地優位主義、を起爆剤として、激戦化して行った。アメリカ軍とロシア軍の第一次冷戦から、アメリカ＋日本＋韓国  ｖｓ  北朝鮮＋中国  の第二次冷戦に入って行き、第二次朝鮮戦へと発展して行った。しかし、吉野カズトラ宇宙世界皇帝を尊敬する北朝鮮は、日本側に協力することになり、形成は、アメリカ＋日本＋韓国＋北朝鮮  ｖｓ  中国となってしまい、次第に、世界の中心が、吉野カズトラ宇宙世界皇帝が司令塔として用いている日本・日本政府（特に、入間（航空自衛隊）基地）になって行った。吉野カズトラ宇宙世界皇帝を尊敬する中国は、日本との良好な関係を維持することを決め、第二次冷戦（裏の第三次世界大戦）だけで済み、結果として、（表の）第三次世界大戦は、回避することができた。しかし、むしろ、TPPなどの関連で、アメリカ合衆国とカナダの間で、内部抗争が起こり、ロシアが暗躍したので、戦場は、アメリカに、なって行った。アメリカが戦場になり、アメリカ合衆国は、約２６０年の間戦い続けたが、アメリカ合衆国は、荒廃し始めていて、もはや、スーパーパワーを失って、アメリカ合衆国は、崩壊した。しかし、後に、アメリカ大陸（今のアメリカ合衆国＋カナダ＋メキシコを合わせた領域）に、吉野クリスタルヒカリ女王国（光の国）が、建国されて、吉野クリスタルヒカリ女王の残した威力と威厳とパワーとフォースの基に復権して、吉野ファミリーの基に、光の国（アメリカ）は、スーパーパワーを再度獲得した。・・・ 続く。 Yoshino UniverseKazutora YoshinoUniverse EmpireKazutora YoshinoEmperor's Unified Story,Lovely,
【図４８】図４８は、エコロジー・エネルギー・システム（吉野一虎宇宙世界皇帝の宇宙（ロケット・ロボット）戦争ストーリー）のイメージ概念図である。 Yoshino UniverseKazutora YoshinoUniverse EmpireEmily Yoshino SpaceFantasy, Science Fiction, ..., Story, to Real ...Lovely, 第三章：吉野一虎宇宙世界皇帝の宇宙（ロケット・ロボット）戦争ストーリー（吉野カズトラ宇宙世界帝国の宇宙戦争）
【図４９】図４９は、エコロジー・エネルギー・システム（吉野一虎宇宙世界皇帝の発電システム（創生記））のイメージ概念図である。 Yoshino UniverseKazutora YoshinoUniverse EmpireKazutora YoshinoEmperor's Energy System (Genesis)Lovely, 風力エネルギー、太陽光エネルギー、海洋エネルギーで、発電する。発電の際の、ビジネス・モデルである。 （I）海辺近くの土地を獲得（購入）して、風力発電とか太陽光発電を行う。（＋火力発電）。（II）船を作り、風力発電とか太陽光発電を行う。（＋火力発電）。（III）洋上に、風力発電システムを作る。（IV）海洋（海流）を用いて、発電する。 Yoshino UniverseKazutora YoshinoUniverse EmpireKazutora YoshinoEmperor's Business Model (Strategy)Lovely, ３Dシステム（３Dペン、等）や、映画（２D／３D）などで得た利益を、発電システムを作ることに用いる（宇宙（核）ロケット、USES（USEN）の準備段階）。発電システムなどで得た利益で、宇宙開発（宇宙（核）ロケット、宇宙ロボット、等）の研究開発をする。宇宙開発で、得た利益で、若返り（再生医療、アンチエイジング、等）の研究開発をする。 基本マップ： 海水  →（太陽光（太陽光パラボラミラー、太陽光パネル）、風力、ガス、石油、等のエネルギー）→  （スチーム）（熱）発電  （蓄電・送電）→  塩＋飲料水  （→オプションとしてエネルギー資源生産保存：水素＋酸素） Yoshino UniverseKazutora YoshinoUniverse EmpireKazutora YoshinoEmperor's Computer Energy Organization SystemLovely,  本発明の発電システム、コンピューター等の数学的な処理法歩によって、出来るだけ早急に、最適値、最適化（方法）、最適ネットワーク、最適システムなどを選ぶ。 Yoshino UniverseKazutora YoshinoUniverse EmpireKazutora YoshinoEmperor's Wind EnergyLovely, 風力発電について： 風力発電システム（風車）は、プロペラの角度、発電機の内部設定（機能）、ギヤ比率、慣性モーメント（角運動保存用ウェイト）、ネットワークなどを変化させることが可能である発電システムであってもよい。風力発電システム（風車）は、風の波形を、フーリエ変換、離散フーリエ変換、正規直交変換、ウェーブレット変換、SVD変換、等して、特徴抽出をする。ジェネティック・アルゴリズム、ノン・パラメトリック法、クラスタリング、自己相関関数法、Q-ラーニング、ニューラル・ラーニング・メソード、等の最適値自己検索アルゴリズムによって、最適な向き（方向）や、羽の角度、ネットワーキングの最適化などを、見つける。人間による、パラメトリック法、若しくは、最適化を自己学習した風力発電システムユニット（風車）は、パラメトリック法や、ニューラル・ネットワーキング・メソードなどを用いて、他の風力発電システムユニット（風車）を、教育して最適化する。センターユニットは、ネットワーク全体が、最適化されるように調整する。この際、其々のユニットは、風の向き（方向）やその他の条件によって、様々にセットされていても良い。 Reference: ISBN4-7898-3715-7
【図５０】図５０は、エコロジー・エネルギー・システム（吉野一虎宇宙世界皇帝の宇宙（核ロケット・核開発）戦争ストーリー）のイメージ概念図である。Yoshino UniverseKazutora YoshinoUniverse EmpireKazutora YoshinoEmperor's Atomic Bio Chemical StrategyRegards, 第ニ章（詳細） 吉野カズトラ宇宙世界皇帝の指導のもと、日本は、再生可能エネルギーの開発を進めて、平和が広がり、経済進展の兆しが出始めていた。しかし、エネルギーシステムの在り方に、原子力を組み入れる必要があるような方向に、国際的な政治の動向は、動いて行ったのである。これは、北朝鮮が、自国で採掘できる膨大な量（大量）のプルトニウム等の核物質を用いて、核開発（特に、核（燃料）ロケット（原子力ロケット）と原子炉の研究開発）を進めていた為である。各国（ある領域）について、利用できるエネルギー量と、経済発展は、ある程度比例するので、北朝鮮の膨大なプルトニウムを用いる核エネルギー活用により、北朝鮮とアジア（全体領域）の経済発展が見込めた。しかし、核エネルギーを、核爆弾などの製造に用いすぎると、エネルギーの安全な社会利用解放率が微妙になるので、核爆弾の製造は、他の古代兵器（一般的な重兵器）の軽減に繋がるレベルにだけして、残りは、原子炉等の開発・製造に向けられて、経済発展のために用いられて、これにより、北朝鮮は、もはや、アメリカ合衆国の援助を要求しなくても自国で経済を発展させることが可能になった。しかし、アメリカ合衆国、韓国政府は、北朝鮮に懐疑的だった。そして、アメリカ合衆国は、B2爆撃機やF22を、朝鮮半島付近で、軍事演習飛行させて、北朝鮮を牽制・挑発した。このため、北朝鮮は、アメリカ合衆国の同盟国の日本、特に、日本の主要基地に、核爆弾を射ち込むことが可能であることを示唆した。アメリカ合衆国、ロシア、中国、北朝鮮、韓国、日本、ヨーロッパ、インド、ブラジル、等は、国際世論のこともあり、表では、遺伝子組み換え技術などを用いて、（農業）遺伝子組換新製品戦争を始めていて、アメリカ合衆国の農業は、TPPなどで日本の農業を飲み込もうとしていた。裏では、各国と秘密結社は、遺伝子設計技術などを用いて、生物兵器等を製造して、鳥インフルエンザ（Ｈ７Ｎ９ウィルス）等に見せかけて、敵国に空中散布したりして、闇での戦いを激化させていたのである。吉野カズトラ宇宙世界皇帝は、核兵器と生物兵器と化学兵器の三つを合わせて、ＡＢＣ兵器(ABC Weapons)と呼んでいた。又、吉野カズトラ宇宙世界皇帝は、遺伝子操作をして、成長ホルモン遺伝子を大量に組み込んでいるため成長速度が速く、体が強靭なクローン軍団を作っていた。クローン軍団は、また、病原菌などに対する耐性遺伝子を組み込まれていたので、生物兵器戦争でも、殆ど、病気にならなかった。吉野カズトラ宇宙世界皇帝を皇帝として、吉野信法王を朝廷の天皇として、吉野カズトラオリジナルファミリー（皇族（天皇家）である吉野エミリー女王、吉野クリスタルヒカリ女王、吉野アシュレーアヤメ女王、吉野レベッカハル女王）によって、征夷大将軍（鳳凰軍）が、任命されて、左大臣（佐上家）と右大臣（宮本家）と財務大臣（クウィーン家）と経済産業大臣（ヒッチンズ家）が任命された。吉野レベッカハル女王が指導者（リーダー）として吉野ファミリーが組織した反政府軍（南朝）は、クローン軍団を用いて、素早く、政府軍（北朝）を、討ち破り、即座に、吉野カズトラ宇宙世界皇帝国を樹立した。吉野カズトラ宇宙世界帝国は、国際的にも進軍して、宇宙世界を名実ともに、より強靭に支配することになった。・・・。続く。
【図５１】図５１は、エコロジー・エネルギー・システム（吉野一虎宇宙世界皇帝の宇宙戦争の際のクリーンルーム・シェルター）のイメージ概念図である。 Yoshino UniverseKazutora YoshinoUniverse EmpireKazutora Yoshino Emperor'sClean Room ShelterRegards, 第ニ章（詳細：続き） 吉野カズトラ宇宙世界皇帝は、生物兵器戦線において、アンブレラ・コーポレーションを用いて、クリーンルーム・シェルターを作っていた。クリーンルーム・シェルターでは、プラズマイオン空気清浄機による空気清浄と同時に、高周波（パルス）レーザー（紫外線、Ｘ線、γ線、等）などによるレーザー照射（レーザー走査）によって、殺菌がなされ、基本的には、花粉、ダスト、細菌、病原菌、ウィルス、ダニ、カビ、等は、排除されたり死滅させられて、クリーンルーム・シェルターは、常時（定期的に）、綺麗な状態にさせられていた。サイドのルームでは、花粉タンパク質を含む米（花粉症対米）や食べ物（スナック、等）が食べれたり、アレルギーの原因となる物質の少ない食べ物を食べれたりして、アレルギー対策もなされていた。中間ルームでは、人の肌等に付着した病原菌を殺菌するシステムになっていた。しかし、病原菌に感染して不治の病になって病人化すると（感染者になると）、レーザー出力が強いレーザーカッターのようになり、クリーンルーム・シェルターで、病人（感染者）を切り刻み処刑して、高温・高圧の焼却炉として、肉片を燃焼することにより、病原菌の更なる感染を妨げるシステムにもなっていた。このため、クリーンルーム・シェルターに、入った人は、生物兵器戦争が終わるまでは、クリーンルーム・シェルターから、出れない確率が高く、クリーンルーム・シェルターは、処刑場とか強制収容所とかナチュラル・ボーン・キラー・システムと揶揄されることが多く、人々は、クリーンルーム・シェルターに入りたがらず、感染者達は、病原菌に感染していることを隠し通そうとしていたが、健康管理システムによる定期健診ロボットが、人々の感染状況を常にモニタリングしていたので、基本、逃げることは難しかった。また、知能が高くなるように遺伝子操作されて、また、病気にかからないように遺伝子操作されたチンパンジーが、作られ、人工知能ロボットと共に、人々を管理するようなシステムにもなっていた。スカイネット・システムは、ターミネーター・ロボットやＴ１０００・ロボットなどのロボットを用いて、人々を強制収容して、健康者と感染者を分別して、シェルターに入れた。健康者の中で、病原菌に対する抗体（免疫）を持つ遺伝子配列を持つ人々は、ポルタトーリと呼ばれ、その中でも、殆ど病気に掛らない人々は、ロボット・パイロットとして、選ばれて、その中でも特に戦闘能力が高い人々が、ガンダム・マイスターとして選ばれた。ガンダム・マイスターの中で、未来を読める能力を持つ（先見の明を持つ）人々は、ニュータイプと呼ばれ、アリス計画（吉野タイムマシンによる未来予知システムと未来操作（フューチャー・オペレーション））の一部になった。人々は、比較的病原菌の少ない宇宙空間で戦闘するようになり、徐々に、宇宙戦争は、激化して行った。・・・続く。
【図５２】図５２は、エコロジー・エネルギー・システム（吉野一虎宇宙世界皇帝のストーリー・メイキング・メソード）のイメージ概念図である。 Yoshino UniverseKazutora Yoshino Universe EmpireKazutora Yoshino Emperor's Story MakerLovely, 吉野カズトラ宇宙世界皇帝のストーリー・メイキング・メソード（クッキー映画（ストーリー）作成方法）： 映画（ストーリー）（３Dゲーム、等）を作成して、エネルギー（発電所）を作り、核ロケットの研究開発などを行う。この際、映画（ストーリー）（３Dゲーム、等）のコストパフォーマンスを向上させるためには、システマティックな方法で、キャラクターやストーリーなどの作成を効率良く工業的にできるのが好ましい。 （０）音楽の作成（例えば、自分で作曲したり、コンピューターがクラシック音楽理論、ランダム機能、などを用いて作ったパーツや音楽を組み合わせたりして自動で音楽を作る。）（１）キャラクター・オブジェクト（型、金型、等）を作成する。（２）ストーリー・オブジェクト（テンプレート）（ドー（小麦粉）シート、等）を作成する。（３）ストリー・ミキサーで、混ぜる。        ストーリー・オブジェクトに、キャラクター・オブジェクト（型）を型取り、ストーリーにキャラクターを入れる。        （キャラクター・クッキー（キャラクター・インスタンス）を作り、ストーリーのプロット（論理）を改善（調整する）。）（４）同様な方法で、キャラクターに合わせたストーリー（の詳細）を付加する。        この際、        ４メソード（起承転結）        ４ｘ４メソード（起承転結ｘ起承転結）、等を用いると、ストーリーの展開が合理的になり効果的になるので好ましい。（５）ビデオ（プロモーションビデオ、等）、映画、シミュレーション、コンピューターゲーム、３DOS、等を作成する。（人物映像とCGを合わせたりするのも可能である。） p.s.  シミュレーション、コンピューターゲーム、３DOS、等の作成の際は、ソフトウェア（キャラクター＋環境＋等）をオブジェクト・オリエンテッド・プログラムで、作れば、効率良く、ストーリー（展開）が可能になる。
【手続補正２】
【補正対象書類名】図面
【補正対象項目名】図２０
【補正方法】追加
【補正の内容】
【図２０】
2018048555.tif 000380
【手続補正３】
【補正対象書類名】図面
【補正対象項目名】図２１
【補正方法】追加
【補正の内容】
【図２１】
2018048555.tif 000381
【手続補正４】
【補正対象書類名】図面
【補正対象項目名】図２２
【補正方法】追加
【補正の内容】
【図２２】
2018048555.tif 000382
【手続補正５】
【補正対象書類名】図面
【補正対象項目名】図２３
【補正方法】追加
【補正の内容】
【図２３】
2018048555.tif 000383
【手続補正６】
【補正対象書類名】図面
【補正対象項目名】図２４
【補正方法】追加
【補正の内容】
【図２４】
2018048555.tif 000384
【手続補正７】
【補正対象書類名】図面
【補正対象項目名】図２５
【補正方法】追加
【補正の内容】
【図２５】
2018048555.tif 000385
【手続補正８】
【補正対象書類名】図面
【補正対象項目名】図２６
【補正方法】追加
【補正の内容】
【図２６】
2018048555.tif 000386
【手続補正９】
【補正対象書類名】図面
【補正対象項目名】図２７
【補正方法】追加
【補正の内容】
【図２７】
2018048555.tif 000387
【手続補正１０】
【補正対象書類名】図面
【補正対象項目名】図２８
【補正方法】追加
【補正の内容】
【図２８】
2018048555.tif 000388
【手続補正１１】
【補正対象書類名】図面
【補正対象項目名】図２９
【補正方法】追加
【補正の内容】
【図２９】
2018048555.tif 000389
【手続補正１２】
【補正対象書類名】図面
【補正対象項目名】図３０
【補正方法】追加
【補正の内容】
【図３０】
2018048555.tif 000390
【手続補正１３】
【補正対象書類名】図面
【補正対象項目名】図３１
【補正方法】追加
【補正の内容】
【図３１】
2018048555.tif 000391
【手続補正１４】
【補正対象書類名】図面
【補正対象項目名】図３２
【補正方法】追加
【補正の内容】
【図３２】
2018048555.tif 000392
【手続補正１５】
【補正対象書類名】図面
【補正対象項目名】図３３
【補正方法】追加
【補正の内容】
【図３３】
2018048555.tif 000393
【手続補正１６】
【補正対象書類名】図面
【補正対象項目名】図３４
【補正方法】追加
【補正の内容】
【図３４】
2018048555.tif 000394
【手続補正１７】
【補正対象書類名】図面
【補正対象項目名】図３５
【補正方法】追加
【補正の内容】
【図３５】
2018048555.tif 000395
【手続補正１８】
【補正対象書類名】図面
【補正対象項目名】図３６
【補正方法】追加
【補正の内容】
【図３６】
2018048555.tif 000396
【手続補正１９】
【補正対象書類名】図面
【補正対象項目名】図３７
【補正方法】追加
【補正の内容】
【図３７】
2018048555.tif 000397
【手続補正２０】
【補正対象書類名】図面
【補正対象項目名】図３８
【補正方法】追加
【補正の内容】
【図３８】
2018048555.tif 000398
【手続補正２１】
【補正対象書類名】図面
【補正対象項目名】図３９
【補正方法】追加
【補正の内容】
【図３９】
2018048555.tif 000399
【手続補正２２】
【補正対象書類名】図面
【補正対象項目名】図４０
【補正方法】追加
【補正の内容】
【図４０】
2018048555.tif 000400
【手続補正２３】
【補正対象書類名】図面
【補正対象項目名】図４１
【補正方法】追加
【補正の内容】
【図４１】
2018048555.tif 000401
【手続補正２４】
【補正対象書類名】図面
【補正対象項目名】図４２
【補正方法】追加
【補正の内容】
【図４２】
2018048555.tif 000402
【手続補正２５】
【補正対象書類名】図面
【補正対象項目名】図４３
【補正方法】追加
【補正の内容】
【図４３】
2018048555.tif 000403
【手続補正２６】
【補正対象書類名】図面
【補正対象項目名】図４４
【補正方法】追加
【補正の内容】
【図４４】
2018048555.tif 000404
【手続補正２７】
【補正対象書類名】図面
【補正対象項目名】図４５
【補正方法】追加
【補正の内容】
【図４５】
2018048555.tif 000405
【手続補正２８】
【補正対象書類名】図面
【補正対象項目名】図４６
【補正方法】追加
【補正の内容】
【図４６】
2018048555.tif 000406
【手続補正２９】
【補正対象書類名】図面
【補正対象項目名】図４７
【補正方法】追加
【補正の内容】
【図４７】
2018048555.tif 000407
【手続補正３０】
【補正対象書類名】図面
【補正対象項目名】図４８
【補正方法】追加
【補正の内容】
【図４８】
2018048555.tif 000408
【手続補正３１】
【補正対象書類名】図面
【補正対象項目名】図４９
【補正方法】追加
【補正の内容】
【図４９】
2018048555.tif 000409
【手続補正３２】
【補正対象書類名】図面
【補正対象項目名】図５０
【補正方法】追加
【補正の内容】
【図５０】
2018048555.tif 000410
【手続補正３３】
【補正対象書類名】図面
【補正対象項目名】図５１
【補正方法】追加
【補正の内容】
【図５１】
2018048555.tif 000411
【手続補正３４】
【補正対象書類名】図面
【補正対象項目名】図５２
【補正方法】追加
【補正の内容】
【図５２】
2018048555.tif 000412
【手続補正書】
【提出日】平成25年4月5日(2013.4.5)
【手続補正１】
【補正対象書類名】明細書
【補正対象項目名】００１１
【補正方法】変更
【補正の内容】
【００１１】
【図１】図１は、エコロジー・エネルギー・システムのイメージ概念図である。
【図２】図２は、エコロジー・エネルギー・システムのイメージ概念図である。
【図３】図３は、エコロジー・エネルギー・システムのイメージ概念図である。
【図４】図４は、エコロジー・エネルギー・システムのイメージ概念図である。
【図５】図５は、エコロジー・エネルギー・システムのイメージ概念図である。
【図６】図６は、エコロジー・エネルギー・システムのイメージ概念図である。
【図７】図７は、エコロジー・エネルギー・システムのイメージ概念図である。
【図８】図８は、エコロジー・エネルギー・システムのイメージ概念図である。
【図９】図９は、エコロジー・エネルギー・システムのイメージ概念図である。
【図１０】図１０は、エコロジー・エネルギー・システムのイメージ概念図である。
【図１１】図１１は、エコロジー・エネルギー・システムのイメージ概念図である。
【図１２】図１２は、エコロジー・エネルギー・システムのイメージ概念図である。
【図１３】図１３は、エコロジー・エネルギー・システムのイメージ概念図である。
【図１４】図１４は、エコロジー・エネルギー・システムのイメージ概念図である。
【図１５】図１５は、エコロジー・エネルギー・システムのイメージ概念図である。
【図１６】図１６は、エコロジー・エネルギー・システムのイメージ概念図である。
【図１７】図１７は、エコロジー・エネルギー・システムのイメージ概念図である。
【図１８】図１８は、エコロジー・エネルギー・システムのイメージ概念図である。
【図１９】図１９は、エコロジー・エネルギー・システムのイメージ概念図である。
【図２０】図２０は、エコロジー・エネルギー・システムのイメージ概念図である。    本発明の図２０についての説明用のストーリ：吉野カズトラ宇宙世界皇帝は、吉野カズトラ宇宙世界皇帝国のエネルギーシステムを増強していた。 I.  宇宙太陽光発電システム（ソーラー（ユニット）サテライト）（USES）II.  宇宙太陽光電池製造システムIII.  宇宙核融合炉発電システムIV.  地上核融合発電システムV.  海上（海底）核融合発電システム 吉野カズトラ宇宙世界皇帝は、巨大な宇宙発電・太陽光エネルギー・送信システム（太陽の付近に宇宙太陽光人工衛星を配置）と受信システム（ロッキー山脈の頂にあるロッキーマウンテンナショナルパーク(Rocky Mountain National Park)や、アリゾナの砂漠、アラスカのマッキンレー山脈、サハラ砂漠、等）を作っていた。 吉野カズトラ宇宙世界皇帝は、また、宇宙での真空を利用して、（トカマク型）プラズマ封じ込め高温適圧の宇宙核融合炉を作ることを進めていた。 吉野カズトラ宇宙世界皇帝は、また、地上でプラズマ・イオン発電所を作り、プラズマ封じ込め高温適圧の宇宙核融合炉を運転していた。 吉野カズトラ宇宙世界皇帝は、また、海上で太陽光・風力・海洋エネルギー発電所を作り、海上（海底）核融合炉を運転していた。（核反応の事故に対して、比較的安全である） Reference:www.yoshinouniverse.comISBN0-8118-0897-1ISBN4-339-00552-5ISBN4-7853-6112-3
【図２１】図２１は、エコロジー・エネルギー・システムのイメージ概念図である。原子炉で、核燃料からエネルギーを取り出す。（オプション）再処理工場で、使用済み核燃料を、核燃料と核廃棄物（核のゴミ）に分離する。熱電発電（所）（システム）で、使用済み核燃料／核廃棄物（核のゴミ）からエネルギーを取り出す。使用済み核燃料／核廃棄物（核のゴミ）を、水、フィルム（紙）、金属（鉛、等）で囲み、放射能について封印するが、熱が出てくるのを、熱電発電で、電気エネルギーに、変換するシステム。
【図２２】図２２は、エコロジー・エネルギー・システム（日本の防衛システム）のイメージ概念図である。核燃料（プルトニウム、ウラン、等）などの核物質など、戦略的エネルギー物質を、日本に集める。核燃料・核爆弾・核廃棄物（核のゴミ）を、１．平和なら、平和利用する。（核エネルギーによって（核（燃料）を熱源として）、熱電発電する。）２．戦争なら、敵国に打ち込む。（埼玉県入間市の入間航空自衛隊（防衛軍）の地下ミサイル発射基地から、大陸弾道ミサイルなどを発射する。吉野カズトラ宇宙世界皇帝のシャチ型潜水艦から核ミサイルを発射する。吉野カズトラ宇宙世界皇帝の軍事衛星から核爆弾を投下する。等）Yoshino UniverseKazutora YoshinoUniverse EmpireKazutora YoshinoNuclear Energy Defense SystemLovely,
【図２３】図２３は、エコロジー・エネルギー・システム（太陽光熱カプセル発電システム）のイメージ概念図である。吉野一虎ソーラーライトカプセル効果：太陽光（熱）が、太陽で発生して（太陽中心：高温１６００万℃、太陽表面：低温温６０００℃）、太陽を囲む物質（ダークマター、素粒子、物質、保熱ガス、反応物質、捕熱物質、反射物質、等の適宜な組み合わせ）によって、光（熱）は、吸収・保持・反応、等をして、中温（数百万℃）になる。DM + gamma -> DM' + delta Egammaは、光（熱）などの（反応（素）粒子などの）エレメント。delta Eは、正／負／ゼロ、等のエネルギー（エレメント）とする。DM、DM’は、ダークマターなどの（反応（素）粒子・反応物質、物質）（群理論）エレメントで、DMとDM'は、同じエレメントでもよく、異なるエレメントでも良い。吉野一虎ライトカプセル効果：このシステムを、ミニチュア化したカプセルに二酸化炭素などの保熱ガス（捕熱ガス）を入れて、（太陽）光（／レーザー光）の照射をして、太陽光（熱）発電を行い、ミニチュア太陽光（熱）カプセル発電を行う。吉野一虎レーザー効果：二酸化炭素などの保熱ガス（捕熱ガス）に、（太陽）光（／レーザー光）を照射して、光（光子、レーザー光）を発光させて、光をカプセル内部で、反射させて、１００％ミラーと約９９％ミラーで、往復反射させて、誘導発光させて、同じ（ぐらいの）波長（周波数）と相（フェーズ）の光の束（レーザー光）を作り、約９９％ミラー側からコーヒーレントなレーザー光を、放つ。吉野一虎ネットワーク超特急効果：ミニチュア太陽光（熱）カプセル発電システムのユニットを、発電パフォーマンス良く、コストパフォーマンス良く、大量に作り、マトリクス上にして、日射量が十分にあるところに敷き詰めたり、電車の路線のサイドに並べたり、道路（高速道路）のサイドに、並べたりすることによって、日本（世界）全体が、ミニチュア太陽光（熱）カプセル発電システムによって、光ネットワーク発電システムとなる。 吉野アシュレーアヤメ女王偉大なる戦士は、吉野一虎効果（吉野一虎ソーラーカプセル効果、吉野一虎ライトカプセル効果、吉野一虎レーザー効果、吉野一虎（カズトラ）ネットワーク超特急効果、等の吉野一虎宇宙世界皇帝の効果）を、活用して、宇宙全体に、吉野アシュレーアヤメ女王による吉野一虎宇宙世界皇帝（宇宙銀河恒星ネットワーク・太陽系）光ネットワークシステムを構築して、宇宙・世界のエネルギー問題を、解決して行った・・・。
【図２４】図２４は、エコロジー・エネルギー・システム（熱（水蒸気／ガス）発電システム）のイメージ概念図である。水（／液体／気体／水素／ガス、等）に太陽光（熱）（エネルギー）、（ガスの）火、熱（等）を投入して、水蒸気（／ガス）にして、タービンを回転して、発電機で、発電するシステム。オプションとして、水蒸気（／ガス）を冷却して、水（／液体／気体／水素／ガス、等）にして、サイクル（リサイクル）するシステム。
【図２５】図２５は、エコロジー・エネルギー・システム（吉野一虎宇宙世界皇帝の核戦争用の鎧兜（防衛システム））のイメージ概念図である。ダイヤモンド、タングステン、ステンレス、鉄、鉛、防弾ガラス、セラミック、紙、スポンジ、水（汗）、バッテリー、シリコン、コンピューター、ディスプレイ等を、適宜に組み合わせて、放射能を遮断するタイガーシールド。本発明は、アルファ粒子線、ベータ線、γ線を遮断する物質（マテリアル）を用いた装甲・鎧（アーマー）である。オプションとして、周りの見た目に合わせて、色や柄を2D/3Dでディスプレイできるカメレオンシールド。この鎧兜を纏った軍隊を、カメレオン・アーミーとして、敵（の核兵器・軍隊）と戦うシステム（自衛隊・国防軍・民間安全警備武装集団（傭兵））。ディスプレイ、コンピューター、電子機器の電源、若しくは、バッテリーなどの充電器としてのブーツ（靴）による、歩行発電（靴発電システム）。ピエゾエレクトロニック素子（圧電素子）、発電機、弾性物質、等によって、発電して、バッテリーに電気を充電する。オプションとして、スプリングなどを用いて、発電しながら、跳躍力を抜群に向上させるジャンプ（発電）シューズ。本発明は、カメレオン・アーミーの鎧を電子的に機能させるのに必要な電源は、歩行発電ブーツから得ることが可能である。その際の戦士達の戦闘シーン（風景）の概念図が、示されている。
【図２６】図２６は、エコロジー・エネルギー・システム（太陽光熱カプセル発電システム：パラボラミラーバージョン）のイメージ概念図である。最良の形態の一つを示している。パラボラミラーによって、反射した光（エネルギー）を、（カプセル）球に集光させて、（熱反応、化学反応、核反応などの）反応、等を起こさせるシステム。
【図２７】図２７は、エコロジー・エネルギー・システム（水素と酸素による燃料電池発電（ガス発電）システム）のイメージ概念図である。ダイヤモンド／DLC／金属／カーボン（ファイバー）等の（軽くて丈夫な）強い（高圧のガスや、液体に耐えうる）容器に、濃縮ガス（濃縮水素ガス、濃縮酸素ガス）、液体（液体水素、液体酸素）等を入れる。水素と酸素を適宜な量を、コンピューター制御機、バルブなどで、摘出して、燃料電池に、投入して、電気（エネルギー）を発生させる。電気を直接用いるか、バッテリー等に充電して用いる。水素と酸素の反応によって出来た水を、（浄化フィルターに通して）、飲料水にする。宇宙船などでの宇宙航行が、長期の滞在の場合に、水素・酸素燃料から、水を作り、フィルターで飲料水を作り、飲むことが可能である、エコロジー・スマート・システム。宇宙旅行に、飲料水を、持ってゆくことが、可能であるが、水が、もっと必要なときとか、緊急時とかに、もっと飲料水を作ることが必要な際に、有用なシステムである。
【図２８】図２８は、エコロジー・エネルギー・システム（エネルギー炉（熱炉））のイメージ概念図である。
【図２９】図２９は、エコロジー・エネルギー・システム（吉野カズトラ宇宙世界皇帝のエネルギー炉（熱炉）と無線／タイマー式の起爆装置による核爆弾）のイメージ概念図である。
【図３０】図３０は、エコロジー・エネルギー・システム（吉野一虎宇宙世界皇帝の靴（防衛・防寒システム））のイメージ概念図である。ピエゾエレクトリックなどの圧電素子で発電したり、動力を利用して、発電したり、核燃料の熱で、発電したりして、熱エネルギーを用いて、エネルギーシステム（（防寒用のヒーター等の）の靴等）を作る。
【図３１】図３１は、エコロジー・エネルギー・システム（吉野一虎宇宙世界皇帝の核電池、核エネルギー、加速器核エネルギーシステム））のイメージ概念図である。核燃料、核廃棄物、（加速器で加速された陽子を核廃棄物（半減期約２万年）に当てて、（半減期を約３０年にした）放射性物質）等や、その適宜な組み合わせから、核（熱）電池を作る。加速器の放射エネルギーによって、宇宙船を飛ばす（運行する）。
【図３２】図３２は、エコロジー・エネルギー・システム（吉野一虎宇宙世界皇帝の核核融合炉エネルギーレーザーシステム（核融合レーザー起動用集光レンズ）））のイメージ概念図である。適宜な波長（若しくは、その組み合わせ）のレーザービームを、レンズで一点に集光（集中）させて、（プラズマ熱エネルギー）核融合を起因する。特に、紫外線、X線、γ線、などの（短波長）高周波のコーヒーレントな光子パッケージ（レーザー光ビーム、等）を用いると良い。そのレンズ方程式を示している。
【図３３】図３３は、エコロジー・エネルギー・システム（吉野一虎宇宙世界皇帝のカズトラ型の核融合炉：カズトラ型核融合炉エネルギー（レーザーヒーティング）システム（核融合レーザーヒーティング起動）））のイメージ概念図である。カズトラ型核融合炉は、トロイダル型（トカマク型）核融合炉を単数／複数、トロイダル型に纏めた型である。プラズマは、真空／ガス／プラズマ内にあるか、磁場・磁界（電場・電界／電磁場・電磁界）内にあっても良い。極力、外部に熱が流出しないように、高磁界にして、Tc（クリティカルテンパーチャー）を高温にして、プラズマを封じ込めて、レーザー（若しくは、マイクロウェーブ、等）で、ヒーティングして（局所場で核融合（ニュークリア・チェイン・リアクション）の初期反応を起こさせて、核融合（ニュークリア・チェイン・リアクション）連鎖反応させる）、プラズマを高温にして、（熱）核融合を起こさせる。（オプションとして、トロイダル型纏めた型のリング部に、オプションフィールド（例えば、磁界）を作るのも良い。）
【図３４】図３４は、エコロジー・エネルギー・システム（吉野一虎宇宙世界皇帝の核融合ロケット（核融合エンジン）：ネオ・カワセミ・プロジェクト：空飛ぶイルカ、空飛ぶイカ））のイメージ概念図である。羽を畳んで海底から発射された空飛ぶイルカは、水中を水ジェットエンジンで走行（航行）して、空中に羽を広げて飛び立ち、空気ジェットエンジンで走行（飛行）して、羽を畳んで宇宙をロケットエンジン（イオンエンジン、プラズマエンジン、ロケットエンジン、核ロケットエンジン、等）で、走行（宇宙航行）する。宇宙防衛のため、核爆弾などで、宇宙からの攻撃（上からの攻撃）をかけることも可能である。
【図３５】図３５は、エコロジー・エネルギー・システム（吉野一虎宇宙世界皇帝のエネルギー・エレクトリシティー・ジェネレーター・システム）のイメージ概念図である。太陽光発電（スチーム発電）、風力発電、海洋力発電、核反応発電（原子炉発電、核融合炉発電、などによるスチーム（ガス）発電）等の発電機システム。プロペラを回転させる。回転軸についている磁石が回転する。前記磁石の回転により、超伝導体内にあるリング磁石が誘導されて回転する。また、磁石と超電導の組み合わせによる非接触な、回転軸とカバーによって、摩擦が殆どない、回転を獲得する。回転効率が良い、起電力を発生させる。オプションとして、トランスフォーマーで、電圧・電流の調整をする。バッテリーに充電したり、電力として用いる。
【図３６】図３６は、エコロジー・エネルギー・システム（吉野一虎宇宙世界皇帝のエネルギー・エレクトリシティー・ジェネレーター・システム）のイメージ概念図である。太陽光発電（スチーム発電）、風力発電、海洋力発電、核反応発電（原子炉発電、核融合炉発電、などによるスチーム（ガス）発電）等の発電機システム。プロペラを回転させることによる発電システムのパワー（電力）のコンセプト・カリキュレーション（Concept Calculation）(概算)。
【図３７】図３７は、エコロジー・エネルギー・システム（吉野一虎宇宙世界皇帝のモーター・ジェット・ボード、モーター・ボート）のイメージ概念図である。水上ロケットランチャー、若しくは、水上から発射するロケット。ジェット・ウィンド・サーフィング。風力でウィンド・サーフ・ボードを動かし、その際、エネルギー・エレクトリシティー・ジェネレーターで、バッテリーに、電気を充電する。風があまりない時は、バッテリーによって、モーター（＋ギヤ）＋プロペラを回転させて、航行する。オプションとして、バッテリーを複数持ち、電力・ギヤによって、ウィンド・サーフ・ボードの速度をコントロールする。人が載るか、無線で操作か、人工知能、等によって航行する。
【図３８】図３８は、エコロジー・エネルギー・システム（吉野一虎宇宙世界皇帝の空飛ぶイルカ、ドラゴン、モーター・ジェット・ボード、モーター・ボート）のイメージ概念図である。特に、翼（羽）の構造（ダイアモンド型）、翼の開閉についてと、ダイヤモンド・ダイナミクス・メソードを示す。（２D／３Dで）翼（羽）を動かして、浮力を得ることも可能である。海中で航行しているときは、翼を閉じて、空で飛行しているときは、翼を広げ（用いて）、宇宙で宇宙航行しているときは、翼を閉じるか、若し、（（シリコンや色素増感型等の）太陽光シートなどなら）太陽光（シート）翼を広げるのが、最善の形態である。
【図３９】図３９は、エコロジー・エネルギー・システム（吉野一虎宇宙世界皇帝のシャフト・ローテーション・ベアリング・システム）のイメージ概念図である。モーター、発電機、ジョイント、等の部分に、ベアリングの周りを、ベアリングで囲み、スムースなオペレーションを可能にするシャフト・ローテーション・ベアリング・システムである。同様に、複数のレイヤーを用いても良い。シャフト・ローテーション・ベアリング・システム＝（（メインベアリング＊サブベアリング）＊Lレイヤー）（L＞＝１）。このシャフト・ローテーション・ベアリング・システムによって、モーターの回転効率や発電機の発電効率が良くなるという効果がある。
【図４０】図４０は、エコロジー・エネルギー・システム（吉野一虎宇宙世界皇帝のスーパーマン（計画））のイメージ概念図である。Yoshino UniverseKazutora YoshinoUniverse EmpireKazutora YoshinoEmperor's Super Man ProjectLovely, 一般的なエンジン、キシレン、ガソリン、水素＋酸素、等を用いるジェット・エンジン、ロケット・エンジンでも良いが、ジェット・ロケット・エンジンを用いるのが最適である。ジェット・ロケット・エンジンは、（小型原子炉／）、小型核融合炉で、燃料の水を沸かして、水蒸気（スチーム）を噴出させて、ジェットを作るロケットエンジンを、箱に取り付ける。ジェット・ロケット・エンジンは、箱の上の方に付けると、横から下にジェットを噴出するので、バランス的に安定する。ジェット・ロケット・エンジンを、箱の下の方に付けると、ジェットが、下に噴出されるので、熱流体的には、効率が良い。二つのジェット・ロケット・エンジンでも、飛行が可能な（動力・エネルギー）レベルにしておく。基本形は、四つのジェット・ロケット・エンジンを用いて、（光学）ジャイロスコープ、加速度センサー、GPS、コンピューター（ジェネリック・アルゴリズム等を用いる人工知能）を用いて、ジェットを噴出したり、逆噴射して、最適な、バランス、位置、方向を、獲得する。緊急の時等は、マニュアル操作も可能にする。四つのジェットエンジンのうち、一つが破損などしたら、対照側にあるジェット・ロケット・エンジンも停止して、二つのジェット・ロケット・エンジンによる飛行（マニュアル操作も出来るようにする）に、切り替えることが可能にする。又、出来るだけ速やかに着地するようにする。若しくは、ジェネリック・アルゴリズムや摂動論的制御、等の最適制御によって、三つのジェット・ロケット・エンジンを、微妙に操作・制御して、当分は、飛行を続けることが可能にする。ダイヤモンドや防弾ガラスのような素材を壁にして、飛行中に、美しい風景など、見渡しが良いようにしても良い。民間の観光用に用いることも可能であり、軍事用の偵察機のように用いることも可能である。パイロットや宇宙飛行士が箱の中にいるなら、内部に空気（酸素）タンクを入れておけば、燃料が続くなら、空から、宇宙に航行しても良い。宇宙の景色（宇宙の夜景、星星の輝き、天体の芸術）などが、美しく、ダイアモンドに映るであろう。
【図４１】図４１は、エコロジー・エネルギー・システム（吉野一虎宇宙世界皇帝のフライング・ジェット・モービル）のイメージ概念図である。 Yoshino UniverseKazutora YoshinoUniverse EmpireKazutora YoshinoEmperor's Flying Jet MobileLovely, 空気をプロペラを回して、上、横、下、斜めなどから吸引して、燃料と混ぜて、燃焼して、ジェットを作る。モーターによってプロペラを回しても良い。フライング・ジェット・モービルは、森やジャングルで、軍事的な偵察等を行う際に、小回りが利く、便利な乗り物である。
【図４２】図４２は、エコロジー・エネルギー・システム（吉野一虎宇宙世界皇帝のフラップ式ウィング、フラップ式プロペラ）のイメージ概念図である。 羽や、プロペラに、フラップを付けて、気流のコントロールをする。特に、高い角度（フラップ角度）をつけて、離陸や着率の距離を短くできる（例えば、４５度〜５５度ぐらい）。飛行時は、（例えば、約１５度〜５５度ぐらいの）高くない羽の角度（フラップ）で飛行すると浮上・飛行効率が良い。プロペラの場合は、回転初期と、回転中期、回転後期、上昇期、浮上期、下降期、飛行期、などに合わせて、羽の角度（＋フラップ角度）をコントロールすることが、可能である。
【図４３】図４３は、エコロジー・エネルギー・システム（吉野一虎宇宙世界皇帝のフライング・ジェット・モービル）のイメージ概念図である。Yoshino UniverseKazutora YoshinoUniverse EmpireKazutora YoshinoEmperor's Flying Jet Mobile (Theoretical, Practical Method)Lovely, ヘリコプター、飛行機、フライング・ジェット・モービル、スカイ・カーズ、等のプロペラの数式化であり、羽をコンパクト化するための技術である。システムがスケーラブルな際、プロペラのサイズをPropeller Length 1として、モーターのトルクをMotorTorque、モーターの回転数をMotor Omegaとして、プロペラ／羽の角度を、例えば１５°ぐらいとか、４５〜５５°ぐらいに設定すると、基本的な部分は、定数のように扱えて、Force Lift = (Motor Torque/Propeller Length 1)*Csになるので、羽がコンパクトで、（数多くの）プロペラで、回転が速い方が良い。普通は、rg1/rg2 >= 1/30 ぐらいにするが、最善の形態を、rg1/rg2>= 1  とする。rg1/rg2 >= 10・・・とギヤの逆比率を向上させると、リフトの効率が良いが、シャフト・ギヤなどの（シャフト・ギヤ変換）効率があるので、直接プロペラを、モーターに付けるのが、シャフト・ギヤ変換効率が、１００％となるので、最も効率が良い。
【図４４】図４４は、エコロジー・エネルギー・システム（吉野一虎宇宙世界皇帝のヘリコプター・宇宙（核）ロケット開発）のイメージ概念図である。 ヘリコプターから始めて、（３Dペン、３Dコントローラー、脳波コミュニケーター、人工心臓、（iPS）幹細胞臓器、成型臓器（３Dプリンターで、細胞と細胞を決着剤などで付着させて、臓器を直接作る）、などの経由で）、宇宙（核）ロケットを、製造する方法。また、プロジェクトを映画化するためのストーリーであって、この（映画による収益）によって、ヘリコプター、宇宙（核）ロケットを製造する宇宙開発（宇宙医療）ビジネス・モデルの方法。 吉野カズトラ宇宙世界皇帝のストーリー：吉野庭園→ヘリコプター基地→人工心臓製造→ロケット基地→ドラゴン（龍）の開発→宇宙世界征服→吉野カズトラ宇宙世界皇帝と吉野アシュレーアヤメ女王偉大なる戦士のラブ・ロマンス（恋愛ストーリー）。
【図４５】図４５は、エコロジー・エネルギー・システム（吉野一虎宇宙世界皇帝の太陽光発電・風力発電・等の発電所型の吉野信法王鳳凰神社の開発）のイメージ概念図である。 ヘリコプター、宇宙（核）ロケット開発の（準備の）方法とか、吉野カズトラ宇宙世界皇帝と吉野アシュレーアヤメ女王偉大なる戦士のラブ・ロマンス（恋愛ストーリー）。ヘリコプター、宇宙（核）ロケットの開発費を得るための（吉野神道新信仰）吉野一虎宇宙世界皇帝の太陽光発電・風力発電・等の発電所型の吉野信法王鳳凰神社神社の設計と構築。また、その（プロモーションビデオ用・宣伝用・映画用・現実化用の）ストーリー。 吉野カズトラ宇宙世界皇帝のストーリー： Yoshino UniverseKazutora YoshinoUniverse EmpireKazutora YoshinoEmperor's Love RomanceLovely, Yoshino UniverseKazutora Yoshino Universe EmpireKazutora Yoshino Emperor's Shrine 吉野カズトラ宇宙世界皇帝は、吉野信法王鳳凰神社を、始めていた。吉野信法王鳳凰神社は、天照大御神を祀り、『自然は、神。野生は、友。』というキャッチフレーズの基に、信者や白い動物達を、大事にしていた。特に、紀州犬(花)、アークティックウルフ(不思議)や、シロキツネ、シロネコ、ムササビ、モモンガ、白龍、等を、大事にしていた。吉野信法王鳳凰神社の屋根の先端には、鳳凰のデザインの風車が付いていて、屋根には、太陽光パネルが付いている、自然に優しいエコロジー・システムによって運営されていた。信者達は、自然に合わせて、風の来る方向を向く鳳凰型風見鶏(風車)や光(太陽光パネル)や川の水や湖の水や雨水や井戸水や海水や自然エネルギーを、信仰の対象とする、八方美人の吉野ファミリーのメンバー達や、キャバ嬢達や、ホスト達、動物愛護者達、飲食業・水商売関連関係者達、農林水産業者達、パラグライダーパイロット達、パイロット達、航空自衛隊達、、軍人達、警察達、ヨットレーサー達、ボートレーサー達、船主達、船長達、ホースダービーの馬主達、写真関連関係者達、宣伝業者達、画像関連関係者達、テレビ関連関係者達、放送関連関係者達、映画関連関係者達、女優達、俳優達、モデル達、方位学者達、法医学者達、医者達、医療関連関係者達、植物学者達、生化学者達、バイオインフォマティクス関連関係者達、システムエンジニア達、物理学者達、技術者達、プログラマー達、宇宙開発事業団関連関係者達、ビジネス関連関係者達、特許関連関係者達、エネルギー関連関係者、等が、多かった。吉野カズトラ宇宙世界皇帝は、太陽光発電所や、風力発電所、等の研究開発を、Yoshino Universe研究所でしていたが、コンピューター・システム管理は、IBM研究所にさせて、ネットワーク管理は、ベル(Bell)研究所にさせていた。・・・。吉野カズトラ宇宙世界皇帝は、また、Yoshino Universeと吉野エミリー女王と吉野レベッカハル女王の管理の元に、日本政府に、奈良の吉野川のダムの水や富士山の水や海水等の水を、東レのウォーターヒィルターを用いて、飲料水にさせて、『(奈良の)吉野の綺麗な水』という商品名で、世界中に、輸出した。吉野カズトラ宇宙世界皇帝は、また、エネルギー・エコロジー・システム・アプリケーションの研究開発を進め更に良いエコロジー・システム(USES, USEN)、ロケットの研究開発、宇宙開発を、進めていた。・・・・。吉野カズトラ宇宙世界皇帝の吉野��宙開発基地は、白き龍に守られた城(ホワイトハウスWhite House)と呼ばれて、龍型・竜巻のような巨峰のブドウの木(ツタ)に囲まれた、白い家と果樹庭園の内側(吉野信法王の邸宅領土内)にあった。・・・。 吉野カズトラ宇宙世界皇帝は、吉野カズトラ宇宙世界皇帝と吉野の葡萄の園を守るためのボディーガード女子軍団を作り始めていた。あまり現実的ではなかったが、吉野カズトラ宇宙世界皇帝は、水龍拳の一部として、健康空手を、始めていた。吉野カズトラ宇宙世界皇帝の健康空手は、女の子、女子高生、女子大生、OLを、メンバーにして、戦闘用と言うよりは、むしろ健康面での体力強化を目指して、吉野カズトラ宇宙世界皇帝と吉野の果樹庭園（吉野のブドウ園）の警備を目的としていた。吉野カズトラ宇宙世界皇帝は、健康空手のプロモーションビデオを作ろうとしていて、大妻女子大生、等の女子大生達に、吉野カズトラ宇宙世界皇帝を、宣伝しようとしていた。吉野カズトラ宇宙世界皇帝は、埼玉県入間市(入間航空自衛隊による航空防衛)を、基軸とした、日本首都・都市開発を進めていた。・・・。 吉野カズトラ宇宙世界皇帝は、吉野信法皇鳳凰神社と、埼玉県入間市の都市開発のために、神社のさい銭と、風力エネルギーと、太陽光エネルギー、等を用いていたが、世界中から税金を徴収することにした。そのためには、共通通貨が必要となり、吉野カズトラ宇宙世界皇帝は、Yoshino Universe、アメリカ合衆国政府、日本政府、国際連合のIMFを用いて、ユニバーサル・マニー・システムを、作った。吉野カズトラ宇宙世界皇帝は、国民一人一人に、ソーシャルセキュリティー番号や、国民共通番号を、渡して、各々に、資産を、ユニバーサル・マニーのポイントに、変換した。物の売買には、基本、ユニバーサル・マニーのポイントが、必要で、これによって、Yoshino Universe、政府は、国民の販売記録・購買記録がよくみえて、税金(消費税、等)も電子化されて簡単になり、一般にも、不正取引や、闇取引が、殆どなくなった。これによって、特許など正しい新技術への投資や融資が、促進されて、経済、社会が、発展した。・・・。 吉野カズトラ宇宙世界皇帝は、国際的な、税金の徴収のために、ソーシャルセキュリティー番号か、国民共通番号を持つ(アメリカ人、ロシア人、ヨーロッバ人、日本人、朝鮮人、中国人、インド人、アラブ人、等の)国民一人一人に、各国政府の税金を用いて、(固定)IPアドレスを、配布した。(約100億人ぐらいなら、許容可能なシステム。) ソーシャルセキュリティー番号や国民共通番号にリンク対応した固定IPアドレスによって、アメリカ人や日本人、等は、各自、自らのホームページを作り持つことが可能になり、自らの写真やプロフィールを表示することになり、また、国税庁などのホームページに直ぐアクセス出来て、各自の税金の納付状況等も、直ぐに分かるようになった。また、インターネット(サイバースペース)での経済効果が向上して、より多くの税金を徴収することが、可能になった。これにより、吉野カズトラ宇宙世界皇帝は、宇宙開発(ロケット開発、ロボット開発)とか、自らの美容法や、吉野カズトラ宇宙世界皇帝の若返りの研究開発を進めていた。例えば、アルコール食塩水美容法(水分補給美容法)や、iPS細胞を用いた人工臓器や、若返り医療である。吉野カズ��ラ宇宙世界皇帝のアルコール食塩水美容法(水分補給美容法)を修得した、吉野カズトラ宇宙世界皇帝と吉野エミリー女王は、若さを維持出来たので、肌が滑らかな(色白な)菜食主義のバンパイヤー、等と、言われることもあった。しかし、バンパイヤーの国々は、水、食べ物、領土、等の取り合いの戦争を始めていた。吉野エミリー女王の娘の吉野クリスタルヒカリ女王は、肌が、雪のように白い美女だったので、白雪姫と言われたが、隣国の魔女(バンパイヤー)女王に嫉妬されて、魔女女王が、攻めてきたので、森に隠されて、小さな子ども達と、一緒に育った。吉野クリスタルヒカリ女王(白雪姫)は、ハンターに守られながら、自国の復興を始めていた。・・・。 続く。
【図４６】図４６は、エコロジー・エネルギー・システム（吉野一虎宇宙世界皇帝の空飛ぶ家（ロケット・ハウス））のイメージ概念図である。 吉野一虎宇宙世界皇帝の空飛ぶ家（ロケット・ハウス、スカイ・ハウス）：本箱型家（ロケット・ハウス、ブックシェルハウス）。ユニット・ルームを積層する（積み上げる）ことによって、高層ビル、ロケットの構築が可能でる。ロケットの高さに合わせたユニット・ルーム（の数）を構築することが可能である。基本設計をユニット単位で出来るので、ユニット・ルームの大量生産化が可能であるため、ロケット・ハウスの大量生産が、可能になる。 本発明は、コストパフォーマンスが良いロケット（ロケット・ハウス）である。また、設計と構築の時間短縮（ラン・タイムの軽減）による、シナジー的なコストパフォーマンスも良い。 オプションとして、プロペラ、ロケットエンジン、などの搭載によって、空中、宇宙を、飛び回れるようにする（空飛ぶ家：スカイ・ハウス、ロケット）。（本発明によって）、ロケット・ハウスに住んでいるまま、宇宙旅行が可能になる・・・（という効果もある）。 宇宙空間では、（殆ど）無重力状態になるので、部屋は、広く使える方が良い（宇宙服が引っかからないようにする）ため、階段を（宇宙服を着たまま通れる程度に細く）壁側に（／適宜な場所に）作ったり、無重力でも宇宙飛行士の方向感覚が研ぎすまれるように、階段の方向を一致させておいたり、ルーム・番号（ルーム階）を明示（はっきり表示）しておくのも可能である。また、物品に、ICタグをつけておいて、コンピューターで、位置情報などを、管理して、無重力で、物が浮遊していても、何処に何があるのか分かるようにしておくのも可能である。 ３Dペン（３Dコントローラー）で、ロケットの位置・速度・加速度・方向・軌道、等をコントロールしても良い。
【図４７】図４７は、エコロジー・エネルギー・システム（吉野一虎宇宙世界皇帝の宇宙戦争ストーリー）のイメージ概念図である。 ロケット・ロボット・人工知能・ビジネスの開発。それを現実化するための資本獲得のための、プロモーションビデオ用・宣伝用・映画用（吉野エミリー女王の映画製作、SF（スペースファンタジー、サイエンスフィクション））・現実化用のストーリー。 第一章吉野カズトラ宇宙世界皇帝の日本食の進め吉野カズトラ宇宙世界皇帝は、日本の森林(特に、杉の森林)を、伐採して、花粉対策をして、杉から日本食用の高級なお箸(はし)を大量生産して、日本食の市場進出を進めながら、海外市場に日本食とお箸を販売して、利益を得ていたのである。吉野カズトラ宇宙世界皇帝は、元々、数学、物理学、エネルギー工学、生物学、生化学、遺伝子工学、システム工学、農業ロボット工学、軍事ロボット工学のエキスパートだったので、日本食の生産販売が上手で、弁当等の日本食の国際ネットワークを築くことが出来たのである。 ・・・。続く。 第二章吉野カズトラ宇宙世界皇帝のゴースト戦略と吉野カズトラ宇宙世界皇帝の新エネルギー戦略 第二次世界対戦の延長戦が、朝鮮戦争、ベトナム戦争、冷戦、湾岸戦争、対テロ戦争であった。ヒロヒト、山本イソロク、吉野幸信の遺言が、ゴースト戦略として、吉野カズトラ宇宙世界皇帝に、受け継がれていた。吉野カズトラ宇宙世界皇帝のグループは、政府側(北朝)と、反政府側(南朝)に、二分して行った。 吉野カズトラ宇宙世界皇帝は、秘密警察捜査官達を配備して、自衛隊の内部に核心的な右翼、警察の内部に、革新的な右翼を潜入させて、国際的な警察右翼ネットワークを、構築していた。吉野カズトラ宇宙世界皇帝の直属の部下達を、警察や自衛隊にすることによって、吉野軍事グループの部隊の訓練費を、国に持たせれたためである。吉野カズトラ宇宙世界皇帝は、アメリカ軍、スカルアンドボーン、フリーメイソン、帝国軍、ネオナチス、自衛隊、韓国軍、サムスン、ロシア軍の連携を計り、アメリカ軍のスカルアンドボーンに、世界征服をさせて、日本の自衛隊右翼に後始末をさせた。 吉野カズトラ宇宙世界皇帝は、吉野カズトラ宇宙世界皇帝の反政府側のグループを、自衛隊、警察に配備した。日本の自衛隊と警察ネットワークにアメリカの警察ネットワークも加わり、911(アメリカ警察の電話番号の日にち)に、アメリカ合衆国で警察革命が起きた。背後には、アメリカ軍のスカルアンドボーンがいたが、日本のある怪盗団、アルカイダ(裏社会の犯罪ネットワーク)が、背後にいるように、情報操作されていた。 吉野カズトラ宇宙世界皇帝は、吉野カズトラ宇宙世界皇帝の政府側のグループを、政府、政党に配備した。しかし、自由民主党(北朝:アメリカ側)、民主党(南朝:中国側)で、政治的な対立も起きた。民主党革命により、一時、民主党が優位に立ったが、自由民主党が、革命返しをした。 自由民主党と民主党の対立を始め、南北朝で、幾つも主義・立場の対立が起きた。特に、TPPの参加交渉についてでさえ、国を二分する対立が、起きたのである。吉野カズトラ皇帝国は、新南北朝時代に突入した。このことにより、皆が激しい暴風と荒波のなかを航行するような状況になっていった。吉野カズトラ宇宙世界皇帝は、楽天家な���で、暴風を風力発電に用いて、荒波（海流）を海洋発電に用いようとしていた。吉野カズトラ宇宙世界皇帝は、勿論、（宇宙）太陽光エネルギー発電も進めていた。これが、吉野カズトラ宇宙世界皇帝の新エネルギー革命である。 吉野カズトラ宇宙世界皇帝は、吉野カズトラ宇宙世界皇帝の名言、『日は、又、昇る。』と言った。これは、日本が、再び世界の中心になり、日本の先端技術が、進み、日本が復興して、Made In Japanが、世界で求められる有名ブランドになることを、示唆していたのである。 吉野カズトラ宇宙世界皇帝は、新エネルギーの開発、エコロジー・システムの開発、（宇宙）太陽光発電システムの開発と改善を、着実にコツコツ、進めていた。・・・・。続く。 Yoshino Universe ・・・ Yoshino UniverseKazutora YoshinoUniverse EmpireKazutora YoshinoEmperor's PowerTomoko Yoshino Queenvs Rebecca Haru Yoshino QueenLovely, Tomoko Yoshino Queen vs Rebecca HaruYoshino Queen 吉野カズトラ宇宙世界皇帝の影響力と支配力は、絶大である。 吉野友子女王と、吉野レベッカハル女王が、吉野カズトラ宇宙世界皇帝の継承戦争を始めていた。特に、バイオ・ウォー・フェアが、激戦化していた。吉野友子女王学派は、ロシアの生物兵器開発の学者連合で、生物の知識のある大人数だった。吉野レベッカハル女王学派は、アメリカ合衆国の生物兵器開発の学者連合で、少人数で生化学・分子生物学・バイオインフォマティクスなどで洗練された学者達だった。吉野信法皇学派は、日本と中国の学者達で、初めの頃は、対岸の火事のように、この戦いを傍観していることが多かったが、徐々に、この戦いに巻き込まれて行った。・・・ 吉野エミリー女王学派は、宇宙開発、吉野クリスタル女王学派は、ロケット・スペースシャトル等の開発、吉野アシュレー女王学派は、スペースステーション・ドラゴン等の開発をしていたので、この戦いに、巻き込まれないで済んだ。・・・ 吉野友子女王学派は、日本の医師会（タケダ派）を作り反政府団体（政府・政党・病院、等に入り込んだ暗殺部隊）を組織して、吉野レベッカハル女王学派は、日本の歯科協会（タカダ派）を作り反政府団体（政府・政党・歯医者、等に入り込んだ暗殺部隊）を組織した。ここに、医師会（タケダ派）と、歯科協会（タカダ派）の戦いが始まっていた。タケダ派とタカダ派は、日本政府、アメリカ合衆国政府にまで浸透して行き、アメリカ合衆国政府では、タケダ派は、鳩派、タカダ派は、鷹派と、呼ばれた。鳩派も、鷹派も、ターゲットの人物を殺害する方法を幾つか持っていた。鳩派は、危険な薬等を、投与したり、必要な薬を十分に投与しないでターゲットを殺害することが多かった。特に、結核治療に見せかけて、十分な抗生物質を投与せずに、わざと抗生物質耐性細菌を作り、ターゲットの人物を殺害することが多かった。鳩派は、中耳炎の細菌を品種改良・遺伝子組み換えをして、殺人細菌・殺人ウイルスを作り、ターゲット人物の耳に移植した。鷹派は、胃の中にいる細菌で、虫歯菌になる細菌を品種改良・遺伝子組み換え等して、殺人虫歯菌、殺人ウイルスなどを作り、ターゲット人物の虫歯治療の際に、殺人虫歯菌や殺人ウイルスを健康な歯や虫歯になりそうな歯に移植した。殺人虫歯菌や殺人ウイルスは、口に蔓延りドライマウス、鼻に入りドライノーズ、目に入りドライアイ���原因になったりして、脱水症状を引き起こして行った。殺人虫歯菌や殺人ウイルスは、徐々にターゲット人物の健康体を侵食して行き、極度の脱水症状などによって、死に至らせた。銃を持つ警察、重兵器（アンティーク・ウェポン）を基軸とした自衛隊などは、このバイオ・ハザードに対して、殆ど無力であった。・・・ 日本の政治家（自民党）たちは、医師会（タケダ派）とグルで、日本の弁護士会（民主党、共産党）は、歯科協会（タカダ派）とグルで、ターゲットの人物が、攻撃をしてきた人達に反撃したり訴えられないように、暴力行為に出て、ターゲットの人物を直接殺そうとしたり、ターゲットの人物の心理操作、等をしていた。・・・ これに対して、吉野カズトラ宇宙世界皇帝の指導のもと、日本政府の社民党の協力を得て、吉野綾子将軍、吉野世礼菜副将軍による、新たな生物兵器戦闘部隊（政府・政党・環境省・農林水産省、市役所農政課、農業委員会、農業組合、等に入り込んだ暗殺部隊）が形成された。これが、アンブレラ・コーポレーションであり、新技術金属農業開発の基軸となった組織である。アンブレラ・コーポレーション（Ｌｕｍｙ、ＬＤＩ、Ｌｕｍｏｒｅ、・・・）は、アンブレラ基金を持ち、貴金属の販売ネットワークを持ち、トラクターや人工知能塔載の農業用ヘリコプターや農薬散布用爆撃型戦闘飛行機、スカイカーズ、（天候、天気予報）気象衛星用軍事衛星などの農業設備の開発を管理して、稲や麦などの農作物を侵食する細菌、ウイルス、カビ等やその抗菌物質、抗菌遺伝子配列、等を研究開発・管理していた。・・・ この戦いは、日本と中国の尖閣諸島問題、アメリカ軍の普天間基地移設、TPPへの参加交渉、日華思想・入間（航空自衛隊）基地優位主義、を起爆剤として、激戦化して行った。アメリカ軍とロシア軍の第一次冷戦から、アメリカ＋日本＋韓国  ｖｓ  北朝鮮＋中国  の第二次冷戦に入って行き、第二次朝鮮戦へと発展して行った。しかし、吉野カズトラ宇宙世界皇帝を尊敬する北朝鮮は、日本側に協力することになり、形成は、アメリカ＋日本＋韓国＋北朝鮮  ｖｓ  中国となってしまい、次第に、世界の中心が、吉野カズトラ宇宙世界皇帝が司令塔として用いている日本・日本政府（特に、入間（航空自衛隊）基地）になって行った。吉野カズトラ宇宙世界皇帝を尊敬する中国は、日本との良好な関係を維持することを決め、第二次冷戦（裏の第三次世界大戦）だけで済み、結果として、（表の）第三次世界大戦は、回避することができた。しかし、むしろ、TPPなどの関連で、アメリカ合衆国とカナダの間で、内部抗争が起こり、ロシアが暗躍したので、戦場は、アメリカに、なって行った。アメリカが戦場になり、アメリカ合衆国は、約２６０年の間戦い続けたが、アメリカ合衆国は、荒廃し始めていて、もはや、スーパーパワーを失って、アメリカ合衆国は、崩壊した。しかし、後に、アメリカ大陸（今のアメリカ合衆国＋カナダ＋メキシコを合わせた領域）に、吉野クリスタルヒカリ女王国（光の国）が、建国されて、吉野クリスタルヒカリ女王の残した威力と威厳とパワーとフォースの基に復権して、吉野ファミリーの基に、光の国（アメリカ）は、スーパーパワーを再度獲得した。・・・ 続く。 Yoshino UniverseKazutora YoshinoUniverse EmpireKazutora YoshinoEmperor's Unified Story,Lovely,
【図４８】図４８は、エコロジー・エネルギー・システム（吉野一虎宇宙世界皇帝の宇宙（ロケット・ロボット）戦争ストーリー）のイメージ概念図である。 Yoshino UniverseKazutora YoshinoUniverse EmpireEmily Yoshino SpaceFantasy, Science Fiction, ..., Story, to Real ...Lovely, 第三章：吉野一虎宇宙世界皇帝の宇宙（ロケット・ロボット）戦争ストーリー（吉野カズトラ宇宙世界帝国の宇宙戦争）
【図４９】図４９は、エコロジー・エネルギー・システム（吉野一虎宇宙世界皇帝の発電システム（創生記））のイメージ概念図である。 Yoshino UniverseKazutora YoshinoUniverse EmpireKazutora YoshinoEmperor's Energy System (Genesis)Lovely, 風力エネルギー、太陽光エネルギー、海洋エネルギーで、発電する。発電の際の、ビジネス・モデルである。 （I）海辺近くの土地を獲得（購入）して、風力発電とか太陽光発電を行う。（＋火力発電）。（II）船を作り、風力発電とか太陽光発電を行う。（＋火力発電）。（III）洋上に、風力発電システムを作る。（IV）海洋（海流）を用いて、発電する。 Yoshino UniverseKazutora YoshinoUniverse EmpireKazutora YoshinoEmperor's Business Model (Strategy)Lovely, ３Dシステム（３Dペン、等）や、映画（２D／３D）などで得た利益を、発電システムを作ることに用いる（宇宙（核）ロケット、USES（USEN）の準備段階）。発電システムなどで得た利益で、宇宙開発（宇宙（核）ロケット、宇宙ロボット、等）の研究開発をする。宇宙開発で、得た利益で、若返り（再生医療、アンチエイジング、等）の研究開発をする。 基本マップ： 海水  →（太陽光（太陽光パラボラミラー、太陽光パネル）、風力、ガス、石油、等のエネルギー）→  （スチーム）（熱）発電  （蓄電・送電）→  塩＋飲料水  （→オプションとしてエネルギー資源生産保存：水素＋酸素） Yoshino UniverseKazutora YoshinoUniverse EmpireKazutora YoshinoEmperor's Computer Energy Organization SystemLovely,  本発明の発電システム、コンピューター等の数学的な処理法歩によって、出来るだけ早急に、最適値、最適化（方法）、最適ネットワーク、最適システムなどを選ぶ。 Yoshino UniverseKazutora YoshinoUniverse EmpireKazutora YoshinoEmperor's Wind EnergyLovely, 風力発電について： 風力発電システム（風車）は、プロペラの角度、発電機の内部設定（機能）、ギヤ比率、慣性モーメント（角運動保存用ウェイト）、ネットワークなどを変化させることが可能である発電システムであってもよい。風力発電システム（風車）は、風の波形を、フーリエ変換、離散フーリエ変換、正規直交変換、ウェーブレット変換、SVD変換、等して、特徴抽出をする。ジェネティック・アルゴリズム、ノン・パラメトリック法、クラスタリング、自己相関関数法、Q-ラーニング、ニューラル・ラーニング・メソード、等の最適値自己検索アルゴリズムによって、最適な向き（方向）や、羽の角度、ネットワーキングの最適化などを、見つける。人間による、パラメトリック法、若しくは、最適化を自己学習した風力発電システムユニット（風車）は、パラメトリック法や、ニューラル・ネットワーキング・メソードなどを用いて、他の風力発電システムユニット（風車）を、教育して最適化する。センターユニットは、ネットワーク全体が、最適化されるように調整する。この際、其々のユニットは、風の向き（方向）やその他の条件によって、様々にセットされていても良い。 Reference: ISBN4-7898-3715-7
【図５０】図５０は、エコロジー・エネルギー・システム（吉野一虎宇宙世界皇帝の宇宙（核ロケット・核開発）戦争ストーリー）のイメージ概念図である。Yoshino UniverseKazutora YoshinoUniverse EmpireKazutora YoshinoEmperor's Atomic Bio Chemical StrategyRegards, 第ニ章（詳細） 吉野カズトラ宇宙世界皇帝の指導のもと、日本は、再生可能エネルギーの開発を進めて、平和が広がり、経済進展の兆しが出始めていた。しかし、エネルギーシステムの在り方に、原子力を組み入れる必要があるような方向に、国際的な政治の動向は、動いて行ったのである。これは、北朝鮮が、自国で採掘できる膨大な量（大量）のプルトニウム等の核物質を用いて、核開発（特に、核（燃料）ロケット（原子力ロケット）と原子炉の研究開発）を進めていた為である。各国（ある領域）について、利用できるエネルギー量と、経済発展は、ある程度比例するので、北朝鮮の膨大なプルトニウムを用いる核エネルギー活用により、北朝鮮とアジア（全体領域）の経済発展が見込めた。しかし、核エネルギーを、核爆弾などの製造に用いすぎると、エネルギーの安全な社会利用解放率が微妙になるので、核爆弾の製造は、他の古代兵器（一般的な重兵器）の軽減に繋がるレベルにだけして、残りは、原子炉等の開発・製造に向けられて、経済発展のために用いられて、これにより、北朝鮮は、もはや、アメリカ合衆国の援助を要求しなくても自国で経済を発展させることが可能になった。しかし、アメリカ合衆国、韓国政府は、北朝鮮に懐疑的だった。そして、アメリカ合衆国は、B2爆撃機やF22を、朝鮮半島付近で、軍事演習飛行させて、北朝鮮を牽制・挑発した。このため、北朝鮮は、アメリカ合衆国の同盟国の日本、特に、日本の主要基地に、核爆弾を射ち込むことが可能であることを示唆した。アメリカ合衆国、ロシア、中国、北朝鮮、韓国、日本、ヨーロッパ、インド、ブラジル、等は、国際世論のこともあり、表では、遺伝子組み換え技術などを用いて、（農業）遺伝子組換新製品戦争を始めていて、アメリカ合衆国の農業は、TPPなどで日本の農業を飲み込もうとしていた。裏では、各国と秘密結社は、遺伝子設計技術などを用いて、生物兵器等を製造して、鳥インフルエンザ（Ｈ７Ｎ９ウィルス）等に見せかけて、敵国に空中散布したりして、闇での戦いを激化させていたのである。吉野カズトラ宇宙世界皇帝は、核兵器と生物兵器と化学兵器の三つを合わせて、ＡＢＣ兵器(ABC Weapons)と呼んでいた。又、吉野カズトラ宇宙世界皇帝は、遺伝子操作をして、成長ホルモン遺伝子を大量に組み込んでいるため成長速度が速く、体が強靭なクローン軍団を作っていた。クローン軍団は、また、病原菌などに対する耐性遺伝子を組み込まれていたので、生物兵器戦争でも、殆ど、病気にならなかった。吉野カズトラ宇宙世界皇帝を皇帝として、吉野信法王を朝廷の天皇として、吉野カズトラオリジナルファミリー（皇族（天皇家）である吉野エミリー女王、吉野クリスタルヒカリ女王、吉野アシュレーアヤメ女王、吉野レベッカハル女王）によって、征夷大将軍（鳳凰軍）が、任命されて、左大臣（佐上家）と右大臣（宮本家）と財務大臣（クウィーン家）と経済産業大臣（ヒッチンズ家）が任命された。吉野レベッカハル女王が指導者（リーダー）として吉野ファミリーが組織した反政府軍（南朝）は、クローン軍団を用いて、素早く、政府軍（北朝）を、討ち破り、即座に、吉野カズトラ宇宙世界皇帝国を樹立した。吉野カズトラ宇宙世界帝国は、国際的にも進軍して、宇宙世界を名実ともに、より強靭に支配することになった。・・・。続く。
【図５１】図５１は、エコロジー・エネルギー・システム（吉野一虎宇宙世界皇帝の宇宙戦争の際のクリーンルーム・シェルター）のイメージ概念図である。 Yoshino UniverseKazutora YoshinoUniverse EmpireKazutora Yoshino Emperor'sClean Room ShelterRegards, 第ニ章（詳細：続き） 吉野カズトラ宇宙世界皇帝は、生物兵器戦線において、アンブレラ・コーポレーションを用いて、クリーンルーム・シェルターを作っていた。クリーンルーム・シェルターでは、プラズマイオン空気清浄機による空気清浄と同時に、高周波（パルス）レーザー（紫外線、Ｘ線、γ線、等）などによるレーザー照射（レーザー走査）によって、殺菌がなされ、基本的には、花粉、ダスト、細菌、病原菌、ウィルス、ダニ、カビ、等は、排除されたり死滅させられて、クリーンルーム・シェルターは、常時（定期的に）、綺麗な状態にさせられていた。サイドのルームでは、花粉タンパク質を含む米（花粉症対米）や食べ物（スナック、等）が食べれたり、アレルギーの原因となる物質の少ない食べ物を食べれたりして、アレルギー対策もなされていた。中間ルームでは、人の肌等に付着した病原菌を殺菌するシステムになっていた。しかし、病原菌に感染して不治の病になって病人化すると（感染者になると）、レーザー出力が強いレーザーカッターのようになり、クリーンルーム・シェルターで、病人（感染者）を切り刻み処刑して、高温・高圧の焼却炉として、肉片を燃焼することにより、病原菌の更なる感染を妨げるシステムにもなっていた。このため、クリーンルーム・シェルターに、入った人は、生物兵器戦争が終わるまでは、クリーンルーム・シェルターから、出れない確率が高く、クリーンルーム・シェルターは、処刑場とか強制収容所とかナチュラル・ボーン・キラー・システムと揶揄されることが多く、人々は、クリーンルーム・シェルターに入りたがらず、感染者達は、病原菌に感染していることを隠し通そうとしていたが、健康管理システムによる定期健診ロボットが、人々の感染状況を常にモニタリングしていたので、基本、逃げることは難しかった。また、知能が高くなるように遺伝子操作されて、また、病気にかからないように遺伝子操作されたチンパンジーが、作られ、人工知能ロボットと共に、人々を管理するようなシステムにもなっていた。スカイネット・システムは、ターミネーター・ロボットやＴ１０００・ロボットなどのロボットを用いて、人々を強制収容して、健康者と感染者を分別して、シェルターに入れた。健康者の中で、病原菌に対する抗体（免疫）を持つ遺伝子配列を持つ人々は、ポルタトーリと呼ばれ、その中でも、殆ど病気に掛らない人々は、ロボット・パイロットとして、選ばれて、その中でも特に戦闘能力が高い人々が、ガンダム・マイスターとして選ばれた。ガンダム・マイスターの中で、未来を読める能力を持つ（先見の明を持つ）人々は、ニュータイプと呼ばれ、アリス計画（吉野タイムマシンによる未来予知システムと未来操作（フューチャー・オペレーション））の一部になった。人々は、比較的病原菌の少ない宇宙空間で戦闘するようになり、徐々に、宇宙戦争は、激化して行った。・・・続く。
【図５２】図５２は、エコロジー・エネルギー・システム（吉野一虎宇宙世界皇帝のストーリー・メイキング・メソード）のイメージ概念図である。 Yoshino UniverseKazutora Yoshino Universe EmpireKazutora Yoshino Emperor's Story MakerLovely, 吉野カズトラ宇宙世界皇帝のストーリー・メイキング・メソード（クッキー映画（ストーリー）作成方法）： 映画（ストーリー）（３Dゲーム、等）を作成して、エネルギー（発電所）を作り、核ロケットの研究開発などを行う。この際、映画（ストーリー）（３Dゲーム、等）のコストパフォーマンスを向上させるためには、システマティックな方法で、キャラクターやストーリーなどの作成を効率良く工業的にできるのが好ましい。 （０）音楽の作成（例えば、自分で作曲したり、コンピューターがクラシック音楽理論、ランダム機能、などを用いて作ったパーツや音楽を組み合わせたりして自動で音楽を作る。）（１）キャラクター・オブジェクト（型、金型、等）を作成する。（２）ストーリー・オブジェクト（テンプレート）（ドー（小麦粉）シート、等）を作成する。（３）ストリー・ミキサーで、混ぜる。        ストーリー・オブジェクトに、キャラクター・オブジェクト（型）を型取り、ストーリーにキャラクターを入れる。        （キャラクター・クッキー（キャラクター・インスタンス）を作り、ストーリーのプロット（論理）を改善（調整する）。）（４）同様な方法で、キャラクターに合わせたストーリー（の詳細）を付加する。        この際、        ４メソード（起承転結）        ４ｘ４メソード（起承転結ｘ起承転結）、等を用いると、ストーリーの展開が合理的になり効果的になるので好ましい。（５）ビデオ（プロモーションビデオ、等）、映画、シミュレーション、コンピューターゲーム、３DOS、等を作成する。（人物映像とCGを合わせたりするのも可能である。） p.s.  シミュレーション、コンピューターゲーム、３DOS、等の作成の際は、ソフトウェア（キャラクター＋環境＋等）をオブジェクト・オリエンテッド・プログラムで、作れば、効率良く、ストーリー（展開）が可能になる。
【図５３】図５３は、エコロジー・エネルギー・システム（吉野一虎宇宙世界皇帝のエネルギー・エレクトリシティー・ジェネレーター・システム）のイメージ概念図である。 Yoshino UniverseKazutora YoshinoUniverse EmpireKazutora YoshinoEmperor's Wind EnergyLovely, 太陽光発電（スチーム発電）、風力発電、海洋力発電、核反応発電（原子炉発電、核融合炉発電、などによるスチーム（ガス）発電）等の発電機システム。 E = N*B*l*r*(2pi*f)Air Power = Ao*(rp^3)*roair*Npropeller*|Vw|^2  if the ratio of propeller radius andwidth is uniquely set (fixed). プロペラを回転させる。回転軸についているコイル（＋オプション：鉄心）が回転する。磁石（磁場）の内部に位置する前記コイルの回転により、マクスウェルの方程式によって電場が誘導されて起電力を発生させる。バッテリーに充電して、インバーターで、交流にする。オプションとして、トランスフォーマーで、電圧・電流の調整をする。１００V、５０Hzに会うようにするため、増速機のギヤ比率（１：１）〜（６：１）〜（２４：１）ぐらいを適宜とする（最良の形態では、（２４：１））。例えば、最良の形態では、N*B=40, l=0.2m, r=0.1m, f=200Hzであり、プロペラの羽根の形が、示されている（プロペラのサイズは、0.9m x 0.013m x 1m ぐらい。プロペラ半径（約）1m ~ 2m）。プロペラの角度の調整が可能になるようにしても良い。プロペラ角度のレンジは、約１０°〜１４°〜３０°〜４５°〜５５°〜８０°ぐらいである（最良の形態では、風とプロペラの角度が約14°〜45°ぐらいで調整するのが良い）。風力Vw = 3m/s ~ 10m/sで、約1 ~ 2kW（ぐらい）以上の発電量を見込める。
【手続補正２】
【補正対象書類名】図面
【補正対象項目名】図２０
【補正方法】変更
【補正の内容】
【図２０】
2018048555.tif 000413
【手続補正３】
【補正対象書類名】図面
【補正対象項目名】図２１
【補正方法】変更
【補正の内容】
【図２１】
2018048555.tif 000414
【手続補正４】
【補正対象書類名】図面
【補正対象項目名】図２２
【補正方法】変更
【補正の内容】
【図２２】
2018048555.tif 000415
【手続補正５】
【補正対象書類名】図面
【補正対象項目名】図２３
【補正方法】変更
【補正の内容】
【図２３】
2018048555.tif 000416
【手続補正６】
【補正対象書類名】図面
【補正対象項目名】図２４
【補正方法】変更
【補正の内容】
【図２４】
2018048555.tif 000417
【手続補正７】
【補正対象書類名】図面
【補正対象項目名】図２５
【補正方法】変更
【補正の内容】
【図２５】
2018048555.tif 000418
【手続補正８】
【補正対象書類名】図面
【補正対象項目名】図２６
【補正方法】変更
【補正の内容】
【図２６】
2018048555.tif 000419
【手続補正９】
【補正対象書類名】図面
【補正対象項目名】図２７
【補正方法】変更
【補正の内容】
【図２７】
2018048555.tif 000420
【手続補正１０】
【補正対象書類名】図面
【補正対象項目名】図２８
【補正方法】変更
【補正の内容】
【図２８】
2018048555.tif 000421
【手続補正１１】
【補正対象書類名】図面
【補正対象項目名】図２９
【補正方法】変更
【補正の内容】
【図２９】
2018048555.tif 000422
【手続補正１２】
【補正対象書類名】図面
【補正対象項目名】図３０
【補正方法】変更
【補正の内容】
【図３０】
2018048555.tif 000423
【手続補正１３】
【補正対象書類名】図面
【補正対象項目名】図３１
【補正方法】変更
【補正の内容】
【図３１】
2018048555.tif 000424
【手続補正１４】
【補正対象書類名】図面
【補正対象項目名】図３２
【補正方法】変更
【補正の内容】
【図３２】
2018048555.tif 000425
【手続補正１５】
【補正対象書類名】図面
【補正対象項目名】図３３
【補正方法】変更
【補正の内容】
【図３３】
2018048555.tif 000426
【手続補正１６】
【補正対象書類名】図面
【補正対象項目名】図３４
【補正方法】変更
【補正の内容】
【図３４】
2018048555.tif 000427
【手続補正１７】
【補正対象書類名】図面
【補正対象項目名】図３５
【補正方法】変更
【補正の内容】
【図３５】
2018048555.tif 000428
【手続補正１８】
【補正対象書類名】図面
【補正対象項目名】図３６
【補正方法】変更
【補正の内容】
【図３６】
2018048555.tif 000429
【手続補正１９】
【補正対象書類名】図面
【補正対象項目名】図３７
【補正方法】変更
【補正の内容】
【図３７】
2018048555.tif 000430
【手続補正２０】
【補正対象書類名】図面
【補正対象項目名】図３８
【補正方法】変更
【補正の内容】
【図３８】
2018048555.tif 000431
【手続補正２１】
【補正対象書類名】図面
【補正対象項目名】図３９
【補正方法】変更
【補正の内容】
【図３９】
2018048555.tif 000432
【手続補正２２】
【補正対象書類名】図面
【補正対象項目名】図４０
【補正方法】変更
【補正の内容】
【図４０】
2018048555.tif 000433
【手続補正２３】
【補正対象書類名】図面
【補正対象項目名】図４１
【補正方法】変更
【補正の内容】
【図４１】
2018048555.tif 000434
【手続補正２４】
【補正対象書類名】図面
【補正対象項目名】図４２
【補正方法】変更
【補正の内容】
【図４２】
2018048555.tif 000435
【手続補正２５】
【補正対象書類名】図面
【補正対象項目名】図４３
【補正方法】変更
【補正の内容】
【図４３】
2018048555.tif 000436
【手続補正２６】
【補正対象書類名】図面
【補正対象項目名】図４４
【補正方法】変更
【補正の内容】
【図４４】
2018048555.tif 000437
【手続補正２７】
【補正対象書類名】図面
【補正対象項目名】図４５
【補正方法】変更
【補正の内容】
【図４５】
2018048555.tif 000438
【手続補正２８】
【補正対象書類名】図面
【補正対象項目名】図４６
【補正方法】変更
【補正の内容】
【図４６】
2018048555.tif 000439
【手続補正２９】
【補正対象書類名】図面
【補正対象項目名】図４７
【補正方法】変更
【補正の内容】
【図４７】
2018048555.tif 000440
【手続補正３０】
【補正対象書類名】図面
【補正対象項目名】図４８
【補正方法】変更
【補正の内容】
【図４８】
2018048555.tif 000441
【手続補正３１】
【補正対象書類名】図面
【補正対象項目名】図４９
【補正方法】変更
【補正の内容】
【図４９】
2018048555.tif 000442
【手続補正３２】
【補正対象書類名】図面
【補正対象項目名】図５０
【補正方法】変更
【補正の内容】
【図５０】
2018048555.tif 000443
【手続補正３３】
【補正対象書類名】図面
【補正対象項目名】図５１
【補正方法】変更
【補正の内容】
【図５１】
2018048555.tif 000444
【手続補正３４】
【補正対象書類名】図面
【補正対象項目名】図５２
【補正方法】変更
【補正の内容】
【図５２】
2018048555.tif 000445
【手続補正３５】
【補正対象書類名】図面
【補正対象項目名】図５３
【補正方法】追加
【補正の内容】
【図５３】
2018048555.tif 000446
【手続補正書】
【提出日】平成25年4月5日(2013.4.5)
【手続補正１】
【補正対象書類名】明細書
【補正対象項目名】００１１
【補正方法】変更
【補正の内容】
【００１１】
【図１】図１は、エコロジー・エネルギー・システムのイメージ概念図である。
【図２】図２は、エコロジー・エネルギー・システムのイメージ概念図である。
【図３】図３は、エコロジー・エネルギー・システムのイメージ概念図である。
【図４】図４は、エコロジー・エネルギー・システムのイメージ概念図である。
【図５】図５は、エコロジー・エネルギー・システムのイメージ概念図である。
【図６】図６は、エコロジー・エネルギー・システムのイメージ概念図である。
【図７】図７は、エコロジー・エネルギー・システムのイメージ概念図である。
【図８】図８は、エコロジー・エネルギー・システムのイメージ概念図である。
【図９】図９は、エコロジー・エネルギー・システムのイメージ概念図である。
【図１０】図１０は、エコロジー・エネルギー・システムのイメージ概念図である。
【図１１】図１１は、エコロジー・エネルギー・システムのイメージ概念図である。
【図１２】図１２は、エコロジー・エネルギー・システムのイメージ概念図である。
【図１３】図１３は、エコロジー・エネルギー・システムのイメージ概念図である。
【図１４】図１４は、エコロジー・エネルギー・システムのイメージ概念図である。
【図１５】図１５は、エコロジー・エネルギー・システムのイメージ概念図である。
【図１６】図１６は、エコロジー・エネルギー・システムのイメージ概念図である。
【図１７】図１７は、エコロジー・エネルギー・システムのイメージ概念図である。
【図１８】図１８は、エコロジー・エネルギー・システムのイメージ概念図である。
【図１９】図１９は、エコロジー・エネルギー・システムのイメージ概念図である。
【図２０】図２０は、エコロジー・エネルギー・システムのイメージ概念図である。    本発明の図２０についての説明用のストーリ：吉野カズトラ宇宙世界皇帝は、吉野カズトラ宇宙世界皇帝国のエネルギーシステムを増強していた。 I.  宇宙太陽光発電システム（ソーラー（ユニット）サテライト）（USES）II.  宇宙太陽光電池製造システムIII.  宇宙核融合炉発電システムIV.  地上核融合発電システムV.  海上（海底）核融合発電システム 吉野カズトラ宇宙世界皇帝は、巨大な宇宙発電・太陽光エネルギー・送信システム（太陽の付近に宇宙太陽光人工衛星を配置）と受信システム（ロッキー山脈の頂にあるロッキーマウンテンナショナルパーク(Rocky Mountain National Park)や、アリゾナの砂漠、アラスカのマッキンレー山脈、サハラ砂漠、等）を作っていた。 吉野カズトラ宇宙世界皇帝は、また、宇宙での真空を利用して、（トカマク型）プラズマ封じ込め高温適圧の宇宙核融合炉を作ることを進めていた。 吉野カズトラ宇宙世界皇帝は、また、地上でプラズマ・イオン発電所を作り、プラズマ封じ込め高温適圧の宇宙核融合炉を運転していた。 吉野カズトラ宇宙世界皇帝は、また、海上で太陽光・風力・海洋エネルギー発電所を作り、海上（海底）核融合炉を運転していた。（核反応の事故に対して、比較的安全である） Reference:www.yoshinouniverse.comISBN0-8118-0897-1ISBN4-339-00552-5ISBN4-7853-6112-3
【図２１】図２１は、エコロジー・エネルギー・システムのイメージ概念図である。原子炉で、核燃料からエネルギーを取り出す。（オプション）再処理工場で、使用済み核燃料を、核燃料と核廃棄物（核のゴミ）に分離する。熱電発電（所）（システム）で、使用済み核燃料／核廃棄物（核のゴミ）からエネルギーを取り出す。使用済み核燃料／核廃棄物（核のゴミ）を、水、フィルム（紙）、金属（鉛、等）で囲み、放射能について封印するが、熱が出てくるのを、熱電発電で、電気エネルギーに、変換するシステム。
【図２２】図２２は、エコロジー・エネルギー・システム（日本の防衛システム）のイメージ概念図である。核燃料（プルトニウム、ウラン、等）などの核物質など、戦略的エネルギー物質を、日本に集める。核燃料・核爆弾・核廃棄物（核のゴミ）を、１．平和なら、平和利用する。（核エネルギーによって（核（燃料）を熱源として）、熱電発電する。）２．戦争なら、敵国に打ち込む。（埼玉県入間市の入間航空自衛隊（防衛軍）の地下ミサイル発射基地から、大陸弾道ミサイルなどを発射する。吉野カズトラ宇宙世界皇帝のシャチ型潜水艦から核ミサイルを発射する。吉野カズトラ宇宙世界皇帝の軍事衛星から核爆弾を投下する。等）Yoshino UniverseKazutora YoshinoUniverse EmpireKazutora YoshinoNuclear Energy Defense SystemLovely,
【図２３】図２３は、エコロジー・エネルギー・システム（太陽光熱カプセル発電システム）のイメージ概念図である。吉野一虎ソーラーライトカプセル効果：太陽光（熱）が、太陽で発生して（太陽中心：高温１６００万℃、太陽表面：低温温６０００℃）、太陽を囲む物質（ダークマター、素粒子、物質、保熱ガス、反応物質、捕熱物質、反射物質、等の適宜な組み合わせ）によって、光（熱）は、吸収・保持・反応、等をして、中温（数百万℃）になる。DM + gamma -> DM' + delta Egammaは、光（熱）などの（反応（素）粒子などの）エレメント。delta Eは、正／負／ゼロ、等のエネルギー（エレメント）とする。DM、DM’は、ダークマターなどの（反応（素）粒子・反応物質、物質）（群理論）エレメントで、DMとDM'は、同じエレメントでもよく、異なるエレメントでも良い。吉野一虎ライトカプセル効果：このシステムを、ミニチュア化したカプセルに二酸化炭素などの保熱ガス（捕熱ガス）を入れて、（太陽）光（／レーザー光）の照射をして、太陽光（熱）発電を行い、ミニチュア太陽光（熱）カプセル発電を行う。吉野一虎レーザー効果：二酸化炭素などの保熱ガス（捕熱ガス）に、（太陽）光（／レーザー光）を照射して、光（光子、レーザー光）を発光させて、光をカプセル内部で、反射させて、１００％ミラーと約９９％ミラーで、往復反射させて、誘導発光させて、同じ（ぐらいの）波長（周波数）と相（フェーズ）の光の束（レーザー光）を作り、約９９％ミラー側からコーヒーレントなレーザー光を、放つ。吉野一虎ネットワーク超特急効果：ミニチュア太陽光（熱）カプセル発電システムのユニットを、発電パフォーマンス良く、コストパフォーマンス良く、大量に作り、マトリクス上にして、日射量が十分にあるところに敷き詰めたり、電車の路線のサイドに並べたり、道路（高速道路）のサイドに、並べたりすることによって、日本（世界）全体が、ミニチュア太陽光（熱）カプセル発電システムによって、光ネットワーク発電システムとなる。 吉野アシュレーアヤメ女王偉大なる戦士は、吉野一虎効果（吉野一虎ソーラーカプセル効果、吉野一虎ライトカプセル効果、吉野一虎レーザー効果、吉野一虎（カズトラ）ネットワーク超特急効果、等の吉野一虎宇宙世界皇帝の効果）を、活用して、宇宙全体に、吉野アシュレーアヤメ女王による吉野一虎宇宙世界皇帝（宇宙銀河恒星ネットワーク・太陽系）光ネットワークシステムを構築して、宇宙・世界のエネルギー問題を、解決して行った・・・。
【図２４】図２４は、エコロジー・エネルギー・システム（熱（水蒸気／ガス）発電システム）のイメージ概念図である。水（／液体／気体／水素／ガス、等）に太陽光（熱）（エネルギー）、（ガスの）火、熱（等）を投入して、水蒸気（／ガス）にして、タービンを回転して、発電機で、発電するシステム。オプションとして、水蒸気（／ガス）を冷却して、水（／液体／気体／水素／ガス、等）にして、サイクル（リサイクル）するシステム。
【図２５】図２５は、エコロジー・エネルギー・システム（吉野一虎宇宙世界皇帝の核戦争用の鎧兜（防衛システム））のイメージ概念図である。ダイヤモンド、タングステン、ステンレス、鉄、鉛、防弾ガラス、セラミック、紙、スポンジ、水（汗）、バッテリー、シリコン、コンピューター、ディスプレイ等を、適宜に組み合わせて、放射能を遮断するタイガーシールド。本発明は、アルファ粒子線、ベータ線、γ線を遮断する物質（マテリアル）を用いた装甲・鎧（アーマー）である。オプションとして、周りの見た目に合わせて、色や柄を2D/3Dでディスプレイできるカメレオンシールド。この鎧兜を纏った軍隊を、カメレオン・アーミーとして、敵（の核兵器・軍隊）と戦うシステム（自衛隊・国防軍・民間安全警備武装集団（傭兵））。ディスプレイ、コンピューター、電子機器の電源、若しくは、バッテリーなどの充電器としてのブーツ（靴）による、歩行発電（靴発電システム）。ピエゾエレクトロニック素子（圧電素子）、発電機、弾性物質、等によって、発電して、バッテリーに電気を充電する。オプションとして、スプリングなどを用いて、発電しながら、跳躍力を抜群に向上させるジャンプ（発電）シューズ。本発明は、カメレオン・アーミーの鎧を電子的に機能させるのに必要な電源は、歩行発電ブーツから得ることが可能である。その際の戦士達の戦闘シーン（風景）の概念図が、示されている。
【図２６】図２６は、エコロジー・エネルギー・システム（太陽光熱カプセル発電システム：パラボラミラーバージョン）のイメージ概念図である。最良の形態の一つを示している。パラボラミラーによって、反射した光（エネルギー）を、（カプセル）球に集光させて、（熱反応、化学反応、核反応などの）反応、等を起こさせるシステム。
【図２７】図２７は、エコロジー・エネルギー・システム（水素と酸素による燃料電池発電（ガス発電）システム）のイメージ概念図である。ダイヤモンド／DLC／金属／カーボン（ファイバー）等の（軽くて丈夫な）強い（高圧のガスや、液体に耐えうる）容器に、濃縮ガス（濃縮水素ガス、濃縮酸素ガス）、液体（液体水素、液体酸素）等を入れる。水素と酸素を適宜な量を、コンピューター制御機、バルブなどで、摘出して、燃料電池に、投入して、電気（エネルギー）を発生させる。電気を直接用いるか、バッテリー等に充電して用いる。水素と酸素の反応によって出来た水を、（浄化フィルターに通して）、飲料水にする。宇宙船などでの宇宙航行が、長期の滞在の場合に、水素・酸素燃料から、水を作り、フィルターで飲料水を作り、飲むことが可能である、エコロジー・スマート・システム。宇宙旅行に、飲料水を、持ってゆくことが、可能であるが、水が、もっと必要なときとか、緊急時とかに、もっと飲料水を作ることが必要な際に、有用なシステムである。
【図２８】図２８は、エコロジー・エネルギー・システム（エネルギー炉（熱炉））のイメージ概念図である。
【図２９】図２９は、エコロジー・エネルギー・システム（吉野カズトラ宇宙世界皇帝のエネルギー炉（熱炉）と無線／タイマー式の起爆装置による核爆弾）のイメージ概念図である。
【図３０】図３０は、エコロジー・エネルギー・システム（吉野一虎宇宙世界皇帝の靴（防衛・防寒システム））のイメージ概念図である。ピエゾエレクトリックなどの圧電素子で発電したり、動力を利用して、発電したり、核燃料の熱で、発電したりして、熱エネルギーを用いて、エネルギーシステム（（防寒用のヒーター等の）の靴等）を作る。
【図３１】図３１は、エコロジー・エネルギー・システム（吉野一虎宇宙世界皇帝の核電池、核エネルギー、加速器核エネルギーシステム））のイメージ概念図である。核燃料、核廃棄物、（加速器で加速された陽子を核廃棄物（半減期約２万年）に当てて、（半減期を約３０年にした）放射性物質）等や、その適宜な組み合わせから、核（熱）電池を作る。加速器の放射エネルギーによって、宇宙船を飛ばす（運行する）。
【図３２】図３２は、エコロジー・エネルギー・システム（吉野一虎宇宙世界皇帝の核核融合炉エネルギーレーザーシステム（核融合レーザー起動用集光レンズ）））のイメージ概念図である。適宜な波長（若しくは、その組み合わせ）のレーザービームを、レンズで一点に集光（集中）させて、（プラズマ熱エネルギー）核融合を起因する。特に、紫外線、X線、γ線、などの（短波長）高周波のコーヒーレントな光子パッケージ（レーザー光ビーム、等）を用いると良い。そのレンズ方程式を示している。
【図３３】図３３は、エコロジー・エネルギー・システム（吉野一虎宇宙世界皇帝のカズトラ型の核融合炉：カズトラ型核融合炉エネルギー（レーザーヒーティング）システム（核融合レーザーヒーティング起動）））のイメージ概念図である。カズトラ型核融合炉は、トロイダル型（トカマク型）核融合炉を単数／複数、トロイダル型に纏めた型である。プラズマは、真空／ガス／プラズマ内にあるか、磁場・磁界（電場・電界／電磁場・電磁界）内にあっても良い。極力、外部に熱が流出しないように、高磁界にして、Tc（クリティカルテンパーチャー）を高温にして、プラズマを封じ込めて、レーザー（若しくは、マイクロウェーブ、等）で、ヒーティングして（局所場で核融合（ニュークリア・チェイン・リアクション）の初期反応を起こさせて、核融合（ニュークリア・チェイン・リアクション）連鎖反応させる）、プラズマを高温にして、（熱）核融合を起こさせる。（オプションとして、トロイダル型纏めた型のリング部に、オプションフィールド（例えば、磁界）を作るのも良い。）
【図３４】図３４は、エコロジー・エネルギー・システム（吉野一虎宇宙世界皇帝の核融合ロケット（核融合エンジン）：ネオ・カワセミ・プロジェクト：空飛ぶイルカ、空飛ぶイカ））のイメージ概念図である。羽を畳んで海底から発射された空飛ぶイルカは、水中を水ジェットエンジンで走行（航行）して、空中に羽を広げて飛び立ち、空気ジェットエンジンで走行（飛行）して、羽を畳んで宇宙をロケットエンジン（イオンエンジン、プラズマエンジン、ロケットエンジン、核ロケットエンジン、等）で、走行（宇宙航行）する。宇宙防衛のため、核爆弾などで、宇宙からの攻撃（上からの攻撃）をかけることも可能である。
【図３５】図３５は、エコロジー・エネルギー・システム（吉野一虎宇宙世界皇帝のエネルギー・エレクトリシティー・ジェネレーター・システム）のイメージ概念図である。太陽光発電（スチーム発電）、風力発電、海洋力発電、核反応発電（原子炉発電、核融合炉発電、などによるスチーム（ガス）発電）等の発電機システム。プロペラを回転させる。回転軸についている磁石が回転する。前記磁石の回転により、超伝導体内にあるリング磁石が誘導されて回転する。また、磁石と超電導の組み合わせによる非接触な、回転軸とカバーによって、摩擦が殆どない、回転を獲得する。回転効率が良い、起電力を発生させる。オプションとして、トランスフォーマーで、電圧・電流の調整をする。バッテリーに充電したり、電力として用いる。
【図３６】図３６は、エコロジー・エネルギー・システム（吉野一虎宇宙世界皇帝のエネルギー・エレクトリシティー・ジェネレーター・システム）のイメージ概念図である。太陽光発電（スチーム発電）、風力発電、海洋力発電、核反応発電（原子炉発電、核融合炉発電、などによるスチーム（ガス）発電）等の発電機システム。プロペラを回転させることによる発電システムのパワー（電力）のコンセプト・カリキュレーション（Concept Calculation）(概算)。
【図３７】図３７は、エコロジー・エネルギー・システム（吉野一虎宇宙世界皇帝のモーター・ジェット・ボード、モーター・ボート）のイメージ概念図である。水上ロケットランチャー、若しくは、水上から発射するロケット。ジェット・ウィンド・サーフィング。風力でウィンド・サーフ・ボードを動かし、その際、エネルギー・エレクトリシティー・ジェネレーターで、バッテリーに、電気を充電する。風があまりない時は、バッテリーによって、モーター（＋ギヤ）＋プロペラを回転させて、航行する。オプションとして、バッテリーを複数持ち、電力・ギヤによって、ウィンド・サーフ・ボードの速度をコントロールする。人が載るか、無線で操作か、人工知能、等によって航行する。
【図３８】図３８は、エコロジー・エネルギー・システム（吉野一虎宇宙世界皇帝の空飛ぶイルカ、ドラゴン、モーター・ジェット・ボード、モーター・ボート）のイメージ概念図である。特に、翼（羽）の構造（ダイアモンド型）、翼の開閉についてと、ダイヤモンド・ダイナミクス・メソードを示す。（２D／３Dで）翼（羽）を動かして、浮力を得ることも可能である。海中で航行しているときは、翼を閉じて、空で飛行しているときは、翼を広げ（用いて）、宇宙で宇宙航行しているときは、翼を閉じるか、若し、（（シリコンや色素増感型等の）太陽光シートなどなら）太陽光（シート）翼を広げるのが、最善の形態である。
【図３９】図３９は、エコロジー・エネルギー・システム（吉野一虎宇宙世界皇帝のシャフト・ローテーション・ベアリング・システム）のイメージ概念図である。モーター、発電機、ジョイント、等の部分に、ベアリングの周りを、ベアリングで囲み、スムースなオペレーションを可能にするシャフト・ローテーション・ベアリング・システムである。同様に、複数のレイヤーを用いても良い。シャフト・ローテーション・ベアリング・システム＝（（メインベアリング＊サブベアリング）＊Lレイヤー）（L＞＝１）。このシャフト・ローテーション・ベアリング・システムによって、モーターの回転効率や発電機の発電効率が良くなるという効果がある。
【図４０】図４０は、エコロジー・エネルギー・システム（吉野一虎宇宙世界皇帝のスーパーマン（計画））のイメージ概念図である。Yoshino UniverseKazutora YoshinoUniverse EmpireKazutora YoshinoEmperor's Super Man ProjectLovely, 一般的なエンジン、キシレン、ガソリン、水素＋酸素、等を用いるジェット・エンジン、ロケット・エンジンでも良いが、ジェット・ロケット・エンジンを用いるのが最適である。ジェット・ロケット・エンジンは、（小型原子炉／）、小型核融合炉で、燃料の水を沸かして、水蒸気（スチーム）を噴出させて、ジェットを作るロケットエンジンを、箱に取り付ける。ジェット・ロケット・エンジンは、箱の上の方に付けると、横から下にジェットを噴出するので、バランス的に安定する。ジェット・ロケット・エンジンを、箱の下の方に付けると、ジェットが、下に噴出されるので、熱流体的には、効率が良い。二つのジェット・ロケット・エンジンでも、飛行が可能な（動力・エネルギー）レベルにしておく。基本形は、四つのジェット・ロケット・エンジンを用いて、（光学）ジャイロスコープ、加速度センサー、GPS、コンピューター（ジェネリック・アルゴリズム等を用いる人工知能）を用いて、ジェットを噴出したり、逆噴射して、最適な、バランス、位置、方向を、獲得する。緊急の時等は、マニュアル操作も可能にする。四つのジェットエンジンのうち、一つが破損などしたら、対照側にあるジェット・ロケット・エンジンも停止して、二つのジェット・ロケット・エンジンによる飛行（マニュアル操作も出来るようにする）に、切り替えることが可能にする。又、出来るだけ速やかに着地するようにする。若しくは、ジェネリック・アルゴリズムや摂動論的制御、等の最適制御によって、三つのジェット・ロケット・エンジンを、微妙に操作・制御して、当分は、飛行を続けることが可能にする。ダイヤモンドや防弾ガラスのような素材を壁にして、飛行中に、美しい風景など、見渡しが良いようにしても良い。民間の観光用に用いることも可能であり、軍事用の偵察機のように用いることも可能である。パイロットや宇宙飛行士が箱の中にいるなら、内部に空気（酸素）タンクを入れておけば、燃料が続くなら、空から、宇宙に航行しても良い。宇宙の景色（宇宙の夜景、星星の輝き、天体の芸術）などが、美しく、ダイアモンドに映るであろう。
【図４１】図４１は、エコロジー・エネルギー・システム（吉野一虎宇宙世界皇帝のフライング・ジェット・モービル）のイメージ概念図である。 Yoshino UniverseKazutora YoshinoUniverse EmpireKazutora YoshinoEmperor's Flying Jet MobileLovely, 空気をプロペラを回して、上、横、下、斜めなどから吸引して、燃料と混ぜて、燃焼して、ジェットを作る。モーターによってプロペラを回しても良い。フライング・ジェット・モービルは、森やジャングルで、軍事的な偵察等を行う際に、小回りが利く、便利な乗り物である。
【図４２】図４２は、エコロジー・エネルギー・システム（吉野一虎宇宙世界皇帝のフラップ式ウィング、フラップ式プロペラ）のイメージ概念図である。 羽や、プロペラに、フラップを付けて、気流のコントロールをする。特に、高い角度（フラップ角度）をつけて、離陸や着率の距離を短くできる（例えば、４５度〜５５度ぐらい）。飛行時は、（例えば、約１５度〜５５度ぐらいの）高くない羽の角度（フラップ）で飛行すると浮上・飛行効率が良い。プロペラの場合は、回転初期と、回転中期、回転後期、上昇期、浮上期、下降期、飛行期、などに合わせて、羽の角度（＋フラップ角度）をコントロールすることが、可能である。
【図４３】図４３は、エコロジー・エネルギー・システム（吉野一虎宇宙世界皇帝のフライング・ジェット・モービル）のイメージ概念図である。Yoshino UniverseKazutora YoshinoUniverse EmpireKazutora YoshinoEmperor's Flying Jet Mobile (Theoretical, Practical Method)Lovely, ヘリコプター、飛行機、フライング・ジェット・モービル、スカイ・カーズ、等のプロペラの数式化であり、羽をコンパクト化するための技術である。システムがスケーラブルな際、プロペラのサイズをPropeller Length 1として、モーターのトルクをMotorTorque、モーターの回転数をMotor Omegaとして、プロペラ／羽の角度を、例えば１５°ぐらいとか、４５〜５５°ぐらいに設定すると、基本的な部分は、定数のように扱えて、Force Lift = (Motor Torque/Propeller Length 1)*Csになるので、羽がコンパクトで、（数多くの）プロペラで、回転が速い方が良い。普通は、rg1/rg2 >= 1/30 ぐらいにするが、最善の形態を、rg1/rg2>= 1  とする。rg1/rg2 >= 10・・・とギヤの逆比率を向上させると、リフトの効率が良いが、シャフト・ギヤなどの（シャフト・ギヤ変換）効率があるので、直接プロペラを、モーターに付けるのが、シャフト・ギヤ変換効率が、１００％となるので、最も効率が良い。
【図４４】図４４は、エコロジー・エネルギー・システム（吉野一虎宇宙世界皇帝のヘリコプター・宇宙（核）ロケット開発）のイメージ概念図である。 ヘリコプターから始めて、（３Dペン、３Dコントローラー、脳波コミュニケーター、人工心臓、（iPS）幹細胞臓器、成型臓器（３Dプリンターで、細胞と細胞を決着剤などで付着させて、臓器を直接作る）、などの経由で）、宇宙（核）ロケットを、製造する方法。また、プロジェクトを映画化するためのストーリーであって、この（映画による収益）によって、ヘリコプター、宇宙（核）ロケットを製造する宇宙開発（宇宙医療）ビジネス・モデルの方法。 吉野カズトラ宇宙世界皇帝のストーリー：吉野庭園→ヘリコプター基地→人工心臓製造→ロケット基地→ドラゴン（龍）の開発→宇宙世界征服→吉野カズトラ宇宙世界皇帝と吉野アシュレーアヤメ女王偉大なる戦士のラブ・ロマンス（恋愛ストーリー）。
【図４５】図４５は、エコロジー・エネルギー・システム（吉野一虎宇宙世界皇帝の太陽光発電・風力発電・等の発電所型の吉野信法王鳳凰神社の開発）のイメージ概念図である。 ヘリコプター、宇宙（核）ロケット開発の（準備の）方法とか、吉野カズトラ宇宙世界皇帝と吉野アシュレーアヤメ女王偉大なる戦士のラブ・ロマンス（恋愛ストーリー）。ヘリコプター、宇宙（核）ロケットの開発費を得るための（吉野神道新信仰）吉野一虎宇宙世界皇帝の太陽光発電・風力発電・等の発電所型の吉野信法王鳳凰神社神社の設計と構築。また、その（プロモーションビデオ用・宣伝用・映画用・現実化用の）ストーリー。 吉野カズトラ宇宙世界皇帝のストーリー： Yoshino UniverseKazutora YoshinoUniverse EmpireKazutora YoshinoEmperor's Love RomanceLovely, Yoshino UniverseKazutora Yoshino Universe EmpireKazutora Yoshino Emperor's Shrine 吉野カズトラ宇宙世界皇帝は、吉野信法王鳳凰神社を、始めていた。吉野信法王鳳凰神社は、天照大御神を祀り、『自然は、神。野生は、友。』というキャッチフレーズの基に、信者や白い動物達を、大事にしていた。特に、紀州犬(花)、アークティックウルフ(不思議)や、シロキツネ、シロネコ、ムササビ、モモンガ、白龍、等を、大事にしていた。吉野信法王鳳凰神社の屋根の先端には、鳳凰のデザインの風車が付いていて、屋根には、太陽光パネルが付いている、自然に優しいエコロジー・システムによって運営されていた。信者達は、自然に合わせて、風の来る方向を向く鳳凰型風見鶏(風車)や光(太陽光パネル)や川の水や湖の水や雨水や井戸水や海水や自然エネルギーを、信仰の対象とする、八方美人の吉野ファミリーのメンバー達や、キャバ嬢達や、ホスト達、動物愛護者達、飲食業・水商売関連関係者達、農林水産業者達、パラグライダーパイロット達、パイロット達、航空自衛隊達、、軍人達、警察達、ヨットレーサー達、ボートレーサー達、船主達、船長達、ホースダービーの馬主達、写真関連関係者達、宣伝業者達、画像関連関係者達、テレビ関連関係者達、放送関連関係者達、映画関連関係者達、女優達、俳優達、モデル達、方位学者達、法医学者達、医者達、医療関連関係者達、植物学者達、生化学者達、バイオインフォマティクス関連関係者達、システムエンジニア達、物理学者達、技術者達、プログラマー達、宇宙開発事業団関連関係者達、ビジネス関連関係者達、特許関連関係者達、エネルギー関連関係者、等が、多かった。吉野カズトラ宇宙世界皇帝は、太陽光発電所や、風力発電所、等の研究開発を、Yoshino Universe研究所でしていたが、コンピューター・システム管理は、IBM研究所にさせて、ネットワーク管理は、ベル(Bell)研究所にさせていた。・・・。吉野カズトラ宇宙世界皇帝は、また、Yoshino Universeと吉野エミリー女王と吉野レベッカハル女王の管理の元に、日本政府に、奈良の吉野川のダムの水や富士山の水や海水等の水を、東レのウォーターヒィルターを用いて、飲料水にさせて、『(奈良の)吉野の綺麗な水』という商品名で、世界中に、輸出した。吉野カズトラ宇宙世界皇帝は、また、エネルギー・エコロジー・システム・アプリケーションの研究開発を進め更に良いエコロジー・システム(USES, USEN)、ロケットの研究開発、宇宙開発を、進めていた。・・・・。吉野カズトラ宇宙世界皇帝の吉野��宙開発基地は、白き龍に守られた城(ホワイトハウスWhite House)と呼ばれて、龍型・竜巻のような巨峰のブドウの木(ツタ)に囲まれた、白い家と果樹庭園の内側(吉野信法王の邸宅領土内)にあった。・・・。 吉野カズトラ宇宙世界皇帝は、吉野カズトラ宇宙世界皇帝と吉野の葡萄の園を守るためのボディーガード女子軍団を作り始めていた。あまり現実的ではなかったが、吉野カズトラ宇宙世界皇帝は、水龍拳の一部として、健康空手を、始めていた。吉野カズトラ宇宙世界皇帝の健康空手は、女の子、女子高生、女子大生、OLを、メンバーにして、戦闘用と言うよりは、むしろ健康面での体力強化を目指して、吉野カズトラ宇宙世界皇帝と吉野の果樹庭園（吉野のブドウ園）の警備を目的としていた。吉野カズトラ宇宙世界皇帝は、健康空手のプロモーションビデオを作ろうとしていて、大妻女子大生、等の女子大生達に、吉野カズトラ宇宙世界皇帝を、宣伝しようとしていた。吉野カズトラ宇宙世界皇帝は、埼玉県入間市(入間航空自衛隊による航空防衛)を、基軸とした、日本首都・都市開発を進めていた。・・・。 吉野カズトラ宇宙世界皇帝は、吉野信法皇鳳凰神社と、埼玉県入間市の都市開発のために、神社のさい銭と、風力エネルギーと、太陽光エネルギー、等を用いていたが、世界中から税金を徴収することにした。そのためには、共通通貨が必要となり、吉野カズトラ宇宙世界皇帝は、Yoshino Universe、アメリカ合衆国政府、日本政府、国際連合のIMFを用いて、ユニバーサル・マニー・システムを、作った。吉野カズトラ宇宙世界皇帝は、国民一人一人に、ソーシャルセキュリティー番号や、国民共通番号を、渡して、各々に、資産を、ユニバーサル・マニーのポイントに、変換した。物の売買には、基本、ユニバーサル・マニーのポイントが、必要で、これによって、Yoshino Universe、政府は、国民の販売記録・購買記録がよくみえて、税金(消費税、等)も電子化されて簡単になり、一般にも、不正取引や、闇取引が、殆どなくなった。これによって、特許など正しい新技術への投資や融資が、促進されて、経済、社会が、発展した。・・・。 吉野カズトラ宇宙世界皇帝は、国際的な、税金の徴収のために、ソーシャルセキュリティー番号か、国民共通番号を持つ(アメリカ人、ロシア人、ヨーロッバ人、日本人、朝鮮人、中国人、インド人、アラブ人、等の)国民一人一人に、各国政府の税金を用いて、(固定)IPアドレスを、配布した。(約100億人ぐらいなら、許容可能なシステム。) ソーシャルセキュリティー番号や国民共通番号にリンク対応した固定IPアドレスによって、アメリカ人や日本人、等は、各自、自らのホームページを作り持つことが可能になり、自らの写真やプロフィールを表示することになり、また、国税庁などのホームページに直ぐアクセス出来て、各自の税金の納付状況等も、直ぐに分かるようになった。また、インターネット(サイバースペース)での経済効果が向上して、より多くの税金を徴収することが、可能になった。これにより、吉野カズトラ宇宙世界皇帝は、宇宙開発(ロケット開発、ロボット開発)とか、自らの美容法や、吉野カズトラ宇宙世界皇帝の若返りの研究開発を進めていた。例えば、アルコール食塩水美容法(水分補給美容法)や、iPS細胞を用いた人工臓器や、若返り医療である。吉野カズ��ラ宇宙世界皇帝のアルコール食塩水美容法(水分補給美容法)を修得した、吉野カズトラ宇宙世界皇帝と吉野エミリー女王は、若さを維持出来たので、肌が滑らかな(色白な)菜食主義のバンパイヤー、等と、言われることもあった。しかし、バンパイヤーの国々は、水、食べ物、領土、等の取り合いの戦争を始めていた。吉野エミリー女王の娘の吉野クリスタルヒカリ女王は、肌が、雪のように白い美女だったので、白雪姫と言われたが、隣国の魔女(バンパイヤー)女王に嫉妬されて、魔女女王が、攻めてきたので、森に隠されて、小さな子ども達と、一緒に育った。吉野クリスタルヒカリ女王(白雪姫)は、ハンターに守られながら、自国の復興を始めていた。・・・。 続く。
【図４６】図４６は、エコロジー・エネルギー・システム（吉野一虎宇宙世界皇帝の空飛ぶ家（ロケット・ハウス））のイメージ概念図である。 吉野一虎宇宙世界皇帝の空飛ぶ家（ロケット・ハウス、スカイ・ハウス）：本箱型家（ロケット・ハウス、ブックシェルハウス）。ユニット・ルームを積層する（積み上げる）ことによって、高層ビル、ロケットの構築が可能でる。ロケットの高さに合わせたユニット・ルーム（の数）を構築することが可能である。基本設計をユニット単位で出来るので、ユニット・ルームの大量生産化が可能であるため、ロケット・ハウスの大量生産が、可能になる。 本発明は、コストパフォーマンスが良いロケット（ロケット・ハウス）である。また、設計と構築の時間短縮（ラン・タイムの軽減）による、シナジー的なコストパフォーマンスも良い。 オプションとして、プロペラ、ロケットエンジン、などの搭載によって、空中、宇宙を、飛び回れるようにする（空飛ぶ家：スカイ・ハウス、ロケット）。（本発明によって）、ロケット・ハウスに住んでいるまま、宇宙旅行が可能になる・・・（という効果もある）。 宇宙空間では、（殆ど）無重力状態になるので、部屋は、広く使える方が良い（宇宙服が引っかからないようにする）ため、階段を（宇宙服を着たまま通れる程度に細く）壁側に（／適宜な場所に）作ったり、無重力でも宇宙飛行士の方向感覚が研ぎすまれるように、階段の方向を一致させておいたり、ルーム・番号（ルーム階）を明示（はっきり表示）しておくのも可能である。また、物品に、ICタグをつけておいて、コンピューターで、位置情報などを、管理して、無重力で、物が浮遊していても、何処に何があるのか分かるようにしておくのも可能である。 ３Dペン（３Dコントローラー）で、ロケットの位置・速度・加速度・方向・軌道、等をコントロールしても良い。
【図４７】図４７は、エコロジー・エネルギー・システム（吉野一虎宇宙世界皇帝の宇宙戦争ストーリー）のイメージ概念図である。 ロケット・ロボット・人工知能・ビジネスの開発。それを現実化するための資本獲得のための、プロモーションビデオ用・宣伝用・映画用（吉野エミリー女王の映画製作、SF（スペースファンタジー、サイエンスフィクション））・現実化用のストーリー。 第一章吉野カズトラ宇宙世界皇帝の日本食の進め吉野カズトラ宇宙世界皇帝は、日本の森林(特に、杉の森林)を、伐採して、花粉対策をして、杉から日本食用の高級なお箸(はし)を大量生産して、日本食の市場進出を進めながら、海外市場に日本食とお箸を販売して、利益を得ていたのである。吉野カズトラ宇宙世界皇帝は、元々、数学、物理学、エネルギー工学、生物学、生化学、遺伝子工学、システム工学、農業ロボット工学、軍事ロボット工学のエキスパートだったので、日本食の生産販売が上手で、弁当等の日本食の国際ネットワークを築くことが出来たのである。 ・・・。続く。 第二章吉野カズトラ宇宙世界皇帝のゴースト戦略と吉野カズトラ宇宙世界皇帝の新エネルギー戦略 第二次世界対戦の延長戦が、朝鮮戦争、ベトナム戦争、冷戦、湾岸戦争、対テロ戦争であった。ヒロヒト、山本イソロク、吉野幸信の遺言が、ゴースト戦略として、吉野カズトラ宇宙世界皇帝に、受け継がれていた。吉野カズトラ宇宙世界皇帝のグループは、政府側(北朝)と、反政府側(南朝)に、二分して行った。 吉野カズトラ宇宙世界皇帝は、秘密警察捜査官達を配備して、自衛隊の内部に核心的な右翼、警察の内部に、革新的な右翼を潜入させて、国際的な警察右翼ネットワークを、構築していた。吉野カズトラ宇宙世界皇帝の直属の部下達を、警察や自衛隊にすることによって、吉野軍事グループの部隊の訓練費を、国に持たせれたためである。吉野カズトラ宇宙世界皇帝は、アメリカ軍、スカルアンドボーン、フリーメイソン、帝国軍、ネオナチス、自衛隊、韓国軍、サムスン、ロシア軍の連携を計り、アメリカ軍のスカルアンドボーンに、世界征服をさせて、日本の自衛隊右翼に後始末をさせた。 吉野カズトラ宇宙世界皇帝は、吉野カズトラ宇宙世界皇帝の反政府側のグループを、自衛隊、警察に配備した。日本の自衛隊と警察ネットワークにアメリカの警察ネットワークも加わり、911(アメリカ警察の電話番号の日にち)に、アメリカ合衆国で警察革命が起きた。背後には、アメリカ軍のスカルアンドボーンがいたが、日本のある怪盗団、アルカイダ(裏社会の犯罪ネットワーク)が、背後にいるように、情報操作されていた。 吉野カズトラ宇宙世界皇帝は、吉野カズトラ宇宙世界皇帝の政府側のグループを、政府、政党に配備した。しかし、自由民主党(北朝:アメリカ側)、民主党(南朝:中国側)で、政治的な対立も起きた。民主党革命により、一時、民主党が優位に立ったが、自由民主党が、革命返しをした。 自由民主党と民主党の対立を始め、南北朝で、幾つも主義・立場の対立が起きた。特に、TPPの参加交渉についてでさえ、国を二分する対立が、起きたのである。吉野カズトラ皇帝国は、新南北朝時代に突入した。このことにより、皆が激しい暴風と荒波のなかを航行するような状況になっていった。吉野カズトラ宇宙世界皇帝は、楽天家な���で、暴風を風力発電に用いて、荒波（海流）を海洋発電に用いようとしていた。吉野カズトラ宇宙世界皇帝は、勿論、（宇宙）太陽光エネルギー発電も進めていた。これが、吉野カズトラ宇宙世界皇帝の新エネルギー革命である。 吉野カズトラ宇宙世界皇帝は、吉野カズトラ宇宙世界皇帝の名言、『日は、又、昇る。』と言った。これは、日本が、再び世界の中心になり、日本の先端技術が、進み、日本が復興して、Made In Japanが、世界で求められる有名ブランドになることを、示唆していたのである。 吉野カズトラ宇宙世界皇帝は、新エネルギーの開発、エコロジー・システムの開発、（宇宙）太陽光発電システムの開発と改善を、着実にコツコツ、進めていた。・・・・。続く。 Yoshino Universe ・・・ Yoshino UniverseKazutora YoshinoUniverse EmpireKazutora YoshinoEmperor's PowerTomoko Yoshino Queenvs Rebecca Haru Yoshino QueenLovely, Tomoko Yoshino Queen vs Rebecca HaruYoshino Queen 吉野カズトラ宇宙世界皇帝の影響力と支配力は、絶大である。 吉野友子女王と、吉野レベッカハル女王が、吉野カズトラ宇宙世界皇帝の継承戦争を始めていた。特に、バイオ・ウォー・フェアが、激戦化していた。吉野友子女王学派は、ロシアの生物兵器開発の学者連合で、生物の知識のある大人数だった。吉野レベッカハル女王学派は、アメリカ合衆国の生物兵器開発の学者連合で、少人数で生化学・分子生物学・バイオインフォマティクスなどで洗練された学者達だった。吉野信法皇学派は、日本と中国の学者達で、初めの頃は、対岸の火事のように、この戦いを傍観していることが多かったが、徐々に、この戦いに巻き込まれて行った。・・・ 吉野エミリー女王学派は、宇宙開発、吉野クリスタル女王学派は、ロケット・スペースシャトル等の開発、吉野アシュレー女王学派は、スペースステーション・ドラゴン等の開発をしていたので、この戦いに、巻き込まれないで済んだ。・・・ 吉野友子女王学派は、日本の医師会（タケダ派）を作り反政府団体（政府・政党・病院、等に入り込んだ暗殺部隊）を組織して、吉野レベッカハル女王学派は、日本の歯科協会（タカダ派）を作り反政府団体（政府・政党・歯医者、等に入り込んだ暗殺部隊）を組織した。ここに、医師会（タケダ派）と、歯科協会（タカダ派）の戦いが始まっていた。タケダ派とタカダ派は、日本政府、アメリカ合衆国政府にまで浸透して行き、アメリカ合衆国政府では、タケダ派は、鳩派、タカダ派は、鷹派と、呼ばれた。鳩派も、鷹派も、ターゲットの人物を殺害する方法を幾つか持っていた。鳩派は、危険な薬等を、投与したり、必要な薬を十分に投与しないでターゲットを殺害することが多かった。特に、結核治療に見せかけて、十分な抗生物質を投与せずに、わざと抗生物質耐性細菌を作り、ターゲットの人物を殺害することが多かった。鳩派は、中耳炎の細菌を品種改良・遺伝子組み換えをして、殺人細菌・殺人ウイルスを作り、ターゲット人物の耳に移植した。鷹派は、胃の中にいる細菌で、虫歯菌になる細菌を品種改良・遺伝子組み換え等して、殺人虫歯菌、殺人ウイルスなどを作り、ターゲット人物の虫歯治療の際に、殺人虫歯菌や殺人ウイルスを健康な歯や虫歯になりそうな歯に移植した。殺人虫歯菌や殺人ウイルスは、口に蔓延りドライマウス、鼻に入りドライノーズ、目に入りドライアイ���原因になったりして、脱水症状を引き起こして行った。殺人虫歯菌や殺人ウイルスは、徐々にターゲット人物の健康体を侵食して行き、極度の脱水症状などによって、死に至らせた。銃を持つ警察、重兵器（アンティーク・ウェポン）を基軸とした自衛隊などは、このバイオ・ハザードに対して、殆ど無力であった。・・・ 日本の政治家（自民党）たちは、医師会（タケダ派）とグルで、日本の弁護士会（民主党、共産党）は、歯科協会（タカダ派）とグルで、ターゲットの人物が、攻撃をしてきた人達に反撃したり訴えられないように、暴力行為に出て、ターゲットの人物を直接殺そうとしたり、ターゲットの人物の心理操作、等をしていた。・・・ これに対して、吉野カズトラ宇宙世界皇帝の指導のもと、日本政府の社民党の協力を得て、吉野綾子将軍、吉野世礼菜副将軍による、新たな生物兵器戦闘部隊（政府・政党・環境省・農林水産省、市役所農政課、農業委員会、農業組合、等に入り込んだ暗殺部隊）が形成された。これが、アンブレラ・コーポレーションであり、新技術金属農業開発の基軸となった組織である。アンブレラ・コーポレーション（Ｌｕｍｙ、ＬＤＩ、Ｌｕｍｏｒｅ、・・・）は、アンブレラ基金を持ち、貴金属の販売ネットワークを持ち、トラクターや人工知能塔載の農業用ヘリコプターや農薬散布用爆撃型戦闘飛行機、スカイカーズ、（天候、天気予報）気象衛星用軍事衛星などの農業設備の開発を管理して、稲や麦などの農作物を侵食する細菌、ウイルス、カビ等やその抗菌物質、抗菌遺伝子配列、等を研究開発・管理していた。・・・ この戦いは、日本と中国の尖閣諸島問題、アメリカ軍の普天間基地移設、TPPへの参加交渉、日華思想・入間（航空自衛隊）基地優位主義、を起爆剤として、激戦化して行った。アメリカ軍とロシア軍の第一次冷戦から、アメリカ＋日本＋韓国  ｖｓ  北朝鮮＋中国  の第二次冷戦に入って行き、第二次朝鮮戦へと発展して行った。しかし、吉野カズトラ宇宙世界皇帝を尊敬する北朝鮮は、日本側に協力することになり、形成は、アメリカ＋日本＋韓国＋北朝鮮  ｖｓ  中国となってしまい、次第に、世界の中心が、吉野カズトラ宇宙世界皇帝が司令塔として用いている日本・日本政府（特に、入間（航空自衛隊）基地）になって行った。吉野カズトラ宇宙世界皇帝を尊敬する中国は、日本との良好な関係を維持することを決め、第二次冷戦（裏の第三次世界大戦）だけで済み、結果として、（表の）第三次世界大戦は、回避することができた。しかし、むしろ、TPPなどの関連で、アメリカ合衆国とカナダの間で、内部抗争が起こり、ロシアが暗躍したので、戦場は、アメリカに、なって行った。アメリカが戦場になり、アメリカ合衆国は、約２６０年の間戦い続けたが、アメリカ合衆国は、荒廃し始めていて、もはや、スーパーパワーを失って、アメリカ合衆国は、崩壊した。しかし、後に、アメリカ大陸（今のアメリカ合衆国＋カナダ＋メキシコを合わせた領域）に、吉野クリスタルヒカリ女王国（光の国）が、建国されて、吉野クリスタルヒカリ女王の残した威力と威厳とパワーとフォースの基に復権して、吉野ファミリーの基に、光の国（アメリカ）は、スーパーパワーを再度獲得した。・・・ 続く。 Yoshino UniverseKazutora YoshinoUniverse EmpireKazutora YoshinoEmperor's Unified Story,Lovely,
【図４８】図４８は、エコロジー・エネルギー・システム（吉野一虎宇宙世界皇帝の宇宙（ロケット・ロボット）戦争ストーリー）のイメージ概念図である。 Yoshino UniverseKazutora YoshinoUniverse EmpireEmily Yoshino SpaceFantasy, Science Fiction, ..., Story, to Real ...Lovely, 第三章：吉野一虎宇宙世界皇帝の宇宙（ロケット・ロボット）戦争ストーリー（吉野カズトラ宇宙世界帝国の宇宙戦争）
【図４９】図４９は、エコロジー・エネルギー・システム（吉野一虎宇宙世界皇帝の発電システム（創生記））のイメージ概念図である。 Yoshino UniverseKazutora YoshinoUniverse EmpireKazutora YoshinoEmperor's Energy System (Genesis)Lovely, 風力エネルギー、太陽光エネルギー、海洋エネルギーで、発電する。発電の際の、ビジネス・モデルである。 （I）海辺近くの土地を獲得（購入）して、風力発電とか太陽光発電を行う。（＋火力発電）。（II）船を作り、風力発電とか太陽光発電を行う。（＋火力発電）。（III）洋上に、風力発電システムを作る。（IV）海洋（海流）を用いて、発電する。 Yoshino UniverseKazutora YoshinoUniverse EmpireKazutora YoshinoEmperor's Business Model (Strategy)Lovely, ３Dシステム（３Dペン、等）や、映画（２D／３D）などで得た利益を、発電システムを作ることに用いる（宇宙（核）ロケット、USES（USEN）の準備段階）。発電システムなどで得た利益で、宇宙開発（宇宙（核）ロケット、宇宙ロボット、等）の研究開発をする。宇宙開発で、得た利益で、若返り（再生医療、アンチエイジング、等）の研究開発をする。 基本マップ： 海水  →（太陽光（太陽光パラボラミラー、太陽光パネル）、風力、ガス、石油、等のエネルギー）→  （スチーム）（熱）発電  （蓄電・送電）→  塩＋飲料水  （→オプションとしてエネルギー資源生産保存：水素＋酸素） Yoshino UniverseKazutora YoshinoUniverse EmpireKazutora YoshinoEmperor's Computer Energy Organization SystemLovely,  本発明の発電システム、コンピューター等の数学的な処理法歩によって、出来るだけ早急に、最適値、最適化（方法）、最適ネットワーク、最適システムなどを選ぶ。 Yoshino UniverseKazutora YoshinoUniverse EmpireKazutora YoshinoEmperor's Wind EnergyLovely, 風力発電について： 風力発電システム（風車）は、プロペラの角度、発電機の内部設定（機能）、ギヤ比率、慣性モーメント（角運動保存用ウェイト）、ネットワークなどを変化させることが可能である発電システムであってもよい。風力発電システム（風車）は、風の波形を、フーリエ変換、離散フーリエ変換、正規直交変換、ウェーブレット変換、SVD変換、等して、特徴抽出をする。ジェネティック・アルゴリズム、ノン・パラメトリック法、クラスタリング、自己相関関数法、Q-ラーニング、ニューラル・ラーニング・メソード、等の最適値自己検索アルゴリズムによって、最適な向き（方向）や、羽の角度、ネットワーキングの最適化などを、見つける。人間による、パラメトリック法、若しくは、最適化を自己学習した風力発電システムユニット（風車）は、パラメトリック法や、ニューラル・ネットワーキング・メソードなどを用いて、他の風力発電システムユニット（風車）を、教育して最適化する。センターユニットは、ネットワーク全体が、最適化されるように調整する。この際、其々のユニットは、風の向き（方向）やその他の条件によって、様々にセットされていても良い。 Reference: ISBN4-7898-3715-7
【図５０】図５０は、エコロジー・エネルギー・システム（吉野一虎宇宙世界皇帝の宇宙（核ロケット・核開発）戦争ストーリー）のイメージ概念図である。Yoshino UniverseKazutora YoshinoUniverse EmpireKazutora YoshinoEmperor's Atomic Bio Chemical StrategyRegards, 第ニ章（詳細） 吉野カズトラ宇宙世界皇帝の指導のもと、日本は、再生可能エネルギーの開発を進めて、平和が広がり、経済進展の兆しが出始めていた。しかし、エネルギーシステムの在り方に、原子力を組み入れる必要があるような方向に、国際的な政治の動向は、動いて行ったのである。これは、北朝鮮が、自国で採掘できる膨大な量（大量）のプルトニウム等の核物質を用いて、核開発（特に、核（燃料）ロケット（原子力ロケット）と原子炉の研究開発）を進めていた為である。各国（ある領域）について、利用できるエネルギー量と、経済発展は、ある程度比例するので、北朝鮮の膨大なプルトニウムを用いる核エネルギー活用により、北朝鮮とアジア（全体領域）の経済発展が見込めた。しかし、核エネルギーを、核爆弾などの製造に用いすぎると、エネルギーの安全な社会利用解放率が微妙になるので、核爆弾の製造は、他の古代兵器（一般的な重兵器）の軽減に繋がるレベルにだけして、残りは、原子炉等の開発・製造に向けられて、経済発展のために用いられて、これにより、北朝鮮は、もはや、アメリカ合衆国の援助を要求しなくても自国で経済を発展させることが可能になった。しかし、アメリカ合衆国、韓国政府は、北朝鮮に懐疑的だった。そして、アメリカ合衆国は、B2爆撃機やF22を、朝鮮半島付近で、軍事演習飛行させて、北朝鮮を牽制・挑発した。このため、北朝鮮は、アメリカ合衆国の同盟国の日本、特に、日本の主要基地に、核爆弾を射ち込むことが可能であることを示唆した。アメリカ合衆国、ロシア、中国、北朝鮮、韓国、日本、ヨーロッパ、インド、ブラジル、等は、国際世論のこともあり、表では、遺伝子組み換え技術などを用いて、（農業）遺伝子組換新製品戦争を始めていて、アメリカ合衆国の農業は、TPPなどで日本の農業を飲み込もうとしていた。裏では、各国と秘密結社は、遺伝子設計技術などを用いて、生物兵器等を製造して、鳥インフルエンザ（Ｈ７Ｎ９ウィルス）等に見せかけて、敵国に空中散布したりして、闇での戦いを激化させていたのである。吉野カズトラ宇宙世界皇帝は、核兵器と生物兵器と化学兵器の三つを合わせて、ＡＢＣ兵器(ABC Weapons)と呼んでいた。又、吉野カズトラ宇宙世界皇帝は、遺伝子操作をして、成長ホルモン遺伝子を大量に組み込んでいるため成長速度が速く、体が強靭なクローン軍団を作っていた。クローン軍団は、また、病原菌などに対する耐性遺伝子を組み込まれていたので、生物兵器戦争でも、殆ど、病気にならなかった。吉野カズトラ宇宙世界皇帝を皇帝として、吉野信法王を朝廷の天皇として、吉野カズトラオリジナルファミリー（皇族（天皇家）である吉野エミリー女王、吉野クリスタルヒカリ女王、吉野アシュレーアヤメ女王、吉野レベッカハル女王）によって、征夷大将軍（鳳凰軍）が、任命されて、左大臣（佐上家）と右大臣（宮本家）と財務大臣（クウィーン家）と経済産業大臣（ヒッチンズ家）が任命された。吉野レベッカハル女王が指導者（リーダー）として吉野ファミリーが組織した反政府軍（南朝）は、クローン軍団を用いて、素早く、政府軍（北朝）を、討ち破り、即座に、吉野カズトラ宇宙世界皇帝国を樹立した。吉野カズトラ宇宙世界帝国は、国際的にも進軍して、宇宙世界を名実ともに、より強靭に支配することになった。・・・。続く。
【図５１】図５１は、エコロジー・エネルギー・システム（吉野一虎宇宙世界皇帝の宇宙戦争の際のクリーンルーム・シェルター）のイメージ概念図である。 Yoshino UniverseKazutora YoshinoUniverse EmpireKazutora Yoshino Emperor'sClean Room ShelterRegards, 第ニ章（詳細：続き） 吉野カズトラ宇宙世界皇帝は、生物兵器戦線において、アンブレラ・コーポレーションを用いて、クリーンルーム・シェルターを作っていた。クリーンルーム・シェルターでは、プラズマイオン空気清浄機による空気清浄と同時に、高周波（パルス）レーザー（紫外線、Ｘ線、γ線、等）などによるレーザー照射（レーザー走査）によって、殺菌がなされ、基本的には、花粉、ダスト、細菌、病原菌、ウィルス、ダニ、カビ、等は、排除されたり死滅させられて、クリーンルーム・シェルターは、常時（定期的に）、綺麗な状態にさせられていた。サイドのルームでは、花粉タンパク質を含む米（花粉症対米）や食べ物（スナック、等）が食べれたり、アレルギーの原因となる物質の少ない食べ物を食べれたりして、アレルギー対策もなされていた。中間ルームでは、人の肌等に付着した病原菌を殺菌するシステムになっていた。しかし、病原菌に感染して不治の病になって病人化すると（感染者になると）、レーザー出力が強いレーザーカッターのようになり、クリーンルーム・シェルターで、病人（感染者）を切り刻み処刑して、高温・高圧の焼却炉として、肉片を燃焼することにより、病原菌の更なる感染を妨げるシステムにもなっていた。このため、クリーンルーム・シェルターに、入った人は、生物兵器戦争が終わるまでは、クリーンルーム・シェルターから、出れない確率が高く、クリーンルーム・シェルターは、処刑場とか強制収容所とかナチュラル・ボーン・キラー・システムと揶揄されることが多く、人々は、クリーンルーム・シェルターに入りたがらず、感染者達は、病原菌に感染していることを隠し通そうとしていたが、健康管理システムによる定期健診ロボットが、人々の感染状況を常にモニタリングしていたので、基本、逃げることは難しかった。また、知能が高くなるように遺伝子操作されて、また、病気にかからないように遺伝子操作されたチンパンジーが、作られ、人工知能ロボットと共に、人々を管理するようなシステムにもなっていた。スカイネット・システムは、ターミネーター・ロボットやＴ１０００・ロボットなどのロボットを用いて、人々を強制収容して、健康者と感染者を分別して、シェルターに入れた。健康者の中で、病原菌に対する抗体（免疫）を持つ遺伝子配列を持つ人々は、ポルタトーリと呼ばれ、その中でも、殆ど病気に掛らない人々は、ロボット・パイロットとして、選ばれて、その中でも特に戦闘能力が高い人々が、ガンダム・マイスターとして選ばれた。ガンダム・マイスターの中で、未来を読める能力を持つ（先見の明を持つ）人々は、ニュータイプと呼ばれ、アリス計画（吉野タイムマシンによる未来予知システムと未来操作（フューチャー・オペレーション））の一部になった。人々は、比較的病原菌の少ない宇宙空間で戦闘するようになり、徐々に、宇宙戦争は、激化して行った。・・・続く。
【図５２】図５２は、エコロジー・エネルギー・システム（吉野一虎宇宙世界皇帝のストーリー・メイキング・メソード）のイメージ概念図である。 Yoshino UniverseKazutora Yoshino Universe EmpireKazutora Yoshino Emperor's Story MakerLovely, 吉野カズトラ宇宙世界皇帝のストーリー・メイキング・メソード（クッキー映画（ストーリー）作成方法）： 映画（ストーリー）（３Dゲーム、等）を作成して、エネルギー（発電所）を作り、核ロケットの研究開発などを行う。この際、映画（ストーリー）（３Dゲーム、等）のコストパフォーマンスを向上させるためには、システマティックな方法で、キャラクターやストーリーなどの作成を効率良く工業的にできるのが好ましい。 （０）音楽の作成（例えば、自分で作曲したり、コンピューターがクラシック音楽理論、ランダム機能、などを用いて作ったパーツや音楽を組み合わせたりして自動で音楽を作る。）（１）キャラクター・オブジェクト（型、金型、等）を作成する。（２）ストーリー・オブジェクト（テンプレート）（ドー（小麦粉）シート、等）を作成する。（３）ストリー・ミキサーで、混ぜる。        ストーリー・オブジェクトに、キャラクター・オブジェクト（型）を型取り、ストーリーにキャラクターを入れる。        （キャラクター・クッキー（キャラクター・インスタンス）を作り、ストーリーのプロット（論理）を改善（調整する）。）（４）同様な方法で、キャラクターに合わせたストーリー（の詳細）を付加する。        この際、        ４メソード（起承転結）        ４ｘ４メソード（起承転結ｘ起承転結）、等を用いると、ストーリーの展開が合理的になり効果的になるので好ましい。（５）ビデオ（プロモーションビデオ、等）、映画、シミュレーション、コンピューターゲーム、３DOS、等を作成する。（人物映像とCGを合わせたりするのも可能である。） p.s.  シミュレーション、コンピューターゲーム、３DOS、等の作成の際は、ソフトウェア（キャラクター＋環境＋等）をオブジェクト・オリエンテッド・プログラムで、作れば、効率良く、ストーリー（展開）が可能になる。
【図５３】図５３は、エコロジー・エネルギー・システム（吉野一虎宇宙世界皇帝のエネルギー・エレクトリシティー・ジェネレーター・システム）のイメージ概念図である。 Yoshino UniverseKazutora YoshinoUniverse EmpireKazutora YoshinoEmperor's Wind EnergyLovely, 太陽光発電（スチーム発電）、風力発電、海洋力発電、核反応発電（原子炉発電、核融合炉発電、などによるスチーム（ガス）発電）等の発電機システム。 E = N*B*l*r*(2pi*f)Air Power = Ao*(rp^3)*roair*Npropeller*|Vw|^2  if the ratio of propeller radius andwidth is uniquely set (fixed). プロペラを回転させる。回転軸についているコイル（＋オプション：鉄心）が回転する。磁石（磁場）の内部に位置する前記コイルの回転により、マクスウェルの方程式によって電場が誘導されて起電力を発生させる。バッテリーに充電して、インバーターで、交流にする。オプションとして、トランスフォーマーで、電圧・電流の調整をする。１００V、５０Hzに会うようにするため、増速機のギヤ比率（１：１）〜（６：１）〜（２４：１）ぐらいを適宜とする（最良の形態では、（２４：１））。例えば、最良の形態では、N*B=40, l=0.2m, r=0.1m, f=200Hzであり、プロペラの羽根の形が、示されている（プロペラのサイズは、0.9m x 0.013m x 1m ぐらい。プロペラ半径（約）1m ~ 2m）。プロペラの角度の調整が可能になるようにしても良い。プロペラ角度のレンジは、約１０°〜１４°〜３０°〜４５°〜５５°〜８０°ぐらいである（最良の形態では、風とプロペラの角度が約14°〜45°ぐらいで調整するのが良い）。風力Vw = 3m/s ~ 10m/sで、約1 ~ 2kW（ぐらい）以上の発電量を見込める。
【図５４】図５４は、エコロジー・エネルギー・システム（吉野一虎宇宙世界皇帝のエネルギー・エレクトリシティー・ジェネレーター・システムの製造方法（作り方））のイメージ概念図である。 Yoshino UniverseKazutora YoshinoUniverse EmpireKazutora YoshinoEmperor's Wind EnergyLovely, 太陽光発電（スチーム発電）、風力発電、海洋力発電、核反応発電（原子炉発電、核融合炉発電、などによるスチーム（ガス）発電）等の発電機システム。 ０．素材（角材）をプロペラの羽根の厚型に切り出す。１．素材（プロペラの羽根の厚型）を、３枚のプロペラの羽根の薄型に切る。２．素材（プロペラの羽根の薄型）を、其々、削り、プロペラの羽根（完成型）にする。３．センター（三角形型センターユニット）を作る。４．プロペラの羽根を、センター（三角形型センターユニット）に取り付ける。５．増速機、発電機を作り、台（軸）に取り付ける。６．キャップ＋プロペラ＋増速機＋発電機を取り付ける。７．バッテリー＋インバーターを取り付ける。（オプション）８．風力発電をする。
【図５５】図５５は、エコロジー・エネルギー・システム（吉野一虎宇宙世界皇帝のYoshino Universeのエネルギー・エレクトリシティー・ジェネレーター・システム（風力発電システム）の宣伝用（イメージと）ロゴ）のイメージ概念図である。 Yoshino UniverseKazutora YoshinoUniverse EmpireKazutora YoshinoEmperor's Wind EnergyLovely, Yoshino Universeのエコロジー・システム（・アプリケーション）の促進のイメージ。『風力発電（エコロジー・システム）と鳥（自然）が、風と共に生きる。』（キャッチフレーズ） 発電効率が良い（効果的な）風力発電（機）システム（の（美的）デザイン（設計））である。
【図５６】図５６は、エコロジー・エネルギー・システム（吉野一虎宇宙世界皇帝のYoshino Universeのエネルギー・エレクトリシティー・ジェネレーター・システム（風力発電システム）のストーリー）のイメージ概念図である。 Yoshino UniverseKazutora Yoshino UniverseEmpireKazutora YoshinoEmperor's Wind EnergyLovely, ４ｘ４（起承転結ｘ起承転結）のウィンド・エネルギー・ストーリー（のテンプレート）である。（例えば、吉野エミリー女王を主役として、吉野クリスタルヒカリ女王、吉野アシュレーアヤメ女王、吉野レベッカハル女王を準主役として、『風力発電（機）と蜂鳥のストーリー（会話）、・・・』、等のストーリー、スクリプト（脚本）、映画、等が作成できる。）
【手続補正２】
【補正対象書類名】図面
【補正対象項目名】図２０
【補正方法】変更
【補正の内容】
【図２０】
2018048555.tif 000447
【手続補正３】
【補正対象書類名】図面
【補正対象項目名】図２１
【補正方法】変更
【補正の内容】
【図２１】
2018048555.tif 000448
【手続補正４】
【補正対象書類名】図面
【補正対象項目名】図２２
【補正方法】変更
【補正の内容】
【図２２】
2018048555.tif 000449
【手続補正５】
【補正対象書類名】図面
【補正対象項目名】図２３
【補正方法】変更
【補正の内容】
【図２３】
2018048555.tif 000450
【手続補正６】
【補正対象書類名】図面
【補正対象項目名】図２４
【補正方法】変更
【補正の内容】
【図２４】
2018048555.tif 000451
【手続補正７】
【補正対象書類名】図面
【補正対象項目名】図２５
【補正方法】変更
【補正の内容】
【図２５】
2018048555.tif 000452
【手続補正８】
【補正対象書類名】図面
【補正対象項目名】図２６
【補正方法】変更
【補正の内容】
【図２６】
2018048555.tif 000453
【手続補正９】
【補正対象書類名】図面
【補正対象項目名】図２７
【補正方法】変更
【補正の内容】
【図２７】
2018048555.tif 000454
【手続補正１０】
【補正対象書類名】図面
【補正対象項目名】図２８
【補正方法】変更
【補正の内容】
【図２８】
2018048555.tif 000455
【手続補正１１】
【補正対象書類名】図面
【補正対象項目名】図２９
【補正方法】変更
【補正の内容】
【図２９】
2018048555.tif 000456
【手続補正１２】
【補正対象書類名】図面
【補正対象項目名】図３０
【補正方法】変更
【補正の内容】
【図３０】
2018048555.tif 000457
【手続補正１３】
【補正対象書類名】図面
【補正対象項目名】図３１
【補正方法】変更
【補正の内容】
【図３１】
2018048555.tif 000458
【手続補正１４】
【補正対象書類名】図面
【補正対象項目名】図３２
【補正方法】変更
【補正の内容】
【図３２】
2018048555.tif 000459
【手続補正１５】
【補正対象書類名】図面
【補正対象項目名】図３３
【補正方法】変更
【補正の内容】
【図３３】
2018048555.tif 000460
【手続補正１６】
【補正対象書類名】図面
【補正対象項目名】図３４
【補正方法】変更
【補正の内容】
【図３４】
2018048555.tif 000461
【手続補正１７】
【補正対象書類名】図面
【補正対象項目名】図３５
【補正方法】変更
【補正の内容】
【図３５】
2018048555.tif 000462
【手続補正１８】
【補正対象書類名】図面
【補正対象項目名】図３６
【補正方法】変更
【補正の内容】
【図３６】
2018048555.tif 000463
【手続補正１９】
【補正対象書類名】図面
【補正対象項目名】図３７
【補正方法】変更
【補正の内容】
【図３７】
2018048555.tif 000464
【手続補正２０】
【補正対象書類名】図面
【補正対象項目名】図３８
【補正方法】変更
【補正の内容】
【図３８】
2018048555.tif 000465
【手続補正２１】
【補正対象書類名】図面
【補正対象項目名】図３９
【補正方法】変更
【補正の内容】
【図３９】
2018048555.tif 000466
【手続補正２２】
【補正対象書類名】図面
【補正対象項目名】図４０
【補正方法】変更
【補正の内容】
【図４０】
2018048555.tif 000467
【手続補正２３】
【補正対象書類名】図面
【補正対象項目名】図４１
【補正方法】変更
【補正の内容】
【図４１】
2018048555.tif 000468
【手続補正２４】
【補正対象書類名】図面
【補正対象項目名】図４２
【補正方法】変更
【補正の内容】
【図４２】
2018048555.tif 000469
【手続補正２５】
【補正対象書類名】図面
【補正対象項目名】図４３
【補正方法】変更
【補正の内容】
【図４３】
2018048555.tif 000470
【手続補正２６】
【補正対象書類名】図面
【補正対象項目名】図４４
【補正方法】変更
【補正の内容】
【図４４】
2018048555.tif 000471
【手続補正２７】
【補正対象書類名】図面
【補正対象項目名】図４５
【補正方法】変更
【補正の内容】
【図４５】
2018048555.tif 000472
【手続補正２８】
【補正対象書類名】図面
【補正対象項目名】図４６
【補正方法】変更
【補正の内容】
【図４６】
2018048555.tif 000473
【手続補正２９】
【補正対象書類名】図面
【補正対象項目名】図４７
【補正方法】変更
【補正の内容】
【図４７】
2018048555.tif 000474
【手続補正３０】
【補正対象書類名】図面
【補正対象項目名】図４８
【補正方法】変更
【補正の内容】
【図４８】
2018048555.tif 000475
【手続補正３１】
【補正対象書類名】図面
【補正対象項目名】図４９
【補正方法】変更
【補正の内容】
【図４９】
2018048555.tif 000476
【手続補正３２】
【補正対象書類名】図面
【補正対象項目名】図５０
【補正方法】変更
【補正の内容】
【図５０】
2018048555.tif 000477
【手続補正３３】
【補正対象書類名】図面
【補正対象項目名】図５１
【補正方法】変更
【補正の内容】
【図５１】
2018048555.tif 000478
【手続補正３４】
【補正対象書類名】図面
【補正対象項目名】図５２
【補正方法】変更
【補正の内容】
【図５２】
2018048555.tif 000479
【手続補正３５】
【補正対象書類名】図面
【補正対象項目名】図５３
【補正方法】追加
【補正の内容】
【図５３】
2018048555.tif 000480
【手続補正３６】
【補正対象書類名】図面
【補正対象項目名】図５４
【補正方法】追加
【補正の内容】
【図５４】
2018048555.tif 000481
【手続補正３７】
【補正対象書類名】図面
【補正対象項目名】図５５
【補正方法】追加
【補正の内容】
【図５５】
2018048555.tif 000482
【手続補正３８】
【補正対象書類名】図面
【補正対象項目名】図５６
【補正方法】追加
【補正の内容】
【図５６】
2018048555.tif 000483
【手続補正書】
【提出日】平成25年4月6日(2013.4.6)
【手続補正１】
【補正対象書類名】明細書
【補正対象項目名】００１１
【補正方法】変更
【補正の内容】
【００１１】
【図１】図１は、エコロジー・エネルギー・システムのイメージ概念図である。
【図２】図２は、エコロジー・エネルギー・システムのイメージ概念図である。
【図３】図３は、エコロジー・エネルギー・システムのイメージ概念図である。
【図４】図４は、エコロジー・エネルギー・システムのイメージ概念図である。
【図５】図５は、エコロジー・エネルギー・システムのイメージ概念図である。
【図６】図６は、エコロジー・エネルギー・システムのイメージ概念図である。
【図７】図７は、エコロジー・エネルギー・システムのイメージ概念図である。
【図８】図８は、エコロジー・エネルギー・システムのイメージ概念図である。
【図９】図９は、エコロジー・エネルギー・システムのイメージ概念図である。
【図１０】図１０は、エコロジー・エネルギー・システムのイメージ概念図である。
【図１１】図１１は、エコロジー・エネルギー・システムのイメージ概念図である。
【図１２】図１２は、エコロジー・エネルギー・システムのイメージ概念図である。
【図１３】図１３は、エコロジー・エネルギー・システムのイメージ概念図である。
【図１４】図１４は、エコロジー・エネルギー・システムのイメージ概念図である。
【図１５】図１５は、エコロジー・エネルギー・システムのイメージ概念図である。
【図１６】図１６は、エコロジー・エネルギー・システムのイメージ概念図である。
【図１７】図１７は、エコロジー・エネルギー・システムのイメージ概念図である。
【図１８】図１８は、エコロジー・エネルギー・システムのイメージ概念図である。
【図１９】図１９は、エコロジー・エネルギー・システムのイメージ概念図である。
【図２０】図２０は、エコロジー・エネルギー・システムのイメージ概念図である。    本発明の図２０についての説明用のストーリ：吉野カズトラ宇宙世界皇帝は、吉野カズトラ宇宙世界皇帝国のエネルギーシステムを増強していた。 I.  宇宙太陽光発電システム（ソーラー（ユニット）サテライト）（USES）II.  宇宙太陽光電池製造システムIII.  宇宙核融合炉発電システムIV.  地上核融合発電システムV.  海上（海底）核融合発電システム 吉野カズトラ宇宙世界皇帝は、巨大な宇宙発電・太陽光エネルギー・送信システム（太陽の付近に宇宙太陽光人工衛星を配置）と受信システム（ロッキー山脈の頂にあるロッキーマウンテンナショナルパーク(Rocky Mountain National Park)や、アリゾナの砂漠、アラスカのマッキンレー山脈、サハラ砂漠、等）を作っていた。 吉野カズトラ宇宙世界皇帝は、また、宇宙での真空を利用して、（トカマク型）プラズマ封じ込め高温適圧の宇宙核融合炉を作ることを進めていた。 吉野カズトラ宇宙世界皇帝は、また、地上でプラズマ・イオン発電所を作り、プラズマ封じ込め高温適圧の宇宙核融合炉を運転していた。 吉野カズトラ宇宙世界皇帝は、また、海上で太陽光・風力・海洋エネルギー発電所を作り、海上（海底）核融合炉を運転していた。（核反応の事故に対して、比較的安全である） Reference:www.yoshinouniverse.comISBN0-8118-0897-1ISBN4-339-00552-5ISBN4-7853-6112-3
【図２１】図２１は、エコロジー・エネルギー・システムのイメージ概念図である。原子炉で、核燃料からエネルギーを取り出す。（オプション）再処理工場で、使用済み核燃料を、核燃料と核廃棄物（核のゴミ）に分離する。熱電発電（所）（システム）で、使用済み核燃料／核廃棄物（核のゴミ）からエネルギーを取り出す。使用済み核燃料／核廃棄物（核のゴミ）を、水、フィルム（紙）、金属（鉛、等）で囲み、放射能について封印するが、熱が出てくるのを、熱電発電で、電気エネルギーに、変換するシステム。
【図２２】図２２は、エコロジー・エネルギー・システム（日本の防衛システム）のイメージ概念図である。核燃料（プルトニウム、ウラン、等）などの核物質など、戦略的エネルギー物質を、日本に集める。核燃料・核爆弾・核廃棄物（核のゴミ）を、１．平和なら、平和利用する。（核エネルギーによって（核（燃料）を熱源として）、熱電発電する。）２．戦争なら、敵国に打ち込む。（埼玉県入間市の入間航空自衛隊（防衛軍）の地下ミサイル発射基地から、大陸弾道ミサイルなどを発射する。吉野カズトラ宇宙世界皇帝のシャチ型潜水艦から核ミサイルを発射する。吉野カズトラ宇宙世界皇帝の軍事衛星から核爆弾を投下する。等）Yoshino UniverseKazutora YoshinoUniverse EmpireKazutora YoshinoNuclear Energy Defense SystemLovely,
【図２３】図２３は、エコロジー・エネルギー・システム（太陽光熱カプセル発電システム）のイメージ概念図である。吉野一虎ソーラーライトカプセル効果：太陽光（熱）が、太陽で発生して（太陽中心：高温１６００万℃、太陽表面：低温温６０００℃）、太陽を囲む物質（ダークマター、素粒子、物質、保熱ガス、反応物質、捕熱物質、反射物質、等の適宜な組み合わせ）によって、光（熱）は、吸収・保持・反応、等をして、中温（数百万℃）になる。DM + gamma -> DM' + delta Egammaは、光（熱）などの（反応（素）粒子などの）エレメント。delta Eは、正／負／ゼロ、等のエネルギー（エレメント）とする。DM、DM’は、ダークマターなどの（反応（素）粒子・反応物質、物質）（群理論）エレメントで、DMとDM'は、同じエレメントでもよく、異なるエレメントでも良い。吉野一虎ライトカプセル効果：このシステムを、ミニチュア化したカプセルに二酸化炭素などの保熱ガス（捕熱ガス）を入れて、（太陽）光（／レーザー光）の照射をして、太陽光（熱）発電を行い、ミニチュア太陽光（熱）カプセル発電を行う。吉野一虎レーザー効果：二酸化炭素などの保熱ガス（捕熱ガス）に、（太陽）光（／レーザー光）を照射して、光（光子、レーザー光）を発光させて、光をカプセル内部で、反射させて、１００％ミラーと約９９％ミラーで、往復反射させて、誘導発光させて、同じ（ぐらいの）波長（周波数）と相（フェーズ）の光の束（レーザー光）を作り、約９９％ミラー側からコーヒーレントなレーザー光を、放つ。吉野一虎ネットワーク超特急効果：ミニチュア太陽光（熱）カプセル発電システムのユニットを、発電パフォーマンス良く、コストパフォーマンス良く、大量に作り、マトリクス上にして、日射量が十分にあるところに敷き詰めたり、電車の路線のサイドに並べたり、道路（高速道路）のサイドに、並べたりすることによって、日本（世界）全体が、ミニチュア太陽光（熱）カプセル発電システムによって、光ネットワーク発電システムとなる。 吉野アシュレーアヤメ女王偉大なる戦士は、吉野一虎効果（吉野一虎ソーラーカプセル効果、吉野一虎ライトカプセル効果、吉野一虎レーザー効果、吉野一虎（カズトラ）ネットワーク超特急効果、等の吉野一虎宇宙世界皇帝の効果）を、活用して、宇宙全体に、吉野アシュレーアヤメ女王による吉野一虎宇宙世界皇帝（宇宙銀河恒星ネットワーク・太陽系）光ネットワークシステムを構築して、宇宙・世界のエネルギー問題を、解決して行った・・・。
【図２４】図２４は、エコロジー・エネルギー・システム（熱（水蒸気／ガス）発電システム）のイメージ概念図である。水（／液体／気体／水素／ガス、等）に太陽光（熱）（エネルギー）、（ガスの）火、熱（等）を投入して、水蒸気（／ガス）にして、タービンを回転して、発電機で、発電するシステム。オプションとして、水蒸気（／ガス）を冷却して、水（／液体／気体／水素／ガス、等）にして、サイクル（リサイクル）するシステム。
【図２５】図２５は、エコロジー・エネルギー・システム（吉野一虎宇宙世界皇帝の核戦争用の鎧兜（防衛システム））のイメージ概念図である。ダイヤモンド、タングステン、ステンレス、鉄、鉛、防弾ガラス、セラミック、紙、スポンジ、水（汗）、バッテリー、シリコン、コンピューター、ディスプレイ等を、適宜に組み合わせて、放射能を遮断するタイガーシールド。本発明は、アルファ粒子線、ベータ線、γ線を遮断する物質（マテリアル）を用いた装甲・鎧（アーマー）である。オプションとして、周りの見た目に合わせて、色や柄を2D/3Dでディスプレイできるカメレオンシールド。この鎧兜を纏った軍隊を、カメレオン・アーミーとして、敵（の核兵器・軍隊）と戦うシステム（自衛隊・国防軍・民間安全警備武装集団（傭兵））。ディスプレイ、コンピューター、電子機器の電源、若しくは、バッテリーなどの充電器としてのブーツ（靴）による、歩行発電（靴発電システム）。ピエゾエレクトロニック素子（圧電素子）、発電機、弾性物質、等によって、発電して、バッテリーに電気を充電する。オプションとして、スプリングなどを用いて、発電しながら、跳躍力を抜群に向上させるジャンプ（発電）シューズ。本発明は、カメレオン・アーミーの鎧を電子的に機能させるのに必要な電源は、歩行発電ブーツから得ることが可能である。その際の戦士達の戦闘シーン（風景）の概念図が、示されている。
【図２６】図２６は、エコロジー・エネルギー・システム（太陽光熱カプセル発電システム：パラボラミラーバージョン）のイメージ概念図である。最良の形態の一つを示している。パラボラミラーによって、反射した光（エネルギー）を、（カプセル）球に集光させて、（熱反応、化学反応、核反応などの）反応、等を起こさせるシステム。
【図２７】図２７は、エコロジー・エネルギー・システム（水素と酸素による燃料電池発電（ガス発電）システム）のイメージ概念図である。ダイヤモンド／DLC／金属／カーボン（ファイバー）等の（軽くて丈夫な）強い（高圧のガスや、液体に耐えうる）容器に、濃縮ガス（濃縮水素ガス、濃縮酸素ガス）、液体（液体水素、液体酸素）等を入れる。水素と酸素を適宜な量を、コンピューター制御機、バルブなどで、摘出して、燃料電池に、投入して、電気（エネルギー）を発生させる。電気を直接用いるか、バッテリー等に充電して用いる。水素と酸素の反応によって出来た水を、（浄化フィルターに通して）、飲料水にする。宇宙船などでの宇宙航行が、長期の滞在の場合に、水素・酸素燃料から、水を作り、フィルターで飲料水を作り、飲むことが可能である、エコロジー・スマート・システム。宇宙旅行に、飲料水を、持ってゆくことが、可能であるが、水が、もっと必要なときとか、緊急時とかに、もっと飲料水を作ることが必要な際に、有用なシステムである。
【図２８】図２８は、エコロジー・エネルギー・システム（エネルギー炉（熱炉））のイメージ概念図である。
【図２９】図２９は、エコロジー・エネルギー・システム（吉野カズトラ宇宙世界皇帝のエネルギー炉（熱炉）と無線／タイマー式の起爆装置による核爆弾）のイメージ概念図である。
【図３０】図３０は、エコロジー・エネルギー・システム（吉野一虎宇宙世界皇帝の靴（防衛・防寒システム））のイメージ概念図である。ピエゾエレクトリックなどの圧電素子で発電したり、動力を利用して、発電したり、核燃料の熱で、発電したりして、熱エネルギーを用いて、エネルギーシステム（（防寒用のヒーター等の）の靴等）を作る。
【図３１】図３１は、エコロジー・エネルギー・システム（吉野一虎宇宙世界皇帝の核電池、核エネルギー、加速器核エネルギーシステム））のイメージ概念図である。核燃料、核廃棄物、（加速器で加速された陽子を核廃棄物（半減期約２万年）に当てて、（半減期を約３０年にした）放射性物質）等や、その適宜な組み合わせから、核（熱）電池を作る。加速器の放射エネルギーによって、宇宙船を飛ばす（運行する）。
【図３２】図３２は、エコロジー・エネルギー・システム（吉野一虎宇宙世界皇帝の核核融合炉エネルギーレーザーシステム（核融合レーザー起動用集光レンズ）））のイメージ概念図である。適宜な波長（若しくは、その組み合わせ）のレーザービームを、レンズで一点に集光（集中）させて、（プラズマ熱エネルギー）核融合を起因する。特に、紫外線、X線、γ線、などの（短波長）高周波のコーヒーレントな光子パッケージ（レーザー光ビーム、等）を用いると良い。そのレンズ方程式を示している。
【図３３】図３３は、エコロジー・エネルギー・システム（吉野一虎宇宙世界皇帝のカズトラ型の核融合炉：カズトラ型核融合炉エネルギー（レーザーヒーティング）システム（核融合レーザーヒーティング起動）））のイメージ概念図である。カズトラ型核融合炉は、トロイダル型（トカマク型）核融合炉を単数／複数、トロイダル型に纏めた型である。プラズマは、真空／ガス／プラズマ内にあるか、磁場・磁界（電場・電界／電磁場・電磁界）内にあっても良い。極力、外部に熱が流出しないように、高磁界にして、Tc（クリティカルテンパーチャー）を高温にして、プラズマを封じ込めて、レーザー（若しくは、マイクロウェーブ、等）で、ヒーティングして（局所場で核融合（ニュークリア・チェイン・リアクション）の初期反応を起こさせて、核融合（ニュークリア・チェイン・リアクション）連鎖反応させる）、プラズマを高温にして、（熱）核融合を起こさせる。（オプションとして、トロイダル型纏めた型のリング部に、オプションフィールド（例えば、磁界）を作るのも良い。）
【図３４】図３４は、エコロジー・エネルギー・システム（吉野一虎宇宙世界皇帝の核融合ロケット（核融合エンジン）：ネオ・カワセミ・プロジェクト：空飛ぶイルカ、空飛ぶイカ））のイメージ概念図である。羽を畳んで海底から発射された空飛ぶイルカは、水中を水ジェットエンジンで走行（航行）して、空中に羽を広げて飛び立ち、空気ジェットエンジンで走行（飛行）して、羽を畳んで宇宙をロケットエンジン（イオンエンジン、プラズマエンジン、ロケットエンジン、核ロケットエンジン、等）で、走行（宇宙航行）する。宇宙防衛のため、核爆弾などで、宇宙からの攻撃（上からの攻撃）をかけることも可能である。
【図３５】図３５は、エコロジー・エネルギー・システム（吉野一虎宇宙世界皇帝のエネルギー・エレクトリシティー・ジェネレーター・システム）のイメージ概念図である。太陽光発電（スチーム発電）、風力発電、海洋力発電、核反応発電（原子炉発電、核融合炉発電、などによるスチーム（ガス）発電）等の発電機システム。プロペラを回転させる。回転軸についている磁石が回転する。前記磁石の回転により、超伝導体内にあるリング磁石が誘導されて回転する。また、磁石と超電導の組み合わせによる非接触な、回転軸とカバーによって、摩擦が殆どない、回転を獲得する。回転効率が良い、起電力を発生させる。オプションとして、トランスフォーマーで、電圧・電流の調整をする。バッテリーに充電したり、電力として用いる。
【図３６】図３６は、エコロジー・エネルギー・システム（吉野一虎宇宙世界皇帝のエネルギー・エレクトリシティー・ジェネレーター・システム）のイメージ概念図である。太陽光発電（スチーム発電）、風力発電、海洋力発電、核反応発電（原子炉発電、核融合炉発電、などによるスチーム（ガス）発電）等の発電機システム。プロペラを回転させることによる発電システムのパワー（電力）のコンセプト・カリキュレーション（Concept Calculation）(概算)。
【図３７】図３７は、エコロジー・エネルギー・システム（吉野一虎宇宙世界皇帝のモーター・ジェット・ボード、モーター・ボート）のイメージ概念図である。水上ロケットランチャー、若しくは、水上から発射するロケット。ジェット・ウィンド・サーフィング。風力でウィンド・サーフ・ボードを動かし、その際、エネルギー・エレクトリシティー・ジェネレーターで、バッテリーに、電気を充電する。風があまりない時は、バッテリーによって、モーター（＋ギヤ）＋プロペラを回転させて、航行する。オプションとして、バッテリーを複数持ち、電力・ギヤによって、ウィンド・サーフ・ボードの速度をコントロールする。人が載るか、無線で操作か、人工知能、等によって航行する。
【図３８】図３８は、エコロジー・エネルギー・システム（吉野一虎宇宙世界皇帝の空飛ぶイルカ、ドラゴン、モーター・ジェット・ボード、モーター・ボート）のイメージ概念図である。特に、翼（羽）の構造（ダイアモンド型）、翼の開閉についてと、ダイヤモンド・ダイナミクス・メソードを示す。（２D／３Dで）翼（羽）を動かして、浮力を得ることも可能である。海中で航行しているときは、翼を閉じて、空で飛行しているときは、翼を広げ（用いて）、宇宙で宇宙航行しているときは、翼を閉じるか、若し、（（シリコンや色素増感型等の）太陽光シートなどなら）太陽光（シート）翼を広げるのが、最善の形態である。
【図３９】図３９は、エコロジー・エネルギー・システム（吉野一虎宇宙世界皇帝のシャフト・ローテーション・ベアリング・システム）のイメージ概念図である。モーター、発電機、ジョイント、等の部分に、ベアリングの周りを、ベアリングで囲み、スムースなオペレーションを可能にするシャフト・ローテーション・ベアリング・システムである。同様に、複数のレイヤーを用いても良い。シャフト・ローテーション・ベアリング・システム＝（（メインベアリング＊サブベアリング）＊Lレイヤー）（L＞＝１）。このシャフト・ローテーション・ベアリング・システムによって、モーターの回転効率や発電機の発電効率が良くなるという効果がある。
【図４０】図４０は、エコロジー・エネルギー・システム（吉野一虎宇宙世界皇帝のスーパーマン（計画））のイメージ概念図である。Yoshino UniverseKazutora YoshinoUniverse EmpireKazutora YoshinoEmperor's Super Man ProjectLovely, 一般的なエンジン、キシレン、ガソリン、水素＋酸素、等を用いるジェット・エンジン、ロケット・エンジンでも良いが、ジェット・ロケット・エンジンを用いるのが最適である。ジェット・ロケット・エンジンは、（小型原子炉／）、小型核融合炉で、燃料の水を沸かして、水蒸気（スチーム）を噴出させて、ジェットを作るロケットエンジンを、箱に取り付ける。ジェット・ロケット・エンジンは、箱の上の方に付けると、横から下にジェットを噴出するので、バランス的に安定する。ジェット・ロケット・エンジンを、箱の下の方に付けると、ジェットが、下に噴出されるので、熱流体的には、効率が良い。二つのジェット・ロケット・エンジンでも、飛行が可能な（動力・エネルギー）レベルにしておく。基本形は、四つのジェット・ロケット・エンジンを用いて、（光学）ジャイロスコープ、加速度センサー、GPS、コンピューター（ジェネリック・アルゴリズム等を用いる人工知能）を用いて、ジェットを噴出したり、逆噴射して、最適な、バランス、位置、方向を、獲得する。緊急の時等は、マニュアル操作も可能にする。四つのジェットエンジンのうち、一つが破損などしたら、対照側にあるジェット・ロケット・エンジンも停止して、二つのジェット・ロケット・エンジンによる飛行（マニュアル操作も出来るようにする）に、切り替えることが可能にする。又、出来るだけ速やかに着地するようにする。若しくは、ジェネリック・アルゴリズムや摂動論的制御、等の最適制御によって、三つのジェット・ロケット・エンジンを、微妙に操作・制御して、当分は、飛行を続けることが可能にする。ダイヤモンドや防弾ガラスのような素材を壁にして、飛行中に、美しい風景など、見渡しが良いようにしても良い。民間の観光用に用いることも可能であり、軍事用の偵察機のように用いることも可能である。パイロットや宇宙飛行士が箱の中にいるなら、内部に空気（酸素）タンクを入れておけば、燃料が続くなら、空から、宇宙に航行しても良い。宇宙の景色（宇宙の夜景、星星の輝き、天体の芸術）などが、美しく、ダイアモンドに映るであろう。
【図４１】図４１は、エコロジー・エネルギー・システム（吉野一虎宇宙世界皇帝のフライング・ジェット・モービル）のイメージ概念図である。 Yoshino UniverseKazutora YoshinoUniverse EmpireKazutora YoshinoEmperor's Flying Jet MobileLovely, 空気をプロペラを回して、上、横、下、斜めなどから吸引して、燃料と混ぜて、燃焼して、ジェットを作る。モーターによってプロペラを回しても良い。フライング・ジェット・モービルは、森やジャングルで、軍事的な偵察等を行う際に、小回りが利く、便利な乗り物である。
【図４２】図４２は、エコロジー・エネルギー・システム（吉野一虎宇宙世界皇帝のフラップ式ウィング、フラップ式プロペラ）のイメージ概念図である。 羽や、プロペラに、フラップを付けて、気流のコントロールをする。特に、高い角度（フラップ角度）をつけて、離陸や着率の距離を短くできる（例えば、４５度〜５５度ぐらい）。飛行時は、（例えば、約１５度〜５５度ぐらいの）高くない羽の角度（フラップ）で飛行すると浮上・飛行効率が良い。プロペラの場合は、回転初期と、回転中期、回転後期、上昇期、浮上期、下降期、飛行期、などに合わせて、羽の角度（＋フラップ角度）をコントロールすることが、可能である。
【図４３】図４３は、エコロジー・エネルギー・システム（吉野一虎宇宙世界皇帝のフライング・ジェット・モービル）のイメージ概念図である。Yoshino UniverseKazutora YoshinoUniverse EmpireKazutora YoshinoEmperor's Flying Jet Mobile (Theoretical, Practical Method)Lovely, ヘリコプター、飛行機、フライング・ジェット・モービル、スカイ・カーズ、等のプロペラの数式化であり、羽をコンパクト化するための技術である。システムがスケーラブルな際、プロペラのサイズをPropeller Length 1として、モーターのトルクをMotorTorque、モーターの回転数をMotor Omegaとして、プロペラ／羽の角度を、例えば１５°ぐらいとか、４５〜５５°ぐらいに設定すると、基本的な部分は、定数のように扱えて、Force Lift = (Motor Torque/Propeller Length 1)*Csになるので、羽がコンパクトで、（数多くの）プロペラで、回転が速い方が良い。普通は、rg1/rg2 >= 1/30 ぐらいにするが、最善の形態を、rg1/rg2>= 1  とする。rg1/rg2 >= 10・・・とギヤの逆比率を向上させると、リフトの効率が良いが、シャフト・ギヤなどの（シャフト・ギヤ変換）効率があるので、直接プロペラを、モーターに付けるのが、シャフト・ギヤ変換効率が、１００％となるので、最も効率が良い。
【図４４】図４４は、エコロジー・エネルギー・システム（吉野一虎宇宙世界皇帝のヘリコプター・宇宙（核）ロケット開発）のイメージ概念図である。 ヘリコプターから始めて、（３Dペン、３Dコントローラー、脳波コミュニケーター、人工心臓、（iPS）幹細胞臓器、成型臓器（３Dプリンターで、細胞と細胞を決着剤などで付着させて、臓器を直接作る）、などの経由で）、宇宙（核）ロケットを、製造する方法。また、プロジェクトを映画化するためのストーリーであって、この（映画による収益）によって、ヘリコプター、宇宙（核）ロケットを製造する宇宙開発（宇宙医療）ビジネス・モデルの方法。 吉野カズトラ宇宙世界皇帝のストーリー：吉野庭園→ヘリコプター基地→人工心臓製造→ロケット基地→ドラゴン（龍）の開発→宇宙世界征服→吉野カズトラ宇宙世界皇帝と吉野アシュレーアヤメ女王偉大なる戦士のラブ・ロマンス（恋愛ストーリー）。
【図４５】図４５は、エコロジー・エネルギー・システム（吉野一虎宇宙世界皇帝の太陽光発電・風力発電・等の発電所型の吉野信法王鳳凰神社の開発）のイメージ概念図である。 ヘリコプター、宇宙（核）ロケット開発の（準備の）方法とか、吉野カズトラ宇宙世界皇帝と吉野アシュレーアヤメ女王偉大なる戦士のラブ・ロマンス（恋愛ストーリー）。ヘリコプター、宇宙（核）ロケットの開発費を得るための（吉野神道新信仰）吉野一虎宇宙世界皇帝の太陽光発電・風力発電・等の発電所型の吉野信法王鳳凰神社神社の設計と構築。また、その（プロモーションビデオ用・宣伝用・映画用・現実化用の）ストーリー。 吉野カズトラ宇宙世界皇帝のストーリー： Yoshino UniverseKazutora YoshinoUniverse EmpireKazutora YoshinoEmperor's Love RomanceLovely, Yoshino UniverseKazutora Yoshino Universe EmpireKazutora Yoshino Emperor's Shrine 吉野カズトラ宇宙世界皇帝は、吉野信法王鳳凰神社を、始めていた。吉野信法王鳳凰神社は、天照大御神を祀り、『自然は、神。野生は、友。』というキャッチフレーズの基に、信者や白い動物達を、大事にしていた。特に、紀州犬(花)、アークティックウルフ(不思議)や、シロキツネ、シロネコ、ムササビ、モモンガ、白龍、等を、大事にしていた。吉野信法王鳳凰神社の屋根の先端には、鳳凰のデザインの風車が付いていて、屋根には、太陽光パネルが付いている、自然に優しいエコロジー・システムによって運営されていた。信者達は、自然に合わせて、風の来る方向を向く鳳凰型風見鶏(風車)や光(太陽光パネル)や川の水や湖の水や雨水や井戸水や海水や自然エネルギーを、信仰の対象とする、八方美人の吉野ファミリーのメンバー達や、キャバ嬢達や、ホスト達、動物愛護者達、飲食業・水商売関連関係者達、農林水産業者達、パラグライダーパイロット達、パイロット達、航空自衛隊達、、軍人達、警察達、ヨットレーサー達、ボートレーサー達、船主達、船長達、ホースダービーの馬主達、写真関連関係者達、宣伝業者達、画像関連関係者達、テレビ関連関係者達、放送関連関係者達、映画関連関係者達、女優達、俳優達、モデル達、方位学者達、法医学者達、医者達、医療関連関係者達、植物学者達、生化学者達、バイオインフォマティクス関連関係者達、システムエンジニア達、物理学者達、技術者達、プログラマー達、宇宙開発事業団関連関係者達、ビジネス関連関係者達、特許関連関係者達、エネルギー関連関係者、等が、多かった。吉野カズトラ宇宙世界皇帝は、太陽光発電所や、風力発電所、等の研究開発を、Yoshino Universe研究所でしていたが、コンピューター・システム管理は、IBM研究所にさせて、ネットワーク管理は、ベル(Bell)研究所にさせていた。・・・。吉野カズトラ宇宙世界皇帝は、また、Yoshino Universeと吉野エミリー女王と吉野レベッカハル女王の管理の元に、日本政府に、奈良の吉野川のダムの水や富士山の水や海水等の水を、東レのウォーターヒィルターを用いて、飲料水にさせて、『(奈良の)吉野の綺麗な水』という商品名で、世界中に、輸出した。吉野カズトラ宇宙世界皇帝は、また、エネルギー・エコロジー・システム・アプリケーションの研究開発を進め更に良いエコロジー・システム(USES, USEN)、ロケットの研究開発、宇宙開発を、進めていた。・・・・。吉野カズトラ宇宙世界皇帝の吉野��宙開発基地は、白き龍に守られた城(ホワイトハウスWhite House)と呼ばれて、龍型・竜巻のような巨峰のブドウの木(ツタ)に囲まれた、白い家と果樹庭園の内側(吉野信法王の邸宅領土内)にあった。・・・。 吉野カズトラ宇宙世界皇帝は、吉野カズトラ宇宙世界皇帝と吉野の葡萄の園を守るためのボディーガード女子軍団を作り始めていた。あまり現実的ではなかったが、吉野カズトラ宇宙世界皇帝は、水龍拳の一部として、健康空手を、始めていた。吉野カズトラ宇宙世界皇帝の健康空手は、女の子、女子高生、女子大生、OLを、メンバーにして、戦闘用と言うよりは、むしろ健康面での体力強化を目指して、吉野カズトラ宇宙世界皇帝と吉野の果樹庭園（吉野のブドウ園）の警備を目的としていた。吉野カズトラ宇宙世界皇帝は、健康空手のプロモーションビデオを作ろうとしていて、大妻女子大生、等の女子大生達に、吉野カズトラ宇宙世界皇帝を、宣伝しようとしていた。吉野カズトラ宇宙世界皇帝は、埼玉県入間市(入間航空自衛隊による航空防衛)を、基軸とした、日本首都・都市開発を進めていた。・・・。 吉野カズトラ宇宙世界皇帝は、吉野信法皇鳳凰神社と、埼玉県入間市の都市開発のために、神社のさい銭と、風力エネルギーと、太陽光エネルギー、等を用いていたが、世界中から税金を徴収することにした。そのためには、共通通貨が必要となり、吉野カズトラ宇宙世界皇帝は、Yoshino Universe、アメリカ合衆国政府、日本政府、国際連合のIMFを用いて、ユニバーサル・マニー・システムを、作った。吉野カズトラ宇宙世界皇帝は、国民一人一人に、ソーシャルセキュリティー番号や、国民共通番号を、渡して、各々に、資産を、ユニバーサル・マニーのポイントに、変換した。物の売買には、基本、ユニバーサル・マニーのポイントが、必要で、これによって、Yoshino Universe、政府は、国民の販売記録・購買記録がよくみえて、税金(消費税、等)も電子化されて簡単になり、一般にも、不正取引や、闇取引が、殆どなくなった。これによって、特許など正しい新技術への投資や融資が、促進されて、経済、社会が、発展した。・・・。 吉野カズトラ宇宙世界皇帝は、国際的な、税金の徴収のために、ソーシャルセキュリティー番号か、国民共通番号を持つ(アメリカ人、ロシア人、ヨーロッバ人、日本人、朝鮮人、中国人、インド人、アラブ人、等の)国民一人一人に、各国政府の税金を用いて、(固定)IPアドレスを、配布した。(約100億人ぐらいなら、許容可能なシステム。) ソーシャルセキュリティー番号や国民共通番号にリンク対応した固定IPアドレスによって、アメリカ人や日本人、等は、各自、自らのホームページを作り持つことが可能になり、自らの写真やプロフィールを表示することになり、また、国税庁などのホームページに直ぐアクセス出来て、各自の税金の納付状況等も、直ぐに分かるようになった。また、インターネット(サイバースペース)での経済効果が向上して、より多くの税金を徴収することが、可能になった。これにより、吉野カズトラ宇宙世界皇帝は、宇宙開発(ロケット開発、ロボット開発)とか、自らの美容法や、吉野カズトラ宇宙世界皇帝の若返りの研究開発を進めていた。例えば、アルコール食塩水美容法(水分補給美容法)や、iPS細胞を用いた人工臓器や、若返り医療である。吉野カズ��ラ宇宙世界皇帝のアルコール食塩水美容法(水分補給美容法)を修得した、吉野カズトラ宇宙世界皇帝と吉野エミリー女王は、若さを維持出来たので、肌が滑らかな(色白な)菜食主義のバンパイヤー、等と、言われることもあった。しかし、バンパイヤーの国々は、水、食べ物、領土、等の取り合いの戦争を始めていた。吉野エミリー女王の娘の吉野クリスタルヒカリ女王は、肌が、雪のように白い美女だったので、白雪姫と言われたが、隣国の魔女(バンパイヤー)女王に嫉妬されて、魔女女王が、攻めてきたので、森に隠されて、小さな子ども達と、一緒に育った。吉野クリスタルヒカリ女王(白雪姫)は、ハンターに守られながら、自国の復興を始めていた。・・・。 続く。
【図４６】図４６は、エコロジー・エネルギー・システム（吉野一虎宇宙世界皇帝の空飛ぶ家（ロケット・ハウス））のイメージ概念図である。 吉野一虎宇宙世界皇帝の空飛ぶ家（ロケット・ハウス、スカイ・ハウス）：本箱型家（ロケット・ハウス、ブックシェルハウス）。ユニット・ルームを積層する（積み上げる）ことによって、高層ビル、ロケットの構築が可能でる。ロケットの高さに合わせたユニット・ルーム（の数）を構築することが可能である。基本設計をユニット単位で出来るので、ユニット・ルームの大量生産化が可能であるため、ロケット・ハウスの大量生産が、可能になる。 本発明は、コストパフォーマンスが良いロケット（ロケット・ハウス）である。また、設計と構築の時間短縮（ラン・タイムの軽減）による、シナジー的なコストパフォーマンスも良い。 オプションとして、プロペラ、ロケットエンジン、などの搭載によって、空中、宇宙を、飛び回れるようにする（空飛ぶ家：スカイ・ハウス、ロケット）。（本発明によって）、ロケット・ハウスに住んでいるまま、宇宙旅行が可能になる・・・（という効果もある）。 宇宙空間では、（殆ど）無重力状態になるので、部屋は、広く使える方が良い（宇宙服が引っかからないようにする）ため、階段を（宇宙服を着たまま通れる程度に細く）壁側に（／適宜な場所に）作ったり、無重力でも宇宙飛行士の方向感覚が研ぎすまれるように、階段の方向を一致させておいたり、ルーム・番号（ルーム階）を明示（はっきり表示）しておくのも可能である。また、物品に、ICタグをつけておいて、コンピューターで、位置情報などを、管理して、無重力で、物が浮遊していても、何処に何があるのか分かるようにしておくのも可能である。 ３Dペン（３Dコントローラー）で、ロケットの位置・速度・加速度・方向・軌道、等をコントロールしても良い。
【図４７】図４７は、エコロジー・エネルギー・システム（吉野一虎宇宙世界皇帝の宇宙戦争ストーリー）のイメージ概念図である。 ロケット・ロボット・人工知能・ビジネスの開発。それを現実化するための資本獲得のための、プロモーションビデオ用・宣伝用・映画用（吉野エミリー女王の映画製作、SF（スペースファンタジー、サイエンスフィクション））・現実化用のストーリー。 第一章吉野カズトラ宇宙世界皇帝の日本食の進め吉野カズトラ宇宙世界皇帝は、日本の森林(特に、杉の森林)を、伐採して、花粉対策をして、杉から日本食用の高級なお箸(はし)を大量生産して、日本食の市場進出を進めながら、海外市場に日本食とお箸を販売して、利益を得ていたのである。吉野カズトラ宇宙世界皇帝は、元々、数学、物理学、エネルギー工学、生物学、生化学、遺伝子工学、システム工学、農業ロボット工学、軍事ロボット工学のエキスパートだったので、日本食の生産販売が上手で、弁当等の日本食の国際ネットワークを築くことが出来たのである。 ・・・。続く。 第二章吉野カズトラ宇宙世界皇帝のゴースト戦略と吉野カズトラ宇宙世界皇帝の新エネルギー戦略 第二次世界対戦の延長戦が、朝鮮戦争、ベトナム戦争、冷戦、湾岸戦争、対テロ戦争であった。ヒロヒト、山本イソロク、吉野幸信の遺言が、ゴースト戦略として、吉野カズトラ宇宙世界皇帝に、受け継がれていた。吉野カズトラ宇宙世界皇帝のグループは、政府側(北朝)と、反政府側(南朝)に、二分して行った。 吉野カズトラ宇宙世界皇帝は、秘密警察捜査官達を配備して、自衛隊の内部に核心的な右翼、警察の内部に、革新的な右翼を潜入させて、国際的な警察右翼ネットワークを、構築していた。吉野カズトラ宇宙世界皇帝の直属の部下達を、警察や自衛隊にすることによって、吉野軍事グループの部隊の訓練費を、国に持たせれたためである。吉野カズトラ宇宙世界皇帝は、アメリカ軍、スカルアンドボーン、フリーメイソン、帝国軍、ネオナチス、自衛隊、韓国軍、サムスン、ロシア軍の連携を計り、アメリカ軍のスカルアンドボーンに、世界征服をさせて、日本の自衛隊右翼に後始末をさせた。 吉野カズトラ宇宙世界皇帝は、吉野カズトラ宇宙世界皇帝の反政府側のグループを、自衛隊、警察に配備した。日本の自衛隊と警察ネットワークにアメリカの警察ネットワークも加わり、911(アメリカ警察の電話番号の日にち)に、アメリカ合衆国で警察革命が起きた。背後には、アメリカ軍のスカルアンドボーンがいたが、日本のある怪盗団、アルカイダ(裏社会の犯罪ネットワーク)が、背後にいるように、情報操作されていた。 吉野カズトラ宇宙世界皇帝は、吉野カズトラ宇宙世界皇帝の政府側のグループを、政府、政党に配備した。しかし、自由民主党(北朝:アメリカ側)、民主党(南朝:中国側)で、政治的な対立も起きた。民主党革命により、一時、民主党が優位に立ったが、自由民主党が、革命返しをした。 自由民主党と民主党の対立を始め、南北朝で、幾つも主義・立場の対立が起きた。特に、TPPの参加交渉についてでさえ、国を二分する対立が、起きたのである。吉野カズトラ皇帝国は、新南北朝時代に突入した。このことにより、皆が激しい暴風と荒波のなかを航行するような状況になっていった。吉野カズトラ宇宙世界皇帝は、楽天家な���で、暴風を風力発電に用いて、荒波（海流）を海洋発電に用いようとしていた。吉野カズトラ宇宙世界皇帝は、勿論、（宇宙）太陽光エネルギー発電も進めていた。これが、吉野カズトラ宇宙世界皇帝の新エネルギー革命である。 吉野カズトラ宇宙世界皇帝は、吉野カズトラ宇宙世界皇帝の名言、『日は、又、昇る。』と言った。これは、日本が、再び世界の中心になり、日本の先端技術が、進み、日本が復興して、Made In Japanが、世界で求められる有名ブランドになることを、示唆していたのである。 吉野カズトラ宇宙世界皇帝は、新エネルギーの開発、エコロジー・システムの開発、（宇宙）太陽光発電システムの開発と改善を、着実にコツコツ、進めていた。・・・・。続く。 Yoshino Universe ・・・ Yoshino UniverseKazutora YoshinoUniverse EmpireKazutora YoshinoEmperor's PowerTomoko Yoshino Queenvs Rebecca Haru Yoshino QueenLovely, Tomoko Yoshino Queen vs Rebecca HaruYoshino Queen 吉野カズトラ宇宙世界皇帝の影響力と支配力は、絶大である。 吉野友子女王と、吉野レベッカハル女王が、吉野カズトラ宇宙世界皇帝の継承戦争を始めていた。特に、バイオ・ウォー・フェアが、激戦化していた。吉野友子女王学派は、ロシアの生物兵器開発の学者連合で、生物の知識のある大人数だった。吉野レベッカハル女王学派は、アメリカ合衆国の生物兵器開発の学者連合で、少人数で生化学・分子生物学・バイオインフォマティクスなどで洗練された学者達だった。吉野信法皇学派は、日本と中国の学者達で、初めの頃は、対岸の火事のように、この戦いを傍観していることが多かったが、徐々に、この戦いに巻き込まれて行った。・・・ 吉野エミリー女王学派は、宇宙開発、吉野クリスタル女王学派は、ロケット・スペースシャトル等の開発、吉野アシュレー女王学派は、スペースステーション・ドラゴン等の開発をしていたので、この戦いに、巻き込まれないで済んだ。・・・ 吉野友子女王学派は、日本の医師会（タケダ派）を作り反政府団体（政府・政党・病院、等に入り込んだ暗殺部隊）を組織して、吉野レベッカハル女王学派は、日本の歯科協会（タカダ派）を作り反政府団体（政府・政党・歯医者、等に入り込んだ暗殺部隊）を組織した。ここに、医師会（タケダ派）と、歯科協会（タカダ派）の戦いが始まっていた。タケダ派とタカダ派は、日本政府、アメリカ合衆国政府にまで浸透して行き、アメリカ合衆国政府では、タケダ派は、鳩派、タカダ派は、鷹派と、呼ばれた。鳩派も、鷹派も、ターゲットの人物を殺害する方法を幾つか持っていた。鳩派は、危険な薬等を、投与したり、必要な薬を十分に投与しないでターゲットを殺害することが多かった。特に、結核治療に見せかけて、十分な抗生物質を投与せずに、わざと抗生物質耐性細菌を作り、ターゲットの人物を殺害することが多かった。鳩派は、中耳炎の細菌を品種改良・遺伝子組み換えをして、殺人細菌・殺人ウイルスを作り、ターゲット人物の耳に移植した。鷹派は、胃の中にいる細菌で、虫歯菌になる細菌を品種改良・遺伝子組み換え等して、殺人虫歯菌、殺人ウイルスなどを作り、ターゲット人物の虫歯治療の際に、殺人虫歯菌や殺人ウイルスを健康な歯や虫歯になりそうな歯に移植した。殺人虫歯菌や殺人ウイルスは、口に蔓延りドライマウス、鼻に入りドライノーズ、目に入りドライアイ���原因になったりして、脱水症状を引き起こして行った。殺人虫歯菌や殺人ウイルスは、徐々にターゲット人物の健康体を侵食して行き、極度の脱水症状などによって、死に至らせた。銃を持つ警察、重兵器（アンティーク・ウェポン）を基軸とした自衛隊などは、このバイオ・ハザードに対して、殆ど無力であった。・・・ 日本の政治家（自民党）たちは、医師会（タケダ派）とグルで、日本の弁護士会（民主党、共産党）は、歯科協会（タカダ派）とグルで、ターゲットの人物が、攻撃をしてきた人達に反撃したり訴えられないように、暴力行為に出て、ターゲットの人物を直接殺そうとしたり、ターゲットの人物の心理操作、等をしていた。・・・ これに対して、吉野カズトラ宇宙世界皇帝の指導のもと、日本政府の社民党の協力を得て、吉野綾子将軍、吉野世礼菜副将軍による、新たな生物兵器戦闘部隊（政府・政党・環境省・農林水産省、市役所農政課、農業委員会、農業組合、等に入り込んだ暗殺部隊）が形成された。これが、アンブレラ・コーポレーションであり、新技術金属農業開発の基軸となった組織である。アンブレラ・コーポレーション（Ｌｕｍｙ、ＬＤＩ、Ｌｕｍｏｒｅ、・・・）は、アンブレラ基金を持ち、貴金属の販売ネットワークを持ち、トラクターや人工知能塔載の農業用ヘリコプターや農薬散布用爆撃型戦闘飛行機、スカイカーズ、（天候、天気予報）気象衛星用軍事衛星などの農業設備の開発を管理して、稲や麦などの農作物を侵食する細菌、ウイルス、カビ等やその抗菌物質、抗菌遺伝子配列、等を研究開発・管理していた。・・・ この戦いは、日本と中国の尖閣諸島問題、アメリカ軍の普天間基地移設、TPPへの参加交渉、日華思想・入間（航空自衛隊）基地優位主義、を起爆剤として、激戦化して行った。アメリカ軍とロシア軍の第一次冷戦から、アメリカ＋日本＋韓国  ｖｓ  北朝鮮＋中国  の第二次冷戦に入って行き、第二次朝鮮戦へと発展して行った。しかし、吉野カズトラ宇宙世界皇帝を尊敬する北朝鮮は、日本側に協力することになり、形成は、アメリカ＋日本＋韓国＋北朝鮮  ｖｓ  中国となってしまい、次第に、世界の中心が、吉野カズトラ宇宙世界皇帝が司令塔として用いている日本・日本政府（特に、入間（航空自衛隊）基地）になって行った。吉野カズトラ宇宙世界皇帝を尊敬する中国は、日本との良好な関係を維持することを決め、第二次冷戦（裏の第三次世界大戦）だけで済み、結果として、（表の）第三次世界大戦は、回避することができた。しかし、むしろ、TPPなどの関連で、アメリカ合衆国とカナダの間で、内部抗争が起こり、ロシアが暗躍したので、戦場は、アメリカに、なって行った。アメリカが戦場になり、アメリカ合衆国は、約２６０年の間戦い続けたが、アメリカ合衆国は、荒廃し始めていて、もはや、スーパーパワーを失って、アメリカ合衆国は、崩壊した。しかし、後に、アメリカ大陸（今のアメリカ合衆国＋カナダ＋メキシコを合わせた領域）に、吉野クリスタルヒカリ女王国（光の国）が、建国されて、吉野クリスタルヒカリ女王の残した威力と威厳とパワーとフォースの基に復権して、吉野ファミリーの基に、光の国（アメリカ）は、スーパーパワーを再度獲得した。・・・ 続く。 Yoshino UniverseKazutora YoshinoUniverse EmpireKazutora YoshinoEmperor's Unified Story,Lovely,
【図４８】図４８は、エコロジー・エネルギー・システム（吉野一虎宇宙世界皇帝の宇宙（ロケット・ロボット）戦争ストーリー）のイメージ概念図である。 Yoshino UniverseKazutora YoshinoUniverse EmpireEmily Yoshino SpaceFantasy, Science Fiction, ..., Story, to Real ...Lovely, 第三章：吉野一虎宇宙世界皇帝の宇宙（ロケット・ロボット）戦争ストーリー（吉野カズトラ宇宙世界帝国の宇宙戦争）
【図４９】図４９は、エコロジー・エネルギー・システム（吉野一虎宇宙世界皇帝の発電システム（創生記））のイメージ概念図である。 Yoshino UniverseKazutora YoshinoUniverse EmpireKazutora YoshinoEmperor's Energy System (Genesis)Lovely, 風力エネルギー、太陽光エネルギー、海洋エネルギーで、発電する。発電の際の、ビジネス・モデルである。 （I）海辺近くの土地を獲得（購入）して、風力発電とか太陽光発電を行う。（＋火力発電）。（II）船を作り、風力発電とか太陽光発電を行う。（＋火力発電）。（III）洋上に、風力発電システムを作る。（IV）海洋（海流）を用いて、発電する。 Yoshino UniverseKazutora YoshinoUniverse EmpireKazutora YoshinoEmperor's Business Model (Strategy)Lovely, ３Dシステム（３Dペン、等）や、映画（２D／３D）などで得た利益を、発電システムを作ることに用いる（宇宙（核）ロケット、USES（USEN）の準備段階）。発電システムなどで得た利益で、宇宙開発（宇宙（核）ロケット、宇宙ロボット、等）の研究開発をする。宇宙開発で、得た利益で、若返り（再生医療、アンチエイジング、等）の研究開発をする。 基本マップ： 海水  →（太陽光（太陽光パラボラミラー、太陽光パネル）、風力、ガス、石油、等のエネルギー）→  （スチーム）（熱）発電  （蓄電・送電）→  塩＋飲料水  （→オプションとしてエネルギー資源生産保存：水素＋酸素） Yoshino UniverseKazutora YoshinoUniverse EmpireKazutora YoshinoEmperor's Computer Energy Organization SystemLovely,  本発明の発電システム、コンピューター等の数学的な処理法歩によって、出来るだけ早急に、最適値、最適化（方法）、最適ネットワーク、最適システムなどを選ぶ。 Yoshino UniverseKazutora YoshinoUniverse EmpireKazutora YoshinoEmperor's Wind EnergyLovely, 風力発電について： 風力発電システム（風車）は、プロペラの角度、発電機の内部設定（機能）、ギヤ比率、慣性モーメント（角運動保存用ウェイト）、ネットワークなどを変化させることが可能である発電システムであってもよい。風力発電システム（風車）は、風の波形を、フーリエ変換、離散フーリエ変換、正規直交変換、ウェーブレット変換、SVD変換、等して、特徴抽出をする。ジェネティック・アルゴリズム、ノン・パラメトリック法、クラスタリング、自己相関関数法、Q-ラーニング、ニューラル・ラーニング・メソード、等の最適値自己検索アルゴリズムによって、最適な向き（方向）や、羽の角度、ネットワーキングの最適化などを、見つける。人間による、パラメトリック法、若しくは、最適化を自己学習した風力発電システムユニット（風車）は、パラメトリック法や、ニューラル・ネットワーキング・メソードなどを用いて、他の風力発電システムユニット（風車）を、教育して最適化する。センターユニットは、ネットワーク全体が、最適化されるように調整する。この際、其々のユニットは、風の向き（方向）やその他の条件によって、様々にセットされていても良い。 Reference: ISBN4-7898-3715-7
【図５０】図５０は、エコロジー・エネルギー・システム（吉野一虎宇宙世界皇帝の宇宙（核ロケット・核開発）戦争ストーリー）のイメージ概念図である。Yoshino UniverseKazutora YoshinoUniverse EmpireKazutora YoshinoEmperor's Atomic Bio Chemical StrategyRegards, 第ニ章（詳細） 吉野カズトラ宇宙世界皇帝の指導のもと、日本は、再生可能エネルギーの開発を進めて、平和が広がり、経済進展の兆しが出始めていた。しかし、エネルギーシステムの在り方に、原子力を組み入れる必要があるような方向に、国際的な政治の動向は、動いて行ったのである。これは、北朝鮮が、自国で採掘できる膨大な量（大量）のプルトニウム等の核物質を用いて、核開発（特に、核（燃料）ロケット（原子力ロケット）と原子炉の研究開発）を進めていた為である。各国（ある領域）について、利用できるエネルギー量と、経済発展は、ある程度比例するので、北朝鮮の膨大なプルトニウムを用いる核エネルギー活用により、北朝鮮とアジア（全体領域）の経済発展が見込めた。しかし、核エネルギーを、核爆弾などの製造に用いすぎると、エネルギーの安全な社会利用解放率が微妙になるので、核爆弾の製造は、他の古代兵器（一般的な重兵器）の軽減に繋がるレベルにだけして、残りは、原子炉等の開発・製造に向けられて、経済発展のために用いられて、これにより、北朝鮮は、もはや、アメリカ合衆国の援助を要求しなくても自国で経済を発展させることが可能になった。しかし、アメリカ合衆国、韓国政府は、北朝鮮に懐疑的だった。そして、アメリカ合衆国は、B2爆撃機やF22を、朝鮮半島付近で、軍事演習飛行させて、北朝鮮を牽制・挑発した。このため、北朝鮮は、アメリカ合衆国の同盟国の日本、特に、日本の主要基地に、核爆弾を射ち込むことが可能であることを示唆した。アメリカ合衆国、ロシア、中国、北朝鮮、韓国、日本、ヨーロッパ、インド、ブラジル、等は、国際世論のこともあり、表では、遺伝子組み換え技術などを用いて、（農業）遺伝子組換新製品戦争を始めていて、アメリカ合衆国の農業は、TPPなどで日本の農業を飲み込もうとしていた。裏では、各国と秘密結社は、遺伝子設計技術などを用いて、生物兵器等を製造して、鳥インフルエンザ（Ｈ７Ｎ９ウィルス）等に見せかけて、敵国に空中散布したりして、闇での戦いを激化させていたのである。吉野カズトラ宇宙世界皇帝は、核兵器と生物兵器と化学兵器の三つを合わせて、ＡＢＣ兵器(ABC Weapons)と呼んでいた。又、吉野カズトラ宇宙世界皇帝は、遺伝子操作をして、成長ホルモン遺伝子を大量に組み込んでいるため成長速度が速く、体が強靭なクローン軍団を作っていた。クローン軍団は、また、病原菌などに対する耐性遺伝子を組み込まれていたので、生物兵器戦争でも、殆ど、病気にならなかった。吉野カズトラ宇宙世界皇帝を皇帝として、吉野信法王を朝廷の天皇として、吉野カズトラオリジナルファミリー（皇族（天皇家）である吉野エミリー女王、吉野クリスタルヒカリ女王、吉野アシュレーアヤメ女王、吉野レベッカハル女王）によって、征夷大将軍（鳳凰軍）が、任命されて、左大臣（佐上家）と右大臣（宮本家）と財務大臣（クウィーン家）と経済産業大臣（ヒッチンズ家）が任命された。吉野レベッカハル女王が指導者（リーダー）として吉野ファミリーが組織した反政府軍（南朝）は、クローン軍団を用いて、素早く、政府軍（北朝）を、討ち破り、即座に、吉野カズトラ宇宙世界皇帝国を樹立した。吉野カズトラ宇宙世界帝国は、国際的にも進軍して、宇宙世界を名実ともに、より強靭に支配することになった。・・・。続く。
【図５１】図５１は、エコロジー・エネルギー・システム（吉野一虎宇宙世界皇帝の宇宙戦争の際のクリーンルーム・シェルター）のイメージ概念図である。 Yoshino UniverseKazutora YoshinoUniverse EmpireKazutora Yoshino Emperor'sClean Room ShelterRegards, 第ニ章（詳細：続き） 吉野カズトラ宇宙世界皇帝は、生物兵器戦線において、アンブレラ・コーポレーションを用いて、クリーンルーム・シェルターを作っていた。クリーンルーム・シェルターでは、プラズマイオン空気清浄機による空気清浄と同時に、高周波（パルス）レーザー（紫外線、Ｘ線、γ線、等）などによるレーザー照射（レーザー走査）によって、殺菌がなされ、基本的には、花粉、ダスト、細菌、病原菌、ウィルス、ダニ、カビ、等は、排除されたり死滅させられて、クリーンルーム・シェルターは、常時（定期的に）、綺麗な状態にさせられていた。サイドのルームでは、花粉タンパク質を含む米（花粉症対米）や食べ物（スナック、等）が食べれたり、アレルギーの原因となる物質の少ない食べ物を食べれたりして、アレルギー対策もなされていた。中間ルームでは、人の肌等に付着した病原菌を殺菌するシステムになっていた。しかし、病原菌に感染して不治の病になって病人化すると（感染者になると）、レーザー出力が強いレーザーカッターのようになり、クリーンルーム・シェルターで、病人（感染者）を切り刻み処刑して、高温・高圧の焼却炉として、肉片を燃焼することにより、病原菌の更なる感染を妨げるシステムにもなっていた。このため、クリーンルーム・シェルターに、入った人は、生物兵器戦争が終わるまでは、クリーンルーム・シェルターから、出れない確率が高く、クリーンルーム・シェルターは、処刑場とか強制収容所とかナチュラル・ボーン・キラー・システムと揶揄されることが多く、人々は、クリーンルーム・シェルターに入りたがらず、感染者達は、病原菌に感染していることを隠し通そうとしていたが、健康管理システムによる定期健診ロボットが、人々の感染状況を常にモニタリングしていたので、基本、逃げることは難しかった。また、知能が高くなるように遺伝子操作されて、また、病気にかからないように遺伝子操作されたチンパンジーが、作られ、人工知能ロボットと共に、人々を管理するようなシステムにもなっていた。スカイネット・システムは、ターミネーター・ロボットやＴ１０００・ロボットなどのロボットを用いて、人々を強制収容して、健康者と感染者を分別して、シェルターに入れた。健康者の中で、病原菌に対する抗体（免疫）を持つ遺伝子配列を持つ人々は、ポルタトーリと呼ばれ、その中でも、殆ど病気に掛らない人々は、ロボット・パイロットとして、選ばれて、その中でも特に戦闘能力が高い人々が、ガンダム・マイスターとして選ばれた。ガンダム・マイスターの中で、未来を読める能力を持つ（先見の明を持つ）人々は、ニュータイプと呼ばれ、アリス計画（吉野タイムマシンによる未来予知システムと未来操作（フューチャー・オペレーション））の一部になった。人々は、比較的病原菌の少ない宇宙空間で戦闘するようになり、徐々に、宇宙戦争は、激化して行った。・・・続く。
【図５２】図５２は、エコロジー・エネルギー・システム（吉野一虎宇宙世界皇帝のストーリー・メイキング・メソード）のイメージ概念図である。 Yoshino UniverseKazutora Yoshino Universe EmpireKazutora Yoshino Emperor's Story MakerLovely, 吉野カズトラ宇宙世界皇帝のストーリー・メイキング・メソード（クッキー映画（ストーリー）作成方法）： 映画（ストーリー）（３Dゲーム、等）を作成して、エネルギー（発電所）を作り、核ロケットの研究開発などを行う。この際、映画（ストーリー）（３Dゲーム、等）のコストパフォーマンスを向上させるためには、システマティックな方法で、キャラクターやストーリーなどの作成を効率良く工業的にできるのが好ましい。 （０）音楽の作成（例えば、自分で作曲したり、コンピューターがクラシック音楽理論、ランダム機能、などを用いて作ったパーツや音楽を組み合わせたりして自動で音楽を作る。）（１）キャラクター・オブジェクト（型、金型、等）を作成する。（２）ストーリー・オブジェクト（テンプレート）（ドー（小麦粉）シート、等）を作成する。（３）ストリー・ミキサーで、混ぜる。        ストーリー・オブジェクトに、キャラクター・オブジェクト（型）を型取り、ストーリーにキャラクターを入れる。        （キャラクター・クッキー（キャラクター・インスタンス）を作り、ストーリーのプロット（論理）を改善（調整する）。）（４）同様な方法で、キャラクターに合わせたストーリー（の詳細）を付加する。        この際、        ４メソード（起承転結）        ４ｘ４メソード（起承転結ｘ起承転結）、等を用いると、ストーリーの展開が合理的になり効果的になるので好ましい。（５）ビデオ（プロモーションビデオ、等）、映画、シミュレーション、コンピューターゲーム、３DOS、等を作成する。（人物映像とCGを合わせたりするのも可能である。） p.s.  シミュレーション、コンピューターゲーム、３DOS、等の作成の際は、ソフトウェア（キャラクター＋環境＋等）をオブジェクト・オリエンテッド・プログラムで、作れば、効率良く、ストーリー（展開）が可能になる。
【図５３】図５３は、エコロジー・エネルギー・システム（吉野一虎宇宙世界皇帝のエネルギー・エレクトリシティー・ジェネレーター・システム）のイメージ概念図である。 Yoshino UniverseKazutora YoshinoUniverse EmpireKazutora YoshinoEmperor's Wind EnergyLovely, 太陽光発電（スチーム発電）、風力発電、海洋力発電、核反応発電（原子炉発電、核融合炉発電、などによるスチーム（ガス）発電）等の発電機システム。 E = N*B*l*r*(2pi*f)Air Power = Ao*(rp^3)*roair*Npropeller*|Vw|^2  if the ratio of propeller radius andwidth is uniquely set (fixed). プロペラを回転させる。回転軸についているコイル（＋オプション：鉄心）が回転する。磁石（磁場）の内部に位置する前記コイルの回転により、マクスウェルの方程式によって電場が誘導されて起電力を発生させる。バッテリーに充電して、インバーターで、交流にする。オプションとして、トランスフォーマーで、電圧・電流の調整をする。１００V、５０Hzに会うようにするため、増速機のギヤ比率（１：１）〜（６：１）〜（２４：１）ぐらいを適宜とする（最良の形態では、（２４：１））。例えば、最良の形態では、N*B=40, l=0.2m, r=0.1m, f=200Hzであり、プロペラの羽根の形が、示されている（プロペラのサイズは、0.9m x 0.013m x 1m ぐらい。プロペラ半径（約）1m ~ 2m）。プロペラの角度の調整が可能になるようにしても良い。プロペラ角度のレンジは、約１０°〜１４°〜３０°〜４５°〜５５°〜８０°ぐらいである（最良の形態では、風とプロペラの角度が約14°〜45°ぐらいで調整するのが良い）。風力Vw = 3m/s ~ 10m/sで、約1 ~ 2kW（ぐらい）以上の発電量を見込める。
【図５４】図５４は、エコロジー・エネルギー・システム（吉野一虎宇宙世界皇帝のエネルギー・エレクトリシティー・ジェネレーター・システムの製造方法（作り方））のイメージ概念図である。 Yoshino UniverseKazutora YoshinoUniverse EmpireKazutora YoshinoEmperor's Wind EnergyLovely, 太陽光発電（スチーム発電）、風力発電、海洋力発電、核反応発電（原子炉発電、核融合炉発電、などによるスチーム（ガス）発電）等の発電機システム。 ０．素材（角材）をプロペラの羽根の厚型に切り出す。１．素材（プロペラの羽根の厚型）を、３枚のプロペラの羽根の薄型に切る。２．素材（プロペラの羽根の薄型）を、其々、削り、プロペラの羽根（完成型）にする。３．センター（三角形型センターユニット）を作る。４．プロペラの羽根を、センター（三角形型センターユニット）に取り付ける。５．増速機、発電機を作り、台（軸）に取り付ける。６．キャップ＋プロペラ＋増速機＋発電機を取り付ける。７．バッテリー＋インバーターを取り付ける。（オプション）８．風力発電をする。
【図５５】図５５は、エコロジー・エネルギー・システム（吉野一虎宇宙世界皇帝のYoshino Universeのエネルギー・エレクトリシティー・ジェネレーター・システム（風力発電システム）の宣伝用（イメージと）ロゴ）のイメージ概念図である。 Yoshino UniverseKazutora YoshinoUniverse EmpireKazutora YoshinoEmperor's Wind EnergyLovely, Yoshino Universeのエコロジー・システム（・アプリケーション）の促進のイメージ。『風力発電（エコロジー・システム）と鳥（自然）が、風と共に生きる。』（キャッチフレーズ） 発電効率が良い（効果的な）風力発電（機）システム（の（美的）デザイン（設計））である。
【図５６】図５６は、エコロジー・エネルギー・システム（吉野一虎宇宙世界皇帝のYoshino Universeのエネルギー・エレクトリシティー・ジェネレーター・システム（風力発電システム）のストーリー）のイメージ概念図である。 Yoshino UniverseKazutora Yoshino UniverseEmpireKazutora YoshinoEmperor's Wind EnergyLovely, ４ｘ４（起承転結ｘ起承転結）のウィンド・エネルギー・ストーリー（のテンプレート）である。（例えば、吉野エミリー女王を主役として、吉野クリスタルヒカリ女王、吉野アシュレーアヤメ女王、吉野レベッカハル女王を準主役として、『風力発電（機）と蜂鳥のストーリー（会話）、・・・』、等のストーリー、スクリプト（脚本）、映画、等が作成できる。）
【図５７】図５７は、エコロジー・エネルギー・システム（吉野一虎宇宙世界皇帝のエネルギー・エレクトリシティー・ジェネレーター・システムの製造方法（作り方：その２））のイメージ概念図である。 Yoshino UniverseKazutora YoshinoUniverse EmpireKazutora YoshinoEmperor's Wind EnergyLovely,０．素材を斜め（角度も斜め）に切る。１．切り口を切り取り、更に角度をつける。２．接着剤で接着したりネジなどで繋ぎ合わせる。３．削ってプロペラの羽根の形（型）を作る。４．型（フラン樹脂、コンクリート、金型、等）を作る。５．プラスチックとか金属で、羽を作る。６．キャップ＋プロペラ＋増速機＋発電機＋ポールで、風力発電機を作る。７．発電する。
【図５８】図５８は、エコロジー・エネルギー・システム（吉野一虎宇宙世界皇帝のエネルギー・エレクトリシティー・ジェネレーター・システムの製造方法（作り方：その３））のイメージ概念図である。 Yoshino UniverseKazutora YoshinoUniverse EmpireKazutora Yoshino Emperor'sWind EnergyLovely, ０．素材をプロペラの羽根の形の元（型）に切る。１．プロペラの羽根の形の元（型）削って、プロペラの羽根の形の原型（型）を作る。２．アルミ箔で包む（敷く）。３．カーボンファイバー（東レ、等）などの布で包む（敷く）。４．樹脂を塗る。（ウレタン樹脂、等）５．アルミ箔で包む（敷く）。６．ステンレス棒などを入れる。エポキシ樹脂などの接着剤で固める。オプションとして、穴をあけたところにネジ留めをする。７．オプションとして、発泡スチロールに（木工用）ボンドなどを混ぜてプロペラの羽の中に注入する。８．プロペラの羽を組み合わせて、削ったり（バリ取りしたり）して綺麗にして、センター（センター・パーツ）と組み合わせる。９．キャップ＋プロペラ＋増速機＋発電機＋ポールで、風力発電機を作る。１０．発電する。
【図５９】図５９は、エコロジー・エネルギー・システム（吉野一虎宇宙世界皇帝のエネルギー・エレクトリシティー・ジェネレーター・システム）のイメージ概念図である。 Yoshino UniverseKazutora Yoshino UniverseEmpireKazutora YoshinoEmperor's Wind EnergyLovely, Yoshino UniverseKazutora YoshinoUniverse EmpireKazutora YoshinoUniverse Emperor's Electricity Generator and/or MotorLovely, 太陽光発電（スチーム発電）、風力発電、海洋力発電、核反応発電（原子炉発電、核融合炉発電、などによるスチーム（ガス）発電）等の発電機システム。 二相、三相、・・・、多相の発電機／モーター。 E=-CN(dB/dt)のN(dB/dt)が、最大（／適宜）になるように設計する。 発電機とモーターは、同じ形態（／似たような形態）であり得て、発電機（力→電力）とモーター（電力→力）のインバース・変換であり、ダイオード、コンデンサー、電池、抵抗、インダクター（コイル）、などの適宜な回路との組み合わせによって、力を発電機を用いて電力に変換して充電池を充電して、充電器の電力をモーターを用いて力に変換して用いることが可能である。 設計した風力発電機は、１ｋW〜２０ｋW以上、可能である。設計した太陽光発電システムは、１０ｋW以上、可能である。
【手続補正２】
【補正対象書類名】図面
【補正対象項目名】図２０
【補正方法】変更
【補正の内容】
【図２０】
2018048555.tif 000484
【手続補正３】
【補正対象書類名】図面
【補正対象項目名】図２１
【補正方法】変更
【補正の内容】
【図２１】
2018048555.tif 000485
【手続補正４】
【補正対象書類名】図面
【補正対象項目名】図２２
【補正方法】変更
【補正の内容】
【図２２】
2018048555.tif 000486
【手続補正５】
【補正対象書類名】図面
【補正対象項目名】図２３
【補正方法】変更
【補正の内容】
【図２３】
2018048555.tif 000487
【手続補正６】
【補正対象書類名】図面
【補正対象項目名】図２４
【補正方法】変更
【補正の内容】
【図２４】
2018048555.tif 000488
【手続補正７】
【補正対象書類名】図面
【補正対象項目名】図２５
【補正方法】変更
【補正の内容】
【図２５】
2018048555.tif 000489
【手続補正８】
【補正対象書類名】図面
【補正対象項目名】図２６
【補正方法】変更
【補正の内容】
【図２６】
2018048555.tif 000490
【手続補正９】
【補正対象書類名】図面
【補正対象項目名】図２７
【補正方法】変更
【補正の内容】
【図２７】
2018048555.tif 000491
【手続補正１０】
【補正対象書類名】図面
【補正対象項目名】図２８
【補正方法】変更
【補正の内容】
【図２８】
2018048555.tif 000492
【手続補正１１】
【補正対象書類名】図面
【補正対象項目名】図２９
【補正方法】変更
【補正の内容】
【図２９】
2018048555.tif 000493
【手続補正１２】
【補正対象書類名】図面
【補正対象項目名】図３０
【補正方法】変更
【補正の内容】
【図３０】
2018048555.tif 000494
【手続補正１３】
【補正対象書類名】図面
【補正対象項目名】図３１
【補正方法】変更
【補正の内容】
【図３１】
2018048555.tif 000495
【手続補正１４】
【補正対象書類名】図面
【補正対象項目名】図３２
【補正方法】変更
【補正の内容】
【図３２】
2018048555.tif 000496
【手続補正１５】
【補正対象書類名】図面
【補正対象項目名】図３３
【補正方法】変更
【補正の内容】
【図３３】
2018048555.tif 000497
【手続補正１６】
【補正対象書類名】図面
【補正対象項目名】図３４
【補正方法】変更
【補正の内容】
【図３４】
2018048555.tif 000498
【手続補正１７】
【補正対象書類名】図面
【補正対象項目名】図３５
【補正方法】変更
【補正の内容】
【図３５】
2018048555.tif 000499
【手続補正１８】
【補正対象書類名】図面
【補正対象項目名】図３６
【補正方法】変更
【補正の内容】
【図３６】
2018048555.tif 000500
【手続補正１９】
【補正対象書類名】図面
【補正対象項目名】図３７
【補正方法】変更
【補正の内容】
【図３７】
2018048555.tif 000501
【手続補正２０】
【補正対象書類名】図面
【補正対象項目名】図３８
【補正方法】変更
【補正の内容】
【図３８】
2018048555.tif 000502
【手続補正２１】
【補正対象書類名】図面
【補正対象項目名】図３９
【補正方法】変更
【補正の内容】
【図３９】
2018048555.tif 000503
【手続補正２２】
【補正対象書類名】図面
【補正対象項目名】図４０
【補正方法】変更
【補正の内容】
【図４０】
2018048555.tif 000504
【手続補正２３】
【補正対象書類名】図面
【補正対象項目名】図４１
【補正方法】変更
【補正の内容】
【図４１】
2018048555.tif 000505
【手続補正２４】
【補正対象書類名】図面
【補正対象項目名】図４２
【補正方法】変更
【補正の内容】
【図４２】
2018048555.tif 000506
【手続補正２５】
【補正対象書類名】図面
【補正対象項目名】図４３
【補正方法】変更
【補正の内容】
【図４３】
2018048555.tif 000507
【手続補正２６】
【補正対象書類名】図面
【補正対象項目名】図４４
【補正方法】変更
【補正の内容】
【図４４】
2018048555.tif 000508
【手続補正２７】
【補正対象書類名】図面
【補正対象項目名】図４５
【補正方法】変更
【補正の内容】
【図４５】
2018048555.tif 000509
【手続補正２８】
【補正対象書類名】図面
【補正対象項目名】図４６
【補正方法】変更
【補正の内容】
【図４６】
2018048555.tif 000510
【手続補正２９】
【補正対象書類名】図面
【補正対象項目名】図４７
【補正方法】変更
【補正の内容】
【図４７】
2018048555.tif 000511
【手続補正３０】
【補正対象書類名】図面
【補正対象項目名】図４８
【補正方法】変更
【補正の内容】
【図４８】
2018048555.tif 000512
【手続補正３１】
【補正対象書類名】図面
【補正対象項目名】図４９
【補正方法】変更
【補正の内容】
【図４９】
2018048555.tif 000513
【手続補正３２】
【補正対象書類名】図面
【補正対象項目名】図５０
【補正方法】変更
【補正の内容】
【図５０】
2018048555.tif 000514
【手続補正３３】
【補正対象書類名】図面
【補正対象項目名】図５１
【補正方法】変更
【補正の内容】
【図５１】
2018048555.tif 000515
【手続補正３４】
【補正対象書類名】図面
【補正対象項目名】図５２
【補正方法】変更
【補正の内容】
【図５２】
2018048555.tif 000516
【手続補正３５】
【補正対象書類名】図面
【補正対象項目名】図５３
【補正方法】変更
【補正の内容】
【図５３】
2018048555.tif 000517
【手続補正３６】
【補正対象書類名】図面
【補正対象項目名】図５４
【補正方法】変更
【補正の内容】
【図５４】
2018048555.tif 000518
【手続補正３７】
【補正対象書類名】図面
【補正対象項目名】図５５
【補正方法】変更
【補正の内容】
【図５５】
2018048555.tif 000519
【手続補正３８】
【補正対象書類名】図面
【補正対象項目名】図５６
【補正方法】変更
【補正の内容】
【図５６】
2018048555.tif 000520
【手続補正３９】
【補正対象書類名】図面
【補正対象項目名】図５７
【補正方法】追加
【補正の内容】
【図５７】
2018048555.tif 000521
【手続補正４０】
【補正対象書類名】図面
【補正対象項目名】図５８
【補正方法】追加
【補正の内容】
【図５８】
2018048555.tif 000522
【手続補正４１】
【補正対象書類名】図面
【補正対象項目名】図５９
【補正方法】追加
【補正の内容】
【図５９】
2018048555.tif 000523
【手続補正書】
【提出日】平成25年4月7日(2013.4.7)
【手続補正１】
【補正対象書類名】明細書
【補正対象項目名】００１１
【補正方法】変更
【補正の内容】
【００１１】
【図１】図１は、エコロジー・エネルギー・システムのイメージ概念図である。
【図２】図２は、エコロジー・エネルギー・システムのイメージ概念図である。
【図３】図３は、エコロジー・エネルギー・システムのイメージ概念図である。
【図４】図４は、エコロジー・エネルギー・システムのイメージ概念図である。
【図５】図５は、エコロジー・エネルギー・システムのイメージ概念図である。
【図６】図６は、エコロジー・エネルギー・システムのイメージ概念図である。
【図７】図７は、エコロジー・エネルギー・システムのイメージ概念図である。
【図８】図８は、エコロジー・エネルギー・システムのイメージ概念図である。
【図９】図９は、エコロジー・エネルギー・システムのイメージ概念図である。
【図１０】図１０は、エコロジー・エネルギー・システムのイメージ概念図である。
【図１１】図１１は、エコロジー・エネルギー・システムのイメージ概念図である。
【図１２】図１２は、エコロジー・エネルギー・システムのイメージ概念図である。
【図１３】図１３は、エコロジー・エネルギー・システムのイメージ概念図である。
【図１４】図１４は、エコロジー・エネルギー・システムのイメージ概念図である。
【図１５】図１５は、エコロジー・エネルギー・システムのイメージ概念図である。
【図１６】図１６は、エコロジー・エネルギー・システムのイメージ概念図である。
【図１７】図１７は、エコロジー・エネルギー・システムのイメージ概念図である。
【図１８】図１８は、エコロジー・エネルギー・システムのイメージ概念図である。
【図１９】図１９は、エコロジー・エネルギー・システムのイメージ概念図である。
【図２０】図２０は、エコロジー・エネルギー・システムのイメージ概念図である。    本発明の図２０についての説明用のストーリ：吉野カズトラ宇宙世界皇帝は、吉野カズトラ宇宙世界皇帝国のエネルギーシステムを増強していた。 I.  宇宙太陽光発電システム（ソーラー（ユニット）サテライト）（USES）II.  宇宙太陽光電池製造システムIII.  宇宙核融合炉発電システムIV.  地上核融合発電システムV.  海上（海底）核融合発電システム 吉野カズトラ宇宙世界皇帝は、巨大な宇宙発電・太陽光エネルギー・送信システム（太陽の付近に宇宙太陽光人工衛星を配置）と受信システム（ロッキー山脈の頂にあるロッキーマウンテンナショナルパーク(Rocky Mountain National Park)や、アリゾナの砂漠、アラスカのマッキンレー山脈、サハラ砂漠、等）を作っていた。 吉野カズトラ宇宙世界皇帝は、また、宇宙での真空を利用して、（トカマク型）プラズマ封じ込め高温適圧の宇宙核融合炉を作ることを進めていた。 吉野カズトラ宇宙世界皇帝は、また、地上でプラズマ・イオン発電所を作り、プラズマ封じ込め高温適圧の宇宙核融合炉を運転していた。 吉野カズトラ宇宙世界皇帝は、また、海上で太陽光・風力・海洋エネルギー発電所を作り、海上（海底）核融合炉を運転していた。（核反応の事故に対して、比較的安全である） Reference:www.yoshinouniverse.comISBN0-8118-0897-1ISBN4-339-00552-5ISBN4-7853-6112-3
【図２１】図２１は、エコロジー・エネルギー・システムのイメージ概念図である。原子炉で、核燃料からエネルギーを取り出す。（オプション）再処理工場で、使用済み核燃料を、核燃料と核廃棄物（核のゴミ）に分離する。熱電発電（所）（システム）で、使用済み核燃料／核廃棄物（核のゴミ）からエネルギーを取り出す。使用済み核燃料／核廃棄物（核のゴミ）を、水、フィルム（紙）、金属（鉛、等）で囲み、放射能について封印するが、熱が出てくるのを、熱電発電で、電気エネルギーに、変換するシステム。
【図２２】図２２は、エコロジー・エネルギー・システム（日本の防衛システム）のイメージ概念図である。核燃料（プルトニウム、ウラン、等）などの核物質など、戦略的エネルギー物質を、日本に集める。核燃料・核爆弾・核廃棄物（核のゴミ）を、１．平和なら、平和利用する。（核エネルギーによって（核（燃料）を熱源として）、熱電発電する。）２．戦争なら、敵国に打ち込む。（埼玉県入間市の入間航空自衛隊（防衛軍）の地下ミサイル発射基地から、大陸弾道ミサイルなどを発射する。吉野カズトラ宇宙世界皇帝のシャチ型潜水艦から核ミサイルを発射する。吉野カズトラ宇宙世界皇帝の軍事衛星から核爆弾を投下する。等）Yoshino UniverseKazutora YoshinoUniverse EmpireKazutora YoshinoNuclear Energy Defense SystemLovely,
【図２３】図２３は、エコロジー・エネルギー・システム（太陽光熱カプセル発電システム）のイメージ概念図である。吉野一虎ソーラーライトカプセル効果：太陽光（熱）が、太陽で発生して（太陽中心：高温１６００万℃、太陽表面：低温温６０００℃）、太陽を囲む物質（ダークマター、素粒子、物質、保熱ガス、反応物質、捕熱物質、反射物質、等の適宜な組み合わせ）によって、光（熱）は、吸収・保持・反応、等をして、中温（数百万℃）になる。DM + gamma -> DM' + delta Egammaは、光（熱）などの（反応（素）粒子などの）エレメント。delta Eは、正／負／ゼロ、等のエネルギー（エレメント）とする。DM、DM’は、ダークマターなどの（反応（素）粒子・反応物質、物質）（群理論）エレメントで、DMとDM'は、同じエレメントでもよく、異なるエレメントでも良い。吉野一虎ライトカプセル効果：このシステムを、ミニチュア化したカプセルに二酸化炭素などの保熱ガス（捕熱ガス）を入れて、（太陽）光（／レーザー光）の照射をして、太陽光（熱）発電を行い、ミニチュア太陽光（熱）カプセル発電を行う。吉野一虎レーザー効果：二酸化炭素などの保熱ガス（捕熱ガス）に、（太陽）光（／レーザー光）を照射して、光（光子、レーザー光）を発光させて、光をカプセル内部で、反射させて、１００％ミラーと約９９％ミラーで、往復反射させて、誘導発光させて、同じ（ぐらいの）波長（周波数）と相（フェーズ）の光の束（レーザー光）を作り、約９９％ミラー側からコーヒーレントなレーザー光を、放つ。吉野一虎ネットワーク超特急効果：ミニチュア太陽光（熱）カプセル発電システムのユニットを、発電パフォーマンス良く、コストパフォーマンス良く、大量に作り、マトリクス上にして、日射量が十分にあるところに敷き詰めたり、電車の路線のサイドに並べたり、道路（高速道路）のサイドに、並べたりすることによって、日本（世界）全体が、ミニチュア太陽光（熱）カプセル発電システムによって、光ネットワーク発電システムとなる。 吉野アシュレーアヤメ女王偉大なる戦士は、吉野一虎効果（吉野一虎ソーラーカプセル効果、吉野一虎ライトカプセル効果、吉野一虎レーザー効果、吉野一虎（カズトラ）ネットワーク超特急効果、等の吉野一虎宇宙世界皇帝の効果）を、活用して、宇宙全体に、吉野アシュレーアヤメ女王による吉野一虎宇宙世界皇帝（宇宙銀河恒星ネットワーク・太陽系）光ネットワークシステムを構築して、宇宙・世界のエネルギー問題を、解決して行った・・・。
【図２４】図２４は、エコロジー・エネルギー・システム（熱（水蒸気／ガス）発電システム）のイメージ概念図である。水（／液体／気体／水素／ガス、等）に太陽光（熱）（エネルギー）、（ガスの）火、熱（等）を投入して、水蒸気（／ガス）にして、タービンを回転して、発電機で、発電するシステム。オプションとして、水蒸気（／ガス）を冷却して、水（／液体／気体／水素／ガス、等）にして、サイクル（リサイクル）するシステム。
【図２５】図２５は、エコロジー・エネルギー・システム（吉野一虎宇宙世界皇帝の核戦争用の鎧兜（防衛システム））のイメージ概念図である。ダイヤモンド、タングステン、ステンレス、鉄、鉛、防弾ガラス、セラミック、紙、スポンジ、水（汗）、バッテリー、シリコン、コンピューター、ディスプレイ等を、適宜に組み合わせて、放射能を遮断するタイガーシールド。本発明は、アルファ粒子線、ベータ線、γ線を遮断する物質（マテリアル）を用いた装甲・鎧（アーマー）である。オプションとして、周りの見た目に合わせて、色や柄を2D/3Dでディスプレイできるカメレオンシールド。この鎧兜を纏った軍隊を、カメレオン・アーミーとして、敵（の核兵器・軍隊）と戦うシステム（自衛隊・国防軍・民間安全警備武装集団（傭兵））。ディスプレイ、コンピューター、電子機器の電源、若しくは、バッテリーなどの充電器としてのブーツ（靴）による、歩行発電（靴発電システム）。ピエゾエレクトロニック素子（圧電素子）、発電機、弾性物質、等によって、発電して、バッテリーに電気を充電する。オプションとして、スプリングなどを用いて、発電しながら、跳躍力を抜群に向上させるジャンプ（発電）シューズ。本発明は、カメレオン・アーミーの鎧を電子的に機能させるのに必要な電源は、歩行発電ブーツから得ることが可能である。その際の戦士達の戦闘シーン（風景）の概念図が、示されている。
【図２６】図２６は、エコロジー・エネルギー・システム（太陽光熱カプセル発電システム：パラボラミラーバージョン）のイメージ概念図である。最良の形態の一つを示している。パラボラミラーによって、反射した光（エネルギー）を、（カプセル）球に集光させて、（熱反応、化学反応、核反応などの）反応、等を起こさせるシステム。
【図２７】図２７は、エコロジー・エネルギー・システム（水素と酸素による燃料電池発電（ガス発電）システム）のイメージ概念図である。ダイヤモンド／DLC／金属／カーボン（ファイバー）等の（軽くて丈夫な）強い（高圧のガスや、液体に耐えうる）容器に、濃縮ガス（濃縮水素ガス、濃縮酸素ガス）、液体（液体水素、液体酸素）等を入れる。水素と酸素を適宜な量を、コンピューター制御機、バルブなどで、摘出して、燃料電池に、投入して、電気（エネルギー）を発生させる。電気を直接用いるか、バッテリー等に充電して用いる。水素と酸素の反応によって出来た水を、（浄化フィルターに通して）、飲料水にする。宇宙船などでの宇宙航行が、長期の滞在の場合に、水素・酸素燃料から、水を作り、フィルターで飲料水を作り、飲むことが可能である、エコロジー・スマート・システム。宇宙旅行に、飲料水を、持ってゆくことが、可能であるが、水が、もっと必要なときとか、緊急時とかに、もっと飲料水を作ることが必要な際に、有用なシステムである。
【図２８】図２８は、エコロジー・エネルギー・システム（エネルギー炉（熱炉））のイメージ概念図である。
【図２９】図２９は、エコロジー・エネルギー・システム（吉野カズトラ宇宙世界皇帝のエネルギー炉（熱炉）と無線／タイマー式の起爆装置による核爆弾）のイメージ概念図である。
【図３０】図３０は、エコロジー・エネルギー・システム（吉野一虎宇宙世界皇帝の靴（防衛・防寒システム））のイメージ概念図である。ピエゾエレクトリックなどの圧電素子で発電したり、動力を利用して、発電したり、核燃料の熱で、発電したりして、熱エネルギーを用いて、エネルギーシステム（（防寒用のヒーター等の）の靴等）を作る。
【図３１】図３１は、エコロジー・エネルギー・システム（吉野一虎宇宙世界皇帝の核電池、核エネルギー、加速器核エネルギーシステム））のイメージ概念図である。核燃料、核廃棄物、（加速器で加速された陽子を核廃棄物（半減期約２万年）に当てて、（半減期を約３０年にした）放射性物質）等や、その適宜な組み合わせから、核（熱）電池を作る。加速器の放射エネルギーによって、宇宙船を飛ばす（運行する）。
【図３２】図３２は、エコロジー・エネルギー・システム（吉野一虎宇宙世界皇帝の核核融合炉エネルギーレーザーシステム（核融合レーザー起動用集光レンズ）））のイメージ概念図である。適宜な波長（若しくは、その組み合わせ）のレーザービームを、レンズで一点に集光（集中）させて、（プラズマ熱エネルギー）核融合を起因する。特に、紫外線、X線、γ線、などの（短波長）高周波のコーヒーレントな光子パッケージ（レーザー光ビーム、等）を用いると良い。そのレンズ方程式を示している。
【図３３】図３３は、エコロジー・エネルギー・システム（吉野一虎宇宙世界皇帝のカズトラ型の核融合炉：カズトラ型核融合炉エネルギー（レーザーヒーティング）システム（核融合レーザーヒーティング起動）））のイメージ概念図である。カズトラ型核融合炉は、トロイダル型（トカマク型）核融合炉を単数／複数、トロイダル型に纏めた型である。プラズマは、真空／ガス／プラズマ内にあるか、磁場・磁界（電場・電界／電磁場・電磁界）内にあっても良い。極力、外部に熱が流出しないように、高磁界にして、Tc（クリティカルテンパーチャー）を高温にして、プラズマを封じ込めて、レーザー（若しくは、マイクロウェーブ、等）で、ヒーティングして（局所場で核融合（ニュークリア・チェイン・リアクション）の初期反応を起こさせて、核融合（ニュークリア・チェイン・リアクション）連鎖反応させる）、プラズマを高温にして、（熱）核融合を起こさせる。（オプションとして、トロイダル型纏めた型のリング部に、オプションフィールド（例えば、磁界）を作るのも良い。）
【図３４】図３４は、エコロジー・エネルギー・システム（吉野一虎宇宙世界皇帝の核融合ロケット（核融合エンジン）：ネオ・カワセミ・プロジェクト：空飛ぶイルカ、空飛ぶイカ））のイメージ概念図である。羽を畳んで海底から発射された空飛ぶイルカは、水中を水ジェットエンジンで走行（航行）して、空中に羽を広げて飛び立ち、空気ジェットエンジンで走行（飛行）して、羽を畳んで宇宙をロケットエンジン（イオンエンジン、プラズマエンジン、ロケットエンジン、核ロケットエンジン、等）で、走行（宇宙航行）する。宇宙防衛のため、核爆弾などで、宇宙からの攻撃（上からの攻撃）をかけることも可能である。
【図３５】図３５は、エコロジー・エネルギー・システム（吉野一虎宇宙世界皇帝のエネルギー・エレクトリシティー・ジェネレーター・システム）のイメージ概念図である。太陽光発電（スチーム発電）、風力発電、海洋力発電、核反応発電（原子炉発電、核融合炉発電、などによるスチーム（ガス）発電）等の発電機システム。プロペラを回転させる。回転軸についている磁石が回転する。前記磁石の回転により、超伝導体内にあるリング磁石が誘導されて回転する。また、磁石と超電導の組み合わせによる非接触な、回転軸とカバーによって、摩擦が殆どない、回転を獲得する。回転効率が良い、起電力を発生させる。オプションとして、トランスフォーマーで、電圧・電流の調整をする。バッテリーに充電したり、電力として用いる。
【図３６】図３６は、エコロジー・エネルギー・システム（吉野一虎宇宙世界皇帝のエネルギー・エレクトリシティー・ジェネレーター・システム）のイメージ概念図である。太陽光発電（スチーム発電）、風力発電、海洋力発電、核反応発電（原子炉発電、核融合炉発電、などによるスチーム（ガス）発電）等の発電機システム。プロペラを回転させることによる発電システムのパワー（電力）のコンセプト・カリキュレーション（Concept Calculation）(概算)。
【図３７】図３７は、エコロジー・エネルギー・システム（吉野一虎宇宙世界皇帝のモーター・ジェット・ボード、モーター・ボート）のイメージ概念図である。水上ロケットランチャー、若しくは、水上から発射するロケット。ジェット・ウィンド・サーフィング。風力でウィンド・サーフ・ボードを動かし、その際、エネルギー・エレクトリシティー・ジェネレーターで、バッテリーに、電気を充電する。風があまりない時は、バッテリーによって、モーター（＋ギヤ）＋プロペラを回転させて、航行する。オプションとして、バッテリーを複数持ち、電力・ギヤによって、ウィンド・サーフ・ボードの速度をコントロールする。人が載るか、無線で操作か、人工知能、等によって航行する。
【図３８】図３８は、エコロジー・エネルギー・システム（吉野一虎宇宙世界皇帝の空飛ぶイルカ、ドラゴン、モーター・ジェット・ボード、モーター・ボート）のイメージ概念図である。特に、翼（羽）の構造（ダイアモンド型）、翼の開閉についてと、ダイヤモンド・ダイナミクス・メソードを示す。（２D／３Dで）翼（羽）を動かして、浮力を得ることも可能である。海中で航行しているときは、翼を閉じて、空で飛行しているときは、翼を広げ（用いて）、宇宙で宇宙航行しているときは、翼を閉じるか、若し、（（シリコンや色素増感型等の）太陽光シートなどなら）太陽光（シート）翼を広げるのが、最善の形態である。
【図３９】図３９は、エコロジー・エネルギー・システム（吉野一虎宇宙世界皇帝のシャフト・ローテーション・ベアリング・システム）のイメージ概念図である。モーター、発電機、ジョイント、等の部分に、ベアリングの周りを、ベアリングで囲み、スムースなオペレーションを可能にするシャフト・ローテーション・ベアリング・システムである。同様に、複数のレイヤーを用いても良い。シャフト・ローテーション・ベアリング・システム＝（（メインベアリング＊サブベアリング）＊Lレイヤー）（L＞＝１）。このシャフト・ローテーション・ベアリング・システムによって、モーターの回転効率や発電機の発電効率が良くなるという効果がある。
【図４０】図４０は、エコロジー・エネルギー・システム（吉野一虎宇宙世界皇帝のスーパーマン（計画））のイメージ概念図である。Yoshino UniverseKazutora YoshinoUniverse EmpireKazutora YoshinoEmperor's Super Man ProjectLovely, 一般的なエンジン、キシレン、ガソリン、水素＋酸素、等を用いるジェット・エンジン、ロケット・エンジンでも良いが、ジェット・ロケット・エンジンを用いるのが最適である。ジェット・ロケット・エンジンは、（小型原子炉／）、小型核融合炉で、燃料の水を沸かして、水蒸気（スチーム）を噴出させて、ジェットを作るロケットエンジンを、箱に取り付ける。ジェット・ロケット・エンジンは、箱の上の方に付けると、横から下にジェットを噴出するので、バランス的に安定する。ジェット・ロケット・エンジンを、箱の下の方に付けると、ジェットが、下に噴出されるので、熱流体的には、効率が良い。二つのジェット・ロケット・エンジンでも、飛行が可能な（動力・エネルギー）レベルにしておく。基本形は、四つのジェット・ロケット・エンジンを用いて、（光学）ジャイロスコープ、加速度センサー、GPS、コンピューター（ジェネリック・アルゴリズム等を用いる人工知能）を用いて、ジェットを噴出したり、逆噴射して、最適な、バランス、位置、方向を、獲得する。緊急の時等は、マニュアル操作も可能にする。四つのジェットエンジンのうち、一つが破損などしたら、対照側にあるジェット・ロケット・エンジンも停止して、二つのジェット・ロケット・エンジンによる飛行（マニュアル操作も出来るようにする）に、切り替えることが可能にする。又、出来るだけ速やかに着地するようにする。若しくは、ジェネリック・アルゴリズムや摂動論的制御、等の最適制御によって、三つのジェット・ロケット・エンジンを、微妙に操作・制御して、当分は、飛行を続けることが可能にする。ダイヤモンドや防弾ガラスのような素材を壁にして、飛行中に、美しい風景など、見渡しが良いようにしても良い。民間の観光用に用いることも可能であり、軍事用の偵察機のように用いることも可能である。パイロットや宇宙飛行士が箱の中にいるなら、内部に空気（酸素）タンクを入れておけば、燃料が続くなら、空から、宇宙に航行しても良い。宇宙の景色（宇宙の夜景、星星の輝き、天体の芸術）などが、美しく、ダイアモンドに映るであろう。
【図４１】図４１は、エコロジー・エネルギー・システム（吉野一虎宇宙世界皇帝のフライング・ジェット・モービル）のイメージ概念図である。 Yoshino UniverseKazutora YoshinoUniverse EmpireKazutora YoshinoEmperor's Flying Jet MobileLovely, 空気をプロペラを回して、上、横、下、斜めなどから吸引して、燃料と混ぜて、燃焼して、ジェットを作る。モーターによってプロペラを回しても良い。フライング・ジェット・モービルは、森やジャングルで、軍事的な偵察等を行う際に、小回りが利く、便利な乗り物である。
【図４２】図４２は、エコロジー・エネルギー・システム（吉野一虎宇宙世界皇帝のフラップ式ウィング、フラップ式プロペラ）のイメージ概念図である。 羽や、プロペラに、フラップを付けて、気流のコントロールをする。特に、高い角度（フラップ角度）をつけて、離陸や着率の距離を短くできる（例えば、４５度〜５５度ぐらい）。飛行時は、（例えば、約１５度〜５５度ぐらいの）高くない羽の角度（フラップ）で飛行すると浮上・飛行効率が良い。プロペラの場合は、回転初期と、回転中期、回転後期、上昇期、浮上期、下降期、飛行期、などに合わせて、羽の角度（＋フラップ角度）をコントロールすることが、可能である。
【図４３】図４３は、エコロジー・エネルギー・システム（吉野一虎宇宙世界皇帝のフライング・ジェット・モービル）のイメージ概念図である。Yoshino UniverseKazutora YoshinoUniverse EmpireKazutora YoshinoEmperor's Flying Jet Mobile (Theoretical, Practical Method)Lovely, ヘリコプター、飛行機、フライング・ジェット・モービル、スカイ・カーズ、等のプロペラの数式化であり、羽をコンパクト化するための技術である。システムがスケーラブルな際、プロペラのサイズをPropeller Length 1として、モーターのトルクをMotorTorque、モーターの回転数をMotor Omegaとして、プロペラ／羽の角度を、例えば１５°ぐらいとか、４５〜５５°ぐらいに設定すると、基本的な部分は、定数のように扱えて、Force Lift = (Motor Torque/Propeller Length 1)*Csになるので、羽がコンパクトで、（数多くの）プロペラで、回転が速い方が良い。普通は、rg1/rg2 >= 1/30 ぐらいにするが、最善の形態を、rg1/rg2>= 1  とする。rg1/rg2 >= 10・・・とギヤの逆比率を向上させると、リフトの効率が良いが、シャフト・ギヤなどの（シャフト・ギヤ変換）効率があるので、直接プロペラを、モーターに付けるのが、シャフト・ギヤ変換効率が、１００％となるので、最も効率が良い。
【図４４】図４４は、エコロジー・エネルギー・システム（吉野一虎宇宙世界皇帝のヘリコプター・宇宙（核）ロケット開発）のイメージ概念図である。 ヘリコプターから始めて、（３Dペン、３Dコントローラー、脳波コミュニケーター、人工心臓、（iPS）幹細胞臓器、成型臓器（３Dプリンターで、細胞と細胞を決着剤などで付着させて、臓器を直接作る）、などの経由で）、宇宙（核）ロケットを、製造する方法。また、プロジェクトを映画化するためのストーリーであって、この（映画による収益）によって、ヘリコプター、宇宙（核）ロケットを製造する宇宙開発（宇宙医療）ビジネス・モデルの方法。 吉野カズトラ宇宙世界皇帝のストーリー：吉野庭園→ヘリコプター基地→人工心臓製造→ロケット基地→ドラゴン（龍）の開発→宇宙世界征服→吉野カズトラ宇宙世界皇帝と吉野アシュレーアヤメ女王偉大なる戦士のラブ・ロマンス（恋愛ストーリー）。
【図４５】図４５は、エコロジー・エネルギー・システム（吉野一虎宇宙世界皇帝の太陽光発電・風力発電・等の発電所型の吉野信法王鳳凰神社の開発）のイメージ概念図である。 ヘリコプター、宇宙（核）ロケット開発の（準備の）方法とか、吉野カズトラ宇宙世界皇帝と吉野アシュレーアヤメ女王偉大なる戦士のラブ・ロマンス（恋愛ストーリー）。ヘリコプター、宇宙（核）ロケットの開発費を得るための（吉野神道新信仰）吉野一虎宇宙世界皇帝の太陽光発電・風力発電・等の発電所型の吉野信法王鳳凰神社神社の設計と構築。また、その（プロモーションビデオ用・宣伝用・映画用・現実化用の）ストーリー。 吉野カズトラ宇宙世界皇帝のストーリー： Yoshino UniverseKazutora YoshinoUniverse EmpireKazutora YoshinoEmperor's Love RomanceLovely, Yoshino UniverseKazutora Yoshino Universe EmpireKazutora Yoshino Emperor's Shrine 吉野カズトラ宇宙世界皇帝は、吉野信法王鳳凰神社を、始めていた。吉野信法王鳳凰神社は、天照大御神を祀り、『自然は、神。野生は、友。』というキャッチフレーズの基に、信者や白い動物達を、大事にしていた。特に、紀州犬(花)、アークティックウルフ(不思議)や、シロキツネ、シロネコ、ムササビ、モモンガ、白龍、等を、大事にしていた。吉野信法王鳳凰神社の屋根の先端には、鳳凰のデザインの風車が付いていて、屋根には、太陽光パネルが付いている、自然に優しいエコロジー・システムによって運営されていた。信者達は、自然に合わせて、風の来る方向を向く鳳凰型風見鶏(風車)や光(太陽光パネル)や川の水や湖の水や雨水や井戸水や海水や自然エネルギーを、信仰の対象とする、八方美人の吉野ファミリーのメンバー達や、キャバ嬢達や、ホスト達、動物愛護者達、飲食業・水商売関連関係者達、農林水産業者達、パラグライダーパイロット達、パイロット達、航空自衛隊達、、軍人達、警察達、ヨットレーサー達、ボートレーサー達、船主達、船長達、ホースダービーの馬主達、写真関連関係者達、宣伝業者達、画像関連関係者達、テレビ関連関係者達、放送関連関係者達、映画関連関係者達、女優達、俳優達、モデル達、方位学者達、法医学者達、医者達、医療関連関係者達、植物学者達、生化学者達、バイオインフォマティクス関連関係者達、システムエンジニア達、物理学者達、技術者達、プログラマー達、宇宙開発事業団関連関係者達、ビジネス関連関係者達、特許関連関係者達、エネルギー関連関係者、等が、多かった。吉野カズトラ宇宙世界皇帝は、太陽光発電所や、風力発電所、等の研究開発を、Yoshino Universe研究所でしていたが、コンピューター・システム管理は、IBM研究所にさせて、ネットワーク管理は、ベル(Bell)研究所にさせていた。・・・。吉野カズトラ宇宙世界皇帝は、また、Yoshino Universeと吉野エミリー女王と吉野レベッカハル女王の管理の元に、日本政府に、奈良の吉野川のダムの水や富士山の水や海水等の水を、東レのウォーターヒィルターを用いて、飲料水にさせて、『(奈良の)吉野の綺麗な水』という商品名で、世界中に、輸出した。吉野カズトラ宇宙世界皇帝は、また、エネルギー・エコロジー・システム・アプリケーションの研究開発を進め更に良いエコロジー・システム(USES, USEN)、ロケットの研究開発、宇宙開発を、進めていた。・・・・。吉野カズトラ宇宙世界皇帝の吉野��宙開発基地は、白き龍に守られた城(ホワイトハウスWhite House)と呼ばれて、龍型・竜巻のような巨峰のブドウの木(ツタ)に囲まれた、白い家と果樹庭園の内側(吉野信法王の邸宅領土内)にあった。・・・。 吉野カズトラ宇宙世界皇帝は、吉野カズトラ宇宙世界皇帝と吉野の葡萄の園を守るためのボディーガード女子軍団を作り始めていた。あまり現実的ではなかったが、吉野カズトラ宇宙世界皇帝は、水龍拳の一部として、健康空手を、始めていた。吉野カズトラ宇宙世界皇帝の健康空手は、女の子、女子高生、女子大生、OLを、メンバーにして、戦闘用と言うよりは、むしろ健康面での体力強化を目指して、吉野カズトラ宇宙世界皇帝と吉野の果樹庭園（吉野のブドウ園）の警備を目的としていた。吉野カズトラ宇宙世界皇帝は、健康空手のプロモーションビデオを作ろうとしていて、大妻女子大生、等の女子大生達に、吉野カズトラ宇宙世界皇帝を、宣伝しようとしていた。吉野カズトラ宇宙世界皇帝は、埼玉県入間市(入間航空自衛隊による航空防衛)を、基軸とした、日本首都・都市開発を進めていた。・・・。 吉野カズトラ宇宙世界皇帝は、吉野信法皇鳳凰神社と、埼玉県入間市の都市開発のために、神社のさい銭と、風力エネルギーと、太陽光エネルギー、等を用いていたが、世界中から税金を徴収することにした。そのためには、共通通貨が必要となり、吉野カズトラ宇宙世界皇帝は、Yoshino Universe、アメリカ合衆国政府、日本政府、国際連合のIMFを用いて、ユニバーサル・マニー・システムを、作った。吉野カズトラ宇宙世界皇帝は、国民一人一人に、ソーシャルセキュリティー番号や、国民共通番号を、渡して、各々に、資産を、ユニバーサル・マニーのポイントに、変換した。物の売買には、基本、ユニバーサル・マニーのポイントが、必要で、これによって、Yoshino Universe、政府は、国民の販売記録・購買記録がよくみえて、税金(消費税、等)も電子化されて簡単になり、一般にも、不正取引や、闇取引が、殆どなくなった。これによって、特許など正しい新技術への投資や融資が、促進されて、経済、社会が、発展した。・・・。 吉野カズトラ宇宙世界皇帝は、国際的な、税金の徴収のために、ソーシャルセキュリティー番号か、国民共通番号を持つ(アメリカ人、ロシア人、ヨーロッバ人、日本人、朝鮮人、中国人、インド人、アラブ人、等の)国民一人一人に、各国政府の税金を用いて、(固定)IPアドレスを、配布した。(約100億人ぐらいなら、許容可能なシステム。) ソーシャルセキュリティー番号や国民共通番号にリンク対応した固定IPアドレスによって、アメリカ人や日本人、等は、各自、自らのホームページを作り持つことが可能になり、自らの写真やプロフィールを表示することになり、また、国税庁などのホームページに直ぐアクセス出来て、各自の税金の納付状況等も、直ぐに分かるようになった。また、インターネット(サイバースペース)での経済効果が向上して、より多くの税金を徴収することが、可能になった。これにより、吉野カズトラ宇宙世界皇帝は、宇宙開発(ロケット開発、ロボット開発)とか、自らの美容法や、吉野カズトラ宇宙世界皇帝の若返りの研究開発を進めていた。例えば、アルコール食塩水美容法(水分補給美容法)や、iPS細胞を用いた人工臓器や、若返り医療である。吉野カズ��ラ宇宙世界皇帝のアルコール食塩水美容法(水分補給美容法)を修得した、吉野カズトラ宇宙世界皇帝と吉野エミリー女王は、若さを維持出来たので、肌が滑らかな(色白な)菜食主義のバンパイヤー、等と、言われることもあった。しかし、バンパイヤーの国々は、水、食べ物、領土、等の取り合いの戦争を始めていた。吉野エミリー女王の娘の吉野クリスタルヒカリ女王は、肌が、雪のように白い美女だったので、白雪姫と言われたが、隣国の魔女(バンパイヤー)女王に嫉妬されて、魔女女王が、攻めてきたので、森に隠されて、小さな子ども達と、一緒に育った。吉野クリスタルヒカリ女王(白雪姫)は、ハンターに守られながら、自国の復興を始めていた。・・・。 続く。
【図４６】図４６は、エコロジー・エネルギー・システム（吉野一虎宇宙世界皇帝の空飛ぶ家（ロケット・ハウス））のイメージ概念図である。 吉野一虎宇宙世界皇帝の空飛ぶ家（ロケット・ハウス、スカイ・ハウス）：本箱型家（ロケット・ハウス、ブックシェルハウス）。ユニット・ルームを積層する（積み上げる）ことによって、高層ビル、ロケットの構築が可能でる。ロケットの高さに合わせたユニット・ルーム（の数）を構築することが可能である。基本設計をユニット単位で出来るので、ユニット・ルームの大量生産化が可能であるため、ロケット・ハウスの大量生産が、可能になる。 本発明は、コストパフォーマンスが良いロケット（ロケット・ハウス）である。また、設計と構築の時間短縮（ラン・タイムの軽減）による、シナジー的なコストパフォーマンスも良い。 オプションとして、プロペラ、ロケットエンジン、などの搭載によって、空中、宇宙を、飛び回れるようにする（空飛ぶ家：スカイ・ハウス、ロケット）。（本発明によって）、ロケット・ハウスに住んでいるまま、宇宙旅行が可能になる・・・（という効果もある）。 宇宙空間では、（殆ど）無重力状態になるので、部屋は、広く使える方が良い（宇宙服が引っかからないようにする）ため、階段を（宇宙服を着たまま通れる程度に細く）壁側に（／適宜な場所に）作ったり、無重力でも宇宙飛行士の方向感覚が研ぎすまれるように、階段の方向を一致させておいたり、ルーム・番号（ルーム階）を明示（はっきり表示）しておくのも可能である。また、物品に、ICタグをつけておいて、コンピューターで、位置情報などを、管理して、無重力で、物が浮遊していても、何処に何があるのか分かるようにしておくのも可能である。 ３Dペン（３Dコントローラー）で、ロケットの位置・速度・加速度・方向・軌道、等をコントロールしても良い。
【図４７】図４７は、エコロジー・エネルギー・システム（吉野一虎宇宙世界皇帝の宇宙戦争ストーリー）のイメージ概念図である。 ロケット・ロボット・人工知能・ビジネスの開発。それを現実化するための資本獲得のための、プロモーションビデオ用・宣伝用・映画用（吉野エミリー女王の映画製作、SF（スペースファンタジー、サイエンスフィクション））・現実化用のストーリー。 第一章吉野カズトラ宇宙世界皇帝の日本食の進め吉野カズトラ宇宙世界皇帝は、日本の森林(特に、杉の森林)を、伐採して、花粉対策をして、杉から日本食用の高級なお箸(はし)を大量生産して、日本食の市場進出を進めながら、海外市場に日本食とお箸を販売して、利益を得ていたのである。吉野カズトラ宇宙世界皇帝は、元々、数学、物理学、エネルギー工学、生物学、生化学、遺伝子工学、システム工学、農業ロボット工学、軍事ロボット工学のエキスパートだったので、日本食の生産販売が上手で、弁当等の日本食の国際ネットワークを築くことが出来たのである。 ・・・。続く。 第二章吉野カズトラ宇宙世界皇帝のゴースト戦略と吉野カズトラ宇宙世界皇帝の新エネルギー戦略 第二次世界対戦の延長戦が、朝鮮戦争、ベトナム戦争、冷戦、湾岸戦争、対テロ戦争であった。ヒロヒト、山本イソロク、吉野幸信の遺言が、ゴースト戦略として、吉野カズトラ宇宙世界皇帝に、受け継がれていた。吉野カズトラ宇宙世界皇帝のグループは、政府側(北朝)と、反政府側(南朝)に、二分して行った。 吉野カズトラ宇宙世界皇帝は、秘密警察捜査官達を配備して、自衛隊の内部に核心的な右翼、警察の内部に、革新的な右翼を潜入させて、国際的な警察右翼ネットワークを、構築していた。吉野カズトラ宇宙世界皇帝の直属の部下達を、警察や自衛隊にすることによって、吉野軍事グループの部隊の訓練費を、国に持たせれたためである。吉野カズトラ宇宙世界皇帝は、アメリカ軍、スカルアンドボーン、フリーメイソン、帝国軍、ネオナチス、自衛隊、韓国軍、サムスン、ロシア軍の連携を計り、アメリカ軍のスカルアンドボーンに、世界征服をさせて、日本の自衛隊右翼に後始末をさせた。 吉野カズトラ宇宙世界皇帝は、吉野カズトラ宇宙世界皇帝の反政府側のグループを、自衛隊、警察に配備した。日本の自衛隊と警察ネットワークにアメリカの警察ネットワークも加わり、911(アメリカ警察の電話番号の日にち)に、アメリカ合衆国で警察革命が起きた。背後には、アメリカ軍のスカルアンドボーンがいたが、日本のある怪盗団、アルカイダ(裏社会の犯罪ネットワーク)が、背後にいるように、情報操作されていた。 吉野カズトラ宇宙世界皇帝は、吉野カズトラ宇宙世界皇帝の政府側のグループを、政府、政党に配備した。しかし、自由民主党(北朝:アメリカ側)、民主党(南朝:中国側)で、政治的な対立も起きた。民主党革命により、一時、民主党が優位に立ったが、自由民主党が、革命返しをした。 自由民主党と民主党の対立を始め、南北朝で、幾つも主義・立場の対立が起きた。特に、TPPの参加交渉についてでさえ、国を二分する対立が、起きたのである。吉野カズトラ皇帝国は、新南北朝時代に突入した。このことにより、皆が激しい暴風と荒波のなかを航行するような状況になっていった。吉野カズトラ宇宙世界皇帝は、楽天家な���で、暴風を風力発電に用いて、荒波（海流）を海洋発電に用いようとしていた。吉野カズトラ宇宙世界皇帝は、勿論、（宇宙）太陽光エネルギー発電も進めていた。これが、吉野カズトラ宇宙世界皇帝の新エネルギー革命である。 吉野カズトラ宇宙世界皇帝は、吉野カズトラ宇宙世界皇帝の名言、『日は、又、昇る。』と言った。これは、日本が、再び世界の中心になり、日本の先端技術が、進み、日本が復興して、Made In Japanが、世界で求められる有名ブランドになることを、示唆していたのである。 吉野カズトラ宇宙世界皇帝は、新エネルギーの開発、エコロジー・システムの開発、（宇宙）太陽光発電システムの開発と改善を、着実にコツコツ、進めていた。・・・・。続く。 Yoshino Universe ・・・ Yoshino UniverseKazutora YoshinoUniverse EmpireKazutora YoshinoEmperor's PowerTomoko Yoshino Queenvs Rebecca Haru Yoshino QueenLovely, Tomoko Yoshino Queen vs Rebecca HaruYoshino Queen 吉野カズトラ宇宙世界皇帝の影響力と支配力は、絶大である。 吉野友子女王と、吉野レベッカハル女王が、吉野カズトラ宇宙世界皇帝の継承戦争を始めていた。特に、バイオ・ウォー・フェアが、激戦化していた。吉野友子女王学派は、ロシアの生物兵器開発の学者連合で、生物の知識のある大人数だった。吉野レベッカハル女王学派は、アメリカ合衆国の生物兵器開発の学者連合で、少人数で生化学・分子生物学・バイオインフォマティクスなどで洗練された学者達だった。吉野信法皇学派は、日本と中国の学者達で、初めの頃は、対岸の火事のように、この戦いを傍観していることが多かったが、徐々に、この戦いに巻き込まれて行った。・・・ 吉野エミリー女王学派は、宇宙開発、吉野クリスタル女王学派は、ロケット・スペースシャトル等の開発、吉野アシュレー女王学派は、スペースステーション・ドラゴン等の開発をしていたので、この戦いに、巻き込まれないで済んだ。・・・ 吉野友子女王学派は、日本の医師会（タケダ派）を作り反政府団体（政府・政党・病院、等に入り込んだ暗殺部隊）を組織して、吉野レベッカハル女王学派は、日本の歯科協会（タカダ派）を作り反政府団体（政府・政党・歯医者、等に入り込んだ暗殺部隊）を組織した。ここに、医師会（タケダ派）と、歯科協会（タカダ派）の戦いが始まっていた。タケダ派とタカダ派は、日本政府、アメリカ合衆国政府にまで浸透して行き、アメリカ合衆国政府では、タケダ派は、鳩派、タカダ派は、鷹派と、呼ばれた。鳩派も、鷹派も、ターゲットの人物を殺害する方法を幾つか持っていた。鳩派は、危険な薬等を、投与したり、必要な薬を十分に投与しないでターゲットを殺害することが多かった。特に、結核治療に見せかけて、十分な抗生物質を投与せずに、わざと抗生物質耐性細菌を作り、ターゲットの人物を殺害することが多かった。鳩派は、中耳炎の細菌を品種改良・遺伝子組み換えをして、殺人細菌・殺人ウイルスを作り、ターゲット人物の耳に移植した。鷹派は、胃の中にいる細菌で、虫歯菌になる細菌を品種改良・遺伝子組み換え等して、殺人虫歯菌、殺人ウイルスなどを作り、ターゲット人物の虫歯治療の際に、殺人虫歯菌や殺人ウイルスを健康な歯や虫歯になりそうな歯に移植した。殺人虫歯菌や殺人ウイルスは、口に蔓延りドライマウス、鼻に入りドライノーズ、目に入りドライアイ���原因になったりして、脱水症状を引き起こして行った。殺人虫歯菌や殺人ウイルスは、徐々にターゲット人物の健康体を侵食して行き、極度の脱水症状などによって、死に至らせた。銃を持つ警察、重兵器（アンティーク・ウェポン）を基軸とした自衛隊などは、このバイオ・ハザードに対して、殆ど無力であった。・・・ 日本の政治家（自民党）たちは、医師会（タケダ派）とグルで、日本の弁護士会（民主党、共産党）は、歯科協会（タカダ派）とグルで、ターゲットの人物が、攻撃をしてきた人達に反撃したり訴えられないように、暴力行為に出て、ターゲットの人物を直接殺そうとしたり、ターゲットの人物の心理操作、等をしていた。・・・ これに対して、吉野カズトラ宇宙世界皇帝の指導のもと、日本政府の社民党の協力を得て、吉野綾子将軍、吉野世礼菜副将軍による、新たな生物兵器戦闘部隊（政府・政党・環境省・農林水産省、市役所農政課、農業委員会、農業組合、等に入り込んだ暗殺部隊）が形成された。これが、アンブレラ・コーポレーションであり、新技術金属農業開発の基軸となった組織である。アンブレラ・コーポレーション（Ｌｕｍｙ、ＬＤＩ、Ｌｕｍｏｒｅ、・・・）は、アンブレラ基金を持ち、貴金属の販売ネットワークを持ち、トラクターや人工知能塔載の農業用ヘリコプターや農薬散布用爆撃型戦闘飛行機、スカイカーズ、（天候、天気予報）気象衛星用軍事衛星などの農業設備の開発を管理して、稲や麦などの農作物を侵食する細菌、ウイルス、カビ等やその抗菌物質、抗菌遺伝子配列、等を研究開発・管理していた。・・・ この戦いは、日本と中国の尖閣諸島問題、アメリカ軍の普天間基地移設、TPPへの参加交渉、日華思想・入間（航空自衛隊）基地優位主義、を起爆剤として、激戦化して行った。アメリカ軍とロシア軍の第一次冷戦から、アメリカ＋日本＋韓国  ｖｓ  北朝鮮＋中国  の第二次冷戦に入って行き、第二次朝鮮戦へと発展して行った。しかし、吉野カズトラ宇宙世界皇帝を尊敬する北朝鮮は、日本側に協力することになり、形成は、アメリカ＋日本＋韓国＋北朝鮮  ｖｓ  中国となってしまい、次第に、世界の中心が、吉野カズトラ宇宙世界皇帝が司令塔として用いている日本・日本政府（特に、入間（航空自衛隊）基地）になって行った。吉野カズトラ宇宙世界皇帝を尊敬する中国は、日本との良好な関係を維持することを決め、第二次冷戦（裏の第三次世界大戦）だけで済み、結果として、（表の）第三次世界大戦は、回避することができた。しかし、むしろ、TPPなどの関連で、アメリカ合衆国とカナダの間で、内部抗争が起こり、ロシアが暗躍したので、戦場は、アメリカに、なって行った。アメリカが戦場になり、アメリカ合衆国は、約２６０年の間戦い続けたが、アメリカ合衆国は、荒廃し始めていて、もはや、スーパーパワーを失って、アメリカ合衆国は、崩壊した。しかし、後に、アメリカ大陸（今のアメリカ合衆国＋カナダ＋メキシコを合わせた領域）に、吉野クリスタルヒカリ女王国（光の国）が、建国されて、吉野クリスタルヒカリ女王の残した威力と威厳とパワーとフォースの基に復権して、吉野ファミリーの基に、光の国（アメリカ）は、スーパーパワーを再度獲得した。・・・ 続く。 Yoshino UniverseKazutora YoshinoUniverse EmpireKazutora YoshinoEmperor's Unified Story,Lovely,
【図４８】図４８は、エコロジー・エネルギー・システム（吉野一虎宇宙世界皇帝の宇宙（ロケット・ロボット）戦争ストーリー）のイメージ概念図である。 Yoshino UniverseKazutora YoshinoUniverse EmpireEmily Yoshino SpaceFantasy, Science Fiction, ..., Story, to Real ...Lovely, 第三章：吉野一虎宇宙世界皇帝の宇宙（ロケット・ロボット）戦争ストーリー（吉野カズトラ宇宙世界帝国の宇宙戦争）
【図４９】図４９は、エコロジー・エネルギー・システム（吉野一虎宇宙世界皇帝の発電システム（創生記））のイメージ概念図である。 Yoshino UniverseKazutora YoshinoUniverse EmpireKazutora YoshinoEmperor's Energy System (Genesis)Lovely, 風力エネルギー、太陽光エネルギー、海洋エネルギーで、発電する。発電の際の、ビジネス・モデルである。 （I）海辺近くの土地を獲得（購入）して、風力発電とか太陽光発電を行う。（＋火力発電）。（II）船を作り、風力発電とか太陽光発電を行う。（＋火力発電）。（III）洋上に、風力発電システムを作る。（IV）海洋（海流）を用いて、発電する。 Yoshino UniverseKazutora YoshinoUniverse EmpireKazutora YoshinoEmperor's Business Model (Strategy)Lovely, ３Dシステム（３Dペン、等）や、映画（２D／３D）などで得た利益を、発電システムを作ることに用いる（宇宙（核）ロケット、USES（USEN）の準備段階）。発電システムなどで得た利益で、宇宙開発（宇宙（核）ロケット、宇宙ロボット、等）の研究開発をする。宇宙開発で、得た利益で、若返り（再生医療、アンチエイジング、等）の研究開発をする。 基本マップ： 海水  →（太陽光（太陽光パラボラミラー、太陽光パネル）、風力、ガス、石油、等のエネルギー）→  （スチーム）（熱）発電  （蓄電・送電）→  塩＋飲料水  （→オプションとしてエネルギー資源生産保存：水素＋酸素） Yoshino UniverseKazutora YoshinoUniverse EmpireKazutora YoshinoEmperor's Computer Energy Organization SystemLovely,  本発明の発電システム、コンピューター等の数学的な処理法歩によって、出来るだけ早急に、最適値、最適化（方法）、最適ネットワーク、最適システムなどを選ぶ。 Yoshino UniverseKazutora YoshinoUniverse EmpireKazutora YoshinoEmperor's Wind EnergyLovely, 風力発電について： 風力発電システム（風車）は、プロペラの角度、発電機の内部設定（機能）、ギヤ比率、慣性モーメント（角運動保存用ウェイト）、ネットワークなどを変化させることが可能である発電システムであってもよい。風力発電システム（風車）は、風の波形を、フーリエ変換、離散フーリエ変換、正規直交変換、ウェーブレット変換、SVD変換、等して、特徴抽出をする。ジェネティック・アルゴリズム、ノン・パラメトリック法、クラスタリング、自己相関関数法、Q-ラーニング、ニューラル・ラーニング・メソード、等の最適値自己検索アルゴリズムによって、最適な向き（方向）や、羽の角度、ネットワーキングの最適化などを、見つける。人間による、パラメトリック法、若しくは、最適化を自己学習した風力発電システムユニット（風車）は、パラメトリック法や、ニューラル・ネットワーキング・メソードなどを用いて、他の風力発電システムユニット（風車）を、教育して最適化する。センターユニットは、ネットワーク全体が、最適化されるように調整する。この際、其々のユニットは、風の向き（方向）やその他の条件によって、様々にセットされていても良い。 Reference: ISBN4-7898-3715-7
【図５０】図５０は、エコロジー・エネルギー・システム（吉野一虎宇宙世界皇帝の宇宙（核ロケット・核開発）戦争ストーリー）のイメージ概念図である。Yoshino UniverseKazutora YoshinoUniverse EmpireKazutora YoshinoEmperor's Atomic Bio Chemical StrategyRegards, 第ニ章（詳細） 吉野カズトラ宇宙世界皇帝の指導のもと、日本は、再生可能エネルギーの開発を進めて、平和が広がり、経済進展の兆しが出始めていた。しかし、エネルギーシステムの在り方に、原子力を組み入れる必要があるような方向に、国際的な政治の動向は、動いて行ったのである。これは、北朝鮮が、自国で採掘できる膨大な量（大量）のプルトニウム等の核物質を用いて、核開発（特に、核（燃料）ロケット（原子力ロケット）と原子炉の研究開発）を進めていた為である。各国（ある領域）について、利用できるエネルギー量と、経済発展は、ある程度比例するので、北朝鮮の膨大なプルトニウムを用いる核エネルギー活用により、北朝鮮とアジア（全体領域）の経済発展が見込めた。しかし、核エネルギーを、核爆弾などの製造に用いすぎると、エネルギーの安全な社会利用解放率が微妙になるので、核爆弾の製造は、他の古代兵器（一般的な重兵器）の軽減に繋がるレベルにだけして、残りは、原子炉等の開発・製造に向けられて、経済発展のために用いられて、これにより、北朝鮮は、もはや、アメリカ合衆国の援助を要求しなくても自国で経済を発展させることが可能になった。しかし、アメリカ合衆国、韓国政府は、北朝鮮に懐疑的だった。そして、アメリカ合衆国は、B2爆撃機やF22を、朝鮮半島付近で、軍事演習飛行させて、北朝鮮を牽制・挑発した。このため、北朝鮮は、アメリカ合衆国の同盟国の日本、特に、日本の主要基地に、核爆弾を射ち込むことが可能であることを示唆した。アメリカ合衆国、ロシア、中国、北朝鮮、韓国、日本、ヨーロッパ、インド、ブラジル、等は、国際世論のこともあり、表では、遺伝子組み換え技術などを用いて、（農業）遺伝子組換新製品戦争を始めていて、アメリカ合衆国の農業は、TPPなどで日本の農業を飲み込もうとしていた。裏では、各国と秘密結社は、遺伝子設計技術などを用いて、生物兵器等を製造して、鳥インフルエンザ（Ｈ７Ｎ９ウィルス）等に見せかけて、敵国に空中散布したりして、闇での戦いを激化させていたのである。吉野カズトラ宇宙世界皇帝は、核兵器と生物兵器と化学兵器の三つを合わせて、ＡＢＣ兵器(ABC Weapons)と呼んでいた。又、吉野カズトラ宇宙世界皇帝は、遺伝子操作をして、成長ホルモン遺伝子を大量に組み込んでいるため成長速度が速く、体が強靭なクローン軍団を作っていた。クローン軍団は、また、病原菌などに対する耐性遺伝子を組み込まれていたので、生物兵器戦争でも、殆ど、病気にならなかった。吉野カズトラ宇宙世界皇帝を皇帝として、吉野信法王を朝廷の天皇として、吉野カズトラオリジナルファミリー（皇族（天皇家）である吉野エミリー女王、吉野クリスタルヒカリ女王、吉野アシュレーアヤメ女王、吉野レベッカハル女王）によって、征夷大将軍（鳳凰軍）が、任命されて、左大臣（佐上家）と右大臣（宮本家）と財務大臣（クウィーン家）と経済産業大臣（ヒッチンズ家）が任命された。吉野レベッカハル女王が指導者（リーダー）として吉野ファミリーが組織した反政府軍（南朝）は、クローン軍団を用いて、素早く、政府軍（北朝）を、討ち破り、即座に、吉野カズトラ宇宙世界皇帝国を樹立した。吉野カズトラ宇宙世界帝国は、国際的にも進軍して、宇宙世界を名実ともに、より強靭に支配することになった。・・・。続く。
【図５１】図５１は、エコロジー・エネルギー・システム（吉野一虎宇宙世界皇帝の宇宙戦争の際のクリーンルーム・シェルター）のイメージ概念図である。 Yoshino UniverseKazutora YoshinoUniverse EmpireKazutora Yoshino Emperor'sClean Room ShelterRegards, 第ニ章（詳細：続き） 吉野カズトラ宇宙世界皇帝は、生物兵器戦線において、アンブレラ・コーポレーションを用いて、クリーンルーム・シェルターを作っていた。クリーンルーム・シェルターでは、プラズマイオン空気清浄機による空気清浄と同時に、高周波（パルス）レーザー（紫外線、Ｘ線、γ線、等）などによるレーザー照射（レーザー走査）によって、殺菌がなされ、基本的には、花粉、ダスト、細菌、病原菌、ウィルス、ダニ、カビ、等は、排除されたり死滅させられて、クリーンルーム・シェルターは、常時（定期的に）、綺麗な状態にさせられていた。サイドのルームでは、花粉タンパク質を含む米（花粉症対米）や食べ物（スナック、等）が食べれたり、アレルギーの原因となる物質の少ない食べ物を食べれたりして、アレルギー対策もなされていた。中間ルームでは、人の肌等に付着した病原菌を殺菌するシステムになっていた。しかし、病原菌に感染して不治の病になって病人化すると（感染者になると）、レーザー出力が強いレーザーカッターのようになり、クリーンルーム・シェルターで、病人（感染者）を切り刻み処刑して、高温・高圧の焼却炉として、肉片を燃焼することにより、病原菌の更なる感染を妨げるシステムにもなっていた。このため、クリーンルーム・シェルターに、入った人は、生物兵器戦争が終わるまでは、クリーンルーム・シェルターから、出れない確率が高く、クリーンルーム・シェルターは、処刑場とか強制収容所とかナチュラル・ボーン・キラー・システムと揶揄されることが多く、人々は、クリーンルーム・シェルターに入りたがらず、感染者達は、病原菌に感染していることを隠し通そうとしていたが、健康管理システムによる定期健診ロボットが、人々の感染状況を常にモニタリングしていたので、基本、逃げることは難しかった。また、知能が高くなるように遺伝子操作されて、また、病気にかからないように遺伝子操作されたチンパンジーが、作られ、人工知能ロボットと共に、人々を管理するようなシステムにもなっていた。スカイネット・システムは、ターミネーター・ロボットやＴ１０００・ロボットなどのロボットを用いて、人々を強制収容して、健康者と感染者を分別して、シェルターに入れた。健康者の中で、病原菌に対する抗体（免疫）を持つ遺伝子配列を持つ人々は、ポルタトーリと呼ばれ、その中でも、殆ど病気に掛らない人々は、ロボット・パイロットとして、選ばれて、その中でも特に戦闘能力が高い人々が、ガンダム・マイスターとして選ばれた。ガンダム・マイスターの中で、未来を読める能力を持つ（先見の明を持つ）人々は、ニュータイプと呼ばれ、アリス計画（吉野タイムマシンによる未来予知システムと未来操作（フューチャー・オペレーション））の一部になった。人々は、比較的病原菌の少ない宇宙空間で戦闘するようになり、徐々に、宇宙戦争は、激化して行った。・・・続く。
【図５２】図５２は、エコロジー・エネルギー・システム（吉野一虎宇宙世界皇帝のストーリー・メイキング・メソード）のイメージ概念図である。 Yoshino UniverseKazutora Yoshino Universe EmpireKazutora Yoshino Emperor's Story MakerLovely, 吉野カズトラ宇宙世界皇帝のストーリー・メイキング・メソード（クッキー映画（ストーリー）作成方法）： 映画（ストーリー）（３Dゲーム、等）を作成して、エネルギー（発電所）を作り、核ロケットの研究開発などを行う。この際、映画（ストーリー）（３Dゲーム、等）のコストパフォーマンスを向上させるためには、システマティックな方法で、キャラクターやストーリーなどの作成を効率良く工業的にできるのが好ましい。 （０）音楽の作成（例えば、自分で作曲したり、コンピューターがクラシック音楽理論、ランダム機能、などを用いて作ったパーツや音楽を組み合わせたりして自動で音楽を作る。）（１）キャラクター・オブジェクト（型、金型、等）を作成する。（２）ストーリー・オブジェクト（テンプレート）（ドー（小麦粉）シート、等）を作成する。（３）ストリー・ミキサーで、混ぜる。        ストーリー・オブジェクトに、キャラクター・オブジェクト（型）を型取り、ストーリーにキャラクターを入れる。        （キャラクター・クッキー（キャラクター・インスタンス）を作り、ストーリーのプロット（論理）を改善（調整する）。）（４）同様な方法で、キャラクターに合わせたストーリー（の詳細）を付加する。        この際、        ４メソード（起承転結）        ４ｘ４メソード（起承転結ｘ起承転結）、等を用いると、ストーリーの展開が合理的になり効果的になるので好ましい。（５）ビデオ（プロモーションビデオ、等）、映画、シミュレーション、コンピューターゲーム、３DOS、等を作成する。（人物映像とCGを合わせたりするのも可能である。） p.s.  シミュレーション、コンピューターゲーム、３DOS、等の作成の際は、ソフトウェア（キャラクター＋環境＋等）をオブジェクト・オリエンテッド・プログラムで、作れば、効率良く、ストーリー（展開）が可能になる。
【図５３】図５３は、エコロジー・エネルギー・システム（吉野一虎宇宙世界皇帝のエネルギー・エレクトリシティー・ジェネレーター・システム）のイメージ概念図である。 Yoshino UniverseKazutora YoshinoUniverse EmpireKazutora YoshinoEmperor's Wind EnergyLovely, 太陽光発電（スチーム発電）、風力発電、海洋力発電、核反応発電（原子炉発電、核融合炉発電、などによるスチーム（ガス）発電）等の発電機システム。 E = N*B*l*r*(2pi*f)Air Power = Ao*(rp^3)*roair*Npropeller*|Vw|^2  if the ratio of propeller radius andwidth is uniquely set (fixed). プロペラを回転させる。回転軸についているコイル（＋オプション：鉄心）が回転する。磁石（磁場）の内部に位置する前記コイルの回転により、マクスウェルの方程式によって電場が誘導されて起電力を発生させる。バッテリーに充電して、インバーターで、交流にする。オプションとして、トランスフォーマーで、電圧・電流の調整をする。１００V、５０Hzに会うようにするため、増速機のギヤ比率（１：１）〜（６：１）〜（２４：１）ぐらいを適宜とする（最良の形態では、（２４：１））。例えば、最良の形態では、N*B=40, l=0.2m, r=0.1m, f=200Hzであり、プロペラの羽根の形が、示されている（プロペラのサイズは、0.9m x 0.013m x 1m ぐらい。プロペラ半径（約）1m ~ 2m）。プロペラの角度の調整が可能になるようにしても良い。プロペラ角度のレンジは、約１０°〜１４°〜３０°〜４５°〜５５°〜８０°ぐらいである（最良の形態では、風とプロペラの角度が約14°〜45°ぐらいで調整するのが良い）。風力Vw = 3m/s ~ 10m/sで、約1 ~ 2kW（ぐらい）以上の発電量を見込める。
【図５４】図５４は、エコロジー・エネルギー・システム（吉野一虎宇宙世界皇帝のエネルギー・エレクトリシティー・ジェネレーター・システムの製造方法（作り方））のイメージ概念図である。 Yoshino UniverseKazutora YoshinoUniverse EmpireKazutora YoshinoEmperor's Wind EnergyLovely, 太陽光発電（スチーム発電）、風力発電、海洋力発電、核反応発電（原子炉発電、核融合炉発電、などによるスチーム（ガス）発電）等の発電機システム。 ０．素材（角材）をプロペラの羽根の厚型に切り出す。１．素材（プロペラの羽根の厚型）を、３枚のプロペラの羽根の薄型に切る。２．素材（プロペラの羽根の薄型）を、其々、削り、プロペラの羽根（完成型）にする。３．センター（三角形型センターユニット）を作る。４．プロペラの羽根を、センター（三角形型センターユニット）に取り付ける。５．増速機、発電機を作り、台（軸）に取り付ける。６．キャップ＋プロペラ＋増速機＋発電機を取り付ける。７．バッテリー＋インバーターを取り付ける。（オプション）８．風力発電をする。
【図５５】図５５は、エコロジー・エネルギー・システム（吉野一虎宇宙世界皇帝のYoshino Universeのエネルギー・エレクトリシティー・ジェネレーター・システム（風力発電システム）の宣伝用（イメージと）ロゴ）のイメージ概念図である。 Yoshino UniverseKazutora YoshinoUniverse EmpireKazutora YoshinoEmperor's Wind EnergyLovely, Yoshino Universeのエコロジー・システム（・アプリケーション）の促進のイメージ。『風力発電（エコロジー・システム）と鳥（自然）が、風と共に生きる。』（キャッチフレーズ） 発電効率が良い（効果的な）風力発電（機）システム（の（美的）デザイン（設計））である。
【図５６】図５６は、エコロジー・エネルギー・システム（吉野一虎宇宙世界皇帝のYoshino Universeのエネルギー・エレクトリシティー・ジェネレーター・システム（風力発電システム）のストーリー）のイメージ概念図である。 Yoshino UniverseKazutora Yoshino UniverseEmpireKazutora YoshinoEmperor's Wind EnergyLovely, ４ｘ４（起承転結ｘ起承転結）のウィンド・エネルギー・ストーリー（のテンプレート）である。（例えば、吉野エミリー女王を主役として、吉野クリスタルヒカリ女王、吉野アシュレーアヤメ女王、吉野レベッカハル女王を準主役として、『風力発電（機）と蜂鳥のストーリー（会話）、・・・』、等のストーリー、スクリプト（脚本）、映画、等が作成できる。）
【図５７】図５７は、エコロジー・エネルギー・システム（吉野一虎宇宙世界皇帝のエネルギー・エレクトリシティー・ジェネレーター・システムの製造方法（作り方：その２））のイメージ概念図である。 Yoshino UniverseKazutora YoshinoUniverse EmpireKazutora YoshinoEmperor's Wind EnergyLovely,０．素材を斜め（角度も斜め）に切る。１．切り口を切り取り、更に角度をつける。２．接着剤で接着したりネジなどで繋ぎ合わせる。３．削ってプロペラの羽根の形（型）を作る。４．型（フラン樹脂、コンクリート、金型、等）を作る。５．プラスチックとか金属で、羽を作る。６．キャップ＋プロペラ＋増速機＋発電機＋ポールで、風力発電機を作る。７．発電する。
【図５８】図５８は、エコロジー・エネルギー・システム（吉野一虎宇宙世界皇帝のエネルギー・エレクトリシティー・ジェネレーター・システムの製造方法（作り方：その３））のイメージ概念図である。 Yoshino UniverseKazutora YoshinoUniverse EmpireKazutora Yoshino Emperor'sWind EnergyLovely, ０．素材をプロペラの羽根の形の元（型）に切る。１．プロペラの羽根の形の元（型）削って、プロペラの羽根の形の原型（型）を作る。２．アルミ箔で包む（敷く）。３．カーボンファイバー（東レ、等）などの布で包む（敷く）。４．樹脂を塗る。（ウレタン樹脂、等）５．アルミ箔で包む（敷く）。６．ステンレス棒などを入れる。エポキシ樹脂などの接着剤で固める。オプションとして、穴をあけたところにネジ留めをする。７．オプションとして、発泡スチロールに（木工用）ボンドなどを混ぜてプロペラの羽の中に注入する。８．プロペラの羽を組み合わせて、削ったり（バリ取りしたり）して綺麗にして、センター（センター・パーツ）と組み合わせる。９．キャップ＋プロペラ＋増速機＋発電機＋ポールで、風力発電機を作る。１０．発電する。
【図５９】図５９は、エコロジー・エネルギー・システム（吉野一虎宇宙世界皇帝のエネルギー・エレクトリシティー・ジェネレーター・システム）のイメージ概念図である。 Yoshino UniverseKazutora Yoshino UniverseEmpireKazutora YoshinoEmperor's Wind EnergyLovely, Yoshino UniverseKazutora YoshinoUniverse EmpireKazutora YoshinoUniverse Emperor's Electricity Generator and/or MotorLovely, 太陽光発電（スチーム発電）、風力発電、海洋力発電、核反応発電（原子炉発電、核融合炉発電、などによるスチーム（ガス）発電）等の発電機システム。 二相、三相、・・・、多相の発電機／モーター。 E=-CN(dB/dt)のN(dB/dt)が、最大（／適宜）になるように設計する。 発電機とモーターは、同じ形態（／似たような形態）であり得て、発電機（力→電力）とモーター（電力→力）のインバース・変換であり、ダイオード、コンデンサー、電池、抵抗、インダクター（コイル）、などの適宜な回路との組み合わせによって、力を発電機を用いて電力に変換して充電池を充電して、充電器の電力をモーターを用いて力に変換して用いることが可能である。 設計した風力発電機は、１ｋW〜２０ｋW以上、可能である。設計した太陽光発電システムは、１０ｋW以上、可能である。
【図６０】図６０は、エコロジー・エネルギー・システム（吉野一虎宇宙世界皇帝の吉野一虎宇宙世界皇帝の（第二次宇宙戦争）生化学兵器と核兵器）のイメージ概念図である。 Yoshino UniverseKazutora YoshinoUniverse EmpireKazutora YoshinoEmperor's Universal Wars II (Star Wars (Bio Hazard))Regards,第二次宇宙戦争（とそのストーリー）の概要。 吉野カズトラ宇宙世界皇帝の覇権継承戦争が、宇宙戦争であるが、吉野友子女王優位の第一次宇宙戦争と、吉野レベッカハル女王優位の第二次宇宙戦争の時期に、区分されている。 第一次宇宙戦争の頃は、吉野友子女王（学派）は、H5N1型ウィルス（強毒性）や、H7N9型ウィルス（弱毒性）の自然界に存在する鳥インフルエンザとそのミューテーションを用いて、（H5N1:鳥→人）や（H7N9:人→人）等の感染ルートを用いて、敵国の都市や政府を攻撃することが多かった。しかし、生化学、遺伝子工学、分子生物学、ナノテクノロジー、等の知識と応用（アプリケーション）に長けている吉野レベッカハル女王は、より一層強力な生化学兵器や核兵器の開発をして、敵国（全域）を攻撃した。これが、第二次宇宙戦争である。H5N1（強毒性）とH7N9（人→人）の遺伝子を掛け合わせて出来たのが、生化学兵器（インフルエンザ・ウイルス）I5Z1S97I（強毒性、人→人）である。この中で重要な遺伝子ストランド（毒物製造遺伝子）を抽出したのがI5Z1S97I（液体、粉（固体）、ガス、遺伝子体、（生）化学物質、等の形態）である。これによって製造された毒物がS97I I5Z1である（通称：12345）。I5Z1S97Iは、ダスト（毒）として、空気、水、川、湖、海、石、家、部屋、病院、電車、駅、鳥、動物、自然、植物、感染病、細菌、ウィルス、ダスト（埃）、カビ、ダニ、うどんこ病、直接感染、人、等のルートを通って、人に感染した。反政府主義の医者達は、I5Z1S97Iについての診断を曖昧にしたので、人→人によって（バイオハザード）アウトブレークが起きた。又、I5Z1S97I（12345）、トリカブト毒、河豚毒、毒キノコ、等を用いて、忍者（達）は毒入りうどん、ホワイトスーツ（達）は毒入りタイ（魚）などを作り、ターゲット人物（敵）を毒殺して行った。・・・。続く。
【手続補正２】
【補正対象書類名】図面
【補正対象項目名】図２０
【補正方法】変更
【補正の内容】
【図２０】
2018048555.tif 000524
【手続補正３】
【補正対象書類名】図面
【補正対象項目名】図２１
【補正方法】変更
【補正の内容】
【図２１】
2018048555.tif 000525
【手続補正４】
【補正対象書類名】図面
【補正対象項目名】図２２
【補正方法】変更
【補正の内容】
【図２２】
2018048555.tif 000526
【手続補正５】
【補正対象書類名】図面
【補正対象項目名】図２３
【補正方法】変更
【補正の内容】
【図２３】
2018048555.tif 000527
【手続補正６】
【補正対象書類名】図面
【補正対象項目名】図２４
【補正方法】変更
【補正の内容】
【図２４】
2018048555.tif 000528
【手続補正７】
【補正対象書類名】図面
【補正対象項目名】図２５
【補正方法】変更
【補正の内容】
【図２５】
2018048555.tif 000529
【手続補正８】
【補正対象書類名】図面
【補正対象項目名】図２６
【補正方法】変更
【補正の内容】
【図２６】
2018048555.tif 000530
【手続補正９】
【補正対象書類名】図面
【補正対象項目名】図２７
【補正方法】変更
【補正の内容】
【図２７】
2018048555.tif 000531
【手続補正１０】
【補正対象書類名】図面
【補正対象項目名】図２８
【補正方法】変更
【補正の内容】
【図２８】
2018048555.tif 000532
【手続補正１１】
【補正対象書類名】図面
【補正対象項目名】図２９
【補正方法】変更
【補正の内容】
【図２９】
2018048555.tif 000533
【手続補正１２】
【補正対象書類名】図面
【補正対象項目名】図３０
【補正方法】変更
【補正の内容】
【図３０】
2018048555.tif 000534
【手続補正１３】
【補正対象書類名】図面
【補正対象項目名】図３１
【補正方法】変更
【補正の内容】
【図３１】
2018048555.tif 000535
【手続補正１４】
【補正対象書類名】図面
【補正対象項目名】図３２
【補正方法】変更
【補正の内容】
【図３２】
2018048555.tif 000536
【手続補正１５】
【補正対象書類名】図面
【補正対象項目名】図３３
【補正方法】変更
【補正の内容】
【図３３】
2018048555.tif 000537
【手続補正１６】
【補正対象書類名】図面
【補正対象項目名】図３４
【補正方法】変更
【補正の内容】
【図３４】
2018048555.tif 000538
【手続補正１７】
【補正対象書類名】図面
【補正対象項目名】図３５
【補正方法】変更
【補正の内容】
【図３５】
2018048555.tif 000539
【手続補正１８】
【補正対象書類名】図面
【補正対象項目名】図３６
【補正方法】変更
【補正の内容】
【図３６】
2018048555.tif 000540
【手続補正１９】
【補正対象書類名】図面
【補正対象項目名】図３７
【補正方法】変更
【補正の内容】
【図３７】
2018048555.tif 000541
【手続補正２０】
【補正対象書類名】図面
【補正対象項目名】図３８
【補正方法】変更
【補正の内容】
【図３８】
2018048555.tif 000542
【手続補正２１】
【補正対象書類名】図面
【補正対象項目名】図３９
【補正方法】変更
【補正の内容】
【図３９】
2018048555.tif 000543
【手続補正２２】
【補正対象書類名】図面
【補正対象項目名】図４０
【補正方法】変更
【補正の内容】
【図４０】
2018048555.tif 000544
【手続補正２３】
【補正対象書類名】図面
【補正対象項目名】図４１
【補正方法】変更
【補正の内容】
【図４１】
2018048555.tif 000545
【手続補正２４】
【補正対象書類名】図面
【補正対象項目名】図４２
【補正方法】変更
【補正の内容】
【図４２】
2018048555.tif 000546
【手続補正２５】
【補正対象書類名】図面
【補正対象項目名】図４３
【補正方法】変更
【補正の内容】
【図４３】
2018048555.tif 000547
【手続補正２６】
【補正対象書類名】図面
【補正対象項目名】図４４
【補正方法】変更
【補正の内容】
【図４４】
2018048555.tif 000548
【手続補正２７】
【補正対象書類名】図面
【補正対象項目名】図４５
【補正方法】変更
【補正の内容】
【図４５】
2018048555.tif 000549
【手続補正２８】
【補正対象書類名】図面
【補正対象項目名】図４６
【補正方法】変更
【補正の内容】
【図４６】
2018048555.tif 000550
【手続補正２９】
【補正対象書類名】図面
【補正対象項目名】図４７
【補正方法】変更
【補正の内容】
【図４７】
2018048555.tif 000551
【手続補正３０】
【補正対象書類名】図面
【補正対象項目名】図４８
【補正方法】変更
【補正の内容】
【図４８】
2018048555.tif 000552
【手続補正３１】
【補正対象書類名】図面
【補正対象項目名】図４９
【補正方法】変更
【補正の内容】
【図４９】
2018048555.tif 000553
【手続補正３２】
【補正対象書類名】図面
【補正対象項目名】図５０
【補正方法】変更
【補正の内容】
【図５０】
2018048555.tif 000554
【手続補正３３】
【補正対象書類名】図面
【補正対象項目名】図５１
【補正方法】変更
【補正の内容】
【図５１】
2018048555.tif 000555
【手続補正３４】
【補正対象書類名】図面
【補正対象項目名】図５２
【補正方法】変更
【補正の内容】
【図５２】
2018048555.tif 000556
【手続補正３５】
【補正対象書類名】図面
【補正対象項目名】図５３
【補正方法】変更
【補正の内容】
【図５３】
2018048555.tif 000557
【手続補正３６】
【補正対象書類名】図面
【補正対象項目名】図５４
【補正方法】変更
【補正の内容】
【図５４】
2018048555.tif 000558
【手続補正３７】
【補正対象書類名】図面
【補正対象項目名】図５５
【補正方法】変更
【補正の内容】
【図５５】
2018048555.tif 000559
【手続補正３８】
【補正対象書類名】図面
【補正対象項目名】図５６
【補正方法】変更
【補正の内容】
【図５６】
2018048555.tif 000560
【手続補正３９】
【補正対象書類名】図面
【補正対象項目名】図５７
【補正方法】変更
【補正の内容】
【図５７】
2018048555.tif 000561
【手続補正４０】
【補正対象書類名】図面
【補正対象項目名】図５８
【補正方法】変更
【補正の内容】
【図５８】
2018048555.tif 000562
【手続補正４１】
【補正対象書類名】図面
【補正対象項目名】図５９
【補正方法】変更
【補正の内容】
【図５９】
2018048555.tif 000563
【手続補正４２】
【補正対象書類名】図面
【補正対象項目名】図６０
【補正方法】追加
【補正の内容】
【図６０】
2018048555.tif 000564
【手続補正書】
【提出日】平成25年4月8日(2013.4.8)
【手続補正１】
【補正対象書類名】明細書
【補正対象項目名】００１１
【補正方法】変更
【補正の内容】
【００１１】
【図１】図１は、エコロジー・エネルギー・システムのイメージ概念図である。
【図２】図２は、エコロジー・エネルギー・システムのイメージ概念図である。
【図３】図３は、エコロジー・エネルギー・システムのイメージ概念図である。
【図４】図４は、エコロジー・エネルギー・システムのイメージ概念図である。
【図５】図５は、エコロジー・エネルギー・システムのイメージ概念図である。
【図６】図６は、エコロジー・エネルギー・システムのイメージ概念図である。
【図７】図７は、エコロジー・エネルギー・システムのイメージ概念図である。
【図８】図８は、エコロジー・エネルギー・システムのイメージ概念図である。
【図９】図９は、エコロジー・エネルギー・システムのイメージ概念図である。
【図１０】図１０は、エコロジー・エネルギー・システムのイメージ概念図である。
【図１１】図１１は、エコロジー・エネルギー・システムのイメージ概念図である。
【図１２】図１２は、エコロジー・エネルギー・システムのイメージ概念図である。
【図１３】図１３は、エコロジー・エネルギー・システムのイメージ概念図である。
【図１４】図１４は、エコロジー・エネルギー・システムのイメージ概念図である。
【図１５】図１５は、エコロジー・エネルギー・システムのイメージ概念図である。
【図１６】図１６は、エコロジー・エネルギー・システムのイメージ概念図である。
【図１７】図１７は、エコロジー・エネルギー・システムのイメージ概念図である。
【図１８】図１８は、エコロジー・エネルギー・システムのイメージ概念図である。
【図１９】図１９は、エコロジー・エネルギー・システムのイメージ概念図である。
【図２０】図２０は、エコロジー・エネルギー・システムのイメージ概念図である。    本発明の図２０についての説明用のストーリ：吉野カズトラ宇宙世界皇帝は、吉野カズトラ宇宙世界皇帝国のエネルギーシステムを増強していた。 I.  宇宙太陽光発電システム（ソーラー（ユニット）サテライト）（USES）II.  宇宙太陽光電池製造システムIII.  宇宙核融合炉発電システムIV.  地上核融合発電システムV.  海上（海底）核融合発電システム 吉野カズトラ宇宙世界皇帝は、巨大な宇宙発電・太陽光エネルギー・送信システム（太陽の付近に宇宙太陽光人工衛星を配置）と受信システム（ロッキー山脈の頂にあるロッキーマウンテンナショナルパーク(Rocky Mountain National Park)や、アリゾナの砂漠、アラスカのマッキンレー山脈、サハラ砂漠、等）を作っていた。 吉野カズトラ宇宙世界皇帝は、また、宇宙での真空を利用して、（トカマク型）プラズマ封じ込め高温適圧の宇宙核融合炉を作ることを進めていた。 吉野カズトラ宇宙世界皇帝は、また、地上でプラズマ・イオン発電所を作り、プラズマ封じ込め高温適圧の宇宙核融合炉を運転していた。 吉野カズトラ宇宙世界皇帝は、また、海上で太陽光・風力・海洋エネルギー発電所を作り、海上（海底）核融合炉を運転していた。（核反応の事故に対して、比較的安全である） Reference:www.yoshinouniverse.comISBN0-8118-0897-1ISBN4-339-00552-5ISBN4-7853-6112-3
【図２１】図２１は、エコロジー・エネルギー・システムのイメージ概念図である。原子炉で、核燃料からエネルギーを取り出す。（オプション）再処理工場で、使用済み核燃料を、核燃料と核廃棄物（核のゴミ）に分離する。熱電発電（所）（システム）で、使用済み核燃料／核廃棄物（核のゴミ）からエネルギーを取り出す。使用済み核燃料／核廃棄物（核のゴミ）を、水、フィルム（紙）、金属（鉛、等）で囲み、放射能について封印するが、熱が出てくるのを、熱電発電で、電気エネルギーに、変換するシステム。
【図２２】図２２は、エコロジー・エネルギー・システム（日本の防衛システム）のイメージ概念図である。核燃料（プルトニウム、ウラン、等）などの核物質など、戦略的エネルギー物質を、日本に集める。核燃料・核爆弾・核廃棄物（核のゴミ）を、１．平和なら、平和利用する。（核エネルギーによって（核（燃料）を熱源として）、熱電発電する。）２．戦争なら、敵国に打ち込む。（埼玉県入間市の入間航空自衛隊（防衛軍）の地下ミサイル発射基地から、大陸弾道ミサイルなどを発射する。吉野カズトラ宇宙世界皇帝のシャチ型潜水艦から核ミサイルを発射する。吉野カズトラ宇宙世界皇帝の軍事衛星から核爆弾を投下する。等）Yoshino UniverseKazutora YoshinoUniverse EmpireKazutora YoshinoNuclear Energy Defense SystemLovely,
【図２３】図２３は、エコロジー・エネルギー・システム（太陽光熱カプセル発電システム）のイメージ概念図である。吉野一虎ソーラーライトカプセル効果：太陽光（熱）が、太陽で発生して（太陽中心：高温１６００万℃、太陽表面：低温温６０００℃）、太陽を囲む物質（ダークマター、素粒子、物質、保熱ガス、反応物質、捕熱物質、反射物質、等の適宜な組み合わせ）によって、光（熱）は、吸収・保持・反応、等をして、中温（数百万℃）になる。DM + gamma -> DM' + delta Egammaは、光（熱）などの（反応（素）粒子などの）エレメント。delta Eは、正／負／ゼロ、等のエネルギー（エレメント）とする。DM、DM’は、ダークマターなどの（反応（素）粒子・反応物質、物質）（群理論）エレメントで、DMとDM'は、同じエレメントでもよく、異なるエレメントでも良い。吉野一虎ライトカプセル効果：このシステムを、ミニチュア化したカプセルに二酸化炭素などの保熱ガス（捕熱ガス）を入れて、（太陽）光（／レーザー光）の照射をして、太陽光（熱）発電を行い、ミニチュア太陽光（熱）カプセル発電を行う。吉野一虎レーザー効果：二酸化炭素などの保熱ガス（捕熱ガス）に、（太陽）光（／レーザー光）を照射して、光（光子、レーザー光）を発光させて、光をカプセル内部で、反射させて、１００％ミラーと約９９％ミラーで、往復反射させて、誘導発光させて、同じ（ぐらいの）波長（周波数）と相（フェーズ）の光の束（レーザー光）を作り、約９９％ミラー側からコーヒーレントなレーザー光を、放つ。吉野一虎ネットワーク超特急効果：ミニチュア太陽光（熱）カプセル発電システムのユニットを、発電パフォーマンス良く、コストパフォーマンス良く、大量に作り、マトリクス上にして、日射量が十分にあるところに敷き詰めたり、電車の路線のサイドに並べたり、道路（高速道路）のサイドに、並べたりすることによって、日本（世界）全体が、ミニチュア太陽光（熱）カプセル発電システムによって、光ネットワーク発電システムとなる。 吉野アシュレーアヤメ女王偉大なる戦士は、吉野一虎効果（吉野一虎ソーラーカプセル効果、吉野一虎ライトカプセル効果、吉野一虎レーザー効果、吉野一虎（カズトラ）ネットワーク超特急効果、等の吉野一虎宇宙世界皇帝の効果）を、活用して、宇宙全体に、吉野アシュレーアヤメ女王による吉野一虎宇宙世界皇帝（宇宙銀河恒星ネットワーク・太陽系）光ネットワークシステムを構築して、宇宙・世界のエネルギー問題を、解決して行った・・・。
【図２４】図２４は、エコロジー・エネルギー・システム（熱（水蒸気／ガス）発電システム）のイメージ概念図である。水（／液体／気体／水素／ガス、等）に太陽光（熱）（エネルギー）、（ガスの）火、熱（等）を投入して、水蒸気（／ガス）にして、タービンを回転して、発電機で、発電するシステム。オプションとして、水蒸気（／ガス）を冷却して、水（／液体／気体／水素／ガス、等）にして、サイクル（リサイクル）するシステム。
【図２５】図２５は、エコロジー・エネルギー・システム（吉野一虎宇宙世界皇帝の核戦争用の鎧兜（防衛システム））のイメージ概念図である。ダイヤモンド、タングステン、ステンレス、鉄、鉛、防弾ガラス、セラミック、紙、スポンジ、水（汗）、バッテリー、シリコン、コンピューター、ディスプレイ等を、適宜に組み合わせて、放射能を遮断するタイガーシールド。本発明は、アルファ粒子線、ベータ線、γ線を遮断する物質（マテリアル）を用いた装甲・鎧（アーマー）である。オプションとして、周りの見た目に合わせて、色や柄を2D/3Dでディスプレイできるカメレオンシールド。この鎧兜を纏った軍隊を、カメレオン・アーミーとして、敵（の核兵器・軍隊）と戦うシステム（自衛隊・国防軍・民間安全警備武装集団（傭兵））。ディスプレイ、コンピューター、電子機器の電源、若しくは、バッテリーなどの充電器としてのブーツ（靴）による、歩行発電（靴発電システム）。ピエゾエレクトロニック素子（圧電素子）、発電機、弾性物質、等によって、発電して、バッテリーに電気を充電する。オプションとして、スプリングなどを用いて、発電しながら、跳躍力を抜群に向上させるジャンプ（発電）シューズ。本発明は、カメレオン・アーミーの鎧を電子的に機能させるのに必要な電源は、歩行発電ブーツから得ることが可能である。その際の戦士達の戦闘シーン（風景）の概念図が、示されている。
【図２６】図２６は、エコロジー・エネルギー・システム（太陽光熱カプセル発電システム：パラボラミラーバージョン）のイメージ概念図である。最良の形態の一つを示している。パラボラミラーによって、反射した光（エネルギー）を、（カプセル）球に集光させて、（熱反応、化学反応、核反応などの）反応、等を起こさせるシステム。
【図２７】図２７は、エコロジー・エネルギー・システム（水素と酸素による燃料電池発電（ガス発電）システム）のイメージ概念図である。ダイヤモンド／DLC／金属／カーボン（ファイバー）等の（軽くて丈夫な）強い（高圧のガスや、液体に耐えうる）容器に、濃縮ガス（濃縮水素ガス、濃縮酸素ガス）、液体（液体水素、液体酸素）等を入れる。水素と酸素を適宜な量を、コンピューター制御機、バルブなどで、摘出して、燃料電池に、投入して、電気（エネルギー）を発生させる。電気を直接用いるか、バッテリー等に充電して用いる。水素と酸素の反応によって出来た水を、（浄化フィルターに通して）、飲料水にする。宇宙船などでの宇宙航行が、長期の滞在の場合に、水素・酸素燃料から、水を作り、フィルターで飲料水を作り、飲むことが可能である、エコロジー・スマート・システム。宇宙旅行に、飲料水を、持ってゆくことが、可能であるが、水が、もっと必要なときとか、緊急時とかに、もっと飲料水を作ることが必要な際に、有用なシステムである。
【図２８】図２８は、エコロジー・エネルギー・システム（エネルギー炉（熱炉））のイメージ概念図である。
【図２９】図２９は、エコロジー・エネルギー・システム（吉野カズトラ宇宙世界皇帝のエネルギー炉（熱炉）と無線／タイマー式の起爆装置による核爆弾）のイメージ概念図である。
【図３０】図３０は、エコロジー・エネルギー・システム（吉野一虎宇宙世界皇帝の靴（防衛・防寒システム））のイメージ概念図である。ピエゾエレクトリックなどの圧電素子で発電したり、動力を利用して、発電したり、核燃料の熱で、発電したりして、熱エネルギーを用いて、エネルギーシステム（（防寒用のヒーター等の）の靴等）を作る。
【図３１】図３１は、エコロジー・エネルギー・システム（吉野一虎宇宙世界皇帝の核電池、核エネルギー、加速器核エネルギーシステム））のイメージ概念図である。核燃料、核廃棄物、（加速器で加速された陽子を核廃棄物（半減期約２万年）に当てて、（半減期を約３０年にした）放射性物質）等や、その適宜な組み合わせから、核（熱）電池を作る。加速器の放射エネルギーによって、宇宙船を飛ばす（運行する）。
【図３２】図３２は、エコロジー・エネルギー・システム（吉野一虎宇宙世界皇帝の核核融合炉エネルギーレーザーシステム（核融合レーザー起動用集光レンズ）））のイメージ概念図である。適宜な波長（若しくは、その組み合わせ）のレーザービームを、レンズで一点に集光（集中）させて、（プラズマ熱エネルギー）核融合を起因する。特に、紫外線、X線、γ線、などの（短波長）高周波のコーヒーレントな光子パッケージ（レーザー光ビーム、等）を用いると良い。そのレンズ方程式を示している。
【図３３】図３３は、エコロジー・エネルギー・システム（吉野一虎宇宙世界皇帝のカズトラ型の核融合炉：カズトラ型核融合炉エネルギー（レーザーヒーティング）システム（核融合レーザーヒーティング起動）））のイメージ概念図である。カズトラ型核融合炉は、トロイダル型（トカマク型）核融合炉を単数／複数、トロイダル型に纏めた型である。プラズマは、真空／ガス／プラズマ内にあるか、磁場・磁界（電場・電界／電磁場・電磁界）内にあっても良い。極力、外部に熱が流出しないように、高磁界にして、Tc（クリティカルテンパーチャー）を高温にして、プラズマを封じ込めて、レーザー（若しくは、マイクロウェーブ、等）で、ヒーティングして（局所場で核融合（ニュークリア・チェイン・リアクション）の初期反応を起こさせて、核融合（ニュークリア・チェイン・リアクション）連鎖反応させる）、プラズマを高温にして、（熱）核融合を起こさせる。（オプションとして、トロイダル型纏めた型のリング部に、オプションフィールド（例えば、磁界）を作るのも良い。）
【図３４】図３４は、エコロジー・エネルギー・システム（吉野一虎宇宙世界皇帝の核融合ロケット（核融合エンジン）：ネオ・カワセミ・プロジェクト：空飛ぶイルカ、空飛ぶイカ））のイメージ概念図である。羽を畳んで海底から発射された空飛ぶイルカは、水中を水ジェットエンジンで走行（航行）して、空中に羽を広げて飛び立ち、空気ジェットエンジンで走行（飛行）して、羽を畳んで宇宙をロケットエンジン（イオンエンジン、プラズマエンジン、ロケットエンジン、核ロケットエンジン、等）で、走行（宇宙航行）する。宇宙防衛のため、核爆弾などで、宇宙からの攻撃（上からの攻撃）をかけることも可能である。
【図３５】図３５は、エコロジー・エネルギー・システム（吉野一虎宇宙世界皇帝のエネルギー・エレクトリシティー・ジェネレーター・システム）のイメージ概念図である。太陽光発電（スチーム発電）、風力発電、海洋力発電、核反応発電（原子炉発電、核融合炉発電、などによるスチーム（ガス）発電）等の発電機システム。プロペラを回転させる。回転軸についている磁石が回転する。前記磁石の回転により、超伝導体内にあるリング磁石が誘導されて回転する。また、磁石と超電導の組み合わせによる非接触な、回転軸とカバーによって、摩擦が殆どない、回転を獲得する。回転効率が良い、起電力を発生させる。オプションとして、トランスフォーマーで、電圧・電流の調整をする。バッテリーに充電したり、電力として用いる。
【図３６】図３６は、エコロジー・エネルギー・システム（吉野一虎宇宙世界皇帝のエネルギー・エレクトリシティー・ジェネレーター・システム）のイメージ概念図である。太陽光発電（スチーム発電）、風力発電、海洋力発電、核反応発電（原子炉発電、核融合炉発電、などによるスチーム（ガス）発電）等の発電機システム。プロペラを回転させることによる発電システムのパワー（電力）のコンセプト・カリキュレーション（Concept Calculation）(概算)。
【図３７】図３７は、エコロジー・エネルギー・システム（吉野一虎宇宙世界皇帝のモーター・ジェット・ボード、モーター・ボート）のイメージ概念図である。水上ロケットランチャー、若しくは、水上から発射するロケット。ジェット・ウィンド・サーフィング。風力でウィンド・サーフ・ボードを動かし、その際、エネルギー・エレクトリシティー・ジェネレーターで、バッテリーに、電気を充電する。風があまりない時は、バッテリーによって、モーター（＋ギヤ）＋プロペラを回転させて、航行する。オプションとして、バッテリーを複数持ち、電力・ギヤによって、ウィンド・サーフ・ボードの速度をコントロールする。人が載るか、無線で操作か、人工知能、等によって航行する。
【図３８】図３８は、エコロジー・エネルギー・システム（吉野一虎宇宙世界皇帝の空飛ぶイルカ、ドラゴン、モーター・ジェット・ボード、モーター・ボート）のイメージ概念図である。特に、翼（羽）の構造（ダイアモンド型）、翼の開閉についてと、ダイヤモンド・ダイナミクス・メソードを示す。（２D／３Dで）翼（羽）を動かして、浮力を得ることも可能である。海中で航行しているときは、翼を閉じて、空で飛行しているときは、翼を広げ（用いて）、宇宙で宇宙航行しているときは、翼を閉じるか、若し、（（シリコンや色素増感型等の）太陽光シートなどなら）太陽光（シート）翼を広げるのが、最善の形態である。
【図３９】図３９は、エコロジー・エネルギー・システム（吉野一虎宇宙世界皇帝のシャフト・ローテーション・ベアリング・システム）のイメージ概念図である。モーター、発電機、ジョイント、等の部分に、ベアリングの周りを、ベアリングで囲み、スムースなオペレーションを可能にするシャフト・ローテーション・ベアリング・システムである。同様に、複数のレイヤーを用いても良い。シャフト・ローテーション・ベアリング・システム＝（（メインベアリング＊サブベアリング）＊Lレイヤー）（L＞＝１）。このシャフト・ローテーション・ベアリング・システムによって、モーターの回転効率や発電機の発電効率が良くなるという効果がある。
【図４０】図４０は、エコロジー・エネルギー・システム（吉野一虎宇宙世界皇帝のスーパーマン（計画））のイメージ概念図である。Yoshino UniverseKazutora YoshinoUniverse EmpireKazutora YoshinoEmperor's Super Man ProjectLovely, 一般的なエンジン、キシレン、ガソリン、水素＋酸素、等を用いるジェット・エンジン、ロケット・エンジンでも良いが、ジェット・ロケット・エンジンを用いるのが最適である。ジェット・ロケット・エンジンは、（小型原子炉／）、小型核融合炉で、燃料の水を沸かして、水蒸気（スチーム）を噴出させて、ジェットを作るロケットエンジンを、箱に取り付ける。ジェット・ロケット・エンジンは、箱の上の方に付けると、横から下にジェットを噴出するので、バランス的に安定する。ジェット・ロケット・エンジンを、箱の下の方に付けると、ジェットが、下に噴出されるので、熱流体的には、効率が良い。二つのジェット・ロケット・エンジンでも、飛行が可能な（動力・エネルギー）レベルにしておく。基本形は、四つのジェット・ロケット・エンジンを用いて、（光学）ジャイロスコープ、加速度センサー、GPS、コンピューター（ジェネリック・アルゴリズム等を用いる人工知能）を用いて、ジェットを噴出したり、逆噴射して、最適な、バランス、位置、方向を、獲得する。緊急の時等は、マニュアル操作も可能にする。四つのジェットエンジンのうち、一つが破損などしたら、対照側にあるジェット・ロケット・エンジンも停止して、二つのジェット・ロケット・エンジンによる飛行（マニュアル操作も出来るようにする）に、切り替えることが可能にする。又、出来るだけ速やかに着地するようにする。若しくは、ジェネリック・アルゴリズムや摂動論的制御、等の最適制御によって、三つのジェット・ロケット・エンジンを、微妙に操作・制御して、当分は、飛行を続けることが可能にする。ダイヤモンドや防弾ガラスのような素材を壁にして、飛行中に、美しい風景など、見渡しが良いようにしても良い。民間の観光用に用いることも可能であり、軍事用の偵察機のように用いることも可能である。パイロットや宇宙飛行士が箱の中にいるなら、内部に空気（酸素）タンクを入れておけば、燃料が続くなら、空から、宇宙に航行しても良い。宇宙の景色（宇宙の夜景、星星の輝き、天体の芸術）などが、美しく、ダイアモンドに映るであろう。
【図４１】図４１は、エコロジー・エネルギー・システム（吉野一虎宇宙世界皇帝のフライング・ジェット・モービル）のイメージ概念図である。 Yoshino UniverseKazutora YoshinoUniverse EmpireKazutora YoshinoEmperor's Flying Jet MobileLovely, 空気をプロペラを回して、上、横、下、斜めなどから吸引して、燃料と混ぜて、燃焼して、ジェットを作る。モーターによってプロペラを回しても良い。フライング・ジェット・モービルは、森やジャングルで、軍事的な偵察等を行う際に、小回りが利く、便利な乗り物である。
【図４２】図４２は、エコロジー・エネルギー・システム（吉野一虎宇宙世界皇帝のフラップ式ウィング、フラップ式プロペラ）のイメージ概念図である。 羽や、プロペラに、フラップを付けて、気流のコントロールをする。特に、高い角度（フラップ角度）をつけて、離陸や着率の距離を短くできる（例えば、４５度〜５５度ぐらい）。飛行時は、（例えば、約１５度〜５５度ぐらいの）高くない羽の角度（フラップ）で飛行すると浮上・飛行効率が良い。プロペラの場合は、回転初期と、回転中期、回転後期、上昇期、浮上期、下降期、飛行期、などに合わせて、羽の角度（＋フラップ角度）をコントロールすることが、可能である。
【図４３】図４３は、エコロジー・エネルギー・システム（吉野一虎宇宙世界皇帝のフライング・ジェット・モービル）のイメージ概念図である。Yoshino UniverseKazutora YoshinoUniverse EmpireKazutora YoshinoEmperor's Flying Jet Mobile (Theoretical, Practical Method)Lovely, ヘリコプター、飛行機、フライング・ジェット・モービル、スカイ・カーズ、等のプロペラの数式化であり、羽をコンパクト化するための技術である。システムがスケーラブルな際、プロペラのサイズをPropeller Length 1として、モーターのトルクをMotorTorque、モーターの回転数をMotor Omegaとして、プロペラ／羽の角度を、例えば１５°ぐらいとか、４５〜５５°ぐらいに設定すると、基本的な部分は、定数のように扱えて、Force Lift = (Motor Torque/Propeller Length 1)*Csになるので、羽がコンパクトで、（数多くの）プロペラで、回転が速い方が良い。普通は、rg1/rg2 >= 1/30 ぐらいにするが、最善の形態を、rg1/rg2>= 1  とする。rg1/rg2 >= 10・・・とギヤの逆比率を向上させると、リフトの効率が良いが、シャフト・ギヤなどの（シャフト・ギヤ変換）効率があるので、直接プロペラを、モーターに付けるのが、シャフト・ギヤ変換効率が、１００％となるので、最も効率が良い。
【図４４】図４４は、エコロジー・エネルギー・システム（吉野一虎宇宙世界皇帝のヘリコプター・宇宙（核）ロケット開発）のイメージ概念図である。 ヘリコプターから始めて、（３Dペン、３Dコントローラー、脳波コミュニケーター、人工心臓、（iPS）幹細胞臓器、成型臓器（３Dプリンターで、細胞と細胞を決着剤などで付着させて、臓器を直接作る）、などの経由で）、宇宙（核）ロケットを、製造する方法。また、プロジェクトを映画化するためのストーリーであって、この（映画による収益）によって、ヘリコプター、宇宙（核）ロケットを製造する宇宙開発（宇宙医療）ビジネス・モデルの方法。 吉野カズトラ宇宙世界皇帝のストーリー：吉野庭園→ヘリコプター基地→人工心臓製造→ロケット基地→ドラゴン（龍）の開発→宇宙世界征服→吉野カズトラ宇宙世界皇帝と吉野アシュレーアヤメ女王偉大なる戦士のラブ・ロマンス（恋愛ストーリー）。
【図４５】図４５は、エコロジー・エネルギー・システム（吉野一虎宇宙世界皇帝の太陽光発電・風力発電・等の発電所型の吉野信法王鳳凰神社の開発）のイメージ概念図である。 ヘリコプター、宇宙（核）ロケット開発の（準備の）方法とか、吉野カズトラ宇宙世界皇帝と吉野アシュレーアヤメ女王偉大なる戦士のラブ・ロマンス（恋愛ストーリー）。ヘリコプター、宇宙（核）ロケットの開発費を得るための（吉野神道新信仰）吉野一虎宇宙世界皇帝の太陽光発電・風力発電・等の発電所型の吉野信法王鳳凰神社神社の設計と構築。また、その（プロモーションビデオ用・宣伝用・映画用・現実化用の）ストーリー。 吉野カズトラ宇宙世界皇帝のストーリー： Yoshino UniverseKazutora YoshinoUniverse EmpireKazutora YoshinoEmperor's Love RomanceLovely, Yoshino UniverseKazutora Yoshino Universe EmpireKazutora Yoshino Emperor's Shrine 吉野カズトラ宇宙世界皇帝は、吉野信法王鳳凰神社を、始めていた。吉野信法王鳳凰神社は、天照大御神を祀り、『自然は、神。野生は、友。』というキャッチフレーズの基に、信者や白い動物達を、大事にしていた。特に、紀州犬(花)、アークティックウルフ(不思議)や、シロキツネ、シロネコ、ムササビ、モモンガ、白龍、等を、大事にしていた。吉野信法王鳳凰神社の屋根の先端には、鳳凰のデザインの風車が付いていて、屋根には、太陽光パネルが付いている、自然に優しいエコロジー・システムによって運営されていた。信者達は、自然に合わせて、風の来る方向を向く鳳凰型風見鶏(風車)や光(太陽光パネル)や川の水や湖の水や雨水や井戸水や海水や自然エネルギーを、信仰の対象とする、八方美人の吉野ファミリーのメンバー達や、キャバ嬢達や、ホスト達、動物愛護者達、飲食業・水商売関連関係者達、農林水産業者達、パラグライダーパイロット達、パイロット達、航空自衛隊達、、軍人達、警察達、ヨットレーサー達、ボートレーサー達、船主達、船長達、ホースダービーの馬主達、写真関連関係者達、宣伝業者達、画像関連関係者達、テレビ関連関係者達、放送関連関係者達、映画関連関係者達、女優達、俳優達、モデル達、方位学者達、法医学者達、医者達、医療関連関係者達、植物学者達、生化学者達、バイオインフォマティクス関連関係者達、システムエンジニア達、物理学者達、技術者達、プログラマー達、宇宙開発事業団関連関係者達、ビジネス関連関係者達、特許関連関係者達、エネルギー関連関係者、等が、多かった。吉野カズトラ宇宙世界皇帝は、太陽光発電所や、風力発電所、等の研究開発を、Yoshino Universe研究所でしていたが、コンピューター・システム管理は、IBM研究所にさせて、ネットワーク管理は、ベル(Bell)研究所にさせていた。・・・。吉野カズトラ宇宙世界皇帝は、また、Yoshino Universeと吉野エミリー女王と吉野レベッカハル女王の管理の元に、日本政府に、奈良の吉野川のダムの水や富士山の水や海水等の水を、東レのウォーターヒィルターを用いて、飲料水にさせて、『(奈良の)吉野の綺麗な水』という商品名で、世界中に、輸出した。吉野カズトラ宇宙世界皇帝は、また、エネルギー・エコロジー・システム・アプリケーションの研究開発を進め更に良いエコロジー・システム(USES, USEN)、ロケットの研究開発、宇宙開発を、進めていた。・・・・。吉野カズトラ宇宙世界皇帝の吉野��宙開発基地は、白き龍に守られた城(ホワイトハウスWhite House)と呼ばれて、龍型・竜巻のような巨峰のブドウの木(ツタ)に囲まれた、白い家と果樹庭園の内側(吉野信法王の邸宅領土内)にあった。・・・。 吉野カズトラ宇宙世界皇帝は、吉野カズトラ宇宙世界皇帝と吉野の葡萄の園を守るためのボディーガード女子軍団を作り始めていた。あまり現実的ではなかったが、吉野カズトラ宇宙世界皇帝は、水龍拳の一部として、健康空手を、始めていた。吉野カズトラ宇宙世界皇帝の健康空手は、女の子、女子高生、女子大生、OLを、メンバーにして、戦闘用と言うよりは、むしろ健康面での体力強化を目指して、吉野カズトラ宇宙世界皇帝と吉野の果樹庭園（吉野のブドウ園）の警備を目的としていた。吉野カズトラ宇宙世界皇帝は、健康空手のプロモーションビデオを作ろうとしていて、大妻女子大生、等の女子大生達に、吉野カズトラ宇宙世界皇帝を、宣伝しようとしていた。吉野カズトラ宇宙世界皇帝は、埼玉県入間市(入間航空自衛隊による航空防衛)を、基軸とした、日本首都・都市開発を進めていた。・・・。 吉野カズトラ宇宙世界皇帝は、吉野信法皇鳳凰神社と、埼玉県入間市の都市開発のために、神社のさい銭と、風力エネルギーと、太陽光エネルギー、等を用いていたが、世界中から税金を徴収することにした。そのためには、共通通貨が必要となり、吉野カズトラ宇宙世界皇帝は、Yoshino Universe、アメリカ合衆国政府、日本政府、国際連合のIMFを用いて、ユニバーサル・マニー・システムを、作った。吉野カズトラ宇宙世界皇帝は、国民一人一人に、ソーシャルセキュリティー番号や、国民共通番号を、渡して、各々に、資産を、ユニバーサル・マニーのポイントに、変換した。物の売買には、基本、ユニバーサル・マニーのポイントが、必要で、これによって、Yoshino Universe、政府は、国民の販売記録・購買記録がよくみえて、税金(消費税、等)も電子化されて簡単になり、一般にも、不正取引や、闇取引が、殆どなくなった。これによって、特許など正しい新技術への投資や融資が、促進されて、経済、社会が、発展した。・・・。 吉野カズトラ宇宙世界皇帝は、国際的な、税金の徴収のために、ソーシャルセキュリティー番号か、国民共通番号を持つ(アメリカ人、ロシア人、ヨーロッバ人、日本人、朝鮮人、中国人、インド人、アラブ人、等の)国民一人一人に、各国政府の税金を用いて、(固定)IPアドレスを、配布した。(約100億人ぐらいなら、許容可能なシステム。) ソーシャルセキュリティー番号や国民共通番号にリンク対応した固定IPアドレスによって、アメリカ人や日本人、等は、各自、自らのホームページを作り持つことが可能になり、自らの写真やプロフィールを表示することになり、また、国税庁などのホームページに直ぐアクセス出来て、各自の税金の納付状況等も、直ぐに分かるようになった。また、インターネット(サイバースペース)での経済効果が向上して、より多くの税金を徴収することが、可能になった。これにより、吉野カズトラ宇宙世界皇帝は、宇宙開発(ロケット開発、ロボット開発)とか、自らの美容法や、吉野カズトラ宇宙世界皇帝の若返りの研究開発を進めていた。例えば、アルコール食塩水美容法(水分補給美容法)や、iPS細胞を用いた人工臓器や、若返り医療である。吉野カズ��ラ宇宙世界皇帝のアルコール食塩水美容法(水分補給美容法)を修得した、吉野カズトラ宇宙世界皇帝と吉野エミリー女王は、若さを維持出来たので、肌が滑らかな(色白な)菜食主義のバンパイヤー、等と、言われることもあった。しかし、バンパイヤーの国々は、水、食べ物、領土、等の取り合いの戦争を始めていた。吉野エミリー女王の娘の吉野クリスタルヒカリ女王は、肌が、雪のように白い美女だったので、白雪姫と言われたが、隣国の魔女(バンパイヤー)女王に嫉妬されて、魔女女王が、攻めてきたので、森に隠されて、小さな子ども達と、一緒に育った。吉野クリスタルヒカリ女王(白雪姫)は、ハンターに守られながら、自国の復興を始めていた。・・・。 続く。
【図４６】図４６は、エコロジー・エネルギー・システム（吉野一虎宇宙世界皇帝の空飛ぶ家（ロケット・ハウス））のイメージ概念図である。 吉野一虎宇宙世界皇帝の空飛ぶ家（ロケット・ハウス、スカイ・ハウス）：本箱型家（ロケット・ハウス、ブックシェルハウス）。ユニット・ルームを積層する（積み上げる）ことによって、高層ビル、ロケットの構築が可能でる。ロケットの高さに合わせたユニット・ルーム（の数）を構築することが可能である。基本設計をユニット単位で出来るので、ユニット・ルームの大量生産化が可能であるため、ロケット・ハウスの大量生産が、可能になる。 本発明は、コストパフォーマンスが良いロケット（ロケット・ハウス）である。また、設計と構築の時間短縮（ラン・タイムの軽減）による、シナジー的なコストパフォーマンスも良い。 オプションとして、プロペラ、ロケットエンジン、などの搭載によって、空中、宇宙を、飛び回れるようにする（空飛ぶ家：スカイ・ハウス、ロケット）。（本発明によって）、ロケット・ハウスに住んでいるまま、宇宙旅行が可能になる・・・（という効果もある）。 宇宙空間では、（殆ど）無重力状態になるので、部屋は、広く使える方が良い（宇宙服が引っかからないようにする）ため、階段を（宇宙服を着たまま通れる程度に細く）壁側に（／適宜な場所に）作ったり、無重力でも宇宙飛行士の方向感覚が研ぎすまれるように、階段の方向を一致させておいたり、ルーム・番号（ルーム階）を明示（はっきり表示）しておくのも可能である。また、物品に、ICタグをつけておいて、コンピューターで、位置情報などを、管理して、無重力で、物が浮遊していても、何処に何があるのか分かるようにしておくのも可能である。 ３Dペン（３Dコントローラー）で、ロケットの位置・速度・加速度・方向・軌道、等をコントロールしても良い。
【図４７】図４７は、エコロジー・エネルギー・システム（吉野一虎宇宙世界皇帝の宇宙戦争ストーリー）のイメージ概念図である。 ロケット・ロボット・人工知能・ビジネスの開発。それを現実化するための資本獲得のための、プロモーションビデオ用・宣伝用・映画用（吉野エミリー女王の映画製作、SF（スペースファンタジー、サイエンスフィクション））・現実化用のストーリー。 第一章吉野カズトラ宇宙世界皇帝の日本食の進め吉野カズトラ宇宙世界皇帝は、日本の森林(特に、杉の森林)を、伐採して、花粉対策をして、杉から日本食用の高級なお箸(はし)を大量生産して、日本食の市場進出を進めながら、海外市場に日本食とお箸を販売して、利益を得ていたのである。吉野カズトラ宇宙世界皇帝は、元々、数学、物理学、エネルギー工学、生物学、生化学、遺伝子工学、システム工学、農業ロボット工学、軍事ロボット工学のエキスパートだったので、日本食の生産販売が上手で、弁当等の日本食の国際ネットワークを築くことが出来たのである。 ・・・。続く。 第二章吉野カズトラ宇宙世界皇帝のゴースト戦略と吉野カズトラ宇宙世界皇帝の新エネルギー戦略 第二次世界対戦の延長戦が、朝鮮戦争、ベトナム戦争、冷戦、湾岸戦争、対テロ戦争であった。ヒロヒト、山本イソロク、吉野幸信の遺言が、ゴースト戦略として、吉野カズトラ宇宙世界皇帝に、受け継がれていた。吉野カズトラ宇宙世界皇帝のグループは、政府側(北朝)と、反政府側(南朝)に、二分して行った。 吉野カズトラ宇宙世界皇帝は、秘密警察捜査官達を配備して、自衛隊の内部に核心的な右翼、警察の内部に、革新的な右翼を潜入させて、国際的な警察右翼ネットワークを、構築していた。吉野カズトラ宇宙世界皇帝の直属の部下達を、警察や自衛隊にすることによって、吉野軍事グループの部隊の訓練費を、国に持たせれたためである。吉野カズトラ宇宙世界皇帝は、アメリカ軍、スカルアンドボーン、フリーメイソン、帝国軍、ネオナチス、自衛隊、韓国軍、サムスン、ロシア軍の連携を計り、アメリカ軍のスカルアンドボーンに、世界征服をさせて、日本の自衛隊右翼に後始末をさせた。 吉野カズトラ宇宙世界皇帝は、吉野カズトラ宇宙世界皇帝の反政府側のグループを、自衛隊、警察に配備した。日本の自衛隊と警察ネットワークにアメリカの警察ネットワークも加わり、911(アメリカ警察の電話番号の日にち)に、アメリカ合衆国で警察革命が起きた。背後には、アメリカ軍のスカルアンドボーンがいたが、日本のある怪盗団、アルカイダ(裏社会の犯罪ネットワーク)が、背後にいるように、情報操作されていた。 吉野カズトラ宇宙世界皇帝は、吉野カズトラ宇宙世界皇帝の政府側のグループを、政府、政党に配備した。しかし、自由民主党(北朝:アメリカ側)、民主党(南朝:中国側)で、政治的な対立も起きた。民主党革命により、一時、民主党が優位に立ったが、自由民主党が、革命返しをした。 自由民主党と民主党の対立を始め、南北朝で、幾つも主義・立場の対立が起きた。特に、TPPの参加交渉についてでさえ、国を二分する対立が、起きたのである。吉野カズトラ皇帝国は、新南北朝時代に突入した。このことにより、皆が激しい暴風と荒波のなかを航行するような状況になっていった。吉野カズトラ宇宙世界皇帝は、楽天家な���で、暴風を風力発電に用いて、荒波（海流）を海洋発電に用いようとしていた。吉野カズトラ宇宙世界皇帝は、勿論、（宇宙）太陽光エネルギー発電も進めていた。これが、吉野カズトラ宇宙世界皇帝の新エネルギー革命である。 吉野カズトラ宇宙世界皇帝は、吉野カズトラ宇宙世界皇帝の名言、『日は、又、昇る。』と言った。これは、日本が、再び世界の中心になり、日本の先端技術が、進み、日本が復興して、Made In Japanが、世界で求められる有名ブランドになることを、示唆していたのである。 吉野カズトラ宇宙世界皇帝は、新エネルギーの開発、エコロジー・システムの開発、（宇宙）太陽光発電システムの開発と改善を、着実にコツコツ、進めていた。・・・・。続く。 Yoshino Universe ・・・ Yoshino UniverseKazutora YoshinoUniverse EmpireKazutora YoshinoEmperor's PowerTomoko Yoshino Queenvs Rebecca Haru Yoshino QueenLovely, Tomoko Yoshino Queen vs Rebecca HaruYoshino Queen 吉野カズトラ宇宙世界皇帝の影響力と支配力は、絶大である。 吉野友子女王と、吉野レベッカハル女王が、吉野カズトラ宇宙世界皇帝の継承戦争を始めていた。特に、バイオ・ウォー・フェアが、激戦化していた。吉野友子女王学派は、ロシアの生物兵器開発の学者連合で、生物の知識のある大人数だった。吉野レベッカハル女王学派は、アメリカ合衆国の生物兵器開発の学者連合で、少人数で生化学・分子生物学・バイオインフォマティクスなどで洗練された学者達だった。吉野信法皇学派は、日本と中国の学者達で、初めの頃は、対岸の火事のように、この戦いを傍観していることが多かったが、徐々に、この戦いに巻き込まれて行った。・・・ 吉野エミリー女王学派は、宇宙開発、吉野クリスタル女王学派は、ロケット・スペースシャトル等の開発、吉野アシュレー女王学派は、スペースステーション・ドラゴン等の開発をしていたので、この戦いに、巻き込まれないで済んだ。・・・ 吉野友子女王学派は、日本の医師会（タケダ派）を作り反政府団体（政府・政党・病院、等に入り込んだ暗殺部隊）を組織して、吉野レベッカハル女王学派は、日本の歯科協会（タカダ派）を作り反政府団体（政府・政党・歯医者、等に入り込んだ暗殺部隊）を組織した。ここに、医師会（タケダ派）と、歯科協会（タカダ派）の戦いが始まっていた。タケダ派とタカダ派は、日本政府、アメリカ合衆国政府にまで浸透して行き、アメリカ合衆国政府では、タケダ派は、鳩派、タカダ派は、鷹派と、呼ばれた。鳩派も、鷹派も、ターゲットの人物を殺害する方法を幾つか持っていた。鳩派は、危険な薬等を、投与したり、必要な薬を十分に投与しないでターゲットを殺害することが多かった。特に、結核治療に見せかけて、十分な抗生物質を投与せずに、わざと抗生物質耐性細菌を作り、ターゲットの人物を殺害することが多かった。鳩派は、中耳炎の細菌を品種改良・遺伝子組み換えをして、殺人細菌・殺人ウイルスを作り、ターゲット人物の耳に移植した。鷹派は、胃の中にいる細菌で、虫歯菌になる細菌を品種改良・遺伝子組み換え等して、殺人虫歯菌、殺人ウイルスなどを作り、ターゲット人物の虫歯治療の際に、殺人虫歯菌や殺人ウイルスを健康な歯や虫歯になりそうな歯に移植した。殺人虫歯菌や殺人ウイルスは、口に蔓延りドライマウス、鼻に入りドライノーズ、目に入りドライアイ���原因になったりして、脱水症状を引き起こして行った。殺人虫歯菌や殺人ウイルスは、徐々にターゲット人物の健康体を侵食して行き、極度の脱水症状などによって、死に至らせた。銃を持つ警察、重兵器（アンティーク・ウェポン）を基軸とした自衛隊などは、このバイオ・ハザードに対して、殆ど無力であった。・・・ 日本の政治家（自民党）たちは、医師会（タケダ派）とグルで、日本の弁護士会（民主党、共産党）は、歯科協会（タカダ派）とグルで、ターゲットの人物が、攻撃をしてきた人達に反撃したり訴えられないように、暴力行為に出て、ターゲットの人物を直接殺そうとしたり、ターゲットの人物の心理操作、等をしていた。・・・ これに対して、吉野カズトラ宇宙世界皇帝の指導のもと、日本政府の社民党の協力を得て、吉野綾子将軍、吉野世礼菜副将軍による、新たな生物兵器戦闘部隊（政府・政党・環境省・農林水産省、市役所農政課、農業委員会、農業組合、等に入り込んだ暗殺部隊）が形成された。これが、アンブレラ・コーポレーションであり、新技術金属農業開発の基軸となった組織である。アンブレラ・コーポレーション（Ｌｕｍｙ、ＬＤＩ、Ｌｕｍｏｒｅ、・・・）は、アンブレラ基金を持ち、貴金属の販売ネットワークを持ち、トラクターや人工知能塔載の農業用ヘリコプターや農薬散布用爆撃型戦闘飛行機、スカイカーズ、（天候、天気予報）気象衛星用軍事衛星などの農業設備の開発を管理して、稲や麦などの農作物を侵食する細菌、ウイルス、カビ等やその抗菌物質、抗菌遺伝子配列、等を研究開発・管理していた。・・・ この戦いは、日本と中国の尖閣諸島問題、アメリカ軍の普天間基地移設、TPPへの参加交渉、日華思想・入間（航空自衛隊）基地優位主義、を起爆剤として、激戦化して行った。アメリカ軍とロシア軍の第一次冷戦から、アメリカ＋日本＋韓国  ｖｓ  北朝鮮＋中国  の第二次冷戦に入って行き、第二次朝鮮戦へと発展して行った。しかし、吉野カズトラ宇宙世界皇帝を尊敬する北朝鮮は、日本側に協力することになり、形成は、アメリカ＋日本＋韓国＋北朝鮮  ｖｓ  中国となってしまい、次第に、世界の中心が、吉野カズトラ宇宙世界皇帝が司令塔として用いている日本・日本政府（特に、入間（航空自衛隊）基地）になって行った。吉野カズトラ宇宙世界皇帝を尊敬する中国は、日本との良好な関係を維持することを決め、第二次冷戦（裏の第三次世界大戦）だけで済み、結果として、（表の）第三次世界大戦は、回避することができた。しかし、むしろ、TPPなどの関連で、アメリカ合衆国とカナダの間で、内部抗争が起こり、ロシアが暗躍したので、戦場は、アメリカに、なって行った。アメリカが戦場になり、アメリカ合衆国は、約２６０年の間戦い続けたが、アメリカ合衆国は、荒廃し始めていて、もはや、スーパーパワーを失って、アメリカ合衆国は、崩壊した。しかし、後に、アメリカ大陸（今のアメリカ合衆国＋カナダ＋メキシコを合わせた領域）に、吉野クリスタルヒカリ女王国（光の国）が、建国されて、吉野クリスタルヒカリ女王の残した威力と威厳とパワーとフォースの基に復権して、吉野ファミリーの基に、光の国（アメリカ）は、スーパーパワーを再度獲得した。・・・ 続く。 Yoshino UniverseKazutora YoshinoUniverse EmpireKazutora YoshinoEmperor's Unified Story,Lovely,
【図４８】図４８は、エコロジー・エネルギー・システム（吉野一虎宇宙世界皇帝の宇宙（ロケット・ロボット）戦争ストーリー）のイメージ概念図である。 Yoshino UniverseKazutora YoshinoUniverse EmpireEmily Yoshino SpaceFantasy, Science Fiction, ..., Story, to Real ...Lovely, 第三章：吉野一虎宇宙世界皇帝の宇宙（ロケット・ロボット）戦争ストーリー（吉野カズトラ宇宙世界帝国の宇宙戦争）
【図４９】図４９は、エコロジー・エネルギー・システム（吉野一虎宇宙世界皇帝の発電システム（創生記））のイメージ概念図である。 Yoshino UniverseKazutora YoshinoUniverse EmpireKazutora YoshinoEmperor's Energy System (Genesis)Lovely, 風力エネルギー、太陽光エネルギー、海洋エネルギーで、発電する。発電の際の、ビジネス・モデルである。 （I）海辺近くの土地を獲得（購入）して、風力発電とか太陽光発電を行う。（＋火力発電）。（II）船を作り、風力発電とか太陽光発電を行う。（＋火力発電）。（III）洋上に、風力発電システムを作る。（IV）海洋（海流）を用いて、発電する。 Yoshino UniverseKazutora YoshinoUniverse EmpireKazutora YoshinoEmperor's Business Model (Strategy)Lovely, ３Dシステム（３Dペン、等）や、映画（２D／３D）などで得た利益を、発電システムを作ることに用いる（宇宙（核）ロケット、USES（USEN）の準備段階）。発電システムなどで得た利益で、宇宙開発（宇宙（核）ロケット、宇宙ロボット、等）の研究開発をする。宇宙開発で、得た利益で、若返り（再生医療、アンチエイジング、等）の研究開発をする。 基本マップ： 海水  →（太陽光（太陽光パラボラミラー、太陽光パネル）、風力、ガス、石油、等のエネルギー）→  （スチーム）（熱）発電  （蓄電・送電）→  塩＋飲料水  （→オプションとしてエネルギー資源生産保存：水素＋酸素） Yoshino UniverseKazutora YoshinoUniverse EmpireKazutora YoshinoEmperor's Computer Energy Organization SystemLovely,  本発明の発電システム、コンピューター等の数学的な処理法歩によって、出来るだけ早急に、最適値、最適化（方法）、最適ネットワーク、最適システムなどを選ぶ。 Yoshino UniverseKazutora YoshinoUniverse EmpireKazutora YoshinoEmperor's Wind EnergyLovely, 風力発電について： 風力発電システム（風車）は、プロペラの角度、発電機の内部設定（機能）、ギヤ比率、慣性モーメント（角運動保存用ウェイト）、ネットワークなどを変化させることが可能である発電システムであってもよい。風力発電システム（風車）は、風の波形を、フーリエ変換、離散フーリエ変換、正規直交変換、ウェーブレット変換、SVD変換、等して、特徴抽出をする。ジェネティック・アルゴリズム、ノン・パラメトリック法、クラスタリング、自己相関関数法、Q-ラーニング、ニューラル・ラーニング・メソード、等の最適値自己検索アルゴリズムによって、最適な向き（方向）や、羽の角度、ネットワーキングの最適化などを、見つける。人間による、パラメトリック法、若しくは、最適化を自己学習した風力発電システムユニット（風車）は、パラメトリック法や、ニューラル・ネットワーキング・メソードなどを用いて、他の風力発電システムユニット（風車）を、教育して最適化する。センターユニットは、ネットワーク全体が、最適化されるように調整する。この際、其々のユニットは、風の向き（方向）やその他の条件によって、様々にセットされていても良い。 Reference: ISBN4-7898-3715-7
【図５０】図５０は、エコロジー・エネルギー・システム（吉野一虎宇宙世界皇帝の宇宙（核ロケット・核開発）戦争ストーリー）のイメージ概念図である。Yoshino UniverseKazutora YoshinoUniverse EmpireKazutora YoshinoEmperor's Atomic Bio Chemical StrategyRegards, 第ニ章（詳細） 吉野カズトラ宇宙世界皇帝の指導のもと、日本は、再生可能エネルギーの開発を進めて、平和が広がり、経済進展の兆しが出始めていた。しかし、エネルギーシステムの在り方に、原子力を組み入れる必要があるような方向に、国際的な政治の動向は、動いて行ったのである。これは、北朝鮮が、自国で採掘できる膨大な量（大量）のプルトニウム等の核物質を用いて、核開発（特に、核（燃料）ロケット（原子力ロケット）と原子炉の研究開発）を進めていた為である。各国（ある領域）について、利用できるエネルギー量と、経済発展は、ある程度比例するので、北朝鮮の膨大なプルトニウムを用いる核エネルギー活用により、北朝鮮とアジア（全体領域）の経済発展が見込めた。しかし、核エネルギーを、核爆弾などの製造に用いすぎると、エネルギーの安全な社会利用解放率が微妙になるので、核爆弾の製造は、他の古代兵器（一般的な重兵器）の軽減に繋がるレベルにだけして、残りは、原子炉等の開発・製造に向けられて、経済発展のために用いられて、これにより、北朝鮮は、もはや、アメリカ合衆国の援助を要求しなくても自国で経済を発展させることが可能になった。しかし、アメリカ合衆国、韓国政府は、北朝鮮に懐疑的だった。そして、アメリカ合衆国は、B2爆撃機やF22を、朝鮮半島付近で、軍事演習飛行させて、北朝鮮を牽制・挑発した。このため、北朝鮮は、アメリカ合衆国の同盟国の日本、特に、日本の主要基地に、核爆弾を射ち込むことが可能であることを示唆した。アメリカ合衆国、ロシア、中国、北朝鮮、韓国、日本、ヨーロッパ、インド、ブラジル、等は、国際世論のこともあり、表では、遺伝子組み換え技術などを用いて、（農業）遺伝子組換新製品戦争を始めていて、アメリカ合衆国の農業は、TPPなどで日本の農業を飲み込もうとしていた。裏では、各国と秘密結社は、遺伝子設計技術などを用いて、生物兵器等を製造して、鳥インフルエンザ（Ｈ７Ｎ９ウィルス）等に見せかけて、敵国に空中散布したりして、闇での戦いを激化させていたのである。吉野カズトラ宇宙世界皇帝は、核兵器と生物兵器と化学兵器の三つを合わせて、ＡＢＣ兵器(ABC Weapons)と呼んでいた。又、吉野カズトラ宇宙世界皇帝は、遺伝子操作をして、成長ホルモン遺伝子を大量に組み込んでいるため成長速度が速く、体が強靭なクローン軍団を作っていた。クローン軍団は、また、病原菌などに対する耐性遺伝子を組み込まれていたので、生物兵器戦争でも、殆ど、病気にならなかった。吉野カズトラ宇宙世界皇帝を皇帝として、吉野信法王を朝廷の天皇として、吉野カズトラオリジナルファミリー（皇族（天皇家）である吉野エミリー女王、吉野クリスタルヒカリ女王、吉野アシュレーアヤメ女王、吉野レベッカハル女王）によって、征夷大将軍（鳳凰軍）が、任命されて、左大臣（佐上家）と右大臣（宮本家）と財務大臣（クウィーン家）と経済産業大臣（ヒッチンズ家）が任命された。吉野レベッカハル女王が指導者（リーダー）として吉野ファミリーが組織した反政府軍（南朝）は、クローン軍団を用いて、素早く、政府軍（北朝）を、討ち破り、即座に、吉野カズトラ宇宙世界皇帝国を樹立した。吉野カズトラ宇宙世界帝国は、国際的にも進軍して、宇宙世界を名実ともに、より強靭に支配することになった。・・・。続く。
【図５１】図５１は、エコロジー・エネルギー・システム（吉野一虎宇宙世界皇帝の宇宙戦争の際のクリーンルーム・シェルター）のイメージ概念図である。 Yoshino UniverseKazutora YoshinoUniverse EmpireKazutora Yoshino Emperor'sClean Room ShelterRegards, 第ニ章（詳細：続き） 吉野カズトラ宇宙世界皇帝は、生物兵器戦線において、アンブレラ・コーポレーションを用いて、クリーンルーム・シェルターを作っていた。クリーンルーム・シェルターでは、プラズマイオン空気清浄機による空気清浄と同時に、高周波（パルス）レーザー（紫外線、Ｘ線、γ線、等）などによるレーザー照射（レーザー走査）によって、殺菌がなされ、基本的には、花粉、ダスト、細菌、病原菌、ウィルス、ダニ、カビ、等は、排除されたり死滅させられて、クリーンルーム・シェルターは、常時（定期的に）、綺麗な状態にさせられていた。サイドのルームでは、花粉タンパク質を含む米（花粉症対米）や食べ物（スナック、等）が食べれたり、アレルギーの原因となる物質の少ない食べ物を食べれたりして、アレルギー対策もなされていた。中間ルームでは、人の肌等に付着した病原菌を殺菌するシステムになっていた。しかし、病原菌に感染して不治の病になって病人化すると（感染者になると）、レーザー出力が強いレーザーカッターのようになり、クリーンルーム・シェルターで、病人（感染者）を切り刻み処刑して、高温・高圧の焼却炉として、肉片を燃焼することにより、病原菌の更なる感染を妨げるシステムにもなっていた。このため、クリーンルーム・シェルターに、入った人は、生物兵器戦争が終わるまでは、クリーンルーム・シェルターから、出れない確率が高く、クリーンルーム・シェルターは、処刑場とか強制収容所とかナチュラル・ボーン・キラー・システムと揶揄されることが多く、人々は、クリーンルーム・シェルターに入りたがらず、感染者達は、病原菌に感染していることを隠し通そうとしていたが、健康管理システムによる定期健診ロボットが、人々の感染状況を常にモニタリングしていたので、基本、逃げることは難しかった。また、知能が高くなるように遺伝子操作されて、また、病気にかからないように遺伝子操作されたチンパンジーが、作られ、人工知能ロボットと共に、人々を管理するようなシステムにもなっていた。スカイネット・システムは、ターミネーター・ロボットやＴ１０００・ロボットなどのロボットを用いて、人々を強制収容して、健康者と感染者を分別して、シェルターに入れた。健康者の中で、病原菌に対する抗体（免疫）を持つ遺伝子配列を持つ人々は、ポルタトーリと呼ばれ、その中でも、殆ど病気に掛らない人々は、ロボット・パイロットとして、選ばれて、その中でも特に戦闘能力が高い人々が、ガンダム・マイスターとして選ばれた。ガンダム・マイスターの中で、未来を読める能力を持つ（先見の明を持つ）人々は、ニュータイプと呼ばれ、アリス計画（吉野タイムマシンによる未来予知システムと未来操作（フューチャー・オペレーション））の一部になった。人々は、比較的病原菌の少ない宇宙空間で戦闘するようになり、徐々に、宇宙戦争は、激化して行った。・・・続く。
【図５２】図５２は、エコロジー・エネルギー・システム（吉野一虎宇宙世界皇帝のストーリー・メイキング・メソード）のイメージ概念図である。 Yoshino UniverseKazutora Yoshino Universe EmpireKazutora Yoshino Emperor's Story MakerLovely, 吉野カズトラ宇宙世界皇帝のストーリー・メイキング・メソード（クッキー映画（ストーリー）作成方法）： 映画（ストーリー）（３Dゲーム、等）を作成して、エネルギー（発電所）を作り、核ロケットの研究開発などを行う。この際、映画（ストーリー）（３Dゲーム、等）のコストパフォーマンスを向上させるためには、システマティックな方法で、キャラクターやストーリーなどの作成を効率良く工業的にできるのが好ましい。 （０）音楽の作成（例えば、自分で作曲したり、コンピューターがクラシック音楽理論、ランダム機能、などを用いて作ったパーツや音楽を組み合わせたりして自動で音楽を作る。）（１）キャラクター・オブジェクト（型、金型、等）を作成する。（２）ストーリー・オブジェクト（テンプレート）（ドー（小麦粉）シート、等）を作成する。（３）ストリー・ミキサーで、混ぜる。        ストーリー・オブジェクトに、キャラクター・オブジェクト（型）を型取り、ストーリーにキャラクターを入れる。        （キャラクター・クッキー（キャラクター・インスタンス）を作り、ストーリーのプロット（論理）を改善（調整する）。）（４）同様な方法で、キャラクターに合わせたストーリー（の詳細）を付加する。        この際、        ４メソード（起承転結）        ４ｘ４メソード（起承転結ｘ起承転結）、等を用いると、ストーリーの展開が合理的になり効果的になるので好ましい。（５）ビデオ（プロモーションビデオ、等）、映画、シミュレーション、コンピューターゲーム、３DOS、等を作成する。（人物映像とCGを合わせたりするのも可能である。） p.s.  シミュレーション、コンピューターゲーム、３DOS、等の作成の際は、ソフトウェア（キャラクター＋環境＋等）をオブジェクト・オリエンテッド・プログラムで、作れば、効率良く、ストーリー（展開）が可能になる。
【図５３】図５３は、エコロジー・エネルギー・システム（吉野一虎宇宙世界皇帝のエネルギー・エレクトリシティー・ジェネレーター・システム）のイメージ概念図である。 Yoshino UniverseKazutora YoshinoUniverse EmpireKazutora YoshinoEmperor's Wind EnergyLovely, 太陽光発電（スチーム発電）、風力発電、海洋力発電、核反応発電（原子炉発電、核融合炉発電、などによるスチーム（ガス）発電）等の発電機システム。 E = N*B*l*r*(2pi*f)Air Power = Ao*(rp^3)*roair*Npropeller*|Vw|^2  if the ratio of propeller radius andwidth is uniquely set (fixed). プロペラを回転させる。回転軸についているコイル（＋オプション：鉄心）が回転する。磁石（磁場）の内部に位置する前記コイルの回転により、マクスウェルの方程式によって電場が誘導されて起電力を発生させる。バッテリーに充電して、インバーターで、交流にする。オプションとして、トランスフォーマーで、電圧・電流の調整をする。１００V、５０Hzに会うようにするため、増速機のギヤ比率（１：１）〜（６：１）〜（２４：１）ぐらいを適宜とする（最良の形態では、（２４：１））。例えば、最良の形態では、N*B=40, l=0.2m, r=0.1m, f=200Hzであり、プロペラの羽根の形が、示されている（プロペラのサイズは、0.9m x 0.013m x 1m ぐらい。プロペラ半径（約）1m ~ 2m）。プロペラの角度の調整が可能になるようにしても良い。プロペラ角度のレンジは、約１０°〜１４°〜３０°〜４５°〜５５°〜８０°ぐらいである（最良の形態では、風とプロペラの角度が約14°〜45°ぐらいで調整するのが良い）。風力Vw = 3m/s ~ 10m/sで、約1 ~ 2kW（ぐらい）以上の発電量を見込める。
【図５４】図５４は、エコロジー・エネルギー・システム（吉野一虎宇宙世界皇帝のエネルギー・エレクトリシティー・ジェネレーター・システムの製造方法（作り方））のイメージ概念図である。 Yoshino UniverseKazutora YoshinoUniverse EmpireKazutora YoshinoEmperor's Wind EnergyLovely, 太陽光発電（スチーム発電）、風力発電、海洋力発電、核反応発電（原子炉発電、核融合炉発電、などによるスチーム（ガス）発電）等の発電機システム。 ０．素材（角材）をプロペラの羽根の厚型に切り出す。１．素材（プロペラの羽根の厚型）を、３枚のプロペラの羽根の薄型に切る。２．素材（プロペラの羽根の薄型）を、其々、削り、プロペラの羽根（完成型）にする。３．センター（三角形型センターユニット）を作る。４．プロペラの羽根を、センター（三角形型センターユニット）に取り付ける。５．増速機、発電機を作り、台（軸）に取り付ける。６．キャップ＋プロペラ＋増速機＋発電機を取り付ける。７．バッテリー＋インバーターを取り付ける。（オプション）８．風力発電をする。
【図５５】図５５は、エコロジー・エネルギー・システム（吉野一虎宇宙世界皇帝のYoshino Universeのエネルギー・エレクトリシティー・ジェネレーター・システム（風力発電システム）の宣伝用（イメージと）ロゴ）のイメージ概念図である。 Yoshino UniverseKazutora YoshinoUniverse EmpireKazutora YoshinoEmperor's Wind EnergyLovely, Yoshino Universeのエコロジー・システム（・アプリケーション）の促進のイメージ。『風力発電（エコロジー・システム）と鳥（自然）が、風と共に生きる。』（キャッチフレーズ） 発電効率が良い（効果的な）風力発電（機）システム（の（美的）デザイン（設計））である。
【図５６】図５６は、エコロジー・エネルギー・システム（吉野一虎宇宙世界皇帝のYoshino Universeのエネルギー・エレクトリシティー・ジェネレーター・システム（風力発電システム）のストーリー）のイメージ概念図である。 Yoshino UniverseKazutora Yoshino UniverseEmpireKazutora YoshinoEmperor's Wind EnergyLovely, ４ｘ４（起承転結ｘ起承転結）のウィンド・エネルギー・ストーリー（のテンプレート）である。（例えば、吉野エミリー女王を主役として、吉野クリスタルヒカリ女王、吉野アシュレーアヤメ女王、吉野レベッカハル女王を準主役として、『風力発電（機）と蜂鳥のストーリー（会話）、・・・』、等のストーリー、スクリプト（脚本）、映画、等が作成できる。）
【図５７】図５７は、エコロジー・エネルギー・システム（吉野一虎宇宙世界皇帝のエネルギー・エレクトリシティー・ジェネレーター・システムの製造方法（作り方：その２））のイメージ概念図である。 Yoshino UniverseKazutora YoshinoUniverse EmpireKazutora YoshinoEmperor's Wind EnergyLovely,０．素材を斜め（角度も斜め）に切る。１．切り口を切り取り、更に角度をつける。２．接着剤で接着したりネジなどで繋ぎ合わせる。３．削ってプロペラの羽根の形（型）を作る。４．型（フラン樹脂、コンクリート、金型、等）を作る。５．プラスチックとか金属で、羽を作る。６．キャップ＋プロペラ＋増速機＋発電機＋ポールで、風力発電機を作る。７．発電する。
【図５８】図５８は、エコロジー・エネルギー・システム（吉野一虎宇宙世界皇帝のエネルギー・エレクトリシティー・ジェネレーター・システムの製造方法（作り方：その３））のイメージ概念図である。 Yoshino UniverseKazutora YoshinoUniverse EmpireKazutora Yoshino Emperor'sWind EnergyLovely, ０．素材をプロペラの羽根の形の元（型）に切る。１．プロペラの羽根の形の元（型）削って、プロペラの羽根の形の原型（型）を作る。２．アルミ箔で包む（敷く）。３．カーボンファイバー（東レ、等）などの布で包む（敷く）。４．樹脂を塗る。（ウレタン樹脂、等）５．アルミ箔で包む（敷く）。６．ステンレス棒などを入れる。エポキシ樹脂などの接着剤で固める。オプションとして、穴をあけたところにネジ留めをする。７．オプションとして、発泡スチロールに（木工用）ボンドなどを混ぜてプロペラの羽の中に注入する。８．プロペラの羽を組み合わせて、削ったり（バリ取りしたり）して綺麗にして、センター（センター・パーツ）と組み合わせる。９．キャップ＋プロペラ＋増速機＋発電機＋ポールで、風力発電機を作る。１０．発電する。
【図５９】図５９は、エコロジー・エネルギー・システム（吉野一虎宇宙世界皇帝のエネルギー・エレクトリシティー・ジェネレーター・システム）のイメージ概念図である。 Yoshino UniverseKazutora Yoshino UniverseEmpireKazutora YoshinoEmperor's Wind EnergyLovely, Yoshino UniverseKazutora YoshinoUniverse EmpireKazutora YoshinoUniverse Emperor's Electricity Generator and/or MotorLovely, 太陽光発電（スチーム発電）、風力発電、海洋力発電、核反応発電（原子炉発電、核融合炉発電、などによるスチーム（ガス）発電）等の発電機システム。 二相、三相、・・・、多相の発電機／モーター。 E=-CN(dB/dt)のN(dB/dt)が、最大（／適宜）になるように設計する。 発電機とモーターは、同じ形態（／似たような形態）であり得て、発電機（力→電力）とモーター（電力→力）のインバース・変換であり、ダイオード、コンデンサー、電池、抵抗、インダクター（コイル）、などの適宜な回路との組み合わせによって、力を発電機を用いて電力に変換して充電池を充電して、充電器の電力をモーターを用いて力に変換して用いることが可能である。 設計した風力発電機は、１ｋW〜２０ｋW以上、可能である。設計した太陽光発電システムは、１０ｋW以上、可能である。
【図６０】図６０は、エコロジー・エネルギー・システム（吉野一虎宇宙世界皇帝の吉野一虎宇宙世界皇帝の（第二次宇宙戦争）生化学兵器と核兵器）のイメージ概念図である。 Yoshino UniverseKazutora YoshinoUniverse EmpireKazutora YoshinoEmperor's Universal Wars II (Star Wars (Bio Hazard))Regards,第二次宇宙戦争（とそのストーリー）の概要。 吉野カズトラ宇宙世界皇帝の覇権継承戦争が、宇宙戦争であるが、吉野友子女王優位の第一次宇宙戦争と、吉野レベッカハル女王優位の第二次宇宙戦争の時期に、区分されている。 第一次宇宙戦争の頃は、吉野友子女王（学派）は、H5N1型ウィルス（強毒性）や、H7N9型ウィルス（弱毒性）の自然界に存在する鳥インフルエンザとそのミューテーションを用いて、（H5N1:鳥→人）や（H7N9:人→人）等の感染ルートを用いて、敵国の都市や政府を攻撃することが多かった。しかし、生化学、遺伝子工学、分子生物学、ナノテクノロジー、等の知識と応用（アプリケーション）に長けている吉野レベッカハル女王は、より一層強力な生化学兵器や核兵器の開発をして、敵国（全域）を攻撃した。これが、第二次宇宙戦争である。H5N1（強毒性）とH7N9（人→人）の遺伝子を掛け合わせて出来たのが、生化学兵器（インフルエンザ・ウイルス）I5Z1S97I（強毒性、人→人）である。この中で重要な遺伝子ストランド（毒物製造遺伝子）を抽出したのがI5Z1S97I（液体、粉（固体）、ガス、遺伝子体、（生）化学物質、等の形態）である。これによって製造された毒物がS97I I5Z1である（通称：12345）。I5Z1S97Iは、ダスト（毒）として、空気、水、川、湖、海、石、家、部屋、病院、電車、駅、鳥、動物、自然、植物、感染病、細菌、ウィルス、ダスト（埃）、カビ、ダニ、うどんこ病、直接感染、人、等のルートを通って、人に感染した。反政府主義の医者達は、I5Z1S97Iについての診断を曖昧にしたので、人→人によって（バイオハザード）アウトブレークが起きた。又、I5Z1S97I（12345）、トリカブト毒、河豚毒、毒キノコ、等を用いて、忍者（達）は毒入りうどん、ホワイトスーツ（達）は毒入りタイ（魚）などを作り、ターゲット人物（敵）を毒殺して行った。・・・。続く。
【図６１】図６１は、エコロジー・エネルギー・システム（吉野一虎宇宙世界皇帝のエネルギー・エレクトリシティー・ジェネレーター・システム）のイメージ概念図である。 Yoshino UniverseKazutora YoshinoUniverse EmpireKazutora Yoshino Emperor'sWind Energy SystemLovely, 例えば、1.3x8.5x61（cm）（比率）の素材（角材、木材）を加工して、（適宜な比率（や角度）で）プロペラの羽を作り、プロペラを作り、風力発電機を作る。吉野カズトラ宇宙世界皇帝の風力発電システムの寸法・比率の最善の形態（の例）である。１．３ｘ８．５ｘ６１（ｃｍ）の羽（エッジ１ｃｍと４ｃｍ、幹３．５ｃｍ、切り込み（三角）１ｃｍｘ０．５ｃｍと３ｃｍｘ１ｃｍ）、三枚で、断面薄型アーモンド形。
【図６２】図６２は、エコロジー・エネルギー・システム（吉野一虎宇宙世界皇帝のエネルギー・エレクトリシティー・ジェネレーター・システムの製造方法（作り方：その３））のイメージ概念図である。 Yoshino UniverseKazutora YoshinoUniverse EmpireKazutora YoshinoEmperor's Wind EnergyLovely, ０．素材をプロペラの羽根の形の元（型）に切る。１．プロペラの羽根の形の元（型）削って、プロペラの羽根の形の原型（型）を作る。２．コンクリートで型を取る／鋳物の型を作る。（木を削って型を作る）。３．カーボンファイバー（東レ、等）／アルミフォイル（アルミ箔）などのシート（布）を敷く。４．（発泡スチロール＋木工用ボンド、等）や樹脂（ウレタン樹脂、等）や（溶けた）プラスチックや（溶けた）金属（アルミ、等）を注ぐ。５．（平面／曲面）（アルミ）板＋ステンレス棒（パイプ）を、ネジや接着剤で、組み合わせて、上から載せる。６．アルミ箔で覆い、接着して、磨いて、コーティング剤／（色）塗料を塗って、磨く。７．同様に、数枚（三枚、等）のプロペラの羽を作る。８．プロペラの羽を組み合わせて、削ったり（バリ取りしたり）して綺麗にして、センター（センター・パーツ）と組み合わせる。９．キャップ＋プロペラ＋増速機＋発電機＋ポールで、風力発電機を作る。１０．発電する。
【手続補正２】
【補正対象書類名】図面
【補正対象項目名】図２０
【補正方法】変更
【補正の内容】
【図２０】
2018048555.tif 000565
【手続補正３】
【補正対象書類名】図面
【補正対象項目名】図２１
【補正方法】変更
【補正の内容】
【図２１】
2018048555.tif 000566
【手続補正４】
【補正対象書類名】図面
【補正対象項目名】図２２
【補正方法】変更
【補正の内容】
【図２２】
2018048555.tif 000567
【手続補正５】
【補正対象書類名】図面
【補正対象項目名】図２３
【補正方法】変更
【補正の内容】
【図２３】
2018048555.tif 000568
【手続補正６】
【補正対象書類名】図面
【補正対象項目名】図２４
【補正方法】変更
【補正の内容】
【図２４】
2018048555.tif 000569
【手続補正７】
【補正対象書類名】図面
【補正対象項目名】図２５
【補正方法】変更
【補正の内容】
【図２５】
2018048555.tif 000570
【手続補正８】
【補正対象書類名】図面
【補正対象項目名】図２６
【補正方法】変更
【補正の内容】
【図２６】
2018048555.tif 000571
【手続補正９】
【補正対象書類名】図面
【補正対象項目名】図２７
【補正方法】変更
【補正の内容】
【図２７】
2018048555.tif 000572
【手続補正１０】
【補正対象書類名】図面
【補正対象項目名】図２８
【補正方法】変更
【補正の内容】
【図２８】
2018048555.tif 000573
【手続補正１１】
【補正対象書類名】図面
【補正対象項目名】図２９
【補正方法】変更
【補正の内容】
【図２９】
2018048555.tif 000574
【手続補正１２】
【補正対象書類名】図面
【補正対象項目名】図３０
【補正方法】変更
【補正の内容】
【図３０】
2018048555.tif 000575
【手続補正１３】
【補正対象書類名】図面
【補正対象項目名】図３１
【補正方法】変更
【補正の内容】
【図３１】
2018048555.tif 000576
【手続補正１４】
【補正対象書類名】図面
【補正対象項目名】図３２
【補正方法】変更
【補正の内容】
【図３２】
2018048555.tif 000577
【手続補正１５】
【補正対象書類名】図面
【補正対象項目名】図３３
【補正方法】変更
【補正の内容】
【図３３】
2018048555.tif 000578
【手続補正１６】
【補正対象書類名】図面
【補正対象項目名】図３４
【補正方法】変更
【補正の内容】
【図３４】
2018048555.tif 000579
【手続補正１７】
【補正対象書類名】図面
【補正対象項目名】図３５
【補正方法】変更
【補正の内容】
【図３５】
2018048555.tif 000580
【手続補正１８】
【補正対象書類名】図面
【補正対象項目名】図３６
【補正方法】変更
【補正の内容】
【図３６】
2018048555.tif 000581
【手続補正１９】
【補正対象書類名】図面
【補正対象項目名】図３７
【補正方法】変更
【補正の内容】
【図３７】
2018048555.tif 000582
【手続補正２０】
【補正対象書類名】図面
【補正対象項目名】図３８
【補正方法】変更
【補正の内容】
【図３８】
2018048555.tif 000583
【手続補正２１】
【補正対象書類名】図面
【補正対象項目名】図３９
【補正方法】変更
【補正の内容】
【図３９】
2018048555.tif 000584
【手続補正２２】
【補正対象書類名】図面
【補正対象項目名】図４０
【補正方法】変更
【補正の内容】
【図４０】
2018048555.tif 000585
【手続補正２３】
【補正対象書類名】図面
【補正対象項目名】図４１
【補正方法】変更
【補正の内容】
【図４１】
2018048555.tif 000586
【手続補正２４】
【補正対象書類名】図面
【補正対象項目名】図４２
【補正方法】変更
【補正の内容】
【図４２】
2018048555.tif 000587
【手続補正２５】
【補正対象書類名】図面
【補正対象項目名】図４３
【補正方法】変更
【補正の内容】
【図４３】
2018048555.tif 000588
【手続補正２６】
【補正対象書類名】図面
【補正対象項目名】図４４
【補正方法】変更
【補正の内容】
【図４４】
2018048555.tif 000589
【手続補正２７】
【補正対象書類名】図面
【補正対象項目名】図４５
【補正方法】変更
【補正の内容】
【図４５】
2018048555.tif 000590
【手続補正２８】
【補正対象書類名】図面
【補正対象項目名】図４６
【補正方法】変更
【補正の内容】
【図４６】
2018048555.tif 000591
【手続補正２９】
【補正対象書類名】図面
【補正対象項目名】図４７
【補正方法】変更
【補正の内容】
【図４７】
2018048555.tif 000592
【手続補正３０】
【補正対象書類名】図面
【補正対象項目名】図４８
【補正方法】変更
【補正の内容】
【図４８】
2018048555.tif 000593
【手続補正３１】
【補正対象書類名】図面
【補正対象項目名】図４９
【補正方法】変更
【補正の内容】
【図４９】
2018048555.tif 000594
【手続補正３２】
【補正対象書類名】図面
【補正対象項目名】図５０
【補正方法】変更
【補正の内容】
【図５０】
2018048555.tif 000595
【手続補正３３】
【補正対象書類名】図面
【補正対象項目名】図５１
【補正方法】変更
【補正の内容】
【図５１】
2018048555.tif 000596
【手続補正３４】
【補正対象書類名】図面
【補正対象項目名】図５２
【補正方法】変更
【補正の内容】
【図５２】
2018048555.tif 000597
【手続補正３５】
【補正対象書類名】図面
【補正対象項目名】図５３
【補正方法】変更
【補正の内容】
【図５３】
2018048555.tif 000598
【手続補正３６】
【補正対象書類名】図面
【補正対象項目名】図５４
【補正方法】変更
【補正の内容】
【図５４】
2018048555.tif 000599
【手続補正３７】
【補正対象書類名】図面
【補正対象項目名】図５５
【補正方法】変更
【補正の内容】
【図５５】
2018048555.tif 000600
【手続補正３８】
【補正対象書類名】図面
【補正対象項目名】図５６
【補正方法】変更
【補正の内容】
【図５６】
2018048555.tif 000601
【手続補正３９】
【補正対象書類名】図面
【補正対象項目名】図５７
【補正方法】変更
【補正の内容】
【図５７】
2018048555.tif 000602
【手続補正４０】
【補正対象書類名】図面
【補正対象項目名】図５８
【補正方法】変更
【補正の内容】
【図５８】
2018048555.tif 000603
【手続補正４１】
【補正対象書類名】図面
【補正対象項目名】図５９
【補正方法】変更
【補正の内容】
【図５９】
2018048555.tif 000604
【手続補正４２】
【補正対象書類名】図面
【補正対象項目名】図６０
【補正方法】変更
【補正の内容】
【図６０】
2018048555.tif 000605
【手続補正４３】
【補正対象書類名】図面
【補正対象項目名】図６１
【補正方法】変更
【補正の内容】
【図６１】
2018048555.tif 000606
【手続補正４４】
【補正対象書類名】図面
【補正対象項目名】図６２
【補正方法】追加
【補正の内容】
【図６２】
2018048555.tif 000607
【手続補正書】
【提出日】平成25年4月8日(2013.4.8)
【手続補正１】
【補正対象書類名】明細書
【補正対象項目名】００１１
【補正方法】変更
【補正の内容】
【００１１】
【図１】図１は、エコロジー・エネルギー・システムのイメージ概念図である。
【図２】図２は、エコロジー・エネルギー・システムのイメージ概念図である。
【図３】図３は、エコロジー・エネルギー・システムのイメージ概念図である。
【図４】図４は、エコロジー・エネルギー・システムのイメージ概念図である。
【図５】図５は、エコロジー・エネルギー・システムのイメージ概念図である。
【図６】図６は、エコロジー・エネルギー・システムのイメージ概念図である。
【図７】図７は、エコロジー・エネルギー・システムのイメージ概念図である。
【図８】図８は、エコロジー・エネルギー・システムのイメージ概念図である。
【図９】図９は、エコロジー・エネルギー・システムのイメージ概念図である。
【図１０】図１０は、エコロジー・エネルギー・システムのイメージ概念図である。
【図１１】図１１は、エコロジー・エネルギー・システムのイメージ概念図である。
【図１２】図１２は、エコロジー・エネルギー・システムのイメージ概念図である。
【図１３】図１３は、エコロジー・エネルギー・システムのイメージ概念図である。
【図１４】図１４は、エコロジー・エネルギー・システムのイメージ概念図である。
【図１５】図１５は、エコロジー・エネルギー・システムのイメージ概念図である。
【図１６】図１６は、エコロジー・エネルギー・システムのイメージ概念図である。
【図１７】図１７は、エコロジー・エネルギー・システムのイメージ概念図である。
【図１８】図１８は、エコロジー・エネルギー・システムのイメージ概念図である。
【図１９】図１９は、エコロジー・エネルギー・システムのイメージ概念図である。
【図２０】図２０は、エコロジー・エネルギー・システムのイメージ概念図である。    本発明の図２０についての説明用のストーリ：吉野カズトラ宇宙世界皇帝は、吉野カズトラ宇宙世界皇帝国のエネルギーシステムを増強していた。 I.  宇宙太陽光発電システム（ソーラー（ユニット）サテライト）（USES）II.  宇宙太陽光電池製造システムIII.  宇宙核融合炉発電システムIV.  地上核融合発電システムV.  海上（海底）核融合発電システム 吉野カズトラ宇宙世界皇帝は、巨大な宇宙発電・太陽光エネルギー・送信システム（太陽の付近に宇宙太陽光人工衛星を配置）と受信システム（ロッキー山脈の頂にあるロッキーマウンテンナショナルパーク(Rocky Mountain National Park)や、アリゾナの砂漠、アラスカのマッキンレー山脈、サハラ砂漠、等）を作っていた。 吉野カズトラ宇宙世界皇帝は、また、宇宙での真空を利用して、（トカマク型）プラズマ封じ込め高温適圧の宇宙核融合炉を作ることを進めていた。 吉野カズトラ宇宙世界皇帝は、また、地上でプラズマ・イオン発電所を作り、プラズマ封じ込め高温適圧の宇宙核融合炉を運転していた。 吉野カズトラ宇宙世界皇帝は、また、海上で太陽光・風力・海洋エネルギー発電所を作り、海上（海底）核融合炉を運転していた。（核反応の事故に対して、比較的安全である） Reference:www.yoshinouniverse.comISBN0-8118-0897-1ISBN4-339-00552-5ISBN4-7853-6112-3
【図２１】図２１は、エコロジー・エネルギー・システムのイメージ概念図である。原子炉で、核燃料からエネルギーを取り出す。（オプション）再処理工場で、使用済み核燃料を、核燃料と核廃棄物（核のゴミ）に分離する。熱電発電（所）（システム）で、使用済み核燃料／核廃棄物（核のゴミ）からエネルギーを取り出す。使用済み核燃料／核廃棄物（核のゴミ）を、水、フィルム（紙）、金属（鉛、等）で囲み、放射能について封印するが、熱が出てくるのを、熱電発電で、電気エネルギーに、変換するシステム。
【図２２】図２２は、エコロジー・エネルギー・システム（日本の防衛システム）のイメージ概念図である。核燃料（プルトニウム、ウラン、等）などの核物質など、戦略的エネルギー物質を、日本に集める。核燃料・核爆弾・核廃棄物（核のゴミ）を、１．平和なら、平和利用する。（核エネルギーによって（核（燃料）を熱源として）、熱電発電する。）２．戦争なら、敵国に打ち込む。（埼玉県入間市の入間航空自衛隊（防衛軍）の地下ミサイル発射基地から、大陸弾道ミサイルなどを発射する。吉野カズトラ宇宙世界皇帝のシャチ型潜水艦から核ミサイルを発射する。吉野カズトラ宇宙世界皇帝の軍事衛星から核爆弾を投下する。等）Yoshino UniverseKazutora YoshinoUniverse EmpireKazutora YoshinoNuclear Energy Defense SystemLovely,
【図２３】図２３は、エコロジー・エネルギー・システム（太陽光熱カプセル発電システム）のイメージ概念図である。吉野一虎ソーラーライトカプセル効果：太陽光（熱）が、太陽で発生して（太陽中心：高温１６００万℃、太陽表面：低温温６０００℃）、太陽を囲む物質（ダークマター、素粒子、物質、保熱ガス、反応物質、捕熱物質、反射物質、等の適宜な組み合わせ）によって、光（熱）は、吸収・保持・反応、等をして、中温（数百万℃）になる。DM + gamma -> DM' + delta Egammaは、光（熱）などの（反応（素）粒子などの）エレメント。delta Eは、正／負／ゼロ、等のエネルギー（エレメント）とする。DM、DM’は、ダークマターなどの（反応（素）粒子・反応物質、物質）（群理論）エレメントで、DMとDM'は、同じエレメントでもよく、異なるエレメントでも良い。吉野一虎ライトカプセル効果：このシステムを、ミニチュア化したカプセルに二酸化炭素などの保熱ガス（捕熱ガス）を入れて、（太陽）光（／レーザー光）の照射をして、太陽光（熱）発電を行い、ミニチュア太陽光（熱）カプセル発電を行う。吉野一虎レーザー効果：二酸化炭素などの保熱ガス（捕熱ガス）に、（太陽）光（／レーザー光）を照射して、光（光子、レーザー光）を発光させて、光をカプセル内部で、反射させて、１００％ミラーと約９９％ミラーで、往復反射させて、誘導発光させて、同じ（ぐらいの）波長（周波数）と相（フェーズ）の光の束（レーザー光）を作り、約９９％ミラー側からコーヒーレントなレーザー光を、放つ。吉野一虎ネットワーク超特急効果：ミニチュア太陽光（熱）カプセル発電システムのユニットを、発電パフォーマンス良く、コストパフォーマンス良く、大量に作り、マトリクス上にして、日射量が十分にあるところに敷き詰めたり、電車の路線のサイドに並べたり、道路（高速道路）のサイドに、並べたりすることによって、日本（世界）全体が、ミニチュア太陽光（熱）カプセル発電システムによって、光ネットワーク発電システムとなる。 吉野アシュレーアヤメ女王偉大なる戦士は、吉野一虎効果（吉野一虎ソーラーカプセル効果、吉野一虎ライトカプセル効果、吉野一虎レーザー効果、吉野一虎（カズトラ）ネットワーク超特急効果、等の吉野一虎宇宙世界皇帝の効果）を、活用して、宇宙全体に、吉野アシュレーアヤメ女王による吉野一虎宇宙世界皇帝（宇宙銀河恒星ネットワーク・太陽系）光ネットワークシステムを構築して、宇宙・世界のエネルギー問題を、解決して行った・・・。
【図２４】図２４は、エコロジー・エネルギー・システム（熱（水蒸気／ガス）発電システム）のイメージ概念図である。水（／液体／気体／水素／ガス、等）に太陽光（熱）（エネルギー）、（ガスの）火、熱（等）を投入して、水蒸気（／ガス）にして、タービンを回転して、発電機で、発電するシステム。オプションとして、水蒸気（／ガス）を冷却して、水（／液体／気体／水素／ガス、等）にして、サイクル（リサイクル）するシステム。
【図２５】図２５は、エコロジー・エネルギー・システム（吉野一虎宇宙世界皇帝の核戦争用の鎧兜（防衛システム））のイメージ概念図である。ダイヤモンド、タングステン、ステンレス、鉄、鉛、防弾ガラス、セラミック、紙、スポンジ、水（汗）、バッテリー、シリコン、コンピューター、ディスプレイ等を、適宜に組み合わせて、放射能を遮断するタイガーシールド。本発明は、アルファ粒子線、ベータ線、γ線を遮断する物質（マテリアル）を用いた装甲・鎧（アーマー）である。オプションとして、周りの見た目に合わせて、色や柄を2D/3Dでディスプレイできるカメレオンシールド。この鎧兜を纏った軍隊を、カメレオン・アーミーとして、敵（の核兵器・軍隊）と戦うシステム（自衛隊・国防軍・民間安全警備武装集団（傭兵））。ディスプレイ、コンピューター、電子機器の電源、若しくは、バッテリーなどの充電器としてのブーツ（靴）による、歩行発電（靴発電システム）。ピエゾエレクトロニック素子（圧電素子）、発電機、弾性物質、等によって、発電して、バッテリーに電気を充電する。オプションとして、スプリングなどを用いて、発電しながら、跳躍力を抜群に向上させるジャンプ（発電）シューズ。本発明は、カメレオン・アーミーの鎧を電子的に機能させるのに必要な電源は、歩行発電ブーツから得ることが可能である。その際の戦士達の戦闘シーン（風景）の概念図が、示されている。
【図２６】図２６は、エコロジー・エネルギー・システム（太陽光熱カプセル発電システム：パラボラミラーバージョン）のイメージ概念図である。最良の形態の一つを示している。パラボラミラーによって、反射した光（エネルギー）を、（カプセル）球に集光させて、（熱反応、化学反応、核反応などの）反応、等を起こさせるシステム。
【図２７】図２７は、エコロジー・エネルギー・システム（水素と酸素による燃料電池発電（ガス発電）システム）のイメージ概念図である。ダイヤモンド／DLC／金属／カーボン（ファイバー）等の（軽くて丈夫な）強い（高圧のガスや、液体に耐えうる）容器に、濃縮ガス（濃縮水素ガス、濃縮酸素ガス）、液体（液体水素、液体酸素）等を入れる。水素と酸素を適宜な量を、コンピューター制御機、バルブなどで、摘出して、燃料電池に、投入して、電気（エネルギー）を発生させる。電気を直接用いるか、バッテリー等に充電して用いる。水素と酸素の反応によって出来た水を、（浄化フィルターに通して）、飲料水にする。宇宙船などでの宇宙航行が、長期の滞在の場合に、水素・酸素燃料から、水を作り、フィルターで飲料水を作り、飲むことが可能である、エコロジー・スマート・システム。宇宙旅行に、飲料水を、持ってゆくことが、可能であるが、水が、もっと必要なときとか、緊急時とかに、もっと飲料水を作ることが必要な際に、有用なシステムである。
【図２８】図２８は、エコロジー・エネルギー・システム（エネルギー炉（熱炉））のイメージ概念図である。
【図２９】図２９は、エコロジー・エネルギー・システム（吉野カズトラ宇宙世界皇帝のエネルギー炉（熱炉）と無線／タイマー式の起爆装置による核爆弾）のイメージ概念図である。
【図３０】図３０は、エコロジー・エネルギー・システム（吉野一虎宇宙世界皇帝の靴（防衛・防寒システム））のイメージ概念図である。ピエゾエレクトリックなどの圧電素子で発電したり、動力を利用して、発電したり、核燃料の熱で、発電したりして、熱エネルギーを用いて、エネルギーシステム（（防寒用のヒーター等の）の靴等）を作る。
【図３１】図３１は、エコロジー・エネルギー・システム（吉野一虎宇宙世界皇帝の核電池、核エネルギー、加速器核エネルギーシステム））のイメージ概念図である。核燃料、核廃棄物、（加速器で加速された陽子を核廃棄物（半減期約２万年）に当てて、（半減期を約３０年にした）放射性物質）等や、その適宜な組み合わせから、核（熱）電池を作る。加速器の放射エネルギーによって、宇宙船を飛ばす（運行する）。
【図３２】図３２は、エコロジー・エネルギー・システム（吉野一虎宇宙世界皇帝の核核融合炉エネルギーレーザーシステム（核融合レーザー起動用集光レンズ）））のイメージ概念図である。適宜な波長（若しくは、その組み合わせ）のレーザービームを、レンズで一点に集光（集中）させて、（プラズマ熱エネルギー）核融合を起因する。特に、紫外線、X線、γ線、などの（短波長）高周波のコーヒーレントな光子パッケージ（レーザー光ビーム、等）を用いると良い。そのレンズ方程式を示している。
【図３３】図３３は、エコロジー・エネルギー・システム（吉野一虎宇宙世界皇帝のカズトラ型の核融合炉：カズトラ型核融合炉エネルギー（レーザーヒーティング）システム（核融合レーザーヒーティング起動）））のイメージ概念図である。カズトラ型核融合炉は、トロイダル型（トカマク型）核融合炉を単数／複数、トロイダル型に纏めた型である。プラズマは、真空／ガス／プラズマ内にあるか、磁場・磁界（電場・電界／電磁場・電磁界）内にあっても良い。極力、外部に熱が流出しないように、高磁界にして、Tc（クリティカルテンパーチャー）を高温にして、プラズマを封じ込めて、レーザー（若しくは、マイクロウェーブ、等）で、ヒーティングして（局所場で核融合（ニュークリア・チェイン・リアクション）の初期反応を起こさせて、核融合（ニュークリア・チェイン・リアクション）連鎖反応させる）、プラズマを高温にして、（熱）核融合を起こさせる。（オプションとして、トロイダル型纏めた型のリング部に、オプションフィールド（例えば、磁界）を作るのも良い。）
【図３４】図３４は、エコロジー・エネルギー・システム（吉野一虎宇宙世界皇帝の核融合ロケット（核融合エンジン）：ネオ・カワセミ・プロジェクト：空飛ぶイルカ、空飛ぶイカ））のイメージ概念図である。羽を畳んで海底から発射された空飛ぶイルカは、水中を水ジェットエンジンで走行（航行）して、空中に羽を広げて飛び立ち、空気ジェットエンジンで走行（飛行）して、羽を畳んで宇宙をロケットエンジン（イオンエンジン、プラズマエンジン、ロケットエンジン、核ロケットエンジン、等）で、走行（宇宙航行）する。宇宙防衛のため、核爆弾などで、宇宙からの攻撃（上からの攻撃）をかけることも可能である。
【図３５】図３５は、エコロジー・エネルギー・システム（吉野一虎宇宙世界皇帝のエネルギー・エレクトリシティー・ジェネレーター・システム）のイメージ概念図である。太陽光発電（スチーム発電）、風力発電、海洋力発電、核反応発電（原子炉発電、核融合炉発電、などによるスチーム（ガス）発電）等の発電機システム。プロペラを回転させる。回転軸についている磁石が回転する。前記磁石の回転により、超伝導体内にあるリング磁石が誘導されて回転する。また、磁石と超電導の組み合わせによる非接触な、回転軸とカバーによって、摩擦が殆どない、回転を獲得する。回転効率が良い、起電力を発生させる。オプションとして、トランスフォーマーで、電圧・電流の調整をする。バッテリーに充電したり、電力として用いる。
【図３６】図３６は、エコロジー・エネルギー・システム（吉野一虎宇宙世界皇帝のエネルギー・エレクトリシティー・ジェネレーター・システム）のイメージ概念図である。太陽光発電（スチーム発電）、風力発電、海洋力発電、核反応発電（原子炉発電、核融合炉発電、などによるスチーム（ガス）発電）等の発電機システム。プロペラを回転させることによる発電システムのパワー（電力）のコンセプト・カリキュレーション（Concept Calculation）(概算)。
【図３７】図３７は、エコロジー・エネルギー・システム（吉野一虎宇宙世界皇帝のモーター・ジェット・ボード、モーター・ボート）のイメージ概念図である。水上ロケットランチャー、若しくは、水上から発射するロケット。ジェット・ウィンド・サーフィング。風力でウィンド・サーフ・ボードを動かし、その際、エネルギー・エレクトリシティー・ジェネレーターで、バッテリーに、電気を充電する。風があまりない時は、バッテリーによって、モーター（＋ギヤ）＋プロペラを回転させて、航行する。オプションとして、バッテリーを複数持ち、電力・ギヤによって、ウィンド・サーフ・ボードの速度をコントロールする。人が載るか、無線で操作か、人工知能、等によって航行する。
【図３８】図３８は、エコロジー・エネルギー・システム（吉野一虎宇宙世界皇帝の空飛ぶイルカ、ドラゴン、モーター・ジェット・ボード、モーター・ボート）のイメージ概念図である。特に、翼（羽）の構造（ダイアモンド型）、翼の開閉についてと、ダイヤモンド・ダイナミクス・メソードを示す。（２D／３Dで）翼（羽）を動かして、浮力を得ることも可能である。海中で航行しているときは、翼を閉じて、空で飛行しているときは、翼を広げ（用いて）、宇宙で宇宙航行しているときは、翼を閉じるか、若し、（（シリコンや色素増感型等の）太陽光シートなどなら）太陽光（シート）翼を広げるのが、最善の形態である。
【図３９】図３９は、エコロジー・エネルギー・システム（吉野一虎宇宙世界皇帝のシャフト・ローテーション・ベアリング・システム）のイメージ概念図である。モーター、発電機、ジョイント、等の部分に、ベアリングの周りを、ベアリングで囲み、スムースなオペレーションを可能にするシャフト・ローテーション・ベアリング・システムである。同様に、複数のレイヤーを用いても良い。シャフト・ローテーション・ベアリング・システム＝（（メインベアリング＊サブベアリング）＊Lレイヤー）（L＞＝１）。このシャフト・ローテーション・ベアリング・システムによって、モーターの回転効率や発電機の発電効率が良くなるという効果がある。
【図４０】図４０は、エコロジー・エネルギー・システム（吉野一虎宇宙世界皇帝のスーパーマン（計画））のイメージ概念図である。Yoshino UniverseKazutora YoshinoUniverse EmpireKazutora YoshinoEmperor's Super Man ProjectLovely, 一般的なエンジン、キシレン、ガソリン、水素＋酸素、等を用いるジェット・エンジン、ロケット・エンジンでも良いが、ジェット・ロケット・エンジンを用いるのが最適である。ジェット・ロケット・エンジンは、（小型原子炉／）、小型核融合炉で、燃料の水を沸かして、水蒸気（スチーム）を噴出させて、ジェットを作るロケットエンジンを、箱に取り付ける。ジェット・ロケット・エンジンは、箱の上の方に付けると、横から下にジェットを噴出するので、バランス的に安定する。ジェット・ロケット・エンジンを、箱の下の方に付けると、ジェットが、下に噴出されるので、熱流体的には、効率が良い。二つのジェット・ロケット・エンジンでも、飛行が可能な（動力・エネルギー）レベルにしておく。基本形は、四つのジェット・ロケット・エンジンを用いて、（光学）ジャイロスコープ、加速度センサー、GPS、コンピューター（ジェネリック・アルゴリズム等を用いる人工知能）を用いて、ジェットを噴出したり、逆噴射して、最適な、バランス、位置、方向を、獲得する。緊急の時等は、マニュアル操作も可能にする。四つのジェットエンジンのうち、一つが破損などしたら、対照側にあるジェット・ロケット・エンジンも停止して、二つのジェット・ロケット・エンジンによる飛行（マニュアル操作も出来るようにする）に、切り替えることが可能にする。又、出来るだけ速やかに着地するようにする。若しくは、ジェネリック・アルゴリズムや摂動論的制御、等の最適制御によって、三つのジェット・ロケット・エンジンを、微妙に操作・制御して、当分は、飛行を続けることが可能にする。ダイヤモンドや防弾ガラスのような素材を壁にして、飛行中に、美しい風景など、見渡しが良いようにしても良い。民間の観光用に用いることも可能であり、軍事用の偵察機のように用いることも可能である。パイロットや宇宙飛行士が箱の中にいるなら、内部に空気（酸素）タンクを入れておけば、燃料が続くなら、空から、宇宙に航行しても良い。宇宙の景色（宇宙の夜景、星星の輝き、天体の芸術）などが、美しく、ダイアモンドに映るであろう。
【図４１】図４１は、エコロジー・エネルギー・システム（吉野一虎宇宙世界皇帝のフライング・ジェット・モービル）のイメージ概念図である。 Yoshino UniverseKazutora YoshinoUniverse EmpireKazutora YoshinoEmperor's Flying Jet MobileLovely, 空気をプロペラを回して、上、横、下、斜めなどから吸引して、燃料と混ぜて、燃焼して、ジェットを作る。モーターによってプロペラを回しても良い。フライング・ジェット・モービルは、森やジャングルで、軍事的な偵察等を行う際に、小回りが利く、便利な乗り物である。
【図４２】図４２は、エコロジー・エネルギー・システム（吉野一虎宇宙世界皇帝のフラップ式ウィング、フラップ式プロペラ）のイメージ概念図である。 羽や、プロペラに、フラップを付けて、気流のコントロールをする。特に、高い角度（フラップ角度）をつけて、離陸や着率の距離を短くできる（例えば、４５度〜５５度ぐらい）。飛行時は、（例えば、約１５度〜５５度ぐらいの）高くない羽の角度（フラップ）で飛行すると浮上・飛行効率が良い。プロペラの場合は、回転初期と、回転中期、回転後期、上昇期、浮上期、下降期、飛行期、などに合わせて、羽の角度（＋フラップ角度）をコントロールすることが、可能である。
【図４３】図４３は、エコロジー・エネルギー・システム（吉野一虎宇宙世界皇帝のフライング・ジェット・モービル）のイメージ概念図である。Yoshino UniverseKazutora YoshinoUniverse EmpireKazutora YoshinoEmperor's Flying Jet Mobile (Theoretical, Practical Method)Lovely, ヘリコプター、飛行機、フライング・ジェット・モービル、スカイ・カーズ、等のプロペラの数式化であり、羽をコンパクト化するための技術である。システムがスケーラブルな際、プロペラのサイズをPropeller Length 1として、モーターのトルクをMotorTorque、モーターの回転数をMotor Omegaとして、プロペラ／羽の角度を、例えば１５°ぐらいとか、４５〜５５°ぐらいに設定すると、基本的な部分は、定数のように扱えて、Force Lift = (Motor Torque/Propeller Length 1)*Csになるので、羽がコンパクトで、（数多くの）プロペラで、回転が速い方が良い。普通は、rg1/rg2 >= 1/30 ぐらいにするが、最善の形態を、rg1/rg2>= 1  とする。rg1/rg2 >= 10・・・とギヤの逆比率を向上させると、リフトの効率が良いが、シャフト・ギヤなどの（シャフト・ギヤ変換）効率があるので、直接プロペラを、モーターに付けるのが、シャフト・ギヤ変換効率が、１００％となるので、最も効率が良い。
【図４４】図４４は、エコロジー・エネルギー・システム（吉野一虎宇宙世界皇帝のヘリコプター・宇宙（核）ロケット開発）のイメージ概念図である。 ヘリコプターから始めて、（３Dペン、３Dコントローラー、脳波コミュニケーター、人工心臓、（iPS）幹細胞臓器、成型臓器（３Dプリンターで、細胞と細胞を決着剤などで付着させて、臓器を直接作る）、などの経由で）、宇宙（核）ロケットを、製造する方法。また、プロジェクトを映画化するためのストーリーであって、この（映画による収益）によって、ヘリコプター、宇宙（核）ロケットを製造する宇宙開発（宇宙医療）ビジネス・モデルの方法。 吉野カズトラ宇宙世界皇帝のストーリー：吉野庭園→ヘリコプター基地→人工心臓製造→ロケット基地→ドラゴン（龍）の開発→宇宙世界征服→吉野カズトラ宇宙世界皇帝と吉野アシュレーアヤメ女王偉大なる戦士のラブ・ロマンス（恋愛ストーリー）。
【図４５】図４５は、エコロジー・エネルギー・システム（吉野一虎宇宙世界皇帝の太陽光発電・風力発電・等の発電所型の吉野信法王鳳凰神社の開発）のイメージ概念図である。 ヘリコプター、宇宙（核）ロケット開発の（準備の）方法とか、吉野カズトラ宇宙世界皇帝と吉野アシュレーアヤメ女王偉大なる戦士のラブ・ロマンス（恋愛ストーリー）。ヘリコプター、宇宙（核）ロケットの開発費を得るための（吉野神道新信仰）吉野一虎宇宙世界皇帝の太陽光発電・風力発電・等の発電所型の吉野信法王鳳凰神社神社の設計と構築。また、その（プロモーションビデオ用・宣伝用・映画用・現実化用の）ストーリー。 吉野カズトラ宇宙世界皇帝のストーリー： Yoshino UniverseKazutora YoshinoUniverse EmpireKazutora YoshinoEmperor's Love RomanceLovely, Yoshino UniverseKazutora Yoshino Universe EmpireKazutora Yoshino Emperor's Shrine 吉野カズトラ宇宙世界皇帝は、吉野信法王鳳凰神社を、始めていた。吉野信法王鳳凰神社は、天照大御神を祀り、『自然は、神。野生は、友。』というキャッチフレーズの基に、信者や白い動物達を、大事にしていた。特に、紀州犬(花)、アークティックウルフ(不思議)や、シロキツネ、シロネコ、ムササビ、モモンガ、白龍、等を、大事にしていた。吉野信法王鳳凰神社の屋根の先端には、鳳凰のデザインの風車が付いていて、屋根には、太陽光パネルが付いている、自然に優しいエコロジー・システムによって運営されていた。信者達は、自然に合わせて、風の来る方向を向く鳳凰型風見鶏(風車)や光(太陽光パネル)や川の水や湖の水や雨水や井戸水や海水や自然エネルギーを、信仰の対象とする、八方美人の吉野ファミリーのメンバー達や、キャバ嬢達や、ホスト達、動物愛護者達、飲食業・水商売関連関係者達、農林水産業者達、パラグライダーパイロット達、パイロット達、航空自衛隊達、、軍人達、警察達、ヨットレーサー達、ボートレーサー達、船主達、船長達、ホースダービーの馬主達、写真関連関係者達、宣伝業者達、画像関連関係者達、テレビ関連関係者達、放送関連関係者達、映画関連関係者達、女優達、俳優達、モデル達、方位学者達、法医学者達、医者達、医療関連関係者達、植物学者達、生化学者達、バイオインフォマティクス関連関係者達、システムエンジニア達、物理学者達、技術者達、プログラマー達、宇宙開発事業団関連関係者達、ビジネス関連関係者達、特許関連関係者達、エネルギー関連関係者、等が、多かった。吉野カズトラ宇宙世界皇帝は、太陽光発電所や、風力発電所、等の研究開発を、Yoshino Universe研究所でしていたが、コンピューター・システム管理は、IBM研究所にさせて、ネットワーク管理は、ベル(Bell)研究所にさせていた。・・・。吉野カズトラ宇宙世界皇帝は、また、Yoshino Universeと吉野エミリー女王と吉野レベッカハル女王の管理の元に、日本政府に、奈良の吉野川のダムの水や富士山の水や海水等の水を、東レのウォーターヒィルターを用いて、飲料水にさせて、『(奈良の)吉野の綺麗な水』という商品名で、世界中に、輸出した。吉野カズトラ宇宙世界皇帝は、また、エネルギー・エコロジー・システム・アプリケーションの研究開発を進め更に良いエコロジー・システム(USES, USEN)、ロケットの研究開発、宇宙開発を、進めていた。・・・・。吉野カズトラ宇宙世界皇帝の吉野��宙開発基地は、白き龍に守られた城(ホワイトハウスWhite House)と呼ばれて、龍型・竜巻のような巨峰のブドウの木(ツタ)に囲まれた、白い家と果樹庭園の内側(吉野信法王の邸宅領土内)にあった。・・・。 吉野カズトラ宇宙世界皇帝は、吉野カズトラ宇宙世界皇帝と吉野の葡萄の園を守るためのボディーガード女子軍団を作り始めていた。あまり現実的ではなかったが、吉野カズトラ宇宙世界皇帝は、水龍拳の一部として、健康空手を、始めていた。吉野カズトラ宇宙世界皇帝の健康空手は、女の子、女子高生、女子大生、OLを、メンバーにして、戦闘用と言うよりは、むしろ健康面での体力強化を目指して、吉野カズトラ宇宙世界皇帝と吉野の果樹庭園（吉野のブドウ園）の警備を目的としていた。吉野カズトラ宇宙世界皇帝は、健康空手のプロモーションビデオを作ろうとしていて、大妻女子大生、等の女子大生達に、吉野カズトラ宇宙世界皇帝を、宣伝しようとしていた。吉野カズトラ宇宙世界皇帝は、埼玉県入間市(入間航空自衛隊による航空防衛)を、基軸とした、日本首都・都市開発を進めていた。・・・。 吉野カズトラ宇宙世界皇帝は、吉野信法皇鳳凰神社と、埼玉県入間市の都市開発のために、神社のさい銭と、風力エネルギーと、太陽光エネルギー、等を用いていたが、世界中から税金を徴収することにした。そのためには、共通通貨が必要となり、吉野カズトラ宇宙世界皇帝は、Yoshino Universe、アメリカ合衆国政府、日本政府、国際連合のIMFを用いて、ユニバーサル・マニー・システムを、作った。吉野カズトラ宇宙世界皇帝は、国民一人一人に、ソーシャルセキュリティー番号や、国民共通番号を、渡して、各々に、資産を、ユニバーサル・マニーのポイントに、変換した。物の売買には、基本、ユニバーサル・マニーのポイントが、必要で、これによって、Yoshino Universe、政府は、国民の販売記録・購買記録がよくみえて、税金(消費税、等)も電子化されて簡単になり、一般にも、不正取引や、闇取引が、殆どなくなった。これによって、特許など正しい新技術への投資や融資が、促進されて、経済、社会が、発展した。・・・。 吉野カズトラ宇宙世界皇帝は、国際的な、税金の徴収のために、ソーシャルセキュリティー番号か、国民共通番号を持つ(アメリカ人、ロシア人、ヨーロッバ人、日本人、朝鮮人、中国人、インド人、アラブ人、等の)国民一人一人に、各国政府の税金を用いて、(固定)IPアドレスを、配布した。(約100億人ぐらいなら、許容可能なシステム。) ソーシャルセキュリティー番号や国民共通番号にリンク対応した固定IPアドレスによって、アメリカ人や日本人、等は、各自、自らのホームページを作り持つことが可能になり、自らの写真やプロフィールを表示することになり、また、国税庁などのホームページに直ぐアクセス出来て、各自の税金の納付状況等も、直ぐに分かるようになった。また、インターネット(サイバースペース)での経済効果が向上して、より多くの税金を徴収することが、可能になった。これにより、吉野カズトラ宇宙世界皇帝は、宇宙開発(ロケット開発、ロボット開発)とか、自らの美容法や、吉野カズトラ宇宙世界皇帝の若返りの研究開発を進めていた。例えば、アルコール食塩水美容法(水分補給美容法)や、iPS細胞を用いた人工臓器や、若返り医療である。吉野カズ��ラ宇宙世界皇帝のアルコール食塩水美容法(水分補給美容法)を修得した、吉野カズトラ宇宙世界皇帝と吉野エミリー女王は、若さを維持出来たので、肌が滑らかな(色白な)菜食主義のバンパイヤー、等と、言われることもあった。しかし、バンパイヤーの国々は、水、食べ物、領土、等の取り合いの戦争を始めていた。吉野エミリー女王の娘の吉野クリスタルヒカリ女王は、肌が、雪のように白い美女だったので、白雪姫と言われたが、隣国の魔女(バンパイヤー)女王に嫉妬されて、魔女女王が、攻めてきたので、森に隠されて、小さな子ども達と、一緒に育った。吉野クリスタルヒカリ女王(白雪姫)は、ハンターに守られながら、自国の復興を始めていた。・・・。 続く。
【図４６】図４６は、エコロジー・エネルギー・システム（吉野一虎宇宙世界皇帝の空飛ぶ家（ロケット・ハウス））のイメージ概念図である。 吉野一虎宇宙世界皇帝の空飛ぶ家（ロケット・ハウス、スカイ・ハウス）：本箱型家（ロケット・ハウス、ブックシェルハウス）。ユニット・ルームを積層する（積み上げる）ことによって、高層ビル、ロケットの構築が可能でる。ロケットの高さに合わせたユニット・ルーム（の数）を構築することが可能である。基本設計をユニット単位で出来るので、ユニット・ルームの大量生産化が可能であるため、ロケット・ハウスの大量生産が、可能になる。 本発明は、コストパフォーマンスが良いロケット（ロケット・ハウス）である。また、設計と構築の時間短縮（ラン・タイムの軽減）による、シナジー的なコストパフォーマンスも良い。 オプションとして、プロペラ、ロケットエンジン、などの搭載によって、空中、宇宙を、飛び回れるようにする（空飛ぶ家：スカイ・ハウス、ロケット）。（本発明によって）、ロケット・ハウスに住んでいるまま、宇宙旅行が可能になる・・・（という効果もある）。 宇宙空間では、（殆ど）無重力状態になるので、部屋は、広く使える方が良い（宇宙服が引っかからないようにする）ため、階段を（宇宙服を着たまま通れる程度に細く）壁側に（／適宜な場所に）作ったり、無重力でも宇宙飛行士の方向感覚が研ぎすまれるように、階段の方向を一致させておいたり、ルーム・番号（ルーム階）を明示（はっきり表示）しておくのも可能である。また、物品に、ICタグをつけておいて、コンピューターで、位置情報などを、管理して、無重力で、物が浮遊していても、何処に何があるのか分かるようにしておくのも可能である。 ３Dペン（３Dコントローラー）で、ロケットの位置・速度・加速度・方向・軌道、等をコントロールしても良い。
【図４７】図４７は、エコロジー・エネルギー・システム（吉野一虎宇宙世界皇帝の宇宙戦争ストーリー）のイメージ概念図である。 ロケット・ロボット・人工知能・ビジネスの開発。それを現実化するための資本獲得のための、プロモーションビデオ用・宣伝用・映画用（吉野エミリー女王の映画製作、SF（スペースファンタジー、サイエンスフィクション））・現実化用のストーリー。 第一章吉野カズトラ宇宙世界皇帝の日本食の進め吉野カズトラ宇宙世界皇帝は、日本の森林(特に、杉の森林)を、伐採して、花粉対策をして、杉から日本食用の高級なお箸(はし)を大量生産して、日本食の市場進出を進めながら、海外市場に日本食とお箸を販売して、利益を得ていたのである。吉野カズトラ宇宙世界皇帝は、元々、数学、物理学、エネルギー工学、生物学、生化学、遺伝子工学、システム工学、農業ロボット工学、軍事ロボット工学のエキスパートだったので、日本食の生産販売が上手で、弁当等の日本食の国際ネットワークを築くことが出来たのである。 ・・・。続く。 第二章吉野カズトラ宇宙世界皇帝のゴースト戦略と吉野カズトラ宇宙世界皇帝の新エネルギー戦略 第二次世界対戦の延長戦が、朝鮮戦争、ベトナム戦争、冷戦、湾岸戦争、対テロ戦争であった。ヒロヒト、山本イソロク、吉野幸信の遺言が、ゴースト戦略として、吉野カズトラ宇宙世界皇帝に、受け継がれていた。吉野カズトラ宇宙世界皇帝のグループは、政府側(北朝)と、反政府側(南朝)に、二分して行った。 吉野カズトラ宇宙世界皇帝は、秘密警察捜査官達を配備して、自衛隊の内部に核心的な右翼、警察の内部に、革新的な右翼を潜入させて、国際的な警察右翼ネットワークを、構築していた。吉野カズトラ宇宙世界皇帝の直属の部下達を、警察や自衛隊にすることによって、吉野軍事グループの部隊の訓練費を、国に持たせれたためである。吉野カズトラ宇宙世界皇帝は、アメリカ軍、スカルアンドボーン、フリーメイソン、帝国軍、ネオナチス、自衛隊、韓国軍、サムスン、ロシア軍の連携を計り、アメリカ軍のスカルアンドボーンに、世界征服をさせて、日本の自衛隊右翼に後始末をさせた。 吉野カズトラ宇宙世界皇帝は、吉野カズトラ宇宙世界皇帝の反政府側のグループを、自衛隊、警察に配備した。日本の自衛隊と警察ネットワークにアメリカの警察ネットワークも加わり、911(アメリカ警察の電話番号の日にち)に、アメリカ合衆国で警察革命が起きた。背後には、アメリカ軍のスカルアンドボーンがいたが、日本のある怪盗団、アルカイダ(裏社会の犯罪ネットワーク)が、背後にいるように、情報操作されていた。 吉野カズトラ宇宙世界皇帝は、吉野カズトラ宇宙世界皇帝の政府側のグループを、政府、政党に配備した。しかし、自由民主党(北朝:アメリカ側)、民主党(南朝:中国側)で、政治的な対立も起きた。民主党革命により、一時、民主党が優位に立ったが、自由民主党が、革命返しをした。 自由民主党と民主党の対立を始め、南北朝で、幾つも主義・立場の対立が起きた。特に、TPPの参加交渉についてでさえ、国を二分する対立が、起きたのである。吉野カズトラ皇帝国は、新南北朝時代に突入した。このことにより、皆が激しい暴風と荒波のなかを航行するような状況になっていった。吉野カズトラ宇宙世界皇帝は、楽天家な���で、暴風を風力発電に用いて、荒波（海流）を海洋発電に用いようとしていた。吉野カズトラ宇宙世界皇帝は、勿論、（宇宙）太陽光エネルギー発電も進めていた。これが、吉野カズトラ宇宙世界皇帝の新エネルギー革命である。 吉野カズトラ宇宙世界皇帝は、吉野カズトラ宇宙世界皇帝の名言、『日は、又、昇る。』と言った。これは、日本が、再び世界の中心になり、日本の先端技術が、進み、日本が復興して、Made In Japanが、世界で求められる有名ブランドになることを、示唆していたのである。 吉野カズトラ宇宙世界皇帝は、新エネルギーの開発、エコロジー・システムの開発、（宇宙）太陽光発電システムの開発と改善を、着実にコツコツ、進めていた。・・・・。続く。 Yoshino Universe ・・・ Yoshino UniverseKazutora YoshinoUniverse EmpireKazutora YoshinoEmperor's PowerTomoko Yoshino Queenvs Rebecca Haru Yoshino QueenLovely, Tomoko Yoshino Queen vs Rebecca HaruYoshino Queen 吉野カズトラ宇宙世界皇帝の影響力と支配力は、絶大である。 吉野友子女王と、吉野レベッカハル女王が、吉野カズトラ宇宙世界皇帝の継承戦争を始めていた。特に、バイオ・ウォー・フェアが、激戦化していた。吉野友子女王学派は、ロシアの生物兵器開発の学者連合で、生物の知識のある大人数だった。吉野レベッカハル女王学派は、アメリカ合衆国の生物兵器開発の学者連合で、少人数で生化学・分子生物学・バイオインフォマティクスなどで洗練された学者達だった。吉野信法皇学派は、日本と中国の学者達で、初めの頃は、対岸の火事のように、この戦いを傍観していることが多かったが、徐々に、この戦いに巻き込まれて行った。・・・ 吉野エミリー女王学派は、宇宙開発、吉野クリスタル女王学派は、ロケット・スペースシャトル等の開発、吉野アシュレー女王学派は、スペースステーション・ドラゴン等の開発をしていたので、この戦いに、巻き込まれないで済んだ。・・・ 吉野友子女王学派は、日本の医師会（タケダ派）を作り反政府団体（政府・政党・病院、等に入り込んだ暗殺部隊）を組織して、吉野レベッカハル女王学派は、日本の歯科協会（タカダ派）を作り反政府団体（政府・政党・歯医者、等に入り込んだ暗殺部隊）を組織した。ここに、医師会（タケダ派）と、歯科協会（タカダ派）の戦いが始まっていた。タケダ派とタカダ派は、日本政府、アメリカ合衆国政府にまで浸透して行き、アメリカ合衆国政府では、タケダ派は、鳩派、タカダ派は、鷹派と、呼ばれた。鳩派も、鷹派も、ターゲットの人物を殺害する方法を幾つか持っていた。鳩派は、危険な薬等を、投与したり、必要な薬を十分に投与しないでターゲットを殺害することが多かった。特に、結核治療に見せかけて、十分な抗生物質を投与せずに、わざと抗生物質耐性細菌を作り、ターゲットの人物を殺害することが多かった。鳩派は、中耳炎の細菌を品種改良・遺伝子組み換えをして、殺人細菌・殺人ウイルスを作り、ターゲット人物の耳に移植した。鷹派は、胃の中にいる細菌で、虫歯菌になる細菌を品種改良・遺伝子組み換え等して、殺人虫歯菌、殺人ウイルスなどを作り、ターゲット人物の虫歯治療の際に、殺人虫歯菌や殺人ウイルスを健康な歯や虫歯になりそうな歯に移植した。殺人虫歯菌や殺人ウイルスは、口に蔓延りドライマウス、鼻に入りドライノーズ、目に入りドライアイ���原因になったりして、脱水症状を引き起こして行った。殺人虫歯菌や殺人ウイルスは、徐々にターゲット人物の健康体を侵食して行き、極度の脱水症状などによって、死に至らせた。銃を持つ警察、重兵器（アンティーク・ウェポン）を基軸とした自衛隊などは、このバイオ・ハザードに対して、殆ど無力であった。・・・ 日本の政治家（自民党）たちは、医師会（タケダ派）とグルで、日本の弁護士会（民主党、共産党）は、歯科協会（タカダ派）とグルで、ターゲットの人物が、攻撃をしてきた人達に反撃したり訴えられないように、暴力行為に出て、ターゲットの人物を直接殺そうとしたり、ターゲットの人物の心理操作、等をしていた。・・・ これに対して、吉野カズトラ宇宙世界皇帝の指導のもと、日本政府の社民党の協力を得て、吉野綾子将軍、吉野世礼菜副将軍による、新たな生物兵器戦闘部隊（政府・政党・環境省・農林水産省、市役所農政課、農業委員会、農業組合、等に入り込んだ暗殺部隊）が形成された。これが、アンブレラ・コーポレーションであり、新技術金属農業開発の基軸となった組織である。アンブレラ・コーポレーション（Ｌｕｍｙ、ＬＤＩ、Ｌｕｍｏｒｅ、・・・）は、アンブレラ基金を持ち、貴金属の販売ネットワークを持ち、トラクターや人工知能塔載の農業用ヘリコプターや農薬散布用爆撃型戦闘飛行機、スカイカーズ、（天候、天気予報）気象衛星用軍事衛星などの農業設備の開発を管理して、稲や麦などの農作物を侵食する細菌、ウイルス、カビ等やその抗菌物質、抗菌遺伝子配列、等を研究開発・管理していた。・・・ この戦いは、日本と中国の尖閣諸島問題、アメリカ軍の普天間基地移設、TPPへの参加交渉、日華思想・入間（航空自衛隊）基地優位主義、を起爆剤として、激戦化して行った。アメリカ軍とロシア軍の第一次冷戦から、アメリカ＋日本＋韓国  ｖｓ  北朝鮮＋中国  の第二次冷戦に入って行き、第二次朝鮮戦へと発展して行った。しかし、吉野カズトラ宇宙世界皇帝を尊敬する北朝鮮は、日本側に協力することになり、形成は、アメリカ＋日本＋韓国＋北朝鮮  ｖｓ  中国となってしまい、次第に、世界の中心が、吉野カズトラ宇宙世界皇帝が司令塔として用いている日本・日本政府（特に、入間（航空自衛隊）基地）になって行った。吉野カズトラ宇宙世界皇帝を尊敬する中国は、日本との良好な関係を維持することを決め、第二次冷戦（裏の第三次世界大戦）だけで済み、結果として、（表の）第三次世界大戦は、回避することができた。しかし、むしろ、TPPなどの関連で、アメリカ合衆国とカナダの間で、内部抗争が起こり、ロシアが暗躍したので、戦場は、アメリカに、なって行った。アメリカが戦場になり、アメリカ合衆国は、約２６０年の間戦い続けたが、アメリカ合衆国は、荒廃し始めていて、もはや、スーパーパワーを失って、アメリカ合衆国は、崩壊した。しかし、後に、アメリカ大陸（今のアメリカ合衆国＋カナダ＋メキシコを合わせた領域）に、吉野クリスタルヒカリ女王国（光の国）が、建国されて、吉野クリスタルヒカリ女王の残した威力と威厳とパワーとフォースの基に復権して、吉野ファミリーの基に、光の国（アメリカ）は、スーパーパワーを再度獲得した。・・・ 続く。 Yoshino UniverseKazutora YoshinoUniverse EmpireKazutora YoshinoEmperor's Unified Story,Lovely,
【図４８】図４８は、エコロジー・エネルギー・システム（吉野一虎宇宙世界皇帝の宇宙（ロケット・ロボット）戦争ストーリー）のイメージ概念図である。 Yoshino UniverseKazutora YoshinoUniverse EmpireEmily Yoshino SpaceFantasy, Science Fiction, ..., Story, to Real ...Lovely, 第三章：吉野一虎宇宙世界皇帝の宇宙（ロケット・ロボット）戦争ストーリー（吉野カズトラ宇宙世界帝国の宇宙戦争）
【図４９】図４９は、エコロジー・エネルギー・システム（吉野一虎宇宙世界皇帝の発電システム（創生記））のイメージ概念図である。 Yoshino UniverseKazutora YoshinoUniverse EmpireKazutora YoshinoEmperor's Energy System (Genesis)Lovely, 風力エネルギー、太陽光エネルギー、海洋エネルギーで、発電する。発電の際の、ビジネス・モデルである。 （I）海辺近くの土地を獲得（購入）して、風力発電とか太陽光発電を行う。（＋火力発電）。（II）船を作り、風力発電とか太陽光発電を行う。（＋火力発電）。（III）洋上に、風力発電システムを作る。（IV）海洋（海流）を用いて、発電する。 Yoshino UniverseKazutora YoshinoUniverse EmpireKazutora YoshinoEmperor's Business Model (Strategy)Lovely, ３Dシステム（３Dペン、等）や、映画（２D／３D）などで得た利益を、発電システムを作ることに用いる（宇宙（核）ロケット、USES（USEN）の準備段階）。発電システムなどで得た利益で、宇宙開発（宇宙（核）ロケット、宇宙ロボット、等）の研究開発をする。宇宙開発で、得た利益で、若返り（再生医療、アンチエイジング、等）の研究開発をする。 基本マップ： 海水  →（太陽光（太陽光パラボラミラー、太陽光パネル）、風力、ガス、石油、等のエネルギー）→  （スチーム）（熱）発電  （蓄電・送電）→  塩＋飲料水  （→オプションとしてエネルギー資源生産保存：水素＋酸素） Yoshino UniverseKazutora YoshinoUniverse EmpireKazutora YoshinoEmperor's Computer Energy Organization SystemLovely,  本発明の発電システム、コンピューター等の数学的な処理法歩によって、出来るだけ早急に、最適値、最適化（方法）、最適ネットワーク、最適システムなどを選ぶ。 Yoshino UniverseKazutora YoshinoUniverse EmpireKazutora YoshinoEmperor's Wind EnergyLovely, 風力発電について： 風力発電システム（風車）は、プロペラの角度、発電機の内部設定（機能）、ギヤ比率、慣性モーメント（角運動保存用ウェイト）、ネットワークなどを変化させることが可能である発電システムであってもよい。風力発電システム（風車）は、風の波形を、フーリエ変換、離散フーリエ変換、正規直交変換、ウェーブレット変換、SVD変換、等して、特徴抽出をする。ジェネティック・アルゴリズム、ノン・パラメトリック法、クラスタリング、自己相関関数法、Q-ラーニング、ニューラル・ラーニング・メソード、等の最適値自己検索アルゴリズムによって、最適な向き（方向）や、羽の角度、ネットワーキングの最適化などを、見つける。人間による、パラメトリック法、若しくは、最適化を自己学習した風力発電システムユニット（風車）は、パラメトリック法や、ニューラル・ネットワーキング・メソードなどを用いて、他の風力発電システムユニット（風車）を、教育して最適化する。センターユニットは、ネットワーク全体が、最適化されるように調整する。この際、其々のユニットは、風の向き（方向）やその他の条件によって、様々にセットされていても良い。 Reference: ISBN4-7898-3715-7
【図５０】図５０は、エコロジー・エネルギー・システム（吉野一虎宇宙世界皇帝の宇宙（核ロケット・核開発）戦争ストーリー）のイメージ概念図である。Yoshino UniverseKazutora YoshinoUniverse EmpireKazutora YoshinoEmperor's Atomic Bio Chemical StrategyRegards, 第ニ章（詳細） 吉野カズトラ宇宙世界皇帝の指導のもと、日本は、再生可能エネルギーの開発を進めて、平和が広がり、経済進展の兆しが出始めていた。しかし、エネルギーシステムの在り方に、原子力を組み入れる必要があるような方向に、国際的な政治の動向は、動いて行ったのである。これは、北朝鮮が、自国で採掘できる膨大な量（大量）のプルトニウム等の核物質を用いて、核開発（特に、核（燃料）ロケット（原子力ロケット）と原子炉の研究開発）を進めていた為である。各国（ある領域）について、利用できるエネルギー量と、経済発展は、ある程度比例するので、北朝鮮の膨大なプルトニウムを用いる核エネルギー活用により、北朝鮮とアジア（全体領域）の経済発展が見込めた。しかし、核エネルギーを、核爆弾などの製造に用いすぎると、エネルギーの安全な社会利用解放率が微妙になるので、核爆弾の製造は、他の古代兵器（一般的な重兵器）の軽減に繋がるレベルにだけして、残りは、原子炉等の開発・製造に向けられて、経済発展のために用いられて、これにより、北朝鮮は、もはや、アメリカ合衆国の援助を要求しなくても自国で経済を発展させることが可能になった。しかし、アメリカ合衆国、韓国政府は、北朝鮮に懐疑的だった。そして、アメリカ合衆国は、B2爆撃機やF22を、朝鮮半島付近で、軍事演習飛行させて、北朝鮮を牽制・挑発した。このため、北朝鮮は、アメリカ合衆国の同盟国の日本、特に、日本の主要基地に、核爆弾を射ち込むことが可能であることを示唆した。アメリカ合衆国、ロシア、中国、北朝鮮、韓国、日本、ヨーロッパ、インド、ブラジル、等は、国際世論のこともあり、表では、遺伝子組み換え技術などを用いて、（農業）遺伝子組換新製品戦争を始めていて、アメリカ合衆国の農業は、TPPなどで日本の農業を飲み込もうとしていた。裏では、各国と秘密結社は、遺伝子設計技術などを用いて、生物兵器等を製造して、鳥インフルエンザ（Ｈ７Ｎ９ウィルス）等に見せかけて、敵国に空中散布したりして、闇での戦いを激化させていたのである。吉野カズトラ宇宙世界皇帝は、核兵器と生物兵器と化学兵器の三つを合わせて、ＡＢＣ兵器(ABC Weapons)と呼んでいた。又、吉野カズトラ宇宙世界皇帝は、遺伝子操作をして、成長ホルモン遺伝子を大量に組み込んでいるため成長速度が速く、体が強靭なクローン軍団を作っていた。クローン軍団は、また、病原菌などに対する耐性遺伝子を組み込まれていたので、生物兵器戦争でも、殆ど、病気にならなかった。吉野カズトラ宇宙世界皇帝を皇帝として、吉野信法王を朝廷の天皇として、吉野カズトラオリジナルファミリー（皇族（天皇家）である吉野エミリー女王、吉野クリスタルヒカリ女王、吉野アシュレーアヤメ女王、吉野レベッカハル女王）によって、征夷大将軍（鳳凰軍）が、任命されて、左大臣（佐上家）と右大臣（宮本家）と財務大臣（クウィーン家）と経済産業大臣（ヒッチンズ家）が任命された。吉野レベッカハル女王が指導者（リーダー）として吉野ファミリーが組織した反政府軍（南朝）は、クローン軍団を用いて、素早く、政府軍（北朝）を、討ち破り、即座に、吉野カズトラ宇宙世界皇帝国を樹立した。吉野カズトラ宇宙世界帝国は、国際的にも進軍して、宇宙世界を名実ともに、より強靭に支配することになった。・・・。続く。
【図５１】図５１は、エコロジー・エネルギー・システム（吉野一虎宇宙世界皇帝の宇宙戦争の際のクリーンルーム・シェルター）のイメージ概念図である。 Yoshino UniverseKazutora YoshinoUniverse EmpireKazutora Yoshino Emperor'sClean Room ShelterRegards, 第ニ章（詳細：続き） 吉野カズトラ宇宙世界皇帝は、生物兵器戦線において、アンブレラ・コーポレーションを用いて、クリーンルーム・シェルターを作っていた。クリーンルーム・シェルターでは、プラズマイオン空気清浄機による空気清浄と同時に、高周波（パルス）レーザー（紫外線、Ｘ線、γ線、等）などによるレーザー照射（レーザー走査）によって、殺菌がなされ、基本的には、花粉、ダスト、細菌、病原菌、ウィルス、ダニ、カビ、等は、排除されたり死滅させられて、クリーンルーム・シェルターは、常時（定期的に）、綺麗な状態にさせられていた。サイドのルームでは、花粉タンパク質を含む米（花粉症対米）や食べ物（スナック、等）が食べれたり、アレルギーの原因となる物質の少ない食べ物を食べれたりして、アレルギー対策もなされていた。中間ルームでは、人の肌等に付着した病原菌を殺菌するシステムになっていた。しかし、病原菌に感染して不治の病になって病人化すると（感染者になると）、レーザー出力が強いレーザーカッターのようになり、クリーンルーム・シェルターで、病人（感染者）を切り刻み処刑して、高温・高圧の焼却炉として、肉片を燃焼することにより、病原菌の更なる感染を妨げるシステムにもなっていた。このため、クリーンルーム・シェルターに、入った人は、生物兵器戦争が終わるまでは、クリーンルーム・シェルターから、出れない確率が高く、クリーンルーム・シェルターは、処刑場とか強制収容所とかナチュラル・ボーン・キラー・システムと揶揄されることが多く、人々は、クリーンルーム・シェルターに入りたがらず、感染者達は、病原菌に感染していることを隠し通そうとしていたが、健康管理システムによる定期健診ロボットが、人々の感染状況を常にモニタリングしていたので、基本、逃げることは難しかった。また、知能が高くなるように遺伝子操作されて、また、病気にかからないように遺伝子操作されたチンパンジーが、作られ、人工知能ロボットと共に、人々を管理するようなシステムにもなっていた。スカイネット・システムは、ターミネーター・ロボットやＴ１０００・ロボットなどのロボットを用いて、人々を強制収容して、健康者と感染者を分別して、シェルターに入れた。健康者の中で、病原菌に対する抗体（免疫）を持つ遺伝子配列を持つ人々は、ポルタトーリと呼ばれ、その中でも、殆ど病気に掛らない人々は、ロボット・パイロットとして、選ばれて、その中でも特に戦闘能力が高い人々が、ガンダム・マイスターとして選ばれた。ガンダム・マイスターの中で、未来を読める能力を持つ（先見の明を持つ）人々は、ニュータイプと呼ばれ、アリス計画（吉野タイムマシンによる未来予知システムと未来操作（フューチャー・オペレーション））の一部になった。人々は、比較的病原菌の少ない宇宙空間で戦闘するようになり、徐々に、宇宙戦争は、激化して行った。・・・続く。
【図５２】図５２は、エコロジー・エネルギー・システム（吉野一虎宇宙世界皇帝のストーリー・メイキング・メソード）のイメージ概念図である。 Yoshino UniverseKazutora Yoshino Universe EmpireKazutora Yoshino Emperor's Story MakerLovely, 吉野カズトラ宇宙世界皇帝のストーリー・メイキング・メソード（クッキー映画（ストーリー）作成方法）： 映画（ストーリー）（３Dゲーム、等）を作成して、エネルギー（発電所）を作り、核ロケットの研究開発などを行う。この際、映画（ストーリー）（３Dゲーム、等）のコストパフォーマンスを向上させるためには、システマティックな方法で、キャラクターやストーリーなどの作成を効率良く工業的にできるのが好ましい。 （０）音楽の作成（例えば、自分で作曲したり、コンピューターがクラシック音楽理論、ランダム機能、などを用いて作ったパーツや音楽を組み合わせたりして自動で音楽を作る。）（１）キャラクター・オブジェクト（型、金型、等）を作成する。（２）ストーリー・オブジェクト（テンプレート）（ドー（小麦粉）シート、等）を作成する。（３）ストリー・ミキサーで、混ぜる。        ストーリー・オブジェクトに、キャラクター・オブジェクト（型）を型取り、ストーリーにキャラクターを入れる。        （キャラクター・クッキー（キャラクター・インスタンス）を作り、ストーリーのプロット（論理）を改善（調整する）。）（４）同様な方法で、キャラクターに合わせたストーリー（の詳細）を付加する。        この際、        ４メソード（起承転結）        ４ｘ４メソード（起承転結ｘ起承転結）、等を用いると、ストーリーの展開が合理的になり効果的になるので好ましい。（５）ビデオ（プロモーションビデオ、等）、映画、シミュレーション、コンピューターゲーム、３DOS、等を作成する。（人物映像とCGを合わせたりするのも可能である。） p.s.  シミュレーション、コンピューターゲーム、３DOS、等の作成の際は、ソフトウェア（キャラクター＋環境＋等）をオブジェクト・オリエンテッド・プログラムで、作れば、効率良く、ストーリー（展開）が可能になる。
【図５３】図５３は、エコロジー・エネルギー・システム（吉野一虎宇宙世界皇帝のエネルギー・エレクトリシティー・ジェネレーター・システム）のイメージ概念図である。 Yoshino UniverseKazutora YoshinoUniverse EmpireKazutora YoshinoEmperor's Wind EnergyLovely, 太陽光発電（スチーム発電）、風力発電、海洋力発電、核反応発電（原子炉発電、核融合炉発電、などによるスチーム（ガス）発電）等の発電機システム。 E = N*B*l*r*(2pi*f)Air Power = Ao*(rp^3)*roair*Npropeller*|Vw|^2  if the ratio of propeller radius andwidth is uniquely set (fixed). プロペラを回転させる。回転軸についているコイル（＋オプション：鉄心）が回転する。磁石（磁場）の内部に位置する前記コイルの回転により、マクスウェルの方程式によって電場が誘導されて起電力を発生させる。バッテリーに充電して、インバーターで、交流にする。オプションとして、トランスフォーマーで、電圧・電流の調整をする。１００V、５０Hzに会うようにするため、増速機のギヤ比率（１：１）〜（６：１）〜（２４：１）ぐらいを適宜とする（最良の形態では、（２４：１））。例えば、最良の形態では、N*B=40, l=0.2m, r=0.1m, f=200Hzであり、プロペラの羽根の形が、示されている（プロペラのサイズは、0.9m x 0.013m x 1m ぐらい。プロペラ半径（約）1m ~ 2m）。プロペラの角度の調整が可能になるようにしても良い。プロペラ角度のレンジは、約１０°〜１４°〜３０°〜４５°〜５５°〜８０°ぐらいである（最良の形態では、風とプロペラの角度が約14°〜45°ぐらいで調整するのが良い）。風力Vw = 3m/s ~ 10m/sで、約1 ~ 2kW（ぐらい）以上の発電量を見込める。
【図５４】図５４は、エコロジー・エネルギー・システム（吉野一虎宇宙世界皇帝のエネルギー・エレクトリシティー・ジェネレーター・システムの製造方法（作り方））のイメージ概念図である。 Yoshino UniverseKazutora YoshinoUniverse EmpireKazutora YoshinoEmperor's Wind EnergyLovely, 太陽光発電（スチーム発電）、風力発電、海洋力発電、核反応発電（原子炉発電、核融合炉発電、などによるスチーム（ガス）発電）等の発電機システム。 ０．素材（角材）をプロペラの羽根の厚型に切り出す。１．素材（プロペラの羽根の厚型）を、３枚のプロペラの羽根の薄型に切る。２．素材（プロペラの羽根の薄型）を、其々、削り、プロペラの羽根（完成型）にする。３．センター（三角形型センターユニット）を作る。４．プロペラの羽根を、センター（三角形型センターユニット）に取り付ける。５．増速機、発電機を作り、台（軸）に取り付ける。６．キャップ＋プロペラ＋増速機＋発電機を取り付ける。７．バッテリー＋インバーターを取り付ける。（オプション）８．風力発電をする。
【図５５】図５５は、エコロジー・エネルギー・システム（吉野一虎宇宙世界皇帝のYoshino Universeのエネルギー・エレクトリシティー・ジェネレーター・システム（風力発電システム）の宣伝用（イメージと）ロゴ）のイメージ概念図である。 Yoshino UniverseKazutora YoshinoUniverse EmpireKazutora YoshinoEmperor's Wind EnergyLovely, Yoshino Universeのエコロジー・システム（・アプリケーション）の促進のイメージ。『風力発電（エコロジー・システム）と鳥（自然）が、風と共に生きる。』（キャッチフレーズ） 発電効率が良い（効果的な）風力発電（機）システム（の（美的）デザイン（設計））である。
【図５６】図５６は、エコロジー・エネルギー・システム（吉野一虎宇宙世界皇帝のYoshino Universeのエネルギー・エレクトリシティー・ジェネレーター・システム（風力発電システム）のストーリー）のイメージ概念図である。 Yoshino UniverseKazutora YoshinoUniverse EmpireKazutora YoshinoEmperor's Wind EnergyLovely, ４ｘ４（起承転結ｘ起承転結）のウィンド・エネルギー・ストーリー（のテンプレート）である。（例えば、吉野エミリー女王を主役として、吉野クリスタルヒカリ女王、吉野アシュレーアヤメ女王、吉野レベッカハル女王を準主役として、『風力発電（機）と蜂鳥のストーリー（会話）、・・・』、等のストーリー、スクリプト（脚本）、映画、等が作成できる。）
【図５７】図５７は、エコロジー・エネルギー・システム（吉野一虎宇宙世界皇帝のエネルギー・エレクトリシティー・ジェネレーター・システムの製造方法（作り方：その２））のイメージ概念図である。 Yoshino UniverseKazutora YoshinoUniverse EmpireKazutora YoshinoEmperor's Wind EnergyLovely,０．素材を斜め（角度も斜め）に切る。１．切り口を切り取り、更に角度をつける。２．接着剤で接着したりネジなどで繋ぎ合わせる。３．削ってプロペラの羽根の形（型）を作る。４．型（フラン樹脂、コンクリート、金型、等）を作る。５．プラスチックとか金属で、羽を作る。６．キャップ＋プロペラ＋増速機＋発電機＋ポールで、風力発電機を作る。７．発電する。
【図５８】図５８は、エコロジー・エネルギー・システム（吉野一虎宇宙世界皇帝のエネルギー・エレクトリシティー・ジェネレーター・システムの製造方法（作り方：その３））のイメージ概念図である。 Yoshino UniverseKazutora YoshinoUniverse EmpireKazutora YoshinoEmperor's Wind EnergyLovely, ０．素材をプロペラの羽根の形の元（型）に切る。１．プロペラの羽根の形の元（型）削って、プロペラの羽根の形の原型（型）を作る。２．アルミ箔で包む（敷く）。３．カーボンファイバー（東レ、等）などの布で包む（敷く）。４．樹脂を塗る。（ウレタン樹脂、等）５．アルミ箔で包む（敷く）。６．ステンレス棒などを入れる。エポキシ樹脂などの接着剤で固める。オプションとして、穴をあけたところにネジ留めをする。７．オプションとして、発泡スチロールに（木工用）ボンドなどを混ぜてプロペラの羽の中に注入する。８．プロペラの羽を組み合わせて、削ったり（バリ取りしたり）して綺麗にして、センター（センター・パーツ）と組み合わせる。９．キャップ＋プロペラ＋増速機＋発電機＋ポールで、風力発電機を作る。１０．発電する。
【図５９】図５９は、エコロジー・エネルギー・システム（吉野一虎宇宙世界皇帝のエネルギー・エレクトリシティー・ジェネレーター・システム）のイメージ概念図である。 Yoshino UniverseKazutora YoshinoUniverse EmpireKazutora YoshinoEmperor's Wind EnergyLovely, Yoshino UniverseKazutora YoshinoUniverse EmpireKazutora YoshinoUniverse Emperor's Electricity Generator and/or MotorLovely, 太陽光発電（スチーム発電）、風力発電、海洋力発電、核反応発電（原子炉発電、核融合炉発電、などによるスチーム（ガス）発電）等の発電機システム。 二相、三相、・・・、多相の発電機／モーター。 E=-CN(dB/dt)のN(dB/dt)が、最大（／適宜）になるように設計する。 発電機とモーターは、同じ形態（／似たような形態）であり得て、発電機（力→電力）とモーター（電力→力）のインバース・変換であり、ダイオード、コンデンサー、電池、抵抗、インダクター（コイル）、などの適宜な回路との組み合わせによって、力を発電機を用いて電力に変換して充電池を充電して、充電器の電力をモーターを用いて力に変換して用いることが可能である。 設計した風力発電機は、１ｋW〜２０ｋW以上、可能である。設計した太陽光発電システムは、１０ｋW以上、可能である。
【図６０】図６０は、エコロジー・エネルギー・システム（吉野一虎宇宙世界皇帝の吉野一虎宇宙世界皇帝の（第二次宇宙戦争）生化学兵器と核兵器）のイメージ概念図である。 Yoshino UniverseKazutora YoshinoUniverse EmpireKazutora YoshinoEmperor's Universal Wars II (Star Wars (Bio Hazard))Regards,第二次宇宙戦争（とそのストーリー）の概要。 吉野カズトラ宇宙世界皇帝の覇権継承戦争が、宇宙戦争であるが、吉野友子女王優位の第一次宇宙戦争と、吉野レベッカハル女王優位の第二次宇宙戦争の時期に、区分されている。 第一次宇宙戦争の頃は、吉野友子女王（学派）は、H5N1型ウィルス（強毒性）や、H7N9型ウィルス（弱毒性）の自然界に存在する鳥インフルエンザとそのミューテーションを用いて、（H5N1:鳥→人）や（H7N9:人→人）等の感染ルートを用いて、敵国の都市や政府を攻撃することが多かった。しかし、生化学、遺伝子工学、分子生物学、ナノテクノロジー、等の知識と応用（アプリケーション）に長けている吉野レベッカハル女王は、より一層強力な生化学兵器や核兵器の開発をして、敵国（全域）を攻撃した。これが、第二次宇宙戦争である。H5N1（強毒性）とH7N9（人→人）の遺伝子を掛け合わせて出来たのが、生化学兵器（インフルエンザ・ウイルス）I5Z1S97I（強毒性、人→人）である。この中で重要な遺伝子ストランド（毒物製造遺伝子）を抽出したのがI5Z1S97I（液体、粉（固体）、ガス、遺伝子体、（生）化学物質、等の形態）である。これによって製造された毒物がS97I I5Z1である（通称：12345）。I5Z1S97Iは、ダスト（毒）として、空気、水、川、湖、海、石、家、部屋、病院、電車、駅、鳥、動物、自然、植物、感染病、細菌、ウィルス、ダスト（埃）、カビ、ダニ、うどんこ病、直接感染、人、等のルートを通って、人に感染した。反政府主義の医者達は、I5Z1S97Iについての診断を曖昧にしたので、人→人によって（バイオハザード）アウトブレークが起きた。又、I5Z1S97I（12345）、トリカブト毒、河豚毒、毒キノコ、等を用いて、忍者（達）は毒入りうどん、ホワイトスーツ（達）は毒入りタイ（魚）などを作り、ターゲット人物（敵）を毒殺して行った。・・・。続く。
【図６１】図６１は、エコロジー・エネルギー・システム（吉野一虎宇宙世界皇帝のエネルギー・エレクトリシティー・ジェネレーター・システム）のイメージ概念図である。 Yoshino UniverseKazutora YoshinoUniverse EmpireKazutora Yoshino Emperor'sWind Energy SystemLovely, 例えば、1.3x8.5x61（cm）（比率）の素材（角材、木材）を加工して、（適宜な比率（や角度）で）プロペラの羽を作り、プロペラを作り、風力発電機を作る。吉野カズトラ宇宙世界皇帝の風力発電システムの寸法・比率の最善の形態（の例）である。１．３ｘ８．５ｘ６１（ｃｍ）の羽（エッジ１ｃｍと４ｃｍ、幹３．５ｃｍ、切り込み（三角）１ｃｍｘ０．５ｃｍと３ｃｍｘ１ｃｍ）、三枚で、断面薄型アーモンド形。
【図６２】図６２は、エコロジー・エネルギー・システム（吉野一虎宇宙世界皇帝のエネルギー・エレクトリシティー・ジェネレーター・システムの製造方法（作り方：その３））のイメージ概念図である。 Yoshino UniverseKazutora YoshinoUniverse EmpireKazutora YoshinoEmperor's Wind EnergyLovely, ０．素材をプロペラの羽根の形の元（型）に切る。１．プロペラの羽根の形の元（型）削って、プロペラの羽根の形の原型（型）を作る。２．コンクリートで型を取る／鋳物の型を作る。（木を削って型を作る）。３．カーボンファイバー（東レ、等）／アルミフォイル（アルミ箔）などのシート（布）を敷く。４．（発泡スチロール＋木工用ボンド、等）や樹脂（ウレタン樹脂、等）や（溶けた）プラスチックや（溶けた）金属（アルミ、等）を注ぐ。５．（平面／曲面）（アルミ）板＋ステンレス棒（パイプ）を、ネジや接着剤で、組み合わせて、上から載せる。６．アルミ箔で覆い、接着して、磨いて、コーティング剤／（色）塗料を塗って、磨く。７．同様に、数枚（三枚、等）のプロペラの羽を作る。８．プロペラの羽を組み合わせて、削ったり（バリ取りしたり）して綺麗にして、センター（センター・パーツ）と組み合わせる。９．キャップ＋プロペラ＋増速機＋発電機＋ポールで、風力発電機を作る。１０．発電する。
【図６３】図６３は、エコロジー・エネルギー・システム（吉野一虎宇宙世界皇帝のエネルギー・エレクトリシティー・ジェネレーター・システム）のイメージ概念図である。 Yoshino UniverseKazutora YoshinoUniverse EmpireKazutora YoshinoEmperor's Wind Energy Generator CircuitLovely, 風力発電や太陽光発電で獲得したエネルギーを、１００V、５０Hz／６０Hz（AC）に、変換するシステム／メソード（方法）。 例えば、風力発電を、交流（AC）０〜１４０V、５０Hzぐらいの出力に設計しておく。太陽光発電は、直流（DC）１２V、２４V、３６Vぐらいの出力に設計しておく。コントローラーは、風力発電の最初の出力を、ダイオードなどを用いて（ブリッジ回路などで）、正弦波のマイナス側を、フリップしてプラスだけにする。（コントローラーの）ユニット・ボルテージ（例えば、１２V）のコンデンサー（キャパシター）を、（直列に）並べて、其々のプラスとマイナスを、スイッチIC（デコーダー）回路に繋ぐ。タイマーをカウンターに繋げ、カウンターが出力するタイミング・データによって、スイッチIC回路は、内部にある其々の接続についてのイフ条件接続（イフ・コンディション・コネクター）素子（TTL等）で、適宜なプラス線とグラウンド（マイナス）線を選び、適宜に、出力直流（DC）（１２V、２４V、等）を作る。ここで、バッテリー（蓄電池）などに充電することも可能である、又、直接、用いることも可能である。コンバーター（インバーター）は、DC（１２V、２４V、等）を、AC（１００V、５０Hz／６０Hz）に変換する。コンバーター（インバーター）は、バッテリーなどからDCを得る。タイマーをカウンターにつなげ、カウンターが出力するタイミング・データーによって、スイッチIC（エンコーダー）で、其々の接続端子に割り振る。其々の接続端子には、（直列に）並んだ（コンバーター（インバーター）の）ユニット・ボルテージのコンデンサー（キャパシター）若しくはレジスター（抵抗）が其々繋がっている。タイマーをカウンターにつなげ、カウンターが出力するタイミング・データーによって、セレクションIC（デコーダー）回路は、其々の端子を適宜に組み合わせて、適宜な電圧、適宜な周波数の波形（AC１００V、５０Hz／６０Hz）（三角波や正弦波など）を作る。この際、内部で、ヘビーデューティーのトランジスターなどを用いて、電流を増幅しても良い。また、機械的に、DCでモーターを回して（１００V、５０Hz／６０Hz）、発電機で、発電する（１００V／５０Hz／６０Hz）のも良い。 若しくは、風力発電を、交流（AC）０〜１４０V、５０Hzぐらいの出力に、連続ギヤ・ベルト・クラッチを付けて、AC１００V、５０Hz／６０Hzの出力に、変換するのも可能ではある。
【手続補正２】
【補正対象書類名】図面
【補正対象項目名】図２０
【補正方法】変更
【補正の内容】
【図２０】
2018048555.tif 000608
【手続補正３】
【補正対象書類名】図面
【補正対象項目名】図２１
【補正方法】変更
【補正の内容】
【図２１】
2018048555.tif 000609
【手続補正４】
【補正対象書類名】図面
【補正対象項目名】図２２
【補正方法】変更
【補正の内容】
【図２２】
2018048555.tif 000610
【手続補正５】
【補正対象書類名】図面
【補正対象項目名】図２３
【補正方法】変更
【補正の内容】
【図２３】
2018048555.tif 000611
【手続補正６】
【補正対象書類名】図面
【補正対象項目名】図２４
【補正方法】変更
【補正の内容】
【図２４】
2018048555.tif 000612
【手続補正７】
【補正対象書類名】図面
【補正対象項目名】図２５
【補正方法】変更
【補正の内容】
【図２５】
2018048555.tif 000613
【手続補正８】
【補正対象書類名】図面
【補正対象項目名】図２６
【補正方法】変更
【補正の内容】
【図２６】
2018048555.tif 000614
【手続補正９】
【補正対象書類名】図面
【補正対象項目名】図２７
【補正方法】変更
【補正の内容】
【図２７】
2018048555.tif 000615
【手続補正１０】
【補正対象書類名】図面
【補正対象項目名】図２８
【補正方法】変更
【補正の内容】
【図２８】
2018048555.tif 000616
【手続補正１１】
【補正対象書類名】図面
【補正対象項目名】図２９
【補正方法】変更
【補正の内容】
【図２９】
2018048555.tif 000617
【手続補正１２】
【補正対象書類名】図面
【補正対象項目名】図３０
【補正方法】変更
【補正の内容】
【図３０】
2018048555.tif 000618
【手続補正１３】
【補正対象書類名】図面
【補正対象項目名】図３１
【補正方法】変更
【補正の内容】
【図３１】
2018048555.tif 000619
【手続補正１４】
【補正対象書類名】図面
【補正対象項目名】図３２
【補正方法】変更
【補正の内容】
【図３２】
2018048555.tif 000620
【手続補正１５】
【補正対象書類名】図面
【補正対象項目名】図３３
【補正方法】変更
【補正の内容】
【図３３】
2018048555.tif 000621
【手続補正１６】
【補正対象書類名】図面
【補正対象項目名】図３４
【補正方法】変更
【補正の内容】
【図３４】
2018048555.tif 000622
【手続補正１７】
【補正対象書類名】図面
【補正対象項目名】図３５
【補正方法】変更
【補正の内容】
【図３５】
2018048555.tif 000623
【手続補正１８】
【補正対象書類名】図面
【補正対象項目名】図３６
【補正方法】変更
【補正の内容】
【図３６】
2018048555.tif 000624
【手続補正１９】
【補正対象書類名】図面
【補正対象項目名】図３７
【補正方法】変更
【補正の内容】
【図３７】
2018048555.tif 000625
【手続補正２０】
【補正対象書類名】図面
【補正対象項目名】図３８
【補正方法】変更
【補正の内容】
【図３８】
2018048555.tif 000626
【手続補正２１】
【補正対象書類名】図面
【補正対象項目名】図３９
【補正方法】変更
【補正の内容】
【図３９】
2018048555.tif 000627
【手続補正２２】
【補正対象書類名】図面
【補正対象項目名】図４０
【補正方法】変更
【補正の内容】
【図４０】
2018048555.tif 000628
【手続補正２３】
【補正対象書類名】図面
【補正対象項目名】図４１
【補正方法】変更
【補正の内容】
【図４１】
2018048555.tif 000629
【手続補正２４】
【補正対象書類名】図面
【補正対象項目名】図４２
【補正方法】変更
【補正の内容】
【図４２】
2018048555.tif 000630
【手続補正２５】
【補正対象書類名】図面
【補正対象項目名】図４３
【補正方法】変更
【補正の内容】
【図４３】
2018048555.tif 000631
【手続補正２６】
【補正対象書類名】図面
【補正対象項目名】図４４
【補正方法】変更
【補正の内容】
【図４４】
2018048555.tif 000632
【手続補正２７】
【補正対象書類名】図面
【補正対象項目名】図４５
【補正方法】変更
【補正の内容】
【図４５】
2018048555.tif 000633
【手続補正２８】
【補正対象書類名】図面